(57)【要約】いくつかの実装では、n装置は、最初のマイクロプロセッサ、最初のマイクロプロセッサに動作的に結合されたデジタル赤外線センサ、および動作的に結合された周囲温度センサを含む最初のマイクロプロセッサ、最初のマイクロプロセッサにオペラ的に結合されたバッテリー、装置から取り外し可能で取り外し可能で取り外し可能なマルチバイタルサインフィンガーカフ、および含まれるもの:プリント回路基板   、SpO2サブシステムは、プリント回路基板に動作的に結合され、フォトプレチスモグラムセンサを含み、プリント回路基板に動作的に結合され、フォトプレチスモグラムセンサには1つの赤外線が含まれています。2つの異なる伝送波長、赤と近赤外、およびマイクロダイナミック光散乱センサで赤外線エネルギーを検出する検出器は、マイクロダイナミック光散乱センサは、2つのフォトダイオード受信機と1つを含みますレーザー送信機。
2020514008.tif 000002
【特許請求の範囲】
【請求項１】
装置を含む:
フォトプレチスモグラムセンサー;
マイクロダイナミックライト散乱センサ。
空気エンジン;
空気エンジンに作動可能に結合され、空気エンジンからの空気圧に応じて膨張し収縮する袖の膀胱
以下を含む最初の回路基板:
最初のマイクロプロセッサ;
最初のマイクロプロセッサは、空気エンジン、カフブラド、フォトプレチスモグラムセンサー、マイクロダイナミック光散乱センサに作動可能に結合されます。そして
最初のマイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
第2のマイクロプロセッサは、第2のデジタルインタフェースに作動的に結合され、第2のマイクロプロセッサは、複数のバイタルサインを推定するように構成されている。
【請求項２】
請求項1の装置は、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項３】
請求項1の装置は、さらにアナログセンサ読み出しポートを有しないデジタル赤外線センサ、単一のサーモパイルセンサを取り囲むファラデーケージを含むデジタル赤外線センサ、中央処理装置および制御ブロックを含む。
【請求項４】
請求項1の装置は、さらに以下を含む。
第2のマイクロプロセッサに動作的に結合され、第2のマイクロプロセッサに複数の画像を提供するように構成されたカメラ。そして
複数の画像を受信するように構成され、複数の画像の境界領域を除外するように複数の画像をトリミングするように構成されたクロッパーモジュールを含む第1のマイクロプロセッサは、複数のトリミングされた画像を生成し、第2の、第2のマイクロプロセッサはまた、時間変動を生成するように構成された複数のトリミングされた画像の時間変動増幅器を含む、第2のマイクロプロセッサはまた、動作的に結合された生物学的重要標識発生器を含む時間変動から生物学的に重要な兆候を生成するように構成された時間変動アンプ。
【請求項５】
請求項4の装置は、前述の時間変動増幅器が、さらに皮膚画素同定モジュールを含む。
【請求項６】
請求項4の装置は、前述の時間変動増幅器が、さらに局所的な顔面クラスタモジュールを含む。
【請求項７】
請求項4の装置は、前述の時間変動増幅器が第1の周波数フィルタモジュールをさらに含む。
【請求項８】
静時心拍数をフォトプレチスモグラムセンサからのデータから推定する請求項4の装置、呼吸数と心拍変動および血圧拡張性は、マイクロダイナミック光散乱センサおよびからのデータから推定される。フォトプレチスモグラムセンサー。
【請求項９】
請求項4の装置はさらに含む:
前述の血圧収縮期は、マイクロ動的光散乱センサからのデータから推定される。
【請求項１０】
請求項4の装置は、さらに、生物学的バイタルサインジェネレータに作動可能に結合され、複数のバイタルサインを格納するように構成された記憶装置を含む。
【請求項１１】
無線通信サブシステムが第2マイクロプロセッサに作動可能に結合され、無線通信サブシステムが短距離無線を介して生物学的バイタルサインの表現を送信するように構成されている請求項4の装置通信パス。
【請求項１２】
請求項11の装置は、前述の装置が第2の装置によって知られているように第2の装置によって検証され、第2の装置によって第2の装置によって許可され、第2の装置に情報を転送するようにする。
【請求項１３】
クレーム、請求請求の装置11の装置の装置図11は、その請求請求請求の装置図1。装置および外部装置は、前述の接続がさらに認証された通信チャネルを含む。
【請求項１４】
請求項11の装置は、デジタル赤外線センサが更にアナログからデジタルセンサを含む。
【請求項１５】
請求項11の装置は、前述の無線通信サブシステムは、さらに、d食と時間の表現を送信するように構成された構成要素を含む、オペレータ識別、患者識別、製造業者およびモデル番号装置。
【請求項１６】
装置は、複数のバイタルサインを推定する装置であり、その装置を含む。
マイクロプロセッサ;
マイクロプロセッサに動作的に結合されたバッテリ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
マイクロプロセッサは、デジタル赤外線センサによって検出され、マイクロプロセッサが設定されている額の温度の赤外線信号を代表するデジタル信号をデジタル読み出しポートから受信するように構成されています。額の温度を複数のバイタルサインに相関させるメモリに格納されている複数のテーブルを参照して赤外線信号を代表するデジタル信号から複数のバイタルサインを推定する。
【請求項１７】
請求項16の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項１８】
請求項16の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１９】
請求項16の装置はさらに含む:アナログセンサ読み出しポートを有しないデジタル赤外線センサ。
【請求項２０】
無線通信サブシステムがマイクロプロセッサに作動可能に結合され、無線通信サブシステムが短距離無線を介して複数のバイタルサインの表現を送信するように構成されている請求項16の装置通信パス。
【請求項２１】
請求項20の装置は、前述の装置が第2の装置によって知られているように第2の装置によって検証され、第2の装置によって第2の装置によって許可され、第2の装置に情報を転送するようにする。
【請求項２２】
2項の請求請求らぎの装置2からから、請求請求の装置2からから、その請求請求の装置2。装置および外部装置は、前述の接続がさらに認証された通信チャネルを含む。
【請求項２３】
請求項20の装置は、デジタル赤外線センサをさらにアナログからデジタルへのコンバータ、単一のサーモパイルセンサを取り囲むファラデーケージを含むデジタル赤外線センサ、中央処理装置および制御ブロックを含む。
【請求項２４】
請求項20の装置は、前述の無線通信サブシステムは、さらにd食および時間の表現を送信するように構成された構成要素を含む、オペレータ識別、患者識別、製造業者およびモデル番号装置。
複数のバイタルサインを推定する装置
【請求項２５】
以下を含む装置である。
マイクロプロセッサ;
マイクロプロセッサに動作的に結合されたバッテリ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
前処理マイクロプロセッサは、デジタル読み出しポートから受信するように構成され、デジタル赤外線センサによって検出された額温度の赤外線信号を代表するデジタル信号を、マイクロプロセッサは、マイクロプロセッサを推定するように構成されている。額の温度を複数のバイタルサインに相関させるメモリに格納されている複数のテーブルを参照して赤外線信号を代表するデジタル信号からの複数のバイタルサイン。
【請求項２６】
請求項25の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項２７】
請求項25の装置は、マイクロプロセッサをさらに含む:
マイクロプロセッサに動作的に結合され、マイクロプロセッサに複数の画像を提供するように構成されたカメラ。
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項２８】
請求項25の装置はさらに含む:
以下を含む最初の回路基板:
マイクロプロセッサ、マイクロプロセッサに動作的に結合されたバッテリ、表示装置およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項２９】
請求項25の装置は、さらに、マイクロプロセッサに作動可能に結合され、複数のバイタルサインの表現を送信するように構成された無線通信サブシステムを含む。
【請求項３０】
無線通信サブシステムが短距離通信経路を介して送信する請求項29の装置は、第2の装置によって知られているように第2の装置によって検証され、第2の装置によって第2の装置によって第2の装置によって第2の装置に情報を転送することを許可される。装置.
【請求項３１】
クレーム29の装置は、接続が確立され、複数のバイタルサインが無線通信サブシステムを介して装置から押し出され、その後、外部装置が装置と装置との間のバイタルサインの流れを制御する。外部デバイスは、前述の接続は、さらに認証された通信チャネルを含む。
【請求項３２】
請求項25の装置は、本装置が電力および制御信号を受け取り、マイクロプロセッサからデータが送信されるマイクロプロセッサに作動可能に結合されたユニバーサルシリアルバスポートをさらに含む。
【請求項３３】
請求項25の装置は、デジタル赤外線センサが更にアナログからデジタルへのコンバータを含む。
【請求項３４】
装置は、複数のバイタルサインを伝達し、その装置を含む複数のバイタルサインを伝達する。
実行するようにプログラムされたマイクロプロセッサ:
額の複数の画像を受信するように構成され、画像の境界線領域を除外するように複数の画像のそれぞれをトリミングするように構成されたクロッパーモジュールは、額の複数のトリミング画像を生成します。
クロッパーモジュールに作動可能に結合され、額の複数のトリミングされた画像で額の皮膚を代表するピクセル値を識別し、額の出力を得る額の皮膚ピクセル識別モジュール皮膚ピクセル識別モジュール;
額の皮膚ピクセル識別モジュールに動作的に結合され、額の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。そして
複数のバイタルサインが少なくとも1つのバイタルサインを含む時間変動から生物学的バイタルサインを生成する時間変動識別子に作動可能に結合された生物学的バイタルサインジェネレータ。
マイクロプロセッサに動作的に結合されるフォトプレチスモグラムセンサー。そして
マイクロプロセッサに作動可能に結合されるマイクロダイナミックライト散乱センサー、
マイクロプロセッサに動作的に結合され、生物学的バイタルサインの表現を送信するように構成された無線通信サブシステム。
【請求項３５】
請求項34の複数のバイタルサインを伝達する装置は、前述の地域顔面クラスタモジュールをさらに含む:ファジークラスタ。
【請求項３６】
請求項34の複数のバイタルサインを伝達する装置は、前述の地域顔面クラスターモジュールをさらに含む:Kクラスタ。
【請求項３７】
請求項34の複数のバイタルサインを伝達する装置は、前述の地域顔面クラスタモジュールをさらに含む:期待-最大化剤。
【請求項３８】
請求項34の複数のバイタルサインを伝達する装置は、前述の地域顔面クラスタモジュールをさらに含む:シードポイントベースのクラスタリング装置。
【請求項３９】
静時の心拍数がフォトプレチスモグラムセンサからのデータから推定されるクレーム34の複数のバイタルサインを伝える装置は、呼吸数と心拍変動および血圧拡張性と、からのデータから推定される。マイクロダイナミックライト散乱センサとフォトプレチスモグラムセンサー。
【請求項４０】
クレーム34の複数のバイタルサインを伝える装置は、黒体で再校正されず、さらに低ノイズ増幅器を含むデジタル赤外線センサであり、低ノイズ増幅器はアナログからデジタルにオペラ的に結合されているコンバータは、アナログからデジタルへのコンバータをデジタル信号プロセッサに作動可能に結合し、デジタル信号プロセッサをパルス幅変調器に作動可能に結合する。
【請求項４１】
請求項34の複数のバイタルサインを通信する装置は、さらに、生物学的バイタルサインジェネレータに作動可能に結合された記憶装置を含み、複数のバイタルサインを格納するように構成されている。
【請求項４２】
請求項34の複数のバイタルサインを通信する装置は、さらにマイクロプロセッサに作動可能に結合され、メモリを介してマイクロプロセッサに複数の画像をキャプチャするように構成されたカメラを含む。
【請求項４３】
本装置は、複数のバイタルサインがさらに血圧を含む請求項42の複数のバイタルサインを伝達する。
【請求項４４】
本装置は、複数のバイタルサインがさらに呼吸を含む請求項42の複数のバイタルサインを伝達する。
【請求項４５】
本装置は、複数のバイタルサインがさらにパルスを含む請求項42の複数のバイタルサインを伝達する。
【請求項４６】
請求項34の複数のバイタルサインを通信する装置は、さらに以下を含む。
マイクロプロセッサに動作的に結合されたデジタル赤外線センサ、単一のサーモパイルセンサーを取り囲むファラデーケージを含むデジタル赤外線センサ、中央処理装置と制御ブロック、デジタル赤外線センサも含まれます。デジタル読み出しポート。
【請求項４７】
請求項46の複数のバイタルサインを通信する装置は、さらに以下を含む。
マイクロプロセッサは、デジタル赤外線センサによって検出され、マイクロプロセッサが設定されている額の温度の赤外線信号を代表するデジタル信号をデジタル読み出しポートから受信するように構成されています。額の温度の赤外線信号を代表するデジタル信号から生物学的生命徴候を推定する。
【請求項４８】
請求項34の複数のバイタルサインを通信する装置は、さらに以下を含む。
アナログからデジタルへのコンバータはありません。
【請求項４９】
クレーム42の複数のバイタルサインを伝達する装置42は、複数のバイタルサインがさらに血流を含み、生物学的バイタルサインジェネレータは、さらに時間変動を分析する血流分析モジュールを含む。複数の画像の皮膚の運動変化および色変化を同定し、血液の流れのパターンを生成する。
【請求項５０】
請求項49の複数のバイタルサインを伝える装置は、さらに、生物学的バイタルサインジェネレータに作動可能に結合され、血液の流れのパターンを表示する表示装置に作動可能に結合された血流表示モジュールを含む。表示装置で。
【請求項５１】
クレーム42の複数のバイタルサインを伝達する装置は、さらに複数のバイタルサインが心拍数を含み、生物学的バイタルサインジェネレータは、さらに時間変動を分析する心拍分析モジュールを含む。心拍数を生成する。
【請求項５２】
心拍数が心拍の周波数範囲における時間変動の周波数スペクトルから生成される請求項51の複数のバイタルサインを伝える装置。
【請求項５３】
複数のバイタルサインが更に全ヘモグロビン(SpHb)、メテモグロビン(SpMet)、音響呼吸率(RRa)、カルボキシヘモグロビン(SpCO)および酸素予備指数を含む、請求項34の複数のバイタルサインを伝達する装置(ORi)。
【請求項５４】
クレーム34の複数のバイタルサインを伝える装置は、複数のバイタルサインを通信する装置が第2の装置によって知られているように第2の装置によって検証され、第2の装置によって情報を転送することを可能とするようにする装置である。2番目の装置に.
【請求項５５】
接続が確立され、生物学的バイタルサインが無線通信サブシステムを介して複数のバイタルサインを通信するために装置から押し出される請求項34の複数のバイタルサインを通信する装置は、その後、外部装置は、複数のバイタルサインと外部デバイスを通信する装置との間の生物学的バイタルサインの流れを制御し、ここで接続はさらに認証された通信チャネルを含む。
【請求項５６】
請求項34の複数のバイタルサインを伝達する装置は、デジタル赤外線センサをさらにアナログからデジタルへのコンバータを含む。
【請求項５７】
請求項34の複数のバイタルサインを通信する装置は、前述の無線通信サブシステムをさらに含む。
d食べ物および時間の表現を送信するように構成された構成要素は、オペレータ識別、患者識別、製造業者およびモデル番号の装置の複数のバイタルサインを伝える。
【請求項５８】
装置は、額のソースポイントから複数のバイタルサインを推定する装置、を含む装置を含む。
マイクロプロセッサ;
マイクロプロセッサに動作的に結合されたバッテリ。
マイクロプロセッサに動作的に結合されたデジタル赤外線センサーと、単一のサーモパイルセンサー、中央処理装置および制御ブロックを取り囲むファラデーケージを含む。
マイクロプロセッサに動作的に結合され、複数の画像をメモリにキャプチャするように構成されたカメラ。
前記マイクロプロセッサは、メモリ内の額のソースポイントの複数の画像のピクセル値を調べるために構成されたピクセル検査モジュールを含み、時間変動を決定するように構成された時間変動モジュールである。複数の画像間のピクセル値、増幅された時間変動をもたらす時間変動を増幅するように構成された信号処理モジュール、および信号に動作的に結合された生物学的重要な標識ジェネレータ時間変動から人間のバイタルサインを生成する処理モジュールは、ここで、人間のバイタルサインは額の温度を含み、複数のバイタルサインは、メモリに格納されている複数のテーブルを参照して推定される。額の温度を複数のバイタルサインに相関させる。そして
マイクロプロセッサに動作的に結合され、複数のバイタルサインの表現を送信するように構成された無線通信サブシステム。
【請求項５９】
請求項58の装置は、前述の信号処理モジュールが、複数の画像間の画素値の変動を増幅するようにさらに構成される。
【請求項６０】
請求項58の装置は、前述の信号処理モジュールが一時的処理を行うまでさらに構成される。
【請求項６１】
請求項60の装置は、前述の時間処理がバンドパスフィルタである。
【請求項６２】
請求項61の装置は、バンドパスフィルタが時間の経過とともに周波数を分析するように構成されている。
【請求項６３】
請求項58の装置は、前述の信号処理を適用する空間処理を含む。
【請求項６４】
無線通信サブシステムが短距離無線通信経路を介して送信する請求項58の装置。
【請求項６５】
請求項58の装置は、本装置が第2の装置によって知られているように第2の装置によって検証され、第2の装置によって第2の装置によって許可され、第2の装置に情報を転送するようにする。
【請求項６６】
この請求請求請求請求請求請求の装置第図5その請求請求請求の装置図5さてからから、さてから、さてから、装置および外部装置は、前述の接続がさらに認証された通信チャネルを含む。
【請求項６７】
請求項58の装置は、デジタル赤外線センサが更にアナログからデジタルへのコンバータを含む。
【請求項６８】
請求項58の装置は、前述の無線通信サブシステムは、さらに、d食および時間、オペレータ識別、患者識別、製造業者およびモデル番号の表現を送信するように構成された構成要素を含む。装置。
【請求項６９】
複数のバイタルサインを推定する装置、以下を含む装置を含む。
マイクロプロセッサ;
マイクロプロセッサに動作的に結合されたバッテリ。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー。そして
マイクロプロセッサに動作的に結合され、少なくとも1つのバイタルサインの表現を送信するように構成された無線通信サブシステム、単一のサーモパイルセンサを取り囲むファラデーケージを含むデジタル赤外線センサ、中央処理ユニットと制御ブロック;そして
マイクロプロセッサに動作的に結合された表示装置、
マイクロプロセッサは、デジタル赤外線センサによって検出され、マイクロプロセッサが設定された感知額温度の赤外線信号を代表するデジタル信号をデジタル読み出しポートから受信するように構成されています。感知された額の温度を複数のバイタルサインに相関するメモリに格納されている複数のテーブルを参照して、赤外線信号を代表するデジタル信号から複数のバイタルサインを推定する複数の画像を受信するように構成され、画像の境界領域を除外するように画像をトリミングするように構成されたクロッパーモジュールを含むマイクロプロセッサは、複数のトリミングされた画像を生成し、マイクロプロセッサも含む時間変動を生成するように構成された複数のトリミングされた画像の時間変動増幅器は、マイクロプロセッサはまた、時間変動アンプに動作的に結合された生物学的重要な標識ジェネレータを含む時間変動から生物学的に重要な兆候を生成するように構成され、マイクロプロセッサも生物学的バイタルサインジェネレータに作動可能に結合される。
【請求項７０】
請求項69の装置は、前述の時間変動増幅器が額の皮膚画素同定モジュールをさらに含む。
【請求項７１】
請求項69の装置は、前述の時間変動増幅器が、さらに局所的な顔面クラスタモジュールを含む。
【請求項７２】
請求項69の装置は、前述の時間変動増幅器が第1の周波数フィルタモジュールをさらに含む。
【請求項７３】
静静時心拍数をフォトプレチスモグラムセンサからのデータから推定する請求項69の装置、呼吸数及び心拍変動及び血圧拡張性は、マイクロ動的光散乱センサおよびからのデータから推定される。フォトプレチスモグラムセンサー。
【請求項７４】
請求項69の装置は、生物学的バイタルサインジェネレータに作動可能に結合され、複数のバイタルサインを格納するように構成された記憶装置をさらに含む。
【請求項７５】
無線通信サブシステムが短距離無線通信経路を介して送信する請求項69の装置。
【請求項７６】
請求項69の装置は、前述の装置が第2の装置によって知られているように第2の装置によって検証され、第2の装置によって第2の装置によって許可され、第2の装置に情報を転送するようにする。
図7第69の請求請求請求請求請求の装置の装置第図6ろよの請求請求らからから、の請求請求請求の装置のながいから、から、さ、さ、。装置および外部装置は、前述の接続がさらに認証された通信チャネルを含む。
【請求項７８】
請求項69の装置は、デジタル赤外線センサをさらにアナログからデジタルへのコンバータ、単一のサーモパイルセンサを取り囲むファラデーケージを含むデジタル赤外線センサ、中央処理装置および制御ブロックを含む。
【請求項７９】
請求項69の装置は、前述の無線通信サブシステムは、さらにd食および時間の表現を送信するように構成された構成要素を含む、オペレータ識別、患者識別、製造業者およびモデル番号装置。
【請求項８０】
請求項69の装置はさらに含む:
ボタンがマイクロプロセッサに接続されていない。
【請求項８１】
装置を含む:
以下を含む最初の回路基板:
単一のサーモパイルセンサーを取り囲むファラデーケージを含むデジタル赤外線センサ、中央処理装置と制御ブロック、デジタル読み出しポートを含むデジタル赤外線センサは、デジタル読み出し信号を生成するために動作可能です。感知額温度の赤外線信号の代表である。そして
デジタル赤外線センサーに動作的に結合される最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
マイクロプロセッサは、第2のデジタルインターフェースに作動的に結合し、複数のバイタルサインを推定する;デジタル赤外線センサとマイクロプロセッサによって生成される感知額温度の赤外線信号は、赤外線信号を代表するデジタル読み出し信号から複数のバイタルサインを推定するように構成されている。感知された額の温度を複数のバイタルサインに関連付けるメモリに格納されている複数のテーブルへの参照;そして
マイクロプロセッサに動作的に結合され、複数のバイタルサインの表現を送信するように構成された無線通信サブシステム。
デジタル赤外線センサとマイクロプロセッサの間にアナログ/デジタルコンバータが動作的に結合されていない場合、
前述の無線通信サブシステムは、短距離無線通信経路を介して送信する。
【請求項８２】
請求項81の装置は、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項８３】
請求項81の装置はさらに含む:アナログセンサ読み出しポートを有しないデジタル赤外線センサ。
【請求項８４】
請求項81の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間変動を生成するように構成された複数のトリミングされた画像の時間変動増幅器を含む、マイクロプロセッサはまた、時間変動アンプに動作的に結合された生物学的重要な符号発生器を含む時間変動から生物学的に重要な兆候を生成するように構成され、マイクロプロセッサも生物学的バイタルサインジェネレータに作動可能に結合される。
【請求項８５】
請求項84の装置は、前述の時間変動増幅器が額の皮膚画素同定モジュールをさらに含む。
【請求項８６】
請求項84の装置は、前述の時間変動増幅器が、さらに局所的な顔面クラスタモジュールを含む。
【請求項８７】
請求項84の装置は、前述の時間変動増幅器が第1の周波数フィルタモジュールをさらに含む。
【請求項８８】
血圧拡張期をマイクロ動的光散乱からのデータから推定する請求項84の装置。
【請求項８９】
請求項84の装置はさらに含む:
ここで、静時の心拍数は、フォトプレチスモグラムセンサーからのデータから推定され、呼吸数と心拍変動および血圧拡張子は、マイクロダイナミック光散乱センサとフォトプレチスモグラムセンサからのデータから推定される。.
【請求項９０】
請求項84の装置はさらに含む:生物学的バイタルサインジェネレータに作動可能に結合され、複数のバイタルサインを格納するように構成された記憶装置である。
【請求項９１】
無線通信サブシステムがインターネットプロトコルトンネルを介して送信する請求項81の装置。
【請求項９２】
請求項81の装置は、本装置が第2の装置によって知られているように第2の装置によって検証され、第2の装置によって第2の装置によって許可され、第2の装置に情報を転送するようにする。
【請求項９３】
この請求請求請求ららららららららららららららららららららららららららららららららららららら出第81の装置第体の装置の装置から、その後、外部外部装置が無線からから、装置および外部装置は、前述の接続がさらに認証された通信チャネルを含む。
【請求項９４】
請求項81の装置は、デジタル赤外線センサが更にアナログからデジタルへのコンバータを含む。
【請求項９５】
請求項81の装置は、前述の無線通信サブシステムは、さらにd食べ物および時間の表現を送信するように構成された構成要素を含む、オペレータ識別、患者識別、製造業者およびモデル番号装置。
【請求項９６】
装置を含む:
マイクロプロセッサ;
マイクロプロセッサに動作的に結合され、複数のバイタルサインの表現を送信するように構成された無線通信サブシステム。
マイクロプロセッサに動作的に結合されたバッテリ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
マイクロプロセッサは、デジタル赤外線センサによって検出され、マイクロプロセッサが設定されている額の温度の赤外線信号を代表するデジタル信号をデジタル読み出しポートから受信するように構成されています。額の温度を複数のバイタルサインに相関させるメモリに格納されている複数のテーブルを参照して赤外線信号を代表するデジタル信号から複数のバイタルサインを推定し、
前述の無線通信サブシステムは、短距離無線通信経路を介して送信する。
【請求項９７】
請求項96の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項９８】
請求項96の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項９９】
請求項96の装置はさらに含む:アナログセンサ読み出しポートを持たないデジタル赤外線センサ。
【請求項１００】
無線通信サブシステムがインターネットプロトコルトンネルを介して送信する請求項96の装置。
【請求項１０１】
請求項96の装置は、本装置が第2の装置によって知られているように第2の装置によって検証され、第2の装置によって第2の装置によって許可され、第2の装置に情報を転送することを可能にする。
【請求項１０２】
その請求請求請求96の装置の装置の装置9図96の装置の装置のなから、その図9ろよの装置の装置のなからから、その他から、外部外部装置が、その間から、装置および外部装置は、前述の接続がさらに認証された通信チャネルを含む。
【請求項１０３】
請求項96の装置は、デジタル赤外線センサが更にアナログからデジタルへのコンバータを含む。
【請求項１０４】
請求項96の装置は、前述の無線通信サブシステムは、さらに、d食と時間、オペレータ識別、患者識別、製造業者およびモデル番号の表現を送信するように構成された構成要素を含む。装置。
複数のバイタルサインを推定する装置
【請求項１０５】
以下を含む装置である。
マイクロプロセッサ;
マイクロプロセッサに動作的に結合され、複数のバイタルサインの表現を送信するように構成された無線通信サブシステム。
マイクロプロセッサに動作的に結合されたバッテリ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
マイクロプロセッサは、デジタル赤外線センサによって検出され、マイクロプロセッサが設定されている額の温度の赤外線信号を代表するデジタル信号をデジタル読み出しポートから受信するように構成されています。額の温度を複数のバイタルサインに相関させるメモリに格納されている複数のテーブルを参照して赤外線信号を代表するデジタル信号から複数のバイタルサインを推定し、
前述の無線通信サブシステムは、短距離無線通信経路を介して送信する。
【請求項１０６】
請求項105の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項１０７】
請求項105の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１０８】
請求項105の装置はさらに含む:
以下を含む最初の回路基板:
マイクロプロセッサ、マイクロプロセッサに動作的に結合されたバッテリ、表示装置およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項１０９】
無線通信サブシステムがインターネットプロトコルトンネルを介して送信する請求項105の装置。
【請求項１１０】
請求項105の装置は、本装置が第2の装置によって知られているように第2の装置によって検証され、第2の装置によって第2の装置によって許可され、第2の装置に情報を転送することを可能にする。
【請求項１１１】
この主張105の装置は、その他の請求項105の装置は、その後、無線通信用システムを介して装置から複数のバイタル標識が装置から押加され、その後、外部装置が、その後、その後、複数のバイタル標識の流れを制御する。装置および外部装置は、前述の接続がさらに認証された通信チャネルを含む。
【請求項１１２】
請求項105の装置は、デジタル赤外線センサをさらにアナログからデジタルへのコンバータを含む。
【請求項１１３】
請求項105の装置は、前述の無線通信サブシステムは、さらに、d食および時間、オペレータ識別、患者識別、製造業者およびモデル番号の表現を送信するように構成された構成要素を含む。装置。
【請求項１１４】
装置は、複数のバイタルサインを伝達し、その装置を含む複数のバイタルサインを伝達する装置である。
実行するようにプログラムされたマイクロプロセッサ:
複数の画像を受信するように構成され、複数の画像のそれぞれをトリミングして画像の境界線領域を除外するように構成されたクロッパーモジュールで、複数のトリミングされた画像を生成します。
クロッパーモジュールに動作的に結合され、複数のトリミングされた画像の皮膚を代表するピクセル値を識別し、額の皮膚ピクセル識別モジュールの出力を得る額の皮膚ピクセル識別モジュール。
額の皮膚ピクセル識別モジュールに動作的に結合され、額の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。そして
時間変動から生物学的バイタルサインを生成する時間変動識別子に作動可能に結合された生物学的バイタルサインジェネレータで、生物学的バイタルサインは額の温度であり、少なくとも1つのバイタルサインが推定される額の温度を生物学的バイタルサインに関連付けるメモリに格納されている複数のテーブルを参照してください。
マイクロプロセッサに動作的に結合されるフォトプレチスモグラムセンサー。そして
マイクロプロセッサに作動可能に結合されるマイクロダイナミックライト散乱センサー、
マイクロプロセッサに動作的に結合され、生物学的バイタルサインの表現を送信するように構成された無線通信サブシステム、
前記複数のバイタルサインは、さらに全ヘモグロビン(SpHb)、メテモグロビン(SpMet)、音響呼吸率(RRa)、カルボキシヘモグロビン(SpCO)および酸素予備指数(ORi)を含む。
【請求項１１５】
クレーム114の複数のバイタルサインを伝達する装置は、前述の地域顔面クラスタモジュールをさらに含む。
あいまいなクラスタ。
【請求項１１６】
クレーム114の複数のバイタルサインを伝達する装置は、前述の地域顔面クラスタモジュールをさらに含む。
K クラスタ。
【請求項１１７】
クレーム114の複数のバイタルサインを伝達する装置は、前述の地域顔面クラスタモジュールをさらに含む。
期待マキシマイザー。
【請求項１１８】
クレーム114の複数のバイタルサインを伝達する装置は、前述の地域顔面クラスタモジュールをさらに含む:シードポイントベースのクラスタリング装置。
【請求項１１９】
静時の心拍数がフォトプレチスモグラムセンサからのデータから推定されるクレーム114の複数のバイタルサインを伝える装置は、呼吸数と心拍変動および血圧拡張性を、aからのデータから推定する。マイクロダイナミックライト散乱センサとフォトプレチスモグラムセンサー。
【請求項１２０】
請求項114の複数のバイタルサインを通信する装置は、さらに以下を含む。  
生物学的に重要なサインジェネレータに作動可能に結合され、不揮発性メモリに生物学的バイタルサインを格納するように構成されたストレージデバイス。
【請求項１２１】
請求項114の複数のバイタルサインを通信する装置は、さらに以下を含む。
生物学的バイタルサインジェネレータに作動可能に結合され、生物学的バイタルサインの複数のバイタルサインを別の装置に送信するように構成された記憶装置。
【請求項１２２】
生物学的バイタルサインがさらに血圧を含むクレーム114の複数のバイタルサインを伝達する装置。
【請求項１２３】
本装置は、生物学的バイタルサインがさらに呼吸を含む請求項114の複数のバイタルサインを伝達する。
【請求項１２４】
本装置は、生物学的バイタルサインがさらにパルスを含む、請求項114の複数のバイタルサインを伝達する。
【請求項１２５】
請求項114の複数のバイタルサインを通信する装置は、さらにマイクロプロセッサに動作的に結合され、メモリを介してマイクロプロセッサに複数の画像をキャプチャするように構成されたカメラを含む。
【請求項１２６】
マイクロプロセッサに動作的に結合されたデジタル赤外線センサを含む請求項114の複数のバイタルサインを通信する装置は、デジタル読み出しポートのみを有するデジタル赤外線センサ、デジタル赤外線センサアナログセンサーの読み出しポートを持たない、単一のサーモパイルセンサを取り囲むファラデーケージ、中央処理装置および制御ブロックを含むデジタル赤外線センサー。
【請求項１２７】
請求項126の複数のバイタルサインを通信する装置は、さらに以下を含む。
ここで、マイクロプロセッサは、デジタル赤外線センサによって検出され、マイクロプロセッサが設定されている額の温度の赤外線信号を代表するデジタル信号をデジタル読み出しポートから受信するように構成されています。赤外線信号を代表するデジタル信号から複数のバイタルサインを推定する。
【請求項１２８】
請求項114の複数のバイタルサインを通信する装置は、さらに以下を含む。
アナログからデジタルへのコンバータはありません。
【請求項１２９】
生物学的バイタルサインがさらに血流を含むクレーム114の複数のバイタルサインを伝達する装置は、さらに、時間的に分析する血流分析モジュールを含む。複数の画像の皮膚における運動変化および色変化を識別するバリエーションは、血液の流れのパターンを生成する。
【請求項１３０】
請求項129の複数のバイタルサインを伝える装置は、生物学的バイタルサインジェネレータに作動可能に結合され、作動可能に連結された血流表示モジュールを含む。ディスプレイ装置上の血液。
【請求項１３１】
生物学的バイタルサインがさらに心拍数を含むクレーム114の複数のバイタルサインを伝達する装置は、さらに時間変動を分析する心拍分析モジュールを含む。心拍数を生成する。
【請求項１３２】
心拍数が心拍の周波数範囲における時間変動の周波数スペクトルから生成される請求項131の複数のバイタルサインを伝える装置。
【請求項１３３】
無線通信サブシステムがインターネットプロトコルトンネルを介して送信する請求項114の複数のバイタルサインを通信する装置。
【請求項１３４】
複数のバイタルサインを伝える装置114の複数のバイタルサインを伝える装置は、第2の装置によって知られている第2の装置によって検証され、第2の装置によって転送が可能とされる。第2の装置への情報。
【請求項１３５】
接続が確立され、複数のバイタルサインが無線通信サブシステムを介して複数のバイタルサインを通信するために装置から押し出されるクレーム114の複数のバイタルサインを通信する装置、その後、外部装置は、複数のバイタルサインと外部デバイスを通信する装置との間の複数のバイタルサインの流れを制御し、ここで接続はさらに認証された通信チャネルを含む。
【請求項１３６】
請求項114の複数のバイタルサインを通信する装置は、前述のデジタル赤外線センサがアナログからデジタルへのコンバータをさらに含む。
【請求項１３７】
請求項114の複数のバイタルサインを通信する装置は、前述の無線通信サブシステムは、さらに、d食および時間の表現を伝達するように構成された構成要素を含む、オペレータ識別、患者複数のバイタルサインを伝える装置の識別、製造業者およびモデル番号。
【請求項１３８】
装置は、複数のバイタルサインを推定する装置であり、その装置を含む。
マイクロプロセッサ;
マイクロプロセッサに動作的に結合されたフォトプレチスモグラムセンサーと、マイクロプロセッサに動作的に結合されたマイクロダイナミック光散乱センサを含むSPO2サブシステム。
マイクロプロセッサに動作的に結合されたバッテリ。
マイクロプロセッサに動作的に結合され、複数の画像をメモリにキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュールと、人間を生成する信号処理モジュールに作動可能に結合された人間のバイタルサインジェネレータ時間変動からのバイタルサインは、前記人間のバイタルサインが額の温度であり、複数のバイタルサインが額の温度と複数のを相関するメモリに格納されている複数のテーブルを参照して推定されるバイタルサイン;
マイクロプロセッサに作動可能に結合され、複数のバイタルサインの表現を送信するように構成された無線通信サブシステム、
無線通信サブシステムは、短距離無線通信経路を介して送信する。そして
複数のバイタルサインを表示するマイクロプロセッサに動作的に結合された表示装置。
【請求項１３９】
請求項138の装置は、前述の信号処理モジュールが、複数の画像間の画素値の変動を増幅するようにさらに構成される。
【請求項１４０】
クレーム138の装置は、前述の信号処理モジュールが一時的処理を行うまでさらに構成される。
【請求項１４１】
請求項140の装置は、前述の時間処理がバンドパスフィルタである。
【請求項１４２】
請求項141の装置は、前述のバンドパスフィルタが時間の経過とともに周波数を分析するように構成されている。
【請求項１４３】
請求項138の装置は、前述の信号処理を適用する空間処理を含む。
【請求項１４４】
無線通信サブシステムがインターネットプロトコルトンネルを介して送信する請求項138の装置。
【請求項１４５】
請求項138の装置は、本装置が第2の装置によって知られているように第2の装置によって検証され、第2の装置によって第2の装置によって許可され、第2の装置に情報を転送することを可能にする。
【請求項１４６】
この請求請求138の装置の装置138の装置の装置図138の装置のなかっくりこの主張138の装置図138の装置のなかっくりこの主張138の装置図138の装置から、その後、外部外部装置が無線に、装置および外部装置は、前述の接続がさらに認証された通信チャネルを含む。
【請求項１４７】
請求項138の装置は、デジタル赤外線センサが更にアナログからデジタルへのコンバータを含む。
【請求項１４８】
請求項138の装置は、前述の無線通信サブシステムは、さらに、d食および時間の表現を送信するように構成された構成要素を含む、オペレータ識別、患者識別、製造業者およびモデル番号装置。
【請求項１４９】
装置は、複数のバイタルサインを推定する装置であり、その装置を含む。
マイクロプロセッサ;
マイクロプロセッサに動作的に結合されたバッテリ。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一のサーモパイルセンサー、中央処理装置と制御ブロック、および感知額温度を生成するデジタル赤外線感覚を取り囲む。そして
マイクロプロセッサに動作的に結合され、感知された額の温度の表現を送信するように構成された無線通信サブシステム。そして
マイクロプロセッサに動作的に結合された表示装置、
マイクロプロセッサは、デジタル赤外線センサによって検出され、マイクロプロセッサが設定されている額の温度の赤外線信号を代表するデジタル信号をデジタル読み出しポートから受信するように構成されています。感知された額の温度を複数のバイタルサインに相関するメモリに格納されている複数のテーブルを参照して、赤外線信号を代表するデジタル信号から複数のバイタルサインを推定する複数の画像を受信するように構成され、画像の境界領域を除外するように画像をトリミングするように構成されたクロッパーモジュールを含むマイクロプロセッサは、複数のトリミングされた画像を生成し、マイクロプロセッサも含む時間変動を生成するように構成された複数のトリミングされた画像の時間変動増幅器は、マイクロプロセッサはまた、時間変動アンプに動作的に結合された生物学的重要な標識ジェネレータを含む時間変動から生物学的に重要な兆候を生成するように構成され、マイクロプロセッサも生物学的バイタルサインジェネレータに作動可能に結合され、
前述の無線通信サブシステムは、短距離無線通信経路を介して送信する。
【請求項１５０】
請求項149の装置は、前述の時間変動増幅器が額の皮膚画素同定モジュールをさらに含む。
【請求項１５１】
請求項149の装置は、前述の時間変動増幅器が、さらに局所的な顔面クラスタモジュールを含む。
【請求項１５２】
請求項149の装置は、前述の時間変動増幅器が第1の周波数フィルタモジュールをさらに含む。
【請求項１５３】
静時の心拍数をフォトプレチスモグラムセンサーからのデータから推定する請求項149の装置は、呼吸数と心拍変動および血圧拡張性をマイクロ動的光散乱センサからのデータから推定し、フォトプレチスモグラムセンサー。
【請求項１５４】
請求項149の装置は、生物学的バイタルサインジェネレータに作動可能に結合され、複数のバイタルサインを格納するように構成された記憶装置をさらに含む。
【請求項１５５】
無線通信サブシステムがインターネットプロトコルトンネルを介して送信する請求項149の装置。
【請求項１５６】
請求項149の装置は、本装置が第2の装置によって知られているように第2の装置によって検証され、第2の装置によって第2の装置によって許可され、第2の装置に情報を転送することを可能にする。
【請求項１５７】
の請求請求ファイル149の装置の装置149の装置の装置149はろよ、装置および外部装置は、前述の接続がさらに認証された通信チャネルを含む。
【請求項１５８】
請求項149の装置は、デジタル赤外線センサが更にアナログからデジタルへのコンバータを含む。
【請求項１５９】
請求項149の装置は、前述の無線通信サブシステムは、さらに、d食および時間、オペレータ識別、患者識別、製造業者およびモデル番号の表現を送信するように構成された構成要素を含む。装置。
【請求項１６０】
請求項149の装置はさらに含む:
ボタンがマイクロプロセッサに接続されていない。
【請求項１６１】
装置:
デジタル読み出しポートのみを備えるデジタル赤外線センサ、単一のサーモパイルセンサーを取り囲むファラデーケージを含むデジタル赤外線センサ、中央処理装置と制御ブロック、およびデジタル読み出し信号を生成する赤外線信号の代表;そして
以下を含む最初の回路基板:
デジタル赤外線センサに動作的に結合された最初のマイクロプロセッサ。
最初のマイクロプロセッサに動作的に結合され、複数のバイタルサインの表現を送信するように構成された無線通信サブシステム。
最初のマイクロプロセッサに動作的に結合されたバッテリ。そして
最初のマイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
第2のマイクロプロセッサは、第2のデジタルインタフェースに作動的に結合され、第2のマイクロプロセッサは、複数のバイタルサインの最初のバイタルサインを推定するように構成され、ここで、第2のマイクロプロセッサは、第1のバイタルサインを推定するように構成される。赤外線信号を代表するデジタル読み出し信号から、赤外線信号を代表するデジタル読み出し信号を最初のバイタルサインに関連付けるメモリに格納されている複数のテーブルを参照して、複数のバイタルサイン、および
デジタル赤外線センサと最初のマイクロプロセッサの間にはアナログ/デジタルコンバータが動作的に結合されていない場合、
前に、本装置は、第2の装置によって知られているように、第2の装置によって検証され、第2の装置によって許可され、第2の装置に情報を転送するようにする。
【請求項１６２】
請求項161の装置は、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項１６３】
請求項161の装置はさらに含む:アナログセンサ読み出しポートを有しないデジタル赤外線センサ。
【請求項１６４】
請求項161の装置はさらに含む:
第2のマイクロプロセッサに動作的に結合され、第2のマイクロプロセッサに複数の画像を提供するように構成されたカメラ。そして
2番目のマイクロプロセッサは、複数の画像を受信するように構成され、複数の画像の境界領域を除外するように複数の画像をトリミングするように構成されたクロッパーモジュールを含む、複数のトリミングされた画像を生成し、第2の、第2の画像マイクロプロセッサはまた、時間変動を生成するように構成された複数のトリミングされた画像の時間変動増幅器を含む、第2のマイクロプロセッサはまた、動作的に結合された生物学的重要標識発生器を含む時間変動と第2のマイクロプロセッサから生物学的に重要な兆候を生成するように構成された時間変動アンプも、生物学的バイタルサインジェネレータに作動可能に結合する。
【請求項１６５】
クレーム164の装置は、前述の時間変動増幅器は、さらに額の皮膚画素同定モジュールを含む。
【請求項１６６】
クレーム164の装置は、前述の時間変動増幅器は、さらに局所的な顔面クラスタモジュールを含む。
【請求項１６７】
クレーム164の装置は、前述の時間変動増幅器が第1の周波数フィルタモジュールをさらに含む。
【請求項１６８】
血圧収縮期をマイクロ動的光散乱センサからのデータから推定する請求項164の装置。
【請求項１６９】
静時の心拍数を含む請求項168の装置は、フォトプレチスモグラムセンサからのデータから推定され、呼吸数と心拍変動および血圧拡張性は、マイクロ動的光からのデータから推定される。散乱センサーとフォトプレチスモグラムセンサー。
【請求項１７０】
請求項168の装置は、生物学的バイタルサインジェネレータに作動可能に結合され、複数のバイタルサインを格納するように構成された記憶装置をさらに含む。
【請求項１７１】
無線通信サブシステムが短距離無線通信経路を介して送信する請求項161の装置。
【請求項１７２】
無線通信サブシステムがインターネットプロトコルトンネルを介して送信する請求項161の装置。
【請求項１７３】
この請求請求請求の装置161の装置の装置図161は、その請求請求の装置図1。装置および外部装置は、前述の接続がさらに認証された通信チャネルを含む。
【請求項１７４】
請求項161の装置は、デジタル赤外線センサが更にアナログからデジタルへのコンバータを含む。
【請求項１７５】
請求項161の装置は、前述の無線通信サブシステムは、さらに、d食および時間、オペレータ識別、患者識別、製造業者およびモデル番号の表現を送信するように構成された構成要素を含む。装置。
複数のバイタルサインを推定する装置
【請求項１７６】
以下を含む装置である。
マイクロプロセッサ;
マイクロプロセッサに動作的に結合され、複数のバイタルサインの表現を送信するように構成された無線通信サブシステム。
マイクロプロセッサに動作的に結合されたバッテリ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
マイクロプロセッサは、デジタル赤外線センサによって検出され、マイクロプロセッサが設定されている額の温度の赤外線信号を代表するデジタル信号をデジタル読み出しポートから受信するように構成されています。額の温度を複数のバイタルサインに相関させるメモリに格納されている複数のテーブルを参照して赤外線信号を代表するデジタル信号から複数のバイタルサインを推定し、
前に、本装置は、第2の装置によって知られているように、第2の装置によって検証され、第2の装置によって許可され、第2の装置に情報を転送するようにする。
【請求項１７７】
請求項176の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項１７８】
請求項176の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１７９】
請求項176の装置はさらに含む:アナログセンサ読み出しポートを有しないデジタル赤外線センサ。
【請求項１８０】
無線通信サブシステムが短距離無線通信経路を介して送信する請求項176の装置。
【請求項１８１】
無線通信サブシステムがインターネットプロトコルトンネルを介して送信する請求項176の装置。
【請求項１８２】
クレームの請求請求の装置176の装置の装置の装置の装置の装置の装置の装置の装置のながら、その後、外部外部装置が無線からから、装置および外部装置は、前述の接続がさらに認証された通信チャネルを含む。
【請求項１８３】
請求項176の装置は、デジタル赤外線センサが更にアナログからデジタルへのコンバータを含む。
【請求項１８４】
請求項176の装置は、前述の無線通信サブシステムは、さらに、d食および時間、オペレータ識別、患者識別、製造業者およびモデル番号の表現を送信するように構成された構成要素を含む。装置。
【請求項１８５】
少なくとも1つのバイタルサインを推定する装置、を含む装置:
マイクロプロセッサ;
マイクロプロセッサに動作的に結合され、少なくとも 1 つの重要な兆候の表現を送信するように構成されているワイヤレス通信サブシステム。
マイクロプロセッサに動作的に結合されたバッテリ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
マイクロプロセッサは、デジタル赤外線センサによって検出され、マイクロプロセッサが設定されている額の温度の赤外線信号を代表するデジタル信号をデジタル読み出しポートから受信するように構成されています。額の温度を少なくとも1つのバイタルサインの推定に相関させるメモリに格納されている複数のテーブルを参照して、赤外線信号を代表するデジタル信号から少なくとも1つの重要な兆候を推定する,
前に、本装置は、第2の装置によって知られているように、第2の装置によって検証され、第2の装置によって許可され、第2の装置に情報を転送するようにする。
【請求項１８６】
請求項185の装置は、さらに、さらに、さらに含む表示装置を含む。
少なくとも 1 つのバイタルサインの推定値が良好であることを示すように設定された緑色の信号。
少なくとも 1 つのバイタルサインの推定値が低いことを示すように構成されたオレンジ色の信号。そして
少なくとも 1 つのバイタルサインの推定値が高いことを示すように設定された赤信号。
【請求項１８７】
クレーム185の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１８８】
請求項185の装置はさらに含む:
以下を含む最初の回路基板:
マイクロプロセッサ、マイクロプロセッサに動作的に結合されたバッテリ、ディスプレイデバイスとマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項１８９】
無線通信サブシステムが短距離無線通信経路を介して送信する請求項185の装置。
【請求項１９０】
無線通信サブシステムがインターネットプロトコルトンネルを介して送信するクレーム185の装置。
【請求項１９１】
クレーム185の装置は、接続が確立され、少なくとも1つのバイタルサインが無線通信サブシステムを介して装置から押し出され、その後、外部デバイスが間の少なくとも1つのバイタルサインの流れを制御する。装置および外部装置は、前述の接続がさらに認証された通信チャネルを含む。
【請求項１９２】
請求項185の装置は、デジタル赤外線センサがさらにアナログからデジタルへのコンバータを含む。
【請求項１９３】
クレーム185の装置は、前述の無線通信サブシステムは、さらに、d食および時間、オペレータ識別、患者識別、製造業者およびモデル番号の表現を送信するように構成された構成要素を含む。装置。
【請求項１９４】
装置は、複数のバイタルサインを伝達する装置であり、その装置は、複数のバイタルサインを含む。
実行するようにプログラムされたマイクロプロセッサ:
額の複数の画像を受信するように構成され、画像の境界線領域を除外するために複数の画像のそれぞれをトリミングするように構成されたクロッパーモジュールは、複数のトリミングされた画像を生成します。
トリミングモジュールに動作的に結合され、複数のトリミングされた画像で額領域の皮膚を代表するピクセル値を識別し、額の出力を得る額の皮膚ピクセル識別モジュール皮膚ピクセル識別モジュール;
額の皮膚ピクセル識別モジュールに動作的に結合され、額の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。
時間変動から生物学的バイタルサインを生成する時間変動識別子に作動可能に結合された生物学的バイタルサインジェネレータで、生物学的バイタルサインは額の温度を含む。
額の温度を複数のバイタルサインの最初のバイタルサインに関連付けるメモリに格納されている複数のテーブルを参照して、額の温度から少なくとも1つの重要な兆候の推定値;そして
複数のバイタルサインの最初のバイタルサインを表示するように構成されているディスプレイデバイスと、推定機に動作的に結合された表示装置。
マイクロプロセッサに動作的に結合されたフォトプレチスモグラムセンサーと、マイクロプロセッサに動作的に結合されたマイクロダイナミック光散乱センサを含むSPO2サブシステム。そして
マイクロプロセッサに作動可能に結合され、複数のバイタルサインの表現を送信するように構成された無線通信サブシステム、
前書は、複数のバイタルサインを伝達する装置を第2の装置によって知られているように、第2の装置によって検証され、第2の装置によって第2の装置に情報を転送するように許可される。
【請求項１９５】
請求項194の複数のバイタルサインを伝達する装置は、ここで、地域の顔面クラスタモジュールをさらに含む:ファジークラスタ。
【請求項１９６】
請求項194の複数のバイタルサインを伝達する装置は、前述の地域顔面クラスタモジュールをさらに含む:Kクラスタ。
【請求項１９７】
クレーム194の複数のバイタルサインを伝達する装置は、前述の地域の顔面クラスタモジュールがさらに含まれる:期待-最大化剤。
【請求項１９８】
クレーム194の複数のバイタルサインを伝達する装置は、前述の地域顔面クラスタモジュールをさらに含む:シードポイントベースのクラスタリング装置。
【請求項１９９】
appara9tusは、静時の心拍数がフォトプレチスモグラムセンサからのデータから推定されるクレーム194の複数のバイタルサインを伝えるため、呼吸数と心拍変動および血圧拡張性をデータから推定する。マイクロダイナミック光散乱センサーとフォトプレチスモグラムセンサー。
【請求項２００】
本装置は、さらに生物学的バイタルサインジェネレータに作動可能に結合され、複数のバイタルサインを不揮発性メモリに格納するように構成された記憶装置を含む請求項194の複数のバイタルサインを伝達する。
【請求項２０１】
クレーム194の複数のバイタルサインを伝える装置は、さらに黒体で再較正されず、さらに低ノイズ増幅器を含むデジタル赤外線センサを含み、低ノイズ増幅器が作動可能に結合されているアナログからデジタルへのコンバータ、アナログからデジタルへのコンバータは、デジタル信号プロセッサに動作的に結合され、デジタル信号プロセッサはパルス幅変調器に動作的に結合されています。
【請求項２０２】
本装置は、複数のバイタルサインがさらに血圧を含むクレーム194の複数のバイタルサインを伝達する。
【請求項２０３】
本装置は、複数のバイタルサインがさらに呼吸を含む請求項194の複数のバイタルサインを伝達する。
【請求項２０４】
本装置は、複数のバイタルサインがさらにパルスを含むクレーム194の複数のバイタルサインを伝達する。
【請求項２０５】
本装置は、請求項194の複数のバイタルサインを通信する装置であり、さらにマイクロプロセッサに作動可能に結合され、複数の画像をメモリを介してマイクロプロセッサに捕捉するように構成されたカメラを含む。
【請求項２０６】
マイクロプロセッサに動作的に結合されたデジタル赤外線センサを含む請求項194の複数のバイタルサインを通信する装置は、デジタル読み出しポートのみを有するデジタル赤外線センサ、デジタル赤外線センサアナログセンサーの読み出しポートを持たない、単一のセンサーを取り囲むファラデーケージ、中央処理装置および制御ブロックを含むデジタル赤外線センサー。
【請求項２０７】
請求項206の複数のバイタルサインを通信する装置は、さらに以下を含む。
ここで、マイクロプロセッサは、デジタル赤外線センサによって検出され、マイクロプロセッサが設定されている額の温度の赤外線信号を代表するデジタル信号をデジタル読み出しポートから受信するように構成されています。赤外線信号を代表するデジタル信号から複数のバイタルサインを推定する。
【請求項２０８】
請求項194の生物学的生命徴候をさらに含むを伝達する装置:
アナログからデジタルへのコンバータはありません。
【請求項２０９】
クレーム194の生物学的生命徴候を伝達する装置は、複数のバイタルサインがさらに血流を含み、生物学的バイタルサインジェネレータはさらに経時的に分析する血流分析モジュールを含む。複数の画像の皮膚における運動変化および色変化を識別するバリエーションは、血液の流れのパターンを生成する。
【請求項２１０】
クレーム209の複数のバイタルサインを伝える装置は、さらに、生物学的バイタルサインジェネレータに作動可能に結合され、作動可能に連結された血流表示モジュールを含む、ディスプレイ装置上の血液。
【請求項２１１】
生物学的バイタルサインがさらに心拍数を含むクレーム194の複数のバイタルサインを伝達する装置は、さらに時間変動を分析する心拍分析モジュールを含む。心拍数を生成する。
【請求項２１２】
心拍に対する周波数範囲における時間変動の周波数スペクトルから心拍数が発生するクレーム211の複数のバイタルサインを伝える装置。
【請求項２１３】
複数のバイタルサインを伝える装置 194 前記複数のバイタルサインは、さらに全ヘモグロビン(SpHb)、メテモグロビン(SpMet)、音響呼吸率(RRa)、カルボキシヘモグロビン(SpCO)および酸素予備量を含む。インデックス(ORi)
【請求項２１４】
無線通信サブシステムがインターネットプロトコルトンネルを介して送信するクレーム194の複数のバイタルサインを通信する装置。
【請求項２１５】
接続が確立され、複数のバイタルサインが無線通信サブシステムを介して複数のバイタルサインを通信するために装置から押し出されるクレーム194の複数のバイタルサインを通信する装置、その後、外部装置は、複数のバイタルサインと外部デバイスを通信する装置との間の少なくとも1つのバイタルサインの流れを制御し、ここで接続はさらに認証された通信チャネルを含む。
【請求項２１６】
請求項194の生物学的生命徴候を伝達する装置は、ここで、デジタル赤外線センサがさらにアナログからデジタルへのコンバータを含む。
【請求項２１７】
クレーム194の生物学的生命徴候を伝達する装置は、前述の無線通信サブシステムは、さらにd食べ物および時間の表現を伝達するように構成された構成要素を含む、オペレータ識別、患者複数のバイタルサインを伝える装置の識別、製造業者およびモデル番号。
【請求項２１８】
装置は、複数のバイタルサインを推定する装置であり、以下を含む。
マイクロプロセッサ;
マイクロプロセッサに動作的に結合されたフォトプレチスモグラムセンサーと、マイクロプロセッサに動作的に結合されたマイクロダイナミック光散乱センサを含むSPO2サブシステム。
マイクロプロセッサに動作的に結合されたバッテリ。
マイクロプロセッサに動作的に結合され、額の複数の画像をメモリにキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュールと、を生成する信号処理モジュールに作動可能に結合された生物学的重要な標識ジェネレータ時間変動からの額温度と、額の温度を複数のバイタルサインに相関させるメモリに格納されている複数のテーブルを参照して複数のバイタルサインを推定すること。
マイクロプロセッサに動作的に結合され、複数のバイタルサインの表現を送信するように構成された無線通信サブシステム。そして
複数のバイタルサインを表示するマイクロプロセッサに作動可能に結合された表示装置、
前に、本装置は、第2の装置によって知られているように、第2の装置によって検証され、第2の装置によって許可され、第2の装置に情報を転送するようにする。
【請求項２１９】
クレーム218の装置は、前述の信号処理モジュールが、複数の画像間の画素値の変動を増幅するようにさらに構成される。
【請求項２２０】
クレーム218の装置は、前述の信号処理モジュールが一時的処理を行うまでさらに構成される。
【請求項２２１】
請求項220の装置は、前述の時間処理がバンドパスフィルタである。
【請求項２２２】
請求項221の装置は、バンドパスフィルタが時間の経過とともに周波数を分析するように構成されている。
【請求項２２３】
請求項218の装置は、前述の信号処理を適用する空間処理を含む。
【請求項２２４】
無線通信サブシステムが短距離無線通信経路を介して送信する請求項218の装置。
【請求項２２５】
無線通信サブシステムがインターネットプロトコルトンネルを介して送信する請求項218の装置。
【請求項２２６】
この請求請求218の装置の装置218の装置の装置218の装置22によれば、その後、外部装置が無線に、その後、外部装置制御の装置制御図21。装置および外部装置は、前述の接続がさらに認証された通信チャネルを含む。
【請求項２２７】
請求項218の装置は、デジタル赤外線センサが更にアナログからデジタルへのコンバータを含む。
【請求項２２８】
請求項218の装置は、前述の無線通信サブシステムは、さらに、d食および時間、オペレータ識別、患者識別、製造業者およびモデル番号の表現を送信するように構成された構成要素を含む。装置。
【請求項２２９】
装置を含む:
マイクロプロセッサ;
マイクロプロセッサに動作的に結合されたバッテリ。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、複数のバイタルサインの表現を送信するように構成された無線通信サブシステム。そして
マイクロプロセッサに動作的に結合された表示装置、
マイクロプロセッサは、デジタル赤外線センサによって検出され、マイクロプロセッサが設定されている額の温度の赤外線信号を代表するデジタル信号をデジタル読み出しポートから受信するように構成されています。額の温度を複数のバイタルサインとマイクロプロセッサに相関させるメモリに格納されている複数のテーブルを参照して、赤外線信号を代表するデジタル信号から複数のバイタルサインを推定する複数の画像を受信するように構成され、画像の境界領域を除外するように画像をトリミングするように構成されたクロッパーモジュールを含む、複数のトリミングされた画像を生成し、マイクロプロセッサはまた、時間変動アンプを含む時間的変動を生成するように構成された複数のトリミングされた画像は、マイクロプロセッサも生物学的に生成するように構成された時間変動アンプに作動可能に結合された生物学的重要な標識ジェネレータを含む時間変動とマイクロプロセッサからのバイタルサインはまた、生物学的バイタルサインジェネレータに動作的に結合され、
前に、本装置は、第2の装置によって知られているように、第2の装置によって検証され、第2の装置によって許可され、第2の装置に情報を転送するようにする。
【請求項２３０】
クレーム229の装置は、前述の時間変動増幅器は、額の皮膚画素同定モジュールをさらに含む。
【請求項２３１】
クレーム229の装置は、前述の時間変動増幅器は、さらに局所的な顔面クラスタモジュールを含む。
【請求項２３２】
クレーム229の装置は、前述の時間変動増幅器が第1の周波数フィルタモジュールをさらに含む。
【請求項２３３】
静時の心拍数をフォトプレチスモグラムセンサーからのデータから推定する請求項229の装置、呼吸数と心拍変動および血圧拡張性は、マイクロダイナミック光散乱センサからのデータから推定され、フォトプレチスモグラムセンサー。
【請求項２３４】
請求項229の装置は、生物学的バイタルサインジェネレータに作動可能に結合され、複数のバイタルサインを格納するように構成された記憶装置をさらに含む。
【請求項２３５】
無線通信サブシステムが短距離無線通信経路を介して送信する請求項229の装置。
【請求項２３６】
無線通信サブシステムがインターネットプロトコルトンネルを介して送信する請求項229の装置。
【請求項２３７】
この請求請求229の装置229の装置の装置229の装置229の装置229の装置のなから、その図229は、その後、外部外部装置が無線に、その後、外部装置制御その他から、装置および外部装置は、前述の接続がさらに認証された通信チャネルを含む。
【請求項２３８】
請求項229の装置は、デジタル赤外線センサが更にアナログからデジタルへのコンバータを含む。
【請求項２３９】
請求項229の装置は、前述の無線通信サブシステムは、さらに、d食および時間、オペレータ識別、患者識別、製造業者およびモデル番号の表現を送信するように構成された構成要素を含む。装置。
【請求項２４０】
請求項229の装置はさらに含む:
ボタンがマイクロプロセッサに接続されていない。
【請求項２４１】
装置を含む:
以下を含む最初の回路基板:
最初のマイクロプロセッサ;
最初のマイクロプロセッサに動作的に結合され、少なくとも 1 つの重要な兆候の表現を送信するように構成されているワイヤレス通信サブシステム。
最初のマイクロプロセッサに動作的に結合されたバッテリ。そして
最初のマイクロプロセッサに動作的に結合された最初のデジタルインターフェイス。
スマートフォンの2番目の回路基板:
アナログからデジタルへのコンバータを持たない2番目のマイクロプロセッサに動作的に結合されたデジタル赤外線センサと、デジタル読み出しのみを備えたデジタル赤外線センサポート、単一のサーモパイルセンサー、中央処理装置および制御ブロックを取り囲むファラデーケージを含むデジタル赤外線センサー;
2 番目のデジタル インターフェイス、2番目のデジタル インターフェイスは、最初のデジタル インターフェイスに動作的に結合されます。そして
第2のマイクロプロセッサは、第2のデジタルインタフェースに作動可能に結合され、第2のマイクロプロセッサは、複数のバイタルサインを推定するように構成され、ここで、第2のマイクロプロセッサは、額の温度を決定するように構成されている。赤外線信号を代表する複数のデジタル読み出し信号を、額の温度を相関させるメモリに格納されている複数のテーブルを参照して額温度から複数のバイタルサインを推定する複数のバイタルサイン、および
デジタル赤外線センサと最初のマイクロプロセッサの間にはアナログ/デジタルコンバータが動作的に結合されていない場合、
前書は、無線通信サブシステムによって外部装置に接続され、複数のバイタルサインが無線通信サブシステムを介して装置から押し出され、その後、外部装置が制御する装置と外部装置との間の複数のバイタルサインは、前述の接続が認証された通信チャネルをさらに含む。
【請求項２４２】
請求項241の装置は、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項２４３】
請求項241の装置はさらに含む:アナログセンサ読み出しポートを有しないデジタル赤外線センサ。
【請求項２４４】
請求項241の装置はさらに含む:
第2のマイクロプロセッサに動作的に結合され、第2のマイクロプロセッサに複数の画像を提供するように構成されたカメラ。そして
2番目のマイクロプロセッサは、複数の画像を受信するように構成され、複数の画像の境界領域を除外するように複数の画像をトリミングするように構成されたクロッパーモジュールを含む、複数のトリミングされた画像を生成し、第2の、第2の画像マイクロプロセッサはまた、時間変動を生成するように構成された複数のトリミングされた画像の時間変動増幅器を含む、第2のマイクロプロセッサはまた、動作的に結合された生物学的重要標識発生器を含む時間変動と第2のマイクロプロセッサから生物学的に重要な兆候を生成するように構成された時間変動アンプも、生物学的バイタルサインジェネレータに作動可能に結合する。
【請求項２４５】
クレーム244の装置は、前述の時間変動増幅器は、さらに額の皮膚画素同定モジュールを含む。
【請求項２４６】
クレーム244の装置は、前述の時間変動増幅器は、さらに局所的な顔面クラスタモジュールを含む。
【請求項２４７】
クレーム244の装置は、前述の時間変動増幅器が第1の周波数フィルタモジュールをさらに含む。
【請求項２４８】
マイクロダイナミック光散乱センサからのデータから血圧収縮期を推定する請求項244の装置。
【請求項２４９】
請求項244の装置はさらに含む:
ここで、静時の心拍数は、フォトプレチスモグラムセンサーからのデータから推定され、呼吸数と心拍変動および血圧拡張子は、マイクロダイナミック光散乱センサとフォトプレチスモグラムセンサからのデータから推定される。.
【請求項２５０】
請求項244の装置は、生物学的バイタルサインジェネレータに作動可能に結合され、複数のバイタルサインを格納するように構成された記憶装置をさらに含む。
【請求項２５１】
無線通信サブシステムが短距離無線通信経路を介して送信する請求項241の装置。
【請求項２５２】
請求項241の装置は、本装置が第2の装置によって知られているように第2の装置によって検証され、第2の装置によって第2の装置によって許可され、第2の装置に情報を転送することを可能にする。
【請求項２５３】
無線通信サブシステムがインターネットプロトコルトンネルを介して送信する請求項241の装置。
【請求項２５４】
請求項241の装置は、デジタル赤外線センサが更にアナログからデジタルへのコンバータを含む。
【請求項２５５】
クレーム241の装置は、前述の無線通信サブシステムは、さらに、d食および時間、オペレータ識別、患者識別、製造業者およびモデル番号の表現を送信するように構成された構成要素を含む。装置。
複数のバイタルサインを推定する装置
【請求項２５６】
以下を含む装置である。
マイクロプロセッサ;
マイクロプロセッサに動作的に結合され、複数のバイタルサインの表現を送信するように構成された無線通信サブシステム。
マイクロプロセッサに動作的に結合されたバッテリ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
マイクロプロセッサは、デジタル赤外線センサによって検出され、マイクロプロセッサが設定されている額の温度の赤外線信号を代表するデジタル信号をデジタル読み出しポートから受信するように構成されています。額の温度を複数のバイタルサインに相関させるメモリに格納されている複数のテーブルを参照して赤外線信号を代表するデジタル信号から複数のバイタルサインを推定し、
前書は、無線通信サブシステムによって外部デバイスへの接続が確立され、複数のバイタルサインが無線通信サブシステムを介して装置から押し出され、その後、外部装置が流れを制御する。装置と外部装置との間の複数のバイタルサインは、前述の接続が認証された通信チャネルをさらに含む。
【請求項２５７】
請求項256の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項２５８】
請求項256の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項２５９】
請求項256の装置はさらに含む:アナログセンサ読み出しポートを有しないデジタル赤外線センサ。
【請求項２６０】
無線通信サブシステムが短距離無線通信経路を介して送信する請求項256の装置。
【請求項２６１】
請求項256の装置は、本装置が第2の装置によって知られているように第2の装置によって検証され、第2の装置によって第2の装置によって許可され、第2の装置に情報を転送することを可能にする。
【請求項２６２】
無線通信サブシステムがインターネットプロトコルトンネルを介して送信する請求項256の装置。
【請求項２６３】
請求項256の装置は、デジタル赤外線センサが更にアナログからデジタルへのコンバータを含む。
【請求項２６４】
請求項256の装置は、前述の無線通信サブシステムは、さらに、d食および時間、オペレータ識別、患者識別、製造業者およびモデル番号の表現を送信するように構成された構成要素を含む。装置。
複数のバイタルサインを推定する装置
【請求項２６５】
以下を含む装置である。
マイクロプロセッサ;
マイクロプロセッサに動作的に結合され、複数のバイタルサインの表現を送信するように構成された無線通信サブシステム。
マイクロプロセッサに動作的に結合されたバッテリ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
マイクロプロセッサは、デジタル赤外線センサによって検出され、マイクロプロセッサが設定されている額の温度の赤外線信号を代表するデジタル信号をデジタル読み出しポートから受信するように構成されています。額の温度を複数のバイタルサインに相関させるメモリに格納されている複数のテーブルを参照して赤外線信号を代表するデジタル信号から複数のバイタルサインを推定し、
前書は、無線通信サブシステムによって外部デバイスへの接続が確立され、複数のバイタルサインが無線通信サブシステムを介して装置から押し出され、その後、外部装置が流れを制御する。装置と外部装置との間の複数のバイタルサインは、前述の接続が認証された通信チャネルをさらに含む。
【請求項２６６】
請求項265の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項２６７】
請求項265の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項２６８】
請求項265の装置はさらに含む:
以下を含む最初の回路基板:
マイクロプロセッサ、マイクロプロセッサに動作的に結合されたバッテリ、ディスプレイデバイスとマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項２６９】
無線通信サブシステムが短距離無線通信経路を介して送信する請求項265の装置。
【請求項２７０】
請求項265の装置は、本装置が第2の装置によって知られているように第2の装置によって検証され、第2の装置によって第2の装置によって許可され、第2の装置に情報を転送することを可能にする。
【請求項２７１】
無線通信サブシステムがインターネットプロトコルトンネルを介して送信する請求項265の装置。
【請求項２７２】
請求項265の装置は、デジタル赤外線センサが更にアナログからデジタルへのコンバータを含む。
【請求項２７３】
請求項265の装置は、前述の無線通信サブシステムは、さらに、d食および時間、オペレータ識別、患者識別、製造業者およびモデル番号の表現を送信するように構成された構成要素を含む。装置。
【請求項２７４】
装置は、複数のバイタルサインを伝達する装置であり、その装置は、複数のバイタルサインを含む。
複数の画像を提供するように構成されたカメラ。そして
カメラに動作的に結合され、実行するようにプログラムされたマイクロプロセッサ:
額の複数の画像を受信するように構成され、画像の境界線領域を除外するために複数の画像のそれぞれをトリミングするように構成されたクロッパーモジュールは、複数のトリミングされた画像を生成します。
クロッパーモジュールに動作的に結合され、複数のトリミングされた画像の皮膚を代表するピクセル値を識別し、額の皮膚ピクセル識別モジュールの出力を得る額の皮膚ピクセル識別モジュール。
額の皮膚ピクセル識別モジュールに動作的に結合され、額の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。そして
時間変動から複数のバイタルサインを生成する時間変動識別子に作動可能に結合された生物学的バイタルサインジェネレータは、彼が最初に複数のバイタルサインのバイタルサインが複数に対して生成される。額の温度を複数のバイタルサインの最初のバイタルサインに相関させるメモリに格納されているテーブル。そして
生物学的バイタルサインジェネレータに動作的に結合された表示装置;
マイクロプロセッサに動作的に結合されるフォトプレチスモグラムセンサー。
マイクロプロセッサに動作的に結合されるマイクロダイナミックライト散乱センサー。そして
マイクロプロセッサに作動可能に結合され、複数のバイタルサインの表現を送信するように構成された無線通信サブシステム、
前書は、無線通信サブシステムによって外部装置に接続され、複数のバイタルサインが装置から押し出され、無線通信サブシステムを介して複数のバイタルサインを通信し、その後外部装置は、複数のバイタルサインと外部デバイスを通信する装置間の複数のバイタルサインの流れを制御し、ここで接続はさらに認証された通信チャネルを含む。
【請求項２７５】
請求項274の複数のバイタルサインを伝達する装置は、前述の地域顔面クラスタモジュールをさらに含む:ファジークラスタ。
【請求項２７６】
請求項274の複数のバイタルサインを伝達する装置は、前述の地域顔面クラスタモジュールをさらに含む:Kクラスタ。
【請求項２７７】
クレーム274の複数のバイタルサインを伝達する装置は、前述の地域顔面クラスタモジュールをさらに含む:期待-最大化剤。
【請求項２７８】
請求項274の複数のバイタルサインを伝達する装置は、前述の地域顔面クラスタモジュールをさらに含む:シードポイントベースのクラスタリング装置。
【請求項２７９】
静時の心拍数がフォトプレチスモグラムセンサからのデータから推定されるクレーム274の複数のバイタルサインを伝える装置は、呼吸数と心拍変動および血圧拡張性とから推定される。マイクロダイナミックライト散乱センサとフォトプレチスモグラムセンサー。
【請求項２８０】
請求項274の複数のバイタルサインを通信する装置は、さらに、生物学的バイタルサインジェネレータに作動可能に結合され、複数のバイタルサインを不揮発性メモリに格納するように構成された記憶装置を含む。
【請求項２８１】
クレーム274の複数のバイタルサインを伝える装置は、さらに黒体で再較正されず、さらに低ノイズ増幅器を含むデジタル赤外線センサを含み、低ノイズ増幅器が作動可能に結合されているアナログからデジタルへのコンバータ、アナログからデジタルへのコンバータは、デジタル信号プロセッサに動作的に結合され、デジタル信号プロセッサはパルス幅変調器に動作的に結合されています。
【請求項２８２】
本装置は、複数のバイタルサインがさらに血圧を含む請求項274の複数のバイタルサインを伝達する。
【請求項２８３】
本装置は、複数のバイタルサインがさらに呼吸を含む請求項274の複数のバイタルサインを伝達する。
【請求項２８４】
本装置は、複数のバイタルサインがさらにパルスを含む請求項274の複数のバイタルサインを伝達する。
【請求項２８５】
フォトプレチスモグラムセンサとマイクロダイナミック光散乱センサを含むSPO2サブシステムを含む請求項274の装置。
【請求項２８６】
マイクロプロセッサに動作的に結合されたデジタル赤外線センサを含む請求項274の複数のバイタルサインを通信する装置は、デジタル読み出しポートのみを有するデジタル赤外線センサ、デジタル赤外線センサアナログセンサーの読み出しポートを持たない、単一のサーモパイルセンサを取り囲むファラデーケージ、中央処理装置および制御ブロックを含むデジタル赤外線センサー。
【請求項２８７】
請求項274の複数のバイタルサインを通信する装置は、さらに以下を含む。
アナログからデジタルへのコンバータはありません。
【請求項２８８】
クレーム274の複数のバイタルサインを伝達する装置274は、複数のバイタルサインがさらに血流を含み、生物学的バイタルサインジェネレータは、さらに経時的に分析する血流分析モジュールを含む。複数の画像の皮膚における運動変化および色変化を識別するバリエーションは、血液の流れのパターンを生成する。
【請求項２８９】
クレーム288の複数のバイタルサインを伝える装置は、さらに、生物学的バイタルサインジェネレータに作動可能に結合され、作動可能に連結された血流表示モジュールを含む、ディスプレイ装置上の血液。
【請求項２９０】
クレーム274の複数のバイタルサインを伝達する装置274は、さらに複数のバイタルサインが心拍数を含み、生物学的バイタルサインジェネレータはさらに、時間的に分析する心拍数分析モジュールを含む。心拍数を生成するバリエーション。
【請求項２９１】
心拍に対する周波数範囲における時間変動の周波数スペクトルから心拍数が発生するクレーム290の複数のバイタルサインを伝える装置。
【請求項２９２】
複数のバイタルサインを伝える装置274は、複数のバイタルサインがさらに全ヘモグロビン(SpHb)、メテモグロビン(SpMet)、音響呼吸率(RRa)、カルボキシヘモグロビン(SpCO)および酸素予備量を含む。インデックス(ORi)
【請求項２９３】
クレーム274の複数のバイタルサインを伝える装置は、2番目の装置によって知られている第2の装置によって、第2の装置によって転送可能と同様に第2の装置によって検証される。第2の装置への情報。
【請求項２９４】
無線通信サブシステムがインターネットプロトコルトンネルを介して送信する請求項274の複数のバイタルサインを通信する装置。
【請求項２９５】
本装置は、請求項274の複数のバイタルサインを伝達し、ここで、デジタル赤外線センサは、さらにアナログからデジタルへのコンバータを含む。
【請求項２９６】
請求項274の複数のバイタルサインを通信する装置は、前述の無線通信サブシステムは、さらに、d食および時間の表現を伝達するように構成された構成要素を含む、オペレータ識別、患者複数のバイタルサインを伝える装置の識別、製造業者およびモデル番号。
【請求項２９７】
装置は、複数のバイタルサインを推定する装置で、以下を含む。
マイクロプロセッサ;
マイクロプロセッサに動作的に結合されたフォトプレチスモグラムセンサーと、マイクロプロセッサに動作的に結合されたマイクロダイナミック光散乱センサを含むSPO2サブシステム。
マイクロプロセッサに動作的に結合されたバッテリ。
マイクロプロセッサに動作的に結合され、複数の画像をメモリにキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュールと、で生成される信号処理モジュールに作動可能に結合された生物学的重要な標識ジェネレータ額の温度を複数のバイタルサインに相関させるメモリに格納されている複数のテーブルを参照して、時間変動から複数のバイタルサインの少なくとも1つ;そして
マイクロプロセッサに作動可能に結合され、複数のバイタルサインの表現を送信するように構成された無線通信サブシステム、
前書は、無線通信サブシステムによって外部デバイスへの接続が確立され、複数のバイタルサインが無線通信サブシステムを介して装置から押し出され、その後、外部装置が流れを制御する。装置と外部装置との間の複数のバイタルサインは、前述の接続が認証された通信チャネルをさらに含む。
【請求項２９８】
請求項297の装置は、前述の信号処理モジュールが、複数の画像間の画素値の変動を増幅するようにさらに構成される。
【請求項２９９】
クレーム297の装置は、前述の信号処理モジュールが一時的処理を行うまでさらに構成される。
【請求項３００】
請求項299の装置は、前述の時間処理がバンドパスフィルタである。
【請求項３０１】
請求項300の装置は、バンドパスフィルタが時間の経過とともに周波数を分析するように構成されている。
【請求項３０２】
請求項297の装置は、前述の信号処理を適用する空間処理を含む。
【請求項３０３】
無線通信サブシステムが短距離無線通信経路を介して送信する請求項297の装置。
【請求項３０４】
請求項297の装置は、本装置が第2の装置によって知られているように第2の装置によって検証され、第2の装置によって第2の装置によって許可され、第2の装置に情報を転送することを可能にする。
【請求項３０５】
無線通信サブシステムがインターネットプロトコルトンネルを介して送信する請求項297の装置。
【請求項３０６】
請求項297の装置は、デジタル赤外線センサが更にアナログからデジタルへのコンバータを含む。
【請求項３０７】
クレーム297の装置は、前述の無線通信サブシステムは、さらに、d食および時間、オペレータ識別、患者識別、製造業者およびモデル番号の表現を送信するように構成された構成要素を含む。装置。
【請求項３０８】
複数のバイタルサインを推定する装置、以下を含む装置を含む。
マイクロプロセッサ;
マイクロプロセッサに動作的に結合されたバッテリ。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、複数のバイタルサインの表現を送信するように構成された無線通信サブシステム。そして
マイクロプロセッサに動作的に結合された表示装置、
マイクロプロセッサは、デジタル赤外線センサによって検出され、マイクロプロセッサが設定されている額の温度の赤外線信号を代表するデジタル信号をデジタル読み出しポートから受信するように構成されています。額の温度を複数のバイタルサインとマイクロプロセッサに相関させるメモリに格納されている複数のテーブルを参照して、赤外線信号を代表するデジタル信号から複数のバイタルサインを推定する複数の画像を受信するように構成され、画像の境界領域を除外するように画像をトリミングするように構成されたクロッパーモジュールを含む、複数のトリミングされた画像を生成し、マイクロプロセッサはまた、時間変動アンプを含む時間的変動を生成するように構成された複数のトリミングされた画像は、マイクロプロセッサも生物学的に生成するように構成された時間変動アンプに作動可能に結合された生物学的重要な標識ジェネレータを含む時間変動とマイクロプロセッサからのバイタルサインはまた、生物学的バイタルサインジェネレータに動作的に結合され、
前書は、無線通信サブシステムによって外部装置に接続され、複数のバイタルサインが無線通信サブシステムを介して装置から押し出され、その後、外部装置が制御する装置と外部装置との間の複数のバイタルサインは、前述の接続が認証された通信チャネルをさらに含む。
【請求項３０９】
クレーム308の装置は、前述の時間変動増幅器が額の皮膚画素同定モジュールをさらに含む。
【請求項３１０】
クレーム308の装置は、前述の時間変動増幅器は、さらに局所的な顔面クラスタモジュールを含む。
【請求項３１１】
クレーム308の装置は、前述の時間変動増幅器が第1の周波数フィルタモジュールをさらに含む。
【請求項３１２】
静時の心拍数をフォトプレチスモグラムセンサーからのデータから推定する請求項308の装置、呼吸数と心拍変動および血圧拡張性は、マイクロダイナミック光散乱センサからのデータから推定され、フォトプレチスモグラムセンサー。
【請求項３１３】
請求項308の装置は、生物学的バイタルサインジェネレータに作動可能に結合され、複数のバイタルサインを格納するように構成された記憶装置をさらに含む。
【請求項３１４】
無線通信サブシステムが短距離無線通信経路を介して送信する請求項308の装置。
【請求項３１５】
請求項308の装置は、本装置が第2の装置によって知られているように第2の装置によって検証され、第2の装置によって第2の装置によって許可され、第2の装置に情報を転送することを可能にする。
【請求項３１６】
無線通信サブシステムがインターネットプロトコルトンネルを介して送信する請求項308の装置。
【請求項３１７】
請求項308の装置は、デジタル赤外線センサが更にアナログからデジタルへのコンバータを含む。
【請求項３１８】
クレーム308の装置は、前述の無線通信サブシステムは、さらに、d食および時間、オペレータ識別、患者識別、製造業者およびモデル番号の表現を送信するように構成された構成要素を含む。装置。
【請求項３１９】
請求項308の装置はさらに含む:
ボタンがマイクロプロセッサに接続されていない。
【請求項３２０】
装置:
以下を含む最初の回路基板:
デジタル読み出しポートのみを備えるデジタル赤外線センサー、単一のサーモパイルセンサーを取り囲むファラデーケージを含むデジタル赤外線センサ、中央処理装置、制御ブロック。そして
デジタル赤外線センサーに動作的に結合される最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
マイクロプロセッサは、第2のデジタルインタフェースに作動可能に結合され、複数のバイタルサインを推定するように構成されているマイクロプロセッサは、マイクロプロセッサが複数のデジタル読み出しから複数のバイタルサインを推定するように構成される額温度を複数のバイタルサインに相関させるメモリに格納されている複数のテーブルを参照して額温度の赤外線信号を代表する信号、
マイクロプロセッサに動作的に結合され、複数のバイタルサインの表現を送信するように構成された無線通信サブシステム。
デジタル赤外線センサとマイクロプロセッサの間にアナログ/デジタルコンバータが動作的に結合されていない場合、
デジタル赤外線センサは、さらにアナログからデジタルへのコンバータを備える。
【請求項３２１】
請求項320の装置は、さらに、さらに含む表示装置を含む:
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項３２２】
請求項320の装置はさらに含む:アナログセンサ読み出しポートを有しないデジタル赤外線センサ。
【請求項３２３】
請求項320の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間変動を生成するように構成された複数のトリミングされた画像の時間変動増幅器を含む、マイクロプロセッサはまた、時間変動アンプに動作的に結合された生物学的重要な符号発生器を含む時間変動から生物学的に重要な兆候を生成するように構成され、マイクロプロセッサも生物学的バイタルサインジェネレータに作動可能に結合される。
【請求項３２４】
クレーム323の装置は、前述の時間変動増幅器は、額の皮膚画素同定モジュールをさらに含む。
【請求項３２５】
クレーム323の装置は、前述の時間変動増幅器は、さらに局所的な顔面クラスタモジュールを含む。
【請求項３２６】
クレーム323の装置は、前述の時間変動増幅器が第1の周波数フィルタモジュールをさらに含む。
【請求項３２７】
請求項323の装置は、生物学的バイタルサインジェネレータに作動可能に結合され、揮発性メモリに生物学的バイタルサインを格納するように構成された記憶装置をさらに含む。
【請求項３２８】
請求項323の装置はさらに含む:
ここで、静時の心拍数は、フォトプレチスモグラムセンサーからのデータから推定され、呼吸数と心拍変動および血圧拡張子は、マイクロダイナミック光散乱センサとフォトプレチスモグラムセンサからのデータから推定される。.
【請求項３２９】
クレーム323の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサはパルス幅変調器に動作的に結合されています。
【請求項３３０】
無線通信サブシステムが短距離無線通信経路を介して送信する請求項320の装置。
【請求項３３１】
請求項320の装置は、本装置が第2の装置によって知られているように第2の装置によって検証され、第2の装置によって第2の装置によって許可され、第2の装置に情報を転送することを可能にする。
【請求項３３２】
この請求請求ファイル320の装置322の装置の装置322は、その請求請求請求322の装置にから、請求請求ヤ 、装置および外部装置は、前述の接続がさらに認証された通信チャネルを含む。
【請求項３３３】
請求項320の装置は、無線通信サブシステムがインターネットプロトコルトンネルを介して送信する。
【請求項３３４】
クレーム320の装置は、前述の無線通信サブシステムは、さらに、d食および時間、オペレータ識別、患者識別、製造業者およびモデル番号の表現を送信するように構成された構成要素を含む。装置。
【請求項３３５】
複数のバイタルサインを推定する装置、以下を含む装置である。
マイクロプロセッサ;
マイクロプロセッサに動作的に結合され、複数のバイタルサインの推定値の表現を送信するように構成された無線通信サブシステム。
マイクロプロセッサに動作的に結合されたバッテリ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
マイクロプロセッサは、デジタル赤外線センサによって検出され、マイクロプロセッサが構成される額表面温度の赤外線信号を代表するデジタル信号をデジタル読み出しポートから受信するように構成されています。額面温度を複数のバイタルサインに相関させるメモリに格納されている複数のテーブルを参照して赤外線信号を代表するデジタル信号から複数のバイタルサインを推定し、
デジタル赤外線センサは、さらにアナログからデジタルへのコンバータを備える。
【請求項３３６】
請求項335の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項３３７】
クレーム335の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項３３８】
請求項335の装置はさらに含む:アナログセンサ読み出しポートを持たないデジタル赤外線センサ。
【請求項３３９】
無線通信サブシステムが短距離無線通信経路を介して送信する請求項335の装置。
【請求項３４０】
請求項335の装置は、本装置が第2の装置によって知られているように第2の装置によって検証され、第2の装置によって第2の装置によって許可され、第2の装置に情報を転送することを可能にする。
【請求項３４１】
この主張335の装置335の装置の装置335の装置は、その請求請求335の装置に、その他に、外部装置が無線に、その後、外部装置の間から、その他に、その他に、その他から、装置および外部装置は、前述の接続がさらに認証された通信チャネルを含む。
【請求項３４２】
請求項335の装置は、無線通信サブシステムがインターネットプロトコルトンネルを介して送信する。
【請求項３４３】
クレーム335の装置は、前述の無線通信サブシステムは、さらに、d食および時間、オペレータ識別、患者識別、製造業者およびモデル番号の表現を送信するように構成された構成要素を含む。装置。
【請求項３４４】
装置は、複数のバイタルサインを推定する装置であり、その装置を含む。
マイクロプロセッサ;
マイクロプロセッサに動作的に結合され、複数のバイタルサインの推定値の表現を送信するように構成された無線通信サブシステム。
マイクロプロセッサに動作的に結合されたバッテリ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
マイクロプロセッサは、デジタル赤外線センサによって検出され、マイクロプロセッサが構成される額表面温度の赤外線信号を代表するデジタル信号をデジタル読み出しポートから受信するように構成されています。額面温度を複数のバイタルサインに相関させるメモリに格納されている複数のテーブルを参照して赤外線信号を代表するデジタル信号から複数のバイタルサインを推定し、
デジタル赤外線センサは、さらにアナログからデジタルへのコンバータを備える。
【請求項３４５】
請求項344の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項３４６】
クレーム344の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項３４７】
請求項344の装置はさらに含む:
以下を含む最初の回路基板:
マイクロプロセッサ、マイクロプロセッサに動作的に結合されたバッテリ、ディスプレイデバイスとマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項３４８】
無線通信サブシステムが短距離無線通信経路を介して送信する請求項344の装置。
【請求項３４９】
請求項344の装置は、本装置が第2の装置によって知られているように第2の装置によって検証され、第2の装置によって第2の装置によって許可され、第2の装置に情報を転送することを可能にする。
【請求項３５０】
この主張344の装置は、その他の請求項344の装置は、その他に、無線通り、無線通信用システムを介して装置から複数のバイタル標識を押加し、その後、外部装置が、その後、その間の複数のバイタル標識の流れを制御する。装置および外部装置は、前述の接続がさらに認証された通信チャネルを含む。
【請求項３５１】
請求項344の装置は、無線通信サブシステムがインターネットプロトコルトンネルを介して送信する。
【請求項３５２】
クレーム344の装置は、前述の無線通信サブシステムは、さらに、d食および時間、オペレータ識別、患者識別、製造業者およびモデル番号の表現を送信するように構成された構成要素を含む。装置。
【請求項３５３】
装置は、複数のバイタルサインを伝達する装置であり、その装置は、複数のバイタルサインを含む。
実行するようにプログラムされたマイクロプロセッサ:
複数の画像を受信するように構成され、複数の画像のそれぞれをトリミングして画像の境界線領域を除外するように構成されたクロッパーモジュールで、複数のトリミングされた画像を生成します。
クロッパーモジュールに動作的に結合され、複数のトリミングされた画像の皮膚を代表するピクセル値を識別し、額の皮膚ピクセル識別モジュールの出力を得る額の皮膚ピクセル識別モジュール。
額の皮膚ピクセル識別モジュールに動作的に結合され、額の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。そして
時間変動から生物学的バイタルサインを生成する時間変動識別子に作動可能に結合された生物学的バイタルサインジェネレータで、生物学的バイタルサインは額の温度であり、生物学的バイタルサインは、生物学的バイタルサインである額の温度を少なくとも 1 つの重要な記号に関連付けるメモリに格納されている複数のテーブルを参照して生成されます。そして
複数のバイタルサインを表示するように構成された生物学的バイタルサインジェネレータに動作的に結合された表示装置。
マイクロプロセッサに動作的に結合されたフォトプレチスモグラムセンサーと、マイクロプロセッサに動作的に結合されたマイクロダイナミック光散乱センサを含むSPO2サブシステム。そして
マイクロプロセッサに動作的に結合され、生物学的バイタルサインの表現を送信するように構成された無線通信サブシステム、
デジタル赤外線センサは、さらにアナログからデジタルへのコンバータを備える。
【請求項３５４】
クレーム353の複数のバイタルサインを伝達する装置は、前述の地域顔面クラスタモジュールをさらに含む:ファジークラスタ。
【請求項３５５】
クレーム353の複数のバイタルサインを伝達する装置は、前述の地域顔面クラスタモジュールをさらに含む:Kクラスタ。
【請求項３５６】
クレーム353の複数のバイタルサインを伝達する装置は、前述の地域顔面クラスタモジュールをさらに含む:期待-最大化剤。
【請求項３５７】
クレーム353の複数のバイタルサインを伝達する装置は、前述の地域顔面クラスタモジュールをさらに含む:シードポイントベースのクラスタリング装置。
【請求項３５８】
安静時の心拍数がフォトプレチスモグラムセンサーからのデータから推定されるクレーム353の複数のバイタルサインを伝える装置は、呼吸数と心拍変動および血圧拡張性と、からのデータから推定される。マイクロダイナミックライト散乱センサとフォトプレチスモグラムセンサー。
【請求項３５９】
請求項353の複数のバイタルサインを通信する装置は、さらに以下を含む。  
生物学的に重要なサインジェネレータに作動可能に結合され、不揮発性メモリに生物学的バイタルサインを格納するように構成されたストレージデバイス。
【請求項３６０】
請求項353の複数のバイタルサインを通信する装置は、さらに以下を含む。
生物学的バイタルサインジェネレータに作動可能に結合され、生物学的バイタルサインを別の装置に送信するように構成された記憶装置。
【請求項３６１】
本装置は、生物学的バイタルサインがさらに血圧を含む請求項353の複数のバイタルサインを伝達する。
【請求項３６２】
本装置は、生物学的バイタルサインがさらに呼吸を含む請求項353の複数のバイタルサインを伝達する。
【請求項３６３】
本装置は、請求項353の複数のバイタルサインを伝え、生物学的バイタルサインをさらにパルスを含む。
【請求項３６４】
請求項353の複数のバイタルサインを通信する装置は、さらにマイクロプロセッサに動作的に結合され、メモリを介してマイクロプロセッサに複数の画像をキャプチャするように構成されたカメラを含む。
【請求項３６５】
マイクロプロセッサに動作的に結合されたデジタル赤外線センサを含む請求353の複数のバイタルサインを通信する装置は、デジタル読み出しポートのみを有するデジタル赤外線センサ、デジタル赤外線センサアナログセンサーの読み出しポートを持たない、単一のサーモパイルセンサを取り囲むファラデーケージ、中央処理装置および制御ブロックを含むデジタル赤外線センサー。
【請求項３６６】
請求項365の複数のバイタルサインを通信する装置は、さらに以下を含む。
マイクロプロセッサは、デジタル赤外線センサによって検出され、マイクロプロセッサが設定されている額の温度の赤外線信号を代表するデジタル信号をデジタル読み出しポートから受信するように構成されています。額の温度を複数のバイタルサインに相関させるメモリに格納されたテーブルを参照して赤外線信号を代表するデジタル信号から複数のバイタルサインを推定する。
【請求項３６７】
請求項353の複数のバイタルサインを通信する装置は、さらに以下を含む。
アナログからデジタルへのコンバータはありません。
【請求項３６８】
生物学的バイタルサインがさらに血流を含むクレーム353の複数のバイタルサインを伝達する装置は、さらに時間的に分析する血流分析モジュールを含む。複数の画像の皮膚における運動変化および色変化を識別するバリエーションは、血液の流れのパターンを生成する。
【請求項３６９】
クレーム368の複数のバイタルサインを伝える装置は、さらに生物学的バイタルサインジェネレータに作動可能に結合され、作動可能に連結された血流表示モジュールを含む、ディスプレイ装置上の血液。
【請求項３７０】
生物学的バイタルサインがさらに心拍数を含むクレーム353の複数のバイタルサインを伝達する装置は、さらに時間変動を分析する心拍分析モジュールを含む。心拍数を生成する。
【請求項３７１】
心拍数が心拍の周波数範囲における時間変動の周波数スペクトルから生成される請求項370の複数のバイタルサインを伝える装置。
【請求項３７２】
複数のバイタルサインが更に全ヘモグロビン(SpHb)、メテモグロビン(SpMet)、音響呼吸率(RRa)、カルボキシヘモグロビン(SpCO)および酸素予備量を含むクレーム353の複数のバイタルサインを伝達する装置インデックス(ORi)
【請求項３７３】
クレーム353の複数のバイタルサインを伝える装置は、複数のバイタルサインを通信する装置が第2の装置によって知られているように第2の装置によって検証され、第2の装置によって転送が可能とされる。第2の装置への情報。
【請求項３７４】
接続が確立され、複数のバイタルサインが無線通信サブシステムを介して複数のバイタルサインを通信するために装置から押し出されるクレーム353の複数のバイタルサインを通信する装置、その後、外部装置は、複数のバイタルサインと外部デバイスを通信する装置との間の複数のバイタルサインの流れを制御し、ここで接続はさらに認証された通信チャネルを含む。
【請求項３７５】
本装置は、請求項353の複数のバイタルサインを通信し、ここで無線通信サブシステムがインターネットプロトコルトンネルを介して送信する。
【請求項３７６】
請求項353の複数のバイタルサインを通信する装置は、前述の無線通信サブシステムは、さらに、d食と時間の表現を伝達するように構成された構成要素を含む、オペレータ識別、患者複数のバイタルサインを伝える装置の識別、製造業者およびモデル番号。
【請求項３７７】
装置は、複数のバイタルサインを推定する装置であり、その装置を含む。
マイクロプロセッサ;
マイクロプロセッサに動作的に結合されたフォトプレチスモグラムセンサーと、マイクロプロセッサに動作的に結合されたマイクロダイナミック光散乱センサを含むSPO2サブシステム。
マイクロプロセッサに動作的に結合されたバッテリ。
マイクロプロセッサに動作的に結合され、複数の画像をメモリにキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュールと、生成する信号処理モジュールに作動可能に結合された生物学的重要な標識ジェネレータ時間的変動からの人間の重要な徴候;
マイクロプロセッサに動作的に結合され、人間のバイタルサインの表現を送信するように構成された無線通信サブシステム、
デジタル赤外線センサは、アナログからデジタルへのコンバータをさらに備えています。そして
人間のバイタルサインを表示するマイクロプロセッサに動作的に結合された表示装置。
【請求項３７８】
請求項377の装置は、前述の信号処理モジュールが、複数の画像間の画素値の変動を増幅するようにさらに構成される。
【請求項３７９】
クレーム377の装置は、前述の信号処理モジュールが一時的処理を行うまでさらに構成される。
【請求項３８０】
請求項379の装置は、前述の時間処理がバンドパスフィルタである。
【請求項３８１】
請求項380の装置は、バンドパスフィルタが時間の経過とともに周波数を分析するように構成されている。
【請求項３８２】
請求項377の装置は、前述の信号処理を適用する空間処理を含む。
【請求項３８３】
無線通信サブシステムが短距離無線通信経路を介して送信する請求項377の装置。
【請求項３８４】
請求項377の装置は、本装置が第2の装置によって知られているように第2の装置によって検証され、第2の装置によって第2の装置によって許可され、第2の装置に情報を転送することを可能にする。
【請求項３８５】
この請求請求377の装置377の装置の装置は、その請求請求の装置377は、その請求請求の装置377は、その後、無線に、装置および外部装置は、前述の接続がさらに認証された通信チャネルを含む。
【請求項３８６】
請求項377の装置は、無線通信サブシステムがインターネットプロトコルトンネルを介して送信する。
【請求項３８７】
クレーム377の装置は、前述の無線通信サブシステムは、さらに、d食および時間、オペレータ識別、患者識別、製造業者およびモデル番号の表現を送信するように構成された構成要素を含む。装置。
【請求項３８８】
複数の生物学的バイタルサインを推定する装置、以下を含む装置を含む。
マイクロプロセッサ;
マイクロプロセッサに動作的に結合されたバッテリ。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに作動可能に結合され、複数の生物学的バイタルサインの表現を送信するように構成された無線通信サブシステム、
デジタル赤外線センサは、アナログからデジタルへのコンバータをさらに備えています。そして
マイクロプロセッサに動作的に結合された表示装置、
マイクロプロセッサは、デジタル赤外線センサによって検出され、マイクロプロセッサが設定されている額の温度の赤外線信号を代表するデジタル信号をデジタル読み出しポートから受信するように構成されています。額の温度を複数の生物学的バイタルサインに相関させるメモリに格納されている複数のテーブルを参照して赤外線信号を代表するデジタル信号から複数の生物学的バイタルサインを推定する複数の画像を受信するように構成され、画像の境界領域を除外するように画像をトリミングするように構成されたクロッパーモジュールを含むマイクロプロセッサとは、複数のトリミングされた画像を生成し、マイクロプロセッサも含む時間変動を生成するように構成された複数のトリミングされた画像の時間変動増幅器は、マイクロプロセッサはまた、時間変動アンプに動作的に結合された生物学的重要な標識ジェネレータを含む時間変動から生物学的に重要な兆候を生成するように構成され、マイクロプロセッサも生物学的バイタルサインジェネレータに作動可能に結合される。
【請求項３８９】
クレーム388の装置は、前述の時間変動増幅器は、さらに額の皮膚画素同定モジュールを含む。
【請求項３９０】
クレーム388の装置は、前述の時間変動増幅器は、さらに局所的な顔面クラスタモジュールを含む。
【請求項３９１】
クレーム388の装置は、前述の時間変動増幅器が第1の周波数フィルタモジュールをさらに含む。
【請求項３９２】
静時の心拍数をフォトプレチスモグラムセンサーからのデータから推定する請求項388の装置、呼吸数と心拍変動および血圧拡張性は、マイクロダイナミック光散乱センサからのデータから推定され、フォトプレチスモグラムセンサー。
【請求項３９３】
クレーム388の装置は、さらに黒体で再校正されず、さらに低ノイズ増幅器を含むデジタル赤外線センサを含み、低ノイズ増幅器がアナログからデジタルコンバータに動作的に結合され、アナログからデジタルへのコンバータは、デジタル信号プロセッサに動作的に結合され、デジタル信号プロセッサはパルス幅変調器に動作的に結合されています。
【請求項３９４】
無線通信サブシステムが短距離無線通信経路を介して送信する請求項388の装置。
【請求項３９５】
請求項388の装置は、本装置が第2の装置によって知られているように第2の装置によって検証され、第2の装置によって第2の装置によって許可され、第2の装置に情報を転送することを可能にする。
【請求項３９６】
クレーム388の装置は、接続が確立され、生物学的バイタルサインが無線通信サブシステムを介して装置から押し出され、その後、外部装置が複数の生物学的バイタルサインの流れを制御する。装置と外部装置との間には、前に接続がさらに認証された通信チャネルを含む。
【請求項３９７】
請求項388の装置は、無線通信サブシステムがインターネットプロトコルトンネルを介して送信する。
【請求項３９８】
クレーム388の装置は、前述の無線通信サブシステムは、さらに、d食および時間、オペレータ識別、患者識別、製造業者およびモデル番号の表現を送信するように構成された構成要素を含む。装置。
【請求項３９９】
請求項388の装置はさらに含む:
ボタンがマイクロプロセッサに接続されていない。
【請求項４００】
装置を含む:
以下を含む最初の回路基板:
最初のマイクロプロセッサ;
最初のマイクロプロセッサに動作的に結合されたバッテリ。
アナログからデジタルへのコンバータを持たない最初のマイクロプロセッサに動作的に結合されたデジタル赤外線センサと、デジタル読み出しのみを備えたデジタル赤外線センサポート、単一のサーモパイルセンサー、中央処理装置および制御ブロックを取り囲むファラデーケージを含むデジタル赤外線センサー;そして
最初のマイクロプロセッサに動作的に結合された最初のデジタルインターフェイス。そして
スマートフォンの2番目の回路基板:
2 番目のデジタル インターフェイス、2番目のデジタル インターフェイスは、最初のデジタル インターフェイスに動作的に結合されます。
第2のマイクロプロセッサは、第2のデジタルインタフェースに作動的に結合され、第2のマイクロプロセッサは、複数のバイタルサインを推定するように構成され、ここで、第2のマイクロプロセッサは、複数から複数のバイタルサインを推定するように構成される。額の温度を複数のバイタルサインに相関させるメモリに格納されている複数のテーブルを参照して額温度の赤外線信号を代表するデジタル読み出し信号の、
2 番目のマイクロプロセッサに動作的に結合され、少なくとも1 つの重要な兆候の表現を送信するように構成されているワイヤレス通信サブシステム。
デジタル赤外線センサと最初のマイクロプロセッサの間にはアナログ/デジタルコンバータが動作的に結合されていない場合、
前に、無線通信サブシステムは、さらに、装置のdateおよび時間、オペレータ識別、患者識別、製造業者およびモデル番号の表現を送信するように構成された構成要素を含む。
【請求項４０１】
請求項400の装置は、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項４０２】
請求項400の装置はさらに含む:アナログセンサ読み出しポートを有しないデジタル赤外線センサ。
【請求項４０３】
請求項400の装置はさらに含む:
第2のマイクロプロセッサに動作的に結合され、第2のマイクロプロセッサに複数の画像を提供するように構成されたカメラ。そして
2番目のマイクロプロセッサは、複数の画像を受信するように構成され、複数の画像の境界領域を除外するように複数の画像をトリミングするように構成されたクロッパーモジュールを含む、複数のトリミングされた画像を生成し、第2の、第2の画像マイクロプロセッサはまた、時間変動を生成するように構成された複数のトリミングされた画像の時間変動増幅器を含む、第2のマイクロプロセッサはまた、動作的に結合された生物学的重要標識発生器を含む時間変動と第2のマイクロプロセッサから生物学的に重要な兆候を生成するように構成された時間変動アンプも、生物学的バイタルサインジェネレータに作動可能に結合する。
【請求項４０４】
請求項403の装置は、前述の時間変動増幅器が額の皮膚画素同定モジュールをさらに含む。
【請求項４０５】
クレーム403の装置は、前述の時間変動増幅器は、さらに局所的な顔面クラスタモジュールを含む。
【請求項４０６】
請求項403の装置は、前述の時間変動増幅器が第1の周波数フィルタモジュールをさらに含む。
【請求項４０７】
静時の心拍数をフォトプレチスモグラムセンサーからのデータから推定する請求項403の装置、呼吸数と心拍変動および血圧拡張性は、マイクロダイナミック光散乱センサからのデータから推定され、フォトプレチスモグラムセンサー。
【請求項４０８】
請求項403の装置はさらに含む:
ここで、静時の心拍数は、フォトプレチスモグラムセンサーからのデータから推定され、呼吸数と心拍変動および血圧拡張子は、マイクロダイナミック光散乱センサとフォトプレチスモグラムセンサからのデータから推定される。.
【請求項４０９】
請求項403の装置は、生物学的バイタルサインジェネレータに作動可能に結合され、複数のバイタルサインを格納するように構成された記憶装置をさらに含む。
【請求項４１０】
無線通信サブシステムが短距離無線通信経路を介して送信する請求項400の装置。
【請求項４１１】
前の請求項400の装置は、本装置が第2の装置によって知られているように第2の装置によって検証され、第2の装置によって第2の装置によって許可され、第2の装置に情報を転送するようにする。
【請求項４１２】
この主張400の装置は、かつその他の請求項400の装置は、無線通信用下システムを介して装置から複数のバイタルサインを押し、その後、外部装置が、その後、その間の複数のバイタル標識の流れを制御する。装置および外部装置は、前述の接続がさらに認証された通信チャネルを含む。
【請求項４１３】
請求項400の装置は、デジタル赤外線センサをさらにアナログからデジタルへのコンバータを含む。
【請求項４１４】
クレーム400の装置は、無線通信サブシステムがインターネットプロトコルトンネルを介して送信する。
【請求項４１５】
装置は、複数のバイタルサインを推定する装置であり、その装置を含む。
マイクロプロセッサ;
マイクロプロセッサに動作的に結合され、複数のバイタルサインの表現を送信するように構成された無線通信サブシステム。
マイクロプロセッサに動作的に結合されたバッテリ。
マイクロプロセッサに動作的に結合され、マイクロプロセッサに複数の画像を提供するように構成されたカメラ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
マイクロプロセッサは、デジタル赤外線センサによって検出され、マイクロプロセッサが設定されている額の温度の赤外線信号を代表するデジタル信号をデジタル読み出しポートから受信するように構成されています。赤外線信号を代表するデジタル信号から複数のバイタルサインを推定し、
前に、無線通信サブシステムは、さらに、装置のdateおよび時間、オペレータ識別、患者識別、製造業者およびモデル番号の表現を送信するように構成された構成要素を含む。
【請求項４１６】
請求項415の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項４１７】
クレーム415の装置は、マイクロプロセッサをさらに、複数の画像の画素値を調知するように構成された画素検査モジュールを含む、時間変動モジュールとの間の画素値の時間変動を決定する時間変動モジュールである。特定の閾値を下回る複数の画像、増幅時間変動をもたらす時間変動を増幅するように構成された信号処理モジュール、及びビジュヤライザーが中の血液の流れのパターンを可視化する複数の画像における増幅時間変動。
【請求項４１８】
請求項415の装置はさらに含む:アナログセンサ読み出しポートを有しないデジタル赤外線センサ。
【請求項４１９】
無線通信サブシステムが短距離無線通信経路を介して送信する請求項415の装置。
【請求項４２０】
請求項415の装置は、本装置が第2の装置によって知られているように第2の装置によって検証され、第2の装置によって第2の装置によって許可され、第2の装置に情報を転送することを可能にする。
【請求項４２１】
この主張415の装置の装置415は、その他の請求項415の装置は、その他に、外部装置が無線通り、その後、外部装置の間の複数のバイタル標識の流れを制御する。装置および外部装置は、前述の接続がさらに認証された通信チャネルを含む。
【請求項４２２】
請求項415の装置は、デジタル赤外線センサをさらにアナログからデジタルへのコンバータを含む。
【請求項４２３】
請求項415の装置は、無線通信サブシステムがインターネットプロトコルトンネルを介して送信する。
複数のバイタルサインを推定する装置
【請求項４２４】
以下を含む装置である。
マイクロプロセッサ;
マイクロプロセッサに動作的に結合され、複数のバイタルサインの表現を送信するように構成された無線通信サブシステム。
マイクロプロセッサに動作的に結合されたバッテリ。
マイクロプロセッサに動作的に結合され、マイクロプロセッサに複数の画像を提供するように構成されたカメラ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
マイクロプロセッサは、デジタル赤外線センサによって検出され、マイクロプロセッサが設定されている額の温度の赤外線信号を代表するデジタル信号をデジタル読み出しポートから受信するように構成されています。赤外線信号を代表するデジタル信号から複数のバイタルサインを推定し、
前に、無線通信サブシステムは、さらに、装置のdateおよび時間、オペレータ識別、患者識別、製造業者およびモデル番号の表現を送信するように構成された構成要素を含む。
【請求項４２５】
請求項424の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項４２６】
クレーム424の装置は、マイクロプロセッサをさらに、複数の画像の画素値を調知するように構成された画素検査モジュールを含むマイクロプロセッサ、との間の画素値の時間変動を決定する時間変動モジュールである。特定の閾値を下回る複数の画像、増幅時間変動をもたらす時間変動を増幅するように構成された信号処理モジュール、及びビジュヤライザーが中の血液の流れのパターンを可視化する複数の画像における増幅時間変動。
【請求項４２７】
請求項424の装置はさらに含む:
以下を含む最初の回路基板:
マイクロプロセッサ、マイクロプロセッサに動作的に結合されたバッテリ、表示装置およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項４２８】
無線通信サブシステムが短距離無線通信経路を介して送信する請求項424の装置。
【請求項４２９】
請求項424の装置は、本装置が第2の装置によって知られているように第2の装置によって検証され、第2の装置によって第2の装置によって許可され、第2の装置に情報を転送することを可能にする。
【請求項４３０】
424の請求項424の装置は、その他に、無線通信用システムを介して装置から複数のバイタルサインが押し込まれ、その後、外部装置が、その後、複数のバイタルサインの流れを制御する。装置および外部装置は、前述の接続がさらに認証された通信チャネルを含む。
【請求項４３１】
請求項424の装置は、デジタル赤外線センサが更にアナログからデジタルへのコンバータを含む。
【請求項４３２】
請求項424の装置は、無線通信サブシステムがインターネットプロトコルトンネルを介して送信する。
【請求項４３３】
装置は、複数のバイタルサインを伝達する装置であり、その装置は、複数のバイタルサインを含む。
実行するようにプログラムされたマイクロプロセッサ:
複数の画像を受信するように構成され、複数の画像のそれぞれをトリミングして画像の境界線領域を除外するように構成されたクロッパーモジュールで、複数のトリミングされた画像を生成します。
クロッパーモジュールに動作的に結合され、複数のトリミングされた画像の皮膚を代表するピクセル値を識別し、額の皮膚ピクセル識別モジュールの出力を得る額の皮膚ピクセル識別モジュール。
額の皮膚ピクセル識別モジュールに動作的に結合され、額の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。
時間変動から推定額温度を生成する時間変動識別子に作動可能に結合された生物学的バイタルサインジェネレータで、生物学的バイタルサインは少なくとも1つのバイタルサインであり、複数のバイタルサインである標識は、推定額の温度を複数のバイタルサインに関連付けるメモリに格納されている複数のテーブルを参照して推定されます。そして
生物学的バイタルサインを表示するように構成された生物学的バイタルサインジェネレータに動作的に結合された表示装置。
マイクロプロセッサに動作的に結合されたフォトプレチスモグラムセンサーと、マイクロプロセッサに動作的に結合されたマイクロダイナミック光散乱センサを含むSPO2サブシステム。そして
マイクロプロセッサに動作的に結合され、生物学的バイタルサインの表現を送信するように構成された無線通信サブシステム、
前に無線通信サブシステムは、さらに、通信する装置のd ateおよび時間、オペレータ識別、患者識別、製造業者およびモデル番号の表現を送信するように構成されたコンポーネントを含む複数のバイタルサイン.
【請求項４３４】
請求項433の複数のバイタルサインを伝達する装置は、前述の地域顔面クラスタモジュールをさらに含む:ファジークラスタ。
【請求項４３５】
請求項433の複数のバイタルサインを伝達する装置は、前述の地域顔面クラスタモジュールをさらに含む:Kクラスタ。
【請求項４３６】
請求項433の複数のバイタルサインを伝達する装置は、前述の地域顔面クラスタモジュールをさらに含む:期待-最大化剤。
【請求項４３７】
請求項433の複数のバイタルサインを伝える装置は、前述の地域顔面クラスタモジュールをさらに含む:シードポイントベースのクラスタリング装置。
【請求項４３８】
請求項433の複数のバイタルサインを通信する装置は、生物学的バイタルサインジェネレータに作動可能に結合され、揮発性メモリに生物学的バイタルサインを格納するように構成された記憶装置をさらに含む。
【請求項４３９】
請求項433の複数のバイタルサインを通信する装置は、生物学的バイタルサインジェネレータに作動可能に結合され、生物学的バイタルサインを不揮発性メモリに格納するように構成された記憶装置をさらに含む。
【請求項４４０】
本装置は、さらに生物学的バイタルサインジェネレータに作動可能に結合され、複数のバイタルサインを格納するように構成された記憶装置を含む請求項433の複数のバイタルサインを伝達する。
【請求項４４１】
生物学的バイタルサインがさらに血圧を含むクレーム433の複数のバイタルサインを伝達する装置。
【請求項４４２】
本装置は、生物学的バイタルサインがさらに呼吸を含む請求項433の複数のバイタルサインを伝達する。
【請求項４４３】
本装置は、生物学的バイタルサインがさらにパルスを含む、請求項433の複数のバイタルサインを伝達する。
【請求項４４４】
請求項433の複数のバイタルサインを通信する装置は、さらにマイクロプロセッサに動作的に結合され、メモリを介してマイクロプロセッサに複数の画像をキャプチャするように構成されたカメラを含む。
【請求項４４５】
マイクロプロセッサに動作的に結合されたデジタル赤外線センサを含む請求項433の複数のバイタルサインを通信する装置は、デジタル読み出しポートのみを有するデジタル赤外線センサ、デジタル赤外線センサアナログセンサーの読み出しポートを持たない、単一のサーモパイルセンサを取り囲むファラデーケージ、中央処理装置および制御ブロックを含むデジタル赤外線センサー。
【請求項４４６】
請求項445の複数のバイタルサインを通信する装置は、さらに以下を含む。
前述のマイクロプロセッサは、デジタル赤外線センサによって検出される推定額温度の赤外線信号を代表するデジタル信号をデジタル読み出しポートから受信するように構成され、マイクロプロセッサは、赤外線信号を代表するデジタル信号から複数のバイタルサインを推定するように構成される。
【請求項４４７】
請求項433の複数のバイタルサインを通信する装置は、さらに以下を含む。
アナログからデジタルへのコンバータはありません。
【請求項４４８】
生物学的バイタルサインがさらに血流を含むクレーム433の複数のバイタルサインを伝達する装置は、さらに時間的に分析する血流分析モジュールを含む。複数の画像の皮膚における運動変化および色変化を識別するバリエーションは、血液の流れのパターンを生成する。
【請求項４４９】
クレーム448の複数のバイタルサインを伝える装置は、さらに生物学的バイタルサインジェネレータに作動可能に結合され、作動可能に連結された血流表示モジュールを含む、ディスプレイ装置上の血液。
【請求項４５０】
生物学的バイタルサインがさらに心拍数を含むクレーム433の複数のバイタルサインを伝達する装置は、さらに時間変動を分析する心拍分析モジュールを含む。心拍数を生成する。
【請求項４５１】
心拍数が心拍の周波数範囲における時間変動の周波数スペクトルから生成される前記項450の複数のバイタルサインを伝える装置。
【請求項４５２】
複数のバイタルサインが更に全ヘモグロビン(SpHb)、メテモグロビン(SpMet)、音響呼吸率(RRa)、カルボキシヘモグロビン(SpCO)および酸素予備を含む請求項433の複数のバイタルサインを伝達する装置インデックス(ORi)
【請求項４５３】
クレーム433の複数のバイタルサインを伝える装置は、前述のバイタルサインを通信する装置が第2の装置によって知られているように第2の装置によって検証され、第2の装置によって転送が可能とされる。第2の装置への情報。
【請求項４５４】
接続が確立され、複数のバイタルサインが無線通信サブシステムを介して複数のバイタルサインを通信するために装置から押し出されるクレーム433の複数のバイタルサインを通信する装置、その後、外部装置は、複数のバイタルサインと外部デバイスを通信する装置との間の複数のバイタルサインの流れを制御し、ここで接続はさらに認証された通信チャネルを含む。
【請求項４５５】
本装置は、請求項433の複数のバイタルサインを伝達し、ここで、デジタル赤外線センサは、さらにアナログからデジタルへのコンバータを含む。
【請求項４５６】
本装置は、請求項433の複数のバイタルサインを通信し、ここで無線通信サブシステムがインターネットプロトコルトンネルを介して送信する。
【請求項４５７】
装置は、少なくとも1つのバイタルサインを推定する装置、を含む装置:
マイクロプロセッサ;
マイクロプロセッサに動作的に結合されたフォトプレチスモグラムセンサーと、マイクロプロセッサに動作的に結合されたマイクロダイナミック光散乱センサを含むSPO2サブシステム。
マイクロプロセッサに動作的に結合されたバッテリ。
マイクロプロセッサに動作的に結合され、複数の画像をメモリにキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュールと、を生成する信号処理モジュールに作動可能に結合された生物学的重要な標識ジェネレータ推定額の温度を推定された少なくとも1つのバイタルサインに関連付けるメモリに格納されている複数のテーブルを参照して、時間変動から少なくとも1つの重要な兆候を推定します。
マイクロプロセッサに動作的に結合され、推定される少なくとも 1 つの重要な兆候の表現を送信するように構成されているワイヤレス通信サブシステム。そして
推定された少なくとも1つの重要な兆候を表示するマイクロプロセッサに動作的に結合された表示装置、
前に、無線通信サブシステムは、さらに、装置のdateおよび時間、オペレータ識別、患者識別、製造業者およびモデル番号の表現を送信するように構成された構成要素を含む。
【請求項４５８】
請求項457の装置は、前述の信号処理モジュールが、複数の画像間の画素値の変動を増幅するようにさらに構成される。
【請求項４５９】
クレーム457の装置は、前述の信号処理モジュールが一時的処理を行うまでさらに構成される。
【請求項４６０】
請求項459の装置は、前述の時間処理がバンドパスフィルタである。
【請求項４６１】
請求項460の装置は、バンドパスフィルタが時間の経過とともに周波数を分析するように構成されている。
【請求項４６２】
請求項457の装置は、前述の信号処理を適用する空間処理を含む。
【請求項４６３】
無線通信サブシステムが短距離無線通信経路を介して送信する請求項457の装置。
【請求項４６４】
請求項457の装置は、本装置が第2の装置によって知られているように第2の装置によって検証され、第2の装置によって第2の装置によって許可され、第2の装置に情報を転送することを可能にする。
【請求項４６５】
クレーム457の装置は、接続が確立され、推定された少なくとも1つのバイタルサインが無線通信サブシステムを介して装置から押し出され、その後、外部装置が装置間のデータの流れを制御し、外部デバイスは、前述の接続が認証された通信チャネルをさらに含む。
【請求項４６６】
請求項457の装置は、デジタル赤外線センサが更にアナログからデジタルへのコンバータを含む。
【請求項４６７】
請求項457の装置は、無線通信サブシステムがインターネットプロトコルトンネルを介して送信する。
生物学的生命徴候を推定する
【請求項４６８】
装置は、以下を含む。
マイクロプロセッサ;
マイクロプロセッサに動作的に結合されたバッテリ。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、生物学的バイタルサインの表現を送信するように構成された無線通信サブシステム。そして
マイクロプロセッサに動作的に結合された表示装置、
マイクロプロセッサは、デジタル赤外線センサによって検出され、マイクロプロセッサが設定されている額の温度の赤外線信号を代表するデジタル信号をデジタル読み出しポートから受信するように構成されています。額の温度を生物学的バイタルサインとマイクロプロセッサに相関させるメモリに格納されている複数のテーブルを参照して、赤外線信号を代表するデジタル信号からの生物学的バイタルサインを推定する複数の画像を受信するように構成され、画像の境界領域を除外するように画像をトリミングするように構成されたクロッパーモジュールを含む、複数のトリミングされた画像を生成し、マイクロプロセッサはまた、時間変動アンプを含む時間的変動を生成するように構成された複数のトリミングされた画像は、マイクロプロセッサも生物学的に生成するように構成された時間変動アンプに作動可能に結合された生物学的重要な標識ジェネレータを含む時間変動とマイクロプロセッサからのバイタルサインはまた、生物学的バイタルサインジェネレータに動作的に結合され、
前に、無線通信サブシステムは、さらに、装置のdateおよび時間、オペレータ識別、患者識別、製造業者およびモデル番号の表現を送信するように構成された構成要素を含む。
【請求項４６９】
クレーム468の装置は、前述の時間変動増幅器は、額の皮膚画素同定モジュールをさらに含む。
【請求項４７０】
クレーム468の装置は、前述の時間変動増幅器は、さらに局所的な顔面クラスタモジュールを含む。
【請求項４７１】
請求項468の装置は、前述の時間変動増幅器が第1の周波数フィルタモジュールをさらに含む。
【請求項４７２】
静時の心拍数をフォトプレチスモグラムセンサーからのデータから推定する請求項468の装置、呼吸数と心拍変動および血圧拡張性は、マイクロダイナミック光散乱センサからのデータから推定され、フォトプレチスモグラムセンサー。
【請求項４７３】
請求項468の装置は、生物学的バイタルサインジェネレータに作動可能に結合され、生物学的バイタルサインを格納するように構成された記憶装置をさらに含む。
【請求項４７４】
無線通信サブシステムが短距離無線通信経路を介して送信する請求項468の装置。
【請求項４７５】
請求項468の装置は、本装置が第2の装置によって知られているように第2の装置によって検証され、第2の装置によって第2の装置によって許可され、第2の装置に情報を転送することを可能にする。
【請求項４７６】
クレーム468の装置は、接続が確立され、無線通信サブシステムを介して装置からデータが押し込まれ、その後、外部装置が装置と外部装置との間のデータの流れを制御し、前述接続は、さらに認証された通信チャネルを含みます。
【請求項４７７】
請求項468の装置は、デジタル赤外線センサが更にアナログからデジタルへのコンバータを含む。
【請求項４７８】
請求項468の装置は、無線通信サブシステムがインターネットプロトコルトンネルを介して送信する。
【請求項４７９】
請求項468の装置はさらに含む:
ボタンがマイクロプロセッサに接続されていない。
【請求項４８０】
装置は、複数のバイタルサインを推定する装置であり、以下を含む。
マイクロプロセッサ;そして
マイクロプロセッサに動作的に結合されたデジタル赤外線センサ、単一のサーモパイルセンサを取り囲むファラデーケージを含むデジタル赤外線センサ、中央処理装置および制御ブロック、
マイクロプロセッサは、デジタル赤外線センサから受信するように構成され、デジタル赤外線センサによって検出され、マイクロプロセッサが、額の温度の赤外線信号を代表するデジタル信号を受け取るように構成されている。額の温度を複数のバイタルサインに相関させるメモリに格納されている複数のテーブルを参照して赤外線信号を代表するデジタル信号から複数のバイタルサインを推定する。
【請求項４８１】
クレーム480の装置は、さらに、マイクロプロセッサに作動可能に結合された表示装置を含み、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項４８２】
請求項480の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項４８３】
請求項480の装置はさらに含む:アナログセンサ読み出しポートを有しないデジタル赤外線センサ。
【請求項４８４】
無線通信サブシステムがマイクロプロセッサに作動可能に結合され、無線通信サブシステムが短距離無線を介して複数のバイタルサインの表現を送信するように構成されている請求項480の装置通信パス。
【請求項４８５】
請求項484の装置は、本装置が第2の装置によって知られているように第2の装置によって検証され、第2の装置によって第2の装置によって許可され、第2の装置に情報を転送することを可能にする。
【請求項４８６】
この主張484の装置の装置484は、その他に、無線通信用下等に対し、その後、外部装置が無線通り、その後、外部装置の間の複数のバイタル標識の流れを制御する。装置および外部装置は、前述の接続がさらに認証された通信チャネルを含む。
【請求項４８７】
請求項484の装置は、デジタル赤外線センサが更にアナログからデジタルへのコンバータを含む。
【請求項４８８】
請求項484の装置は、前述の無線通信サブシステムは、さらに、d食および時間、オペレータ識別、患者識別、製造業者およびモデル番号の表現を送信するように構成された構成要素を含む。装置。
【請求項４８９】
無線通信サブシステムがインターネットプロトコルトンネルを介して送信する請求項484の装置。
【請求項４９０】
請求項480の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間変動を生成するように構成された複数のトリミングされた画像の時間変動増幅器を含む、マイクロプロセッサはまた、時間変動アンプに動作的に結合された生物学的重要な符号発生器を含む時間変動から生物学的に重要な兆候を生成するように構成され、マイクロプロセッサも生物学的バイタルサインジェネレータに作動可能に結合される。
【請求項４９１】
請求項490の装置は、前述の時間変動増幅器が額の皮膚画素同定モジュールをさらに含む。
【請求項４９２】
クレーム490の装置は、前述の時間変動増幅器は、さらに局所的な顔面クラスタモジュールを含む。
【請求項４９３】
請求項490の装置は、前述の時間変動増幅器が第1の周波数フィルタモジュールをさらに含む。
【請求項４９４】
血圧収縮期をマイクロ動的光散乱センサからのデータから推定する請求項490の装置。
【請求項４９５】
請求項490の装置はさらに含む:
ここで、静時の心拍数は、フォトプレチスモグラムセンサーからのデータから推定され、呼吸数と心拍変動および血圧拡張子は、マイクロダイナミック光散乱センサとフォトプレチスモグラムセンサからのデータから推定される。.
【請求項４９６】
請求項490の装置は、生物学的バイタルサインジェネレータに作動可能に結合され、複数のバイタルサインを格納するように構成された記憶装置をさらに含む。
【請求項４９７】
請求項490の装置は、生物学的生命徴候をさらに含む:
パルス。
【請求項４９８】
請求項480の装置はさらに含む:デジタル読み出しポートのみを有するデジタル赤外線センサ。
【請求項４９９】
請求項480の装置はさらに含む:アナログセンサ読み出しポートを有しないデジタル赤外線センサ。
【請求項５００】
請求項490の装置はさらに含む:
以下を含む最初の回路基板:
マイクロプロセッサ、バッテリー、ディスプレイデバイス、およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項５０１】
装置を含む:
以下を含む最初の回路基板:
最初のマイクロプロセッサ;
最初のマイクロプロセッサに動作的に結合されたメモリ、額の温度を少なくとも1つのバイタルサインに相関させるデータを格納するメモリ、および額の温度を少なくとも 1 つの重要な兆候;そして
最初のマイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
第2のマイクロプロセッサは、第2のデジタルインターフェースに作動可能に結合され、2番目のマイクロプロセッサは、少なくとも1つの重要な兆候を推定するように構成されている、
マイクロプロセッサは、デジタル赤外線センサのポートから受信するように構成され、デジタル赤外線センサによって生成される額温度の赤外線信号を代表するデジタル読み出し信号とマイクロプロセッサは、額の温度を少なくとも相関させるメモリに格納されている複数のテーブルを参照して、赤外線信号を代表するデジタル読み出し信号から少なくとも1つの重要な符号を推定するように構成されています。1つの重要な兆候、
デジタル赤外線センサと最初のマイクロプロセッサの間には、アナログ/デジタルコンバータが動作的に結合されていない。
【請求項５０２】
請求項501の装置は、さらに、さらに含む表示装置を含む。
少なくとも 1 つのバイタルサインが良好であることを示すように設定された緑色の信号。
少なくとも 1 つのバイタルサインが低いことを示すように構成されたオレンジ色の信号。そして
少なくとも 1 つのバイタルサインが高いであることを示すように設定された赤信号。
【請求項５０３】
請求項501の装置はさらに含む:
アナログセンサーの読み出しポートを持たないデジタル赤外線センサ。
【請求項５０４】
請求項501の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間的変動を生成するように構成された複数のトリミングされた画像の一時的変動増幅器を含む、マイクロプロセッサはまた、動作的に結合された生物学的重要な標識ジェネレータを含む時間変動とマイクロプロセッサから生物学的に重要な兆候を生成するように構成された時間変動アンプも、生物学的バイタルサインジェネレータに作動可能に結合する。
【請求項５０５】
請求項504の装置は、前述の時間変動増幅器をさらに含む。
額の皮膚ピクセル識別モジュール。
【請求項５０６】
請求項504の装置は、前述の時間変動増幅器をさらに含む。
地域の顔のクラスタモジュール。
【請求項５０７】
請求項504の装置は、前述の時間変動増幅器をさらに含む。
最初の周波数フィルタモジュール。
【請求項５０８】
静時の心拍数をフォトプレチスモグラムセンサーからのデータから推定する請求項504の装置、呼吸数と心拍変動および血圧拡張性は、マイクロダイナミック光散乱センサからのデータから推定され、フォトプレチスモグラムセンサー。
【請求項５０９】
請求項504の装置はさらに含む:
ここで、静時の心拍数は、フォトプレチスモグラムセンサーからのデータから推定され、呼吸数と心拍変動および血圧拡張子は、マイクロダイナミック光散乱センサとフォトプレチスモグラムセンサからのデータから推定される。.
【請求項５１０】
請求項504の装置はさらに含む:
生物学的バイタルサインジェネレータに作動可能に結合され、生物学的バイタルサインを別の装置に送信するように構成された記憶装置。
【請求項５１１】
無線通信サブシステムがマイクロプロセッサに作動可能に結合され、無線通信サブシステムが短距離通信を介して額温度の表現を送信するように構成されている請求501の装置パス。
【請求項５１２】
本装置が特定の発見プロトコルまたはドメインネームサービスをサポートしない請求項511の装置。
【請求項５１３】
クレーム511の装置は、接続が確立され、少なくとも1つのバイタルサインが無線通信サブシステムを介して装置から押し出され、その後、外部装置が少なくとも1つのバイタルサインの流れを制御する。装置および外部装置は、前述の接続がさらに認証された通信チャネルを含む。
【請求項５１４】
請求項511の装置は、デジタル赤外線センサをさらにアナログからデジタルへのコンバータを含む。
【請求項５１５】
請求項511の装置は、前述の無線通信サブシステムをさらに含む。
dの食べ物および時間、オペレータの識別、患者の識別および装置の製造業者およびモデル番号の表現を送信するように構成される部品。
【請求項５１６】
装置は、少なくとも1つのバイタルサインを推定する装置、を含む装置を含む:
最初のマイクロプロセッサ;
最初のマイクロプロセッサに動作的に結合されたメモリ、額の温度を少なくとも 1 つのバイタル サインに関連付けるデータを格納するメモリ、および額の温度を少なくとも 1 つのバイタル サインに関連付けるデータを提供するメモリ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ、単一の熱杭センサー、中央処理装置および制御ブロックを取り囲むファラデーケージを含むデジタル赤外線センサー;そして
マイクロプロセッサに動作的に結合された表示装置、 
マイクロプロセッサは、デジタル読み出しポートから受信するように構成され、デジタルによって検出される額温度の赤外線信号を代表するデジタル信号赤外線センサとマイクロプロセッサは、相関するメモリに格納されている複数のテーブルを参照して赤外線信号を代表するデジタル信号から少なくとも1つの重要な兆候を推定するように構成されています。少なくとも1つの重要な徴候に額の温度。
【請求項５１７】
請求項516の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項５１８】
請求項516の装置は、さらに含む装置:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項５１９】
請求項516の装置はさらに含む:アナログセンサ読み出しポートを有しないデジタル赤外線センサ。
【請求項５２０】
無線通信サブシステムがマイクロプロセッサに作動可能に結合され、無線通信サブシステムが短距離無線を介して少なくとも1つのバイタルサインの表現を送信するように構成されている請求項516の装置通信パス。
【請求項５２１】
請求項520の装置は、本装置が第2の装置によって知られているように第2の装置によって検証され、第2の装置によって第2の装置によって許可され、第2の装置に情報を転送することを可能にする。
【請求項５２２】
クレーム520の装置は、接続が確立され、複数のバイタルサインが無線通信サブシステムを介して装置から押し出され、その後、外部装置が少なくとも1つのバイタルサインの流れを制御する。装置および外部装置は、前述の接続がさらに認証された通信チャネルを含む。
【請求項５２３】
請求項520の装置は、デジタル赤外線センサをさらにアナログからデジタルへのコンバータを含む。
【請求項５２４】
請求項520の装置は、前述の無線通信サブシステムは、さらに、d食および時間、オペレータ識別、患者識別、製造業者およびモデル番号の表現を送信するように構成された構成要素を含む。装置。
【請求項５２５】
装置は、複数のバイタルサインを推定する装置であり、その装置を含む。
マイクロプロセッサ;
マイクロプロセッサに動作的に結合されたメモリ、額の温度を少なくとも 1 つのバイタル サインに関連付けるデータを格納するメモリ、および額の温度を少なくとも 1 つのバイタル サインに関連付けるデータを提供するメモリ。
マイクロプロセッサに動作的に結合され、少なくとも 1 つの重要な兆候の表現を送信するように構成されているワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
ここで、マイクロプロセッサは、デジタル赤外線センサによって検出された額温度の赤外線信号を代表するデジタル信号をデジタル読み出しポートから受信するように構成され、マイクロプロセッサは推定するように構成される額の温度を少なくとも1つのバイタルサインに相関させるメモリに格納されている複数のテーブルを参照して赤外線信号を代表するデジタル信号からの少なくとも1つの重要な符号。
【請求項５２６】
請求項525の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項５２７】
クレーム525の装置は、さらに含むマイクロプロセッサを含む:
マイクロプロセッサに動作的に結合され、マイクロプロセッサに複数の画像を提供するように構成されたカメラ。
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項５２８】
請求項525の装置はさらに含む:
以下を含む最初の回路基板:
マイクロプロセッサ、ディスプレイデバイス、およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項５２９】
無線通信サブシステムが短距離無線通信経路を介して送信する請求項525の装置。
【請求項５３０】
請求項525の装置は、本装置が第2の装置によって知られているように第2の装置によって検証され、第2の装置によって第2の装置によって許可され、第2の装置に情報を転送することを可能にする。
【請求項５３１】
クレーム525の装置は、接続が確立され、複数のバイタルサインが無線通信サブシステムを介して装置から押し出され、その後、外部装置が少なくとも1つのバイタルサインの流れを制御する。装置および外部装置は、前述の接続がさらに認証された通信チャネルを含む。
【請求項５３２】
請求項525の装置は、デジタル赤外線センサをさらにアナログからデジタルへのコンバータを含む。
【請求項５３３】
請求項525の装置は、前述の無線通信サブシステムは、さらに、d食および時間、オペレータ識別、患者識別、製造業者およびモデル番号の表現を送信するように構成された構成要素を含む。装置。
【請求項５３４】
複数のバイタルサインを伝達するn装置、複数のバイタルサインを伝達する装置、
実行するようにプログラムされたマイクロプロセッサ:
額の複数の画像を受信するように構成され、画像の境界線領域を除外するように複数の画像のそれぞれをトリミングするように構成されたクロッパーモジュールは、額の複数のトリミング画像を生成します。
クロッパーモジュールに作動可能に結合され、額の複数のトリミングされた画像で額の皮膚を代表するピクセル値を識別し、額の出力を得る額の皮膚ピクセル識別モジュール皮膚ピクセル識別モジュール;
額の皮膚ピクセル識別モジュールに動作的に結合され、額の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。そして
複数のバイタルサインが最初のバイタルサインと最初のバイタルサインを含む時間変動から額の温度を推定する時間変動識別子に作動的に結合される生物学的重要な徴候発生器複数のバイタルサインは、額の温度を複数のバイタルサインの最初のバイタルサインに相関させるメモリに格納されている複数のテーブルを参照して推定される。そして
生物学的バイタルサインジェネレータに動作的に結合された表示装置;
マイクロプロセッサに動作的に結合されるフォトプレチスモグラムセンサー。
マイクロプロセッサに動作的に結合されるマイクロダイナミックライト散乱センサー。そして
マイクロプロセッサに動作的に結合され、複数のバイタルサインの最初のバイタルサインの表現を送信するように構成された無線通信サブシステム。
【請求項５３５】
クレーム534の生物学的バイタルサインを伝達する装置は、ここで、地域の顔面クラスタモジュールをさらに含む:
あいまいなクラスタ。
【請求項５３６】
クレーム534の生物学的バイタルサインを伝達する装置は、ここで、地域の顔面クラスタモジュールをさらに含む:
K クラスタ。
【請求項５３７】
クレーム534の複数のバイタルサインを伝達する装置は、前述の地域顔面クラスタモジュールをさらに含む:期待-最大化剤。
【請求項５３８】
クレーム534の複数のバイタルサインを伝える装置は、前述の地域顔面クラスタモジュールをさらに含む:シードポイントベースのクラスタリング装置。
【請求項５３９】
静時の心拍数がフォトプレチスモグラムセンサからのデータから推定されるクレーム534の複数のバイタルサインを伝える装置は、呼吸数と心拍変動および血圧拡張性を、aからのデータから推定する。マイクロダイナミックライト散乱センサとフォトプレチスモグラムセンサー。
【請求項５４０】
クレーム534の複数のバイタルサインを伝える装置は、さらに黒体で再較正されず、さらに低ノイズ増幅器を含むデジタル赤外線センサを含み、低ノイズ増幅器が作動可能に結合されているアナログからデジタルへのコンバータ、アナログからデジタルへのコンバータは、デジタル信号プロセッサに動作的に結合され、デジタル信号プロセッサはパルス幅変調器に動作的に結合されています。
【請求項５４１】
請求項534の複数のバイタルサインを通信する装置は、さらに、生物学的バイタルサインジェネレータに作動可能に結合され、複数のバイタルサインを別の装置に送信するように構成された記憶装置を含む。
【請求項５４２】
請求項534の複数のバイタルサインを通信する装置は、さらにマイクロプロセッサに動作的に結合され、メモリを介してマイクロプロセッサに複数の画像をキャプチャするように構成されたカメラを含む。
【請求項５４３】
本装置は、複数のバイタルサインがさらに血圧を含む請求項542の複数のバイタルサインを伝達する。
【請求項５４４】
本装置は、複数のバイタルサインがさらに呼吸を含む請求項542の複数のバイタルサインを伝達する。
【請求項５４５】
本装置は、複数のバイタルサインがさらにパルスを含むクレーム542の複数のバイタルサインを伝達する。
【請求項５５０】
マイクロプロセッサに動作的に結合されたデジタル赤外線センサを含む請求534の複数のバイタルサインを通信する装置は、デジタル読み出しポートのみを有するデジタル赤外線センサ、デジタル赤外線センサアナログセンサーの読み出しポートを持たない、単一のサーモパイルセンサを取り囲むファラデーケージ、中央処理装置および制御ブロックを含むデジタル赤外線センサー。
【請求項５５１】
請求項550の複数のバイタルサインを通信する装置は、さらに以下を含む。
ここで、マイクロプロセッサは、デジタル赤外線センサによって検出され、マイクロプロセッサが設定されている額の温度の赤外線信号を代表するデジタル信号をデジタル読み出しポートから受信するように構成されています。額の温度の赤外線信号を代表するデジタル信号から複数のバイタルサインの最初のバイタルサインを推定する。
【請求項５５２】
請求項534の複数のバイタルサインを通信する装置は、さらに以下を含む。
アナログからデジタルへのコンバータはありません。
【請求項５４６】
クレーム542の複数のバイタルサインを伝達する装置542は、複数のバイタルサインがさらに血流を含み、生物学的バイタルサインジェネレータは、さらに経時的に分析する血流分析モジュールを含む。複数の画像の皮膚における運動変化および色変化を識別するバリエーションは、血液の流れのパターンを生成する。
【請求項５４７】
クレーム546の複数のバイタルサインを伝える装置は、さらに、生物学的バイタルサインジェネレータに作動可能に結合され、作動可能に連結された血流表示モジュールを含む、の流れのパターンを表示する表示装置に連結する。ディスプレイ装置上の血液。
【請求項５４８】
クレーム542の複数のバイタルサインを伝達する装置542は、複数のバイタルサインがさらに心拍数を含み、生物学的バイタルサインジェネレータはさらに、時間的に分析する心拍数分析モジュールを含む。心拍数を生成するバリエーション。
【請求項５４９】
心拍数が心拍の周波数範囲における時間変動の周波数スペクトルから生成される請求項548の複数のバイタルサインを伝える装置。
【請求項５５３】
複数のバイタルサインがさらに全ヘモグロビン(SpHb)、メテモグロビン(SpMet)、音響呼吸率(RRa)、カルボキシヘモグロビン(SpCO)および酸素予備を含むクレーム534の複数のバイタルサインを伝達する装置インデックス(ORi)
【請求項５５４】
クレーム534の複数のバイタルサインを伝える装置は、前述のバイタルサインを通信する装置が第2の装置によって知られているように第2の装置によって検証され、第2の装置によって転送が可能とされる。第2の装置への情報。
【請求項５５５】
接続が確立され、複数のバイタルサインが無線通信サブシステムを介して複数のバイタルサインを通信するために装置から押し出されるクレーム534の複数のバイタルサインを通信する装置は、その後、外部装置は、複数のバイタルサインと外部デバイスを通信する装置との間の少なくとも1つのバイタルサインの流れを制御し、ここで接続はさらに認証された通信チャネルを含む。
【請求項５５６】
請求項534の複数のバイタルサインを通信する装置は、前述のデジタル赤外線センサがアナログからデジタルへのコンバータをさらに含む。
【請求項５５７】
クレーム534の複数のバイタルサインを通信する装置534は、前述の無線通信サブシステムは、さらに、d食および時間の表現を伝達するように構成された構成要素を含む、オペレータ識別、患者複数のバイタルサインを伝える装置の識別、製造業者およびモデル番号。
【請求項５５８】
額のソースポイントから複数のバイタルサインを推定する装置、を含む装置:
マイクロプロセッサ;
マイクロプロセッサに動作的に結合されるフォトプレチスモグラムセンサー。
マイクロプロセッサに動作的に結合されるマイクロダイナミックライト散乱センサー。
マイクロプロセッサに動作的に結合され、複数の画像をメモリにキャプチャするように構成されたカメラ。
前記マイクロプロセッサは、メモリ内の額のソースポイントの複数の画像のピクセル値を調べるために構成されたピクセル検査モジュールを含み、時間変動を決定するように構成された時間変動モジュールである。複数の画像間のピクセル値、増幅された時間変動をもたらす時間変動を増幅するように構成された信号処理モジュール、および信号に動作的に結合された生物学的重要な標識ジェネレータ時間変動から複数のバイタルサインの第2のバイタルサインを生成する処理モジュール、および複数のバイタルサインの最初のバイタルサインは、相関するメモリに格納されている複数のテーブルを参照して推定される複数のバイタルサインの最初のバイタルサインに額の温度;
マイクロプロセッサに動作的に結合され、複数のバイタルサインの表現を送信するように構成された無線通信サブシステム。そして
複数のバイタルサインを表示するマイクロプロセッサに動作的に結合された表示装置。
【請求項５５９】
請求項558の装置は、前述の信号処理モジュールが、複数の画像間の画素値の変動を増幅するようにさらに構成される。
【請求項５６０】
クレーム558の装置は、前述の信号処理モジュールが一時的処理を行うまでさらに構成される。
【請求項５６１】
請求項560の装置は、前述の時間処理がバンドパスフィルタである。
【請求項５６２】
請求項561の装置は、バンドパスフィルタが時間の経過とともに周波数を分析するように構成されている。
【請求項５６３】
請求項558の装置は、前述の信号処理を適用する空間処理を含む。
【請求項５６４】
無線通信サブシステムが短距離無線通信経路を介して送信する請求項558の装置。
【請求項５６５】
請求項558の装置は、本装置が第2の装置によって知られているように第2の装置によって検証され、第2の装置によって第2の装置によって許可され、第2の装置に情報を転送することを可能にする。
【請求項５６６】
この請求請求らこの図558の装置の装置、その前から、請求請求図558の装置に、その他から、外部装置が、。装置および外部装置は、前述の接続がさらに認証された通信チャネルを含む。
【請求項５６７】
請求項558の装置は、デジタル赤外線センサが更にアナログからデジタルへのコンバータを含む。
【請求項５６８】
請求項558の装置は、前述の無線通信サブシステムは、さらに、d食および時間、オペレータ識別、患者識別、製造業者およびモデル番号の表現を送信するように構成された構成要素を含む。装置。
【請求項５６９】
装置は、複数のバイタルサインを推定する装置であり、その装置を含む。
マイクロプロセッサ;
マイクロプロセッサに動作的に結合されたメモリ、データを格納するメモリ、感知された額の温度を複数のバイタルサインの最初のバイタルサインに相関させるデータを提供するメモリ。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、複数のバイタルサインの表現を送信するように構成された無線通信サブシステム。そして
マイクロプロセッサに動作的に結合された表示装置、
マイクロプロセッサは、デジタル赤外線センサによって検出され、マイクロプロセッサが構成されている感知額温度の赤外線信号を代表するデジタル信号をデジタル読み出しポートから受信するように構成されています。感知された額の温度を最初のバイタルサインに相関させるメモリに格納されている複数のテーブルを参照して赤外線信号を代表するデジタル信号からの複数のバイタルサインの最初のバイタルサインを推定する複数のバイタルサインとマイクロプロセッサの複数の画像を受信するように構成され、画像の境界領域を除外するように画像をトリミングするように構成されたクロッパーモジュールを含むマイクロプロセッサの、複数のトリミングされた画像を生成する、マイクロプロセッサまた、時間変動を生成するように構成された複数のトリミングされた画像の一時的変動増幅器を含む、マイクロプロセッサはまた、動作的に結合された生物学的重要な標識ジェネレータを含む時間変動から複数のバイタルサインの第2のバイタルサインを生成するように構成された時間変動アンプ。
【請求項５７０】
クレーム569の装置は、前述の時間変動増幅器は、額の皮膚画素同定モジュールをさらに含む。
【請求項５７１】
クレーム569の装置は、前述の時間変動増幅器は、さらに局所的な顔面クラスタモジュールを含む。
【請求項５７２】
クレーム569の装置は、前述の時間変動増幅器が第1の周波数フィルタモジュールをさらに含む。
【請求項５７３】
静時の心拍数をフォトプレチスモグラムセンサーからのデータから推定する請求項569の装置、呼吸数と心拍変動および血圧拡張性は、マイクロダイナミック光散乱センサからのデータから推定され、フォトプレチスモグラムセンサー。
【請求項５７４】
請求項569の装置は、さらに、生物学的バイタルサインジェネレータに作動可能に結合され、複数のバイタルサインの第2のバイタルサインを別の装置に送信するように構成された記憶装置を含む。
【請求項５７５】
無線通信サブシステムが短距離無線通信経路を介して送信する請求項569の装置。
【請求項５７６】
請求項569の装置は、本装置が第2の装置によって知られているように第2の装置によって検証され、第2の装置によって第2の装置によって許可され、第2の装置に情報を転送することを可能にする。
【請求項５７７】
この請求請求らこの図569の装置の装置5図5さて、そのなに、その他から、外部装置が、その間からから、装置および外部装置は、前述の接続がさらに認証された通信チャネルを含む。
【請求項５７８】
請求項569の装置は、デジタル赤外線センサが更にアナログからデジタルへのコンバータを含む。
【請求項５７９】
請求項569の装置は、前述の無線通信サブシステムは、さらに、d食および時間、オペレータ識別、患者識別、製造業者およびモデル番号の表現を送信するように構成された構成要素を含む。装置。
【請求項５８０】
請求項569の装置はさらに含む:
ボタンがマイクロプロセッサに接続されていない。
【請求項５８１】
装置を含む:
以下を含む最初の回路基板:
最初のマイクロプロセッサ;そして
デジタルのみの読み出しポートを持つデジタル赤外線センサー、単一のサーモパイルセンサーを取り囲むファラデーケージ、中央処理装置および制御ブロックを含むデジタル赤外線センサー;
最初のマイクロプロセッサに動作的に結合された最初のデジタルインターフェイス。
デジタル赤外線センサと最初のマイクロプロセッサの間にはアナログ/デジタルコンバータが動作的に結合されていない場合、
スマートフォンの2番目の回路基板:
2 番目のデジタル インターフェイス、2番目のデジタル インターフェイスは、最初のデジタル インターフェイスに動作的に結合されます。そして
第2のマイクロプロセッサは、第2のデジタルインターフェースに作動可能に結合され、第2のマイクロプロセッサは、複数のバイタルサインを推定するように構成されている。そして
第2のマイクロプロセッサに作動可能に結合され、複数のバイタルサインの表現を送信するように構成された無線通信サブシステム、
前述の無線通信サブシステムは、短距離無線通信経路を介して送信する。
前述の第2マイクロプロセッサは、デジタル赤外線センサのポートから受信するように構成され、デジタル赤外線によって生成される感知額温度の赤外線信号を代表する複数のデジタル読み出し信号センサと第2のマイクロプロセッサは、相関するメモリに格納されている複数のテーブルを参照して赤外線信号を代表する複数のデジタル読み出し信号から複数のバイタルサインを推定するように構成される。複数のバイタルサインの最初のバイタルサインに感知された額の温度。
【請求項５８２】
請求項581の装置は、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項５８３】
請求項581の装置はさらに含む:アナログセンサ読み出しポートを持たないデジタル赤外線センサ。
【請求項５８４】
請求項581の装置はさらに含む:
第2のマイクロプロセッサに動作的に結合され、第2のマイクロプロセッサに複数の画像を提供するように構成されたカメラ。そして
2番目のマイクロプロセッサは、複数の画像を受信するように構成され、複数の画像の境界領域を除外するように複数の画像をトリミングするように構成されたクロッパーモジュールを含む、複数のトリミングされた画像を生成し、第2の、第2の画像マイクロプロセッサはまた、時間変動を生成するように構成された複数のトリミングされた画像の時間変動増幅器を含む、第2のマイクロプロセッサはまた、動作的に結合された生物学的重要標識発生器を含む時間変動と第2のマイクロプロセッサから生物学的に重要な兆候を生成するように構成された時間変動アンプも、生物学的バイタルサインジェネレータに作動可能に結合する。
【請求項５８５】
クレーム584の装置は、前述の時間変動増幅器が額の皮膚画素同定モジュールをさらに含む。
【請求項５８６】
クレーム584の装置は、前述の時間変動増幅器は、さらに局所的な顔面クラスタモジュールを含む。
【請求項５８７】
クレーム584の装置は、前述の時間変動増幅器が第1の周波数フィルタモジュールをさらに含む。
【請求項５８８】
静時の心拍数をフォトプレチスモグラムセンサーからのデータから推定する請求項584の装置、呼吸数と心拍変動および血圧拡張性は、マイクロダイナミック光散乱センサからのデータから推定され、フォトプレチスモグラムセンサー。
【請求項５８９】
請求項584の装置はさらに含む:
ここで、静時の心拍数は、フォトプレチスモグラムセンサーからのデータから推定され、呼吸数と心拍変動および血圧拡張子は、マイクロダイナミック光散乱]センサーとフォトプレチスモグラムからのデータから推定されるセンサー。
【請求項５９０】
請求項584の装置は、さらに、生物学的バイタルサインジェネレータに作動可能に結合され、複数のバイタルサインを別の装置に送信するように構成された記憶装置を含む。
【請求項５９１】
無線通信サブシステムがインターネットプロトコルトンネルを介して送信する請求項581の装置。
【請求項５９２】
請求項581の装置は、本装置が第2の装置によって知られているように第2の装置によって検証され、第2の装置によって第2の装置によって許可され、第2の装置に情報を転送することを可能にする。
【請求項５９３】
の請求ファイル請求ファイル、請求ファイル、請求メローめの装置図5ろよから、の請求受けの装置図5ろよから、。装置および外部装置は、前述の接続がさらに認証された通信チャネルを含む。
【請求項５９４】
請求項581の装置は、デジタル赤外線センサが更にアナログからデジタルへのコンバータを含む。
【請求項５９５】
クレーム581の装置は、前述の無線通信サブシステムは、さらに、d食および時間、オペレータ識別、患者識別、製造業者およびモデル番号の表現を送信するように構成された構成要素を含む。装置。
【請求項５９６】
装置を含む:
マイクロプロセッサ;
マイクロプロセッサに動作的に結合されたメモリ、額の温度を複数のバイタルサインの最初のバイタルサインに相関させるデータを格納するメモリと、額の温度を最初のバイタルサインに相関させるデータを提供するメモリ複数のバイタルサインの;
マイクロプロセッサに動作的に結合され、複数のバイタルサインの最初のバイタルサインの表現を送信するように構成された無線通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
ここで、マイクロプロセッサは、デジタル赤外線センサによって検出され、マイクロプロセッサが設定されている額の温度の赤外線信号を代表するデジタル信号をデジタル読み出しポートから受信するように構成されています。赤外線信号を代表するデジタル信号からの複数のバイタルサインの最初のバイタルサインを推定し、
前述の無線通信サブシステムは、短距離無線通信経路を介して送信する。
【請求項５９７】
請求項596の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項５９８】
請求項596の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項５９９】
請求項596の装置はさらに含む:アナログセンサ読み出しポートを有しないデジタル赤外線センサ。
【請求項６００】
無線通信サブシステムがインターネットプロトコルトンネルを介して送信する請求項596の装置。
【請求項６０１】
請求項596の装置は、本装置が第2の装置によって知られているように第2の装置によって検証され、第2の装置によって第2の装置によって許可され、第2の装置に情報を転送することを可能にする。
【請求項６０２】
クレーム596の装置は、接続が確立され、複数のバイタルサインが無線通信サブシステムを介して装置から押し出され、その後、外部装置が少なくとも1つのバイタルサインの流れを制御する。装置および外部装置は、前述の接続がさらに認証された通信チャネルを含む。
【請求項６０３】
請求項596の装置は、デジタル赤外線センサが更にアナログからデジタルへのコンバータを含む。
【請求項６０４】
請求項596の装置は、前述の無線通信サブシステムは、さらに、d食および時間、オペレータ識別、患者識別、製造業者およびモデル番号の表現を送信するように構成された構成要素を含む。装置。
【請求項６０５】
装置は、複数のバイタルサインを推定する装置であり、その装置を含む。
マイクロプロセッサ;
マイクロプロセッサに動作的に結合されたメモリ、額の温度を少なくとも1 つのバイタル サインに関連付けるデータを格納するメモリ、および額の温度を少なくとも 1 つのバイタル サインに関連付けるデータを提供するメモリ。
マイクロプロセッサに動作的に結合され、少なくとも 1 つの重要な兆候の表現を送信するように構成されているワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
ここで、マイクロプロセッサは、デジタル赤外線センサによって検出され、マイクロプロセッサが設定されている額の温度の赤外線信号を代表するデジタル信号をデジタル読み出しポートから受信するように構成されています。額の温度を少なくとも1つのバイタルサインに相関させるメモリに格納されている複数のテーブルを参照して、赤外線信号を代表するデジタル信号から少なくとも1つの重要な兆候を推定し、
前述の無線通信サブシステムは、短距離無線通信経路を介して送信する。
【請求項６０６】
請求項605の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項６０７】
クレーム605の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項６０８】
請求項605の装置はさらに含む:
以下を含む最初の回路基板:
マイクロプロセッサ、ディスプレイデバイス、およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項６０９】
無線通信サブシステムがインターネットプロトコルトンネルを介して送信する請求項605の装置。
【請求項６１０】
請求項605の装置は、本装置が第2の装置によって知られているように第2の装置によって検証され、第2の装置によって第2の装置によって許可され、第2の装置に情報を転送することを可能にする。
【請求項６１１】
クレーム605の装置は、接続が確立され、複数のバイタルサインが無線通信サブシステムを介して装置から押し出され、その後、外部装置が少なくとも1つのバイタルサインの流れを制御する。装置および外部装置は、前述の接続がさらに認証された通信チャネルを含む。
【請求項６１２】
請求項605の装置は、デジタル赤外線センサが更にアナログからデジタルへのコンバータを含む。
【請求項６１３】
クレーム605の装置は、前述の無線通信サブシステムは、さらに、d食および時間、オペレータ識別、患者識別、製造業者およびモデル番号の表現を送信するように構成された構成要素を含む。装置。
【請求項６１４】
装置は、複数のバイタルサインを伝達する装置、複数のバイタルサインを含む複数のバイタルサインを伝達する装置を含む。
実行するようにプログラムされたマイクロプロセッサ:
複数の画像を受信するように構成され、複数の画像のそれぞれをトリミングして画像の境界線領域を除外するように構成されたクロッパーモジュールで、複数のトリミングされた画像を生成します。
クロッパーモジュールに動作的に結合され、複数のトリミングされた画像の皮膚を代表するピクセル値を識別し、額の皮膚ピクセル識別モジュールの出力を得る額の皮膚ピクセル識別モジュール。
額の皮膚ピクセル識別モジュールに動作的に結合され、額の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。そして
時間変動から生物学的生命徴候を推定する時間変動識別子に作動可能に結合された生物学的バイタルサインジェネレータで、複数のバイタルサインは額の温度であり、少なくとも1つのバイタルサインは額の温度を少なくとも 1 つの重要な記号に関連付けるメモリに格納されている複数のテーブルを参照して推定されます。そして
生物学的バイタルサインジェネレータに動作的に結合された表示装置;
マイクロプロセッサに動作的に結合されたフォトプレチスモグラムセンサーと、マイクロプロセッサに動作的に結合されたマイクロダイナミック光散乱センサを含むSPO2サブシステム。
マイクロプロセッサに動作的に結合されたメモリ、データを格納するメモリ、額の温度を少なくとも 1 つのバイタル サインに関連付けるデータを提供するメモリ。そして
マイクロプロセッサに動作的に結合され、生物学的バイタルサインの表現を送信するように構成された無線通信サブシステム、
前記複数のバイタルサインは、さらに全ヘモグロビン(SpHb)、メテモグロビン(SpMet)、音響呼吸率(RRa)、カルボキシヘモグロビン(SpCO)および酸素予備指数(ORi)を含む。
【請求項６１５】
クレーム614の複数のバイタルサインを伝達する装置は、前述の地域顔面クラスタモジュールをさらに含む:
あいまいなクラスタ。
【請求項６１６】
クレーム614の複数のバイタルサインを伝達する装置は、前述の地域顔面クラスタモジュールをさらに含む:
K クラスタ。
【請求項６１７】
請求項614の複数のバイタルサインを伝達する装置は、前述の地域顔面クラスタモジュールをさらに含む。
期待マキシマイザー。
【請求項６１８】
請求項614の複数のバイタルサインを伝達する装置は、前述の地域顔面クラスタモジュールをさらに含む:期待-最大化剤。
【請求項６１８】
請求項614の複数のバイタルサインを伝達する装置は、前述の地域顔面クラスタモジュールをさらに含む:シードポイントベースのクラスタリング装置。
【請求項６１９】
安静時の心拍数がフォトプレチスモグラムセンサからのデータから推定されるクレーム614の複数のバイタルサインを伝える装置は、呼吸数と心拍変動および血圧拡張性とから推定される。マイクロダイナミックライト散乱センサとフォトプレチスモグラムセンサー。
【請求項６２０】
クレーム614の複数のバイタルサインを伝える装置は、さらに黒体で再較正されず、さらに低ノイズ増幅器を含むデジタル赤外線センサを含む、低ノイズ増幅器が作動可能に結合されているアナログからデジタルへのコンバータ、アナログからデジタルへのコンバータは、デジタル信号プロセッサに動作的に結合され、デジタル信号プロセッサはパルス幅変調器に動作的に結合されています。
【請求項６２１】
請求項614の生物学的バイタルサインを伝達する装置は、さらに含む:
生物学的バイタルサインジェネレータに作動可能に結合され、複数のバイタルサインを別の装置に送信するように構成された記憶装置。
【請求項６２２】
本装置は、複数のバイタルサインがさらに血圧を含むクレーム614の複数のバイタルサインを伝達する。
【請求項６２３】
本装置は、複数のバイタルサインがさらに呼吸を含む請求項614の複数のバイタルサインを伝達する。
【請求項６２４】
本装置は、複数のバイタルサインがさらにパルスを含むクレーム614の複数のバイタルサインを伝達する。
【請求項６２５】
本装置は、請求項614の複数のバイタルサインを通信する装置であり、さらにマイクロプロセッサに作動可能に結合されたカメラを含み、複数の画像をメモリを介してマイクロプロセッサにキャプチャするように構成される。
【請求項６２６】
マイクロプロセッサに動作的に結合されたデジタル赤外線センサを含む請求614の複数のバイタルサインを通信する装置は、デジタル読み出しポートのみを有するデジタル赤外線センサ、デジタル赤外線センサアナログセンサーの読み出しポートを持たない、単一のサーモパイルセンサを取り囲むファラデーケージ、中央処理装置および制御ブロックを含むデジタル赤外線センサー。
【請求項６２７】
請求項626の複数のバイタルサインを通信する装置は、さらに以下を含む。
ここで、マイクロプロセッサは、デジタル赤外線センサによって検出され、マイクロプロセッサが設定されている額の温度の赤外線信号を代表するデジタル信号をデジタル読み出しポートから受信するように構成されています。赤外線信号を代表するデジタル信号から少なくとも1つの重要な兆候を推定します。
【請求項６２８】
請求項614の複数のバイタルサインを通信する装置は、さらに以下を含む。
アナログからデジタルへのコンバータはありません。
【請求項６２９】
クレーム614の複数のバイタルサインを伝達する装置614は、複数のバイタルサインがさらに血流を含み、生物学的バイタルサインジェネレータは、さらに経時的に分析する血流分析モジュールを含む。複数の画像の皮膚における運動変化および色変化を識別するバリエーションは、血液の流れのパターンを生成する。
【請求項６３０】
クレーム629の複数のバイタルサインを伝える装置は、さらに、生物学的バイタルサインジェネレータに作動可能に結合され、作動可能に連結された血流表示モジュールを含む、ディスプレイ装置上の血液。
【請求項６３１】
クレーム614の複数のバイタルサインを伝達する装置614は、さらに複数のバイタルサインが心拍数を含み、生物学的バイタルサインジェネレータはさらに、時間的に分析する心拍数分析モジュールを含む。心拍数を生成するバリエーション。
【請求項６３２】
心拍数が心拍の周波数範囲における時間変動の周波数スペクトルから生成される請求項631の複数のバイタルサインを伝える装置。
【請求項６３３】
無線通信サブシステムがインターネットプロトコルトンネルを介して送信する請求項614の複数のバイタルサインを通信する装置。
【請求項６３４】
複数のバイタルサインを伝える装置614の複数のバイタルサインを伝える装置は、第2の装置によって知られている第2の装置によって検証され、第2の装置によって転送が可能とされる。第2の装置への情報。
【請求項６３５】
接続が確立され、複数のバイタルサインが無線通信サブシステムを介して複数のバイタルサインを通信するために装置から押し出されるクレーム614の複数のバイタルサインを通信する装置、その後、外部装置は、複数のバイタルサインと外部デバイスを通信する装置との間の少なくとも1つのバイタルサインの流れを制御し、ここで接続はさらに認証された通信チャネルを含む。
【請求項６３６】
請求項614の複数のバイタルサインを通信する装置は、前述のデジタル赤外線センサがアナログからデジタルへのコンバータをさらに含む。
【請求項６３７】
請求項614の複数のバイタルサインを通信する装置は、前述の無線通信サブシステムは、さらに、d食および時間の表現を伝達するように構成された構成要素を含む、オペレータ識別、患者複数のバイタルサインを伝える装置の識別、製造業者およびモデル番号。
【請求項６３８】
装置は、少なくとも1つのバイタルサインを推定する装置、を含む装置:
マイクロプロセッサ;
マイクロプロセッサに動作的に結合されるフォトプレチスモグラムセンサー。
マイクロプロセッサに動作的に結合されるマイクロダイナミックライト散乱センサー。
マイクロプロセッサに動作的に結合されたメモリ、額の温度を複数のバイタルサインの最初のバイタルサインに相関させるデータを格納するメモリと、額の温度を最初のバイタルに相関させるデータを提供するメモリ複数のバイタルサインの兆候;
マイクロプロセッサに動作的に結合され、複数の画像をメモリにキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュールと、人間を生成する信号処理モジュールに作動可能に結合された人間のバイタルサインジェネレータ時間変動からのバイタルサインは、人間のバイタルサインが額の温度であり、複数のバイタルサインが額の温度を最初のバイタルに相関させるメモリに格納されている複数のテーブルを参照して推定される複数のバイタルサインの兆候;
マイクロプロセッサに動作的に結合され、人間のバイタルサインの表現を送信するように構成された無線通信サブシステム、
無線通信サブシステムは、短距離無線通信経路を介して送信する。そして
人間のバイタルサインを表示するマイクロプロセッサに動作的に結合された表示装置。
【請求項６３９】
クレーム638の装置は、さらに、少なくとも1つのバイタルサインの1つを生成するマイクロプロセッサに動作的に結合されたデジタル赤外線センサを含む。
【請求項６４０】
請求項638の装置は、前述の信号処理モジュールが、複数の画像間の画素値の変動を増幅するようにさらに構成される。
【請求項６４１】
クレーム638の装置は、前述の信号処理モジュールが一時的処理を行うまでさらに構成される。
【請求項６４２】
請求項641の装置は、前述の時間処理がバンドパスフィルタである。
【請求項６４３】
請求項642の装置は、バンドパスフィルタが時間の経過とともに周波数を分析するように構成されている。
【請求項６４４】
請求項638の装置は、前述の信号処理を適用する空間処理を含む。
【請求項６４５】
無線通信サブシステムがインターネットプロトコルトンネルを介して送信する請求項638の装置。
【請求項６４６】
請求項638の装置は、本装置が第2の装置によって知られているように第2の装置によって検証され、第2の装置によって第2の装置によって許可され、第2の装置に情報を転送することを可能にする。
【請求項６４７】
この請求請求638の装置の装置638は、その請求請求の装置638は、その他に、その後、外部装置が無線通り、その後、外部装置の間から、その間の複数のバイタル標識の流れを制御する。装置および外部装置は、前述の接続がさらに認証された通信チャネルを含む。
【請求項６４８】
請求項638の装置は、デジタル赤外線センサが更にアナログからデジタルへのコンバータを含む。
【請求項６４９】
クレーム638の装置は、前述の無線通信サブシステムは、さらに、d食および時間、オペレータ識別、患者識別、製造業者およびモデル番号の表現を送信するように構成された構成要素を含む。装置。
【請求項６５０】
装置は、複数のバイタルサインを推定する装置であり、その装置を含む。
マイクロプロセッサ;
マイクロプロセッサに動作的に結合されたメモリ、データを格納するメモリ、感知された額の温度を複数のバイタルサインの最初のバイタルサインに相関させるデータを提供するメモリ。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、感知された額の温度の表現を送信するように構成された無線通信サブシステム。そして
マイクロプロセッサに動作的に結合された表示装置、
マイクロプロセッサは、デジタル赤外線センサによって検出され、マイクロプロセッサが構成されている感知額温度の赤外線信号を代表するデジタル信号をデジタル読み出しポートから受信するように構成されています。感知された額の温度を最初のバイタルサインに相関させるメモリに格納されている複数のテーブルを参照して赤外線信号を代表するデジタル信号からの複数のバイタルサインの最初のバイタルサインを推定する複数のバイタルサインとマイクロプロセッサの複数の画像を受信するように構成され、画像の境界領域を除外するように画像をトリミングするように構成されたクロッパーモジュールを含むマイクロプロセッサの、複数のトリミングされた画像を生成する、マイクロプロセッサまた、時間変動を生成するように構成された複数のトリミングされた画像の一時的変動増幅器を含む、マイクロプロセッサはまた、動作的に結合された生物学的重要な標識ジェネレータを含む時間変動とマイクロプロセッサから生物学的に重要な兆候を生成するように構成された時間変動アンプは、生物学的バイタルサインジェネレータに作動可能に結合され、
前述の無線通信サブシステムは、短距離無線通信経路を介して送信する。
【請求項６５１】
クレーム650の装置は、前述の時間変動増幅器は、額の皮膚画素同定モジュールをさらに含む。
【請求項６５２】
クレーム650の装置は、前述の時間変動増幅器は、さらに局所的な顔面クラスタモジュールを含む。
【請求項６５３】
クレーム650の装置は、前述の時間変動増幅器が第1の周波数フィルタモジュールをさらに含む。
【請求項６５４】
静時の心拍数をフォトプレチスモグラムセンサーからのデータから推定する請求項650の装置、呼吸数と心拍変動および血圧拡張性は、マイクロダイナミック光散乱センサからのデータから推定され、フォトプレチスモグラムセンサー。
【請求項６５５】
請求項650の装置は、さらに、生物学的バイタルサインジェネレータに作動可能に結合され、複数のバイタルサインを別の装置に送信するように構成された記憶装置を含む。
【請求項６５６】
無線通信サブシステムがインターネットプロトコルトンネルを介して送信する請求項650の装置。
【請求項６５７】
請求項650の装置は、本装置が第2の装置によって知られているように第2の装置によって検証され、第2の装置によって第2の装置によって許可され、第2の装置に情報を転送することを可能にする。
【請求項６５８】
この主張650の装置の装置は、その他に、無線通り、無線通り、無線通り、その後、外部装置が、その間の複数のバイタル標識の流れを制御する。装置および外部装置は、前述の接続がさらに認証された通信チャネルを含む。
【請求項６５９】
請求項650の装置は、デジタル赤外線センサが更にアナログからデジタルへのコンバータを含む。
【請求項６６０】
クレーム650の装置は、前述の無線通信サブシステムは、さらに、d食および時間、オペレータ識別、患者識別、製造業者およびモデル番号の表現を送信するように構成された構成要素を含む。装置。
【請求項６６１】
請求項650の装置はさらに含む:
ボタンがマイクロプロセッサに接続されていない。
【請求項６６２】
装置を含む:
以下を含む最初の回路基板:
最初のマイクロプロセッサ;
最初のマイクロプロセッサに動作的に結合されたデジタル赤外線センサー、デジタル読み出しポートのみを備えたデジタル赤外線センサ、単一のサーモパイルセンサーを取り囲むファラデーケージを含むデジタル赤外線センサ、中央処理ユニットと制御ブロック。
最初のマイクロプロセッサに動作的に結合され、少なくとも1 つの重要な兆候の表現を送信するように構成されているワイヤレス通信サブシステム。そして
最初のマイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。
第2のマイクロプロセッサは、第2のデジタルインターフェースに作動可能に結合され、第2のマイクロプロセッサは、複数のバイタルサインを推定するように構成されている。そして
第2のマイクロプロセッサに動作的に結合されたメモリ、額の温度を少なくとも1つのバイタルサインに相関させるデータを格納するメモリ、および額の温度を少なくとも1つのバイタルサインに相関させるデータを提供するメモリ、
前述の第2マイクロプロセッサは、デジタル赤外線センサによって生成される額温度の赤外線信号を代表する複数のデジタル読み出し信号をデジタル赤外線センサのポートから受信するように構成される。そして、第2のマイクロプロセッサは、相関するメモリに格納されている複数のテーブルを参照して赤外線信号を代表する複数のデジタル読み出し信号から少なくとも1つの重要な符号を推定するように構成される。少なくとも1つのバイタルサインに額の温度、
デジタル赤外線センサと最初のマイクロプロセッサの間にはアナログ/デジタルコンバータが動作的に結合されていない場合、
前に、本装置は、第2の装置によって知られているように、第2の装置によって検証され、第2の装置によって許可され、第2の装置に情報を転送するようにする。
【請求項６６３】
請求項662の装置は、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項６６４】
請求項662の装置はさらに含む:アナログセンサ読み出しポートを有しないデジタル赤外線センサ。
【請求項６６５】
請求項662の装置はさらに含む:
第2のマイクロプロセッサに動作的に結合され、第2のマイクロプロセッサに複数の画像を提供するように構成されたカメラ。そして
2番目のマイクロプロセッサは、複数の画像を受信するように構成され、複数の画像の境界領域を除外するように複数の画像をトリミングするように構成されたクロッパーモジュールを含む、複数のトリミングされた画像を生成し、第2の、第2の画像マイクロプロセッサはまた、時間変動を生成するように構成された複数のトリミングされた画像の時間変動増幅器を含む、第2のマイクロプロセッサはまた、動作的に結合された生物学的重要標識発生器を含む時間変動と第2のマイクロプロセッサから生物学的に重要な兆候を生成するように構成された時間変動アンプも、生物学的バイタルサインジェネレータに作動可能に結合する。
【請求項６６６】
クレーム665の装置は、前述の時間変動増幅器は、額の皮膚画素同定モジュールをさらに含む。
【請求項６６７】
クレーム665の装置は、前述の時間変動増幅器は、さらに局所的な顔面クラスタモジュールを含む。
【請求項６６８】
クレーム665の装置は、前述の時間変動増幅器が第1の周波数フィルタモジュールをさらに含む。
【請求項６６９】
静時の心拍数をフォトプレチスモグラムセンサーからのデータから推定する請求項665の装置、呼吸数と心拍変動および血圧拡張性は、マイクロダイナミック光散乱センサからのデータから推定され、フォトプレチスモグラムセンサー。
【請求項６７０】
クレーム665の装置は、静時の心拍数がフォトプレチスモグラムセンサからのデータから推定され、呼吸数と心拍変動および血圧拡張子がマイクロ動的光からのデータから推定される。散乱センサーとフォトプレチスモグラムセンサー。
【請求項６７１】
請求項665の装置は、生物学的バイタルサインジェネレータに作動可能に結合され、複数のバイタルサインを別の装置に送信するように構成された記憶装置をさらに含む。
【請求項６７２】
無線通信サブシステムが短距離無線通信経路を介して送信する請求項662の装置。
【請求項６７３】
無線通信サブシステムがインターネットプロトコルトンネルを介して送信するクレーム662の装置。
【請求項６７４】
クレーム662の装置は、接続が確立され、複数のバイタルサインが無線通信サブシステムを介して装置から押し出され、その後、外部装置が少なくとも1つのバイタルサインの流れを制御する。装置および外部装置は、前述の接続がさらに認証された通信チャネルを含む。
【請求項６７５】
請求項662の装置は、デジタル赤外線センサが更にアナログからデジタルへのコンバータを含む。
【請求項６７６】
クレーム662の装置は、前述の無線通信サブシステムは、さらに、d食および時間、オペレータ識別、患者識別、製造業者およびモデル番号の表現を送信するように構成された構成要素を含む。装置。
複数のバイタルサインを推定する装置
【請求項６７７】
以下を含む装置である。
マイクロプロセッサ;
マイクロプロセッサに動作的に結合されたメモリ、額の温度を少なくとも 1 つのバイタル サインに関連付けるデータを格納するメモリ、および額の温度を少なくとも 1 つのバイタル サインに関連付けるデータを提供するメモリ。
マイクロプロセッサに動作的に結合され、少なくとも 1 つの重要な兆候の表現を送信するように構成されているワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
ここで、マイクロプロセッサは、デジタル赤外線センサによって検出され、マイクロプロセッサが設定されている額の温度の赤外線信号を代表するデジタル信号をデジタル読み出しポートから受信するように構成されています。額の温度を少なくとも1つのバイタルサインに相関させるメモリに格納されている複数のテーブルを参照して、赤外線信号を代表するデジタル信号から少なくとも1つの重要な兆候を推定し、
前に、本装置は、第2の装置によって知られているように、第2の装置によって検証され、第2の装置によって許可され、第2の装置に情報を転送するようにする。
【請求項６７８】
請求項677の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項６７９】
クレーム677の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項６８０】
請求項677の装置は、アナログセンサ読み出しポートを有しないデジタル赤外線センサをさらに含む。
【請求項６８１】
無線通信サブシステムが短距離無線通信経路を介して送信する請求項677の装置。
【請求項６８２】
無線通信サブシステムがインターネットプロトコルトンネルを介して送信する請求項677の装置。
【請求項６８３】
クレーム677の装置は、接続が確立され、複数のバイタルサインが無線通信サブシステムを介して装置から押し出され、その後、外部装置が少なくとも1つのバイタルサインの流れを制御する。装置および外部装置は、前述の接続がさらに認証された通信チャネルを含む。
【請求項６８４】
請求項677の装置は、デジタル赤外線センサが更にアナログからデジタルへのコンバータを含む。
【請求項６８５】
クレーム677の装置は、前述の無線通信サブシステムは、さらに、d食および時間、オペレータ識別、患者識別、製造業者およびモデル番号の表現を送信するように構成された構成要素を含む。装置。
【請求項６８６】
装置は、少なくとも1つのバイタルサインを推定する装置であり、その装置を含む。
マイクロプロセッサ;
マイクロプロセッサに動作的に結合されたメモリ、額の温度を少なくとも 1 つのバイタル サインに関連付けるデータを格納するメモリ、および額の温度を少なくとも 1 つのバイタル サインに関連付けるデータを提供するメモリ。
マイクロプロセッサに動作的に結合され、少なくとも 1 つの重要な兆候の表現を送信するように構成されているワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
ここで、マイクロプロセッサは、デジタル赤外線センサによって検出され、マイクロプロセッサが設定されている額の温度の赤外線信号を代表するデジタル信号をデジタル読み出しポートから受信するように構成されています。額の温度を少なくとも1つのバイタルサインの推定に相関させるメモリに格納されている複数のテーブルを参照して、赤外線信号を代表するデジタル信号から少なくとも1つの重要な兆候を推定する,
前に、本装置は、第2の装置によって知られているように、第2の装置によって検証され、第2の装置によって許可され、第2の装置に情報を転送するようにする。
【請求項６８７】
請求項686の装置は、さらに、さらに、さらに含む表示装置を含む。
少なくとも 1 つのバイタルサインの推定値が良好であることを示すように設定された緑色の信号。
少なくとも 1 つのバイタルサインの推定値が低いことを示すように構成されたオレンジ色の信号。そして
少なくとも 1 つのバイタルサインの推定値が高いことを示すように設定された赤信号。
【請求項６８８】
クレーム686の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項６８９】
クレーム686の装置は、さらにマイクロプロセッサに動作的に結合されたフォトプレチスモグラムセンサとマイクロプロセッサに動作的に結合されたマイクロ動的光散乱センサを含むSPO2サブシステムを含む。
【請求項６９０】
請求項686の装置はさらに含む:
以下を含む最初の回路基板:
マイクロプロセッサ、ディスプレイデバイス、およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項６９１】
無線通信サブシステムが短距離無線通信経路を介して送信する請求項686の装置。
【請求項６９２】
無線通信サブシステムがインターネットプロトコルトンネルを介して送信する請求項686の装置。
【請求項６９３】
クレーム686の装置は、接続が確立され、少なくとも1つのバイタルサインが無線通信サブシステムを介して装置から押し出され、その後、外部装置が間の少なくとも1つのバイタルサインの流れを制御する。装置および外部装置は、前述の接続がさらに認証された通信チャネルを含む。
【請求項６９４】
請求項686の装置は、デジタル赤外線センサが更にアナログからデジタルへのコンバータを含む。
【請求項６９５】
クレーム686の装置は、前述の無線通信サブシステムは、さらに、d食および時間、オペレータ識別、患者識別、製造業者およびモデル番号の表現を送信するように構成された構成要素を含む。装置。
【請求項６９６】
複数のバイタルサインを伝達する装置、複数のバイタルサインを伝達する装置を含む。
実行するようにプログラムされたマイクロプロセッサ:
額の複数の画像を受信するように構成され、画像の境界線領域を除外するために複数の画像のそれぞれをトリミングするように構成されたクロッパーモジュールは、複数のトリミングされた画像を生成します。
トリミングモジュールに動作的に結合され、複数のトリミングされた画像で額領域の皮膚を代表するピクセル値を識別し、額の出力を得る額の皮膚ピクセル識別モジュール皮膚ピクセル識別モジュール;
額の皮膚ピクセル識別モジュールに動作的に結合され、額の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。
時間変動から生物学的に重要な兆候を生成する時間変動識別子に動作的に結合された生物学的バイタルサインジェネレータで、複数のバイタルサインが額の温度を含む。
額の温度を複数のバイタルサインの最初のバイタルサインに関連付けるメモリに格納されている複数のテーブルを参照して、額の温度から複数のバイタルサインの最初のバイタルサインの推定値。そして
エスティマイタに動作的に結合され、複数のバイタルサインの最初の重要な兆候を表示するように構成されている表示装置。
マイクロプロセッサに動作的に結合されたフォトプレチスモグラムセンサーと、マイクロプロセッサに動作的に結合されたマイクロダイナミック光散乱センサを含むSPO2サブシステム。
マイクロプロセッサに動作的に結合されたメモリ、データを格納するメモリ、額の温度を複数のバイタルサインの最初のバイタルサインに相関させるデータを提供するメモリ。そして
マイクロプロセッサに作動可能に結合され、複数のバイタルサインの表現を送信するように構成された無線通信サブシステム、
前書は、複数のバイタルサインを伝達する装置を第2の装置によって知られているように、第2の装置によって検証され、第2の装置によって第2の装置に情報を転送するように許可される。
【請求項６９７】
クレーム696の複数のバイタルサインを伝達する装置は、前述の地域顔面クラスタモジュールをさらに含む:ファジークラスタ。
【請求項６９８】
請求項696の複数のバイタルサインを伝達する装置は、前述の地域顔面クラスタモジュールをさらに含む:Kクラスタ。
【請求項６９９】
クレーム696の複数のバイタルサインを伝達する装置は、前述の地域顔面クラスタモジュールがさらに含まれる:期待-最大化剤。
【請求項７００】
クレーム696の複数のバイタルサインを伝達する装置は、前述の地域顔面クラスタモジュールをさらに含む:シードポイントベースのクラスタリング装置。
【請求項７０１】
安静時の心拍数がフォトプレチスモグラムセンサからのデータから推定されるクレーム696の複数のバイタルサインを伝える装置は、呼吸数と心拍変動および血圧拡張性とから推定される。マイクロダイナミックライト散乱センサとフォトプレチスモグラムセンサー。
【請求項７０２】
クレーム696の複数のバイタルサインを伝える装置は、さらに黒体で再較正されず、さらに低ノイズ増幅器を含むデジタル赤外線センサを含み、低ノイズ増幅器が作動可能に結合されている。アナログからデジタルへのコンバータ、アナログからデジタルへのコンバータは、デジタル信号プロセッサに動作的に結合され、デジタル信号プロセッサはパルス幅変調器に動作的に結合されています。
【請求項７０３】
請求項696の複数のバイタルサインを通信する装置は、さらに、生物学的バイタルサインジェネレータに作動可能に結合され、複数のバイタルサインを別の装置に送信するように構成された記憶装置を含む。
【請求項７０４】
本装置は、複数のバイタルサインがさらに血圧を含む請求項696の複数のバイタルサインを伝達する。
【請求項７０５】
本装置は、複数のバイタルサインがさらに呼吸を含む請求項696の複数のバイタルサインを伝達する。
【請求項７０６】
本装置は、複数のバイタルサインがさらにパルスを含む、請求項696の複数のバイタルサインを伝達する。
【請求項７０７】
請求項696の複数のバイタルサインを通信する装置は、さらにマイクロプロセッサに動作的に結合され、メモリを介してマイクロプロセッサに複数の画像をキャプチャするように構成されたカメラを含む。
【請求項７０８】
マイクロプロセッサに動作的に結合されたデジタル赤外線センサを含む請求696の複数のバイタルサインを通信する装置は、デジタル読み出しポートのみを有するデジタル赤外線センサ、デジタル赤外線センサアナログセンサーの読み出しポートを持たない、単一のサーモパイルセンサを取り囲むファラデーケージ、中央処理装置および制御ブロックを含むデジタル赤外線センサー。
【請求項７０９】
請求項708の複数のバイタルサインをさらに含む通信装置:
ここで、マイクロプロセッサは、デジタル赤外線センサによって検出され、マイクロプロセッサが設定されている額の温度の赤外線信号を代表するデジタル信号をデジタル読み出しポートから受信するように構成されています。赤外線信号を代表するデジタル信号から複数のバイタルサインの最初のバイタルサインを推定する。
【請求項７１０】
請求項696の複数のバイタルサインを通信する装置は、さらに以下を含む。
アナログからデジタルへのコンバータはありません。
【請求項７１１】
クレーム696の複数のバイタルサインを伝達する装置は、複数のバイタルサインがさらに血流を含み、生物学的バイタルサインジェネレータはさらに経時的に分析する血流分析モジュールを含む。複数の画像の皮膚における運動変化および色変化を識別するバリエーションは、血液の流れのパターンを生成する。
【請求項７１２】
請求項711の複数のバイタルサインを伝える装置は、生物学的バイタルサインジェネレータに作動可能に結合され、作動可能に連結された血流表示モジュールを含む。ディスプレイ装置上の血液。
【請求項７１３】
クレーム696の複数のバイタルサインを伝達する装置は、複数のバイタルサインがさらに心拍数を含み、生物学的バイタルサインジェネレータはさらに経時的に分析する心拍数分析モジュールを含む。心拍数を生成するバリエーション。
【請求項７１４】
心拍数が心拍の周波数範囲における時間変動の周波数スペクトルから生成される請求項713の複数のバイタルサインを伝える装置。
【請求項７１５】
複数のバイタルサインを含む複数のバイタルサイン696を伝える装置は、さらに全ヘモグロビン(SpHb)、メテモグロビン(SpMet)、音響呼吸率(RRa)、カルボキシヘモグロビン(SpCO)および酸素予備量を含む。インデックス(ORi)
【請求項７１６】
無線通信サブシステムがインターネットプロトコルトンネルを介して送信するクレーム696の複数のバイタルサインを通信する装置。
【請求項７１７】
接続が確立され、複数のバイタルサインが無線通信サブシステムを介して複数のバイタルサインを通信するために装置から押し出されるクレーム696の複数のバイタルサインを通信する装置、その後、外部装置は、複数のバイタルサインと外部デバイスを通信する装置との間の複数のバイタルサインの流れを制御し、ここで接続はさらに認証された通信チャネルを含む。
【請求項７１８】
請求項696の生物学的生命徴候を伝達する装置は、本装置がアナログからデジタルへのコンバータをさらに含むデジタル赤外線センサを含む。
【請求項７１９】
請求項696の生物学的重要な徴候を伝達する装置は、無線通信サブシステムをさらに含む:
dの食べ物および時間、オペレータの識別、患者の識別、製造業者およびモデル番号の生物学的重要な徴候を伝えるために、dの表現を送信するように構成される部品。
【請求項７２０】
装置は、複数のバイタルサインを推定する装置であり、その装置を含む。
マイクロプロセッサ;
マイクロプロセッサに動作的に結合されるフォトプレチスモグラムセンサー。
マイクロプロセッサに動作的に結合されるマイクロダイナミックライト散乱センサー。
マイクロプロセッサに動作的に結合され、額の複数の画像をメモリにキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュールと、を生成する信号処理モジュールに作動可能に結合された生物学的重要な標識ジェネレータ時間変動からの額温度と、額の温度を少なくとも1つのバイタルサインに相関させるメモリに格納されている複数のテーブルを参照して、少なくとも1つの重要な符号を推定します。
マイクロプロセッサに動作的に結合され、少なくとも 1 つの重要な兆候の表現を送信するように構成されているワイヤレス通信サブシステム。そして
少なくとも1つの重要な兆候を表示するマイクロプロセッサに作動可能に結合された表示装置、
前に、本装置は、第2の装置によって知られているように、第2の装置によって検証され、第2の装置によって許可され、第2の装置に情報を転送するようにする。
【請求項７２１】
請求項720の装置は、額面温度を生成するマイクロプロセッサに作動可能に結合されたデジタル赤外線センサをさらに含む。
【請求項７２２】
請求項721の装置は、さらにマイクロプロセッサに動作的に結合されたメモリを含み、額面温度を複数のバイタルサインの1つに相関するデータを記憶する。
【請求項７２３】
クレーム720の装置は、前述の信号処理モジュールが、複数の画像間の画素値の変動を増幅するようにさらに構成される。
【請求項７２４】
クレーム720の装置は、前述の信号処理モジュールが一時的処理を行うまでさらに構成される。
【請求項７２５】
請求項724の装置は、前述の時間処理がバンドパスフィルタである。
【請求項７２６】
請求項725の装置は、バンドパスフィルタが時間の経過とともに周波数を分析するように構成されている。
【請求項７２７】
請求項720の装置は、前述の信号処理を適用する空間処理を含む。
【請求項７２８】
無線通信サブシステムが短距離無線通信経路を介して送信する請求項720の装置。
【請求項７２９】
無線通信サブシステムがインターネットプロトコルトンネルを介して送信するクレーム720の装置。
【請求項７３０】
クレーム720の装置は、接続が確立され、少なくとも1つのバイタルサインが無線通信サブシステムを介して装置から押し出され、その後、外部デバイスが間の少なくとも1つのバイタルサインの流れを制御する。装置および外部装置は、前述の接続がさらに認証された通信チャネルを含む。
【請求項７３１】
請求項720の装置は、デジタル赤外線センサをさらにアナログからデジタルへのコンバータを含む。
【請求項７３２】
クレーム720の装置は、前述の無線通信サブシステムは、さらに、d食および時間、オペレータ識別、患者識別、製造業者およびモデル番号の表現を送信するように構成された構成要素を含む。装置。
【請求項７３３】
装置を含む:
マイクロプロセッサ;
マイクロプロセッサに動作的に結合されたメモリ、額の温度を複数のバイタルサインの最初のバイタルサインに相関させるデータを格納するメモリと、額の温度を最初のバイタルに相関させるデータを提供するメモリ複数のバイタルサインの兆候;
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、少なくとも 1 つの重要な兆候の表現を送信するように構成されているワイヤレス通信サブシステム。そして
マイクロプロセッサに動作的に結合された表示装置、
ここで、マイクロプロセッサは、デジタル赤外線センサによって検出され、マイクロプロセッサが設定されている額の温度の赤外線信号を代表するデジタル信号をデジタル読み出しポートから受信するように構成されています。額の温度を少なくとも1つのバイタルサインとマイクロプロセッサに相関させるメモリに格納されている複数のテーブルを参照して、赤外線信号を代表するデジタル信号から少なくとも1つの重要な兆候を推定する複数の画像を受信するように構成され、画像の境界領域を除外するように画像をトリミングするように構成されたクロッパーモジュールを含む、複数のトリミングされた画像を生成し、マイクロプロセッサはまた、時間変動アンプを含む時間的変動を生成するように構成された複数のトリミングされた画像は、マイクロプロセッサも生物学的に生成するように構成された時間変動アンプに作動可能に結合された生物学的重要な標識ジェネレータを含む時間変動とマイクロプロセッサからのバイタルサインはまた、生物学的バイタルサインジェネレータに動作的に結合され、
前に、本装置は、第2の装置によって知られているように、第2の装置によって検証され、第2の装置によって許可され、第2の装置に情報を転送するようにする。
【請求項７３４】
クレーム733の装置は、前述の時間変動増幅器は、さらに額の皮膚画素同定モジュールを含む。
【請求項７３５】
クレーム733の装置は、前述の時間変動増幅器は、さらに局所的な顔面クラスタモジュールを含む。
【請求項７３６】
クレーム733の装置は、前述の時間変動増幅器が第1の周波数フィルタモジュールをさらに含む。
【請求項７３７】
静時の心拍数をフォトプレチスモグラムセンサーからのデータから推定する請求733の装置、呼吸数と心拍変動および血圧拡張性は、マイクロダイナミック光散乱センサからのデータから推定され、フォトプレチスモグラムセンサー。
【請求項７３８】
請求項733の装置は、生物学的バイタルサインジェネレータに作動可能に結合され、複数のバイタルサインを別の装置に送信するように構成された記憶装置をさらに含む。
【請求項７３９】
無線通信サブシステムが短距離無線通信経路を介して送信する請求項733の装置。
【請求項７４０】
無線通信サブシステムがインターネットプロトコルトンネルを介して送信する請求733の装置。
【請求項７４１】
クレーム733の装置は、接続が確立され、複数のバイタルサインが無線通信サブシステムを介して装置から押し出され、その後、外部装置が少なくとも1つのバイタルサインの流れを制御する。装置および外部装置は、前述の接続がさらに認証された通信チャネルを含む。
【請求項７４２】
請求項733の装置は、デジタル赤外線センサが更にアナログからデジタルへのコンバータを含む。
【請求項７４３】
クレーム733の装置は、前述の無線通信サブシステムは、さらに、d食および時間、オペレータ識別、患者識別、製造業者およびモデル番号の表現を送信するように構成された構成要素を含む。装置。
【請求項７４４】
請求項733の装置はさらに含む:
ボタンがマイクロプロセッサに接続されていない。
【請求項７４５】
装置を含む:
以下を含む最初の回路基板:
最初のマイクロプロセッサ;
最初のマイクロプロセッサに動作的に結合されたメモリ、額の温度を少なくとも 1 つのバイタル サインに関連付けるデータを格納するメモリ、および額の温度を少なくとも 1 つのバイタル サインに関連付けるデータを提供するメモリ。
最初のマイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
第2のマイクロプロセッサは、第2のデジタルインタフェースに作動可能に結合され、第2のマイクロプロセッサは、複数のバイタルサインを推定するように構成されている、
2 番目のマイクロプロセッサに動作的に結合され、少なくとも1 つの重要な兆候の表現を送信するように構成されているワイヤレス通信サブシステム。そして
前述の第2マイクロプロセッサは、デジタル赤外線センサによって生成される額温度の赤外線信号を代表する複数のデジタル読み出し信号をデジタル赤外線センサのポートから受信するように構成され、第2のマイクロプロセッサは、赤外線信号を代表する複数のデジタル読み出し信号から額温度を決定し、額温度から少なくとも1つのバイタルサインを推定するように構成されている。額の温度を少なくとも1つのバイタルサインに相関させるメモリに格納されている複数のテーブル、
第2のマイクロプロセッサに動作的に結合されるフォトプレチスモグラムセンサー。そして
第2のマイクロプロセッサに作動可能に結合されるマイクロ動的光散乱センサー;
デジタル赤外線センサと最初のマイクロプロセッサの間にはアナログ/デジタルコンバータが動作的に結合されていない場合、
前書は、無線通信サブシステムによって外部装置に接続され、複数のバイタルサインが無線通信サブシステムを介して装置から押し出され、その後、外部装置が制御する装置と外部装置との間の少なくとも1つの重要な標識は、前述の接続は、さらに認証された通信チャネルを含む。
【請求項７４６】
請求項745の装置は、さらにさらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項７４７】
請求項745の装置はさらに含む:アナログセンサ読み出しポートを持たないデジタル赤外線センサ。
【請求項７４８】
請求項745の装置はさらに含む:
第2のマイクロプロセッサに動作的に結合され、第2のマイクロプロセッサに複数の画像を提供するように構成されたカメラ。そして
2番目のマイクロプロセッサは、複数の画像を受信するように構成され、複数の画像の境界領域を除外するように複数の画像をトリミングするように構成されたクロッパーモジュールを含む、複数のトリミングされた画像を生成し、第2の、第2の画像マイクロプロセッサはまた、時間変動を生成するように構成された複数のトリミングされた画像の時間変動増幅器を含む、第2のマイクロプロセッサはまた、動作的に結合された生物学的重要標識発生器を含む時間変動と第2のマイクロプロセッサから生物学的に重要な兆候を生成するように構成された時間変動アンプも、生物学的バイタルサインジェネレータに作動可能に結合する。
【請求項７４９】
クレーム748の装置は、前述の時間変動増幅器は、さらに額の皮膚画素同定モジュールを含む。
【請求項７５０】
クレーム748の装置は、前述の時間変動増幅器は、さらに局所的な顔面クラスタモジュールを含む。
【請求項７５１】
クレーム748の装置は、前述の時間変動増幅器は、さらに第1の周波数フィルタモジュールを含む。
【請求項７５２】
静時の心拍数をフォトプレチスモグラムセンサーからのデータから推定する請求748の装置、呼吸数と心拍変動および血圧拡張性は、マイクロダイナミック光散乱センサからのデータから推定される。そしてフォトプレチスモグラムセンサー。
【請求項７５３】
クレーム748の装置は、さらに、静時の心拍数がフォトプレチスモグラムセンサからのデータから推定され、呼吸数と心拍変動および血圧拡張性がマイクロダイナミックからのデータから推定される。光散乱センサーとフォトプレチスモグラムセンサー。
【請求項７５４】
請求項748の装置は、生物学的バイタルサインジェネレータに作動可能に結合され、複数のバイタルサインを別の装置に送信するように構成された記憶装置をさらに含む。
【請求項７５５】
無線通信サブシステムが短距離無線通信経路を介して送信する請求項745の装置。
【請求項７５６】
請求項745の装置は、本装置が第2の装置によって知られているように第2の装置によって検証され、第2の装置によって第2の装置によって許可され、第2の装置に情報を転送することを可能にする。
【請求項７５７】
無線通信サブシステムがインターネットプロトコルトンネルを介して送信する請求745の装置。
【請求項７５８】
請求項745の装置は、デジタル赤外線センサがさらにアナログからデジタルへのコンバータを含む。
【請求項７５９】
クレーム745の装置は、前述の無線通信サブシステムは、さらに、d食および時間、オペレータ識別、患者識別、製造業者およびモデル番号の表現を送信するように構成された構成要素を含む。装置。
【請求項７６０】
複数のバイタルサインを推定する装置、以下を含む装置を含む。
マイクロプロセッサ;
マイクロプロセッサに動作的に結合されたメモリ、額の温度を少なくとも 1 つのバイタル サインに関連付けるデータを格納するメモリ、および額の温度を少なくとも 1 つのバイタル サインに関連付けるデータを提供するメモリ。
マイクロプロセッサに動作的に結合され、少なくとも 1 つの重要な兆候の表現を送信するように構成されているワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
ここで、マイクロプロセッサは、デジタル赤外線センサによって検出され、マイクロプロセッサが設定されている額の温度の赤外線信号を代表するデジタル信号をデジタル読み出しポートから受信するように構成されています。額の温度を少なくとも1つのバイタルサインに相関させるメモリに格納されている複数のテーブルを参照して、赤外線信号を代表するデジタル信号から少なくとも1つの重要な兆候を推定し、
前書は、無線通信サブシステムによって外部装置に接続され、複数のバイタルサインが無線通信サブシステムを介して装置から押し出され、その後、外部装置が装置と外部装置との間の少なくとも1つの重要な符号は、前述の接続は、さらに認証された通信チャネルを含む。
【請求項７６１】
請求項760の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項７６２】
クレーム760の装置は、さらにマイクロプロセッサに動作的に結合されたフォトプレチスモグラムセンサとマイクロプロセッサに動作的に結合されたマイクロ動的光散乱センサを含むSPO2サブシステムを含む。
【請求項７６３】
クレーム760の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項７６４】
請求項760の装置は、アナログセンサ読み出しポートを持たないデジタル赤外線センサをさらに含む。
【請求項７６５】
無線通信サブシステムが短距離無線通信経路を介して送信する請求項760の装置。
【請求項７６６】
前の請求項760の装置は、本装置が第2の装置によって知られているように第2の装置によって検証され、第2の装置によって第2の装置によって許可され、第2の装置に情報を転送することを可能にする。
【請求項７６７】
無線通信サブシステムがインターネットプロトコルトンネルを介して送信する請求項760の装置。
【請求項７６８】
請求項760の装置は、デジタル赤外線センサがさらにアナログからデジタルへのコンバータを含む。
【請求項７６９】
クレーム760の装置は、前述の無線通信サブシステムは、さらに、d食および時間、オペレータ識別、患者識別、製造業者およびモデル番号の表現を送信するように構成された構成要素を含む。装置。
複数のバイタルサインを推定する装置
【請求項７７０】
以下を含む装置である。
マイクロプロセッサに動作的に結合され、複数のバイタルサインの表現を送信するように構成された無線通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
マイクロプロセッサは、デジタル赤外線センサによって検出され、マイクロプロセッサが設定されている額の温度の赤外線信号を代表するデジタル信号をデジタル読み出しポートから受信するように構成されています。額の温度を少なくとも1つのバイタルサインに相関させるメモリに格納されている複数のテーブルを参照して赤外線信号を代表するデジタル信号から複数のバイタルサインを推定し、
前書は、無線通信サブシステムによって外部装置に接続され、複数のバイタルサインが無線通信サブシステムを介して装置から押し出され、その後、外部装置が装置と外部装置との間の少なくとも1つの重要な符号は、前述の接続は、さらに認証された通信チャネルを含む。
【請求項７７１】
請求項770の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項７７２】
クレーム770の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項７７３】
クレーム770の装置は、さらにマイクロプロセッサに動作的に結合されたフォトプレチスモグラムセンサとマイクロプロセッサに動作的に結合されたマイクロ動的光散乱センサを含むSPO2サブシステムを含む。
【請求項７７４】
請求項770の装置はさらに含む:
以下を含む最初の回路基板:
マイクロプロセッサ、ディスプレイデバイス、およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項７７５】
無線通信サブシステムが短距離無線通信経路を介して送信する請求項770の装置。
【請求項７７６】
請求項770の装置は、本装置が第2の装置によって知られているように第2の装置によって検証され、第2の装置によって第2の装置によって許可され、第2の装置に情報を転送することを可能にする。
【請求項７７７】
無線通信サブシステムがインターネットプロトコルトンネルを介して送信する請求項770の装置。
【請求項７７８】
請求項770の装置は、デジタル赤外線センサがさらにアナログからデジタルへのコンバータを含む。
【請求項７７９】
クレーム770の装置は、前述の無線通信サブシステムは、さらに、d食および時間、オペレータ識別、患者識別、製造業者およびモデル番号の表現を送信するように構成された構成要素を含む。装置。
【請求項７８０】
装置は、複数のバイタルサインを伝達し、その装置を含む複数のバイタルサインを伝達する装置である。
複数の画像を提供するように構成されたカメラ。そして
カメラに動作的に結合され、実行するようにプログラムされたマイクロプロセッサ:
額の複数の画像を受信するように構成され、画像の境界線領域を除外するために複数の画像のそれぞれをトリミングするように構成されたクロッパーモジュールは、複数のトリミングされた画像を生成します。
クロッパーモジュールに動作的に結合され、複数のトリミングされた画像の皮膚を代表するピクセル値を識別し、額の皮膚ピクセル識別モジュールの出力を得る額の皮膚ピクセル識別モジュール。
額の皮膚ピクセル識別モジュールに動作的に結合され、額の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。そして
時間変動から複数のバイタルサインを推定する時間変動識別子に作動可能に結合された生物学的バイタルサインジェネレータで、複数のバイタルサインは少なくとも1つのバイタルサインと複数のバイタルサインである額の温度を複数のバイタルサインの最初の重要な兆候に相関させるメモリに格納されている複数のテーブルを参照して生成されます。
生物学的バイタルサインジェネレータに動作的に結合された表示装置;
マイクロプロセッサに動作的に結合されたフォトプレチスモグラムセンサーと、マイクロプロセッサに動作的に結合されたマイクロダイナミック光散乱センサを含むSPO2サブシステム。
マイクロプロセッサに動作的に結合されたメモリ、データを格納するメモリ、額の温度を複数のバイタルサインの最初のバイタルサインに相関させるデータを提供するメモリ。そして
マイクロプロセッサに作動可能に結合され、複数のバイタルサインの表現を送信するように構成された無線通信サブシステム、
前書は、無線通信サブシステムによって外部装置に接続され、複数のバイタルサインが装置から押し出され、無線通信サブシステムを介して複数のバイタルサインを通信し、その後外部デバイスは、複数のバイタルサインと外部デバイスを通信する装置との間の少なくとも1つのバイタルサインの流れを制御し、ここで接続はさらに認証された通信チャネルを含む。
【請求項７８１】
クレーム780の複数のバイタルサインを伝達する装置は、前述の地域顔面クラスタモジュールをさらに含む:ファジークラスタ。
【請求項７８２】
請求項780の複数のバイタルサインを伝達する装置は、前述の地域顔面クラスタモジュールをさらに含む:Kクラスタ。
【請求項７８３】
クレーム780の複数のバイタルサインを伝達する装置は、前述の地域顔面クラスタモジュールがさらに含まれる:期待-最大化剤。
【請求項７８４】
請求項780の複数のバイタルサインを伝える装置は、前述の地域顔面クラスタモジュールをさらに含む:シードポイントベースのクラスタリング装置。
【請求項７８５】
安静時の心拍数がフォトプレチスモグラムセンサーからのデータから推定される請求項780の複数のバイタルサインを伝える装置は、呼吸数と心拍変動および血圧拡張性とから推定される。マイクロダイナミックライト散乱センサとフォトプレチスモグラムセンサー。
【請求項７８６】
クレーム780の複数のバイタルサインを伝える装置は、さらに黒体で再較正されず、さらに低ノイズ増幅器を含むデジタル赤外線センサを含み、低ノイズ増幅器が作動可能に結合されているアナログからデジタルへのコンバータ、アナログからデジタルへのコンバータは、デジタル信号プロセッサに動作的に結合され、デジタル信号プロセッサはパルス幅変調器に動作的に結合されています。
【請求項７８７】
請求項780の複数のバイタルサインを通信する装置は、さらに、生物学的バイタルサインジェネレータに作動可能に結合され、複数のバイタルサインを別の装置に送信するように構成された記憶装置を含む。
【請求項７８８】
本装置は、複数のバイタルサインがさらに血圧を含む請求項780の複数のバイタルサインを伝達する。
【請求項７８９】
本装置は、請求項780の複数のバイタルサインをさらに含む呼吸を含む。
【請求項７９０】
本装置は、複数のバイタルサインがさらにパルスを含む、請求項780の複数のバイタルサインを伝達する。
【請求項７９１】
マイクロプロセッサに動作的に結合されたデジタル赤外線センサを含む請求780の複数のバイタルサインを通信する装置は、デジタル読み出しポートのみを有するデジタル赤外線センサ、デジタル赤外線センサアナログセンサーの読み出しポートを持たない、単一のサーモパイルセンサを取り囲むファラデーケージ、中央処理装置および制御ブロックを含むデジタル赤外線センサー。
【請求項７９２】
請求項780の複数のバイタルサインを通信する装置は、さらに以下を含む。
アナログからデジタルへのコンバータはありません。
【請求項７９３】
クレーム780の複数のバイタルサインを伝達する装置は、複数のバイタルサインがさらに血流を含み、生物学的バイタルサインジェネレータはさらに経時的に分析する血流分析モジュールを含む。複数の画像の皮膚における運動変化および色変化を識別するバリエーションは、血液の流れのパターンを生成する。
【請求項７９４】
請求項793の複数のバイタルサインを伝える装置は、生物学的バイタルサインジェネレータに作動可能に結合され、作動可能に連結された血流表示モジュールを含む。ディスプレイ装置上の血液。
【請求項７９５】
クレーム780の複数のバイタルサインを伝達する装置は、複数のバイタルサインがさらに心拍数を含み、生物学的バイタルサインジェネレータはさらに経時的に分析する心拍数分析モジュールを含む。心拍数を生成するバリエーション。
【請求項７９６】
心拍数が心拍の周波数範囲における時間変動の周波数スペクトルから生成される請求項795の複数のバイタルサインを伝える装置。
【請求項７９７】
複数のバイタルサインが更に全ヘモグロビン(SpHb)、メテモグロビン(SpMet)、音響呼吸率(RRa)、カルボキシヘモグロビン(SpCO)および酸素予備を含む、請求項780の複数のバイタルサインを伝達する装置インデックス(ORi)
【請求項７９８】
クレーム780の複数のバイタルサインを伝える装置は、前述のバイタルサインを通信する装置が第2の装置によって知られているように第2の装置によって検証され、第2の装置によって転送が可能とされる。第2の装置への情報。
【請求項７９９】
無線通信サブシステムがインターネットプロトコルトンネルを介して送信する請求780の複数のバイタルサインを通信する装置。
【請求項８００】
本装置は、請求項780の複数のバイタルサインを伝達し、ここで、デジタル赤外線センサはさらにアナログからデジタルへのコンバータを含む。
【請求項８０１】
請求項780の複数のバイタルサインを通信する装置は、前述の無線通信サブシステムをさらに含む。
d食べ物および時間の表現を送信するように構成された構成要素は、オペレータ識別、患者識別、製造業者およびモデル番号の装置の複数のバイタルサインを伝える。
【請求項８０２】
装置は、複数のバイタルサインを推定する装置であり、以下を含む。
マイクロプロセッサ;
マイクロプロセッサに動作的に結合されたメモリ、額の温度を少なくとも1 つのバイタル サインに関連付けるデータを格納するメモリ、および額の温度を少なくとも 1 つのバイタル サインに関連付けるデータを提供するメモリ。
マイクロプロセッサに動作的に結合され、複数の画像をメモリにキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュール、およびを生成する信号処理モジュールに作動可能に結合された生物学的重要な標識ジェネレータ額の温度を少なくとも1つのバイタルサインに関連付けるメモリに格納されている複数のテーブルを参照して、時間変動から少なくとも1つの重要な兆候;
マイクロプロセッサに動作的に結合されるフォトプレチスモグラムセンサー。
マイクロプロセッサに動作的に結合されるマイクロダイナミックライト散乱センサー。
前書は、無線通信サブシステムによって外部装置に接続され、複数のバイタルサインが無線通信サブシステムを介して装置から押し出され、その後、外部装置が装置と外部装置との間の少なくとも1つの重要な符号は、前述の接続は、さらに認証された通信チャネルを含む。
【請求項８０３】
クレーム802の装置は、さらに、低ノイズアンプ、アナログからデジタルコンバータ、デジタル信号プロセッサ、およびパルス幅変調器を含むデジタル赤外線センサを単一の業界標準パッケージで構成する。
【請求項８０４】
クレーム802の装置は、前述の信号処理モジュールが、複数の画像間の画素値の変動を増幅するようにさらに構成される。
【請求項８０５】
クレーム802の装置は、前述の信号処理モジュールが一時的処理を行うまでさらに構成される。
【請求項８０６】
請求項805の装置は、前述の時間処理がバンドパスフィルタである。
【請求項８０７】
請求項806の装置は、バンドパスフィルタが時間の経過とともに周波数を分析するように構成されている。
【請求項８０８】
請求項802の装置は、前述の信号処理を適用する空間処理を含む。
【請求項８０９】
無線通信サブシステムが短距離無線通信経路を介して送信する請求項802の装置。
【請求項８１０】
前項802の装置は、第2の装置によって知られている第2の装置によって検証され、第2の装置によって第2の装置によって許可され、第2の装置に情報を転送することを可能にする。
【請求項８１１】
無線通信サブシステムがインターネットプロトコルトンネルを介して送信する請求項802の装置。
【請求項８１２】
請求項802の装置は、デジタル赤外線センサが更にアナログからデジタルへのコンバータを含む。
【請求項８１３】
クレーム802の装置は、前述の無線通信サブシステムは、さらに、d食および時間、オペレータ識別、患者識別、製造業者およびモデル番号の表現を送信するように構成された構成要素を含む。装置。
複数のバイタルサインを推定する装置
【請求項８１４】
以下を含む装置である。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、複数のバイタルサインの表現を送信するように構成された無線通信サブシステム。そして
マイクロプロセッサに動作的に結合された表示装置、
マイクロプロセッサは、デジタル赤外線センサによって検出され、マイクロプロセッサが設定されている額の温度の赤外線信号を代表するデジタル信号をデジタル読み出しポートから受信するように構成されています。額の温度を最初のバイタルサインに相関するメモリに格納されている複数のテーブルを参照して、赤外線信号を代表するデジタル信号からの複数のバイタルサインの最初のバイタルサインを推定する複数のバイタルサインとマイクロプロセッサを含むクロッパーモジュールは、複数の画像を受信するように構成され、画像の境界領域を除外するように画像をトリミングするように構成され、複数のトリミングされた画像を生成し、マイクロプロセッサもまた時間変動を生成するように構成された複数のトリミングされた画像の時間変動増幅器を含む、マイクロプロセッサはまた、時間変動アンプに動作的に結合された生物学的重要な符号発生器を含む時間変動およびマイクロプロセッサから複数のバイタルサインの第2のバイタルサインを生成するように構成されるものも、生物学的バイタルサインジェネレータに作動可能に結合され、
前書は、無線通信サブシステムによって外部装置に接続され、複数のバイタルサインが無線通信サブシステムを介して装置から押し出され、その後、外部装置が制御する装置と外部装置との間の複数のバイタルサインは、前述の接続が認証された通信チャネルをさらに含む。
【請求項８１５】
クレーム814の装置は、前述の時間変動増幅器は、額の皮膚画素同定モジュールをさらに含む。
【請求項８１６】
クレーム814の装置は、前述の時間変動増幅器は、さらに局所的な顔面クラスタモジュールを含む。
【請求項８１７】
クレーム814の装置は、前述の時間変動増幅器が第1の周波数フィルタモジュールをさらに含む。
【請求項８１８】
静時の心拍数をフォトプレチスモグラムセンサーからのデータから推定する請求項814の装置、呼吸数と心拍変動および血圧拡張性は、マイクロダイナミック光散乱センサからのデータから推定され、フォトプレチスモグラムセンサー。
【請求項８１９】
請求項814の装置は、さらに、生物学的バイタルサインジェネレータに作動可能に結合され、複数のバイタルサインを別の装置に送信するように構成された記憶装置を含む。
【請求項８２０】
無線通信サブシステムが短距離無線通信経路を介して送信する請求項814の装置。
【請求項８２１】
請求項814の装置は、本装置が第2の装置によって知られているように第2の装置によって検証され、第2の装置によって第2の装置によって許可され、第2の装置に情報を転送することを可能にする。
【請求項８２２】
無線通信サブシステムがインターネットプロトコルトンネルを介して送信する請求項814の装置。
【請求項８２３】
請求項814の装置は、デジタル赤外線センサが更にアナログからデジタルへのコンバータを含む。
【請求項８２４】
クレーム814の装置は、前述の無線通信サブシステムは、さらに、d食および時間、オペレータ識別、患者識別、製造業者およびモデル番号の表現を送信するように構成された構成要素を含む。装置。
【請求項８２５】
請求項814の装置はさらに含む:
ボタンがマイクロプロセッサに動作的に結合されていない
【請求項８２６】
装置を含む:
以下を含む最初の回路基板:
最初のマイクロプロセッサ;
最初のマイクロプロセッサに動作的に結合されたメモリ、額の温度を少なくとも1 つのバイタル サインに関連付けるデータを格納するメモリ、および額の温度を少なくとも 1 つのバイタル サインに関連付けるデータを提供するメモリ。
最初のマイクロプロセッサに動作的に結合され、少なくとも 1 つの重要な兆候の表現を送信するように構成されているワイヤレス通信サブシステム。そして
最初のマイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
第2のマイクロプロセッサは、第2のデジタルインタフェースに作動可能に結合され、第2のマイクロプロセッサは、複数のバイタルサインを推定するように構成されている、
第2のマイクロプロセッサに動作的に結合されるフォトプレチスモグラムセンサー。
第2のマイクロプロセッサに作動可能に結合されるマイクロ動的光散乱センサー;
前述の第2マイクロプロセッサは、デジタル赤外線センサによって生成される額温度の赤外線信号を代表する複数のデジタル読み出し信号をデジタル赤外線センサのポートから受信するように構成され、第2のマイクロプロセッサは、額を相関するメモリに格納されている複数のテーブルを参照して赤外線信号を代表する複数のデジタル読み出し信号から少なくとも1つの重要な兆候を推定するように構成される。少なくとも1つの重要な兆候に温度、
デジタル赤外線センサと最初のマイクロプロセッサの間にはアナログ/デジタルコンバータが動作的に結合されていない場合、
デジタル赤外線センサは、さらにアナログからデジタルへのコンバータを含む。
【請求項８２７】
請求項826の装置は、さらにさらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項８２８】
請求項826の装置はさらに含む:アナログセンサ読み出しポートを有しないデジタル赤外線センサ。
【請求項８２９】
請求項826の装置はさらに含む:
第2のマイクロプロセッサに動作的に結合され、第2のマイクロプロセッサに複数の画像を提供するように構成されたカメラ。そして
2番目のマイクロプロセッサは、複数の画像を受信するように構成され、複数の画像の境界領域を除外するように複数の画像をトリミングするように構成されたクロッパーモジュールを含む、複数のトリミングされた画像を生成し、第2の、第2の画像マイクロプロセッサはまた、時間変動を生成するように構成された複数のトリミングされた画像の時間変動増幅器を含む、第2のマイクロプロセッサはまた、動作的に結合された生物学的重要標識発生器を含む時間変動と第2のマイクロプロセッサから生物学的に重要な兆候を生成するように構成された時間変動アンプも、生物学的バイタルサインジェネレータに作動可能に結合する。
【請求項８３０】
クレーム829の装置は、前述の時間変動増幅器は、さらに額の皮膚画素同定モジュールを含む。
【請求項８３１】
クレーム829の装置は、前述の時間変動増幅器は、さらに局所的な顔面クラスタモジュールを含む。
【請求項８３２】
クレーム829の装置は、前述の時間変動増幅器が第1の周波数フィルタモジュールをさらに含む。
【請求項８３３】
クレーム826の装置は、さらにフォトプレチスモグラムセンサとマイクロダイナミック光散乱センサを含むSPO2サブシステムを含む。
【請求項８３４】
デジタル赤外線センサが、単一のサーモパイルセンサ、中央処理装置及び制御ブロックを取り囲むファラデーケージをさらに含む請求項826の装置である。
【請求項８３５】
請求項829の装置は、生物学的バイタルサインジェネレータに作動可能に結合され、複数のバイタルサインを別の装置に送信するように構成された記憶装置をさらに含む。
【請求項８３６】
無線通信サブシステムが短距離無線通信経路を介して送信する請求項826の装置。
【請求項８３７】
請求項826の装置は、本装置が第2の装置によって知られているように第2の装置によって検証され、第2の装置によって第2の装置によって許可され、第2の装置に情報を転送することを可能にする。
【請求項８３８】
クレーム826の装置は、接続が確立され、複数のバイタルサインが無線通信サブシステムを介して装置から押し出され、その後、外部装置が少なくとも1つのバイタルサインの流れを制御する。装置および外部装置は、前述の接続がさらに認証された通信チャネルを含む。
【請求項８３９】
請求項826の装置は、無線通信サブシステムがインターネットプロトコルトンネルを介して送信する。
【請求項８４０】
クレーム826の装置は、前述の無線通信サブシステムは、さらに、d食および時間、オペレータ識別、患者識別、製造業者およびモデル番号の表現を送信するように構成された構成要素を含む。装置。
複数のバイタルサインを推定する装置
【請求項８４１】
以下を含む装置である。
マイクロプロセッサ;
マイクロプロセッサに動作的に結合されたメモリ、データを格納するメモリ、額面温度を複数のバイタルサインの最初のバイタルサインに相関させるデータを提供するメモリ。
マイクロプロセッサに動作的に結合され、複数のバイタルサインの最初のバイタルサインの推定値の表現を送信するように構成された無線通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
前述のマイクロプロセッサは、デジタル赤外線センサによって検出された額表面温度の赤外線信号を代表するデジタル信号をデジタル読み出しポートから受信するように構成され、マイクロプロセッサは額面温度を相関するメモリに格納されている複数のテーブルを参照して赤外線信号を代表するデジタル信号からの複数のバイタルサインの最初のバイタルサインを推定するように構成される複数のバイタルサインの最初のバイタルサイン、
デジタル赤外線センサは、さらにアナログからデジタルへのコンバータを備える。
【請求項８４２】
請求項841の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項８４３】
クレーム841の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項８４４】
クレーム841の装置は、さらにマイクロプロセッサに動作的に結合されたフォトプレチスモグラムセンサとマイクロプロセッサに動作的に結合されたマイクロ動的光散乱センサを含むSPO2サブシステムを含む。
【請求項８４５】
請求項841の装置はさらに含む:アナログセンサ読み出しポートを有しないデジタル赤外線センサ。
【請求項８４６】
無線通信サブシステムが短距離無線通信経路を介して送信する請求項841の装置。
【請求項８４７】
本装置は、第2の装置によって知られている第2の装置によって検証され、第2の装置によって第2の装置に情報を転送することを許可されるものであり、第2の装置によって許可される請求項841の装置である。
【請求項８４８】
クレーム841の装置は、接続が確立され、複数のバイタルサインが無線通信サブシステムを介して装置から押し出され、その後、外部装置が少なくとも1つのバイタルサインの流れを制御する。装置および外部装置は、前述の接続がさらに認証された通信チャネルを含む。
【請求項８４９】
請求項841の装置は、無線通信サブシステムがインターネットプロトコルトンネルを介して送信する。
【請求項８５０】
クレーム841の装置は、前述の無線通信サブシステムは、さらに、d食および時間、オペレータ識別、患者識別、製造業者およびモデル番号の表現を送信するように構成された構成要素を含む。装置。
【請求項８５１】
装置は、複数のバイタルサインを推定する装置であり、その装置を含む。
マイクロプロセッサ;
マイクロプロセッサに動作的に結合されたメモリ、データを格納するメモリ、額面温度を複数のバイタルサインの最初のバイタルサインに相関させるデータを提供するメモリ。
マイクロプロセッサに動作的に結合され、複数のバイタルサインの最初のバイタルサインの推定値の表現を送信するように構成された無線通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
前述のマイクロプロセッサは、デジタル赤外線センサによって検出された額表面温度の赤外線信号を代表するデジタル信号をデジタル読み出しポートから受信するように構成され、マイクロプロセッサは額面温度を相関するメモリに格納されている複数のテーブルを参照して赤外線信号を代表するデジタル信号からの複数のバイタルサインの最初のバイタルサインを推定するように構成される複数のバイタルサインの最初のバイタルサイン、
デジタル赤外線センサは、さらにアナログからデジタルへのコンバータを備える。
【請求項８５２】
請求項851の装置は、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項８５３】
クレーム851の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項８５４】
クレーム851の装置は、さらにマイクロプロセッサに動作的に結合されたフォトプレチスモグラムセンサとマイクロプロセッサに動作的に結合されたマイクロ動的光散乱センサを含むSPO2サブシステムを含む。
【請求項８５５】
請求項851の装置はさらに含む:
以下を含む最初の回路基板:
マイクロプロセッサ、ディスプレイデバイス、およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項８５６】
無線通信サブシステムが短距離無線通信経路を介して送信する請求項851の装置。
【請求項８５７】
本装置は、第2の装置によって知られている第2の装置によって検証され、第2の装置によって第2の装置に情報を転送することを許可されるものであり、第2の装置によって許可される請求項851の装置である。
【請求項８５８】
クレーム851の装置は、接続が確立され、複数のバイタルサインが無線通信サブシステムを介して装置から押し出され、その後、外部装置が少なくとも1つのバイタルサインの流れを制御する。装置および外部装置は、前述の接続がさらに認証された通信チャネルを含む。
【請求項８５９】
請求項851の装置は、無線通信サブシステムがインターネットプロトコルトンネルを介して送信する。
【請求項８６０】
クレーム851の装置は、前述の無線通信サブシステムは、さらに、d食および時間、オペレータ識別、患者識別、製造業者およびモデル番号の表現を送信するように構成された構成要素を含む。装置。
【請求項８６１】
装置は、複数のバイタルサインを伝達する装置、複数のバイタルサインを含む複数のバイタルサインを伝達する装置である。
実行するようにプログラムされたマイクロプロセッサ:
複数の画像を受信するように構成され、複数の画像のそれぞれをトリミングして画像の境界線領域を除外するように構成されたクロッパーモジュールで、複数のトリミングされた画像を生成します。
クロッパーモジュールに動作的に結合され、複数のトリミングされた画像の皮膚を代表するピクセル値を識別し、額の皮膚ピクセル識別モジュールの出力を得る額の皮膚ピクセル識別モジュール。
額の皮膚ピクセル識別モジュールに動作的に結合され、額の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。そして
時間変動から生物学的生命徴候を生成する時間変動識別子に作動可能に結合された生物学的バイタルサインジェネレータで、前述の複数のバイタルサインは額の温度であり、複数のバイタルサインは、額の温度を少なくとも 1 つの重要な記号に関連付けるメモリに格納されている複数のテーブルを参照して生成されます。そして
少なくとも1つのバイタルサインを表示するように構成された生物学的バイタルサインジェネレータに動作的に結合された表示装置。
マイクロプロセッサに動作的に結合されたフォトプレチスモグラムセンサーと、マイクロプロセッサに動作的に結合されたマイクロダイナミック光散乱センサを含むSPO2サブシステム。
マイクロプロセッサに動作的に結合されたメモリ、データを格納するメモリ、額の温度を少なくとも 1 つのバイタル サインに関連付けるデータを提供するメモリ。そして
マイクロプロセッサに動作的に結合され、生物学的バイタルサインの表現を送信するように構成された無線通信サブシステム、
デジタル赤外線センサは、さらにアナログからデジタルへのコンバータを備える。
【請求項８６２】
クレーム861の複数のバイタルサインを伝達する装置は、前述の地域顔面クラスタモジュールをさらに含む:ファジークラスタ。
【請求項８６３】
クレーム861の複数のバイタルサインを伝達する装置は、前述の地域顔面クラスタモジュールをさらに含む:Kクラスタ。
【請求項８６４】
クレーム861の複数のバイタルサインを伝達する装置は、前述の地域顔面クラスタモジュールがさらに含まれる:期待-最大化剤。
【請求項８６５】
クレーム861の複数のバイタルサインを伝達する装置は、前述の地域顔面クラスタモジュールをさらに含む:シードポイントベースのクラスタリング装置。
【請求項８６６】
安静時の心拍数がフォトプレチスモグラムセンサからのデータから推定されるクレーム861の複数のバイタルサインを伝える装置は、呼吸数と心拍変動および血圧拡張性とから推定される。マイクロダイナミックライト散乱センサとフォトプレチスモグラムセンサー。
【請求項８６７】
クレーム861の複数のバイタルサインを伝える装置は、さらに黒体で再較正されず、さらに低ノイズ増幅器を含むデジタル赤外線センサを含み、低ノイズ増幅器が作動可能に結合されているアナログからデジタルへのコンバータ、アナログからデジタルへのコンバータは、デジタル信号プロセッサに動作的に結合され、デジタル信号プロセッサはパルス幅変調器に動作的に結合されています。
【請求項８６８】
請求項861の複数のバイタルサインを通信する装置は、さらに、生物学的バイタルサインジェネレータに作動可能に結合され、複数のバイタルサインを別の装置に送信するように構成された記憶装置を含む。
【請求項８６９】
本装置は、複数のバイタルサインがさらに血圧を含むクレーム861の複数のバイタルサインを伝達する。
【請求項８７０】
本装置は、複数のバイタルサインがさらに呼吸を含むクレーム861の複数のバイタルサインを伝達する。
【請求項８７１】
本装置は、複数のバイタルサインがさらにパルスを含むクレーム861の複数のバイタルサインを伝達する。
【請求項８７２】
本装置は、さらにマイクロプロセッサに作動可能に結合され、複数の画像をメモリを介してマイクロプロセッサに捕捉するように構成されたカメラを含む、請求項861の複数のバイタルサインを伝達する。
【請求項８７３】
マイクロプロセッサに動作的に結合されたデジタル赤外線センサを含む請求項861の複数のバイタルサインを通信する装置は、デジタル読み出しポートのみを有するデジタル赤外線センサ、デジタル赤外線センサアナログセンサーの読み出しポートを持たない、単一のサーモパイルセンサを取り囲むファラデーケージ、中央処理装置および制御ブロックを含むデジタル赤外線センサー。
【請求項８７４】
請求項873の複数のバイタルサインを通信する装置は、さらに以下を含む。
ここで、マイクロプロセッサは、デジタル赤外線センサによって検出され、マイクロプロセッサが設定されている額の温度の赤外線信号を代表するデジタル信号をデジタル読み出しポートから受信するように構成されています。額の温度を少なくとも1つのバイタルサインに相関させるメモリに格納されたテーブルを参照して、赤外線信号を代表するデジタル信号から少なくとも1つの重要な符号を推定します。
【請求項８７５】
請求項861の複数のバイタルサインをさらに含む装置:
アナログからデジタルへのコンバータはありません。
【請求項８７６】
クレーム861の複数のバイタルサインを伝達する装置は、複数のバイタルサインがさらに血流を含み、生物学的バイタルサインジェネレータは、さらに経時的に分析する血流分析モジュールを含む。複数の画像の皮膚における運動変化および色変化を識別するバリエーションは、血液の流れのパターンを生成する。
【請求項８７７】
クレーム876の複数のバイタルサインを伝える装置は、さらに、生物学的バイタルサインジェネレータに作動可能に結合され、作動可能に連結された血流表示モジュールを含む、ディスプレイ装置上の血液。
【請求項８７８】
クレーム861の複数のバイタルサインを伝達する装置は、複数のバイタルサインがさらに心拍数を含み、生物学的バイタルサインジェネレータはさらに経時的に分析する心拍数分析モジュールを含む。心拍数を生成するバリエーション。
【請求項８７９】
心拍数が心拍の周波数範囲における時間変動の周波数スペクトルから生成されるクレーム878の複数のバイタルサインを伝える装置。
【請求項８８０】
複数のバイタルサインが更に全ヘモグロビン(SpHb)、メテモグロビン(SpMet)、音響呼吸率(RRa)、カルボキシヘモグロビン(SpCO)および酸素予備を含むクレーム861の複数のバイタルサインを伝達する装置インデックス(ORi)
【請求項８８１】
複数のバイタルサインを伝える装置861の複数のバイタルサインを伝える装置は、第2の装置によって知られているように第2の装置によって検証され、第2の装置によって転送が可能とされる。第2の装置への情報。
【請求項８８２】
接続が確立され、複数のバイタルサインが無線通信サブシステムを介して複数のバイタルサインを通信するために装置から押し出されるクレーム861の複数のバイタルサインを通信する装置、その後、外部装置は、複数のバイタルサインと外部デバイスを通信する装置との間の少なくとも1つのバイタルサインの流れを制御し、ここで接続はさらに認証された通信チャネルを含む。
【請求項８８３】
本装置は、請求項861の複数のバイタルサインを通信し、ここで無線通信サブシステムがインターネットプロトコルトンネルを介して送信する。
【請求項８８４】
請求項861の複数のバイタルサインを通信する装置は、前述の無線通信サブシステムをさらに含む。
d食べ物および時間の表現を送信するように構成された構成要素は、オペレータ識別、患者識別、製造業者およびモデル番号の装置の複数のバイタルサインを伝える。
【請求項８８５】
複数のバイタルサインを推定する装置、以下を含む装置を含む。
マイクロプロセッサ;
マイクロプロセッサに動作的に結合されるフォトプレチスモグラムセンサー。
マイクロプロセッサに動作的に結合されるマイクロダイナミックライト散乱センサー。
マイクロプロセッサに動作的に結合されたメモリ、額の温度を少なくとも 1 つのバイタル サインに関連付けるデータを格納するメモリ、および額の温度を少なくとも 1 つのバイタル サインに関連付けるデータを提供するメモリ。
マイクロプロセッサに動作的に結合され、複数の画像をメモリにキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュールと、で生成される信号処理モジュールに作動可能に結合された生物学的重要な標識ジェネレータ時間変動からの複数のバイタルサインの少なくとも1つ;
マイクロプロセッサに作動可能に結合され、複数のバイタルサインの表現を送信するように構成された無線通信サブシステム、
デジタル赤外線センサは、アナログからデジタルへのコンバータをさらに備えています。そして
複数のバイタルサインを表示するマイクロプロセッサに動作的に結合された表示装置。
【請求項８８６】
クレーム885の装置は、さらに、低ノイズアンプ、アナログからデジタルコンバータ、デジタル信号プロセッサ、およびパルス幅変調器を含むデジタル赤外線センサを単一の業界標準パッケージで構成する。
【請求項８８７】
クレーム885の装置は、前述の信号処理モジュールが、複数の画像間の画素値の変動を増幅するようにさらに構成される。
【請求項８８８】
クレーム885の装置は、前述の信号処理モジュールが一時的処理を行うまでさらに構成される。
【請求項８８９】
請求項888の装置は、前述の時間処理がバンドパスフィルタである。
【請求項８９０】
クレーム889の装置は、バンドパスフィルタが時間の経過とともに周波数を分析するように構成されている。
【請求項８９１】
請求項885の装置は、前述の信号処理を適用する空間処理を含む。
【請求項８９２】
無線通信サブシステムが短距離無線通信経路を介して送信する請求項885の装置。
【請求項８９３】
請求項885の装置は、本装置が第2の装置によって知られているように第2の装置によって検証され、第2の装置によって第2の装置によって許可され、第2の装置に情報を転送することを可能にする。
【請求項８９４】
この請求請求らぎらこの装置885の装置の装置885の装置の装置885の装置の装置885の装置の装置88に、その後、外部装置が無線に、その後、外部装置が、その間の複数のバイタル標識の流れ。装置および外部装置は、前述の接続がさらに認証された通信チャネルを含む。
【請求項８９５】
請求項885の装置は、無線通信サブシステムがインターネットプロトコルトンネルを介して送信する。
【請求項８９６】
クレーム885の装置は、前述の無線通信サブシステムは、さらに、d食および時間、オペレータ識別、患者識別、製造業者およびモデル番号の表現を送信するように構成された構成要素を含む。装置。
【請求項８９７】
装置は、複数のバイタルサインを推定する装置であり、以下を含む。
マイクロプロセッサ;
マイクロプロセッサに動作的に結合されたメモリ、額の温度を少なくとも 1 つのバイタル サインに関連付けるデータを格納するメモリ、および額の温度を少なくとも 1 つのバイタル サインに関連付けるデータを提供するメモリ。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、少なくとも1つのバイタルサインの表現を送信するように構成された無線通信サブシステム、
デジタル赤外線センサは、アナログからデジタルへのコンバータをさらに備えています。そして
マイクロプロセッサに動作的に結合された表示装置、
ここで、マイクロプロセッサは、デジタル赤外線センサによって検出され、マイクロプロセッサが設定されている額の温度の赤外線信号を代表するデジタル信号をデジタル読み出しポートから受信するように構成されています。額の温度を少なくとも1つのバイタルサインとマイクロプロセッサに相関させるメモリに格納されている複数のテーブルを参照して、赤外線信号を代表するデジタル信号から少なくとも1つの重要な兆候を推定する複数の画像を受信するように構成され、画像の境界領域を除外するように画像をトリミングするように構成されたクロッパーモジュールを含む、複数のトリミングされた画像を生成し、マイクロプロセッサはまた、時間変動アンプを含む時間的変動を生成するように構成された複数のトリミングされた画像は、マイクロプロセッサも生物学的に生成するように構成された時間変動アンプに作動可能に結合された生物学的重要な標識ジェネレータを含む時間変動およびマイクロプロセッサからの重要な徴候はまた生物学的生命徴候発生器に作動可能に結合される。
【請求項８９８】
クレーム897の装置は、前述の時間変動増幅器は、さらに額の皮膚画素同定モジュールを含む。
【請求項８９９】
クレーム897の装置は、前述の時間変動増幅器は、さらに局所的な顔面クラスタモジュールを含む。
【請求項９００】
クレーム897の装置は、前述の時間変動増幅器が第1の周波数フィルタモジュールをさらに含む。
【請求項９０１】
静時の心拍数をフォトプレチスモグラムセンサーからのデータから推定する請求項897の装置、呼吸数と心拍変動および血圧拡張性は、マイクロダイナミック光散乱センサからのデータから推定され、フォトプレチスモグラムセンサー。
【請求項９０２】
請求項897の装置は、生物学的バイタルサインジェネレータに作動可能に結合され、複数のバイタルサインを別の装置に送信するように構成された記憶装置をさらに含む。
【請求項９０３】
無線通信サブシステムが短距離無線通信経路を介して送信する請求項897の装置。
【請求項９０４】
請求項897の装置は、本装置が第2の装置によって知られているように第2の装置によって検証され、第2の装置によって第2の装置によって許可され、第2の装置に情報を転送することを可能にする。
【請求項９０５】
クレーム897の装置は、接続が確立され、少なくとも1つのバイタルサインが無線通信サブシステムを介して装置から押し出され、その後、外部装置が少なくとも1つのバイタルサインの流れを制御する。装置および外部装置は、前述の接続がさらに認証された通信チャネルを含む。
【請求項９０６】
請求項897の装置は、無線通信サブシステムがインターネットプロトコルトンネルを介して送信する。
【請求項９０７】
クレーム897の装置は、前述の無線通信サブシステムは、さらに、d食と時間、オペレータ識別、患者識別、製造業者およびモデル番号の表現を送信するように構成された構成要素を含む。装置。
【請求項９０８】
請求項897の装置はさらに含む:
ボタンがマイクロプロセッサに接続されていない。
【請求項９０９】
装置を含む:
以下を含む最初の回路基板:
デジタルのみの読み出しポートを持つデジタル赤外線センサー、単一のサーモパイルセンサーを取り囲むファラデーケージ、中央処理装置および制御ブロックを含むデジタル赤外線センサー;そして
読み出しポートに動作的に結合された最初のデジタル インターフェイス。
スマートフォンの2番目の回路基板:
2 番目のデジタル インターフェイス、2番目のデジタル インターフェイスは、最初のデジタル インターフェイスに動作的に結合されます。そして
マイクロプロセッサは、第2のデジタルインターフェースに作動可能に結合され、複数のバイタルサインを推定するように構成されているマイクロプロセッサ、
マイクロプロセッサに動作的に結合されたメモリ、額の温度を少なくとも1つのバイタルサインに相関させる複数のテーブルを格納するメモリ、および額の温度を少なくとも1つのバイタルサインに相関させるデータを提供するメモリ。
前述のマイクロプロセッサは、第2のデジタルインタフェースから受信するように構成され、デジタル赤外線センサによって生成される額温度の赤外線信号を代表する複数のデジタル読み出し信号を、マイクロプロセッサは、額の温度を相関させるメモリに格納されている複数のテーブルを参照して赤外線信号を代表するデジタル読み出し信号から少なくとも1つの重要な符号を推定するように構成されている。少なくとも1 つの重要な兆候;
マイクロプロセッサに動作的に結合されたフォトプレチスモグラムセンサーと、マイクロプロセッサに動作的に結合されたマイクロダイナミック光散乱センサを含むSPO2サブシステム。そして
マイクロプロセッサに動作的に結合され、少なくとも1つのバイタルサインの表現を送信するように構成された無線通信サブシステム、
デジタル赤外線センサとマイクロプロセッサの間にアナログ/デジタルコンバータが動作的に結合されていない場合、
前に、無線通信サブシステムは、さらに、装置のdateおよび時間、オペレータ識別、患者識別、製造業者およびモデル番号の表現を送信するように構成された構成要素を含む。
【請求項９１０】
請求項909の装置は、さらにさらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項９１１】
クレーム909の装置はさらに含む:アナログセンサ読み出しポートを持たないデジタル赤外線センサ。
【請求項９１２】
請求項909の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間変動を生成するように構成された複数のトリミングされた画像の時間変動増幅器を含む、マイクロプロセッサはまた、時間変動アンプに動作的に結合された生物学的重要な符号発生器を含む時間変動から生物学的に重要な兆候を生成するように構成され、マイクロプロセッサも生物学的バイタルサインジェネレータに作動可能に結合される。
【請求項９１３】
クレーム912の装置は、前述の時間変動増幅器は、さらに額の皮膚画素同定モジュールを含む。
【請求項９１４】
クレーム912の装置は、前述の時間変動増幅器は、さらに局所的な顔面クラスタモジュールを含む。
【請求項９１５】
クレーム912の装置は、前述の時間変動増幅器が第1の周波数フィルタモジュールをさらに含む。
【請求項９１６】
静時の心拍数をフォトプレチスモグラムセンサーからのデータから推定する請求項912の装置、呼吸数と心拍変動および血圧拡張性は、マイクロダイナミック光散乱センサからのデータから推定される。そしてフォトプレチスモグラムセンサー。
【請求項９１７】
請求項912の装置はさらに含む:
ここで、静時の心拍数は、フォトプレチスモグラムセンサーからのデータから推定され、呼吸数と心拍変動および血圧拡張子は、マイクロダイナミック光散乱センサとフォトプレチスモグラムからのデータから推定される。センサー。
【請求項９１８】
請求項912の装置は、生物学的バイタルサインジェネレータに作動可能に結合され、複数のバイタルサインを別の装置に送信するように構成された記憶装置をさらに含む。
【請求項９１９】
無線通信サブシステムが短距離無線通信経路を介して送信する請求項909の装置。
【請求項９２０】
請求項909の装置は、本装置が第2の装置によって知られているように第2の装置によって検証され、第2の装置によって第2の装置によって許可され、第2の装置に情報を転送することを可能にする。
【請求項９２１】
クレーム909の装置は、接続が確立され、複数のバイタルサインが無線通信サブシステムを介して装置から押し出され、その後、外部装置が少なくとも1つのバイタルサインの流れを制御する。装置および外部装置は、前述の接続がさらに認証された通信チャネルを含む。
【請求項９２２】
請求項909の装置は、デジタル赤外線センサが更にアナログからデジタルへのコンバータを含む。
【請求項９２３】
クレーム909の装置は、無線通信サブシステムがインターネットプロトコルトンネルを介して送信する。
複数のバイタルサインを推定する装置
【請求項９２４】
以下を含む装置である。
マイクロプロセッサ;
マイクロプロセッサに動作的に結合されたメモリ、額の温度を少なくとも 1 つのバイタル サインに関連付けるデータを格納するメモリ、および額の温度を少なくとも 1 つのバイタル サインに関連付けるデータを提供するメモリ。
マイクロプロセッサに動作的に結合され、少なくとも 1 つの重要な兆候の表現を送信するように構成されているワイヤレス通信サブシステム。
マイクロプロセッサに動作的に結合され、マイクロプロセッサに複数の画像を提供するように構成されたカメラ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
ここで、マイクロプロセッサは、デジタル赤外線センサによって検出され、マイクロプロセッサが設定されている額の温度の赤外線信号を代表するデジタル信号をデジタル読み出しポートから受信するように構成されています。赤外線信号を代表するデジタル信号から少なくとも1つの重要な兆候を推定し、
前に、無線通信サブシステムは、さらに、装置のdateおよび時間、オペレータ識別、患者識別、製造業者およびモデル番号の表現を送信するように構成された構成要素を含む。
【請求項９２５】
請求項924の装置は、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項９２６】
クレーム924の装置は、マイクロプロセッサがさらに複数の画像の画素値を調知するように構成された画素検査モジュールを含む、時間変動モジュールとの間の画素値の時間変動を決定する。特定の閾値を下回る複数の画像、増幅時間変動をもたらす時間変動を増幅するように構成された信号処理モジュール、及びビジュヤライザーが中の血液の流れのパターンを可視化する複数の画像における増幅時間変動。
【請求項９２７】
クレーム925の装置は、さらにマイクロプロセッサに動作的に結合されたフォトプレチスモグラムセンサとマイクロプロセッサに動作的に結合されたマイクロ動的光散乱センサを含むSPO2サブシステムを含む。
【請求項９２８】
請求項924の装置はさらに含む:アナログセンサ読み出しポートを持たないデジタル赤外線センサ。
【請求項９２９】
無線通信サブシステムが短距離無線通信経路を介して送信する請求項924の装置。
【請求項９３０】
請求項924の装置は、本装置が第2の装置によって知られているように第2の装置によって検証され、第2の装置によって第2の装置によって許可され、第2の装置に情報を転送することを可能にする。
【請求項９３１】
クレーム924の装置は、接続が確立され、複数のバイタルサインが無線通信サブシステムを介して装置から押し出され、その後、外部装置が少なくとも1つのバイタルサインの流れを制御する。装置および外部装置は、前述の接続がさらに認証された通信チャネルを含む。
【請求項９３２】
請求項924の装置は、デジタル赤外線センサが更にアナログからデジタルへのコンバータを含む。
【請求項９３３】
クレーム924の装置は、無線通信サブシステムがインターネットプロトコルトンネルを介して送信する。
【請求項９３４】
複数のバイタルサインを推定する装置、以下を含む装置を含む。
マイクロプロセッサ;
マイクロプロセッサに動作的に結合されたメモリ、額の温度を少なくとも 1 つのバイタル サインに関連付けるデータを格納するメモリ、および額の温度を少なくとも 1 つのバイタル サインに関連付けるデータを提供するメモリ。
マイクロプロセッサに動作的に結合され、少なくとも 1 つの重要な兆候の表現を送信するように構成されているワイヤレス通信サブシステム。
マイクロプロセッサに動作的に結合され、マイクロプロセッサに複数の画像を提供するように構成されたカメラ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
ここで、マイクロプロセッサは、デジタル赤外線センサによって検出され、マイクロプロセッサが設定されている額の温度の赤外線信号を代表するデジタル信号をデジタル読み出しポートから受信するように構成されています。赤外線信号を代表するデジタル信号から少なくとも1つの重要な兆候を推定し、
前に、無線通信サブシステムは、さらに、装置のdateおよび時間、オペレータ識別、患者識別、製造業者およびモデル番号の表現を送信するように構成された構成要素を含む。
【請求項９３５】
請求項934の装置は、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項９３６】
クレーム934の装置は、マイクロプロセッサがさらに複数の画像の画素値を調知するように構成された画素検査モジュールを含む、時間変動モジュールとの間の画素値の時間変動を決定する。特定の閾値を下回る複数の画像、増幅時間変動をもたらす時間変動を増幅するように構成された信号処理モジュール、及びビジュヤライザーが中の血液の流れのパターンを可視化する複数の画像における増幅時間変動。
【請求項９３７】
クレーム934の装置は、さらにマイクロプロセッサに動作的に結合されたフォトプレチスモグラムセンサとマイクロプロセッサに動作的に結合されたマイクロ動的光散乱センサを含むSPO2サブシステムを含む。
【請求項９３８】
請求項934の装置はさらに含む:
以下を含む最初の回路基板:
マイクロプロセッサ、ディスプレイデバイス、およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項９３９】
無線通信サブシステムが短距離無線通信経路を介して送信する請求項934の装置。
【請求項９４０】
請求項934の装置は、本装置が第2の装置によって知られているように第2の装置によって検証され、第2の装置によって第2の装置によって許可され、第2の装置に情報を転送することを可能にする。
【請求項９４１】
クレーム934の装置は、接続が確立され、複数のバイタルサインが無線通信サブシステムを介して装置から押し出され、その後、外部装置が少なくとも1つのバイタルサインの流れを制御する。装置および外部装置は、前述の接続がさらに認証された通信チャネルを含む。
【請求項９４２】
請求項934の装置は、デジタル赤外線センサが更にアナログからデジタルへのコンバータを含む。
【請求項９４３】
クレーム934の装置は、無線通信サブシステムがインターネットプロトコルトンネルを介して送信する。
【請求項９４４】
装置は、複数のバイタルサインを伝達する装置、複数のバイタルサインを含む複数のバイタルサインを伝達する装置を含む。
実行するようにプログラムされたマイクロプロセッサ:
複数の画像を受信するように構成され、複数の画像のそれぞれをトリミングして画像の境界線領域を除外するように構成されたクロッパーモジュールで、複数のトリミングされた画像を生成します。
クロッパーモジュールに動作的に結合され、複数のトリミングされた画像の皮膚を代表するピクセル値を識別し、額の皮膚ピクセル識別モジュールの出力を得る額の皮膚ピクセル識別モジュール。
額の皮膚ピクセル識別モジュールに動作的に結合され、額の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。
時間変動から推定額温度を生成する時間変動識別子に作動可能に結合された生物学的バイタルサインジェネレータで、生物学的バイタルサインは少なくとも1つのバイタルサインであり、複数のバイタルサインである標識は、推定額の温度を少なくとも 1 つのバイタル サインに関連付けるメモリに格納されている複数のテーブルを参照して推定されます。そして
生物学的バイタルサインを表示するように構成された生物学的バイタルサインジェネレータに動作的に結合された表示装置。
マイクロプロセッサに動作的に結合されたフォトプレチスモグラムセンサーと、マイクロプロセッサに動作的に結合されたマイクロダイナミック光散乱センサを含むSPO2サブシステム。
マイクロプロセッサに動作的に結合されたメモリ、データを格納するメモリ、および推定額の温度を少なくとも 1 つのバイタル サインに関連付けるデータを提供するメモリ。そして
マイクロプロセッサに動作的に結合され、生物学的バイタルサインの表現を送信するように構成された無線通信サブシステム、
前に無線通信サブシステムは、さらに、通信する装置のd ateおよび時間、オペレータ識別、患者識別、製造業者およびモデル番号の表現を送信するように構成されたコンポーネントを含む複数のバイタルサイン.
【請求項９４５】
クレーム944の複数のバイタルサインを伝達する装置は、前述の地域顔面クラスタモジュールをさらに含む:ファジークラスタ。
【請求項９４６】
クレーム944の複数のバイタルサインを伝達する装置は、前述の地域顔面クラスタモジュールをさらに含む:Kクラスタ。
【請求項９４７】
クレーム944の複数のバイタルサインを伝達する装置は、前述の地域顔面クラスタモジュールがさらに含まれる:期待-最大化剤。
【請求項９４８】
請求項944の複数のバイタルサインを伝達する装置は、前述の地域顔面クラスタモジュールをさらに含む:シードポイントベースのクラスタリング装置。
【請求項９４９】
クレーム944の複数のバイタルサインを伝える装置は、さらに黒体で再校正されず、さらに低ノイズ増幅器を含むデジタル赤外線センサを含み、低ノイズ増幅器が作動可能に結合されているアナログからデジタルへのコンバータ、アナログからデジタルへのコンバータは、デジタル信号プロセッサに動作的に結合され、デジタル信号プロセッサはパルス幅変調器に動作的に結合されています。
【請求項９５０】
本装置は、さらに生物学的バイタルサインジェネレータに作動可能に結合され、複数のバイタルサインを不揮発性メモリに格納するように構成された記憶装置を含む請求項944の複数のバイタルサインを伝達する。
【請求項９５１】
請求項944の複数のバイタルサインを通信する装置は、さらに、生物学的バイタルサインジェネレータに作動可能に結合され、複数のバイタルサインを別の装置に送信するように構成された記憶装置を含む。
【請求項９５２】
本装置は、複数のバイタルサインがさらに血圧を含む請求項944の複数のバイタルサインを伝達する。
【請求項９５３】
本装置は、請求項944の複数のバイタルサインをさらに含む呼吸を含む。
【請求項９５４】
本装置は、複数のバイタルサインがさらにパルスを含む請求項944の複数のバイタルサインを伝達する。
【請求項９５５】
本装置は、請求項944の複数のバイタルサインを通信する装置であり、さらにマイクロプロセッサに作動可能に結合されたカメラを含み、複数の画像をメモリを介してマイクロプロセッサにキャプチャするように構成される。
【請求項９５６】
マイクロプロセッサに動作的に結合されたデジタル赤外線センサを含む請求944の複数のバイタルサインを通信する装置は、デジタル読み出しポートのみを有するデジタル赤外線センサ、デジタル赤外線センサアナログセンサーの読み出しポートを持たない、単一のサーモパイルセンサを取り囲むファラデーケージ、中央処理装置および制御ブロックを含むデジタル赤外線センサー。
【請求項９５７】
請求項956の複数のバイタルサインを通信する装置は、さらに以下を含む。
前述のマイクロプロセッサは、デジタル赤外線センサによって検出される推定額温度の赤外線信号を代表するデジタル信号をデジタル読み出しポートから受信するように構成され、マイクロプロセッサは、赤外線信号を代表するデジタル信号から少なくとも1つの重要な標識を推定するように構成されています。
【請求項９５８】
請求項944の複数のバイタルサインを通信する装置は、さらに以下を含む。
アナログからデジタルへのコンバータはありません。
【請求項９５９】
クレーム944の複数のバイタルサインを伝達する装置944は、複数のバイタルサインがさらに血流を含み、生物学的バイタルサインジェネレータは、さらに経時的に分析する血流分析モジュールを含む。複数の画像の皮膚における運動変化および色変化を識別するバリエーションは、血液の流れのパターンを生成する。
【請求項９６０】
クレーム959の複数のバイタルサインを伝える装置は、さらに生物学的バイタルサインジェネレータに作動可能に結合され、作動可能に連結された血流表示モジュールを含む。ディスプレイ装置上の血液。
【請求項９６１】
クレーム944の複数のバイタルサインを伝達する装置944は、さらに複数のバイタルサインが心拍数を含み、生物学的バイタルサインジェネレータはさらに経時的に分析する心拍数分析モジュールを含む。心拍数を生成するバリエーション。
【請求項９６２】
心拍数が心拍の周波数範囲における時間変動の周波数スペクトルから生成される請求項961の複数のバイタルサインを伝える装置。
【請求項９６３】
クレーム944の複数のバイタルサインを伝える装置は、複数のバイタルサインがさらに全ヘモグロビン(SpHb)、メテモグロビン(SpMet)、音響呼吸率(RRa)、カルボキシヘモグロビン(SpCO)および酸素予備量を含む。インデックス(ORi)
【請求項９６４】
クレーム944の複数のバイタルサインを伝える装置は、複数のバイタルサインを通信する装置が第2の装置によって知られているように第2の装置によって検証され、第2の装置によって転送が可能とされる。第2の装置への情報。
【請求項９６５】
接続が確立され、複数のバイタルサインが無線通信サブシステムを介して複数のバイタルサインを通信するために装置から押し出されるクレーム944の複数のバイタルサインを通信する装置、その後、外部装置は、複数のバイタルサインと外部デバイスを通信する装置との間の少なくとも1つのバイタルサインの流れを制御し、ここで接続はさらに認証された通信チャネルを含む。
【請求項９６６】
本装置は、請求項944の複数のバイタルサインを伝達し、ここで、デジタル赤外線センサはさらにアナログからデジタルへのコンバータを含む。
【請求項９６７】
本装置は、請求項944の複数のバイタルサインを通信し、ここで無線通信サブシステムがインターネットプロトコルトンネルを介して送信する。
【請求項９６８】
装置は、少なくとも1つのバイタルサインを推定する装置、を含む装置:
マイクロプロセッサ;
マイクロプロセッサに動作的に結合されたフォトプレチスモグラムセンサーと、マイクロプロセッサに動作的に結合されたマイクロダイナミック光散乱センサを含むSPO2サブシステム。
マイクロプロセッサに動作的に結合されたメモリ、額の温度を少なくとも 1 つのバイタル サインに関連付けるデータを格納するメモリ、および額の温度を少なくとも 1 つのバイタル サインに関連付けるデータを提供するメモリ。
マイクロプロセッサに動作的に結合され、複数の画像をメモリにキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュールと、を生成する信号処理モジュールに作動可能に結合された生物学的重要な標識ジェネレータ推定額の温度を推定された少なくとも1つのバイタルサインに関連付けるメモリに格納されている複数のテーブルを参照して、時間変動から少なくとも1つの重要な兆候を推定します。
マイクロプロセッサに動作的に結合され、推定される少なくとも 1 つの重要な兆候の表現を送信するように構成されているワイヤレス通信サブシステム。そして
推定された少なくとも1つの重要な兆候を表示するマイクロプロセッサに動作的に結合された表示装置、
前に、無線通信サブシステムは、さらに、装置のdateおよび時間、オペレータ識別、患者識別、製造業者およびモデル番号の表現を送信するように構成された構成要素を含む。
【請求項９６９】
クレーム968の装置は、さらにマイクロプロセッサにオペラ的に結合されたデジタル赤外線センサを含み、単一のサーモパイルセンサ、中央処理装置および制御ブロックを取り囲むファラデーケージを含む。
【請求項９７０】
クレーム968の装置は、前述の信号処理モジュールが、複数の画像間の画素値の変動を増幅するようにさらに構成される。
【請求項９７１】
クレーム968の装置は、前述の信号処理モジュールが一時的処理を行うまでさらに構成される。
【請求項９７２】
請求項971の装置は、前述の時間処理がバンドパスフィルタである。
【請求項９７３】
クレーム972の装置は、バンドパスフィルタが時間の経過とともに周波数を分析するように構成されている。
【請求項９７４】
請求項968の装置は、前述の信号処理を適用する空間処理を含む。
【請求項９７５】
無線通信サブシステムが短距離無線通信経路を介して送信する請求項968の装置。
【請求項９７６】
請求項968の装置は、本装置が第2の装置によって知られているように第2の装置によって検証され、第2の装置によって第2の装置によって許可され、第2の装置に情報を転送することを可能にする。
【請求項９７７】
クレーム968の装置は、接続が確立され、推定1つのバイタルサインが無線通信サブシステムを介して装置から押し出され、その後、外部装置が装置間のデータの流れを制御し、外部デバイスは、前述の接続が認証された通信チャネルをさらに含む。
【請求項９７８】
請求項968の装置は、デジタル赤外線センサがさらにアナログからデジタルへのコンバータを含む。
【請求項９７９】
クレーム968の装置は、無線通信サブシステムがインターネットプロトコルトンネルを介して送信する。
【請求項９８０】
装置は、複数のバイタルサインを推定する装置であり、その装置を含む。
マイクロプロセッサ;
マイクロプロセッサに動作的に結合されたメモリ、額の温度を少なくとも 1 つのバイタル サインに関連付けるデータを格納するメモリ、および額の温度を少なくとも 1 つのバイタル サインに関連付けるデータを提供するメモリ。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、少なくとも 1 つの重要な兆候の表現を送信するように構成されているワイヤレス通信サブシステム。そして
マイクロプロセッサに動作的に結合された表示装置、
ここで、マイクロプロセッサは、デジタル赤外線センサによって検出され、マイクロプロセッサが設定されている額の温度の赤外線信号を代表するデジタル信号をデジタル読み出しポートから受信するように構成されています。額の温度を少なくとも1つのバイタルサインとマイクロプロセッサに相関させるメモリに格納されている複数のテーブルを参照して、赤外線信号を代表するデジタル信号から少なくとも1つの重要な兆候を推定する複数の画像を受信するように構成され、画像の境界領域を除外するように画像をトリミングするように構成されたクロッパーモジュールを含む、複数のトリミングされた画像を生成し、マイクロプロセッサはまた、時間変動アンプを含む時間的変動を生成するように構成された複数のトリミングされた画像は、マイクロプロセッサも生物学的に生成するように構成された時間変動アンプに作動可能に結合された生物学的重要な標識ジェネレータを含む時間変動とマイクロプロセッサからのバイタルサインはまた、生物学的バイタルサインジェネレータに動作的に結合され、
前に、無線通信サブシステムは、さらに、装置のdateおよび時間、オペレータ識別、患者識別、製造業者およびモデル番号の表現を送信するように構成された構成要素を含む。
【請求項９８１】
クレーム980の装置は、前述の時間変動増幅器は、さらに額の皮膚画素同定モジュールを含む。
【請求項９８２】
クレーム980の装置は、前述の時間変動増幅器は、さらに局所的な顔面クラスタモジュールを含む。
【請求項９８３】
クレーム980の装置は、前述の時間変動増幅器が第1の周波数フィルタモジュールをさらに含む。
【請求項９８４】
静時の心拍数をフォトプレチスモグラムセンサーからのデータから推定する請求項980の装置、呼吸数と心拍変動および血圧拡張性は、マイクロダイナミック光散乱センサからのデータから推定され、フォトプレチスモグラムセンサー。
【請求項９８５】
請求項980の装置は、生物学的バイタルサインジェネレータに作動可能に結合され、複数のバイタルサインを別の装置に送信するように構成された記憶装置をさらに含む。
【請求項９８６】
無線通信サブシステムが短距離無線通信経路を介して送信する請求項980の装置。
【請求項９８７】
請求項980の装置は、本装置が第2の装置によって知られているように第2の装置によって検証され、第2の装置によって第2の装置によって許可され、第2の装置に情報を転送することを可能にする。
【請求項９８８】
クレーム980の装置は、接続が確立され、無線通信サブシステムを介して装置からデータがプッシュされ、その後、外部装置が装置と外部装置との間のデータの流れを制御し、前述接続は、さらに認証された通信チャネルを含みます。
【請求項９８９】
請求項980の装置は、デジタル赤外線センサがさらにアナログからデジタルへのコンバータを含む。
【請求項９９０】
クレーム980の装置は、無線通信サブシステムがインターネットプロトコルトンネルを介して送信する。
【請求項９９１】
請求項980の装置はさらに含む:
ボタンがマイクロプロセッサに接続されていない。
複数のバイタルサインを推定する装置
【請求項９９２】
以下を含む装置である。
マイクロプロセッサ;
マイクロプロセッサに動作的に結合されたメモリ、額の温度を複数のバイタルサインの最初のバイタルサインに相関させるデータを格納するメモリと、額の温度を最初のバイタルに相関させるデータを提供するメモリ複数のバイタルサインの兆候;そして
マイクロプロセッサに動作的に結合されたデジタル赤外線センサ、単一のサーモパイルセンサを取り囲むファラデーケージを含むデジタル赤外線センサ、中央処理装置および制御ブロック、
前述のマイクロプロセッサは、デジタル赤外線センサから受信するように構成され、デジタル赤外線センサによって検出された額温度の赤外線信号を代表するデジタル信号を、マイクロプロセッサは、額の温度を最初のバイタルサインに相関するメモリに格納されている複数のテーブルを参照して、赤外線信号を代表するデジタル信号からの複数のバイタルサインの最初のバイタルサインを推定する複数のバイタルサイン。
【請求項９９３】
クレーム992の装置は、さらにマイクロプロセッサに作動可能に結合された表示装置を含み、さらに、さらに、さらに含む表示装置を含む。
複数のバイタルサインの最初のバイタルサインに関連付けられ、最初のバイタルサインが良好であることを示すように構成された緑色の信号。
複数のバイタルサインの最初のバイタルサインに関連付けられ、最初のバイタルサインが低いことを示すように構成されたオレンジ色の信号。そして
複数のバイタルサインの最初のバイタルサインに関連付けられ、最初のバイタルサインが高であることを示すように構成された赤信号。
【請求項９９４】
クレーム992の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項９９５】
クレーム992の装置は、さらにマイクロプロセッサに動作的に結合されたフォトプレチスモグラムセンサとマイクロプロセッサに動作的に結合されたマイクロ動的光散乱センサを含むSPO2サブシステムを含む。
【請求項９９６】
クレーム992の装置はさらに含む:アナログセンサの読み出しポートを持たないデジタル赤外線センサ。
【請求項９９７】
無線通信サブシステムがマイクロプロセッサに作動可能に結合され、無線通信サブシステムが複数のバイタルサインの第1のバイタルサインの表現を送信するように構成されている請求992の装置は、短距離無線通信経路。
【請求項９９８】
請求項997の装置は、本装置が第2の装置によって知られているように第2の装置によって検証され、第2の装置によって第2の装置によって許可され、第2の装置に情報を転送することを可能にする。
【請求項９９９】
クレーム997の装置は、接続が確立され、複数のバイタルサインが無線通信サブシステムを介して装置から押し出され、その後、外部装置が少なくとも1つのバイタルサインの流れを制御する。装置および外部装置は、前述の接続がさらに認証された通信チャネルを含む。
【請求項１０００】
クレーム997の装置は、デジタル赤外線センサがさらにアナログからデジタルへのコンバータを含む。
【請求項１００１】
クレーム997の装置は、無線通信サブシステムがさらにd食と時間、オペレータ識別、患者識別、製造業者およびモデル番号の表現を送信するように構成されたコンポーネントを含む装置の。
【請求項１００２】
無線通信サブシステムがインターネットプロトコルトンネルを介して送信する請求項997の装置。
【請求項１００３】
請求項992の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間変動を生成するように構成された複数のトリミングされた画像の時間変動増幅器を含む、マイクロプロセッサはまた、時間変動アンプに動作的に結合された生物学的重要な符号発生器を含む時間変動から生物学的に重要な兆候を生成するように構成され、マイクロプロセッサも生物学的バイタルサインジェネレータに作動可能に結合される。
【請求項１００４】
クレーム1003の装置は、前述の時間変動増幅器は、額の皮膚画素同定モジュールをさらに含む。
【請求項１００５】
クレーム1003の装置は、前述の時間変動増幅器は、さらに局所的な顔面クラスタモジュールを含む。
【請求項１００６】
クレーム1003の装置は、前述の時間変動増幅器が第1の周波数フィルタモジュールをさらに含む。
【請求項１００７】
静時の心拍数をフォトプレチスモグラムセンサーからのデータから推定する請求項1003の装置、呼吸数と心拍変動および血圧の変動は、マイクロダイナミック光散乱センサからのデータから推定される。そしてフォトプレチスモグラムセンサー。
【請求項１００８】
請求項1003の装置はさらに含む:
ここで、静時の心拍数は、フォトプレチスモグラムセンサーからのデータから推定され、呼吸数と心拍変動および血圧拡張子は、マイクロダイナミック光散乱センサとフォトプレチスモグラムセンサからのデータから推定される。呼吸と血圧
【請求項１００９】
クレーム1003の装置は、さらに、生物学的バイタルサインジェネレータに作動可能に結合され、複数のバイタルサインを別の装置に送信するように構成された記憶装置を含む。
【請求項１０１０】
請求項1003の装置は、複数のバイタルサインをさらに含む。
パルス。
【請求項１０１１】
デジタル赤外線センサが黒体で再校正されず、さらに低ノイズ増幅器を含むクレーム992の装置は、低ノイズアンプがアナログからデジタルへのコンバータ、アナログからデジタルへのアナログに連結されています。コンバータは、デジタル信号プロセッサに動作的に結合され、デジタル信号プロセッサは、パルス幅モジュレータに動作的に結合されています。
【請求項１０１２】
クレーム992の装置はさらに含む:デジタル読み出しポートのみを有するデジタル赤外線センサ。
【請求項１０１３】
請求項992の装置はさらに含む:アナログセンサ読み出しポートを有しないデジタル赤外線センサ。
【請求項１０１４】
複数のバイタルサインを推定する装置によって行われる方法は、以下を含む。
赤外線センサーによる検出額温度を表す赤外線信号。
赤外線センサーから額の温度の赤外線信号を代表するデジタル信号を受信します。そして
額の温度を複数のバイタルサインの最初のバイタルサインに相関させるメモリからの複数のバイタルサインの最初のバイタルサインを提供する。
【請求項１０１５】
本装置によって行われる請求項1014の方法は、さらに以下を含む。
カメラから複数の画像を受信する。複数の画像のピクセル値を調べる。
特定の閾値を下回る複数の画像間のピクセル値の時間的変動を決定する。
時間変動を増幅し、増幅された時間変動をもたらす。
複数の画像における増幅時間変動における血液の流れのパターンを可視化する。
【請求項１０１６】
請求項1014の方法は、さらに提供する、額の温度の赤外線信号を代表するデジタル信号からの複数のバイタルサインの最初のバイタルサインの推定を、メモリを参照して、額の温度を複数のバイタルサインの最初のバイタルサインに相関させる。
【請求項１０１７】
さらに含む装置によって行われる請求項1014の方法:
短距離無線通信経路を介して無線通信サブシステムから複数のバイタルサインの最初のバイタルサインの表現を送信する。
【請求項１０１８】
送信をさらに含む装置によって行われる請求項1017の方法:
インターネットプロトコルトンネルを介して複数のバイタルサインの最初のバイタルサインの表現を送信します。
【請求項１０１９】
装置を含む:
以下を含む最初の回路基板:
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合されたバッテリ。そして
マイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
第2のデジタルインターフェイスに動作的に結合されたデジタル赤外線センサ、デジタル読み出し信号のみを提供するポートを持つデジタル赤外線センサ、単一のサーモパイルセンサを取り囲むファラデーケージを含むデジタル赤外線センサ、中央処理装置および制御ブロック、
マイクロプロセッサは、デジタル赤外線センサとマイクロプロセッサによって生成される表面温度の赤外線信号を代表するデジタル読み出し信号をデジタル赤外線センサのポートから受信するように構成されています。キャリブレーション補正された表面温度を相関させるメモリに格納されている複数のテーブルを参照して赤外線信号を代表するデジタル読み出し信号から体のコア温度を推定するように構成されています。ボディコア温度と電圧補正周囲温度に対する電圧補正
デジタル赤外線センサとマイクロプロセッサの間には、アナログ/デジタルコンバータが動作的に結合されていない。
【請求項１０２０】
請求項1019の装置は、表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１０２１】
請求項1019の装置はさらに含む:アナログセンサ読み出しポートを有しないデジタル赤外線センサ。
【請求項１０２２】
請求項1019の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間的変動を生成するように構成された複数のトリミングされた画像の一時的変動増幅器を含む、マイクロプロセッサはまた、動作的に結合された生物学的重要な標識ジェネレータを含む時間変動とマイクロプロセッサから生物学的に重要な兆候を生成するように構成された時間変動アンプも、生物学的バイタルサインジェネレータに作動可能に結合する。
【請求項１０２３】
クレーム1022の装置は、前述の時間変動増幅器が、皮膚表面皮膚画素同定モジュールをさらに含む。
【請求項１０２４】
クレーム1022の装置は、前述の時間変動増幅器は、さらに局所的な顔面クラスタモジュールを含む。
【請求項１０２５】
クレーム1022の装置は、前述の時間変動増幅器が第1の周波数フィルタモジュールをさらに含む。
【請求項１０２６】
クレーム1022の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサはパルス幅変調器に動作的に結合されています。
【請求項１０２７】
請求項1022の装置は、生物学的バイタルサインジェネレータに作動可能に結合され、生物学的バイタルサインを不揮発性メモリに格納するように構成された記憶装置をさらに含む。
【請求項１０２８】
請求項1022の装置は、生物学的バイタルサイン発生器に作動可能に結合され、生物学的バイタルサインを別の装置に送信するように構成された記憶装置をさらに含む。
【請求項１０２９】
無線通信サブシステムがマイクロプロセッサに作動可能に結合され、無線通信サブシステムが短距離無線を介して表面温度の表現を送信するように構成されている請求項1019の装置通信パス。
【請求項１０３０】
請求項1029の装置は、本装置が第2の装置によって知られているように第2の装置によって検証され、第2の装置によって第2の装置によって許可され、第2の装置に情報を転送することを可能にする。
【請求項１０３１】
クレーム1029の装置は、接続が確立され、無線通信サブシステムを介して装置から本体コア温度を押し出し、その後、外部装置が間の体心温度の流れを制御する。装置および外部装置は、前述の接続がさらに認証された通信チャネルを含む。
【請求項１０３２】
請求項1029の装置は、デジタル赤外線センサをさらにアナログからデジタルへのコンバータを含む。
【請求項１０３３】
クレーム1029の装置は、無線通信サブシステムがさらにd食および時間、オペレータ識別、患者識別、製造業者およびモデル番号の表現を送信するように構成されたコンポーネントを含む装置の。
【請求項１０３４】
本装置は、体のコア温度を推定する装置で、以下を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
マイクロプロセッサは、デジタル赤外線センサによって検出され、マイクロプロセッサが設定された表面温度の赤外線信号を代表するデジタル信号をデジタル読み出しポートから受信するように構成されています。キャリブレーション補正および電圧補正された表面温度を相関させるメモリに格納されている複数のテーブルを参照して、赤外線信号を代表するデジタル信号からボディコア温度を推定する本体コア温度と電圧補正された周囲温度。
【請求項１０３５】
請求項1034の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１０３６】
請求項1034の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１０３７】
請求項1034の装置はさらに含む:アナログセンサ読み出しポートを有しないデジタル赤外線センサ。
【請求項１０３８】
無線通信サブシステムがマイクロプロセッサに作動可能に結合され、無線通信サブシステムが短距離無線を介して本体コア温度の表現を送信するように構成されている請求項1034の装置通信パス。
【請求項１０３９】
請求項1038の装置は、本装置が第2の装置によって知られているように第2の装置によって検証され、第2の装置によって第2の装置によって許可され、第2の装置に情報を転送することを可能にする。
【請求項１０４０】
クレーム1038の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１０４１】
請求項1038の装置は、前述のデジタル赤外線センサがアナログからデジタルへのコンバータをさらに含む。
【請求項１０４２】
クレーム1038の装置は、無線通信サブシステムがさらにd食および時間、オペレータ識別、患者識別、製造業者およびモデル番号の表現を送信するように構成されたコンポーネントを含む。装置の。
【請求項１０４３】
の装置は、体のコア温度を推定し、その装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、本体コア温度の表現を送信するように構成されたワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
前処理マイクロプロセッサは、デジタル読み出しポートから受信するように構成され、デジタル赤外線センサによって検出された表面温度の赤外線信号を代表するデジタル信号を、マイクロプロセッサは、マイクロプロセッサを推定するように構成されている。キャリブレーション補正および電圧補正された表面温度をボディコアに相関させるメモリに格納されている複数のテーブルを参照して、赤外線信号を代表するデジタル信号からのボディコア温度温度と電圧補正された周囲温度。
【請求項１０４４】
請求項1043の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１０４５】
請求項1043の装置は、さらに含むマイクロプロセッサを含む:
マイクロプロセッサに動作的に結合され、マイクロプロセッサに複数の画像を提供するように構成されたカメラ。
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１０４６】
請求項1043の装置はさらに含む:
マイクロプロセッサ、マイクロプロセッサに動作的に結合されたバッテリ、表示装置およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項１０４７】
無線通信サブシステムが短距離無線通信経路を介して送信する請求項1043の装置。
【請求項１０４８】
請求項1043の装置は、本装置が第2の装置によって知られているように第2の装置によって検証され、第2の装置によって第2の装置によって許可され、第2の装置に情報を転送することを可能にする。
【請求項１０４９】
クレーム1043の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１０５０】
請求項1043の装置は、前述のデジタル赤外線センサがアナログからデジタルへのコンバータをさらに含む。
【請求項１０５１】
クレーム1043の装置は、無線通信サブシステムがさらにd食および時間、オペレータ識別、患者識別、製造業者およびモデル番号の表現を送信するように構成されたコンポーネントを含む。装置の。
【請求項１０５２】
生物学的バイタルサインを伝達する装置、以下を含む生物学的バイタルサインを伝達する装置である。
フォトプレチスモグラムセンサー;
マイクロダイナミックライト散乱センサ。
膨脹可能な袖口の膀胱を含む指の袖口;
実行するようにプログラムされたマイクロプロセッサ:
皮膚表面の複数の画像を受信するように構成され、画像の境界領域を除外するために複数の画像のそれぞれをトリミングするように構成されたクロッパーモジュールは、皮膚表面の複数のトリミング画像を生成する。
クロッパーモジュールに作動可能に結合され、皮膚表面の複数のトリミングされた画像で皮膚表面の皮膚を代表するピクセル値を識別し、皮膚の出力を得る皮膚表面皮膚ピクセル同定モジュール表面皮膚ピクセル識別モジュール;
皮膚表面の皮膚ピクセル識別モジュールに動作的に結合され、皮膚表面の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。そして
生物学的バイタルサインが体のコア温度と体のコア温度を含む時間変動から表面温度を生成する時間変動識別子に作動可能に結合された生物学的バイタルサインジェネレータキャリブレーション補正および電圧補正された表面温度を本体コア温度と電圧補正された周囲温度に相関させるメモリに格納されている複数のテーブルを参照して推定されます。そして
生物学的バイタルサインジェネレータに動作的に結合された表示装置;そして
マイクロプロセッサに動作的に結合され、生物学的バイタルサインの表現を送信するように構成された無線通信サブシステム。
【請求項１０５３】
クレーム1052の生物学的バイタルサインを伝達する装置は、ここで、地域の顔面クラスタモジュールがさらに含まれる:ファジークラスタ。
【請求項１０５４】
クレーム1052の生物学的バイタルサインを伝達する装置は、ここで、地域の顔面クラスタモジュールをさらに含む:Kクラスタを含む。
【請求項１０５５】
クレーム1052の生物学的バイタルサインを伝達する装置は、ここで、地域の顔面クラスタモジュールがさらに含まれる:期待-最大化剤。
【請求項１０５６】
クレーム1052の生物学的バイタルサインを伝達する装置は、前述の地域顔面クラスタモジュールをさらに含む:シードポイントベースのクラスタリング装置。
【請求項１０５７】
クレーム1052の生物学的バイタルサインを伝える装置は、さらに黒体で再較化されず、さらに低ノイズ増幅器を含むデジタル赤外線センサを含むものであり、低ノイズ増幅器が作動性に結合されている。アナログからデジタルへのコンバータ、アナログからデジタルへのコンバータは、デジタル信号プロセッサに動作的に結合され、デジタル信号プロセッサはパルス幅変調器に動作的に結合されています。
【請求項１０５８】
請求項1052の生物学的バイタルサインを伝える装置は、生物学的バイタルサインジェネレータに作動可能に結合され、生物学的バイタルサインを不揮発性メモリに格納するように構成された記憶装置をさらに含む。
【請求項１０５９】
請求項1052の生物学的バイタルサインを伝える装置は、さらに、生物学的バイタルサインジェネレータに作動可能に結合され、生物学的バイタルサインを別の装置に伝達するように構成された記憶装置を含む。
【請求項１０６０】
クレーム1052の生物学的バイタルサインを伝える装置は、さらにマイクロプロセッサに動作的に結合され、メモリを介してマイクロプロセッサに複数の画像をキャプチャするように構成されたカメラを含む。
【請求項１０６１】
本装置は、請求項1060の生物学的バイタル徴候をさらに血圧を含む。
【請求項１０６２】
本装置は、生物学的バイタルサインがさらに呼吸を含む請求項1060の生物学的バイタル徴候を伝達する。
【請求項１０６３】
本装置は、請求項1060の生物学的バイタルサインをさらにパルスを含む。
【請求項１０６８】
クレーム1052の生物学的バイタルサインを伝える装置は、さらにマイクロプロセッサに動作的に結合されたデジタル赤外線センサ、デジタル読み出しポートのみを有するデジタル赤外線センサ、デジタル赤外線センサを含むアナログセンサーの読み出しポートを持たない、単一のサーモパイルセンサを取り囲むファラデーケージ、中央処理装置および制御ブロックを含むデジタル赤外線センサー。
【請求項１０６９】
請求項1068の生物学的バイタルサインを伝達する装置は、さらに含む:
前述のマイクロプロセッサは、複数のデジタル読み出しポートから受信するように構成され、デジタル赤外線センサによって検出された表面温度の赤外線信号を代表するデジタル信号が構成され、マイクロプロセッサが構成される表面温度の赤外線信号を代表するデジタル信号から本体コア温度を推定する。
【請求項１０７０】
請求項1052の生物学的バイタルサインを伝える装置は、アナログからデジタルへのコンバータを含む。
【請求項１０６４】
生物学的バイタルサインがさらに血流を含むクレーム1060の生物学的バイタルサインを伝達する装置は、さらに時間的に分析する血流分析モジュールを含む。複数の画像の皮膚における運動変化および色変化を識別するバリエーションは、血液の流れのパターンを生成する。
【請求項１０６５】
クレーム1064の生物学的バイタルサインを伝える装置は、さらに、生物学的バイタルサインジェネレータに作動可能に結合され、作動可能に連結された血流表示モジュールを含む、の流れのパターンを表示する表示装置に連結する。ディスプレイ装置上の血液。
【請求項１０６６】
生物学的バイタルサインがさらに心拍数を含み、生物学的バイタルサインジェネレータが経時的変動を分析する心拍数分析モジュールを含む請求項1060の生物学的バイタルサインを伝達する装置心拍数を生成する。
【請求項１０６７】
心拍の周波数範囲における時間変動の周波数スペクトルから心拍数が生成される請求項1066の生物学的バイタルサインを伝える装置。
【請求項１０７１】
生物学的バイタルサインが更に全ヘモグロビン(SpHb)、メテモグロビン(SpMet)、音響呼吸率(RRa)、カルボキシヘモグロビン(SpCO)および酸素予備指数を含む請求項1052の生物学的バイタルサインを伝達する装置(ORi)を使用します。
【請求項１０７２】
生体バイタルサインを伝える装置1052を伝える装置1052は、生物学的バイタルサインを伝達する装置が第2の装置によって知られているように第2の装置によって検証され、第2の装置によって転送が可能とされる。第2の装置への情報。
【請求項１０７３】
接続が確立され、体のコア温度が無線通信サブシステムを介して生物学的バイタルサインを通信するために装置から押し出される請求項1052の生物学的バイタルサインを伝える装置、その後、外部装置は、生物学的バイタルサインと外部デバイスとの間の体心温度の流れを制御し、ここで接続はさらに認証された通信チャネルを含む。
【請求項１０７４】
請求項1068の生物学的バイタルサインを伝達する装置は、デジタル赤外線センサをさらにアナログからデジタルへのコンバータを含む。
【請求項１０７５】
クレーム1052の生物学的バイタルサインを伝達する装置は、前述の無線通信サブシステムは、さらにd食べ物および時間の表現を伝達するように構成された構成要素を含む、オペレータ識別、患者生物学的バイタルサインを伝える装置の識別、製造業者およびモデル番号。
【請求項１０７６】
装置は、皮膚表面源点から体心温度を推定し、その装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合されたデジタル赤外線センサー;
マイクロプロセッサに動作的に結合され、複数の画像をメモリにキャプチャするように構成されたカメラ。
前記マイクロプロセッサは、メモリ内の皮膚表面源点の複数の画像のピクセル値を調べるために構成されたピクセル検査モジュールを含む、時間変動を決定するように構成された時間変動モジュールである。複数の画像間のピクセル値、増幅された時間変動をもたらす時間変動を増幅するように構成された信号処理モジュール、および信号に動作的に結合された生物学的バイタルサインジェネレータ時間変動から人間のバイタルサインを生成する処理モジュールは、人間のバイタルサインが表面温度であり、体のコア温度は、相関するメモリに格納されている複数のテーブルを参照して推定される。キャリブレーション補正され、ボディコア温度と電圧補正された周囲温度に電圧補正される表面温度。
マイクロプロセッサに動作的に結合され、人間のバイタルサインの表現を送信するように構成された無線通信サブシステム。そして
人間のバイタルサインを表示するマイクロプロセッサに動作的に結合された表示装置。
【請求項１０７７】
クレーム1076の装置は、前述の信号処理モジュールが、複数の画像間の画素値の変動を増幅するようにさらに構成される。
【請求項１０７８】
クレーム1076の装置は、前述の信号処理モジュールが一時的処理を行うまでさらに構成される。
【請求項１０７９】
請求項1078の装置は、前述の時間処理は、バンドパスフィルタをさらに含む。
【請求項１０８０】
請求項1079の装置は、バンドパスフィルタが時間の経過とともに周波数を分析するように構成されている。
【請求項１０８１】
請求項1076の装置は、前述の信号処理を適用する空間処理を含む。
【請求項１０８２】
無線通信サブシステムが短距離無線通信経路を介して送信する請求項1076の装置。
【請求項１０８３】
請求項1076の装置は、本装置が第2の装置によって知られているように第2の装置によって検証され、第2の装置によって第2の装置によって許可され、第2の装置に情報を転送することを可能にする。
【請求項１０８４】
クレーム1076の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１０８５】
請求項1076の装置は、前述のデジタル赤外線センサがアナログからデジタルへのコンバータをさらに含む。
【請求項１０８６】
クレーム1076の装置は、無線通信サブシステムがさらにd食および時間、オペレータ識別、患者識別、製造業者およびモデル番号の表現を送信するように構成されたコンポーネントを含む。装置の。
【請求項１０８７】
体のコア温度を推定する装置、以下を含む装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、本体コア温度の表現を送信するように構成されたワイヤレス通信サブシステム。そして
マイクロプロセッサに動作的に結合された表示装置、
マイクロプロセッサは、デジタル赤外線センサによって検出され、マイクロプロセッサが設定された感知表面温度の赤外線信号を代表するデジタル信号をデジタル読み出しポートから受信するように構成されています。キャリブレーション補正された感知表面温度を相関させるメモリに格納されている複数のテーブルを参照して、赤外線信号を代表するデジタル信号から本体コア温度を推定し、キャリブレーション補正および電圧補正された感知表面温度を相関させるメモリに格納されている複数のテーブルを参照して、ボディコア温度に対する電圧補正と電圧補正本体コア温度と電圧補正された周囲温度と、複数の画像を受信するように構成されたクロッパーモジュールを含むマイクロプロセッサと、画像の境界領域を除外するように画像をトリミングするように構成され、複数を生成するトリミングされた画像の、マイクロプロセッサはまた、時間変動を生成するように構成された複数のトリミングされた画像の時間変動増幅器を含み、マイクロプロセッサはまた、動作可能である生物学的バイタルサインジェネレータを含む時間変動から生物学的に重要な兆候を生成するように構成された時間変動アンプに結合され、マイクロプロセッサも生物学的バイタルサインジェネレータに作動可能に結合される。
【請求項１０８８】
クレーム1087の装置は、前述の時間変動増幅器が、皮膚表面皮膚画素同定モジュールをさらに含む。
【請求項１０８９】
クレーム1087の装置は、前述の時間変動増幅器は、さらに局所的な顔面クラスタモジュールを含む。
【請求項１０９０】
クレーム1087の装置は、前述の時間変動増幅器が第1の周波数フィルタモジュールをさらに含む。
【請求項１０９１】
クレーム1087の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサはパルス幅変調器に動作的に結合されています。
【請求項１０９２】
請求項1087の装置は、生物学的バイタルサインジェネレータに作動可能に結合され、生物学的バイタルサインを別の装置に送信するように構成された記憶装置をさらに含む。
【請求項１０９３】
無線通信サブシステムが短距離無線通信経路を介して送信する請求項1087の装置。
【請求項１０９４】
請求項1087の装置は、本装置が第2の装置によって知られているように第2の装置によって検証され、第2の装置によって第2の装置によって許可され、第2の装置に情報を転送することを可能にする。
【請求項１０９５】
クレーム1087の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１０９６】
請求項1087の装置は、デジタル赤外線センサがさらにアナログからデジタルへのコンバータを含む。
【請求項１０９７】
クレーム1087の装置は、無線通信サブシステムがさらにd食および時間、オペレータ識別、患者識別、製造業者およびモデル番号の表現を送信するように構成されたコンポーネントを含む装置の。
【請求項１０９８】
請求項1087の装置はさらに含む:
ボタンがマイクロプロセッサに接続されていない。
【請求項１０９９】
装置を含む:
以下を含む最初の回路基板:
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、本体コア温度の表現を送信するように構成されたワイヤレス通信サブシステム。
マイクロプロセッサに動作的に結合されたバッテリ。そして
マイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
第2のデジタルインターフェイスに動作的に結合されたデジタル赤外線センサ、デジタル読み出し信号のみを提供するポートを持つデジタル赤外線センサ、単一のサーモパイルセンサを取り囲むファラデーケージを含むデジタル赤外線センサ、中央処理装置および制御ブロック、
マイクロプロセッサは、デジタル赤外線センサのポートから受信するように構成され、デジタル赤外線センサによって生成される感知表面温度の赤外線信号を代表するデジタル読み出し信号とマイクロプロセッサは、感知された表面温度を相関させるメモリに格納されている複数のテーブルを参照して赤外線信号を代表するデジタル読み出し信号から体のコア温度を推定するように構成されています。キャリブレーション補正と電圧補正を本体コア温度と電圧補正周囲温度に対して、
デジタル赤外線センサとマイクロプロセッサの間にアナログ/デジタルコンバータが動作的に結合されていない場合、
前述の無線通信サブシステムは、短距離無線通信経路を介して送信する。
【請求項１１００】
請求項1099の装置は、表示装置をさらに含む:
ボディコア温度が良好であることを示すように設定された緑色の信号。
ボディコア温度が低いことを示すように設定されたオレンジ色の信号。そして
ボディコア温度が高いことを示すように設定された赤信号。
【請求項１１０１】
請求項1099の装置はさらに含む:アナログセンサ読み出しポートを有しないデジタル赤外線センサ。
【請求項１１０２】
請求項1099の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間的変動を生成するように構成された複数のトリミングされた画像の一時的変動増幅器を含む、マイクロプロセッサはまた、動作的に結合された生物学的重要な標識ジェネレータを含む時間変動とマイクロプロセッサから生物学的に重要な兆候を生成するように構成された時間変動アンプも、生物学的バイタルサインジェネレータに作動可能に結合する。
【請求項１１０３】
クレーム1102の装置は、前述の時間変動増幅器が、皮膚表面皮膚画素同定モジュールをさらに含む。
【請求項１１０４】
クレーム1102の装置は、前述の時間変動増幅器は、さらに局所的な顔面クラスタモジュールを含む。
【請求項１１０５】
クレーム1102の装置は、前述の時間変動増幅器が第1の周波数フィルタモジュールをさらに含む。
【請求項１１０６】
クレーム1102の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサはパルス幅変調器に動作的に結合されています。
【請求項１１０７】
請求項1102の装置は、生物学的バイタルサインジェネレータに作動可能に結合され、生物学的バイタルサインを不揮発性メモリに格納するように構成された記憶装置をさらに含む。
【請求項１１０８】
請求項1102の装置は、生物学的バイタルサイン発生器に作動可能に結合され、生物学的バイタルサインを別の装置に送信するように構成された記憶装置をさらに含む。
【請求項１１０９】
無線通信サブシステムがインターネットプロトコルトンネルを介して送信する請求項1099の装置。
【請求項１１１０】
請求項1099の装置は、本装置が第2の装置によって知られているように第2の装置によって検証され、第2の装置によって第2の装置によって許可され、第2の装置に情報を転送することを可能にする。
【請求項１１１１】
クレーム1099の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１１１２】
請求項1099の装置は、デジタル赤外線センサをさらにアナログからデジタルへのコンバータを含む。
【請求項１１１３】
クレーム1099の装置は、無線通信サブシステムがさらにd食および時間、オペレータ識別、患者識別、製造業者およびモデル番号の表現を送信するように構成されたコンポーネントを含む装置の。
【請求項１１１４】
を含む装置:
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、本体コア温度の表現を送信するように構成されたワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
マイクロプロセッサは、デジタル赤外線センサによって検出され、マイクロプロセッサが設定された表面温度の赤外線信号を代表するデジタル信号をデジタル読み出しポートから受信するように構成されています。キャリブレーション補正および電圧補正された表面温度を相関させるメモリに格納されている複数のテーブルを参照して、赤外線信号を代表するデジタル信号からボディコア温度を推定する推定体のコア温度と電圧補正された周囲温度、
前述の無線通信サブシステムは、短距離無線通信経路を介して送信する。
【請求項１１１５】
請求項1114の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１１１６】
クレーム1114の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１１１７】
請求項1114の装置はさらに含む:アナログセンサ読み出しポートを有しないデジタル赤外線センサ。
【請求項１１１８】
無線通信サブシステムがインターネットプロトコルトンネルを介して送信する請求項1114の装置。
【請求項１１１９】
請求項1114の装置は、本装置が第2の装置によって知られているように第2の装置によって検証され、第2の装置によって第2の装置によって許可され、第2の装置に情報を転送することを可能にする。
【請求項１１２０】
クレーム1114の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１１２１】
請求項1114の装置は、前述のデジタル赤外線センサがアナログからデジタルへのコンバータをさらに含む。
【請求項１１２２】
クレーム1114の装置は、無線通信サブシステムがさらにd食および時間、オペレータ識別、患者識別、製造業者およびモデル番号の表現を送信するように構成されたコンポーネントを含む。装置の。
【請求項１１２３】
体のコア温度を推定する装置、以下を含む装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、本体コア温度の表現を送信するように構成されたワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
マイクロプロセッサは、デジタル赤外線センサによって検出され、マイクロプロセッサが設定された表面温度の赤外線信号を代表するデジタル信号をデジタル読み出しポートから受信するように構成されています。キャリブレーション補正および電圧補正された表面温度を相関させるメモリに格納されている複数のテーブルを参照して、赤外線信号を代表するデジタル信号からボディコア温度を推定する本体コア温度と電圧補正された周囲温度、
前述の無線通信サブシステムは、短距離無線通信経路を介して送信する。
【請求項１１２４】
請求項1123の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１１２５】
請求項1123の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１１２６】
請求項1123の装置はさらに含む:
マイクロプロセッサ、マイクロプロセッサに動作的に結合されたバッテリ、表示装置およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項１１２７】
無線通信サブシステムがインターネットプロトコルトンネルを介して送信する請求項1123の装置。
【請求項１１２８】
請求項1123の装置は、本装置が第2の装置によって知られているように第2の装置によって検証され、第2の装置によって第2の装置によって許可され、第2の装置に情報を転送することを可能にする。
【請求項１１２９】
クレーム1123の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１１３０】
請求項1123の装置は、前述のデジタル赤外線センサがアナログからデジタルへのコンバータをさらに含む。
【請求項１１３１】
クレーム1123の装置は、無線通信サブシステムがさらにd食および時間、オペレータ識別、患者識別、製造業者およびモデル番号の表現を送信するように構成されたコンポーネントを含む。装置の。
【請求項１１３２】
生物学的バイタルサインを伝達する装置、生物バイタルサインを含む生物学的バイタルサインを伝達する装置:
フォトプレチスモグラムセンサー;
マイクロダイナミックライト散乱センサ。
膨脹可能な袖口の膀胱を含む指の袖口;
実行するようにプログラムされたマイクロプロセッサ:
複数の画像を受信するように構成され、複数の画像のそれぞれをトリミングして画像の境界線領域を除外するように構成されたクロッパーモジュールで、複数のトリミングされた画像を生成します。
クロッパーモジュールに作動可能に結合され、複数のトリミングされた画像で皮膚を代表するピクセル値を識別し、皮膚表面の皮膚ピクセル同定の出力を生み出す皮膚表面皮膚ピクセル同定モジュールモジュール;
皮膚表面の皮膚ピクセル識別モジュールに動作的に結合され、皮膚表面の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。そして
時間変動から生物学的バイタルサインを生成する時間変動識別子に作動可能に結合された生物学的バイタルサインジェネレータで、生物学的バイタルサインの1つは表面温度であり、体のコア温度はキャリブレーション補正および電圧補正された表面温度を本体コア温度と電圧補正された周囲温度に相関させるメモリに格納されている複数のテーブルを参照して推定されます。そして
生物学的バイタルサインジェネレータに動作的に結合された表示装置;そして
マイクロプロセッサに動作的に結合され、生物学的バイタルサインの表現を送信するように構成された無線通信サブシステム、
前記生物学的バイタルサインは、さらに全ヘモグロビン(SpHb)、メテモグロビン(SpMet)、音響呼吸率(RRa)、カルボキシヘモグロビン(SpCO)および酸素予備指数(ORi)を含む。
【請求項１１３３】
クレーム1132の生物学的バイタルサインを伝達する装置は、ここで、地域の顔面クラスタモジュールがさらに含まれる:ファジークラスタ。
【請求項１１３４】
クレーム1132の生物学的バイタルサインを伝達する装置は、ここで、地域の顔面クラスタモジュールをさらに含む:Kクラスタを含む。
【請求項１１３５】
クレーム1132の生物学的バイタルサインを伝達する装置は、ここで、地域の顔面クラスタモジュールがさらに含まれる:期待-最大化剤。
【請求項１１３６】
クレーム1132の生物学的バイタルサインを伝達する装置は、前述の地域顔面クラスタモジュールをさらに含む:シードポイントベースのクラスタリング装置。
【請求項１１３７】
クレーム1132の生物学的バイタルサインを伝える装置は、さらに黒体で再較化されず、さらに低ノイズ増幅器を含むデジタル赤外線センサを含むものであり、低ノイズ増幅器が作動性に結合されている。アナログからデジタルへのコンバータ、アナログからデジタルへのコンバータは、デジタル信号プロセッサに動作的に結合され、デジタル信号プロセッサはパルス幅変調器に動作的に結合されています。
【請求項１１３８】
請求項1132の生物学的バイタルサインを伝える装置は、生物学的バイタルサインジェネレータに作動可能に結合され、生物学的バイタルサインを不揮発性メモリに格納するように構成された記憶装置をさらに含む。
【請求項１１３９】
請求項1132の生物学的バイタルサインを伝える装置は、さらに、生物学的バイタルサインジェネレータに作動可能に結合され、生物学的バイタルサインを別の装置に伝達するように構成された記憶装置を含む。
【請求項１１４０】
本装置は、請求項1132の生物学的バイタル徴候をさらに血圧を含む。
【請求項１１４１】
生物学的バイタルサインがさらに呼吸を含むクレーム1132の生物学的バイタルサインを伝達する装置。
【請求項１１４２】
本装置は、請求項1132の生物学的バイタルサインを伝達し、ここで生物学的バイタルサインがさらにパルスを含む。
【請求項１１４３】
クレーム1132の生物学的バイタルサインを伝える装置は、さらにマイクロプロセッサに動作的に結合され、メモリを介してマイクロプロセッサに複数の画像をキャプチャするように構成されたカメラを含む。
【請求項１１４４】
クレーム1132の生物学的バイタルサインを伝える装置は、さらにマイクロプロセッサに動作的に結合されたデジタル赤外線センサ、デジタル読み出しポートのみを有するデジタル赤外線センサ、デジタル赤外線センサを含むアナログセンサーの読み出しポートを持たない、単一のサーモパイルセンサを取り囲むファラデーケージ、中央処理装置および制御ブロックを含むデジタル赤外線センサー。
【請求項１１４５】
請求項1144の生物学的バイタルサインを伝達する装置は、さらに含む:
前述のマイクロプロセッサは、デジタル赤外線センサとマイクロプロセッサによって検出される表面温度の赤外線信号を代表するデジタル信号を複数のデジタル読み出しポートから受信するように構成されている。赤外線信号を代表するデジタル信号から本体コア温度を推定するように構成されています。
【請求項１１４６】
請求項1132の生物学的バイタルサインを伝達する装置は、さらに含む:
アナログからデジタルへのコンバータはありません。
【請求項１１４７】
生物学的バイタルサインがさらに血流を含むクレーム1132の生物学的バイタルサインを伝達する装置は、さらに時間的に分析する血流分析モジュールを含む。複数の画像の皮膚における運動変化および色変化を識別するバリエーションは、血液の流れのパターンを生成する。
【請求項１１４８】
クレーム1147の生物学的バイタルサインを伝える装置は、さらに、生物学的バイタルサインジェネレータに作動可能に結合され、作動可能に連結された血流表示モジュールを含む、ディスプレイ装置上の血液。
【請求項１１４９】
生物学的バイタルサインがさらに心拍数を含み、生物学的バイタルサインジェネレータが経時的変動を分析する心拍数分析モジュールを含む請求項1132の生物学的バイタルサインを伝達する装置心拍数を生成する。
【請求項１１５０】
心拍の周波数範囲における時間変動の周波数スペクトルから心拍数が生成される請求項1149の生物学的バイタルサインを伝える装置。
【請求項１１５１】
無線通信サブシステムがインターネットプロトコルトンネルを介して送信する請求項1132の生物学的バイタルサインを伝える装置。
【請求項１１５２】
生体バイタルサインを伝える装置1132を伝える装置1132は、生物学的バイタルサインを伝達する装置が第2の装置によって知られているように第2の装置によって検証され、第2の装置によって転送が可能とされる。第2の装置への情報。
【請求項１１５３】
接続が確立され、体のコア温度が無線通信サブシステムを介して生物学的バイタルサインを通信するために装置から押し出される請求項1132の生物学的バイタルサインを伝える装置、その後、外部装置は、生物学的バイタルサインと外部デバイスとの間の体心温度の流れを制御し、ここで接続はさらに認証された通信チャネルを含む。
【請求項１１５４】
請求項1144の生物学的バイタルサインを伝達する装置は、デジタル赤外線センサをさらにアナログからデジタルへのコンバータを含む。
【請求項１１５５】
請求項1132の生物学的バイタルサインを伝達する装置は、前述の無線通信サブシステムは、さらに、d食および時間の表現を伝達するように構成された構成要素を含む、オペレータ識別、患者生物学的バイタルサインを伝える装置の識別、製造業者およびモデル番号。
【請求項１１５６】
体のコア温度を推定する装置、以下を含む装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、複数の画像をメモリにキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュールと、人間を生成する信号処理モジュールに作動可能に結合された人間のバイタルサインジェネレータ時間変動からのバイタルサインは、人間のバイタルサインが表面温度であり、体のコア温度は、表面温度を相関させるメモリに格納されている複数のテーブルを参照して推定されるキャリブレーション補正と電圧補正をボディコア温度と電圧補正周囲温度に。
マイクロプロセッサに動作的に結合され、人間のバイタルサインの表現を送信するように構成された無線通信サブシステム、
無線通信サブシステムは、短距離無線通信経路を介して送信する。そして
人間のバイタルサインを表示するマイクロプロセッサに動作的に結合された表示装置。
【請求項１１５７】
請求項1156の装置は、前述の信号処理モジュールが、複数の画像間の画素値の変動を増幅するようにさらに構成される。
【請求項１１５８】
クレーム1156の装置は、前述の信号処理モジュールが一時的処理を行うまでさらに構成される。
【請求項１１５９】
請求項1158の装置は、前述の時間処理は、バンドパスフィルタをさらに含む。
【請求項１１６０】
請求項1159の装置は、バンドパスフィルタが時間の経過とともに周波数を分析するように構成されている。
【請求項１１６１】
請求項1156の装置は、前述の信号処理を適用する空間処理を含む。
【請求項１１６２】
無線通信サブシステムがインターネットプロトコルトンネルを介して送信する請求項1156の装置。
【請求項１１６３】
請求項1156の装置は、本装置が第2の装置によって知られているように第2の装置によって検証され、第2の装置によって第2の装置によって許可され、第2の装置に情報を転送することを可能にする。
【請求項１１６４】
クレーム1156の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１１６５】
クレーム1156の装置は、さらに、デジタル赤外線センサがアナログからデジタルへのコンバータを含むマイクロプロセッサに動作的に結合されたデジタル赤外線センサを含む。
【請求項１１６６】
クレーム1156の装置は、無線通信サブシステムがさらにd食および時間、オペレータ識別、患者識別、製造業者およびモデル番号の表現を送信するように構成されたコンポーネントを含む。装置の。
【請求項１１６７】
体のコア温度を推定する装置、以下を含む装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、感知された表面温度の表現を送信するように構成された無線通信サブシステム。そして
マイクロプロセッサに動作的に結合された表示装置、
マイクロプロセッサは、デジタル赤外線センサによって検出され、マイクロプロセッサが設定された表面温度の赤外線信号を代表するデジタル信号をデジタル読み出しポートから受信するように構成されています。キャリブレーション補正された感知表面温度を相関させるメモリに格納されている複数のテーブルを参照して、赤外線信号を代表するデジタル信号から本体コア温度を推定し、キャリブレーション補正および電圧補正された感知表面温度を相関させるメモリに格納されている複数のテーブルを参照して、ボディコア温度に対する電圧補正と電圧補正本体コア温度と電圧補正された周囲温度と、複数の画像を受信するように構成されたクロッパーモジュールを含むマイクロプロセッサと、画像の境界領域を除外するように画像をトリミングするように構成され、複数を生成するトリミングされた画像の、マイクロプロセッサはまた、時間変動を生成するように構成された複数のトリミングされた画像の時間変動増幅器を含み、マイクロプロセッサはまた、動作可能である生物学的バイタルサインジェネレータを含む時間変動から生物学的に重要な兆候を生成するように構成された時間変動アンプに結合され、マイクロプロセッサも生物学的バイタルサインジェネレータに作動可能に結合され、
前述の無線通信サブシステムは、短距離無線通信経路を介して送信する。
【請求項１１６８】
クレーム1167の装置は、前述の時間変動増幅器が、皮膚表面皮膚画素同定モジュールをさらに含む。
【請求項１１６９】
クレーム1167の装置は、前述の時間変動増幅器は、さらに局所的な顔面クラスタモジュールを含む。
【請求項１１７０】
クレーム1167の装置は、前述の時間変動増幅器が第1の周波数フィルタモジュールをさらに含む。
【請求項１１７１】
クレーム1167の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサはパルス幅変調器に動作的に結合されています。
【請求項１１７２】
請求項1167の装置は、生物学的バイタルサイン発生器に作動可能に結合され、生物学的バイタルサインを別の装置に送信するように構成された記憶装置をさらに含む。
【請求項１１７３】
無線通信サブシステムがインターネットプロトコルトンネルを介して送信する請求項1167の装置。
【請求項１１７４】
請求項1167の装置は、本装置が第2の装置によって知られているように第2の装置によって検証され、第2の装置によって第2の装置によって許可され、第2の装置に情報を転送することを可能にする。
【請求項１１７５】
クレーム1167の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１１７６】
請求項1167の装置は、前述のデジタル赤外線センサがアナログからデジタルへのコンバータをさらに含む。
【請求項１１７７】
クレーム1167の装置は、無線通信サブシステムがさらにd食および時間、オペレータ識別、患者識別、製造業者およびモデル番号の表現を送信するように構成された構成要素を含む。装置の。
【請求項１１７８】
請求項1167の装置はさらに含む:
ボタンがマイクロプロセッサに接続されていない。
【請求項１１７９】
装置を含む:
以下を含む最初の回路基板:
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、本体コア温度の表現を送信するように構成されたワイヤレス通信サブシステム。
マイクロプロセッサに動作的に結合されたバッテリ。そして
マイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
第2のデジタルインターフェイスに動作的に結合されたデジタル赤外線センサ、デジタル読み出し信号のみを提供するポートを持つデジタル赤外線センサ、単一のサーモパイルセンサを取り囲むファラデーケージを含むデジタル赤外線センサ、中央処理装置および制御ブロック、
マイクロプロセッサは、デジタル赤外線センサとマイクロプロセッサによって生成される表面温度の赤外線信号を代表するデジタル読み出し信号をデジタル赤外線センサのポートから受信するように構成されています。赤外線信号を代表するデジタル読み出し信号から本体コア温度を推定するように構成され、表面温度を相関させるメモリに格納されている複数のテーブルを参照してキャリブレーション補正と電圧補正を本体コア温度と電圧補正周囲温度に対して、
デジタル赤外線センサとマイクロプロセッサの間にアナログ/デジタルコンバータが動作的に結合されていない場合、
前に、本装置は、第2の装置によって知られているように、第2の装置によって検証され、第2の装置によって許可され、第2の装置に情報を転送するようにする。
【請求項１１８０】
請求項1179の装置は、表示装置をさらに含む:
ボディコア温度が良好であることを示すように設定された緑色の信号。
ボディコア温度が低いことを示すように設定されたオレンジ色の信号。そして
ボディコア温度が高いことを示すように設定された赤信号。
【請求項１１８１】
請求項1179の装置はさらに含む:アナログセンサ読み出しポートを有しないデジタル赤外線センサ。
【請求項１１８２】
請求項1179の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間的変動を生成するように構成された複数のトリミングされた画像の一時的変動増幅器を含む、マイクロプロセッサはまた、動作的に結合された生物学的重要な標識ジェネレータを含む時間変動とマイクロプロセッサから生物学的に重要な兆候を生成するように構成された時間変動アンプも、生物学的バイタルサインジェネレータに作動可能に結合する。
【請求項１１８３】
クレーム1182の装置は、前述の時間変動増幅器が、皮膚表面皮膚画素同定モジュールをさらに含む。
【請求項１１８４】
クレーム1182の装置は、前述の時間変動増幅器は、さらに局所的な顔面クラスタモジュールを含む。
【請求項１１８５】
クレーム1182の装置は、前述の時間変動増幅器をさらに含む:
最初の周波数フィルタモジュール。
【請求項１１８６】
クレーム1182の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサはパルス幅変調器に動作的に結合されています。
【請求項１１８７】
請求項1182の装置は、生物学的バイタルサインジェネレータに作動可能に結合され、生物学的バイタルサインを不揮発性メモリに格納するように構成された記憶装置をさらに含む。
【請求項１１８８】
請求項1182の装置は、生物学的バイタルサインジェネレータに作動可能に結合され、生物学的バイタルサインを別の装置に送信するように構成された記憶装置をさらに含む。
【請求項１１８９】
無線通信サブシステムが短距離無線通信経路を介して送信する請求項1179の装置。
【請求項１１９０】
無線通信サブシステムがインターネットプロトコルトンネルを介して送信するクレーム1179の装置。
【請求項１１９１】
クレーム1179の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１１９２】
請求項1179の装置は、デジタル赤外線センサがさらにアナログからデジタルへのコンバータを含む。
【請求項１１９３】
クレーム1179の装置は、無線通信サブシステムがさらにd食および時間、オペレータ識別、患者識別、製造業者およびモデル番号の表現を送信するように構成されたコンポーネントを含む。装置の。
【請求項１１９４】
体のコア温度を推定する装置、以下を含む装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、本体コア温度の表現を送信するように構成されたワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
マイクロプロセッサは、デジタル赤外線センサによって検出され、マイクロプロセッサが設定された表面温度の赤外線信号を代表するデジタル信号をデジタル読み出しポートから受信するように構成されています。キャリブレーション補正および電圧補正された表面温度を相関させるメモリに格納されている複数のテーブルを参照して、赤外線信号を代表するデジタル信号からボディコア温度を推定する本体コア温度と電圧補正された周囲温度、
前に、本装置は、第2の装置によって知られているように、第2の装置によって検証され、第2の装置によって許可され、第2の装置に情報を転送するようにする。
【請求項１１９５】
請求項1194の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１１９６】
クレーム1194の装置は、さらに含むマイクロプロセッサ:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１１９７】
請求項1194の装置はさらに含む:アナログセンサ読み出しポートを有しないデジタル赤外線センサ。
【請求項１１９８】
無線通信サブシステムが短距離無線通信経路を介して送信する請求項1194の装置。
【請求項１１９９】
無線通信サブシステムがインターネットプロトコルトンネルを介して送信するクレーム1194の装置。
【請求項１２００】
クレーム1194の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１２０１】
請求項1194の装置は、デジタル赤外線センサがさらにアナログからデジタルへのコンバータを含む。
【請求項１２０２】
クレーム1194の装置は、無線通信サブシステムがさらにd食と時間、オペレータ識別、患者識別、製造業者およびモデル番号の表現を送信するように構成されたコンポーネントを含む装置の。
【請求項１２０３】
本体コア温度を推定する装置、以下を含む装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、本体コア温度の表現を送信するように構成されたワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
マイクロプロセッサは、デジタル赤外線センサによって検出され、マイクロプロセッサが設定された表面温度の赤外線信号を代表するデジタル信号をデジタル読み出しポートから受信するように構成されています。キャリブレーション補正および電圧補正された表面温度を相関させるメモリに格納されている複数のテーブルを参照して、赤外線信号を代表するデジタル信号からボディコア温度を推定する本体コア温度と電圧補正された周囲温度の推定値、
前に、本装置は、第2の装置によって知られているように、第2の装置によって検証され、第2の装置によって許可され、第2の装置に情報を転送するようにする。
【請求項１２０４】
請求項1203の装置は、前述の表示装置をさらに含む。
ボディコア温度の推定値が良好であることを示すように設定された緑色の信号。
ボディコア温度の推定値が低であることを示すように設定されたオレンジ色の信号。そして
ボディコア温度の推定値が高いことを示すように設定された赤信号。
【請求項１２０５】
クレーム1203の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１２０６】
請求項1203の装置はさらに含む:
マイクロプロセッサ、マイクロプロセッサに動作的に結合されたバッテリ、ディスプレイデバイスとマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項１２０７】
無線通信サブシステムが短距離無線通信経路を介して送信する請求項1203の装置。
【請求項１２０８】
無線通信サブシステムがインターネットプロトコルトンネルを介して送信するクレーム1203の装置。
【請求項１２０９】
クレーム1203の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１２１０】
請求項1203の装置は、デジタル赤外線センサをさらにアナログからデジタルへのコンバータを含む。
【請求項１２１１】
クレーム1203の装置は、無線通信サブシステムがさらにd食および時間、オペレータ識別、患者識別、製造業者およびモデル番号の表現を送信するように構成されたコンポーネントを含む装置の。
【請求項１２１２】
装置は、生物学的バイタルサインを伝達する装置、を含む生物学的バイタルサインを伝達する装置である。
フォトプレチスモグラムセンサー;
マイクロダイナミックライト散乱センサ。
膨脹可能な袖口の膀胱を含む指の袖口;
実行するようにプログラムされたマイクロプロセッサ:
皮膚表面の複数の画像を受信するように構成され、画像の境界線領域を除外するために複数の画像のそれぞれをトリミングするように構成されたクロッパーモジュールは、複数のトリミングされた画像を生成する。
クロッパーモジュールに作動可能に結合され、複数のトリミングされた画像で皮膚表面領域の皮膚を代表するピクセル値を識別し、皮膚表面の出力を得る皮膚表面皮膚ピクセル同定モジュール皮膚ピクセル識別モジュール;
皮膚表面の皮膚ピクセル識別モジュールに動作的に結合され、皮膚表面の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。
時間変動から生物学的バイタルサインを生成する時間変動識別子に作動可能に結合された生物学的バイタルサインジェネレータで、生物学的バイタルサインは表面温度を含む。そして
キャリブレーション補正および電圧補正された表面温度をボディコア温度に相関させるメモリに格納されている複数のテーブルを参照して、表面温度からボディコア温度の推定値電圧補正された周囲温度;
本体コア温度を表示するように構成された推定値に動作的に結合された表示装置。そして
マイクロプロセッサに動作的に結合され、本体コア温度の表現を送信するように構成された無線通信サブシステム、
前書は、生物学的バイタルサインを伝達する装置は、第2の装置によって知られているように第2の装置によって検証され、第2の装置によって許可され、第2の装置に情報を転送するようにする。
【請求項１２１３】
クレーム1212の生物学的重要な徴候を伝達する装置は、ここで、地域の顔面クラスタモジュールがさらに含まれる:ファジークラスタ。
【請求項１２１４】
クレーム1212の生物学的重要な徴候を伝達する装置は、ここで、地域の顔面クラスタモジュールをさらに含む:Kクラスタを含む。
【請求項１２１５】
クレーム1212の生物学的重要な徴候を伝達する装置は、ここで、地域の顔面クラスタモジュールがさらに含まれる:期待-最大化剤。
【請求項１２１６】
クレーム1212の生物学的生命徴候を伝達する装置は、前述の地域顔面クラスタモジュールをさらに含む:シードポイントベースのクラスタリング装置。
【請求項１２１７】
クレーム1212の生物学的生命徴候を伝える装置は、さらに黒体で再較化されず、さらに低ノイズ増幅器を含むデジタル赤外線センサを含むものであり、低ノイズ増幅器が作動性に結合されている。アナログからデジタルへのコンバータ、アナログからデジタルへのコンバータは、デジタル信号プロセッサに動作的に結合され、デジタル信号プロセッサはパルス幅変調器に動作的に結合されています。
【請求項１２１８】
請求項1212の生物学的バイタルサインを伝える装置は、生物学的バイタルサインジェネレータに作動可能に結合され、生物学的バイタルサインを不揮発性メモリに格納するように構成された記憶装置をさらに含む。
【請求項１２１９】
請求項1212の生物学的バイタルサインを伝える装置は、生物学的バイタルサインジェネレータに作動可能に結合され、生物学的バイタルサインを別の装置に送信するように構成された記憶装置をさらに含む。
【請求項１２２０】
この装置は、生物学的バイタルサインがさらに血圧を含む請求項1212の生物学的生命徴候を伝達する。
【請求項１２２１】
この装置は、生物学的バイタルサインがさらに呼吸を含む請求項1212の生物学的生命徴候を伝達する。
【請求項１２２２】
本装置は、請求項1212の生物学的生命徴候をさらに含むパルスを含む。
【請求項１２２３】
クレーム1212の生物学的重要な兆候を伝える装置は、さらにマイクロプロセッサに動作的に結合され、メモリを介してマイクロプロセッサに複数の画像をキャプチャするように構成されたカメラを含む。
【請求項１２２４】
マイクロプロセッサに動作的に結合されたデジタル赤外線センサを含む請求項1212の生物学的重要な兆候を伝える装置は、デジタル読み出しポートのみを有するデジタル赤外線センサ、デジタル赤外線センサを有するアナログセンサーの読み出しポート、単一のサーモパイルセンサーを取り囲むファラデーケージ、中央処理装置および制御ブロックを含むデジタル赤外線センサー。
【請求項１２２５】
請求項1224の生物学的重要な兆候を伝達する装置は、さらに含む:
前述のマイクロプロセッサは、デジタル赤外線センサとマイクロプロセッサによって検出される表面温度の赤外線信号を代表するデジタル信号を複数のデジタル読み出しポートから受信するように構成されている。赤外線信号を代表するデジタル信号から本体コア温度を推定するように構成されています。
【請求項１２２６】
請求項1212の生物学的重要な兆候を伝える装置は、さらに含む:
アナログからデジタルへのコンバータはありません。
【請求項１２２７】
生物学的バイタルサインがさらに血流を含むクレーム1212の生物学的バイタルサインを伝達する装置は、さらに、時間変動を分析する血流分析モジュールを含む。複数の画像の皮膚の運動変化および色変化を識別し、血液の流れのパターンを生成する。
【請求項１２２８】
請求項1227の生物学的生命徴候を伝達する装置は、さらに、生物学的バイタルサインジェネレータに作動可能に結合され、血液の流れのパターンを表示する表示装置に作動可能に結合された血流表示モジュールを含む。表示装置で。
【請求項１２２９】
生物学的バイタルサインがさらに心拍数を含み、生物学的バイタルサインジェネレータが経時的変動を分析する心拍分析モジュールを含む請求項1212の生物学的生命徴候を伝達する装置心拍数を生成します。
【請求項１２３０】
心拍の周波数範囲における時間変動の周波数スペクトルから心拍数が生成される請求項1229の生物学的生命徴候を伝達する装置。
【請求項１２３１】
複数のバイタルサインがさらに全ヘモグロビン(SpHb)、メテモグロビン(SpMet)、音響呼吸率(RRa)、カルボキシヘモグロビン(SpCO)および酸素予備指数(ORi)を含む請求項1212の生物学的生命徴候を伝達する装置).
【請求項１２３２】
無線通信サブシステムがインターネットプロトコルトンネルを介して送信するクレーム1212の生物学的重要な兆候を伝える装置。
【請求項１２３３】
接続が確立され、体のコア温度が無線通信サブシステムを介して生物学的バイタルサインを通信するために装置から押し出される請求項1212の生物学的バイタルサインを伝える装置外部装置は、生物学的バイタルサインと外部デバイスとの間の本体コア温度の流れを制御し、ここで接続はさらに認証された通信チャネルを含む。
【請求項１２３４】
請求項1224の生物学的重要な徴候を伝達する装置は、ここで、デジタル赤外線センサはさらにアナログからデジタルへのコンバータを含む。
【請求項１２３５】
クレーム1212の生物学的生命徴候を伝達する装置は、前述の無線通信サブシステムは、さらにd食べ物および時間の表現を伝達するように構成された構成要素を含む、オペレータ識別、患者生物学的バイタルサインを伝える装置の識別、製造業者およびモデル番号。
【請求項１２３６】
の体のコア温度を推定する装置は、以下を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、メモリに皮膚表面の複数の画像をキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュールと、を生成する信号処理モジュールに作動可能に結合された生物学的バイタルサインジェネレータ時間変動による表面温度と、校正補正および電圧補正された表面温度を体に相関させるメモリに格納されている複数のテーブルを参照して体のコア温度を推定するコア温度と電圧補正された周囲温度。
マイクロプロセッサに動作的に結合され、本体コア温度の表現を送信するように構成されたワイヤレス通信サブシステム。そして
本体のコア温度を表示するマイクロプロセッサに作動可能に結合された表示装置、
前に、本装置は、第2の装置によって知られているように、第2の装置によって検証され、第2の装置によって許可され、第2の装置に情報を転送するようにする。
【請求項１２３７】
クレーム1236の装置は、前述の信号処理モジュールが、複数の画像間の画素値の変動を増幅するようにさらに構成される。
【請求項１２３８】
クレーム1236の装置は、前述の信号処理モジュールが一時的処理を行うまでさらに構成される。
【請求項１２３９】
請求項1238の装置は、前述の時間処理は、バンドパスフィルタをさらに含む。
【請求項１２４０】
請求項1239の装置は、バンドパスフィルタが時間の経過とともに周波数を分析するように構成されている。
【請求項１２４１】
請求項1236の装置は、前述の信号処理を適用する空間処理を含む。
【請求項１２４２】
無線通信サブシステムが短距離無線通信経路を介して送信する請求項1236の装置。
【請求項１２４３】
無線通信サブシステムがインターネットプロトコルトンネルを介して送信する請求項1236の装置。
【請求項１２４４】
クレーム1236の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１２４５】
クレーム1236の装置は、さらに、デジタル赤外線センサがアナログからデジタルへのコンバータを含むマイクロプロセッサに動作的に結合されたデジタル赤外線センサをさらに含む。
【請求項１２４６】
クレーム1236の装置は、前述の無線通信サブシステムは、さらにd食べ物と時間、オペレータ識別、患者識別、製造業者およびモデル番号の表現を送信するように構成されたコンポーネントを含む。装置の。
【請求項１２４７】
装置を含む:
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、本体コア温度の表現を送信するように構成されたワイヤレス通信サブシステム。そして
マイクロプロセッサに動作的に結合された表示装置、
マイクロプロセッサは、デジタル赤外線センサによって検出され、マイクロプロセッサが設定された表面温度の赤外線信号を代表するデジタル信号をデジタル読み出しポートから受信するように構成されています。キャリブレーション補正および電圧補正された表面温度を相関させるメモリに格納されている複数のテーブルを参照して、赤外線信号を代表するデジタル信号からボディコア温度を推定するボディコア温度と電圧補正された周囲温度と、複数の画像を受信するように構成され、画像の境界領域を除外するように画像をトリミングするように構成されたクロッパーモジュールを含むマイクロプロセッサは、複数のトリミングされた画像は、マイクロプロセッサはまた、時間変動を生成するように構成された複数のトリミングされた画像の時間変動増幅器を含み、マイクロプロセッサはまた、生物学的バイタルサインジェネレータを含む。時間変動から生物学的に重要な兆候を生成するように構成された時間変動アンプにオペラ的に結合され、マイクロプロセッサも生物学的バイタルサインジェネレータに作動可能に結合され、
前に、本装置は、第2の装置によって知られているように、第2の装置によって検証され、第2の装置によって許可され、第2の装置に情報を転送するようにする。
【請求項１２４８】
クレーム1247の装置は、前述の時間変動増幅器が、皮膚表面皮膚画素同定モジュールをさらに含む。
【請求項１２４９】
クレーム1247の装置は、前述の時間変動増幅器は、さらに局所的な顔面クラスタモジュールを含む。
【請求項１２５０】
クレーム1247の装置は、前述の時間変動増幅器が第1の周波数フィルタモジュールをさらに含む。
【請求項１２５１】
クレーム1247の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサはパルス幅変調器に動作的に結合されています。
【請求項１２５２】
請求項1247の装置は、生物学的バイタルサイン発生器に作動可能に結合され、生物学的バイタルサインを別の装置に送信するように構成された記憶装置をさらに含む。
【請求項１２５３】
無線通信サブシステムが短距離無線通信経路を介して送信する請求項1247の装置。
【請求項１２５４】
無線通信サブシステムがインターネットプロトコルトンネルを介して送信するクレーム1247の装置。
【請求項１２５５】
クレーム1247の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１２５６】
請求項1247の装置は、前述のデジタル赤外線センサがアナログからデジタルへのコンバータをさらに含む。
【請求項１２５７】
クレーム1247の装置は、無線通信サブシステムがさらにd食および時間、オペレータ識別、患者識別、製造業者およびモデル番号の表現を送信するように構成されたコンポーネントを含む装置の。
【請求項１２５８】
請求項1247の装置はさらに含む:
ボタンがマイクロプロセッサに接続されていない。
【請求項１２５９】
装置を含む:
以下を含む最初の回路基板:
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、本体コア温度の表現を送信するように構成されたワイヤレス通信サブシステム。
マイクロプロセッサに動作的に結合されたバッテリ。そして
マイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
第2のデジタルインターフェイスに動作的に結合されたデジタル赤外線センサ、デジタル読み出し信号のみを提供するポートを持つデジタル赤外線センサ、単一のサーモパイルセンサを取り囲むファラデーケージを含むデジタル赤外線センサ、中央処理装置および制御ブロック、
マイクロプロセッサは、デジタル赤外線センサとマイクロプロセッサによって生成される表面温度の赤外線信号を代表するデジタル読み出し信号をデジタル赤外線センサのポートから受信するように構成されています。赤外線信号を代表するデジタル読み出し信号から表面温度を決定し、メモリに格納されている複数のテーブルを参照して表面温度から本体コア温度を推定するように構成されています。キャリブレーション補正および電圧補正された表面温度を、本体コア温度と電圧補正周囲温度と相関させ、
デジタル赤外線センサとマイクロプロセッサの間にアナログ/デジタルコンバータが動作的に結合されていない場合、
前書は、無線通信サブシステムによって外部装置への接続が確立され、本体コア温度が無線通信サブシステムを介して装置から押し出され、その後、外部装置がの流れを制御する。装置と外部装置との間の体心温度は、前に接続がさらに認証された通信チャネルを含む。
【請求項１２６０】
請求項1259の装置は、表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１２６１】
請求項1259の装置はさらに含む:
アナログセンサーの読み出しポートを持たないデジタル赤外線センサ。
【請求項１２６２】
請求項1259の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間的変動を生成するように構成された複数のトリミングされた画像の一時的変動増幅器を含む、マイクロプロセッサはまた、動作的に結合された生物学的重要な標識ジェネレータを含む時間変動とマイクロプロセッサから生物学的に重要な兆候を生成するように構成された時間変動アンプも、生物学的バイタルサインジェネレータに作動可能に結合する。
【請求項１２６３】
クレーム1262の装置は、前述の時間変動増幅器が、皮膚表面皮膚画素同定モジュールをさらに含む。
【請求項１２６４】
クレーム1262の装置は、前述の時間変動増幅器は、さらに局所的な顔面クラスタモジュールを含む。
【請求項１２６５】
クレーム1262の装置は、前述の時間変動増幅器が第1の周波数フィルタモジュールをさらに含む。
【請求項１２６６】
クレーム1262の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサはパルス幅変調器に動作的に結合されています。
【請求項１２６７】
請求項1262の装置は、生物学的バイタルサインジェネレータに作動可能に結合され、生物学的バイタルサインを不揮発性メモリに格納するように構成された記憶装置をさらに含む。
【請求項１２６８】
請求項1262の装置は、生物学的バイタルサイン発生器に作動可能に結合され、生物学的バイタルサインを別の装置に送信するように構成された記憶装置をさらに含む。
【請求項１２６９】
無線通信サブシステムが短距離無線通信経路を介して送信する請求項1259の装置。
【請求項１２７０】
請求項1259の装置は、本装置が第2の装置によって知られているように第2の装置によって検証され、第2の装置によって第2の装置によって許可され、第2の装置に情報を転送することを可能にする。
【請求項１２７１】
無線通信サブシステムがインターネットプロトコルトンネルを介して送信する請求項1259の装置。
【請求項１２７２】
請求項1259の装置は、デジタル赤外線センサをさらにアナログからデジタルへのコンバータを含む。
【請求項１２７３】
クレーム1259の装置は、無線通信サブシステムがさらにd食および時間、オペレータ識別、患者識別、製造業者およびモデル番号の表現を送信するように構成されたコンポーネントを含む装置の。
【請求項１２７４】
本体コア温度を推定する装置、以下を含む装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、本体コア温度の表現を送信するように構成されたワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
マイクロプロセッサは、デジタル赤外線センサによって検出され、マイクロプロセッサが設定された表面温度の赤外線信号を代表するデジタル信号をデジタル読み出しポートから受信するように構成されています。キャリブレーション補正および電圧補正された表面温度を相関させるメモリに格納されている複数のテーブルを参照して、赤外線信号を代表するデジタル信号からボディコア温度を推定する本体コア温度と電圧補正された周囲温度、
前書は、無線通信サブシステムによって外部デバイスに接続され、本体コア温度が無線通信サブシステムを介して装置から押し出され、その後、外部デバイスが本体の流れを制御する装置と外部装置との間のコア温度は、前述の接続が認証された通信チャネルをさらに含む。
【請求項１２７５】
請求項1274の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１２７６】
クレーム1274の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１２７７】
請求項1274の装置はさらに含む:アナログセンサ読み出しポートを有しないデジタル赤外線センサ。
【請求項１２７８】
無線通信サブシステムが短距離無線通信経路を介して送信する請求項1274の装置。
【請求項１２７９】
請求項1274の装置は、本装置が第2の装置によって知られているように第2の装置によって検証され、第2の装置によって第2の装置によって許可され、第2の装置に情報を転送することを可能にする。
【請求項１２８０】
無線通信サブシステムがインターネットプロトコルトンネルを介して送信する請求項1274の装置。
【請求項１２８１】
請求項1274の装置は、デジタル赤外線センサをさらにアナログからデジタルへのコンバータを含む。
【請求項１２８２】
クレーム1274の装置は、無線通信サブシステムがさらにd食および時間、オペレータ識別、患者識別、製造業者およびモデル番号の表現を送信するように構成されたコンポーネントを含む装置の。
【請求項１２８３】
本体コア温度を推定する装置、以下を含む装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、本体コア温度の表現を送信するように構成されたワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
マイクロプロセッサは、デジタル赤外線センサによって検出され、マイクロプロセッサが設定された表面温度の赤外線信号を代表するデジタル信号をデジタル読み出しポートから受信するように構成されています。キャリブレーション補正および電圧補正された表面温度を相関させるメモリに格納されている複数のテーブルを参照して、赤外線信号を代表するデジタル信号からボディコア温度を推定する本体コア温度と電圧補正された周囲温度、
前書は、無線通信サブシステムによって外部デバイスに接続され、本体コア温度が無線通信サブシステムを介して装置から押し出され、その後、外部デバイスが本体の流れを制御する装置と外部装置との間のコア温度は、前述の接続が認証された通信チャネルをさらに含む。
【請求項１２８４】
請求項1283の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１２８５】
クレーム1283の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１２８６】
請求項1283の装置はさらに含む:
マイクロプロセッサ、マイクロプロセッサに動作的に結合されたバッテリ、ディスプレイデバイスとマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項１２８７】
無線通信サブシステムが短距離無線通信経路を介して送信する請求項1283の装置。
【請求項１２８８】
請求項1283の装置は、本装置が第2の装置によって知られているように第2の装置によって検証され、第2の装置によって第2の装置によって許可され、第2の装置に情報を転送することを可能にする。
【請求項１２８９】
無線通信サブシステムがインターネットプロトコルトンネルを介して送信する請求項1283の装置。
【請求項１２９０】
請求項1283の装置は、デジタル赤外線センサがさらにアナログからデジタルへのコンバータを含む。
【請求項１２９１】
クレーム1283の装置は、無線通信サブシステムがさらにd食および時間、オペレータ識別、患者識別、製造業者およびモデル番号の表現を送信するように構成されたコンポーネントを含む装置の。
【請求項１２９２】
装置は、生物学的バイタルサインを伝達し、その装置を含む生物学的バイタルサインを伝達する。
複数の画像を提供するように構成されたカメラ。そして
カメラに動作的に結合され、実行するようにプログラムされたマイクロプロセッサ:
皮膚表面の複数の画像を受信するように構成され、画像の境界線領域を除外するために複数の画像のそれぞれをトリミングするように構成されたクロッパーモジュールは、複数のトリミングされた画像を生成する。
クロッパーモジュールに作動可能に結合され、複数のトリミングされた画像で皮膚を代表するピクセル値を識別し、皮膚表面の皮膚ピクセル同定の出力を生み出す皮膚表面皮膚ピクセル同定モジュールモジュール;
皮膚表面の皮膚ピクセル識別モジュールに動作的に結合され、皮膚表面の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。そして
時間変動から生物学的重要な兆候を生成する時間変動識別子に動作的に結合された生物学的バイタルサインジェネレータ。そして
生物学的バイタルサインジェネレータに動作的に結合された表示装置;
マイクロプロセッサに動作的に結合されるフォトプレチスモグラムセンサー。
マイクロプロセッサに動作的に結合されるマイクロダイナミックライト散乱センサー。そして
マイクロプロセッサに動作的に結合され、生物学的バイタルサインの表現を送信するように構成された無線通信サブシステム、
無線通信サブシステムから外部デバイスへの接続が確立され、生物学的バイタルサインが装置から押し出され、無線通信サブシステムを介して生物学的なバイタルサインを通信し、外部装置は、生物学的バイタルサインと外部デバイスとの間の本体コア温度の流れを制御し、ここで接続はさらに認証された通信チャネルを含む。
【請求項１２９３】
クレーム1292の生物学的重要な徴候を伝達する装置は、ここで、地域の顔面クラスタモジュールがさらに含まれる:ファジークラスタ。
【請求項１２９４】
クレーム1292の生物学的重要な徴候を伝達する装置は、ここで、地域の顔面クラスタモジュールがさらに含まれる:Kクラスタを含む。
【請求項１２９５】
クレーム1292の生物学的重要な徴候を伝達する装置は、ここで、地域の顔面クラスタモジュールがさらに含まれる:期待-最大化剤。
【請求項１２９６】
クレーム1292の生物学的生命徴候を伝達する装置は、ここで、地域の顔面クラスタモジュールをさらに含む:シードポイントベースのクラスタリング装置。
【請求項１２９７】
クレーム1292の生物学的生命標識を伝通信する装置は、さらに、黒体で再較化されず、さらに低ノイズ増幅器を含むデジタル赤外線センサを含むものであり、低ノイズ増幅器が作動性に結合されている。アナログからデジタルへのコンバータ、アナログからデジタルへのコンバータは、デジタル信号プロセッサに動作的に結合され、デジタル信号プロセッサはパルス幅変調器に動作的に結合されています。
【請求項１２９８】
請求項1292の生物学的バイタルサインを伝える装置は、生物学的バイタルサインジェネレータに作動可能に結合され、生物学的バイタルサインを不揮発性メモリに格納するように構成された記憶装置をさらに含む。
【請求項１２９９】
請求項1292の生物学的バイタルサインを伝える装置は、生物学的バイタルサインジェネレータに作動可能に結合され、生物学的バイタルサインを別の装置に送信するように構成された記憶装置をさらに含む。
【請求項１３００】
本装置は、生物学的バイタルサインがさらに血圧を含む請求項1292の生物学的生命徴候を伝達する。
【請求項１３０１】
この装置は、生物学的バイタルサインがさらに呼吸を含む請求項1292の生物学的生命徴候を伝達する。
【請求項１３０２】
本装置は、請求項1292の生物学的生命徴候をさらに含むパルスを含む。
【請求項１３０３】
マイクロプロセッサに動作的に結合されたデジタル赤外線センサを含む請求項1292の生物学的重要な兆候を伝達する装置は、デジタル読み出しポートのみを有するデジタル赤外線センサ、デジタル赤外線センサを有するアナログセンサーの読み出しポート、単一のサーモパイルセンサーを取り囲むファラデーケージ、中央処理装置および制御ブロックを含むデジタル赤外線センサー。
【請求項１３０４】
請求項1292の生物学的重要な兆候を伝える装置は、さらに含む:
アナログからデジタルへのコンバータはありません。
【請求項１３０５】
生物学的バイタルサインがさらに血流を含むクレーム1292の生物学的バイタルサインを伝達する装置は、さらに、時間変動を分析する血流分析モジュールを含む。複数の画像の皮膚の運動変化および色変化を識別し、血液の流れのパターンを生成する。
【請求項１３０６】
請求項1305の生物学的生命徴候を伝達する装置は、さらに、生物学的バイタルサインジェネレータに作動可能に結合され、血液の流れのパターンを表示する表示装置に作動可能に結合された血流表示モジュールを含む。表示装置で。
【請求項１３０７】
生物学的バイタルサインがさらに心拍数を含み、生物学的バイタルサインジェネレータが経時的変動を分析する心拍分析モジュールを含む請求項1292の生物学的生命徴候を伝達する装置心拍数を生成します。
【請求項１３０８】
心拍に対する周波数範囲における時間変動の周波数スペクトルから心拍数が生成される請求項1307の生物学的生命徴候を伝達する装置。
【請求項１３０９】
複数のバイタルサインがさらに全ヘモグロビン(SpHb)、メテモグロビン(SpMet)、音響呼吸率(RRa)、カルボキシヘモグロビン(SpCO)および酸素予備指数(ORi)を含む請求項1292の生物学的生命徴候を伝達する装置).
【請求項１３１０】
生体バイタルサインを伝える装置1292を伝える装置は、第2の装置によって知られている第2の装置によって検証され、第2の装置によって情報を転送するように許可される。第二の装置.
【請求項１３１１】
無線通信サブシステムがインターネットプロトコルトンネルを介して送信する請求項1292の生物学的重要な徴候を伝える装置。
【請求項１３１２】
請求項1303の生物学的重要な徴候を伝達する装置は、デジタル赤外線センサをさらにアナログからデジタルへのコンバータを含む。
【請求項１３１３】
クレーム1292の生物学的生命徴候を伝達する装置は、ここで、無線通信サブシステムは、さらにd食べ物および時間の表現を送信するように構成された構成要素を含む、オペレータ識別、患者生物学的バイタルサインを伝える装置の識別、製造業者およびモデル番号。
【請求項１３１４】
装置を含む:
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、最初のメモリに複数の画像をキャプチャするように構成されたカメラ。
前記マイクロプロセッサは、最初のメモリ内の複数の画像のピクセル値を調べるために構成されたピクセル検査モジュールを含み、ピクセル値の時間変動を決定するように構成された時間変動モジュールである。複数の画像の間で、増幅された時間変動をもたらす時間変動を増幅するように構成された信号処理モジュールと、信号処理モジュールに作動可能に結合された生物学的バイタルサインジェネレータ。
マイクロプロセッサに動作的に結合され、本体コア温度の表現を送信するように構成されたワイヤレス通信サブシステム。そして
本体のコア温度を表示するマイクロプロセッサに作動可能に結合された表示装置、
前書は、無線通信サブシステムによって外部デバイスに接続され、本体コア温度が無線通信サブシステムを介して装置から押し出され、その後、外部デバイスが本体の流れを制御する装置と外部装置との間のコア温度は、前述の接続が認証された通信チャネルをさらに含む。
【請求項１３１５】
クレーム1314の装置は、信号処理モジュールが、較正補正および電圧補正された推定表面温度を相関する第1のメモリに格納されている複数のテーブルを参照している。推定体のコア温度と電圧補正された周囲温度は、複数の画像間のピクセル値の変動を増幅するようにさらに構成されています。
【請求項１３１６】
クレーム1314の装置は、前述の信号処理モジュールが一時的処理を行うまでさらに構成される。
【請求項１３１７】
請求項1316の装置は、前述の時間処理がバンドパスフィルタである。
【請求項１３１８】
請求項1317の装置は、バンドパスフィルタが時間の経過とともに周波数を分析するように構成されている。
【請求項１３１９】
請求項1314の装置は、前述の信号処理を適用する空間処理を含む。
【請求項１３２０】
無線通信サブシステムがBluetooth通信経路を介して送信する請求項1314の装置。
【請求項１３２１】
請求項1314の装置は、本装置が第2の装置によって知られているように第2の装置によって検証され、第2の装置によって第2の装置によって許可され、第2の装置に情報を転送することを可能にする。
【請求項１３２２】
無線通信サブシステムがインターネットプロトコルトンネルを介して送信する請求項1314の装置。
【請求項１３２３】
クレーム1314の装置は、本装置がさらにアナログからデジタルセンサを含むデジタル赤外線センサを含む。
【請求項１３２４】
クレーム1314の装置は、無線通信サブシステムがさらにd食および時間、オペレータ識別、患者識別、製造業者およびモデル番号の表現を送信するように構成されたコンポーネントを含む装置の。
【請求項１３２５】
装置は、体のコア温度を推定し、その装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、本体コア温度の表現を送信するように構成されたワイヤレス通信サブシステム。そして
マイクロプロセッサに動作的に結合された表示装置、
マイクロプロセッサは、デジタル赤外線センサによって検出され、マイクロプロセッサが設定された表面温度の赤外線信号を代表するデジタル信号をデジタル読み出しポートから受信するように構成されています。キャリブレーション補正および電圧補正された表面温度を相関させるメモリに格納されている複数のテーブルを参照して、赤外線信号を代表するデジタル信号からボディコア温度を推定するボディコア温度と電圧補正された周囲温度と、複数の画像を受信するように構成され、画像の境界領域を除外するように画像をトリミングするように構成されたクロッパーモジュールを含むマイクロプロセッサは、複数のトリミングされた画像は、マイクロプロセッサはまた、時間変動を生成するように構成された複数のトリミングされた画像の時間変動増幅器を含み、マイクロプロセッサはまた、生物学的バイタルサインジェネレータを含む。時間変動から生物学的に重要な兆候を生成するように構成された時間変動アンプにオペラ的に結合され、マイクロプロセッサも生物学的バイタルサインジェネレータに作動可能に結合され、
前書は、無線通信サブシステムによって外部装置への接続が確立され、本体コア温度が無線通信サブシステムを介して装置から押し出され、その後、外部装置がの流れを制御する。装置と外部装置との間の体心温度は、前に接続がさらに認証された通信チャネルを含む。
【請求項１３２６】
クレーム1325の装置は、前述の時間変動増幅器が、皮膚表面皮膚画素同定モジュールをさらに含む。
【請求項１３２７】
クレーム1325の装置は、前述の時間変動増幅器は、さらに局所的な顔面クラスタモジュールを含む。
【請求項１３２８】
クレーム1325の装置は、前述の時間変動増幅器が第1の周波数フィルタモジュールをさらに含む。
【請求項１３２９】
クレーム1325の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサはパルス幅変調器に動作的に結合されています。
【請求項１３３０】
請求項1325の装置は、生物学的バイタルサイン発生器に作動可能に結合され、生物学的バイタルサインを別の装置に送信するように構成された記憶装置をさらに含む。
【請求項１３３１】
無線通信サブシステムが短距離無線通信経路を介して送信する請求項1325の装置。
【請求項１３３２】
請求項1325の装置は、本装置が第2の装置によって知られているように第2の装置によって検証され、第2の装置によって第2の装置によって許可され、第2の装置に情報を転送することを可能にする。
【請求項１３３３】
無線通信サブシステムがインターネットプロトコルトンネルを介して送信する請求項1325の装置。
【請求項１３３４】
請求項1325の装置は、前述のデジタル赤外線センサがアナログからデジタルへのコンバータをさらに含む。
【請求項１３３５】
クレーム1325の装置は、無線通信サブシステムがさらにd食および時間、オペレータ識別、患者識別、製造業者およびモデル番号の表現を送信するように構成されたコンポーネントを含む装置の。
【請求項１３３６】
請求項1325の装置はさらに含む:
ボタンがマイクロプロセッサに接続されていない。
【請求項１３３７】
を含む装置:
以下を含む最初の回路基板:
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、本体コア温度の表現を送信するように構成されたワイヤレス通信サブシステム。
マイクロプロセッサに動作的に結合されたバッテリ。そして
マイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
第2のデジタルインターフェイスに動作的に結合されたデジタル赤外線センサ、デジタル読み出し信号のみを提供するポートを持つデジタル赤外線センサ、単一のサーモパイルセンサを取り囲むファラデーケージを含むデジタル赤外線センサ、中央処理装置および制御ブロック、
マイクロプロセッサは、デジタル赤外線センサとマイクロプロセッサによって生成される表面温度の赤外線信号を代表するデジタル読み出し信号をデジタル赤外線センサのポートから受信するように構成されています。赤外線信号を代表するデジタル読み出し信号から本体コア温度を推定するように構成され、表面温度を相関させるメモリに格納されている複数のテーブルを参照してキャリブレーション補正と電圧補正を本体コア温度と電圧補正周囲温度に対して、
デジタル赤外線センサとマイクロプロセッサの間にアナログ/デジタルコンバータが動作的に結合されていない場合、
デジタル赤外線センサは、さらにアナログからデジタルへのコンバータを含む。
【請求項１３３８】
請求項1337の装置は、表示装置をさらに含む:
ボディコア温度が良好であることを示すように設定された緑色の信号。
ボディコア温度が低いことを示すように設定されたオレンジ色の信号。そして
ボディコア温度が高いことを示すように設定された赤信号。
【請求項１３３９】
請求項1337の装置はさらに含む:アナログセンサ読み出しポートを有しないデジタル赤外線センサ。
【請求項１３４０】
請求項1337の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間的変動を生成するように構成された複数のトリミングされた画像の一時的変動増幅器を含む、マイクロプロセッサはまた、動作的に結合された生物学的重要な標識ジェネレータを含む時間変動とマイクロプロセッサから生物学的に重要な兆候を生成するように構成された時間変動アンプも、生物学的バイタルサインジェネレータに作動可能に結合する。
【請求項１３４１】
クレーム1340の装置は、前述の時間変動増幅器が、皮膚表面皮膚画素同定モジュールをさらに含む。
【請求項１３４２】
クレーム1340の装置は、前述の時間変動増幅器は、さらに局所的な顔面クラスタモジュールを含む。
【請求項１３４３】
クレーム1340の装置は、前述の時間変動増幅器が第1の周波数フィルタモジュールをさらに含む。
【請求項１３４４】
クレーム1340の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサはパルス幅変調器に動作的に結合されています。
【請求項１３４５】
請求項1340の装置は、生物学的バイタルサインジェネレータに作動可能に結合され、生物学的バイタルサインを不揮発性メモリに格納するように構成された記憶装置をさらに含む。
【請求項１３４６】
請求項1340の装置は、生物学的バイタルサイン発生器に作動可能に結合され、生物学的バイタルサインを別の装置に送信するように構成された記憶装置をさらに含む。
【請求項１３４７】
無線通信サブシステムが短距離無線通信経路を介して送信する請求項1337の装置。
【請求項１３４８】
請求項1337の装置は、本装置が第2の装置によって知られているように第2の装置によって検証され、第2の装置によって第2の装置によって許可され、第2の装置に情報を転送することを可能にする。
【請求項１３４９】
クレーム1337の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１３５０】
請求項1337の装置は、無線通信サブシステムがインターネットプロトコルトンネルを介して送信する。
【請求項１３５１】
クレーム1337の装置は、無線通信サブシステムがさらにd食および時間、オペレータ識別、患者識別、製造業者およびモデル番号の表現を送信するように構成された構成要素を含む。装置の。
【請求項１３５２】
体のコア温度を推定する装置、以下を含む装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、本体コア温度の推定値の表現を送信するように構成された無線通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
マイクロプロセッサは、デジタル赤外線センサによって検出され、マイクロプロセッサが構成される皮膚表面温度の赤外線信号を代表するデジタル信号をデジタル読み出しポートから受信するように構成されています。皮膚表面温度を体のコア温度と、体のコア温度と相関させるメモリに格納されている複数のテーブルを参照して、赤外線信号を代表するデジタル信号から体心温度の推定値を推定する電圧補正環境温度,
デジタル赤外線センサは、さらにアナログからデジタルへのコンバータを含む。
【請求項１３５３】
請求項1352の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１３５４】
クレーム1352の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１３５５】
請求項1352の装置はさらに含む:アナログセンサ読み出しポートを有しないデジタル赤外線センサ。
【請求項１３５６】
無線通信サブシステムが短距離無線通信経路を介して送信する請求項1352の装置。
【請求項１３５７】
請求項1352の装置は、本装置が第2の装置によって知られているように第2の装置によって検証され、第2の装置によって第2の装置によって許可され、第2の装置に情報を転送することを可能にする。
【請求項１３５８】
クレーム1352の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１３５９】
請求項1352の装置は、無線通信サブシステムがインターネットプロトコルトンネルを介して送信する。
【請求項１３６０】
クレーム1352の装置は、無線通信サブシステムがさらにd食および時間、オペレータ識別、患者識別、製造業者およびモデル番号の表現を送信するように構成されたコンポーネントを含む装置の。
【請求項１３６１】
体のコア温度を推定する装置、以下を含む装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、本体コア温度の推定値の表現を送信するように構成された無線通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
マイクロプロセッサは、デジタル赤外線センサによって検出され、マイクロプロセッサが構成される皮膚表面温度の赤外線信号を代表するデジタル信号をデジタル読み出しポートから受信するように構成されています。皮膚表面温度を体のコア温度と電圧補正に相関させるメモリに格納されている複数のテーブルを参照して、赤外線信号を代表するデジタル信号から体のコア温度を推定する周囲温度,
デジタル赤外線センサは、さらにアナログからデジタルへのコンバータを含む。
【請求項１３６２】
請求項1361の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１３６３】
クレーム1361の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１３６４】
請求項1361の装置はさらに含む:
マイクロプロセッサ、マイクロプロセッサに動作的に結合されたバッテリ、ディスプレイデバイスとマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項１３６５】
無線通信サブシステムが短距離無線通信経路を介して送信する請求項1361の装置。
【請求項１３６６】
請求項1361の装置は、本装置が第2の装置によって知られているように第2の装置によって検証され、第2の装置によって第2の装置によって許可され、第2の装置に情報を転送することを可能にする。
【請求項１３６７】
クレーム1361の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１３６８】
請求項1361の装置は、無線通信サブシステムがインターネットプロトコルトンネルを介して送信する。
【請求項１３６９】
クレーム1361の装置は、無線通信サブシステムがさらにd食および時間、オペレータ識別、患者識別、製造業者およびモデル番号の表現を送信するように構成されたコンポーネントを含む装置の。
【請求項１３７０】
生物学的バイタルサインを伝達する装置、以下を含む生物学的バイタルサインを伝達する装置である。
フォトプレチスモグラムセンサー;
マイクロダイナミックライト散乱センサ。
膨脹可能な袖口の膀胱を含む指の袖口;
実行するようにプログラムされたマイクロプロセッサ:
複数の画像を受信するように構成され、複数の画像のそれぞれをトリミングして画像の境界線領域を除外するように構成されたクロッパーモジュールで、複数のトリミングされた画像を生成します。
クロッパーモジュールに作動可能に結合され、複数のトリミングされた画像で皮膚を代表するピクセル値を識別し、皮膚表面の皮膚ピクセル同定の出力を生み出す皮膚表面皮膚ピクセル同定モジュールモジュール;
皮膚表面の皮膚ピクセル識別モジュールに動作的に結合され、皮膚表面の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。そして
時間変動から生物学的生命徴候を生成する時間変動識別子に作動可能に結合された生物学的バイタルサインジェネレータで、生物学的バイタルサインは表面温度であり、生物学的バイタルサインは表面温度であり、生物学的バイタルサインはキャリブレーション補正および電圧補正された表面温度をボディコア温度と電圧補正された周囲温度に相関させるメモリに格納されている複数のテーブルを参照して生成されます。そして
本体コア温度を表示するように構成された生物学的バイタルサインジェネレータに動作的に結合された表示装置。そして
マイクロプロセッサに動作的に結合され、生物学的バイタルサインの表現を送信するように構成された無線通信サブシステム。そして
デジタル赤外線センサは、さらにアナログからデジタルへのコンバータを備えるマイクロプロセッサに動作的に結合されたデジタル赤外線センサです。
【請求項１３７１】
クレーム1370の生物学的バイタルサインを伝達する装置は、ここで、地域の顔面クラスタモジュールがさらに含まれる:ファジークラスタ。
【請求項１３７２】
クレーム1370の生物学的バイタルサインを伝達する装置は、ここで、地域の顔面クラスタモジュールをさらに含む:Kクラスタを含む。
【請求項１３７３】
クレーム1370の生物学的バイタルサインを伝達する装置は、ここで、地域の顔面クラスタモジュールがさらに含まれる:期待-最大化剤。
【請求項１３７４】
クレーム1370の生物学的バイタルサインを伝達する装置は、前述の地域顔面クラスタモジュールをさらに含む:シードポイントベースのクラスタリング装置。
【請求項１３７５】
クレーム1370の生物学的バイタルサインを伝える装置は、さらに黒体で再較化されず、さらに低ノイズ増幅器を含むデジタル赤外線センサを含むものであり、低ノイズ増幅器が作動性に結合されている。アナログからデジタルへのコンバータ、アナログからデジタルへのコンバータは、デジタル信号プロセッサに動作的に結合され、デジタル信号プロセッサはパルス幅変調器に動作的に結合されています。
【請求項１３７６】
請求項1370の生物学的バイタルサインを伝える装置は、生物学的バイタルサインジェネレータに作動可能に結合され、生物学的バイタルサインを不揮発性メモリに格納するように構成された記憶装置をさらに含む。
【請求項１３７７】
請求項1370の生物学的バイタルサインを伝える装置は、さらに、生物学的バイタルサインジェネレータに作動可能に結合され、生物学的バイタルサインを別の装置に伝達するように構成された記憶装置を含む。
【請求項１３７８】
生物学的バイタルサインが血圧をさらに含むクレーム1370の生物学的バイタル徴候を伝達する装置。
【請求項１３７９】
この装置は、生物学的バイタルサインがさらに呼吸を含む請求項1370の生物学的バイタル徴候を伝達する。
【請求項１３８０】
本装置は、請求項1370の生物学的バイタルサインを伝達し、生物学的バイタルサインがさらにパルスを含む。
【請求項１３８１】
クレーム1370の生物学的バイタルサインを伝える装置は、さらにマイクロプロセッサに動作的に結合され、メモリを介してマイクロプロセッサに複数の画像をキャプチャするように構成されたカメラを含む。
【請求項１３８２】
クレーム1370の生物学的バイタルサインを伝える装置は、さらにマイクロプロセッサに動作的に結合されたデジタル赤外線センサ、デジタル読み出しポートのみを有するデジタル赤外線センサ、デジタル赤外線センサを含むアナログセンサーの読み出しポートを持たない、単一のサーモパイルセンサを取り囲むファラデーケージ、中央処理装置および制御ブロックを含むデジタル赤外線センサー。
【請求項１３８３】
請求項1382の生物学的バイタルサインを伝達する装置は、さらに含む:
前述のマイクロプロセッサは、複数のデジタル読み出しポートから受信するように構成され、デジタル赤外線センサによって検出された表面温度の赤外線信号を代表するデジタル信号が構成され、マイクロプロセッサが構成される表面温度を体心温度に相関させるメモリに格納された複数のテーブルを基準にして、赤外線信号を代表するデジタル信号から体心温度を推定する。
【請求項１３８４】
請求項1370の生物学的バイタルサインを伝える装置は、アナログからデジタルへのコンバータを含む。
【請求項１３８５】
生物学的バイタルサインがさらに血流を含むクレーム1370の生物学的バイタルサインを伝達する装置は、さらに時間的に分析する血流分析モジュールを含む。複数の画像の皮膚における運動変化および色変化を識別するバリエーションは、血液の流れのパターンを生成する。
【請求項１３８６】
クレーム1385の生物学的バイタルサインを伝える装置は、さらに、生物学的バイタルサインジェネレータに作動可能に結合され、作動可能に連結された血流表示モジュールを含む、ディスプレイ装置上の血液。
【請求項１３８７】
生物学的バイタルサインがさらに心拍数を含み、生物学的バイタルサインジェネレータが経時的変動を分析する心拍数分析モジュールを含む請求項1370の生物学的バイタルサインを伝達する装置心拍数を生成する。
【請求項１３８８】
心拍の周波数範囲における時間変動の周波数スペクトルから心拍数が生成される請求項1387の生物学的バイタルサインを伝える装置。
【請求項１３８９】
生物学的バイタルサインが総ヘモグロビン(SpHb)、メテモグロビン(SpMet)、音響呼吸率(RRa)、カルボキシヘモグロビン(SpCO)および酸素予備指数をさらに含む請求項1370の生物学的バイタルサインを伝達する装置(ORi)を使用します。
【請求項１３９０】
生体バイタルサインを伝える装置1370を伝える装置は、第2の装置によって知られている第2の装置によって検証され、第2の装置によって情報を転送するように許可される。第二の装置.
【請求項１３９１】
接続が確立され、体のコア温度が無線通信サブシステムを介して生物学的バイタルサインを通信するために装置から押し出される請求項1370の生物学的バイタルサインを伝える装置、その後、外部装置は、生物学的バイタルサインと外部デバイスとの間の体心温度の流れを制御し、ここで接続はさらに認証された通信チャネルを含む。
【請求項１３９２】
本装置は、請求項1370の生物学的バイタルサインを伝達し、ここで無線通信サブシステムがインターネットプロトコルトンネルを介して送信する。
【請求項１３９３】
クレーム1370の生物学的バイタルサインを伝達する装置は、前述の無線通信サブシステムは、さらにd食べ物および時間の表現を伝達するように構成された構成要素を含む、オペレータ識別、患者生物学的バイタルサインを伝える装置の識別、製造業者およびモデル番号。
【請求項１３９４】
本体コア温度を推定する装置、以下を含む装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、複数の画像をメモリにキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュールと、生成する信号処理モジュールに作動可能に結合された生物学的バイタルサインジェネレータ時間的変動からの人間の重要な徴候;
マイクロプロセッサに動作的に結合され、人間のバイタルサインの表現を送信するように構成された無線通信サブシステム。そして
デジタル赤外線センサがアナログからデジタルへのコンバータをさらに構成するマイクロプロセッサに動作的に結合されたデジタル赤外線センサ。そして
人間のバイタルサインを表示するマイクロプロセッサに動作的に結合された表示装置。
【請求項１３９５】
請求項1394の装置は、前述の信号処理モジュールが、複数の画像間の画素値の変動を増幅するようにさらに構成される。
【請求項１３９６】
クレーム1394の装置は、前述の信号処理モジュールが一時的処理を行うまでさらに構成される。
【請求項１３９７】
請求項1396の装置は、前述の時間処理は、さらにバンドパスフィルタを含む。
【請求項１３９８】
請求項1397の装置は、バンドパスフィルタが時間の経過とともに周波数を分析するように構成されている。
【請求項１３９９】
請求項1394の装置は、前述の信号処理を適用する空間処理を含む。
【請求項１４００】
無線通信サブシステムが短距離無線通信経路を介して送信する請求項1394の装置。
【請求項１４０１】
請求項1394の装置は、本装置が第2の装置によって知られているように第2の装置によって検証され、第2の装置によって第2の装置によって許可され、第2の装置に情報を転送することを可能にする。
【請求項１４０２】
クレーム1394の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１４０３】
請求項1394の装置は、無線通信サブシステムがインターネットプロトコルトンネルを介して送信する。
【請求項１４０４】
クレーム1394の装置は、無線通信サブシステムがさらにd食および時間、オペレータ識別、患者識別、製造業者およびモデル番号の表現を送信するように構成されたコンポーネントを含む装置の。
【請求項１４０５】
本体コア温度を推定する装置、以下を含む装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、本体コア温度の表現を送信するように構成された無線通信サブシステム、
デジタル赤外線センサは、アナログからデジタルへのコンバータをさらに備えています。そして
マイクロプロセッサに動作的に結合された表示装置、
マイクロプロセッサは、デジタル赤外線センサによって検出され、マイクロプロセッサが設定された表面温度の赤外線信号を代表するデジタル信号をデジタル読み出しポートから受信するように構成されています。キャリブレーション補正および電圧補正された表面温度を相関させるメモリに格納されている複数のテーブルを参照して、赤外線信号を代表するデジタル信号からボディコア温度を推定するボディコア温度と電圧補正された周囲温度と、複数の画像を受信するように構成され、画像の境界領域を除外するように画像をトリミングするように構成されたクロッパーモジュールを含むマイクロプロセッサは、複数のトリミングされた画像は、マイクロプロセッサはまた、時間変動を生成するように構成された複数のトリミングされた画像の時間変動増幅器を含み、マイクロプロセッサはまた、生物学的バイタルサインジェネレータを含む。時間変動から生物学的に重要な兆候を生成するように構成された時間変動アンプにオペラ的に結合され、マイクロプロセッサも生物学的バイタルサインジェネレータに作動可能に結合される。
【請求項１４０６】
クレーム1405の装置は、前述の時間変動増幅器が、皮膚表面皮膚画素同定モジュールをさらに含む。
【請求項１４０７】
クレーム1405の装置は、前述の時間変動増幅器は、さらに局所的な顔面クラスタモジュールを含む。
【請求項１４０８】
クレーム1405の装置は、前述の時間変動増幅器が第1の周波数フィルタモジュールをさらに含む。
【請求項１４０９】
クレーム1405の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサはパルス幅変調器に動作的に結合されています。
【請求項１４１０】
請求項1405の装置は、生物学的バイタルサイン発生器に作動可能に結合され、生物学的バイタルサインを別の装置に送信するように構成された記憶装置をさらに含む。
【請求項１４１１】
無線通信サブシステムが短距離無線通信経路を介して送信する請求項1405の装置。
【請求項１４１２】
請求項1405の装置は、本装置が第2の装置によって知られているように第2の装置によって検証され、第2の装置によって第2の装置によって許可され、第2の装置に情報を転送することを可能にする。
【請求項１４１３】
クレーム1405の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１４１４】
請求項1405の装置は、無線通信サブシステムがインターネットプロトコルトンネルを介して送信する。
【請求項１４１５】
クレーム1405の装置は、無線通信サブシステムがさらにd食および時間、オペレータ識別、患者識別、製造業者およびモデル番号の表現を送信するように構成されたコンポーネントを含む装置の。
【請求項１４１６】
請求項1405の装置はさらに含む:
ボタンがマイクロプロセッサに接続されていない。
【請求項１４１７】
装置を含む:
以下を含む最初の回路基板:
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、本体コア温度の表現を送信するように構成されたワイヤレス通信サブシステム。
マイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
第2のデジタルインターフェイスに動作的に結合されたデジタル赤外線センサ、デジタル読み出し信号のみを提供するポートを持つデジタル赤外線センサ、単一のサーモパイルセンサを取り囲むファラデーケージを含むデジタル赤外線センサ、中央処理装置および制御ブロック、
マイクロプロセッサは、デジタル赤外線センサとマイクロプロセッサによって生成される表面温度の赤外線信号を代表するデジタル読み出し信号をデジタル赤外線センサのポートから受信するように構成されています。赤外線信号を代表するデジタル読み出し信号から本体コア温度を推定するように構成され、表面温度を相関させるメモリに格納されている複数のテーブルを参照してキャリブレーション補正と電圧補正を本体コア温度と電圧補正周囲温度に対して、
デジタル赤外線センサとマイクロプロセッサの間にアナログ/デジタルコンバータが動作的に結合されていない場合、
前に、無線通信サブシステムは、さらに、装置のdateおよび時間、オペレータ識別、患者識別、製造業者およびモデル番号の表現を送信するように構成された構成要素を含む。
【請求項１４１８】
請求項1417の装置は、表示装置をさらに含む:
ボディコア温度が良好であることを示すように設定された緑色の信号。
ボディコア温度が低いことを示すように設定されたオレンジ色の信号。そして
ボディコア温度が高いことを示すように設定された赤信号。
【請求項１４１９】
請求項1417の装置はさらに含む:アナログセンサ読み出しポートを有しないデジタル赤外線センサ。
【請求項１４２０】
請求項1417の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間的変動を生成するように構成された複数のトリミングされた画像の一時的変動増幅器を含む、マイクロプロセッサはまた、動作的に結合された生物学的重要な標識ジェネレータを含む時間変動とマイクロプロセッサから生物学的に重要な兆候を生成するように構成された時間変動アンプも、生物学的バイタルサインジェネレータに作動可能に結合する。
【請求項１４２１】
クレーム1420の装置は、前述の時間変動増幅器が、皮膚表面皮膚画素同定モジュールをさらに含む。
【請求項１４２２】
クレーム1420の装置は、前述の時間変動増幅器は、さらに局所的な顔面クラスタモジュールを含む。
【請求項１４２３】
クレーム1420の装置は、前述の時間変動増幅器が第1の周波数フィルタモジュールをさらに含む。
【請求項１４２４】
クレーム1420の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサはパルス幅変調器に動作的に結合されています。
【請求項１４２５】
クレーム1420の装置は、生物学的バイタルサインジェネレータに作動可能に結合され、生物学的バイタルサインを不揮発性メモリに格納するように構成された記憶装置をさらに含む。
【請求項１４２６】
請求項1420の装置は、生物学的バイタルサイン発生器に作動可能に結合され、生物学的バイタルサインを別の装置に送信するように構成された記憶装置をさらに含む。
【請求項１４２７】
無線通信サブシステムが短距離無線通信経路を介して送信する請求項1417の装置。
【請求項１４２８】
請求項1417の装置は、本装置が第2の装置によって知られているように第2の装置によって検証され、第2の装置によって第2の装置によって許可され、第2の装置に情報を転送することを可能にする。
【請求項１４２９】
クレーム1417の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１４３０】
請求項1417の装置は、前述のデジタル赤外線センサがアナログからデジタルへのコンバータをさらに含む。
【請求項１４３１】
クレーム1417の装置は、無線通信サブシステムがインターネットプロトコルトンネルを介して送信する。
【請求項１４３２】
本体コア温度を推定する装置、以下を含む装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、本体コア温度の表現を送信するように構成されたワイヤレス通信サブシステム。
マイクロプロセッサに動作的に結合され、マイクロプロセッサに複数の画像を提供するように構成されたカメラ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
マイクロプロセッサは、デジタル赤外線センサによって検出され、マイクロプロセッサが設定された表面温度の赤外線信号を代表するデジタル信号をデジタル読み出しポートから受信するように構成されています。赤外線信号を代表するデジタル信号から本体コア温度を推定し、
前に、無線通信サブシステムは、さらに、装置のdateおよび時間、オペレータ識別、患者識別、製造業者およびモデル番号の表現を送信するように構成された構成要素を含む。
【請求項１４３３】
請求項1432の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１４３４】
クレーム1432の装置は、マイクロプロセッサがさらに複数の画像の画素値を調知するように構成された画素検査モジュールを含む、時間変動モジュールとの間の画素値の時間変動を決定する。特定の閾値を下回る複数の画像、増幅時間変動をもたらす時間変動を増幅するように構成された信号処理モジュール、及びビジュヤライザーが中の血液の流れのパターンを可視化する複数の画像における増幅時間変動。
【請求項１４３５】
請求項1432の装置はさらに含む:アナログセンサ読み出しポートを有しないデジタル赤外線センサ。
【請求項１４３６】
無線通信サブシステムが短距離無線通信経路を介して送信する請求項1432の装置。
【請求項１４３７】
請求項1432の装置は、本装置が第2の装置によって知られているように第2の装置によって検証され、第2の装置によって第2の装置によって許可され、第2の装置に情報を転送することを可能にする。
【請求項１４３８】
クレーム1432の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１４３９】
請求項1432の装置は、デジタル赤外線センサをさらにアナログからデジタルへのコンバータを含む。
【請求項１４４０】
クレーム1432の装置は、無線通信サブシステムがインターネットプロトコルトンネルを介して送信する。
【請求項１４４１】
体のコア温度を推定する装置、以下を含む装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、本体コア温度の表現を送信するように構成されたワイヤレス通信サブシステム。
マイクロプロセッサに動作的に結合され、マイクロプロセッサに複数の画像を提供するように構成されたカメラ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
マイクロプロセッサは、デジタル赤外線センサによって検出され、マイクロプロセッサが設定された表面温度の赤外線信号を代表するデジタル信号をデジタル読み出しポートから受信するように構成されています。赤外線信号を代表するデジタル信号から本体コア温度を推定し、
前に、無線通信サブシステムは、さらに、装置のdateおよび時間、オペレータ識別、患者識別、製造業者およびモデル番号の表現を送信するように構成された構成要素を含む。
【請求項１４４２】
請求項1441の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１４４３】
クレーム1441の装置は、マイクロプロセッサをさらに構成するマイクロプロセッサは、複数の画像の画素値を調製するように構成された画素検査モジュール、との間の画素値の時間変動を決定する時間変動モジュールである。特定の閾値を下回る複数の画像、増幅時間変動をもたらす時間変動を増幅するように構成された信号処理モジュール、及びビジュヤライザーが中の血液の流れのパターンを可視化する複数の画像における増幅時間変動。
【請求項１４４４】
請求項1441の装置はさらに含む:
マイクロプロセッサ、マイクロプロセッサに動作的に結合されたバッテリ、表示装置およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項１４４５】
無線通信サブシステムが短距離無線通信経路を介して送信する請求項1441の装置。
【請求項１４４６】
請求項1441の装置は、本装置が第2の装置によって知られているように第2の装置によって検証され、第2の装置によって第2の装置によって許可され、第2の装置に情報を転送することを可能にする。
【請求項１４４７】
クレーム1441の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１４４８】
請求項1441の装置は、デジタル赤外線センサをさらにアナログからデジタルへのコンバータを含む。
【請求項１４４９】
クレーム1441の装置は、無線通信サブシステムがインターネットプロトコルトンネルを介して送信する。
【請求項１４５０】
生物学的バイタルサインを伝達する装置、生物学的バイタルサインを含む生物学的バイタルサインを伝達する装置:
フォトプレチスモグラムセンサー;
マイクロダイナミックライト散乱センサ。
膨脹可能な袖口の膀胱を含む指の袖口;
実行するようにプログラムされたマイクロプロセッサ:
複数の画像を受信するように構成され、複数の画像のそれぞれをトリミングして画像の境界線領域を除外するように構成されたクロッパーモジュールで、複数のトリミングされた画像を生成します。
クロッパーモジュールに作動可能に結合され、複数のトリミングされた画像で皮膚を代表するピクセル値を識別し、皮膚表面の皮膚ピクセル同定の出力を生み出す皮膚表面皮膚ピクセル同定モジュールモジュール;
皮膚表面の皮膚ピクセル識別モジュールに動作的に結合され、皮膚表面の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。
時間変動から推定表面温度を生成する時間変動識別子に作動可能に結合された生物学的バイタルサインジェネレータで、生物学的バイタルサインは体のコア温度と体のコア温度であるキャリブレーション補正および電圧補正された推定表面温度をボディコア温度と電圧補正された周囲温度に相関させるメモリに格納されている複数のテーブルを参照して推定されます。そして
生物学的バイタルサインを表示するように構成された生物学的バイタルサインジェネレータに動作的に結合された表示装置。そして
マイクロプロセッサに動作的に結合され、生物学的バイタルサインの表現を送信するように構成された無線通信サブシステム、
前に無線通信サブシステムは、さらに、通信する装置のd ateおよび時間、オペレータ識別、患者識別、製造業者およびモデル番号の表現を送信するように構成されたコンポーネントを含む生物学的バイタルサイン.
【請求項１４５１】
クレーム1450の生物学的バイタルサインを伝達する装置は、ここで、地域の顔面クラスタモジュールがさらに含まれる:ファジークラスタ。
【請求項１４５２】
クレーム1450の生物学的バイタルサインを伝達する装置は、ここで、地域の顔面クラスタモジュールをさらに含む:Kクラスタ。
【請求項１４５３】
クレーム1450の生物学的バイタルサインを伝達する装置は、ここで、地域の顔面クラスタモジュールがさらに含まれる:期待-最大化剤。
【請求項１４５４】
クレーム1450の生物学的バイタルサインを伝達する装置は、前述の地域顔面クラスタモジュールをさらに含む:シードポイントベースのクラスタリング装置。
【請求項１４５５】
クレーム1450の生物学的バイタルサインを伝達する装置は、さらに黒体で再較化されず、さらに低ノイズ増幅器を含むデジタル赤外線センサを含むものであり、低ノイズ増幅器が作動性に結合されているアナログからデジタルへのコンバータ、アナログからデジタルへのコンバータは、デジタル信号プロセッサに動作的に結合され、デジタル信号プロセッサはパルス幅変調器に動作的に結合されています。
【請求項１４５６】
クレーム1450の生物学的バイタルサインを伝達する装置は、生物学的バイタルサインジェネレータに作動可能に結合され、生物学的バイタルサインを不揮発性メモリに格納するように構成された記憶装置をさらに含む。
【請求項１４５７】
請求項1450の生物学的バイタルサインを通信する装置は、さらに、生物学的バイタルサインジェネレータに作動可能に結合され、生物学的バイタルサインを別の装置に伝達するように構成された記憶装置を含む。
【請求項１４５８】
この装置は、生物学的バイタルサインがさらに血圧を含む請求項1450の生物学的バイタルサインを伝達する。
【請求項１４５９】
この装置は、生物学的バイタルサインがさらに呼吸を含む請求項1450の生物学的バイタルサインを伝達する。
【請求項１４６０】
本装置は、請求項1450の生物学的バイタルサインを伝達し、生物学的バイタルサインをさらにパルスを含む。
【請求項１４６１】
クレーム1450の生物学的バイタルサインを通信する装置は、さらにマイクロプロセッサに動作的に結合され、メモリを介してマイクロプロセッサに複数の画像をキャプチャするように構成されたカメラを含む。
【請求項１４６２】
クレーム1450の生物学的バイタルサインを伝える装置は、さらにマイクロプロセッサに動作的に結合されたデジタル赤外線センサを含み、デジタル読み出しポートのみを有するデジタル赤外線センサ、デジタル赤外線センサを有するアナログセンサーの読み出しポート、単一のサーモパイルセンサーを取り囲むファラデーケージ、中央処理装置および制御ブロックを含むデジタル赤外線センサー。
【請求項１４６３】
請求項1462の生物学的バイタルサインを伝達する装置は、さらに含む:
前述のマイクロプロセッサは、デジタル赤外線センサとマイクロプロセッサによって検出される推定表面温度の赤外線信号を代表するデジタル信号を複数のデジタル読み出しポートから受信するように構成される。は、赤外線信号を代表するデジタル信号から本体コア温度を推定するように構成されています。
【請求項１４６４】
請求項1450の生物学的バイタルサインを伝達する装置は、さらに含む:
アナログからデジタルへのコンバータはありません。
【請求項１４６５】
生物学的バイタルサインがさらに血流を含むクレーム1450の生物学的バイタルサインを伝達する装置は、さらに、時間変動を分析する血流分析モジュールを含む。複数の画像の皮膚の運動変化および色変化を識別し、血液の流れのパターンを生成する。
【請求項１４６６】
クレーム1465の生物学的バイタルサインを伝達する装置は、さらに、生物学的バイタルサインジェネレータに作動可能に結合され、上の血液の流れのパターンを表示する表示装置に作動可能に結合された血流表示モジュールを含む。表示装置。
【請求項１４６７】
生物学的バイタルサインがさらに心拍数を含み、生物学的バイタルサインジェネレータが経時的変動を分析する心拍数分析モジュールを含む請求項1450の生物学的バイタルサインを伝達する装置心拍数を生成します。
【請求項１４６８】
心拍の周波数範囲における時間変動の周波数スペクトルから心拍数が生成される請求項1467の生物学的バイタルサインを伝達する装置。
【請求項１４６９】
生物学的バイタルサインが総ヘモグロビン(SpHb)、メテモグロビン(SpMet)、音響呼吸率(RRa)、カルボキシヘモグロビン(SpCO)および酸素予備指数をさらに含む請求項1450の生物学的バイタルサインを伝達する装置(ORi)。
【請求項１４７０】
クレーム1450の生物学的バイタルサインを伝達する装置は、生物学的バイタルサインを通信する装置が第2の装置によって知られているように第2の装置によって検証され、第2の装置によって情報を転送するように許可される。第二の装置.
【請求項１４７１】
接続が確立され、体のコア温度が無線通信サブシステムを介して生物学的バイタルサインを通信するために装置から押し出されるクレーム1450の生物学的バイタルサインを通信する装置外部装置は、生物学的バイタルサインと外部デバイスとの間の体心温度の流れを制御し、ここで接続はさらに認証された通信チャネルを含む。
【請求項１４７２】
請求項1462の生物学的バイタルサインを伝達する装置は、デジタル赤外線センサをさらにアナログからデジタルへのコンバータを含む。
【請求項１４７３】
本装置は、請求項1450の生物学的バイタルサインを伝達し、ここで無線通信サブシステムがインターネットプロトコルトンネルを介して送信する。
【請求項１４７４】
本装置は、体のコア温度を推定する装置で、以下を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、複数の画像をメモリにキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュールと、を生成する信号処理モジュールに作動可能に結合された生物学的バイタルサインジェネレータキャリブレーション補正および電圧補正された推定表面温度を推定ボディコアに相関させるメモリに格納されている複数のテーブルを参照して、時間変動からの推定体コア温度温度と電圧補正された周囲温度;
マイクロプロセッサに動作的に結合され、推定体中核温度の表現を送信するように構成された無線通信サブシステム。そして
推定体中核温度を表示するマイクロプロセッサに作動可能に結合された表示装置、
前に、無線通信サブシステムは、さらに、装置のdateおよび時間、オペレータ識別、患者識別、製造業者およびモデル番号の表現を送信するように構成された構成要素を含む。
【請求項１４７５】
請求項1474の装置は、前述の信号処理モジュールが、複数の画像間の画素値の変動を増幅するようにさらに構成される。
【請求項１４７６】
クレーム1474の装置は、前述の信号処理モジュールが一時的処理を行うまでさらに構成される。
【請求項１４７７】
請求項1476の装置は、前述の時間処理は、さらにバンドパスフィルタを含む。
【請求項１４７８】
請求項1477の装置は、バンドパスフィルタが時間の経過とともに周波数を分析するように構成されている。
【請求項１４７９】
請求項1474の装置は、前述の信号処理を適用する空間処理を含む。
【請求項１４８０】
無線通信サブシステムが短距離無線通信経路を介して送信する請求項1474の装置。
【請求項１４８１】
請求項1474の装置は、本装置が第2の装置によって知られているように第2の装置によって検証され、第2の装置によって第2の装置によって許可され、第2の装置に情報を転送することを可能にする。
【請求項１４８２】
クレーム1474の装置は、接続が確立され、無線通信サブシステムを介して装置から推定体心温度が押し出され、その後、外部装置が装置間のデータの流れを制御する。と外部デバイスは、前述の接続が認証された通信チャネルをさらに含む。
【請求項１４８３】
クレーム1474の装置は、さらにマイクロプロセッサに動作的に結合されたデジタル赤外線センサを含み、ここで、デジタル赤外線センサはさらにアナログからデジタルへのコンバータを含む。
【請求項１４８４】
クレーム1474の装置は、無線通信サブシステムがインターネットプロトコルトンネルを介して送信する。
【請求項１４８５】
本体コア温度を推定する装置、以下を含む装置を含む。
フォトプレチスモグラムセンサー;
マイクロダイナミックライト散乱センサ。
膨脹可能な袖口の膀胱を含む指の袖口;
マイクロプロセッサは、フォトプレチスモグラムセンサを作動可能に結合し、マイクロダイナミック光散乱センサに作動可能に結合し、指カフにオペラ的に結合し、マイクロプロセッサはからSpO2血液酸素化を推定するように構成される。フォトプレチスモグラムセンサは、マイクロダイナミック光散乱センサからのデータから呼吸速度を推定し、血圧は指カフからのデータと組み合わせてマイクロダイナミック光散乱センサからのデータから推定されます。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、本体コア温度の表現を送信するように構成されたワイヤレス通信サブシステム。そして
マイクロプロセッサに動作的に結合された表示装置、
マイクロプロセッサは、デジタル赤外線センサによって検出され、マイクロプロセッサが設定された表面温度の赤外線信号を代表するデジタル信号をデジタル読み出しポートから受信するように構成されています。キャリブレーション補正および電圧補正された表面温度を相関させるメモリに格納されている複数のテーブルを参照して、赤外線信号を代表するデジタル信号からボディコア温度を推定するボディコア温度と電圧補正された周囲温度と、複数の画像を受信するように構成され、画像の境界領域を除外するように画像をトリミングするように構成されたクロッパーモジュールを含むマイクロプロセッサは、複数のトリミングされた画像は、マイクロプロセッサはまた、時間変動を生成するように構成された複数のトリミングされた画像の時間変動増幅器を含み、マイクロプロセッサはまた、生物学的バイタルサインジェネレータを含む。時間変動から生物学的に重要な兆候を生成するように構成された時間変動アンプにオペラ的に結合され、マイクロプロセッサも生物学的バイタルサインジェネレータに作動可能に結合され、
前に、無線通信サブシステムは、さらに、装置のdateおよび時間、オペレータ識別、患者識別、製造業者およびモデル番号の表現を送信するように構成された構成要素を含む。
【請求項１４８６】
クレーム1485の装置は、前述の時間変動増幅器が、皮膚表面皮膚画素同定モジュールをさらに含む。
【請求項１４８７】
クレーム1485の装置は、前述の時間変動増幅器は、さらに局所的な顔面クラスタモジュールを含む。
【請求項１４８８】
クレーム1485の装置は、前述の時間変動増幅器が第1の周波数フィルタモジュールをさらに含む。
【請求項１４８９】
クレーム1485の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサはパルス幅変調器に動作的に結合されています。
【請求項１４９０】
請求項1485の装置は、生物学的バイタルサインジェネレータに作動可能に結合され、生物学的バイタルサインを別の装置に送信するように構成された記憶装置をさらに含む。
【請求項１４９１】
無線通信サブシステムが短距離無線通信経路を介して送信する請求項1485の装置。
【請求項１４９２】
請求項1485の装置は、本装置が第2の装置によって知られているように第2の装置によって検証され、第2の装置によって第2の装置によって許可され、第2の装置に情報を転送することを可能にする。
【請求項１４９３】
クレーム1485の装置は、接続が確立され、無線通信サブシステムを介して装置からデータが押し込まれ、その後、外部装置が装置と外部装置との間のデータの流れを制御し、前述接続は、さらに認証された通信チャネルを含みます。
【請求項１４９４】
請求項1485の装置は、デジタル赤外線センサがさらにアナログからデジタルへのコンバータを含む。
【請求項１４９５】
クレーム1485の装置は、無線通信サブシステムがインターネットプロトコルトンネルを介して送信する。
【請求項１４９６】
請求項1485の装置はさらに含む:
ボタンがマイクロプロセッサに接続されていない。
【請求項１４９７】
体のコア温度を推定する装置、以下を含む装置を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。そして
マイクロプロセッサに動作的に結合されたデジタル赤外線センサ、単一のサーモパイルセンサを取り囲むファラデーケージを含むデジタル赤外線センサ、中央処理装置および制御ブロック、
前述のマイクロプロセッサは、デジタル赤外線センサから受信するように構成され、デジタル赤外線センサによって検出された表面温度の赤外線信号を代表するデジタル信号を、マイクロプロセッサは、キャリブレーション補正および電圧補正された表面温度を相関させるメモリに格納されている複数のテーブルを参照して、赤外線信号を代表するデジタル信号からボディコア温度を推定する本体コア温度と電圧補正された周囲温度。
【請求項１４９８】
クレーム1497の装置は、さらに、マイクロプロセッサに作動可能に結合された表示装置を含み、ここで表示装置はさらに、以下を含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１４９９】
クレーム1497の装置は、さらに含むマイクロプロセッサ:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１５００】
請求項1497の装置はさらに含む:アナログセンサ読み出しポートを有しないデジタル赤外線センサ。
【請求項１５０１】
無線通信サブシステムがマイクロプロセッサに作動可能に結合され、無線通信サブシステムが短距離無線を介して本体コア温度の表現を送信するように構成されている請求1497の装置通信パス。
【請求項１５０２】
請求項1501の装置は、本装置が第2の装置によって知られているように第2の装置によって検証され、第2の装置によって第2の装置によって許可され、第2の装置に情報を転送することを可能にする。
【請求項１５０３】
クレーム1501の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１５０４】
請求項1501の装置は、デジタル赤外線センサがさらにアナログからデジタルへのコンバータを含む。
【請求項１５０５】
クレーム1501の装置は、無線通信サブシステムがさらにd食と時間、オペレータ識別、患者識別、製造業者およびモデル番号の表現を送信するように構成されたコンポーネントを含む装置の。
【請求項１５０６】
無線通信サブシステムがインターネットプロトコルトンネルを介して送信する請求項1501の装置。
【請求項１５０７】
請求項1497の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間的変動を生成するように構成された複数のトリミングされた画像の一時的変動増幅器を含む、マイクロプロセッサはまた、動作的に結合された生物学的重要な標識ジェネレータを含む時間変動とマイクロプロセッサから生物学的に重要な兆候を生成するように構成された時間変動アンプも、生物学的バイタルサインジェネレータに作動可能に結合する。
【請求項１５０８】
クレーム1507の装置は、前述の時間変動増幅器は、皮膚表面皮膚画素同定モジュールをさらに含む。
【請求項１５０９】
クレーム1507の装置は、前述の時間変動増幅器は、さらに局所的な顔面クラスタモジュールを含む。
【請求項１５１０】
クレーム1507の装置は、前述の時間変動増幅器が第1の周波数フィルタモジュールをさらに含む。
【請求項１５１１】
クレーム1507の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサはパルス幅変調器に動作的に結合されています。
【請求項１５１２】
請求項1507の装置は、生物学的バイタルサインジェネレータに作動可能に結合され、生物学的バイタルサインを不揮発性メモリに格納するように構成された記憶装置をさらに含む。
【請求項１５１３】
請求項1507の装置は、生物学的バイタルサイン発生器に作動可能に結合され、生物学的バイタルサインを別の装置に送信するように構成された記憶装置をさらに含む。
【請求項１５１４】
請求項1507の装置は、生物学的生命徴候をさらに含む:
パルス。
【請求項１５１５】
請求項1507の装置はさらに含む:
以下を含む最初の回路基板:
マイクロプロセッサ、バッテリー、ディスプレイデバイス、およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項１５１６】
クレーム1497の装置はさらに含む:デジタル読み出しポートのみを有するデジタル赤外線センサ。
【請求項１５１７】
請求項1497の装置はさらに含む:アナログセンサ読み出しポートを有しないデジタル赤外線センサ。
【請求項１５１８】
装置を含む:
以下を含む最初の回路基板:
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。そして
マイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
第2のデジタルインターフェイスに動作的に結合されたデジタル赤外線センサ、デジタル読み出し信号のみを提供するポートを持つデジタル赤外線センサ、単一のサーモパイルセンサを取り囲むファラデーケージを含むデジタル赤外線センサ、中央処理装置および制御ブロック、
マイクロプロセッサは、デジタル赤外線センサのポートから受信するように構成され、デジタル赤外線センサによって生成される表面温度の赤外線信号を代表するデジタル読み出し信号とマイクロプロセッサは、表面温度を相関させるメモリに格納されている複数のテーブルを参照して赤外線信号を代表するデジタル読み出し信号から体のコア温度を推定するように構成される。キャリブレーション補正と電圧補正を本体コア温度と電圧補正周囲温度に対して、
デジタル赤外線センサとマイクロプロセッサの間には、アナログ/デジタルコンバータが動作的に結合されていない。
【請求項１５１９】
請求項1518の装置は、表示装置をさらに含む:
ボディコア温度が良好であることを示すように設定された緑色の信号。
ボディコア温度が低いことを示すように設定されたオレンジ色の信号。そして
ボディコア温度が高いことを示すように設定された赤信号。
【請求項１５２０】
請求項1518の装置はさらに含む:アナログセンサ読み出しポートを有しないデジタル赤外線センサ。
【請求項１５２１】
請求項1518の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間的変動を生成するように構成された複数のトリミングされた画像の一時的変動増幅器を含む、マイクロプロセッサはまた、動作的に結合された生物学的重要な標識ジェネレータを含む時間変動とマイクロプロセッサから生物学的に重要な兆候を生成するように構成された時間変動アンプも、生物学的バイタルサインジェネレータに作動可能に結合する。
【請求項１５２２】
クレーム1521の装置は、前述の時間変動増幅器が、皮膚表面皮膚画素同定モジュールをさらに含む。
【請求項１５２３】
クレーム1521の装置は、前述の時間変動増幅器は、さらに局所的な顔面クラスタモジュールを含む。
【請求項１５２４】
クレーム1521の装置は、前述の時間変動増幅器が第1の周波数フィルタモジュールをさらに含む。
【請求項１５２５】
請求項1521の装置はさらに含む:
黒いボディで再校正されず、さらに低ノイズアンプを含むデジタル赤外線センサ、低ノイズアンプがアナログからデジタルコンバータに動作的に結合され、アナログからデジタルコンバータが動作的にデジタル信号プロセッサは、デジタル信号プロセッサが、黒体で再校正されず、さらに低ノイズ増幅器を含むパルス幅モジュララデジタル赤外線センサに作動可能に結合され、低ノイズアンプが動作可能であるアナログからデジタルへのコンバータに結合され、アナログとデジタルコンバータがデジタル信号プロセッサに動作的に結合され、デジタル信号プロセッサがパルス幅モジュレータに動作的に結合されます。
【請求項１５２６】
請求項1521の装置は、生物学的バイタルサインジェネレータに作動可能に結合され、生物学的バイタルサインを不揮発性メモリに格納するように構成された記憶装置をさらに含む。
【請求項１５２７】
請求項1521の装置は、生物学的バイタルサイン発生器に作動可能に結合され、生物学的バイタルサインを別の装置に送信するように構成された記憶装置をさらに含む。
【請求項１５２８】
無線通信サブシステムがマイクロプロセッサに作動可能に結合され、無線通信サブシステムが短距離無線を介して表面温度の表現を送信するように構成されている請求項1518の装置通信パス。
【請求項１５２９】
請求項1528の装置は、本装置が第2の装置によって知られているように第2の装置によって検証され、第2の装置によって第2の装置によって許可され、第2の装置に情報を転送することを可能にする。
【請求項１５３０】
クレーム1528の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１５３１】
請求項1528の装置は、デジタル赤外線センサをさらにアナログからデジタルへのコンバータを含む。
【請求項１５３２】
クレーム1528の装置は、無線通信サブシステムがさらにd食および時間、オペレータ識別、患者識別、製造業者およびモデル番号の表現を送信するように構成されたコンポーネントを含む装置の。
【請求項１５３３】
本体コア温度を推定する装置、以下を含む装置を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
前述のマイクロプロセッサは、デジタル読み出しポートから受信するように構成され、デジタル赤外線センサによって検出された表面温度の赤外線信号を代表するデジタル信号を、マイクロプロセッサはキャリブレーション補正および電圧補正された表面温度を相関させるメモリに格納されている複数のテーブルを参照して、赤外線信号を代表するデジタル信号からボディコア温度を推定する本体コア温度と電圧補正された周囲温度。
【請求項１５３４】
請求項1533の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１５３５】
クレーム1533の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１５３６】
請求項1533の装置はさらに含む:アナログセンサ読み出しポートを有しないデジタル赤外線センサ。
【請求項１５３７】
無線通信サブシステムがマイクロプロセッサに作動可能に結合され、無線通信サブシステムが短距離無線を介して本体コア温度の表現を送信するように構成されている請求項1533の装置通信パス。
【請求項１５３８】
請求項1537の装置は、本装置が第2の装置によって知られているように第2の装置によって検証され、第2の装置によって第2の装置によって許可され、第2の装置に情報を転送することを可能にする。
【請求項１５３９】
クレーム1537の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１５４０】
請求項1537の装置は、前述のデジタル赤外線センサがアナログからデジタルへのコンバータをさらに含む。
【請求項１５４１】
クレーム1537の装置は、無線通信サブシステムがさらにd食および時間、オペレータ識別、患者識別、製造業者およびモデル番号の表現を送信するように構成されたコンポーネントを含む装置の。
【請求項１５４２】
体のコア温度を推定する装置、以下を含む装置を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、本体コア温度の表現を送信するように構成されたワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
前処理マイクロプロセッサは、デジタル読み出しポートから受信するように構成され、デジタル赤外線センサによって検出された表面温度の赤外線信号を代表するデジタル信号を、マイクロプロセッサは、マイクロプロセッサを推定するように構成されている。キャリブレーション補正および電圧補正された表面温度をボディコアに相関させるメモリに格納されている複数のテーブルを参照して、赤外線信号を代表するデジタル信号からのボディコア温度温度と電圧補正された周囲温度。
【請求項１５４３】
請求項1542の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１５４４】
クレーム1542の装置は、さらに含むマイクロプロセッサを含む:
マイクロプロセッサに動作的に結合され、マイクロプロセッサに複数の画像を提供するように構成されたカメラ。
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１５４５】
請求項1542の装置はさらに含む:
マイクロプロセッサ、マイクロプロセッサに動作的に結合されたバッテリ、表示装置およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項１５４６】
無線通信サブシステムが短距離無線通信経路を介して送信する請求項1542の装置。
【請求項１５４７】
請求項1542の装置は、本装置が第2の装置によって知られているように第2の装置によって検証され、第2の装置によって第2の装置によって許可され、第2の装置に情報を転送することを可能にする。
【請求項１５４８】
クレーム1542の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１５４９】
請求項1542の装置は、デジタル赤外線センサがさらにアナログからデジタルへのコンバータを含む。
【請求項１５５０】
クレーム1542の装置は、無線通信サブシステムがさらにd食と時間、オペレータ識別、患者識別、製造業者およびモデル番号の表現を送信するように構成されたコンポーネントを含む装置の。
【請求項１５５１】
生物学的バイタルサインを伝達する装置、生物学的バイタルサインを含む生物学的バイタルサインを伝達する装置:
フォトプレチスモグラムセンサー;
マイクロダイナミックライト散乱センサ。
実行するようにプログラムされたマイクロプロセッサ:
皮膚表面の複数の画像を受信するように構成され、画像の境界領域を除外するために複数の画像のそれぞれをトリミングするように構成されたクロッパーモジュールは、皮膚表面の複数のトリミング画像を生成する。
クロッパーモジュールに作動可能に結合され、皮膚表面の複数のトリミングされた画像で皮膚表面の皮膚を代表するピクセル値を識別し、皮膚の出力を得る皮膚表面皮膚ピクセル同定モジュール表面皮膚ピクセル識別モジュール;
皮膚表面の皮膚ピクセル識別モジュールに動作的に結合され、皮膚表面の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。そして
生物学的バイタルサインが体のコア温度と体のコア温度を含む時間変動から表面温度を推定する時間変動識別子に作動可能に結合された生物学的バイタルサインジェネレータキャリブレーション補正および電圧補正された表面温度を本体コア温度と電圧補正された周囲温度に相関させるメモリに格納されている複数のテーブルを参照して推定されます。そして
生物学的バイタルサインジェネレータに動作的に結合された表示装置;
マイクロプロセッサに動作的に結合されたメモリ、データを格納するメモリ、およびキャリブレーション修正された表面温度をボディコア温度と電圧補正に相関させるデータを提供するメモリ周囲温度;そして
マイクロプロセッサに動作的に結合され、生物学的バイタルサインの表現を送信するように構成された無線通信サブシステム。
【請求項１５５２】
クレーム1551の生物学的バイタルサインを伝達する装置は、ここで、地域の顔面クラスタモジュールがさらに含まれる:ファジークラスタ。
【請求項１５５３】
クレーム1551の生物学的バイタルサインを伝達する装置は、ここで、地域の顔面クラスタモジュールをさらに含む:Kクラスタ。
【請求項１５５４】
クレーム1551の生物学的バイタルサインを伝達する装置は、ここで、地域の顔面クラスタモジュールがさらに含まれる:期待-最大化剤。
【請求項１５５５】
クレーム1551の生物学的バイタルサインを伝達する装置は、前述の地域顔面クラスタモジュールをさらに含む:シードポイントベースのクラスタリング装置。
【請求項１５５６】
クレーム1551の生物学的バイタル兆候を伝える装置は、さらに黒体で再較化されず、さらに低ノイズ増幅器を含むデジタル赤外線センサを含むものであり、低ノイズ増幅器が作動性に結合されている。アナログからデジタルへのコンバータ、アナログからデジタルへのコンバータは、デジタル信号プロセッサに動作的に結合され、デジタル信号プロセッサはパルス幅変調器に動作的に結合されています。
【請求項１５５７】
請求項1551の生物学的バイタルサインを伝える装置は、生物学的バイタルサインジェネレータに作動可能に結合され、生物学的バイタルサインを不揮発性メモリに格納するように構成された記憶装置をさらに含む。
【請求項１５５８】
請求項1551の生物学的バイタルサインを伝える装置は、さらに、生物学的バイタルサインジェネレータに作動可能に結合され、生物学的バイタルサインを別の装置に伝達するように構成された記憶装置を含む。
【請求項１５５９】
クレーム1551の生物学的バイタルサインを伝える装置は、さらにマイクロプロセッサに動作的に結合され、メモリを介してマイクロプロセッサに複数の画像をキャプチャするように構成されたカメラを含む。
【請求項１５６０】
本装置は、請求項1559の生物学的バイタル徴候をさらに血圧を含む。
【請求項１５６１】
生物学的バイタルサインがさらに呼吸を含むクレーム1559の生物学的バイタルサインを伝達する装置。
【請求項１５６２】
本装置は、請求項1559の生物学的バイタルサインを伝達し、ここで生物学的バイタルサインがさらにパルスを含む。
【請求項１５６７】
クレーム1551の生物学的バイタルサインを伝える装置は、さらにマイクロプロセッサに動作的に結合されたデジタル赤外線センサ、デジタル読み出しポートのみを有するデジタル赤外線センサ、デジタル赤外線センサを含むアナログセンサーの読み出しポートを持たない、単一のサーモパイルセンサを取り囲むファラデーケージ、中央処理装置および制御ブロックを含むデジタル赤外線センサー。
【請求項１５６８】
請求項1567の生物学的バイタルサインを伝達する装置は、さらに含む:
前述のマイクロプロセッサは、デジタル赤外線センサとマイクロプロセッサによって検出される表面温度の赤外線信号を代表するデジタル信号を複数のデジタル読み出しポートから受信するように構成されている。表面温度の赤外線信号を代表するデジタル信号から本体コア温度を推定するように構成されています。
【請求項１５６９】
請求項1551の生物学的バイタルサインを伝達する装置は、さらに含む:
アナログからデジタルへのコンバータはありません。
【請求項１５６３】
生物学的バイタルサインがさらに血流を含むクレーム1559の生物学的バイタルサインを伝達する装置は、さらに時間的に分析する血流分析モジュールを含む。複数の画像の皮膚における運動変化および色変化を識別するバリエーションは、血液の流れのパターンを生成する。
【請求項１５６４】
クレーム1563の生物学的バイタルサインを伝える装置は、さらに、生物学的バイタルサインジェネレータに作動可能に結合され、作動可能に連結された血流表示モジュールを含む、ディスプレイ装置上の血液。
【請求項１５６５】
生物学的バイタルサインがさらに心拍数を含み、生物学的バイタルサインジェネレータが経時的変動を分析する心拍数分析モジュールを含む請求項1559の生物学的バイタルサインを伝達する装置心拍数を生成する。
【請求項１５６６】
心拍の周波数範囲における時間変動の周波数スペクトルから心拍数が生成される請求項1565の生物学的バイタルサインを伝える装置。
【請求項１５７０】
生物学的バイタルサインが更に全ヘモグロビン(SpHb)、メテモグロビン(SpMet)、音響呼吸率(RRa)、カルボキシヘモグロビン(SpCO)および酸素予備指数を含む請求項1551の生物学的バイタルサインを伝達する装置(ORi)を使用します。
【請求項１５７１】
生体バイタルサインを伝える装置1551を伝える装置は、第2の装置によって知られている第2の装置によって検証され、第2の装置によって情報を転送することが許される。2番目の装置に.
【請求項１５７２】
接続が確立され、体のコア温度が無線通信サブシステムを介して生物学的バイタルサインを通信するために装置から押し出される請求項1551の生物学的バイタルサインを伝える装置、その後、外部装置は、生物学的バイタルサインと外部デバイスとの間の体心温度の流れを制御し、ここで接続はさらに認証された通信チャネルを含む。
【請求項１５７３】
請求項1567の生物学的バイタルサインを伝達する装置は、デジタル赤外線センサをさらにアナログからデジタルへのコンバータを含む。
【請求項１５７４】
クレーム1551の生物学的バイタルサインを伝達する装置は、前述の無線通信サブシステムは、さらにd食べ物および時間の表現を伝達するように構成された構成要素を含む、オペレータ識別、患者生物学的バイタルサインを伝える装置の識別、製造業者およびモデル番号。
【請求項１５７５】
皮膚表面源点から体心温度を推定する装置、以下を含む装置である。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、複数の画像をメモリにキャプチャするように構成されたカメラ。
前記マイクロプロセッサは、メモリ内の皮膚表面源点の複数の画像のピクセル値を調べるために構成されたピクセル検査モジュールを含む、時間変動を決定するように構成された時間変動モジュールである。複数の画像間のピクセル値、増幅された時間変動をもたらす時間変動を増幅するように構成された信号処理モジュール、および信号に動作的に結合された生物学的バイタルサインジェネレータ時間変動から人間のバイタルサインを生成する処理モジュールは、人間のバイタルサインが表面温度であり、体のコア温度は、相関するメモリに格納されている複数のテーブルを参照して推定される。キャリブレーション補正され、ボディコア温度と電圧補正された周囲温度に電圧補正される表面温度。
マイクロプロセッサに動作的に結合され、人間のバイタルサインの表現を送信するように構成された無線通信サブシステム。そして
人間のバイタルサインを表示するマイクロプロセッサに動作的に結合された表示装置。
【請求項１５７６】
請求項1575の装置は、前述の信号処理モジュールが、複数の画像間の画素値の変動を増幅するようにさらに構成される。
【請求項１５７７】
クレーム1575の装置は、前述の信号処理モジュールが一時的処理を行うまでさらに構成される。
【請求項１５７８】
請求項1577の装置は、前述の時間処理は、さらにバンドパスフィルタを含む。
【請求項１５７９】
請求項1578の装置は、バンドパスフィルタが時間の経過とともに周波数を分析するように構成されている。
【請求項１５８０】
請求項1575の装置は、前述の信号処理を適用する空間処理を含む。
【請求項１５８１】
無線通信サブシステムが短距離無線通信経路を介して送信する請求項1575の装置。
【請求項１５８２】
請求項1575の装置は、本装置が第2の装置によって知られているように第2の装置によって検証され、第2の装置によって第2の装置によって許可され、第2の装置に情報を転送することを可能にする。
【請求項１５８３】
クレーム1575の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１５８４】
クレーム1575の装置は、さらにマイクロプロセッサに動作的に結合されたデジタル赤外線センサを含み、ここで、デジタル赤外線センサはさらにアナログからデジタルへのコンバータを含む。
【請求項１５８５】
クレーム1575の装置は、無線通信サブシステムがさらにd食と時間、オペレータ識別、患者識別、製造業者およびモデル番号の表現を送信するように構成されたコンポーネントを含む装置の。
【請求項１５８６】
体のコア温度を推定する装置、以下を含む装置を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、データを格納するメモリ、および感知された表面温度をボディコア温度に関連付けるデータを提供するメモリ。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、本体コア温度の表現を送信するように構成されたワイヤレス通信サブシステム。そして
マイクロプロセッサに動作的に結合された表示装置、
マイクロプロセッサは、デジタル赤外線センサによって検出され、マイクロプロセッサが設定された感知表面温度の赤外線信号を代表するデジタル信号をデジタル読み出しポートから受信するように構成されています。キャリブレーション補正された感知表面温度を相関させるメモリに格納されている複数のテーブルを参照して、赤外線信号を代表するデジタル信号から本体コア温度を推定し、電圧補正されたボディコア温度と電圧補正された周囲温度=および複数の画像を受信するように構成され、画像をトリミングして、境界領域を除外するように構成されたクロッパーモジュールを含むマイクロプロセッサ画像は、複数のトリミングされた画像を生成し、マイクロプロセッサはまた、時間変動を生成するように構成された複数のトリミングされた画像の時間変動増幅器を含む、マイクロプロセッサも生物学的を含む時間変動から生物学的に重要な兆候を生成するように構成された時間変動アンプに作動可能に結合されたバイタルサインジェネレータとマイクロプロセッサも、生物学的バイタルサインジェネレータに作動可能に結合される。
【請求項１５８７】
クレーム1586の装置は、前述の時間変動増幅器が、皮膚表面皮膚画素同定モジュールをさらに含む。
【請求項１５８８】
クレーム1586の装置は、前述の時間変動増幅器は、さらに局所的な顔面クラスタモジュールを含む。
【請求項１５８９】
クレーム1586の装置は、前述の時間変動増幅器が第1の周波数フィルタモジュールをさらに含む。
【請求項１５９０】
クレーム1586の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサは、黒いボディで再校正されず、さらに低い構成のパルス幅モジュラとデジタル赤外線センサに動作的に結合されていますノイズアンプ、アナログからデジタルへのコンバータに動作的に結合された低ノイズアンプ、アナログからデジタルへのコンバータがデジタル信号プロセッサに動作的に結合され、デジタル信号プロセッサがパルス幅に動作的に結合されている変調器。
【請求項１５９１】
請求項1586の装置は、生物学的バイタルサイン発生器に作動可能に結合され、生物学的バイタルサインを別の装置に送信するように構成された記憶装置をさらに含む。
【請求項１５９２】
無線通信サブシステムが短距離無線通信経路を介して送信する請求項1586の装置。
【請求項１５９３】
請求項1586の装置は、本装置が第2の装置によって知られているように第2の装置によって検証され、第2の装置によって第2の装置によって許可され、第2の装置に情報を転送することを可能にする。
【請求項１５９４】
クレーム1586の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１５９５】
請求項1586の装置は、デジタル赤外線センサがさらにアナログからデジタルへのコンバータを含む。
【請求項１５９６】
クレーム1586の装置は、無線通信サブシステムがさらにd食および時間、オペレータ識別、患者識別、製造業者およびモデル番号の表現を送信するように構成されたコンポーネントを含む装置の。
【請求項１５９７】
請求項1586の装置はさらに含む:
ボタンがマイクロプロセッサに接続されていない。
【請求項１５９８】
装置を含む:
以下を含む最初の回路基板:
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、本体コア温度の表現を送信するように構成されたワイヤレス通信サブシステム。そして
マイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
第2のデジタルインターフェイスに動作的に結合されたデジタル赤外線センサ、デジタル読み出し信号のみを提供するポートを持つデジタル赤外線センサ、単一のサーモパイルセンサを取り囲むファラデーケージを含むデジタル赤外線センサ、中央処理装置および制御ブロック、
マイクロプロセッサは、デジタル赤外線センサのポートから受信するように構成され、デジタル赤外線センサによって生成される感知表面温度の赤外線信号を代表するデジタル読み出し信号とマイクロプロセッサは、感知された表面温度を相関させるメモリに格納されている複数のテーブルを参照して赤外線信号を代表するデジタル読み出し信号から体のコア温度を推定するように構成されています。キャリブレーション補正と電圧補正を本体コア温度と電圧補正周囲温度に対して、
デジタル赤外線センサとマイクロプロセッサの間にアナログ/デジタルコンバータが動作的に結合されていない場合、
前述の無線通信サブシステムは、短距離無線通信経路を介して送信する。
【請求項１５９９】
請求項1598の装置は、表示装置をさらに含む:
ボディコア温度が良好であることを示すように設定された緑色の信号。
ボディコア温度が低いことを示すように設定されたオレンジ色の信号。そして
ボディコア温度が高いことを示すように設定された赤信号。
【請求項１６００】
クレーム1598の装置はさらに含む:アナログセンサ読み出しポートを持たないデジタル赤外線センサ。
【請求項１６０１】
請求項1598の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間的変動を生成するように構成された複数のトリミングされた画像の一時的変動増幅器を含む、マイクロプロセッサはまた、動作的に結合された生物学的重要な標識ジェネレータを含む時間変動とマイクロプロセッサから生物学的に重要な兆候を生成するように構成された時間変動アンプも、生物学的バイタルサインジェネレータに作動可能に結合する。
【請求項１６０２】
クレーム1601の装置は、前述の時間変動増幅器が、皮膚表面皮膚画素同定モジュールをさらに含む。
【請求項１６０３】
クレーム1601の装置は、前述の時間変動増幅器は、さらに局所的な顔面クラスタモジュールを含む。
【請求項１６０４】
クレーム1601の装置は、前述の時間変動増幅器が第1の周波数フィルタモジュールをさらに含む。
【請求項１６０５】
クレーム1601の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサは、黒いボディで再校正されず、さらに低い構成のパルス幅モジュラとデジタル赤外線センサに動作的に結合されていますノイズアンプ、アナログからデジタルへのコンバータに動作的に結合された低ノイズアンプ、アナログからデジタルへのコンバータがデジタル信号プロセッサに動作的に結合され、デジタル信号プロセッサがパルス幅に動作的に結合されている変調器。
【請求項１６０６】
クレーム1601の装置は、生物学的バイタルサインジェネレータに作動可能に結合され、生物学的バイタルサインを不揮発性メモリに格納するように構成された記憶装置をさらに含む。
【請求項１６０７】
請求項1601の装置は、生物学的バイタルサインジェネレータに作動可能に結合され、生物学的バイタルサインを別の装置に送信するように構成された記憶装置をさらに含む。
【請求項１６０８】
無線通信サブシステムがインターネットプロトコルトンネルを介して送信する請求1598の装置。
【請求項１６０９】
請求項1598の装置は、本装置が第2の装置によって知られているように第2の装置によって検証され、第2の装置によって第2の装置によって許可され、第2の装置に情報を転送することを可能にする。
【請求項１６１０】
クレーム1598の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１６１１】
請求項1598の装置は、デジタル赤外線センサがさらにアナログからデジタルへのコンバータを含む。
【請求項１６１２】
クレーム1598の装置は、無線通信サブシステムがさらにd食と時間、オペレータ識別、患者識別、製造業者およびモデル番号の表現を送信するように構成されたコンポーネントを含む装置の。
【請求項１６１３】
装置を含む:
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合され、本体コア温度の表現を送信するように構成されたワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
マイクロプロセッサは、デジタル赤外線センサによって検出され、マイクロプロセッサが設定された表面温度の赤外線信号を代表するデジタル信号をデジタル読み出しポートから受信するように構成されています。赤外線信号を代表するデジタル信号から本体コア温度を推定し、
前述の無線通信サブシステムは、短距離無線通信経路を介して送信する。
【請求項１６１４】
請求項1613の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１６１５】
クレーム1613の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１６１６】
クレーム1613の装置はさらに含む:アナログセンサ読み出しポートを有しないデジタル赤外線センサ。
【請求項１６１７】
無線通信サブシステムがインターネットプロトコルトンネルを介して送信する請求項1613の装置。
【請求項１６１８】
請求項1613の装置は、本装置が第2の装置によって知られているように第2の装置によって検証され、第2の装置によって第2の装置によって許可され、第2の装置に情報を転送することを可能にする。
【請求項１６１９】
クレーム1613の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１６２０】
請求項1613の装置は、デジタル赤外線センサがさらにアナログからデジタルへのコンバータを含む。
【請求項１６２１】
クレーム1613の装置は、無線通信サブシステムがさらにd食と時間、オペレータ識別、患者識別、製造業者およびモデル番号の表現を送信するように構成されたコンポーネントを含む装置の。
【請求項１６２２】
装置は、体のコア温度を推定する装置、を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、本体コア温度の表現を送信するように構成されたワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
前述のマイクロプロセッサは、デジタル読み出しポートから受信するように構成され、デジタル赤外線センサによって検出された表面温度の赤外線信号を代表するデジタル信号を、マイクロプロセッサはキャリブレーション補正および電圧補正された表面温度を相関させるメモリに格納されている複数のテーブルを参照して、赤外線信号を代表するデジタル信号からボディコア温度を推定する本体コア温度と電圧補正された周囲温度、
前述の無線通信サブシステムは、短距離無線通信経路を介して送信する。
【請求項１６２３】
請求項1622の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１６２４】
クレーム1622の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１６２５】
請求項1622の装置はさらに含む:
マイクロプロセッサ、マイクロプロセッサに動作的に結合されたバッテリ、表示装置およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項１６２６】
無線通信サブシステムがインターネットプロトコルトンネルを介して送信する請求項1622の装置。
【請求項１６２７】
請求項1622の装置は、本装置が第2の装置によって知られているように第2の装置によって検証され、第2の装置によって第2の装置によって許可され、第2の装置に情報を転送することを可能にする。
【請求項１６２８】
クレーム1622の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１６２９】
請求項1622の装置は、デジタル赤外線センサがさらにアナログからデジタルへのコンバータを含む。
【請求項１６３０】
クレーム1622の装置は、無線通信サブシステムがさらにd食と時間、オペレータ識別、患者識別、製造業者およびモデル番号の表現を送信するように構成されたコンポーネントを含む装置の。
生物学的バイタルサインを伝達する装置
【請求項１６３１】
生物学的バイタルサインを含む生物学的バイタルサインを伝達する装置である。
フォトプレチスモグラムセンサー;
マイクロダイナミックライト散乱センサ。
実行するようにプログラムされたマイクロプロセッサ:
複数の画像を受信するように構成され、複数の画像のそれぞれをトリミングして画像の境界線領域を除外するように構成されたクロッパーモジュールで、複数のトリミングされた画像を生成します。
クロッパーモジュールに作動可能に結合され、複数のトリミングされた画像で皮膚を代表するピクセル値を識別し、皮膚表面の皮膚ピクセル同定の出力を生み出す皮膚表面皮膚ピクセル同定モジュールモジュール;
皮膚表面の皮膚ピクセル識別モジュールに動作的に結合され、皮膚表面の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。そして
時間変動から生物学的生命徴候を推定する時間変動識別子に作動可能に結合された生物学的バイタルサインジェネレータで、生物学的バイタルサインは表面温度であり、体のコア温度はキャリブレーション補正および電圧補正された表面温度を本体コア温度と電圧補正された周囲温度に相関させるメモリに格納されている複数のテーブルを参照して推定されます。そして
生物学的バイタルサインジェネレータに動作的に結合された表示装置;
マイクロプロセッサに動作的に結合されたメモリ、データを格納するメモリ、およびキャリブレーション修正された表面温度をボディコア温度と電圧補正に相関させるデータを提供するメモリ周囲温度;そして
マイクロプロセッサに動作的に結合され、生物学的バイタルサインの表現を送信するように構成された無線通信サブシステム、
前記生物学的バイタルサインは、さらに全ヘモグロビン(SpHb)、メテモグロビン(SpMet)、音響呼吸率(RRa)、カルボキシヘモグロビン(SpCO)および酸素予備指数(ORi)を含む。
【請求項１６３２】
クレーム1631の生物学的バイタルサインを伝達する装置は、ここで、地域の顔面クラスタモジュールがさらに含まれる:ファジークラスタ。
【請求項１６３３】
クレーム1631の生物学的バイタルサインを伝達する装置は、ここで、地域の顔面クラスタモジュールをさらに含む:Kクラスタ。
【請求項１６３４】
クレーム1631の生物学的バイタルサインを伝達する装置は、ここで、地域の顔面クラスタモジュールがさらに含まれる:期待-最大化剤。
【請求項１６３５】
クレーム1631の生物学的バイタルサインを伝達する装置は、ここで、地域の顔面クラスタモジュールをさらに含む:シードポイントベースのクラスタリング装置。
【請求項１６３６】
クレーム1631の生物学的バイタル兆候を伝通信する装置は、さらに黒体で再較化されず、さらに低ノイズ増幅器を含むデジタル赤外線センサを含むものであり、低ノイズ増幅器が作動性に結合されている。アナログからデジタルへのコンバータ、アナログからデジタルへのコンバータがデジタル信号プロセッサに作動可能に結合され、デジタル信号プロセッサは、黒で再校正されていないパルス幅モジュラとデジタル赤外線センサに動作的に結合されています。本体とさらに低ノイズアンプを含むこと、低ノイズアンプがアナログからデジタルコンバータに動作的に結合され、アナログからデジタルへのコンバータがデジタル信号プロセッサに動作的に結合され、デジタル信号プロセッサがデジタル信号プロセッサであるパルス幅モジュレータに作動可能に結合されます。
【請求項１６３７】
クレーム1631の生物学的バイタルサインを伝達する装置は、生物学的バイタルサインジェネレータに作動可能に結合され、生物学的バイタルサインを不揮発性メモリに格納するように構成された記憶装置をさらに含む。
【請求項１６３８】
請求項1631の生物学的バイタルサインを伝達する装置は、生物学的バイタルサインジェネレータに作動可能に結合され、生物学的バイタルサインを別の装置に送信するように構成された記憶装置をさらに含む。
【請求項１６３９】
この装置は、生物学的バイタルサインがさらに血圧を含む請求項1631の生物学的バイタルサインを伝達する。
【請求項１６４０】
この装置は、生物学的バイタルサインがさらに呼吸を含む請求項1631の生物学的バイタルサインを伝達する。
【請求項１６４１】
本装置は、請求項1631の生物学的バイタルサインを伝達し、ここで生物学的バイタルサインがさらにパルスを含む。
【請求項１６４２】
クレーム1631の生物学的バイタルサインを通信する装置は、さらにマイクロプロセッサに動作的に結合され、メモリを介してマイクロプロセッサに複数の画像をキャプチャするように構成されたカメラを含む。
【請求項１６４３】
マイクロプロセッサに動作的に結合されたデジタル赤外線センサを含む請求項1631の生物学的バイタルサインを通信する装置は、デジタル読み出しポートのみを有するデジタル赤外線センサ、デジタル赤外線センサを有するアナログセンサーの読み出しポート、単一のサーモパイルセンサーを取り囲むファラデーケージ、中央処理装置および制御ブロックを含むデジタル赤外線センサー。
【請求項１６４４】
請求項1643の生物学的バイタルサインを伝達する装置は、さらに含む:
前述のマイクロプロセッサは、デジタル赤外線センサとマイクロプロセッサによって検出される表面温度の赤外線信号を代表するデジタル信号を複数のデジタル読み出しポートから受信するように構成されている。赤外線信号を代表するデジタル信号から本体コア温度を推定するように構成されています。
【請求項１６４５】
請求項1631の生物学的バイタルサインを伝達する装置は、さらに含む:
アナログからデジタルへのコンバータはありません。
【請求項１６４６】
生物学的バイタルサインがさらに血流を含むクレーム1631の生物学的バイタルサインを伝達する装置は、さらに、時間変動を分析する血流分析モジュールを含む。複数の画像の皮膚の運動変化および色変化を識別し、血液の流れのパターンを生成する。
【請求項１６４７】
クレーム1646の生物学的バイタルサインを伝達する装置は、さらに、生物学的バイタルサインジェネレータに作動可能に結合され、血液の流れのパターンを表示する表示装置に作動可能に結合された血流表示モジュールを含む。表示装置で。
【請求項１６４８】
生物学的バイタルサインがさらに心拍数を含み、生物学的バイタルサイン発生器が経時的変動を分析する心拍分析モジュールを含む請求項1631の生物学的バイタルサインを伝達する装置心拍数を生成します。
【請求項１６４９】
心拍の周波数範囲における時間変動の周波数スペクトルから心拍数が生成される請求項1648の生物学的バイタルサインを伝達する装置。
【請求項１６５０】
無線通信サブシステムがインターネットプロトコルトンネルを介して送信する請求項1631の生物学的バイタルサインを通信する装置。
【請求項１６５１】
生体バイタルサインを伝える装置1631を伝える装置は、第2の装置によって知られている第2の装置によって検証され、第2の装置によって情報を転送するように許可される。第二の装置.
【請求項１６５２】
接続が確立され、体のコア温度が無線通信サブシステムを介して生物学的バイタルサインを通信するために装置から押し出される請求項1631の生物学的バイタルサインを通信する装置外部装置は、生物学的バイタルサインと外部デバイスとの間の体心温度の流れを制御し、ここで接続はさらに認証された通信チャネルを含む。
【請求項１６５３】
請求項1643の生物学的バイタルサインを伝達する装置は、デジタル赤外線センサをさらにアナログからデジタルへのコンバータを含む。
【請求項１６５４】
クレーム1631の生物学的バイタルサインを伝達する装置は、ここで、無線通信サブシステムは、さらにd食べ物および時間の表現を伝達するように構成された構成要素を含む、オペレータ識別、患者生物学的バイタルサインを伝える装置の識別、製造業者およびモデル番号。
【請求項１６５５】
本体コア温度を推定する装置、以下を含む装置を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、複数の画像をメモリにキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュールと、人間を生成する信号処理モジュールに作動可能に結合された人間のバイタルサインジェネレータ時間変動からのバイタルサインは、人間のバイタルサインが表面温度であり、体のコア温度は、表面温度を相関させるメモリに格納されている複数のテーブルを参照して推定されるキャリブレーション補正と電圧補正をボディコア温度と電圧補正周囲温度に。
マイクロプロセッサに動作的に結合され、人間のバイタルサインの表現を送信するように構成された無線通信サブシステム、
無線通信サブシステムは、短距離無線通信経路を介して送信する。そして
人間のバイタルサインを表示するマイクロプロセッサに動作的に結合された表示装置。
【請求項１６５６】
クレーム1655の装置は、前述の信号処理モジュールが、複数の画像間の画素値の変動を増幅するようにさらに構成される。
【請求項１６５７】
クレーム1655の装置は、前述の信号処理モジュールが一時的処理を行うまでさらに構成される。
【請求項１６５８】
請求項1657の装置は、前述の時間処理は、さらにバンドパスフィルタを含む。
【請求項１６５９】
クレーム1658の装置は、バンドパスフィルタが時間の経過とともに周波数を分析するように構成されている。
【請求項１６６０】
請求項1655の装置は、前述の信号処理を適用する空間処理を含む。
【請求項１６６１】
無線通信サブシステムがインターネットプロトコルトンネルを介して送信する請求項1655の装置。
【請求項１６６２】
請求項1655の装置は、本装置が第2の装置によって知られているように第2の装置によって検証され、第2の装置によって第2の装置によって許可され、第2の装置に情報を転送することを可能にする。
【請求項１６６３】
クレーム1655の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１６６４】
クレーム1655の装置は、さらにマイクロプロセッサに動作的に結合されたデジタル赤外線センサを含み、ここで、デジタル赤外線センサはさらにアナログからデジタルへのコンバータを含む。
【請求項１６６５】
クレーム1655の装置は、無線通信サブシステムがさらにd食および時間、オペレータ識別、患者識別、製造業者およびモデル番号の表現を送信するように構成されたコンポーネントを含む装置の。
【請求項１６６６】
の体心温度を推定する装置、以下を含む装置。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、データを格納するメモリ、および感知された表面温度をボディコア温度に関連付けるデータを提供するメモリ。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、感知された表面温度の表現を送信するように構成された無線通信サブシステム。そして
マイクロプロセッサに動作的に結合された表示装置、
マイクロプロセッサは、デジタル赤外線センサによって検出され、マイクロプロセッサが構成されている感知表面温度の赤外線信号を代表するデジタル信号をデジタル読み出しポートから受信するように構成されています。キャリブレーション補正された感知表面温度を相関させるメモリに格納されている複数のテーブルを参照して、赤外線信号を代表するデジタル信号から体心温度を推定し、キャリブレーション補正および電圧補正された感知表面温度を相関させるメモリに格納されている複数のテーブルを参照して、ボディコア温度に対する電圧補正と電圧補正本体コア温度と電圧補正された周囲温度と、複数の画像を受信するように構成されたクロッパーモジュールを含むマイクロプロセッサと、画像の境界領域を除外するように画像をトリミングするように構成され、複数を生成するトリミングされた画像の、マイクロプロセッサはまた、時間変動を生成するように構成された複数のトリミングされた画像の時間変動増幅器を含み、マイクロプロセッサはまた、動作可能である生物学的バイタルサインジェネレータを含む時間変動から生物学的に重要な兆候を生成するように構成された時間変動アンプに結合され、マイクロプロセッサも生物学的バイタルサインジェネレータに作動可能に結合され、
前述の無線通信サブシステムは、短距離無線通信経路を介して送信する。
【請求項１６６７】
クレーム1666の装置は、前述の時間変動増幅器は、さらに皮膚表面皮膚画素同定モジュールを含む。
【請求項１６６８】
クレーム1666の装置は、前述の時間変動増幅器は、さらに局所的な顔面クラスタモジュールを含む。
【請求項１６６９】
クレーム1666の装置は、前述の時間変動増幅器が第1の周波数フィルタモジュールをさらに含む。
【請求項１６７０】
クレーム1666の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサは、黒いボディで再校正されず、さらに低い構成のパルス幅モジュラとデジタル赤外線センサに動作的に結合されていますノイズアンプ、アナログからデジタルへのコンバータに動作的に結合された低ノイズアンプ、アナログからデジタルへのコンバータがデジタル信号プロセッサに動作的に結合され、デジタル信号プロセッサがパルス幅に動作的に結合されている変調器。
【請求項１６７１】
請求項1666の装置は、生物学的バイタルサイン発生器に作動可能に結合され、生物学的バイタルサインを別の装置に送信するように構成された記憶装置をさらに含む。
【請求項１６７２】
無線通信サブシステムがインターネットプロトコルトンネルを介して送信する請求項1666の装置。
【請求項１６７３】
請求項1666の装置は、本装置が第2の装置によって知られているように第2の装置によって検証され、第2の装置によって第2の装置によって許可され、第2の装置に情報を転送することを可能にする。
【請求項１６７４】
クレーム1666の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１６７５】
請求項1666の装置は、デジタル赤外線センサがさらにアナログからデジタルへのコンバータを含む。
【請求項１６７６】
クレーム1666の装置は、無線通信サブシステムがさらにd食および時間、オペレータ識別、患者識別、製造業者およびモデル番号の表現を送信するように構成されたコンポーネントを含む装置の。
【請求項１６７７】
請求項1666の装置はさらに含む:
ボタンがマイクロプロセッサに接続されていない。
【請求項１６７８】
装置を含む:
以下を含む最初の回路基板:
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、本体コア温度の表現を送信するように構成されたワイヤレス通信サブシステム。そして
マイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
第2のデジタルインターフェイスに動作的に結合されたデジタル赤外線センサ、デジタル読み出し信号のみを提供するポートを持つデジタル赤外線センサ、単一のサーモパイルセンサを取り囲むファラデーケージを含むデジタル赤外線センサ、中央処理装置および制御ブロック、
マイクロプロセッサは、デジタル赤外線センサのポートから受信するように構成され、デジタル赤外線センサによって生成される表面温度の赤外線信号を代表するデジタル読み出し信号とマイクロプロセッサは、表面温度を相関させるメモリに格納されている複数のテーブルを参照して赤外線信号を代表するデジタル読み出し信号から体のコア温度を推定するように構成される。キャリブレーション補正と電圧補正を本体コア温度と電圧補正周囲温度に対して、
デジタル赤外線センサとマイクロプロセッサの間にアナログ/デジタルコンバータが動作的に結合されていない場合、
前に、本装置は、第2の装置によって知られているように、第2の装置によって検証され、第2の装置によって許可され、第2の装置に情報を転送するようにする。
【請求項１６７９】
クレーム1678の装置は、表示装置がさらに含まれる:
ボディコア温度が良好であることを示すように設定された緑色の信号。
ボディコア温度が低いことを示すように設定されたオレンジ色の信号。そして
ボディコア温度が高いことを示すように設定された赤信号。
【請求項１６８０】
クレーム1678の装置はさらに含む:アナログセンサ読み出しポートを有しないデジタル赤外線センサ。
【請求項１６８１】
請求項1678の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間的変動を生成するように構成された複数のトリミングされた画像の一時的変動増幅器を含む、マイクロプロセッサはまた、動作的に結合された生物学的重要な標識ジェネレータを含む時間変動とマイクロプロセッサから生物学的に重要な兆候を生成するように構成された時間変動アンプも、生物学的バイタルサインジェネレータに作動可能に結合する。
【請求項１６８２】
クレーム1681の装置は、前述の時間変動増幅器が皮膚表面皮膚画素同定モジュールをさらに含む。
【請求項１６８３】
クレーム1681の装置は、前述の時間変動増幅器は、さらに局所的な顔面クラスタモジュールを含む。
【請求項１６８４】
クレーム1681の装置は、前述の時間変動増幅器が第1の周波数フィルタモジュールをさらに含む。
【請求項１６８５】
クレーム1681の装置は、さらに黒いボディで再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサは、黒いボディで再校正されず、さらに低い構成のパルス幅モジュラとデジタル赤外線センサに動作的に結合されていますノイズアンプ、アナログからデジタルへのコンバータに動作的に結合された低ノイズアンプ、アナログからデジタルへのコンバータがデジタル信号プロセッサに動作的に結合され、デジタル信号プロセッサがパルス幅に動作的に結合されている変調器。
【請求項１６８６】
クレーム1681の装置は、生物学的バイタルサインジェネレータに作動可能に結合され、生物学的バイタルサインを不揮発性メモリに格納するように構成された記憶装置をさらに含む。
【請求項１６８７】
請求項1681の装置は、生物学的バイタルサイン発生器に作動可能に結合され、生物学的バイタルサインを別の装置に送信するように構成された記憶装置をさらに含む。
【請求項１６８８】
無線通信サブシステムが短距離無線通信経路を介して送信する請求項1678の装置。
【請求項１６８９】
無線通信サブシステムがインターネットプロトコルトンネルを介して送信するクレーム1678の装置。
【請求項１６９０】
クレーム1678の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１６９１】
クレーム1678の装置は、デジタル赤外線センサがさらにアナログからデジタルへのコンバータを含む。
【請求項１６９２】
クレーム1678の装置は、無線通信サブシステムがさらにd食および時間、オペレータ識別、患者識別、製造業者およびモデル番号の表現を送信するように構成されたコンポーネントを含む装置の。
【請求項１６９３】
体のコア温度を推定する装置、以下を含む装置を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、本体コア温度の表現を送信するように構成されたワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
前述のマイクロプロセッサは、デジタル読み出しポートから受信するように構成され、デジタル赤外線センサによって検出された表面温度の赤外線信号を代表するデジタル信号を、マイクロプロセッサはキャリブレーション補正および電圧補正された表面温度を相関させるメモリに格納されている複数のテーブルを参照して、赤外線信号を代表するデジタル信号からボディコア温度を推定する本体コア温度と電圧補正された周囲温度、
前に、本装置は、第2の装置によって知られているように、第2の装置によって検証され、第2の装置によって許可され、第2の装置に情報を転送するようにする。
【請求項１６９４】
請求項1693の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１６９５】
クレーム1693の装置は、さらに含むマイクロプロセッサ:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１６９６】
クレーム1693の装置はさらに含む:アナログセンサ読み出しポートを持たないデジタル赤外線センサ。
【請求項１６９７】
無線通信サブシステムが短距離無線通信経路を介して送信する請求項1693の装置。
【請求項１６９８】
無線通信サブシステムがインターネットプロトコルトンネルを介して送信するクレーム1693の装置。
【請求項１６９９】
クレーム1693の装置は、接続が確立され、無線通信サブシステムを介して装置から本体コア温度を押し出し、その後、外部装置が間の体心温度の流れを制御する。装置および外部装置は、前述の接続がさらに認証された通信チャネルを含む。
【請求項１７００】
請求項1693の装置は、デジタル赤外線センサがさらにアナログからデジタルへのコンバータを含む。
【請求項１７０１】
クレーム1693の装置は、無線通信サブシステムがさらにd食と時間、オペレータ識別、患者識別、製造業者およびモデル番号の表現を送信するように構成されたコンポーネントを含む装置の。
【請求項１７０２】
の装置は、体のコア温度を推定し、その装置を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、本体コア温度の表現を送信するように構成されたワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
前述のマイクロプロセッサは、デジタル読み出しポートから受信するように構成され、デジタル赤外線センサによって検出された表面温度の赤外線信号を代表するデジタル信号を、マイクロプロセッサはキャリブレーション補正および電圧補正された表面温度を相関させるメモリに格納されている複数のテーブルを参照して、赤外線信号を代表するデジタル信号からボディコア温度を推定する本体コア温度と電圧補正された周囲温度の推定値、
前に、本装置は、第2の装置によって知られているように、第2の装置によって検証され、第2の装置によって許可され、第2の装置に情報を転送するようにする。
【請求項１７０３】
請求項1702の装置は、前述の表示装置をさらに含む。
ボディコア温度の推定値が良好であることを示すように設定された緑色の信号。
ボディコア温度の推定値が低であることを示すように設定されたオレンジ色の信号。そして
ボディコア温度の推定値が高いことを示すように設定された赤信号。
【請求項１７０４】
クレーム1702の装置は、さらに含むマイクロプロセッサを含む:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１７０５】
請求項1702の装置はさらに含む:
マイクロプロセッサ、マイクロプロセッサに動作的に結合されたバッテリ、ディスプレイデバイスとマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項１７０６】
無線通信サブシステムが短距離無線通信経路を介して送信する請求項1702の装置。
【請求項１７０７】
無線通信サブシステムがインターネットプロトコルトンネルを介して送信するクレーム1702の装置。
【請求項１７０８】
クレーム1702の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１７０９】
請求項1702の装置は、デジタル赤外線センサがさらにアナログからデジタルへのコンバータを含む。
【請求項１７１０】
クレーム1702の装置は、無線通信サブシステムがさらにd食と時間、オペレータ識別、患者識別、製造業者およびモデル番号の表現を送信するように構成されたコンポーネントを含む装置の。
【請求項１７１１】
生物学的バイタルサインを伝達する装置、生物学的バイタルサインを含む、生物学的バイタルサインを伝達する装置:
フォトプレチスモグラムセンサー;
マイクロダイナミックライト散乱センサ。
実行するようにプログラムされたマイクロプロセッサ:
皮膚表面の複数の画像を受信するように構成され、画像の境界線領域を除外するために複数の画像のそれぞれをトリミングするように構成されたクロッパーモジュールは、複数のトリミングされた画像を生成する。
クロッパーモジュールに作動可能に結合され、複数のトリミングされた画像で皮膚表面領域の皮膚を代表するピクセル値を識別し、皮膚表面の出力を得る皮膚表面皮膚ピクセル同定モジュール皮膚ピクセル識別モジュール;
皮膚表面の皮膚ピクセル識別モジュールに動作的に結合され、皮膚表面の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。
時間変動から生物学的バイタルサインを生成する時間変動識別子に作動可能に結合された生物学的バイタルサインジェネレータで、生物学的バイタルサインは表面温度を含む。そして
キャリブレーション補正および電圧補正された表面温度をボディコア温度に相関させるメモリに格納されている複数のテーブルを参照して、表面温度からボディコア温度の推定値電圧補正された周囲温度;
本体コア温度を表示するように構成された推定値に動作的に結合された表示装置。
マイクロプロセッサに動作的に結合されたメモリ、データを格納するメモリ、およびキャリブレーション修正された表面温度をボディコア温度と電圧補正に相関させるデータを提供するメモリ周囲温度;そして
マイクロプロセッサに動作的に結合され、本体コア温度の表現を送信するように構成された無線通信サブシステム、
前書は、生物学的バイタルサインを伝達する装置は、第2の装置によって知られているように第2の装置によって検証され、第2の装置によって許可され、第2の装置に情報を転送するようにする。
【請求項１７１２】
クレーム1711の生物学的重要な徴候を伝達する装置は、ここで、地域の顔面クラスタモジュールがさらに含まれる:ファジークラスタ。
【請求項１７１３】
クレーム1711の生物学的重要な徴候を伝達する装置は、ここで、地域の顔面クラスタモジュールがさらに含まれる:Kクラスタを含む。
【請求項１７１４】
クレーム1711の生物学的重要な徴候を伝達する装置は、ここで、地域の顔面クラスタモジュールがさらに含まれる:期待-最大化剤。
【請求項１７１５】
クレーム1711の生物学的生命徴候を伝達する装置は、前述の地域顔面クラスタモジュールをさらに含む:シードポイントベースのクラスタリング装置。
【請求項１７１６】
クレーム1711の生物学的生命標識を伝通信する装置は、さらに、黒体で再較化されていないデジタル赤外線センサを含有し、さらに低ノイズ増幅器を含むものであり、低ノイズ増幅器が作動性に結合されている。アナログからデジタルへのコンバータ、アナログからデジタルへのコンバータがデジタル信号プロセッサに作動可能に結合され、デジタル信号プロセッサは、黒で再校正されていないパルス幅モジュラとデジタル赤外線センサに動作的に結合されています。本体とさらに低ノイズアンプを含むこと、低ノイズアンプがアナログからデジタルコンバータに動作的に結合され、アナログからデジタルへのコンバータがデジタル信号プロセッサに動作的に結合され、デジタル信号プロセッサがデジタル信号プロセッサであるパルス幅モジュレータに作動可能に結合されます。
【請求項１７１７】
請求項1711の生物学的バイタルサインを伝える装置は、生物学的バイタルサインジェネレータに作動可能に結合され、生物学的バイタルサインを不揮発性メモリに格納するように構成された記憶装置をさらに含む。
【請求項１７１８】
請求項1711の生物学的バイタルサインを伝える装置は、生物学的バイタルサインジェネレータに作動可能に結合され、生物学的バイタルサインを別の装置に送信するように構成された記憶装置をさらに含む。
【請求項１７１９】
生物学的バイタルサインが血圧をさらに含むクレーム1711の生物学的バイタルサインを伝達する装置。
【請求項１７２０】
この装置は、生物学的バイタルサインがさらに呼吸を含む請求項1711の生物学的生命徴候を伝達する。
【請求項１７２１】
本装置は、請求項1711の生物学的生命徴候をさらに含むパルスを含む。
【請求項１７２２】
クレーム1711の生物学的重要な兆候を伝える装置は、さらにマイクロプロセッサに動作的に結合され、メモリを介してマイクロプロセッサに複数の画像をキャプチャするように構成されたカメラを含む。
【請求項１７２３】
マイクロプロセッサに動作的に結合されたデジタル赤外線センサを含む請求項1711の生物学的重要な兆候を伝える装置は、デジタル読み出しポートのみを有するデジタル赤外線センサ、デジタル赤外線センサを有するアナログセンサーの読み出しポート、単一のサーモパイルセンサーを取り囲むファラデーケージ、中央処理装置および制御ブロックを含むデジタル赤外線センサー。
【請求項１７２４】
請求項1723の生物学的重要な兆候を伝える装置は、さらに含む:
前述のマイクロプロセッサは、デジタル赤外線センサとマイクロプロセッサによって検出される表面温度の赤外線信号を代表するデジタル信号を複数のデジタル読み出しポートから受信するように構成されている。赤外線信号を代表するデジタル信号から本体コア温度を推定するように構成されています。
【請求項１７２５】
請求項1711の生物学的重要な兆候を伝える装置は、さらに含む:
アナログからデジタルへのコンバータはありません。
【請求項１７２６】
生物学的バイタルサインがさらに血流を含むクレーム1711の生物学的バイタルサインを伝達する装置は、さらに、時間変動を分析する血流分析モジュールを含む。複数の画像の皮膚の運動変化および色変化を識別し、血液の流れのパターンを生成する。
【請求項１７２７】
請求項1726の生物学的生命徴候を伝達する装置は、さらに、生物学的バイタルサインジェネレータに作動可能に結合され、血液の流れのパターンを表示する表示装置に作動可能に結合された血流表示モジュールを含む。表示装置で。
【請求項１７２８】
生物学的バイタルサインがさらに心拍数を含み、生物学的バイタルサインジェネレータが経時的変動を分析する心拍分析モジュールを含む請求項1711の生物学的生命徴候を伝達する装置心拍数を生成します。
【請求項１７２９】
心拍の周波数範囲における時間変動の周波数スペクトルから心拍数が生成される請求項1728の生物学的生命徴候を伝達する装置。
【請求項１７３０】
ヘモグロビン(SpHb)、メテモグロビン(SpMet)、音響呼吸率(RRa)、カルボキシヘモグロビン(SpCO)および酸素からなるグループから生物学的バイタルサインが選択される請求項1711の生物学的バイタルサインを伝達する装置リザーブインデックス(ORi)。
【請求項１７３１】
無線通信サブシステムがインターネットプロトコルトンネルを介して送信するクレーム1711の生物学的重要な兆候を伝える装置。
【請求項１７３２】
接続が確立され、体のコア温度が無線通信サブシステムを介して生物学的バイタルサインを通信するために装置から押し出される請求項1711の生物学的バイタルサインを伝える装置外部装置は、生物学的バイタルサインと外部デバイスとの間の本体コア温度の流れを制御し、ここで接続はさらに認証された通信チャネルを含む。
【請求項１７３３】
請求項1723の生物学的重要な徴候を伝達する装置は、デジタル赤外線センサがさらにアナログからデジタルへのコンバータを含む。
【請求項１７３４】
クレーム1711の生物学的生命徴候を伝達する装置は、無線通信サブシステムがさらにdateおよび時間の表現を伝達するように構成された構成要素を含む、オペレータ識別、患者生物学的バイタルサインを伝える装置の識別、製造業者およびモデル番号。
【請求項１７３５】
体のコア温度を推定する装置、以下を含む装置を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、メモリに皮膚表面の複数の画像をキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュール、および生成する信号処理モジュールに作動可能に結合された生物学的バイタルサインジェネレータ時間変動による表面温度と、校正補正および電圧補正された表面温度を体に相関させるメモリに格納されている複数のテーブルを参照して体のコア温度を推定するコア温度と電圧補正された周囲温度。
マイクロプロセッサに動作的に結合され、本体コア温度の表現を送信するように構成されたワイヤレス通信サブシステム。そして
本体のコア温度を表示するマイクロプロセッサに作動可能に結合された表示装置、
前に、本装置は、第2の装置によって知られているように、第2の装置によって検証され、第2の装置によって許可され、第2の装置に情報を転送するようにする。
【請求項１７３６】
クレーム1735の装置は、前述の信号処理モジュールが、複数の画像間の画素値の変動を増幅するようにさらに構成される。
【請求項１７３７】
クレーム1735の装置は、前述の信号処理モジュールが一時的処理を行うまでさらに構成される。
【請求項１７３８】
請求項1737の装置は、前述の時間処理は、さらにバンドパスフィルタを含む。
【請求項１７３９】
請求項1738の装置は、バンドパスフィルタが時間の経過とともに周波数を分析するように構成されている。
【請求項１７４０】
請求項1735の装置は、前述の信号処理を適用する空間処理を含む。
【請求項１７４１】
無線通信サブシステムが短距離無線通信経路を介して送信する請求項1735の装置。
【請求項１７４２】
無線通信サブシステムがインターネットプロトコルトンネルを介して送信するクレーム1735の装置。
【請求項１７４３】
クレーム1735の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項１７４４】
クレーム1735の装置は、さらにマイクロプロセッサに動作的に結合されたデジタル赤外線センサを含み、ここで、デジタル赤外線センサはさらにアナログからデジタルへのコンバータを含む。
【請求項１７４５】
クレーム1735の装置は、無線通信サブシステムがさらにd食と時間、オペレータ識別、患者識別、製造業者およびモデル番号の表現を送信するように構成されたコンポーネントを含む装置の。
【請求項１７４６】
装置を含む:
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、本体コア温度の表現を送信するように構成されたワイヤレス通信サブシステム。そして
マイクロプロセッサに動作的に結合された表示装置、
前述のマイクロプロセッサは、デジタル読み出しポートから受信するように構成され、デジタル赤外線センサによって検出された表面温度の赤外線信号を代表するデジタル信号を、マイクロプロセッサはキャリブレーション補正および電圧補正された表面温度を相関させるメモリに格納されている複数のテーブルを参照して、赤外線信号を代表するデジタル信号からボディコア温度を推定するボディコア温度と電圧補正された周囲温度と、複数の画像を受信するように構成され、画像の境界領域を除外するように画像をトリミングするように構成されたクロッパーモジュールを含むマイクロプロセッサは、複数のトリミングされた画像は、マイクロプロセッサはまた、時間変動を生成するように構成された複数のトリミングされた画像の時間変動増幅器を含み、マイクロプロセッサはまた、生物学的バイタルサインジェネレータを含む。時間変動から生物学的に重要な兆候を生成するように構成された時間変動アンプにオペラ的に結合され、マイクロプロセッサも生物学的バイタルサインジェネレータに作動可能に結合され、
前に、本装置は、第2の装置によって知られているように、第2の装置によって検証され、第2の装置によって許可され、第2の装置に情報を転送するようにする。
【請求項１７４７】
クレーム1746の装置は、前述の時間変動増幅器は、さらに皮膚表面皮膚画素同定モジュールを含む。
【請求項１７４８】
クレーム1746の装置は、前述の時間変動増幅器は、さらに局所的な顔面クラスタモジュールを含む。
【請求項１７４９】
クレーム1746の装置は、前述の時間変動増幅器が第1の周波数フィルタモジュールをさらに含む。
【請求項１７５０】
クレーム1746の装置は、さらに黒体で再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサは、黒いボディで再校正されず、さらに低い構成のパルス幅モジュラとデジタル赤外線センサに動作的に結合されていますノイズアンプ、アナログからデジタルへのコンバータに動作的に結合された低ノイズアンプ、アナログからデジタルへのコンバータがデジタル信号プロセッサに動作的に結合され、デジタル信号プロセッサがパルス幅に動作的に結合されている変調器。
【請求項１７５１】
請求項1746の装置は、生物学的バイタルサイン発生器に作動可能に結合され、生物学的バイタルサインを別の装置に送信するように構成された記憶装置をさらに含む。
【請求項１７５２】
無線通信サブシステムが短距離無線通信経路を介して送信する請求項1746の装置。
【請求項１７５３】
無線通信サブシステムがインターネットプロトコルトンネルを介して送信するクレーム1746の装置。
【請求項１７５４】
クレーム1746の装置は、接続が確立され、無線通信サブシステムを介して装置から本体コア温度を押し出し、その後、外部装置が間の体心温度の流れを制御する。装置および外部装置は、前述の接続がさらに認証された通信チャネルを含む。
【請求項１７５５】
請求項1746の装置は、デジタル赤外線センサがさらにアナログからデジタルへのコンバータを含む。
【請求項１７５６】
クレーム1746の装置は、無線通信サブシステムがさらにd食および時間、オペレータ識別、患者識別、製造業者およびモデル番号の表現を送信するように構成されたコンポーネントを含む装置の。
【請求項１７５７】
請求項1746の装置はさらに含む:
ボタンがマイクロプロセッサに接続されていない。
【請求項１７５８】
装置を含む:
以下を含む最初の回路基板:
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合され、本体コア温度の表現を送信するように構成されたワイヤレス通信サブシステム。そして
マイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
第2のデジタルインターフェイスに動作的に結合されたデジタル赤外線センサ、デジタル読み出し信号のみを提供するポートを持つデジタル赤外線センサ、単一のサーモパイルセンサを取り囲むファラデーケージを含むデジタル赤外線センサ、中央処理装置および制御ブロック、
マイクロプロセッサは、デジタル赤外線センサとマイクロプロセッサによって生成される表面温度の赤外線信号を代表するデジタル読み出し信号をデジタル赤外線センサのポートから受信するように構成されています。赤外線信号を代表するデジタル読み出し信号から表面温度を決定し、メモリに格納されている複数のテーブルを参照して表面温度から本体コア温度を推定するように構成されています。キャリブレーション補正および電圧補正された表面温度を本体コア温度と電圧補正周囲温度と相関させる
デジタル赤外線センサとマイクロプロセッサの間にアナログ/デジタルコンバータが動作的に結合されていない場合、
前書は、無線通信サブシステムによって外部装置への接続が確立され、本体コア温度が無線通信サブシステムを介して装置から押し出され、その後、外部装置がの流れを制御する。装置と外部装置との間の体心温度は、前に接続がさらに認証された通信チャネルを含む。
【請求項１７５９】
請求項1758の装置は、表示装置をさらに含む:
ボディコア温度が良好であることを示すように設定された緑色の信号。
ボディコア温度が低いことを示すように設定されたオレンジ色の信号。そして
ボディコア温度が高いことを示すように設定された赤信号。
【請求項１７６０】
クレーム1758の装置はさらに含む:アナログセンサ読み出しポートを有しないデジタル赤外線センサ。
【請求項１７６１】
請求項1758の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間的変動を生成するように構成された複数のトリミングされた画像の一時的変動増幅器を含む、マイクロプロセッサはまた、動作的に結合された生物学的重要な標識ジェネレータを含む時間変動とマイクロプロセッサから生物学的に重要な兆候を生成するように構成された時間変動アンプも、生物学的バイタルサインジェネレータに作動可能に結合する。
【請求項１７６２】
クレーム1761の装置は、前述の時間変動増幅器が、皮膚表面皮膚画素同定モジュールをさらに含む。
【請求項１７６３】
クレーム1761の装置は、前述の時間変動増幅器は、さらに局所的な顔面クラスタモジュールを含む。
【請求項１７６４】
クレーム1761の装置は、前述の時間変動増幅器が第1の周波数フィルタモジュールをさらに含む。
最初の周波数フィルタモジュール。
【請求項１７６５】
請求項1761の装置はさらに含む:
黒いボディで再校正されず、さらに低ノイズアンプを含むデジタル赤外線センサ、低ノイズアンプがアナログからデジタルコンバータに動作的に結合され、アナログからデジタルコンバータが動作的にデジタル信号プロセッサは、デジタル信号プロセッサが、黒体で再校正されず、さらに低ノイズ増幅器を含むパルス幅モジュララデジタル赤外線センサに作動可能に結合され、低ノイズアンプが動作可能であるアナログからデジタルへのコンバータに結合され、アナログとデジタルコンバータがデジタル信号プロセッサに動作的に結合され、デジタル信号プロセッサがパルス幅モジュレータに動作的に結合されます。
【請求項１７６６】
請求項1761の装置は、生物学的バイタルサインジェネレータに作動可能に結合され、生物学的バイタルサインを非メモリに格納するように構成された記憶装置をさらに含む。
【請求項１７６７】
請求項1761の装置は、生物学的バイタルサイン発生器に作動可能に結合され、生物学的バイタルサインを別の装置に送信するように構成された記憶装置をさらに含む。
【請求項１７６８】
無線通信サブシステムが短距離無線通信経路を介して送信する請求項1758の装置。
【請求項１７６９】
請求項1758の装置は、本装置が第2の装置によって知られているように第2の装置によって検証され、第2の装置によって第2の装置によって許可され、第2の装置に情報を転送することを可能にする。
【請求項１７７０】
無線通信サブシステムがインターネットプロトコルトンネルを介して送信する請求項1758の装置。
【請求項１７７１】
請求項1758の装置は、デジタル赤外線センサがさらにアナログからデジタルへのコンバータを含む。
【請求項１７７２】
クレーム1758の装置は、無線通信サブシステムがさらにd食および時間、オペレータ識別、患者識別、製造業者およびモデル番号の表現を送信するように構成されたコンポーネントを含む装置の。
【請求項１７７３】
本体コア温度を推定する装置、以下を含む装置を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、本体コア温度の表現を送信するように構成されたワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
前述のマイクロプロセッサは、デジタル読み出しポートから受信するように構成され、デジタル赤外線センサによって検出された表面温度の赤外線信号を代表するデジタル信号を、マイクロプロセッサはキャリブレーション補正および電圧補正された表面温度を相関させるメモリに格納されている複数のテーブルを参照して、赤外線信号を代表するデジタル信号からボディコア温度を推定する本体コア温度と電圧補正された周囲温度、
前書は、無線通信サブシステムによって外部デバイスに接続され、本体コア温度が無線通信サブシステムを介して装置から押し出され、その後、外部デバイスが本体の流れを制御する装置と外部装置との間のコア温度は、前述の接続が認証された通信チャネルをさらに含む。
【請求項１７７４】
請求項1773の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１７７５】
クレーム1773の装置は、さらに含むマイクロプロセッサ:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１７７６】
クレーム1773の装置はさらに含む:アナログセンサ読み出しポートを有しないデジタル赤外線センサ。
【請求項１７７７】
無線通信サブシステムが短距離無線通信経路を介して送信する請求項1773の装置。
【請求項１７７８】
請求項1773の装置は、本装置が第2の装置によって知られているように第2の装置によって検証され、第2の装置によって第2の装置によって許可され、第2の装置に情報を転送することを可能にする。
【請求項１７７９】
無線通信サブシステムがインターネットプロトコルトンネルを介して送信する請求項1773の装置。
【請求項１７８０】
請求項1773の装置は、デジタル赤外線センサがさらにアナログからデジタルへのコンバータを含む。
【請求項１７８１】
クレーム1773の装置は、無線通信サブシステムがさらにd食および時間、オペレータ識別、患者識別、製造業者およびモデル番号の表現を送信するように構成されたコンポーネントを含む装置の。
【請求項１７８２】
の体心温度を推定する装置、以下を含む装置。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、本体コア温度の表現を送信するように構成されたワイヤレス通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
前述のマイクロプロセッサは、デジタル読み出しポートから受信するように構成され、デジタル赤外線センサによって検出された表面温度の赤外線信号を代表するデジタル信号を、マイクロプロセッサはキャリブレーション補正および電圧補正された表面温度を相関させるメモリに格納されている複数のテーブルを参照して、赤外線信号を代表するデジタル信号からボディコア温度を推定する本体コア温度と電圧補正された周囲温度、
前書は、無線通信サブシステムによって外部デバイスに接続され、本体コア温度が無線通信サブシステムを介して装置から押し出され、その後、外部デバイスが本体の流れを制御する装置と外部装置との間のコア温度は、前述の接続が認証された通信チャネルをさらに含む。
【請求項１７８３】
請求項1782の装置は、前述の表示装置をさらに含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１７８４】
クレーム1782の装置は、さらに含むマイクロプロセッサ:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１７８５】
請求項1782の装置はさらに含む:
マイクロプロセッサ、マイクロプロセッサに動作的に結合されたバッテリ、ディスプレイデバイスとマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項１７８６】
無線通信サブシステムが短距離無線通信経路を介して送信する請求項1782の装置。
【請求項１７８７】
請求項1782の装置は、本装置が第2の装置によって知られているように第2の装置によって検証され、第2の装置によって第2の装置によって許可され、第2の装置に情報を転送することを可能にする。
【請求項１７８８】
無線通信サブシステムがインターネットプロトコルトンネルを介して送信する請求項1782の装置。
【請求項１７８９】
請求項1782の装置は、デジタル赤外線センサがさらにアナログからデジタルへのコンバータを含む。
【請求項１７９０】
クレーム1782の装置は、無線通信サブシステムがさらにd食と時間、オペレータ識別、患者識別、製造業者およびモデル番号の表現を送信するように構成されたコンポーネントを含む装置の。
【請求項１７９１】
装置は、生物学的バイタルサインを伝達し、その装置を含む生物学的バイタルサインを伝達する。
複数の画像を提供するように構成されたカメラ。そして
カメラに動作的に結合され、実行するようにプログラムされたマイクロプロセッサ:
皮膚表面の複数の画像を受信するように構成され、画像の境界線領域を除外するために複数の画像のそれぞれをトリミングするように構成されたクロッパーモジュールは、複数のトリミングされた画像を生成する。
クロッパーモジュールに作動可能に結合され、複数のトリミングされた画像で皮膚を代表するピクセル値を識別し、皮膚表面の皮膚ピクセル同定の出力を生み出す皮膚表面皮膚ピクセル同定モジュールモジュール;
皮膚表面の皮膚ピクセル識別モジュールに動作的に結合され、皮膚表面の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。そして
時間変動から生物学的重要な兆候を推定する時間変動識別子に動作的に結合された生物学的バイタルサインジェネレータ。そして
生物学的バイタルサインジェネレータに動作的に結合された表示装置;
マイクロプロセッサに動作的に結合されるフォトプレチスモグラムセンサー。
マイクロプロセッサに動作的に結合されるマイクロダイナミックライト散乱センサー。そして
マイクロプロセッサに動作的に結合され、生物学的バイタルサインの表現を送信するように構成された無線通信サブシステム、
無線通信サブシステムから外部デバイスへの接続が確立され、生物学的バイタルサインが装置から押し出され、無線通信サブシステムを介して生物学的なバイタルサインを通信し、外部装置は、生物学的バイタルサインと外部デバイスとの間の本体コア温度の流れを制御し、ここで接続はさらに認証された通信チャネルを含む。
【請求項１７９２】
クレーム1791の生物学的重要な徴候を伝達する装置は、ここで、地域の顔面クラスタモジュールがさらに含まれる:ファジークラスタ。
【請求項１７９３】
クレーム1791の生物学的重要な徴候を伝達する装置は、ここで、地域の顔面クラスタモジュールがさらに含まれる:Kクラスタを含む。
【請求項１７９４】
クレーム1791の生物学的重要な徴候を伝達する装置は、ここで、地域の顔面クラスタモジュールがさらに含まれる:期待-最大化剤。
【請求項１７９５】
クレーム1791の生物学的生命徴候を伝達する装置は、ここで、地域の顔面クラスタモジュールをさらに含む:シードポイントベースのクラスタリング装置。
【請求項１７９６】
クレーム1791の生物学的生命標識を伝通信する装置は、さらに、黒体で再較化されていないデジタル赤外線センサを含有し、さらに低ノイズ増幅器を含むものであり、低ノイズ増幅器が作動性に結合されている。アナログからデジタルへのコンバータ、アナログからデジタルへのコンバータがデジタル信号プロセッサに作動可能に結合され、デジタル信号プロセッサは、黒で再校正されていないパルス幅モジュラとデジタル赤外線センサに動作的に結合されています。本体とさらに低ノイズアンプを含むこと、低ノイズアンプがアナログからデジタルコンバータに動作的に結合され、アナログからデジタルへのコンバータがデジタル信号プロセッサに動作的に結合され、デジタル信号プロセッサがデジタル信号プロセッサであるパルス幅モジュレータに作動可能に結合されます。
【請求項１７９７】
請求項1791の生物学的生命徴候を伝達する装置は、生物学的バイタルサインジェネレータに作動可能に結合され、生物学的バイタルサインを不揮発性メモリに格納するように構成された記憶装置をさらに含む。
【請求項１７９８】
請求項1791の生物学的バイタルサインを伝達する装置は、生物学的バイタルサインジェネレータに作動可能に結合され、生物学的バイタルサインを別の装置に送信するように構成された記憶装置をさらに含む。
【請求項１７９９】
生物学的バイタルサインが血圧をさらに含む1791の生物学的バイタルサインを伝達する装置。
【請求項１８００】
この装置は、生物学的バイタルサインがさらに呼吸を含む1791の請求項の生物学的生命徴候を伝達する。
【請求項１８０１】
本装置は、生物学的バイタルサインがさらにパルスを含む1791の請求項の生物学的生命徴候を伝達する。
【請求項１８０２】
マイクロプロセッサに動作的に結合されたデジタル赤外線センサを含む請求1791の生物学的重要な兆候を伝達する装置は、デジタル読み出しポートのみを有するデジタル赤外線センサ、デジタル赤外線センサを有するアナログセンサーの読み出しポート、単一のサーモパイルセンサーを取り囲むファラデーケージ、中央処理装置および制御ブロックを含むデジタル赤外線センサー。
【請求項１８０３】
請求項1791の生物学的重要な兆候を伝える装置は、さらに含む:
アナログからデジタルへのコンバータはありません。
【請求項１８０４】
生物学的バイタルサインがさらに血流を含むクレーム1791の生物学的生命徴候を伝達する装置は、さらに、時間変動を分析する血流分析モジュールを含む。複数の画像の皮膚の運動変化および色変化を識別し、血液の流れのパターンを生成する。
【請求項１８０５】
クレーム1804の生物学的生命徴候を伝達する装置は、さらに、生物学的バイタルサインジェネレータに作動可能に結合され、血液の流れのパターンを表示する表示装置に作動可能に結合された血流表示モジュールを含む表示装置で。
【請求項１８０６】
生物学的バイタルサインがさらに心拍数を含み、生物学的バイタルサインジェネレータが経時的変動を分析する心拍分析モジュールを含む、請求項1791の生物学的生命徴候を伝達する装置心拍数を生成します。
【請求項１８０７】
心拍の周波数範囲における時間変動の周波数スペクトルから心拍数が生成される請求項1806の生物学的生命徴候を伝達する装置。
【請求項１８０８】
全ヘモグロビン(SpHb)、メテモグロビン(SpMet)、音響呼吸率(RRa)、カルボキシヘモグロビン(SpCO)からなる群から生物学的バイタルサインを選択する請求項1791の生物学的生命徴候を伝達する装置と酸素予備指数(ORi)。
【請求項１８０９】
生物学的バイタルサインを伝達する装置1791の生物学的バイタルサインを伝える装置は、第2の装置によって知られている第2の装置によって検証され、第2の装置によって情報を転送するように許可される。第二の装置.
【請求項１８１０】
無線通信サブシステムがインターネットプロトコルトンネルを介して送信する請求項1791の生物学的重要な徴候を伝える装置。
【請求項１８１１】
請求項1802の生物学的重要な徴候を伝達する装置は、デジタル赤外線センサがさらにアナログからデジタルへのコンバータを含む。
【請求項１８１２】
クレーム1791の生物学的生命徴候を伝達する装置は、無線通信サブシステムがさらにdateおよび時間の表現を伝達するように構成された構成要素を含む、オペレータ識別、患者生物学的バイタルサインを伝える装置の識別、製造業者およびモデル番号。
【請求項１８１３】
の体のコア温度を推定する装置は、以下を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、メモリに複数の画像をキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュール、および生成する信号処理モジュールに作動可能に結合された生物学的バイタルサインジェネレータキャリブレーション補正および電圧補正された表面温度を本体コア温度と電圧補正に相関させるメモリに格納されている複数のテーブルを参照して、時間的変動からの体のコア温度周囲温度;
マイクロプロセッサに動作的に結合され、本体コア温度の表現を送信するように構成されたワイヤレス通信サブシステム。そして
本体のコア温度を表示するマイクロプロセッサに作動可能に結合された表示装置、
前書は、無線通信サブシステムによって外部デバイスに接続され、本体コア温度が無線通信サブシステムを介して装置から押し出され、その後、外部デバイスが本体の流れを制御する装置と外部装置との間のコア温度は、前述の接続が認証された通信チャネルをさらに含む。
【請求項１８１４】
請求項1813の装置は、信号処理モジュールが、較正補正および電圧補正された推定表面温度を推定本体に相関させるメモリに格納されている複数のテーブルを参照している。コア温度と電圧補正周囲温度は、複数の画像間の画素値の変動を増幅するようにさらに構成される。
【請求項１８１５】
クレーム1813の装置は、前述の信号処理モジュールが一時的処理を行うまでさらに構成される。
【請求項１８１６】
クレーム1815の装置は、前述の時間処理は、さらにバンドパスフィルタを含む。
【請求項１８１７】
クレーム1816の装置は、バンドパスフィルタが時間の経過とともに周波数を分析するように構成されている。
【請求項１８１８】
請求項1813の装置は、前述の信号処理を適用する空間処理を含む。
【請求項１８１９】
無線通信サブシステムが短距離無線通信経路を介して送信する請求項1813の装置。
【請求項１８２０】
請求項1813の装置は、本装置が第2の装置によって知られているように第2の装置によって検証され、第2の装置によって第2の装置によって許可され、第2の装置に情報を転送することを可能にする。
【請求項１８２１】
無線通信サブシステムがインターネットプロトコルトンネルを介して送信する請求項1813の装置。
【請求項１８２２】
クレーム1813の装置は、さらにマイクロプロセッサに動作的に結合されたデジタル赤外線センサを含み、ここで、デジタル赤外線センサはさらにアナログからデジタルへのコンバータを含む。
【請求項１８２３】
クレーム1813の装置は、無線通信サブシステムがさらにd食と時間、オペレータ識別、患者識別、製造業者およびモデル番号の表現を送信するように構成されたコンポーネントを含む装置の。
【請求項１８２４】
の装置は、体のコア温度を推定し、その装置を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、本体コア温度の表現を送信するように構成されたワイヤレス通信サブシステム。そして
マイクロプロセッサに動作的に結合された表示装置、
前述のマイクロプロセッサは、デジタル読み出しポートから受信するように構成され、デジタル赤外線センサによって検出された表面温度の赤外線信号を代表するデジタル信号を、マイクロプロセッサはキャリブレーション補正および電圧補正された表面温度を相関させるメモリに格納されている複数のテーブルを参照して、赤外線信号を代表するデジタル信号からボディコア温度を推定するボディコア温度と電圧補正された周囲温度と、複数の画像を受信するように構成され、画像の境界領域を除外するように画像をトリミングするように構成されたクロッパーモジュールを含むマイクロプロセッサは、複数のトリミングされた画像は、マイクロプロセッサはまた、時間変動を生成するように構成された複数のトリミングされた画像の時間変動増幅器を含み、マイクロプロセッサはまた、生物学的バイタルサインジェネレータを含む。時間変動から生物学的に重要な兆候を生成するように構成された時間変動アンプにオペラ的に結合され、マイクロプロセッサも生物学的バイタルサインジェネレータに作動可能に結合され、
前書は、無線通信サブシステムによって外部装置への接続が確立され、本体コア温度が無線通信サブシステムを介して装置から押し出され、その後、外部装置がの流れを制御する。装置と外部装置との間の体心温度は、前に接続がさらに認証された通信チャネルを含む。
【請求項１８２５】
クレーム1824の装置は、前述の時間変動増幅器は、皮膚表面皮膚画素同定モジュールをさらに含む。
【請求項１８２６】
クレーム1824の装置は、前述の時間変動増幅器は、さらに地域的な顔面クラスタモジュールを含む。
【請求項１８２７】
クレーム1824の装置は、前述の時間変動増幅器は、さらに第1の周波数フィルタモジュールを含む。
【請求項１８２８】
クレーム1824の装置は、さらに黒いボディで再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサは、黒いボディで再校正されず、さらに低い構成のパルス幅モジュラとデジタル赤外線センサに動作的に結合されていますノイズアンプ、アナログからデジタルへのコンバータに動作的に結合された低ノイズアンプ、アナログからデジタルへのコンバータがデジタル信号プロセッサに動作的に結合され、デジタル信号プロセッサがパルス幅に動作的に結合されている変調器。
【請求項１８２９】
請求項1824の装置は、生物学的バイタルサインジェネレータに作動可能に結合され、生物学的バイタルサインを別の装置に送信するように構成された記憶装置をさらに含む。
【請求項１８３０】
無線通信サブシステムが短距離無線通信経路を介して送信する請求項1824の装置。
【請求項１８３１】
請求項1824の装置は、本装置が第2の装置によって知られているように第2の装置によって検証され、第2の装置によって第2の装置によって許可され、第2の装置に情報を転送することを可能にする。
【請求項１８３２】
無線通信サブシステムがインターネットプロトコルトンネルを介して送信する請求項1824の装置。
【請求項１８３３】
請求項1824の装置は、デジタル赤外線センサがさらにアナログからデジタルへのコンバータを含む。
【請求項１８３４】
クレーム1824の装置は、無線通信サブシステムがさらにd食と時間、オペレータ識別、患者識別、製造業者およびモデル番号の表現を送信するように構成されたコンポーネントを含む装置の。
【請求項１８３５】
請求項1824の装置はさらに含む:
ボタンがマイクロプロセッサに接続されていない。
【請求項１８３６】
装置を含む:
以下を含む最初の回路基板:
フォトプレチスモグラムセンサー;
マイクロダイナミックライト散乱センサ。
マイクロプロセッサは、フォトプレチスモグラムセンサに作動可能に結合され、マイクロダイナミック光散乱センサに作動可能に結合され、マイクロプロセッサは、フォトプレチスモグラムセンサからのデータからSpO2血液酸素化を推定するように構成され、呼吸率は、マイクロダイナミック光散乱センサからのデータから推定されます。そして
マイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
第2のデジタルインターフェイスに動作的に結合されたデジタル赤外線センサ、デジタル読み出し信号のみを提供するポートを持つデジタル赤外線センサ、単一のサーモパイルセンサを取り囲むファラデーケージを含むデジタル赤外線センサ、中央処理装置および制御ブロック、
マイクロプロセッサは、デジタル赤外線センサとマイクロプロセッサによって生成される表面温度の赤外線信号を代表するデジタル読み出し信号をデジタル赤外線センサのポートから受信するように構成されています。キャリブレーション補正された表面温度を相関させるメモリに格納されている複数のテーブルを参照して赤外線信号を代表するデジタル読み出し信号から体のコア温度を推定するように構成されています。ボディコア温度と電圧補正周囲温度に対する電圧補正
デジタル赤外線センサとマイクロプロセッサの間にアナログ/デジタルコンバータが動作的に結合されていない場合、
デジタル赤外線センサは、さらにアナログからデジタルへのコンバータを含む。
【請求項１８３７】
クレーム1836の装置は、表示装置がさらに含まれます:
ボディコア温度が良好であることを示すように設定された緑色の信号。
ボディコア温度が低いことを示すように設定されたオレンジ色の信号。そして
ボディコア温度が高いことを示すように設定された赤信号。
【請求項１８３８】
クレーム1836の装置はさらに含む:アナログセンサ読み出しポートを持たないデジタル赤外線センサ。
【請求項１８３９】
請求項1836の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間的変動を生成するように構成された複数のトリミングされた画像の一時的変動増幅器を含む、マイクロプロセッサはまた、動作的に結合された生物学的重要な標識ジェネレータを含む時間変動とマイクロプロセッサから生物学的に重要な兆候を生成するように構成された時間変動アンプも、生物学的バイタルサインジェネレータに作動可能に結合する。
【請求項１８４０】
クレーム1839の装置は、前述の時間変動増幅器は、さらに皮膚表面皮膚画素同定モジュールを含む。
【請求項１８４１】
クレーム1839の装置は、前述の時間変動増幅器は、さらに地域的な顔面クラスタモジュールを含む。
【請求項１８４２】
クレーム1839の装置は、前述の時間変動増幅器は、さらに第1の周波数フィルタモジュールを含む。
【請求項１８４３】
クレーム1839の装置は、さらに黒いボディで再校正されず、さらに低ノイズ増幅器を含むデジタル赤外線センサを含む、低ノイズ増幅器がアナログからデジタルコンバータに動作的に結合され、アナログからデジタルへのコンバータは、デジタル信号プロセッサに動作的に結合され、デジタル信号プロセッサは、黒いボディで再校正されず、さらに低い構成のパルス幅モジュラとデジタル赤外線センサに動作的に結合されていますノイズアンプ、アナログからデジタルへのコンバータに動作的に結合された低ノイズアンプ、アナログからデジタルへのコンバータがデジタル信号プロセッサに動作的に結合され、デジタル信号プロセッサがパルス幅に動作的に結合されている変調器。
【請求項１８４４】
クレーム1839の装置は、生物学的バイタルサインジェネレータに作動可能に結合され、生物学的バイタルサインを不揮発性メモリに格納するように構成された記憶装置をさらに含む。
【請求項１８４５】
請求項1839の装置は、生物学的バイタルサインジェネレータに作動可能に結合され、生物学的バイタルサインを別の装置に送信するように構成された記憶装置をさらに含む。
【請求項１８４６】
無線通信サブシステムが短距離無線通信経路を介して送信する請求項1836の装置。
【請求項１８４７】
請求項1836の装置は、本装置が第2の装置によって知られているように第2の装置によって検証され、第2の装置によって第2の装置によって許可され、第2の装置に情報を転送することを可能にする。
【請求項１８４８】
クレーム1836の装置は、接続が確立され、無線通信サブシステムを介して装置から本体コア温度を押し出し、その後、外部装置が間の体心温度の流れを制御する。装置および外部装置は、前述の接続がさらに認証された通信チャネルを含む。
【請求項１８４９】
クレーム1836の装置は、無線通信サブシステムがインターネットプロトコルトンネルを介して送信する。
【請求項１８５０】
クレーム1836の装置は、無線通信サブシステムがさらにd食および時間の表現を送信するように構成されたコンポーネントを含む、オペレータ識別、患者識別、製造業者およびモデル番号装置。
【請求項１８５１】
体のコア温度を推定する装置、以下を含む装置を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、データを格納するメモリ、および皮膚表面温度を体のコア温度に関連付けるデータを提供するメモリ。
マイクロプロセッサに動作的に結合され、本体コア温度の推定値の表現を送信するように構成された無線通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
前述のマイクロプロセッサは、デジタル赤外線センサによって検出された皮膚表面温度の赤外線信号を代表するデジタル信号をデジタル読み出しポートから受信するように構成され、マイクロプロセッサは皮膚表面温度を体のコア温度と、体のコア温度と相関させるメモリに格納されている複数のテーブルを参照して、赤外線信号を代表するデジタル信号から体心温度の推定値を推定する電圧補正環境温度,
デジタル赤外線センサは、さらにアナログからデジタルへのコンバータを含む。
【請求項１８５２】
クレーム1851の装置は、前述の表示装置をさらに含む:
ボディコア温度が良好であることを示すように設定された緑色の信号。
ボディコア温度が低いことを示すように設定されたオレンジ色の信号。そして
ボディコア温度が高いことを示すように設定された赤信号。
【請求項１８５３】
クレーム1851の装置は、さらに含むマイクロプロセッサ:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１８５４】
クレーム1851の装置はさらに含む:アナログセンサ読み出しポートを有しないデジタル赤外線センサ。
【請求項１８５５】
無線通信サブシステムが短距離無線通信経路を介して送信する請求項1851の装置。
【請求項１８５６】
請求項1851の装置は、本装置が第2の装置によって知られているように第2の装置によって検証され、第2の装置によって第2の装置によって許可され、第2の装置に情報を転送することを可能にする。
【請求項１８５７】
クレーム1851の装置は、接続が確立され、無線通信サブシステムを介して装置から本体コア温度を押し出し、その後、外部装置が間の体心温度の流れを制御する。装置および外部装置は、前述の接続がさらに認証された通信チャネルを含む。
【請求項１８５８】
請求項1851の装置は、無線通信サブシステムがインターネットプロトコルトンネルを介して送信する。
【請求項１８５９】
クレーム1851の装置は、無線通信サブシステムがさらにd食と時間、オペレータ識別、患者識別、製造業者およびモデル番号の表現を送信するように構成されたコンポーネントを含む装置の。
【請求項１８６０】
装置は、体のコア温度を推定する、装置を含む:
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、データを格納するメモリ、および皮膚表面温度を体のコア温度に関連付けるデータを提供するメモリ。
マイクロプロセッサに動作的に結合され、本体コア温度の推定値の表現を送信するように構成された無線通信サブシステム。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
前述のマイクロプロセッサは、デジタル赤外線センサによって検出された皮膚表面温度の赤外線信号を代表するデジタル信号をデジタル読み出しポートから受信するように構成され、マイクロプロセッサは皮膚表面温度を体のコア温度と電圧補正に相関させるメモリに格納されている複数のテーブルを参照して、赤外線信号を代表するデジタル信号から体のコア温度を推定する周囲温度,
デジタル赤外線センサは、さらにアナログからデジタルへのコンバータを含む。
【請求項１８６１】
クレーム1860の装置は、前述の表示装置をさらに含む:
ボディコア温度が良好であることを示すように設定された緑色の信号。
ボディコア温度が低いことを示すように設定されたオレンジ色の信号。そして
ボディコア温度が高いことを示すように設定された赤信号。
【請求項１８６２】
クレーム1860の装置は、さらに含むマイクロプロセッサ:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１８６３】
請求項1860の装置はさらに含む:
マイクロプロセッサ、マイクロプロセッサに動作的に結合されたバッテリ、ディスプレイデバイスとマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項１８６４】
無線通信サブシステムが短距離無線通信経路を介して送信する請求項1860の装置。
【請求項１８６５】
請求項1860の装置は、本装置が第2の装置によって知られているように第2の装置によって検証され、第2の装置によって第2の装置によって許可され、第2の装置に情報を転送することを可能にする。
【請求項１８６６】
クレーム1860の装置は、接続が確立され、無線通信サブシステムを介して装置から本体コア温度を押し出し、その後、外部装置が間の体心温度の流れを制御する。装置および外部装置は、前述の接続がさらに認証された通信チャネルを含む。
【請求項１８６７】
請求項1860の装置は、無線通信サブシステムがインターネットプロトコルトンネルを介して送信する。
【請求項１８６８】
クレーム1860の装置は、無線通信サブシステムがさらにd食と時間、オペレータ識別、患者識別、製造業者およびモデル番号の表現を送信するように構成されたコンポーネントを含む装置の。
【請求項１８６９】
生物学的バイタルサインを伝達する装置、以下を含む生物学的バイタルサインを伝達する装置である。
フォトプレチスモグラムセンサー;
マイクロダイナミックライト散乱センサ。
実行するようにプログラムされたマイクロプロセッサ:
複数の画像を受信するように構成され、複数の画像のそれぞれをトリミングして画像の境界線領域を除外するように構成されたクロッパーモジュールで、複数のトリミングされた画像を生成します。
クロッパーモジュールに作動可能に結合され、複数のトリミングされた画像で皮膚を代表するピクセル値を識別し、皮膚表面の皮膚ピクセル同定の出力を生み出す皮膚表面皮膚ピクセル同定モジュールモジュール;
皮膚表面の皮膚ピクセル識別モジュールに動作的に結合され、皮膚表面の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。そして
時間変動から生物学的バイタルサインの1つを生成する時間変動識別子に作動可能に結合された生物学的バイタルサインジェネレータで、生物学的バイタルサインは表面温度であり、生物学的バイタルサインは表面温度であり、生物学的バイタルサインはキャリブレーション補正および電圧補正された表面温度をボディコア温度と電圧補正された周囲温度に相関させるメモリに格納されている複数のテーブルを参照して生成されます。そして
本体コア温度を表示するように構成された生物学的バイタルサインジェネレータに動作的に結合された表示装置。
マイクロプロセッサに動作的に結合されたメモリ、データを格納するメモリ、およびキャリブレーション修正された表面温度をボディコア温度と電圧補正に相関させるデータを提供するメモリ周囲温度;
マイクロプロセッサに動作的に結合され、生物学的バイタルサインの表現を送信するように構成された無線通信サブシステム。そして
デジタル赤外線センサは、さらにアナログからデジタルへのコンバータを備えるマイクロプロセッサに動作的に結合されたデジタル赤外線センサです。
【請求項１８７０】
クレーム1869の生物学的バイタルサインを伝達する装置は、ここで、地域の顔面クラスタモジュールがさらに含まれる:ファジークラスタ。
【請求項１８７１】
クレーム1869の生物学的バイタルサインを伝達する装置は、ここで、地域の顔面クラスタモジュールがさらに含まれる:Kクラスタを含む。
【請求項１８７２】
クレーム1869の生物学的バイタルサインを伝達する装置は、ここで、地域の顔面クラスターモジュールがさらに含まれる:期待-最大化剤。
【請求項１８７３】
クレーム1869の生物学的バイタルサインを伝達する装置は、ここで、地域の顔面クラスタモジュールをさらに含む:シードポイントベースのクラスタリング装置。
【請求項１８７４】
クレーム1869の生物学的バイタルサインを伝える装置は、さらに生物学的バイタルサインジェネレータに作動可能に結合され、揮発性メモリに生物学的バイタルサインを格納するように構成された記憶装置を含む。
【請求項１８７５】
クレーム1869の生物学的バイタルサインを伝える装置は、生物学的バイタルサインジェネレータに作動可能に結合され、生物学的バイタルサインを不揮発性メモリに格納するように構成された記憶装置をさらに含む。
【請求項１８７６】
クレーム1869の生物学的バイタルサインを伝える装置は、さらに生物学的バイタルサインジェネレータに作動可能に結合され、生物学的バイタルサインを別の装置に伝達するように構成された記憶装置を含む。
【請求項１８７７】
生物学的バイタルサインが血圧をさらに含む1869の生物学的バイタルサインを伝達する装置。
【請求項１８７８】
生物学的バイタルサインが呼吸をさらに含む1869の生物学的バイタルサインを伝達する装置。
【請求項１８７９】
本装置は、生物学的バイタルサインがさらにパルスを含む1869の請求項の生物学的バイタルサインを伝達する。
【請求項１８８０】
クレーム1869の生物学的バイタルサインを伝える装置は、さらにマイクロプロセッサに動作的に結合され、メモリを介してマイクロプロセッサに複数の画像をキャプチャするように構成されたカメラを含む。
【請求項１８８１】
クレーム1869の生物学的バイタルサインを伝える装置は、さらにマイクロプロセッサに動作的に結合されたデジタル赤外線センサ、デジタル読み出しポートのみを有するデジタル赤外線センサ、デジタル赤外線センサを含むアナログセンサーの読み出しポートを持たない、単一のサーモパイルセンサを取り囲むファラデーケージ、中央処理装置および制御ブロックを含むデジタル赤外線センサー。
【請求項１８８２】
クレーム1881の生物学的バイタルサインを伝達する装置は、さらに含む:
前述のマイクロプロセッサは、デジタル赤外線センサとマイクロプロセッサによって検出される表面温度の赤外線信号を代表するデジタル信号を複数のデジタル読み出しポートから受信するように構成されている。表面温度を体心温度に相関させるメモリに格納された複数のテーブルを基準にして、赤外線信号を代表するデジタル信号から本体コア温度を推定するように構成される。
【請求項１８８３】
請求項1869の生物学的バイタルサインを伝達する装置は、さらに含む:
アナログからデジタルへのコンバータはありません。
【請求項１８８４】
生物学的バイタルサインがさらに血流を含み、生物学的バイタルサインジェネレータが経時的に分析する血流分析モジュールを含む、請求項1869の生物学的バイタルサインを伝達する装置複数の画像の皮膚における運動変化および色変化を識別するバリエーションは、血液の流れのパターンを生成する。
【請求項１８８５】
クレーム1884の生物学的バイタルサインを伝える装置は、さらに、生物学的バイタルサインジェネレータに作動可能に結合され、作動可能に連結された血流表示モジュールを含む、ディスプレイ装置上の血液。
【請求項１８８６】
生物学的バイタルサインがさらに心拍数を含み、生物学的バイタルサインジェネレータが時間変動を分析する心拍数分析モジュールを含む、請求項1869の生物学的バイタルサインを伝達する装置心拍数を生成する。
【請求項１８８７】
心拍の周波数範囲における時間変動の周波数スペクトルから心拍数が生成される請求項1886の生物学的バイタルサインを伝える装置。
【請求項１８８８】
生物学的バイタルサインが総ヘモグロビン(SpHb)、メテモグロビン(SpMet)、音響呼吸率(RRa)、カルボキシヘモグロビン(SpCO)および酸素予備指数をさらに含む、請求項1869の生物学的バイタルサインを伝達する装置(ORi)を使用します。
【請求項１８８９】
生物学的バイタルサインを伝える装置1869を伝える装置は、第2の装置によって知られている第2の装置によって検証され、第2の装置によって転送が可能とされる。第2の装置への情報。
【請求項１８９０】
無線通信サブシステムを介して生物学的バイタルサインを伝えるために装置から接続が確立され、体のコア温度が押し出される請求項1869の生物学的バイタルサインを伝える装置、その後、外部装置は、生物学的バイタルサインと外部デバイスとの間の体心温度の流れを制御し、ここで接続はさらに認証された通信チャネルを含む。
【請求項１８９１】
無線通信サブシステムがインターネットプロトコルトンネルを介して送信するクレーム1869の生物学的バイタルサインを通信する装置。
【請求項１８９２】
クレーム1869の生物学的バイタルサインを伝達する装置は、ここで、無線通信サブシステムは、さらにd食べ物および時間の表現を送信するように構成された構成要素を含む、オペレータ識別、患者生物学的バイタルサインを伝える装置の識別、製造業者およびモデル番号。
【請求項１８９３】
体のコア温度を推定する装置、以下を含む装置を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、複数の画像をメモリにキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュールと、生成する信号処理モジュールに作動可能に結合された生物学的バイタルサインジェネレータ時間的変動からの人間の重要な徴候;
マイクロプロセッサに動作的に結合され、人間のバイタルサインの表現を送信するように構成された無線通信サブシステム。そして
デジタル赤外線センサがアナログからデジタルへのコンバータをさらに構成するマイクロプロセッサに動作的に結合されたデジタル赤外線センサ。そして
人間のバイタルサインを表示するマイクロプロセッサに動作的に結合された表示装置。
【請求項１８９４】
クレーム1893の装置は、前述の信号処理モジュールが、複数の画像間の画素値の変動を増幅するようにさらに構成される。
【請求項１８９５】
クレーム1893の装置は、前述の信号処理モジュールが一時的処理を行うためにさらに構成される。
【請求項１８９６】
クレーム1895の装置は、前述の時間処理は、さらにバンドパスフィルタを含む。
【請求項１８９７】
クレーム1896の装置は、バンドパスフィルタが時間の経過とともに周波数を分析するように構成されている。
【請求項１８９８】
請求項1893の装置は、前述の信号処理を適用する空間処理を含む。
【請求項１８９９】
無線通信サブシステムが短距離無線通信経路を介して送信する請求1893の装置。
【請求項１９００】
クレーム1893の装置は、本装置が第2の装置によって知られているように第2の装置によって検証され、第2の装置によって第2の装置によって第2の装置に情報を転送することを可能とするようにする。
【請求項１９０１】
クレーム1893の装置は、接続が確立され、無線通信サブシステムを介して装置から本体コア温度を押し出し、その後、外部装置が間の体心温度の流れを制御する。装置および外部装置は、前述の接続がさらに認証された通信チャネルを含む。
【請求項１９０２】
クレーム1893の装置は、無線通信サブシステムがインターネットプロトコルトンネルを介して送信する。
【請求項１９０３】
クレーム1893の装置は、無線通信サブシステムがさらにd食べ物と時間、オペレータ識別、患者識別、製造業者およびモデル番号の表現を送信するように構成されたコンポーネントを含む装置の。
【請求項１９０４】
本体コア温度を推定する装置、以下を含む装置を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、本体コア温度の表現を送信するように構成された無線通信サブシステム、
デジタル赤外線センサは、アナログからデジタルへのコンバータをさらに備えています。そして
マイクロプロセッサに動作的に結合された表示装置、
前述のマイクロプロセッサは、デジタル読み出しポートから受信するように構成され、デジタル赤外線センサによって検出された表面温度の赤外線信号を代表するデジタル信号を、マイクロプロセッサはキャリブレーション補正および電圧補正された表面温度を相関させるメモリに格納されている複数のテーブルを参照して、赤外線信号を代表するデジタル信号からボディコア温度を推定するボディコア温度と電圧補正された周囲温度と、複数の画像を受信するように構成され、画像の境界領域を除外するように画像をトリミングするように構成されたクロッパーモジュールを含むマイクロプロセッサは、複数のトリミングされた画像は、マイクロプロセッサはまた、時間変動を生成するように構成された複数のトリミングされた画像の時間変動増幅器を含み、マイクロプロセッサはまた、生物学的バイタルサインジェネレータを含む。時間変動から生物学的に重要な兆候を生成するように構成された時間変動アンプにオペラ的に結合され、マイクロプロセッサも生物学的バイタルサインジェネレータに作動可能に結合される。
【請求項１９０５】
クレーム1904の装置は、前述の時間変動増幅器は、さらに皮膚表面皮膚画素同定モジュールを含む。
【請求項１９０６】
クレーム1904の装置は、前述の時間変動増幅器は、さらに地域的な顔面クラスタモジュールを含む。
【請求項１９０７】
クレーム1904の装置は、前述の時間変動増幅器は、さらに第1の周波数フィルタモジュールを含む。
【請求項１９０８】
クレーム1904の装置は、さらに黒体で再校正されず、さらに低ノイズ増幅器を含むデジタル赤外線センサを含み、低ノイズ増幅器をアナログからデジタルコンバータに作動可能に結合し、アナログからデジタルへのコンバータは、デジタル信号プロセッサに動作的に結合され、デジタル信号プロセッサはパルス幅変調器に動作的に結合されています。
【請求項１９０９】
請求項1904の装置は、生物学的バイタルサインジェネレータに作動可能に結合され、生物学的バイタルサインを別の装置に送信するように構成された記憶装置をさらに含む。
【請求項１９１０】
無線通信サブシステムが短距離無線通信経路を介して送信する請求1904の装置。
【請求項１９１１】
クレーム1904の装置は、本装置が第2の装置によって知られているように第2の装置によって検証され、第2の装置によって第2の装置によって第2の装置に情報を転送することを可能とするようにする。
【請求項１９１２】
クレーム1904の装置は、接続が確立され、無線通信サブシステムを介して装置から本体コア温度を押し出し、その後、外部装置が間の体心温度の流れを制御する。装置および外部装置は、前述の接続がさらに認証された通信チャネルを含む。
【請求項１９１３】
請求1904の装置は、無線通信サブシステムがインターネットプロトコルトンネルを介して送信する。
【請求項１９１４】
クレーム1904の装置は、無線通信サブシステムがさらにd食べ物と時間、オペレータ識別、患者識別、製造業者およびモデル番号の表現を送信するように構成されたコンポーネントを含む装置の。
【請求項１９１５】
請求項1904の装置はさらに含む:
ボタンがマイクロプロセッサに接続されていない。
【請求項１９１６】
装置を含む:
以下を含む最初の回路基板:
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、本体コア温度の表現を送信するように構成されたワイヤレス通信サブシステム。
マイクロプロセッサに動作的に結合された最初のデジタルインターフェイス。
スマートフォンの2番目の回路基板:
2 番目のデジタル インターフェイス、2番目のデジタル インターフェイスは、最初のデジタル インターフェイスに動作的に結合されます。そして
第2のデジタルインターフェイスに動作的に結合されたデジタル赤外線センサ、デジタル読み出し信号のみを提供するポートを持つデジタル赤外線センサ、単一のサーモパイルセンサを取り囲むファラデーケージを含むデジタル赤外線センサ、中央処理装置および制御ブロック、
マイクロプロセッサは、デジタル赤外線センサのポートから受信するように構成され、デジタル赤外線センサによって生成される表面温度の赤外線信号を代表するデジタル読み出し信号とマイクロプロセッサは、表面温度を相関させるメモリに格納されている複数のテーブルを参照して赤外線信号を代表するデジタル読み出し信号から体のコア温度を推定するように構成される。キャリブレーション補正と電圧補正を本体コア温度と電圧補正周囲温度に対して、
デジタル赤外線センサとマイクロプロセッサの間にアナログ/デジタルコンバータが動作的に結合されていない場合、
前に、無線通信サブシステムは、さらに、装置のdateおよび時間、オペレータ識別、患者識別、製造業者およびモデル番号の表現を送信するように構成された構成要素を含む。
【請求項１９１７】
クレーム1916の装置は、表示装置がさらに含まれます:
ボディコア温度が良好であることを示すように設定された緑色の信号。
ボディコア温度が低いことを示すように設定されたオレンジ色の信号。そして
ボディコア温度が高いことを示すように設定された赤信号。
【請求項１９１８】
クレーム1916の装置はさらに含む:アナログセンサ読み出しポートを持たないデジタル赤外線センサ。
【請求項１９１９】
クレーム1916の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間的変動を生成するように構成された複数のトリミングされた画像の一時的変動増幅器を含む、マイクロプロセッサはまた、動作的に結合された生物学的重要な標識ジェネレータを含む時間変動とマイクロプロセッサから生物学的に重要な兆候を生成するように構成された時間変動アンプも、生物学的バイタルサインジェネレータに作動可能に結合する。
【請求項１９２０】
クレーム1919の装置は、前述の時間変動増幅器は、さらに皮膚表面皮膚画素同定モジュールを含む。
【請求項１９２１】
クレーム1919の装置は、前述の時間変動増幅器は、さらに地域的な顔面クラスタモジュールを含む。
【請求項１９２２】
クレーム1919の装置は、前述の時間変動増幅器は、さらに第1の周波数フィルタモジュールを含む。
【請求項１９２３】
クレーム1919の装置は、さらに黒体で再校正されず、さらに低ノイズ増幅器を含むデジタル赤外線センサを含み、低ノイズ増幅器がアナログからデジタルコンバータに動作的に結合され、アナログからデジタルへのコンバータは、デジタル信号プロセッサに動作的に結合され、デジタル信号プロセッサはパルス幅変調器に動作的に結合されています。
【請求項１９２４】
クレーム1919の装置は、生物学的バイタルサインジェネレータに作動可能に結合され、生物学的バイタルサインを不揮発性メモリに格納するように構成された記憶装置をさらに含む。
【請求項１９２５】
クレーム1919の装置は、生物学的バイタルサインジェネレータに作動可能に結合され、生物学的バイタルサインを別の装置に送信するように構成された記憶装置をさらに含む。
【請求項１９２６】
無線通信サブシステムが短距離無線通信経路を介して送信する請求1916の装置。
【請求項１９２７】
クレーム1916の装置は、本装置が第2の装置によって知られているように第2の装置によって検証され、第2の装置によって第2の装置によって第2の装置に情報を転送することを可能とするようにする。
【請求項１９２８】
クレーム1916の装置は、接続が確立され、無線通信サブシステムを介して装置から本体コア温度を押し出し、その後、外部装置が間の体心温度の流れを制御する。装置および外部装置は、前述の接続がさらに認証された通信チャネルを含む。
【請求項１９２９】
クレーム1916の装置は、デジタル赤外線センサがさらにアナログからデジタルへのコンバータを含む。
【請求項１９３０】
クレーム1916の装置は、無線通信サブシステムがインターネットプロトコルトンネルを介して送信する。
【請求項１９３１】
体のコア温度を推定する装置、以下を含む装置を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、本体コア温度の表現を送信するように構成されたワイヤレス通信サブシステム。
マイクロプロセッサに動作的に結合され、マイクロプロセッサに複数の画像を提供するように構成されたカメラ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサ単一の熱杭センサー、中央処理装置および制御ブロックを取り囲むファラデーケージを含むデジタル赤外線センサー;そして
マイクロプロセッサに動作的に結合された表示装置、
前述のマイクロプロセッサは、デジタル読み出しポートから受信するように構成され、デジタル赤外線センサによって検出された表面温度の赤外線信号を代表するデジタル信号を、マイクロプロセッサは赤外線信号を代表するデジタル信号から本体コア温度を推定し、
前に、無線通信サブシステムは、さらに、装置のdateおよび時間、オペレータ識別、患者識別、製造業者およびモデル番号の表現を送信するように構成された構成要素を含む。
【請求項１９３２】
クレーム1931の装置は、表示装置をさらに含む:
ボディコア温度が良好であることを示すように設定された緑色の信号。
ボディコア温度が低いことを示すように設定されたオレンジ色の信号。そして
ボディコア温度が高いことを示すように設定された赤信号。
【請求項１９３３】
クレーム1931の装置は、マイクロプロセッサがさらに複数の画像の画素値を調知するように構成されたピクセル検査モジュールを含む、時間変動モジュールとの間のピクセル値の時間変動を決定する。特定の閾値を下回る複数の画像、増幅時間変動をもたらす時間変動を増幅するように構成された信号処理モジュール、及びビジュヤライザーが中の血液の流れのパターンを可視化する複数の画像における増幅時間変動。
【請求項１９３４】
クレーム1931の装置はさらに含む:アナログセンサ読み出しポートを持たないデジタル赤外線センサ。
【請求項１９３５】
無線通信サブシステムが短距離無線通信経路を介して送信する請求1931の装置。
【請求項１９３６】
クレーム1931の装置は、本装置が第2の装置によって知られているように第2の装置によって検証され、第2の装置によって第2の装置によって第2の装置に情報を転送することを可能とするようにする。
【請求項１９３７】
クレーム1931の装置は、接続が確立され、無線通信サブシステムを介して装置から本体コア温度を押し出し、その後、外部装置が間の体心温度の流れを制御する。装置および外部装置は、前述の接続がさらに認証された通信チャネルを含む。
【請求項１９３８】
クレーム1931の装置は、デジタル赤外線センサがさらにアナログからデジタルへのコンバータを含む。
【請求項１９３９】
クレーム1931の装置は、無線通信サブシステムがインターネットプロトコルトンネルを介して送信する。
【請求項１９４０】
本体コア温度を推定する装置、以下を含む装置を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、本体コア温度の表現を送信するように構成されたワイヤレス通信サブシステム。
マイクロプロセッサに動作的に結合され、マイクロプロセッサに複数の画像を提供するように構成されたカメラ。
デジタル赤外線センサとマイクロプロセッサの間にアナログ/デジタルコンバータが動作的に結合されていないマイクロプロセッサに動作的に結合されたデジタル赤外線センサ、デジタル読み出しポートのみを備えたデジタル赤外線センサアナログセンサーの読み出しポートを持たないデジタル赤外線センサ、単一のサーモパイルセンサーを取り囲むファラデーケージを含むデジタル赤外線センサ、中央処理装置、制御ブロック。そして
マイクロプロセッサに動作的に結合された表示装置、
前述のマイクロプロセッサは、デジタル読み出しポートから受信するように構成され、デジタル赤外線センサによって検出された表面温度の赤外線信号を代表するデジタル信号を、マイクロプロセッサは赤外線信号を代表するデジタル信号から本体コア温度を推定し、
前に、無線通信サブシステムは、さらに、装置のdateおよび時間、オペレータ識別、患者識別、製造業者およびモデル番号の表現を送信するように構成された構成要素を含む。
【請求項１９４１】
クレーム1940の装置は、前述の表示装置をさらに含む:
ボディコア温度が良好であることを示すように設定された緑色の信号。
ボディコア温度が低いことを示すように設定されたオレンジ色の信号。そして
ボディコア温度が高いことを示すように設定された赤信号。
【請求項１９４２】
クレーム1940の装置は、マイクロプロセッサがさらに複数の画像の画素値を調知するように構成されたピクセル検査モジュールを含む、時間変動モジュールとの間のピクセル値の時間変動を決定する。特定の閾値を下回る複数の画像、増幅時間変動をもたらす時間変動を増幅するように構成された信号処理モジュール、及びビジュヤライザーが中の血液の流れのパターンを可視化する複数の画像における増幅時間変動。
【請求項１９４３】
請求項1940の装置はさらに含む:
マイクロプロセッサ、マイクロプロセッサに動作的に結合されたバッテリ、表示装置およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項１９４４】
無線通信サブシステムが短距離無線通信経路を介して送信する請求1940の装置。
【請求項１９４５】
クレーム1940の装置は、本装置が第2の装置によって知られているように第2の装置によって検証され、第2の装置によって第2の装置によって第2の装置に情報を転送することを可能とするようにする。
【請求項１９４６】
クレーム1940の装置は、接続が確立され、無線通信サブシステムを介して装置から本体コア温度を押し出し、その後、外部装置が間の体心温度の流れを制御する。装置および外部装置は、前述の接続がさらに認証された通信チャネルを含む。
【請求項１９４７】
クレーム1940の装置は、デジタル赤外線センサがさらにアナログからデジタルへのコンバータを含む。
【請求項１９４８】
クレーム1940の装置は、無線通信サブシステムがインターネットプロトコルトンネルを介して送信する。
【請求項１９４９】
生物学的バイタルサインを伝達する装置、生物学的バイタルサインを含む生物学的バイタルサインを伝達する装置:
フォトプレチスモグラムセンサー;
マイクロダイナミックライト散乱センサ。
実行するようにプログラムされたマイクロプロセッサ:
複数の画像を受信するように構成され、複数の画像のそれぞれをトリミングして画像の境界線領域を除外するように構成されたクロッパーモジュールで、複数のトリミングされた画像を生成します。
クロッパーモジュールに作動可能に結合され、複数のトリミングされた画像で皮膚を代表するピクセル値を識別し、皮膚表面の皮膚ピクセル同定の出力を生み出す皮膚表面皮膚ピクセル同定モジュールモジュール;
皮膚表面の皮膚ピクセル識別モジュールに動作的に結合され、皮膚表面の皮膚ピクセル識別モジュールの出力を処理する空間バンドパスフィルタ。
空間バンドパス フィルタに動作的に結合され、空間バンドパスフィルタの出力に適用される空間クラスタを含む地域の顔クラスタ モジュール。
地域の顔クラスタモジュールに動作的に結合され、地域の顔クラスタモジュールの出力に適用される時間バンドパスフィルタ。
時間バンドパスフィルタに動作的に結合され、時間バンドパスフィルタの出力の時間変動を識別する時間変動識別子。
時間変動から推定表面温度を生成する時間変動識別子に作動可能に結合された生物学的バイタルサインジェネレータで、生物学的バイタルサインは体のコア温度と体のコア温度であるキャリブレーション補正および電圧補正された推定表面温度をボディコア温度と電圧補正された周囲温度に相関させるメモリに格納されている複数のテーブルを参照して推定されます。そして
生物学的バイタルサインを表示するように構成された生物学的バイタルサインジェネレータに動作的に結合された表示装置;
マイクロプロセッサに動作的に結合されたメモリ、データを格納するメモリ、および推定表面温度を体のコア温度に関連付けるデータを提供するメモリ。そして
マイクロプロセッサに動作的に結合され、生物学的バイタルサインの表現を送信するように構成された無線通信サブシステム、
前に無線通信サブシステムは、さらに、通信する装置のd ateおよび時間、オペレータ識別、患者識別、製造業者およびモデル番号の表現を送信するように構成されたコンポーネントを含む生物学的バイタルサイン.
【請求項１９５０】
クレーム1949の生物学的バイタルサインを伝達する装置は、ここで、地域の顔面クラスタモジュールがさらに含まれる:ファジークラスタ。
【請求項１９５１】
クレーム1949の生物学的バイタルサインを伝達する装置は、ここで、地域の顔面クラスタモジュールがさらに含まれる:Kクラスタラー。
【請求項１９５２】
クレーム1949の生物学的バイタルサインを伝達する装置は、ここで、地域の顔面クラスターモジュールがさらに含まれる:期待-最大化剤。
【請求項１９５３】
クレーム1949の生物学的バイタルサインを伝達する装置は、ここで、地域の顔面クラスタモジュールをさらに含む:シードポイントベースのクラスタリング装置。
【請求項１９５４】
クレームの生物学的バイタルサインを伝える装置1949年は、さらに黒体で再校正されず、さらに低ノイズ増幅器を含むデジタル赤外線センサを含み、低ノイズ増幅器が作動可能に結合され、アナログからデジタルへのコンバータ、アナログからデジタルへのコンバータは、デジタル信号プロセッサに動作的に結合され、デジタル信号プロセッサはパルス幅変調器に動作的に結合されています。
【請求項１９５５】
クレーム1949の生物学的バイタルサインを伝える装置は、さらに生物学的バイタルサインジェネレータに作動可能に結合され、生物学的バイタルサインを不揮発性メモリに格納するように構成された記憶装置を含む。
【請求項１９５６】
クレーム1949の生物学的バイタルサインを伝える装置は、さらに生物学的バイタルサインジェネレータに作動可能に結合され、生物学的バイタルサインを別の装置に伝達するように構成された記憶装置を含む。
【請求項１９５７】
生物学的バイタルサインが血圧をさらに含む1949年の請求項の生物学的バイタル徴候を伝達する装置。
【請求項１９５８】
生物学的バイタルサインが呼吸をさらに含む1949年の請求項の生物学的バイタルサインを伝達する装置。
【請求項１９５９】
本装置は、生物学的バイタルサインがさらにパルスを含む1949年の請求項の生物学的バイタルサインを伝達する。
【請求項１９６０】
クレーム1949の生物学的バイタルサインを伝える装置は、さらにマイクロプロセッサに動作的に結合され、メモリを介してマイクロプロセッサに複数の画像をキャプチャするように構成されたカメラを含む。
【請求項１９６１】
クレームの生物学的バイタルサインを伝える装置 1949 さらに、マイクロプロセッサに動作的に結合されたデジタル赤外線センサ、デジタル読み出しポートのみを持つデジタル赤外線センサ、デジタル赤外線センサを含むアナログセンサーの読み出しポートを持たない、単一のサーモパイルセンサを取り囲むファラデーケージ、中央処理装置および制御ブロックを含むデジタル赤外線センサー。
【請求項１９６２】
請求項1961の生物学的バイタルサインを伝達する装置は、さらに含む:
前述のマイクロプロセッサは、デジタル赤外線センサとマイクロプロセッサによって検出される推定表面温度の赤外線信号を代表するデジタル信号を複数のデジタル読み出しポートから受信するように構成される。は、赤外線信号を代表するデジタル信号から本体コア温度を推定するように構成されています。
【請求項１９６３】
クレーム1949の生物学的バイタルサインを伝達する装置は、さらに含む:
アナログからデジタルへのコンバータはありません。
【請求項１９６４】
生物学的バイタルサインがさらに血流を含む1949年の生物学的バイタルサインを伝達する装置は、さらに時間変動を分析する血流分析モジュールを含む。複数の画像の皮膚の運動変化および色変化を同定し、血液の流れのパターンを生成する。
【請求項１９６５】
クレーム1964の生物学的バイタルサインを伝える装置は、さらに、生物学的バイタルサインジェネレータに作動可能に結合され、作動可能に連結された血流表示モジュールを含む、ディスプレイ装置上の血液。
【請求項１９６６】
生物学的バイタルサインがさらに心拍数を含み、生物学的バイタルサインジェネレータが時間変動を分析する心拍数分析モジュールを含む1949年の請求項の生物学的バイタルサインを伝達する装置心拍数を生成する。
【請求項１９６７】
心拍の周波数範囲における時間変動の周波数スペクトルから心拍数が生成される請求項1966の生物学的バイタルサインを伝える装置。
【請求項１９６８】
生物学的バイタルサインが総ヘモグロビン(SpHb)、メテモグロビン(SpMet)、音響呼吸率(RRa)、カルボキシヘモグロビン(SpCO)および酸素予備指数をさらに含む1949年の生物学的バイタルサインを伝達する装置(ORi)。
【請求項１９６９】
生物学的バイタルサインを伝える装置1949の生物学的バイタルサインを伝える装置は、第2の装置によって知られている第2の装置によって検証され、第2の装置によって転送が可能とされる。第2の装置への情報。
【請求項１９７０】
1949年にクレームの生物学的バイタルサインを伝える装置で、接続が確立され、体のコア温度が無線通信サブシステムを介して生物学的バイタルサインを伝達するために装置から押し出され、その後、外部装置は、生物学的バイタルサインと外部デバイスとの間の体心温度の流れを制御し、ここで接続はさらに認証された通信チャネルを含む。
【請求項１９７１】
請求項1961の生物学的バイタルサインを伝達する装置は、デジタル赤外線センサがさらにアナログからデジタルへのコンバータを含む。
【請求項１９７２】
無線通信サブシステムがインターネットプロトコルトンネルを介して送信するクレーム1949の生物学的バイタルサインを通信する装置。
【請求項１９７３】
本装置は、体のコア温度を推定する装置、を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、複数の画像をメモリにキャプチャするように構成されたカメラ。
前記マイクロプロセッサは、メモリ内の複数の画像のピクセル値を調べるために構成されたピクセル検査モジュールを含む、との間のピクセル値の時間変動を決定するように構成された時間変動モジュールである。複数の画像、増幅された時間変動をもたらす時間変動を増幅するように構成された信号処理モジュールと、を生成する信号処理モジュールに作動可能に結合された生物学的バイタルサインジェネレータキャリブレーション補正および電圧補正された推定表面温度を推定ボディコアに相関させるメモリに格納されている複数のテーブルを参照して、時間変動からの推定体コア温度温度と電圧補正された周囲温度;
マイクロプロセッサに動作的に結合され、推定体中核温度の表現を送信するように構成された無線通信サブシステム。そして
推定体中核温度を表示するマイクロプロセッサに作動可能に結合された表示装置、
前に、無線通信サブシステムは、さらに、装置のdateおよび時間、オペレータ識別、患者識別、製造業者およびモデル番号の表現を送信するように構成された構成要素を含む。
【請求項１９７４】
クレーム1973の装置は、前述の信号処理モジュールが、複数の画像間の画素値の変動を増幅するようにさらに構成される。
【請求項１９７５】
クレーム1973の装置は、前述の信号処理モジュールが一時的処理を行うためにさらに構成される。
【請求項１９７６】
クレーム1975の装置は、前述の時間処理は、さらにバンドパスフィルタを含む。
【請求項１９７７】
クレーム1976の装置は、バンドパスフィルタが時間の経過とともに周波数を分析するように構成されている。
【請求項１９７８】
クレーム1973の装置は、前述の信号処理を適用する空間処理を含む。
【請求項１９７９】
無線通信サブシステムが短距離無線通信経路を介して送信する請求1973の装置。
【請求項１９８０】
クレーム1973の装置は、本装置が第2の装置によって知られているように第2の装置によって検証され、第2の装置によって第2の装置によって第2の装置に情報を転送することを可能とするようにする。
【請求項１９８１】
クレーム1973の装置は、接続が確立され、無線通信サブシステムを介して装置から推定体心温度が押し出され、その後、外部装置が装置間のデータの流れを制御する。と外部デバイスは、前述の接続が認証された通信チャネルをさらに含む。
【請求項１９８２】
クレーム1973の装置は、さらにマイクロプロセッサに動作的に結合されたデジタル赤外線センサを含み、ここで、デジタル赤外線センサはさらにアナログからデジタルへのコンバータを含む。
【請求項１９８３】
クレーム1973の装置は、無線通信サブシステムがインターネットプロトコルトンネルを介して送信する。
【請求項１９８４】
本体コア温度を推定する装置、以下を含む装置を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、キャリブレーション補正および電圧補正された表面温度をボディコア温度と電圧補正された周囲温度とメモリに相関させるデータを格納するメモリキャリブレーション補正および電圧補正された表面温度をボディコア温度と電圧補正周囲温度に相関させるデータを提供します。
マイクロプロセッサに動作的に結合され、マイクロプロセッサに複数の画像を提供するように構成されたカメラ。
マイクロプロセッサに動作的に結合されたデジタル赤外線センサー、デジタル読み出しポートのみを持つデジタル赤外線センサー、アナログセンサー読み出しポートを持たないデジタル赤外線センサー、ファラデーケージを含むデジタル赤外線センサー単一の熱杭センサー、中央の処理装置および制御ブロックを囲む;そして
マイクロプロセッサに動作的に結合され、本体コア温度の表現を送信するように構成されたワイヤレス通信サブシステム。そして
マイクロプロセッサに動作的に結合された表示装置、
前述のマイクロプロセッサは、デジタル読み出しポートから受信するように構成され、デジタル赤外線センサによって検出された表面温度の赤外線信号を代表するデジタル信号を、マイクロプロセッサはキャリブレーション補正および電圧補正された表面温度を相関させるメモリに格納されている複数のテーブルを参照して、赤外線信号を代表するデジタル信号からボディコア温度を推定するボディコア温度と電圧補正された周囲温度と、複数の画像を受信するように構成され、画像の境界領域を除外するように画像をトリミングするように構成されたクロッパーモジュールを含むマイクロプロセッサは、複数のトリミングされた画像は、マイクロプロセッサはまた、時間変動を生成するように構成された複数のトリミングされた画像の時間変動増幅器を含み、マイクロプロセッサはまた、生物学的バイタルサインジェネレータを含む。時間変動から生物学的に重要な兆候を生成するように構成された時間変動アンプにオペラ的に結合され、マイクロプロセッサも生物学的バイタルサインジェネレータに作動可能に結合され、
前に、無線通信サブシステムは、さらに、装置のdateおよび時間、オペレータ識別、患者識別、製造業者およびモデル番号の表現を送信するように構成された構成要素を含む。
【請求項１９８５】
クレーム1984の装置は、前述の時間変動増幅器は、さらに皮膚表面皮膚画素同定モジュールを含む。
【請求項１９８６】
クレーム1984の装置は、前述の時間変動増幅器は、さらに地域的な顔面クラスタモジュールを含む。
【請求項１９８７】
クレーム1984の装置は、前述の時間変動増幅器は、さらに第1の周波数フィルタモジュールを含む。
【請求項１９８８】
クレーム1984の装置は、さらに黒体で再校正されず、さらに低ノイズ増幅器を含むデジタル赤外線センサを含み、低ノイズ増幅器をアナログからデジタルコンバータに作動可能に結合し、アナログからデジタルへのコンバータは、デジタル信号プロセッサに動作的に結合され、デジタル信号プロセッサはパルス幅変調器に動作的に結合されています。
【請求項１９８９】
請求項1984の装置は、生物学的バイタルサインジェネレータに作動可能に結合され、生物学的バイタルサインを別の装置に送信するように構成された記憶装置をさらに含む。
【請求項１９９０】
無線通信サブシステムが短距離無線通信経路を介して送信する請求1984の装置。
【請求項１９９１】
クレーム1984の装置は、本装置が第2の装置によって知られているように第2の装置によって検証され、第2の装置によって第2の装置によって第2の装置に情報を転送することを可能とするようにする。
【請求項１９９２】
クレーム1984の装置は、接続が確立され、無線通信サブシステムを介して装置からデータがプッシュされ、その後、外部装置が装置と外部装置との間のデータの流れを制御し、接続は、さらに認証された通信チャネルを含みます。
【請求項１９９３】
請求1984の装置は、デジタル赤外線センサがさらにアナログからデジタルへのコンバータを含む。
【請求項１９９４】
クレーム1984の装置は、無線通信サブシステムがインターネットプロトコルトンネルを介して送信する。
【請求項１９９５】
請求項1984の装置はさらに含む:
ボタンがマイクロプロセッサに接続されていない。
【請求項１９９６】
体のコア温度を推定する装置、以下を含む装置を含む。
フォトプレチスモグラムセンサー;
マイクロダイナミックライト散乱センサ。
マイクロプロセッサは、フォトプレチスモグラムセンサを作動可能に結合し、マイクロダイナミック光散乱センサに作動可能に結合し、マイクロプロセッサは、フォトプレチスモグラムセンサからのデータからSpO2血液酸素化を推定するように構成され、呼吸率は、マイクロダイナミック光散乱センサからのデータから推定されます。
マイクロプロセッサに動作的に結合されたメモリ、表面温度をボディコア温度に相関させるデータを格納するメモリ、およびキャリブレーション補正された表面温度を相関するデータを提供するメモリと、ボディコア温度と電圧補正周囲温度に対する電圧補正。そして
マイクロプロセッサに動作的に結合されたデジタル赤外線センサ、単一のサーモパイルセンサを取り囲むファラデーケージを含むデジタル赤外線センサ、中央処理装置および制御ブロック、
前述のマイクロプロセッサは、デジタル赤外線センサから受信するように構成され、デジタル赤外線センサによって検出された表面温度の赤外線信号を代表するデジタル信号を、マイクロプロセッサは、キャリブレーション補正された表面温度を相関させる別のメモリに格納されている複数のテーブルを参照して、赤外線信号を代表するデジタル信号から本体コア温度を推定し、ボディコア温度と電圧補正周囲温度に電圧補正。
【請求項１９９７】
クレーム1996の装置は、さらにマイクロプロセッサに動作的に結合された表示装置を含み、ここで表示装置はさらに、以下を含む。
ボディコア温度が良好であることを示すように設定された緑色の信号。
ボディコア温度が低いことを示すように設定されたオレンジ色の信号。そして
ボディコア温度が高いことを示すように設定された赤信号。
【請求項１９９８】
クレーム1996の装置は、さらに含むマイクロプロセッサ:
マイクロプロセッサに動作的に結合され、マイクロプロセッサに複数の画像を提供するように構成されたカメラ。そして
複数の画像のピクセル値を調べるために構成されたピクセル検査モジュール、特定の閾値を下回る複数の画像間のピクセル値の時間変動を決定する時間変動モジュール、信号処理増幅された時間変動をもたらす時間変動を増幅するように構成されたモジュールと、複数の画像における増幅時間変動における血液の流れのパターンを可視化するビジュアライザー。
【請求項１９９９】
クレーム1996の装置はさらに含む:アナログセンサーの読み出しポートを有しないデジタル赤外線センサ。
【請求項２０００】
無線通信サブシステムがマイクロプロセッサに作動可能に結合され、無線通信サブシステムが短距離無線を介して本体コア温度の表現を送信するように構成されているクレーム1996の装置通信パス。
【請求項２００１】
クレーム2000の装置は、本装置が第2の装置によって知られているように第2の装置によって検証され、第2の装置によって第2の装置によって許可され、第2の装置に情報を転送することを可能にする。
【請求項２００２】
クレーム2000の装置は、接続が確立され、本体コア温度が無線通信サブシステムを介して装置から押し出され、その後、外部装置が間の体心温度の流れを制御する。装置および外部装置は、前述の接続がさらに認証された通信チャネルを含む。
【請求項２００３】
請求項2000の装置は、デジタル赤外線センサがさらにアナログからデジタルへのコンバータを含む。
【請求項２００４】
クレーム2000の装置は、無線通信サブシステムがさらにd食べ物と時間、オペレータ識別、患者識別、製造業者およびモデル番号の表現を送信するように構成されたコンポーネントを含む装置の。
【請求項２００５】
無線通信サブシステムがインターネットプロトコルトンネルを介して送信する請求項2000の装置。
【請求項２００６】
請求1996の装置はさらに含む:
マイクロプロセッサに動作的に結合され、マイクロプロセッサに複数の画像を提供するように構成されたカメラ。そして
複数の画像を受信するように構成されたクロッパーモジュールを含むマイクロプロセッサと、複数の画像の境界領域を除外するように複数の画像をトリミングするように構成され、複数のトリミングされた画像を生成し、マイクロプロセッサも時間的変動を生成するように構成された複数のトリミングされた画像の一時的変動増幅器を含む、マイクロプロセッサはまた、動作的に結合された生物学的重要な標識ジェネレータを含む時間変動とマイクロプロセッサから生物学的に重要な兆候を生成するように構成された時間変動アンプも、生物学的バイタルサインジェネレータに作動可能に結合する。
【請求項２００７】
クレーム2006の装置は、前述の時間変動増幅器は、さらに皮膚表面皮膚画素同定モジュールを含む。
【請求項２００８】
クレーム2006の装置は、前述の時間変動増幅器は、さらに地域的な顔面クラスタモジュールを含む。
【請求項２００９】
クレーム2006の装置は、前述の時間変動増幅器は、さらに第1の周波数フィルタモジュールを含む。
【請求項２０１０】
クレーム2006の装置は、さらに黒体で再校正されず、さらに低ノイズ増幅器を含むデジタル赤外線センサを含み、低ノイズ増幅器をアナログからデジタルコンバータに動作的に結合し、アナログからデジタルへのコンバータは、デジタル信号プロセッサに動作的に結合され、デジタル信号プロセッサはパルス幅変調器に動作的に結合されています。
【請求項２０１１】
クレーム2006の装置は、生物学的バイタルサインジェネレータに作動可能に結合され、生物学的バイタルサインを不揮発性メモリに格納するように構成された記憶装置をさらに含む。
【請求項２０１２】
クレーム2006の装置は、生物学的バイタルサインジェネレータに作動可能に結合され、生物学的バイタルサインを別の装置に送信するように構成された記憶装置をさらに含む。
【請求項２０１３】
請求項2006の装置は、生物学的生命徴候がさらに含まれる:パルス。
【請求項２０１４】
クレーム1996の装置はさらに含まれています:デジタル読み出しポートのみを有するデジタル赤外線センサ。
【請求項２０１５】
クレーム1996の装置はさらに含む:アナログセンサーの読み出しポートを持たないデジタル赤外線センサ。
【請求項２０１６】
請求項2006の装置はさらに含む:
以下を含む最初の回路基板:
マイクロプロセッサ、バッテリー、ディスプレイデバイス、およびマイクロプロセッサに動作的に結合された最初のデジタルインターフェイス。そして
スマートフォンの2番目の回路基板:
デジタル赤外線センサー;そして
2 番目のデジタル インターフェイス、2番目のデジタル インターフェイスは、第 1 のデジタル インターフェイスに動作的に結合され、2 番目のデジタル インターフェイスはデジタル赤外線センサーに動作的に結合されます。
【請求項２０１７】
本体のコア温度を推定する装置によって行われるプロセスは、プロセスを含む:
赤外線センサーによる検出は、表面温度を代表する赤外線信号です。
赤外線センサーから受信する表面温度の赤外線信号を代表するデジタル信号。そして
表面温度と体のコア温度を相関させるメモリからボディコア温度を提供します。
【請求項２０１８】
本装置によって行われた請求2017のプロセスは、さらに含まれます:
カメラから複数の画像を受信する。
複数の画像のピクセル値を調べる。
特定の閾値を下回る複数の画像間のピクセル値の時間的変動を決定する。
時間変動を増幅し、増幅された時間変動をもたらす。
複数の画像における増幅時間変動における血液の流れのパターンを可視化する。
【請求項２０１９】
さらに含む装置によって行われる請求2017のプロセス:
無線通信サブシステムから本体コア温度の表現を送信すると、短距離の無線通信経路を介して送信されます。
【請求項２０２０】
さらに送信する装置によって行われる請求2019のプロセスは、以下を含む:
インターネット プロトコル トンネルを介して本体コア温度の表現を送信します。
以下を含む方法:
フォトプレチスモグラムセンサーから生データを受信する。
2つのマイクロダイナミック光散乱センサから生データを受信します。
フォトプレチスモグラムセンサーから受信した生データの分析;
マイクロダイナミック光散乱センサから受信した生データの分析。
フォトプレチスモグラムセンサーから受信した生データの分析とマイクロダイナミック光散乱センサから受信した生データの分析が、データから受信した生データの信号対雑音比が低いことを示している場合は、フォトプレチスモグラムセンサーまたはマイクロダイナミック光散乱センサから受信される生データは、方法が終了します。そして
フォトプレチスモグラムセンサーから受信した生データの分析、またはマイクロダイナミック光散乱センサから受信した生データの分析が、データから受信した生データの信号対雑音比が悪いことを示している場合は、フォトプレチスモグラムセンサまたはマイクロダイナミック光散乱センサから受信した生データは、フォトプレチスモグラムセンサーから受信した生データとマイクロから受信した生データの両方に対して波形解析を行います。ダイナミックライト散乱センサー。
【請求項２０２２】
波形解析がさらに含まれる請求項2021の方法:
心拍数および/または呼吸数の状態を示すフラグを生成します。
【請求項２０２３】
請求方法2021はさらに含む:
圧力カフから生データを受け取る;
圧力カフから受信した生データの分析。そして
圧力カフから受け取った生データを分析することから血圧(拡張期および収縮期)を示すフラグを生成する。
【請求項２０２４】
装置を含む:
フォトプレチスモグラムセンサー;
マイクロダイナミックライト散乱センサ。
空気エンジン;
空気エンジンに作動可能に結合され、空気エンジンからの空気圧に応じて膨張し収縮する袖口の膀胱;
以下を含む最初の回路基板:
最初のマイクロプロセッサ;
最初のマイクロプロセッサは、空気エンジン、カフブラド、フォトプレチスモグラムセンサー、マイクロダイナミック光散乱センサに作動可能に結合されます。そして
最初のマイクロプロセッサに動作的に結合された最初のデジタルインターフェイス。
以下を含む第2の回路基板:
2 番目のデジタル インターフェイス、2番目のデジタル インターフェイスは、最初のデジタル インターフェイスに動作的に結合されます。そして
第2のマイクロプロセッサは、第2のデジタルインターフェースに作動的に結合され、複数のバイタルサインを推定するように構成されている第2のマイクロプロセッサは、静時の心拍数がフォトプレチスモグラムセンサからのデータから推定される、呼吸速度そして、心拍変動と血圧拡張子は、マイクロダイナミック光散乱センサとフォトプレチスモグラムセンサからのデータから推定されます。
【請求項２０２５】
無線通信サブシステムが第2マイクロプロセッサに作動可能に結合され、無線通信サブシステムが短距離を介して複数のバイタルサインの表現を送信するように構成されている請求2024の装置無線通信パス。
【請求項２０２６】
接続が確立され、複数のバイタルサインが無線通信サブシステムを介して装置から押し出される請求2025の装置は、その後、外部装置との間の複数のバイタルサインの流れを制御する。装置と外部装置は、前に、接続がさらに認証された通信チャネルを含む。
【請求項２０２７】
クレーム2025の装置は、無線通信サブシステムがさらにd食べ物と時間、オペレータ識別、患者識別、製造業者およびモデル番号の表現を送信するように構成されたコンポーネントを含む装置の。
【発明の詳細な説明】
【技術分野】
【０００１】
関連アプリケーション
このアプリケーションは、2017年2月21日に出願された米国オリジナル特許アプリカティオnシリアル番号15/438,751の利益と優先順位を主張する続きです。
フィールド
【０００２】
この開示は、一般に、複数のバイタルサインを検出し、検出された複数のバイタルサインを医療記録システムに伝達することに関連する。
背景
【背景技術】
【０００３】
人間の被験者から複数のバイタルサインを捕捉する以前の技術は、問題のあるセンサーを実装し、患者にセンサーを貼り付け、重要な兆候を記録、保存、適切な当事者に転送するという点で非常に面倒でした。
【発明の概要】
【課題を解決するための手段】
【０００４】
簡単な説明
一つの側面では、デバイスは、温度、安静時の心拍数、心拍変動、呼吸、SpO2、血流、血圧、全ヘモグロビン(SpHb)、PVi、メテモグロビン(SpMet)、音響呼吸率(RRa)、カルボキシヘモグロビン(SpCO)、酸素を測定します。予備指数(ORi)、酸素含有量(SpOC)および/または人間の脳波。
【０００５】
別の側面では、本体コア温度を推定する装置には、マイクロプロセッサ、デジタル赤外線センサとデジタル赤外線センサの間で動作可能に結合されていないマイクロプロセッサに動作的に結合されたデジタル赤外線センサが含まれる。マイクロプロセッサ、単一の熱杭センサー、中央処理装置、アナログからデジタルへのコンバータおよび制御ブロックを囲むファラデーケージを含むデジタル赤外線センサー;マイクロプロセッサは、デジタル赤外線センサによって検出される額温度の赤外線信号を代表するデジタル信号をデジタル読み出しポートから受信するように構成され、マイクロプロセッサは、さらにいくつかの側面キャリブレーション補正された額の温度を相関させるメモリに格納されている複数のテーブルを参照して赤外線信号を代表するデジタル信号から体心温度を推定するように構成され、ボディコア温度と電圧補正周囲温度に電圧補正。
【０００６】
様々な範囲の装置、システム、および方法が本明細書に記載されている。この要約で説明する側面と利点に加えて、図面を参照し、次の詳細な説明を読むことによって、さらなる側面と利点が明らかになります。
【図面の簡単な説明】
【０００７】
【図１】図1は、実装に従って、電子医療記録(EMR)キャプチャシステムの概要のブロック図です。
【０００８】
【図２】図2は、相互運用性マネージャコンポーネントが中間層内のすべての通信を管理する実装に従って、EMRキャプチャシステムの装置のブロック図です。
【０００９】
【図３−１】図3-1から3-5は、実装に応じて、マルチバイタルサインスマートフォンシステムの機械的設計のアイソメ図です。
【図３−２】図3-1から3-5は、実装に応じて、マルチバイタルサインスマートフォンシステムの機械的設計のアイソメ図です。
【図３−３】図3-1から3-5は、実装に応じて、マルチバイタルサインスマートフォンシステムの機械的設計のアイソメ図です。
【図３−４】図3-1から3-5は、実装に応じて、マルチバイタルサインスマートフォンシステムの機械的設計のアイソメ図です。
【図３−５】図3-1から3-5は、実装に応じて、マルチバイタルサインスマートフォンシステムの機械的設計のアイソメ図です。
【００１０】
【図４】図4は、実装に応じて、マルチバイタルサインスマートフォンシステムのブロック図です。
【００１１】
【図５】図5は、実装に応じて、マルチバイタルサインスマートフォンシステムのブロック図です。
【００１２】
【図６】図6は、実装に応じて、マルチバイタルサインフィンガーカフスマートフォンアクセサリーのブロック図です。
【００１３】
【図７】図7は、実装に応じて、マルチバイタルサインフィンガーカフスマートフォンアクセサリーのブロック図です。
【００１４】
【図８】図8は、実装に従って、マルチバイタルサインフィンガーカフのフロントエンドのブロック図です。
【００１５】
【図９】図9は、実装に応じて、マルチバイタルサインフィンガーカフスマートフォンアクセサリーに内部的である空気システムコンポーネントのブロック図です。
【００１６】
【図１０】図10は、実装に応じて、マルチバイタルサインスマートフォンのデータフロー図です。
【００１７】
【図１１】図11は、実装に応じて、センサーからの信号品質が所定の最小閾値を下回っていることを示すマルチバイタルサインスマートフォンの表示画面です。
【００１８】
【図１２】図12は、実装に応じて、センサーからの信号品質が所定の最小閾値以上であることを示すマルチバイタルサインスマートフォンの表示画面です。
【００１９】
【図１３】図13は、実装に応じて、成功したマルチバイタルサイン測定の結果を示すマルチバイタルサインスマートフォンの表示画面です。
【００２０】
【図１４】図14は、実装に従って、赤外線センサによって感知された額の温度から体心温度を推定する装置のブロック図である。
【００２１】
【図１５】図15-20は、キャリブレーション補正された電圧補正物体温度をボディコア温度に相関させるメモリに格納されている1つ以上のテーブルから推定体中核温度を導出する装置のブロック図である。実装に従って、修正された周囲温度への参照。
【図１６】図15-20は、キャリブレーション補正された電圧補正物体温度をボディコア温度に相関させるメモリに格納されている1つ以上のテーブルから推定体中核温度を導出する装置のブロック図である。実装に従って、修正された周囲温度への参照。
【００２２】
【図１７】図17は、デジタル赤外線センサー、生物学的バイタルサインジェネレータ、時間変動増幅器を含むマルチバイタルサインスマートフォンシステムのブロック図です。
【００２３】
【図１８】図18は、実装に従って、時間変動増幅器のない無タッチ電磁センサを含むマルチバイタルサインスマートフォンシステムのブロック図です。
【００２４】
【図１９】図19は、非タッチ電磁センサを含み、固体画像トランスデューサで撮影した画像から生物学的バイタルサインを検出するマルチバイタルサインスマートフォンシステムのブロック図です。実装;
【００２５】
【図２０】図20は、実装によると、他の重要な標識検出コンポーネントを持たないデジタル赤外線センサーを含む温度計のブロック図です。
【００２６】
【図２１】図21は、実装に従って、バイタルサインの予測分析を生成する装置のブロック図である。
【００２７】
【図２２】図22は、実装に従って、デジタル赤外線センサのブロック図である。
【００２８】
【図２３】図23は、実装に応じて、相互運用デバイスマネージャのシステムのブロック図です。
【００２９】
【図２４】図24は、実装に従って指カフデータにリアルタイムの品質チェックを実行する方法のフローチャートです。
【００３０】
【図２５】図25は、実装に従って、デジタル赤外線センサから体心温度を推定する方法のフローチャートです。
【００３１】
【図２６】図26は、3色の実装に従って、体のコア温度色インジケータを表示する方法のフローチャートです。
【００３２】
【図２７】図27は、実装に応じて、デジタル赤外線センサを搭載したマルチバイタルサインスマートフォンシステムで電力を管理する方法のフローチャートです。
【００３３】
【図２８】図28は、実装に従って、赤外線センサによって感知された額の温度から体心温度を推定する方法のフローチャートです。
【００３４】
【図２９】図29は、校正された物体温度を補正された周囲を参照してボディコア温度に相関するメモリに格納されている1つ以上のテーブルから推定体心温度を導出する方法のフローチャートです。実装に応じて、温度。
【００３５】
【図３０】図30は、実装に従って、変動増幅装置のブロック図である。
【００３６】
【図３１】図31は、実装に従って、変動増幅装置のブロック図である。
【００３７】
【図３２】図32は、実装に従って、変動増幅装置のブロック図である。
【００３８】
【図３３】図33は、実装に従って、変動増幅装置のブロック図である。
【００３９】
【図３４】図34は、実装に従って、変動増幅装置のブロック図である。
【００４０】
【図３５】図35は、実装に従って、増幅された動きから生物学的なバイタルサインのいずれかを生成し、提示する装置のブロック図である。
【００４１】
【図３６】図36は、実装に従って、変動増幅装置のブロック図である。
【００４２】
【図３７】図37は、実装に従って、変動増幅装置のブロック図である。
【００４３】
【図３８】図38は、実装に応じて、生物学的バイタルサインを生成するために変動増幅を行う装置である。
【００４４】
【図３９】図39は、実装に従って、変動増幅の方法のフローチャートです。
【００４５】
【図４０】図40は、時間変動を決定する別の作用を含まない実装に従って、変動増幅の方法のフローチャートである。
【００４６】
【図４１】図41は、実装に従って、変動増幅の方法のフローチャートです。
【００４７】
【図４２】図42は、実装に従って、変動増幅の方法のフローチャートです。
【００４８】
【図４３】図43は、実装に従って、生物学的バイタルサインを生成し、伝達するバリエーション増幅法のフローチャートである。
【００４９】
【図４４】図44は、実装に従って、体心温度相関表を参照して外部ソースポイントから体心温度を推定する方法のフローチャートである。
【００５０】
【図４５】図45は、実装に従って、体のコア温度相関表を参照して、外部ソースポイントおよびその他の測定値から体心温度を推定する方法のフローチャートである。
【００５１】
【図４６】図46は、実装に応じて、マルチバイタルサインスマートフォンシステムのブロック図です。
【００５２】
【図４７】図47は、実装に従って、ソリッドステート画像トランスデューサのブロック図です。
【００５３】
【図４８】図48は、実装に従った通信サブシステムのブロック図です。
【００５４】
【図４９】図49は、実装に応じて、マルチバイタルサインスマートフォンのブロック図です。
【００５５】
【図５０】図50-57は、実装に応じて、マルチバイタルサインフィンガーカフの様々なビューの図面です。
【図５１】図50-57は、実装に応じて、マルチバイタルサインフィンガーカフの様々なビューの図面です。
【図５２】図50-57は、実装に応じて、マルチバイタルサインフィンガーカフの様々なビューの図面です。
【図５３】図50-57は、実装に応じて、マルチバイタルサインフィンガーカフの様々なビューの図面です。
【図５４】図50-57は、実装に応じて、マルチバイタルサインフィンガーカフの様々なビューの図面です。
【図５５】図50-57は、実装に応じて、マルチバイタルサインフィンガーカフの様々なビューの図面です。
【図５６】図50-57は、実装に応じて、マルチバイタルサインフィンガーカフの様々なビューの図面です。
【図５７】図50-57は、実装に応じて、マルチバイタルサインフィンガーカフの様々なビューの図面です。
【００５６】
【図５８】図58は、実装に応じて、マルチバイタルサインスマートフォンシステムのブロック図です。
【発明を実施するための形態】
【００５７】
詳細な説明
以下の詳細な説明では、本契約の一部を形成する添付の図面を参照し、実際に行われがちな特定の実装を図示して示す。これらの実装は、本技術を熟練した者が実装を実践するのに十分な詳細に記載されており、他の実装が利用され、論理的、機械的、電気的およびその他の変更が行われる可能性があることを理解されるべきである。実装の範囲から逸脱することなく。したがって、以下の詳細な説明は、限定的な意味で取られることはできない。
【００５８】
詳細な説明は11 のセクションに分かれています。 最初のセクションでは、概要が表示されます。 第2のセクションでは、電子カルテキャプチャシステムの装置について説明する。第3部では、マルチバイタルサインスマートフォンシステムの装置の実装について説明する。 第4セクションでは、非タッチテーブルベースの温度相関温度計の実装について説明する。第 5 セクションでは、EMRシステムの相互運用性デバイス マネージャ コンポーネントの実装について説明します。第6部では、マルチバイタルサインスマートフォンシステムにおけるデジタル赤外線センサの方法について述べる。第7セクションでは、生物学的バイタルサイン変動増幅検出器の装置の実装について説明する。 第8セクションでは、生物学的バイタルサイン増幅の方法の実施について説明する。第9セクションでは、非タッチテーブルベースの温度相関の方法の実装について説明する。 第 10 部では、実装を実践できるハードウェアおよびオペレーティング環境について説明します。最後に、第11セクションでは、詳細な説明の結論が提供されます。
1.  概要
【００５９】
図1は、実施に伴う電子カルテ(EMR)データキャプチャシステム100の装置のブロック図である。
【００６０】
EMRデータキャプチャシステム100は、さらに1つ以上のマルチバイタルサインスマートフォンシステム(複数)104を含むデバイス/ユーザ層102を含む。マルチバイタルサインスマートフォンシステム(複数)104の例を図4-10に示す。
【００６１】
EMRデータキャプチャシステム100は、デバイス/ユーザ層102内のマルチバイタルサインスマートフォンシステム(複数)104と通信する中間層106を含む。中央層106は、3G、4Gまたは5GまたはWiFiまたはWiFi（Ｒ）通信経路、ユーザ/患者のバイタルサイン結果データ110などのセルラー通信経路を介して通信されるユーザ/患者のバイタルサイン結果データ108を含み、WiFi（Ｒ）通信を介して通信される。パスおよびユーザ/患者のバイタルサイン結果データ112は、Bluetooth（Ｒ）通信パスを介して通信される。中央層106はさらに、アプリケーションプログラムインタフェース114の第1セットを含み、必要に応じて、ユーザ/患者のバイタルサイン結果データ108、110および112がマルチバイタルサインとの間で通信されるアプリケーションプログラムインタフェース116の第2のセットを含む。1つ以上のハブ間のデバイス/ユーザ層102におけるスマートフォンシステム(複数)104は、ブリッジ120、インターフェースエンジン122および中間層106のゲートウェイ124である。中央レイヤ106はさらに、プライマリ通信プロトコル、構成設定、ファームウェアの変更および承認された場所の表現などのデータを展開する相互運用性デバイスマネージャコンポーネント126を含む。デバイス/ユーザ層102におけるマルチバイタルサインスマートフォンシステム(複数)104。相互運用性デバイスマネージャコンポーネント126は、3G、4Gまたは5Gセルラー通信経路128、WiFi（Ｒ）通信経路130、Bluetooth（Ｒ）通信経路132および/または近距離通信(NFC)経路134を介してデータを送信する。相互運用性デバイスマネージャコンポーネント126は、デバイス/ユーザ層102におけるマルチバイタルサインスマートフォンシステム(複数)104から3G、4Gまたは5Gセルラー通信経路136またはWiFi（Ｒ）通信経路138を介してデバイスの正常性データを受信する。
【００６２】
1つ以上のハブ118は、ブリッジ120、中間層106のインターフェースエンジン122およびゲートウェイ124が3G、4Gまたは5Gセルラー通信経路140または/またはインターネット/イントラネット通信経路142を介してEMR/臨床データリポジトリ144に通信する。EMR/臨床データリポジトリ144は、EMRシステム146、電子健康記録148、患者ポータル医療記録150、臨床モニタリングシステム152および臨床データリポジトリ154を含む。EMRシステム146は病院施設内または制御内に位置する。 電子健康記録148は、歩行医療施設または民間医療事務所によって管理または制御される患者ファイルである。ブルートゥース（登録商標）プロトコルの一例は、BluetoothSIG, Inc. 本社、5209レイクワシントンブルバードNE、スイート350、カークランド、WA 98033によって公開されたブルートゥース（登録商標）コア仕様バージョン2.1です。
【００６３】
図2は、相互運用性マネージャコンポーネントが中間層における全ての通信を管理する実装に従って、EMR捕捉システム200の装置のブロック図である。EMR キャプチャ システム 200 では、相互運用性マネージャー コンポーネント 202 は、デバイス/ユーザー レイヤ 102 とアプリケーション・プログラム・インターフェース114 の最初のセットとオプションのアプリケーション・プログラム・セットとの間の中間層 106 内のすべての通信を管理します。インターフェイス 116.EMRキャプチャシステム200において、装置/ユーザ層102およびEMR/臨床データリポジトリ144の動作は、EMRデータキャプチャシステム100と同様である。
【００６４】
S電子カルレコードキャプチャシステムの他の実装をome橋を含むそれ患者の測定記録(PMR)150を多重生命サインスマートフォンシステム(複数)104から病院および臨床環境のEMRシステムに移す。各PMR 150は、生物学的バイタルサインなどの患者測定データを含む17図で36。17-19、推定体中核温度17図で20。17、推定体中核温度18図で12。17そして21、生物学的バイタルサイン17図で36。17-19そして30図で16。30-33、および心拍数3510、呼吸数3516および EKG35図で30。35. マルチバイタルサインスマートフォンシステムの例 104が挙が図4のマルチバイタルサインスマートフォンシステム図のマルチバイタルサインスマートフォンシステム。 17-19、図中の変動増幅装置。30-38そして、マルチバイタルサインスマートフォンシステム4600. 一部の実装では、マルチバイタルサインスマートフォンシステム(複数)104は、メモリに格納されている温度推定テーブルを含んでいます。温度推定テーブルは、感知された額の温度を体のコア温度に関連付けるルックアップテーブルです。 感覚的な額の温度と体のコア温度との相関は、図のマルチバイタルサインスマートフォンシステム。17-19、図中の変動増幅装置。30-38そして、マルチバイタルサインスマートフォンシステム46図で00。46、相関は高精度度に開発されているため、他のすべてのマルチバイタルサインスマートフォンシステムを上回る精度の程度まで、体のコア温度を推定する装置、変動増幅装置、ハンドヘルドデバイス、マルチバイタルサインスマートフォンシステムsそして錠剤は、初めて医療クリニックで使用するのに十分な精度を提供します。EMRデータキャプチャシステムには、次の2つの重要な側面があります。 1.マルチバイタルサインスマートフォンシステム(複数)104から104までの患者測定データの流れを制御し、局所マルチバイタルサインスマートフォンシステム(複数)104を管理するサーバーブリッジ。2.PMR 150、匿名、およびその他の患者ステータス情報における患者測定データをクラウドベースのEMR/臨床データリポジトリ144に転送する。ブリッジは、EMR/臨床データリポジトリ144および別のEMR/臨床データリポジトリ144への患者測定データの流れを制御および管理し、マルチバイタルサインスマートフォンシステム(複数)104に管理サービスを提供する。ブリッジは、独自のEMR/臨床データリポジトリ144、病院ごとのロケーション固有のサービス、アクティブオペレータの検証、および必要に応じて患者の識別、およびクラウドベースの幅広いインターフェイスを提供します。EMR/臨床データリポジトリ 144)は、分析のためにすべての測定記録を匿名で保存する目的で、1つ以上のマルチバイタルサインスマートフォンシステム(複数)104を使用する。セットアップ、管理、およびレポート作成のメカニズムも提供します。ブリッジは、マルチバイタルサインスマートフォンシステムからの通信を受け入れます(104):データフォーマット変換とEMR/臨床データリポジトリ144への患者測定記録の転送、ファームウェアおよび設定設定の管理マルチバイタルサインスマートフォンシステム(複数)104は、マルチバイタルサインスマートフォンシステムの現在の健康状態とステータスを決定し、通信のためのデバイスレベルのプロトコル、TCP/IPをサポートします。サポートデバイスレベルのプロトコルは、次のコア機能をサポートしています:接続されたデバイスとブリッジの認証、ブリッジまたはEMR受け入れによる確認と受け入れとブリッジへの患者測定記録の転送、動的なサポート構成の更新マルチバイタルサインスマホシステムの健康と状態の情報と回復104, マルチバイタルサインスマートフォンシステムのファームウェアのファームウェア更新メカニズムのサポート 104.EMRデータキャプチャシステムは、高可用性を提供します,24/7/365,99.99%の可用性を備えています。 EMRデータキャプチャシステムは、次の展開可能なケースの一方または両方に対する病院の運用環境での運用上の要求を満たすスケーラブルなサーバシステムを提供します:1) ブリッジがすべての機能を提供し、すべての機能を提供する運用サイトのローカルネットワーク定義された運用ネットワーク内の機能は、最大10,000以上のマルチバイタルサインスマートフォンシステム104のシステムを管理します。2)リモートまたはクラウドベースのEMR/臨床データリポジトリ144は、ブリッジが広い地理的領域に広がる多くの個々の病院や臨床現場にすべてのサービスを提供し、1,000,000以上のマルチバイタルサインスマートフォンシステム(複数)104に対して提供します。ブリッジは、少なくとも以下の機能を提供するマルチバイタルサインスマートフォンシステム(複数)104の中央管理システムを提供します:1)マルチバイタルサインスマートフォンシステムの構成管理と更新(複数) 104 2)デバイスレベルのファームウェアマルチバイタルサインスマホシステムの全てについて(複数の)104と3)マルチバイタルサインスマートフォンシステムの管理と報告方法104。マルチバイタルサインスマートフォンシステムの管理と報告方法 104 は、マルチバイタルサインスマートフォンシステムの健康と状態を提供します(ただし、これらに限定されません)104、バッテリーレベル、マルチバイタルサインスマートフォンの交換警告システム(複数)104, マルチバイタルサインスマートフォンシステムの警告に近いチェック/キャリブレーション 104, マルチバイタルサインスマートフォンシステムの乱暴な取り扱いやキャリブレーション期間外による再チェック104, 使用履歴, 測定回数,マルチバイタルサインスマホシステムの使用頻度等(複数) 104、マルチバイタルサインスマホシステムの現在のデバイス構成の表示104、マルチバイタルサインスマートフォンシステムとの最後のデバイス通信の日時104.このブリッジは、ソフトウェアの更新を介して拡張可能な機能を提供し、インストールサイトでハードウェア コンポーネントを追加する必要なく、拡張機能を追加できます。  ブリッジは、ネットワーク上のマルチバイタルサインスマートフォンシステム(複数)104の初期セットアップ、設定、およびテストのためのデバイスレベルのコミッションメカニズムとインターフェイスを提供します。 ブリッジは、手持ち型ではないマルチバイタルサインスマートフォンシステムに対応しています。 病院におけるEMRデータキャプチャシステムのカバレッジは、さまざまな場所、病棟、ERルーム、オフィス、医師のオフィスなど、または患者の生物学的重要な標識情報の自動管理がリモートEMRシステムに保存される必要がある場所を含めることができます。.マルチバイタルサインスマートフォンシステム(複数) 104は、データストレージサービス、EMRシステ���、マルチバイタルサインスマートフォンシステムクラウドストレージシステムへのアクセスを提供するために、サードパーティのブリッジと通信します。ネットワークのセットアップ、構成、パフォーマンス特性なども、運用環境に対して、第三者ブリッジまたは他の第三者によって決定され、実行されます。マルチバイタルサインスマートフォンシステムは、サードパーティのブリッジデバイスとの通信のためのネットワークプロトコルをサポートすることができます。一部の実装では、ブリッジはリモートクラウド ベースのブリッジです。 リモート クラウド ベースのブリッジとEMR/臨床データリポジトリ144は、インターネットを介してネットワークに動作的に結合されています。 
【００６５】
概要セクションの実装の詳細一部の実装では、マルチバイタルサインスマートフォンシステム(複数重要サインスマートフォンシステム)104と、接続とデータが最初にマルチバイタルサインスマートフォンシステムから104にプッシュされるブリッジとの間のEMRデータキャプチャシステムによってプッシュデータモデルがサポートされています。橋。接続が確立されると、マルチバイタルサインスマートフォンシステム(複数) 104および認証された通信チャネルなどのブリッジは、ブリッジが情報の流れを制御する場所で役割を逆にする可能性があります。マルチバイタルサインスマートフォンシステム(複数)104とEMR/臨床データリポジトリ144。 一部の実装では、マルチバイタルサインスマートフォンシステム(複数)104は、WiFi（Ｒ）アクセスポイントへの接続などの無線通信経路を介して接続されています（Ｒ）その他の実装では、マルチバイタルサインスマートフォンシステム(複数)104は、ローカルWiFi（Ｒ）、ブルートゥース（登録商標）、（Ｒ）ブルートゥース（登録商標）、低エネルギー、シリアル、USBなどの無線または物理的な有線接続を介してドッキングステーションに接続され（Ｒ）その場合はドッキングステーションです。その後、ローカルパススルー接続として機能し、LAN インターフェイス、および/または携帯電話または WiFi を介してブリッジに接続し（Ｒ）ドッキング ステーションからブリッジへのリンクを使用します。一部の実装では、マルチバイタルサインスマートフォンシステム(複数)104は、3G、4G、または5Gセルラーデータ通信経路を介して、セルラー通信塔に接続され、セルサービスプロバイダのセルネットワークに動作的に接続されています。LANまたは WLAN へのブリッジ/アクセス ポイント/転送に結合されます。 一部の実装では、1つ以上のマルチバイタルサインスマートフォンシステム(複数)104は、Bluetooth（Ｒ）通信パス、3G、4Gまたは5Gセルラーデータ通信経路、USB通信経路、WiFiなどの通信経路を介してスマートフォンを接続しています（Ｒ）通信パス、またはWiFi（Ｒ）携帯電話への直接通信パス。スマートフォンは3G、4G、または5Gセルラーデータ通信経路を介してセルラー通信塔に接続され、セルタワーはセルサービスに接続されています。LANまたは WLAN へのブリッジ/アクセス ポイント/転送にオペラ的に結合されたプロバイダーのセル ネットワーク。 一部の実装では、ポータブルマルチバイタルサインスマートフォンシステム(複数)104は、バッテリが必要な間隔を短縮するために、いくつかの実装で保存する必要がある限られたバッテリと寿命を持つバッテリーを含んでいます充電。これらのポータブルマルチバイタルサインスマートフォンシステム(複数)104は、様々な省電力モードをサポートし、そのように、各デバイスは、ワイヤレスネットワークまたは有線ネットワークへの接続の開始と、満たすブリッジへのその後の接続を担当していますマルチバイタルサインスマートフォンシステムを提供する独自の特定の運用要件は、独自の電源管理の使用と寿命に対する追加の制御を提供します。マルチバイタルサインスマートフォンシステム(複数)104がブリッジへの接続を試みるいくつかの実装では、ブリッジは、マルチバイタルサインスマートフォンシステムのIP検出負担を軽減するために静的インターネットプロトコル(IP)アドレスを割り当てられます(複数)104したがって、マルチバイタルサインスマートフォンシステムをより迅速にブリッジに接続します。具体的には、マルチバイタルサインスマートフォンシステム(複数)104は、ブリッジのIPアドレスを決定するために、特定の検出プロトコルまたはドメインネームサービス(DNS)をサポートする必要はない。したがって、一部の実装では、ブリッジIP アドレスが静的であり、ネットワーク上の EMR データ キャプチャ システムの運用寿命にわたって変更されないことが重要です。 その他の実装では、UDP またはTCP 通信方法を使用した妥当なネットワーク探索プロトコルが実装されています。他の実装では、マルチバイタルサインスマートフォンシステム(複数)104は、マルチバイタルサインスマートフォンシステムの検出ノードとして機能するリモートセバのHTTPアドレスを持ち、リモートシステムへの接続を取得したり、リモートシステムを取得したりします。ネットワークアドレス。 いくつかの実装では、ネットワーク上の新しいマルチバイタルサインスマートフォンシステムのインストール(複数)104は、IPアドレスやその他の重要なネットワーク構成とセキュリティのブリッジのためのマルチバイタルサインスマートフォンシステムの設定を必要とします情報。一部の実装では、ネットワーク上のマルチバイタルサインスマートフォンシステム104の試運転は、ブリッジ上の管理インターフェイスから行われます。このようにして、単一の管理ツールを、展開、運用、廃止など、ネットワーク上のマルチバイタルサインスマートフォンシステム104のすべてのライフサイクルフェーズで使用できます。一部の実装では、マルチバイタルサインスマートフォンシステムの初期ネットワーク構成(複数)104は、任意の自動化されたネットワークレベルの構成プロトコル、WPS、ゼロコンフィなどをサポートするためにマルチバイタルサインスマートフォンシステム(複数)104を必要としません。むしろブリッジは、病院や診療所、またはその他の場所の運用ネットワーク上で運用用のデュアルネットワーク構成と、ローカル DHCP サーバーを備えた分離ローカル ネットワークをサポートし、新しいマルチバイタル サインの試運転を開始します。スマートフォンsイステム(s) 104 および診断テスト用マルチバイタルサインスマートフォンシステム(複数) 104.マルチバイタルサインスマートフォンシステム(複数)104は、既知のネットワーク設定用に工場出荷時に構成することができ、試運転ネットワーク上のデフォルトのサーバIPアドレスを含むことができる。さらに、マルチバイタルサインスマートフォンシステム(複数)104は、テスト目的でマルチバイタルサインスマートフォンシステム(複数)104をネットワークファクトリーのデフォルトにリセットするためのプロトコルベースのコマンドをサポートするために、一部の実装で必要とされています。状況によっては、マルチバイタルサインスマートフォンシステム104のファームウェアリビジョンは、運用環境におけるマルチバイタルサインスマートフォンシステム104のすべてとの間で一貫していない。したがって、ブリッジは、ファームウェアとプロトコルの改訂からリリースされたすべてのファームウェアの改訂と下位互換性があります,マルチバイタルサ��ンスマートフォンシステムのデータコンテンツとデバイス設定ビューポイント104.その結果、異なるリビジョンレベルマルチバイタルサインスマートフォンシステム(複数)104は、すべての操作に対してブリッジによってネットワーク上で同時にサポートできます。 
2.マルチバイタルサインスマートフォンシステムの装置
【００６６】
図3-1から3-5は、実装に従って、マルチバイタルサインスマートフォンシステム300の機械的設計のアイソメ図である。
【００６７】
マルチバイタルサインスマートフォンシステム300は、マルチバイタルサインフィンガーカフスマートフォンアクセサリー302のクレードルに挿入されるマルチバイタルサインスマートフォン304を含む。マルチバイタルサインフィンガーカフスマートフォンアクセサリー302には、SpO2サブシステム306と指閉塞カフス308を含むマルチバイタルサインフィンガーカフが含まれています。マルチバイタルサインフィンガーカフスマートフォンアクセサリー302はまた、カメラ310またはデジタル赤外線センサ312を含む。 一部の実装では、マルチバイタルサインフィンガーカフスマートフォンアクセサリー302は、図7のマルチバイタルサインフィンガーカフスマートフォンアクセサリーのダイレクトコネクト充電連絡先712を介してマルチバイタルサインスマートフォン304にカップルを操作します。マルチバイタルサインスマートフォンアクセサリー302がマルチバイタルサインスマートフォン304から電力と制御信号を受信し、マルチバイタルサインからのデータを介してマルチバイタルサインの終わりに充電ポートフィンガーカフスマートフォンアクセサリー302は、マルチバイタルサインスマートフォン304に送信される。一部の実装では、マルチバイタルサインフィンガーカフスマートフォンアクセサリー302は、図7のマルチバイタルサインフィンガーカフスマートフォンアクセサリーのダイレクトコネクト充電連絡先712を介してマルチバイタルサインスマートフォン304にカップルを操作します。マルチバイタルサインの指カフスマートフォンアクセサリー302がマルチバイタルサインスマートフォン304から電力と制御信号を受信し、マルチバイタルサインからのデータを介してマルチバイタルサインの背面に充電ポートフィンガーカフスマートフォンアクセサリー302は、マルチバイタルサインスマートフォン304に送信される。いくつかの実装では、マルチバイタルサインフィンガーカフスマートフォンアクセサリー302は、BluetoothまたはマルチバイタルサインフィンガーカフスマートフォンアクセサリーのBluetoothまたは他の無線通信モジュールを介してマルチバイタルサインスマートフォン304にオペラカップル302とマルチバイタルサインのスマートフォン304は、マルチバイタルサインフィンガーカフスマートフォンアクセサリー302がバッテリーを含み、マルチバイタルサインスマートフォン304から制御信号を受信し、マルチバイタルサイン指からのデータを介してカフスマホアクセサリー302は、マルチバイタルサインスマートフォン304に送信される。
【００６８】
図4は、実装に応じて、マルチバイタルサインスマートフォンシステム400のブロック図である。MVSシステム400には、3つの通信結合デバイスが含まれています。マルチバイタルサインフィンガーカフスマートフォンアクセサリー(MVSFCSA)402、マルチバイタルサインスマートフォン(MVSSmartphone)404、マルチバイタルサインフィンガーカフ406。 MVSシステム400は、マルチバイタルサインスマートフォンシステム(複数)104の一例である。一部の実装では、MVSシステム400は、マルチバイタルサインフィンガーカフ406内のすべてのサポートされているセンサーから生データをキャプチャ、保存、エクスポートします。MVSシステム400は異なった測定方法および技術を支える適用範囲が広い人間の生命徴候の測定方法を提供する。MVSシステム400は人間の生命徴候のコレクションのための臨床設定か家の設定で使用することができる。「マルチバイタルサインフィンガーカフスマートフォンアクセサリー」の「パラメータ」とは、温度、安静時の心拍数、心拍変動など、マルチバイタルサインフィンガーカフスマートフォンアクセサリー(MVSFCSA)402で測定されるバイタルサインを指します。呼吸、SpO2、血流、血圧、総ヘモグロビン(SpHb)、PVi、メテモグロビン(SpMet)、音響呼吸数(RRa)、カルボキシヘモグロビン(SpCO)、酸素予備指数(ORi)、酸素含有量(SpOC)および/またはヒトの脳波。SpO2は、末梢毛細血管酸素飽和度、血液中の酸素量の推定値である。より具体的には、SpO2は、血液中のヘモグロビン(酸素化および非酸素化ヘモグロビン)の総量と比較して酸素化ヘモグロビン(酸素を含むヘモグロビン)の割合である。MVSFCSA402は、血圧のみ、Sp02のみ、心拍数のみ、呼吸のみ、またはMVSFCSAが検出することができるバイタルサインの任意の組み合わせを検出するように構成することができる。MVSスマートフォン404は滑り止め/スライド外面材料を含んでいる。
【００６９】
マルチバイタルサインフィンガーカフ406とMVSFCSA402は、高速シリアルリンクなどの航空路408と通信経路410を介して互いに動作的に結合されている。 シリアルリンクのケーブルは、MVSFCSA402の周りに簡単に折り付けることができる軽量ケーブルを提供するパラレルケーブルよりもかなり薄く、柔軟性があるので、高速シリアルリンクは特に重要です。 マルチバイタルサインフィンガーカフ406のカフブラドは、エアライン408からの空気圧に応じて膨張および収縮する。
【００７０】
マルチバイタルサインフィンガーカフ406の一部の実装には、指閉塞カフ416およびSpO2サブシステム418が含まれる。 図のマルチバイタルサインフィンガーカフ5000。50〜57は、マルチバイタルサインフィンガーカフ406の一例である。指閉塞カフ416およびSpO2サブシステム418は、図でより詳細に示されている。50-57.いくつかの実装では、指閉塞カフ416は、少なくとも1つの小型化された動的光散乱(mDLS)センサを含み、SpO2サブシステム418は、フォトプレチスモグラム(PPG)センサを含む。図の SpO2 サブシステム 5002.50~57 は、SpO2 サブシステム 418 の一例です。 SpO2サブシステム418と指閉塞カフ416は、マルチバイタルサインフィンガーカフ406の共通ボードに動作的に結合され、共通ボードは、通信経路410を介して、MVSFCSA402のベースにあるプリント回路基板に動作的に結合されています。/c16>
【００７１】
いくつかの実装では、マルチバイタルサインフィンガーカフ406は、フォトプレチスモグラム(PPG)センサーと少なくとも1つの小型ダイナミック光散乱(mDLS)センサーを単一のセンサーに統合します。いずれもマルチバイタルサインフィンガーカフ406に取り付けられている。 マルチバイタルサインフィンガーカフ406のPPGおよびmDLS実装は、人差し指または中指のいずれかからPPGセンサーを介して次の一次および二次ヒトバイタルサイン測定を測定します。正確な測定を保障するために心臓の高さの左右の両方の手で:血圧(拡張期および収縮期)、SpO2、心拍数および呼吸数のような主要な人間の生命徴候の測定。二次ヒトバイタルサイン測定には、心拍変動および血流が含まれる。 MVSFCSA 402は、安静時の心拍数、心拍変動、呼吸数、SpO2、血流、血圧、総ヘモグロビン(SpHb)、PVi、メテモグロビン(SpMet)、音響呼吸数(RRa)、カルボキシヘモグロビン(カルボキシヘモグロビン(SpCO)、酸素予備指数(ORi)、酸素含有量(SpOC)および脳波。安静時の心拍数はPPGセンサーからのデータから推定される。 呼吸数と心拍の変動性と血圧拡張子は、mDLSセンサーとPPGセンサからのデータから推定されます。 呼吸と血圧収縮期は、mDLSセンサーからのデータから推定されます。SpO2血流はPPGセンサからのデータから推定される。 PPGセンサーは2つのIRエミッタからのティッシュを通過する光を光学的に測定する。 PPGセンサーは2つの異なった送信波長で赤外線エネルギーを検出する1つの赤外線検出器を含んでいる;赤と近赤外線。光の信号変動は、一般に動脈血圧波による局所的な血液量の変動に起因する。光透過や光屈折もそうです。従って、PPGデータは、血液量変化の推定の間接的な方法である。 血圧は、アームカフのような閉塞を作成するために圧力サイクルを模倣する血圧指カフと組み合わせてmDLSセンサーからのデータから推定されます。 生物学的標的はレーザーによって照射され、信号は検出器によって収集され、レーザー斑点特性の時間依存性が分析される。一般的なmDLS ジオメトリは、信号の直接信号散乱反射を検出器に作成するように設計されています。  各mDLSセンサーは2つのフォトダイオード受信機および1つのレーザー送信機を含んでいる。
【００７２】
一部の実装では、マルチバイタルサインフィンガーカフ406は、MVSFCSA 402から取り外し可能で取り外し可能です。 いくつかの実装では、マルチバイタルサインフィンガーカフ406はMVSFCSA402に統合されています。MVSFCSA 402から取り外し可能で取り外し可能なマルチバイタルサインフィンガーカフ406は、2つの方法で有益です:1)マルチバイタルサインフィンガーカフ406は、損傷の場合に交換可能です2)マルチバイタルサインフィンガーカフ406は取り外すことができますMVSFCSA 402から、患者が連続的な監視のためにマルチバイタルサインフィンガーカフ406を着用することを可能にするカスタムコネクタケーブル(空気&電気)に取り付けられ、(3)デバイスにサービスを提供します。取り替え可能なマルチバイタルサインフィンガーカフ406は、患者間で洗浄可能で、膨張式カフまたはフォト光学部品の故障時に交換可能なフォトオプティカルコンポーネント(例えば2xmDLSおよびPPG)を有することができる。 一部の実装では、取り外し可能なマルチバイタルサインフィンガーカフ406のカフブラドは半透明または透明で、mDLSレーザー波長に対して透明であり、一部の実装ではマルチバイタルサインフィンガーカフ406の位置を可能にします。センサーの最適な機能および患者への慰めのための人間の解剖学の特定の部分に関連して調節される。.
【００７３】
MVSFCSA402とMVSSmartphone 404は、通信経路412と4点電気充電インターフェース(I/F)ライン414を介して互いに動作的に結合して、データおよび制御信号を交換することができる。一部の実装では、4点電気充電インターフェイス(I/F)ライン414は、3点電気充電インターフェイス(I/F)ラインである。MVSFCSA402およびMVSS Smartphone 404は、MVSFCSA 402またはMVSSmartphone 404による測定操作のために互いに物理的に接続する必要はありません。一部の実装では、MVSFCSA 402 には、USB インフラストラクチャを使用する標準プロトコルと妥当なプロトコルの両方を持つ別のデバイスとの双方向通信、コマンド、制御、ステータス、およびデータ転送用のユニバーサルシリアル バス (USB) ポートが少なくとも 1 つあります。 USB プロトコルは、5440 SW ウェストゲート Dr. ポートランド OR 94221の USB 実装フォーラムによって定義されます。 一部の実装では、MVS Smartphone 404 には、分析用に生センサー データをデバイスからコンピューターに転送する目的でMVSFCSA 402 に接続するなど、USB 経由で他のデバイスと通信するための USB ポートが少なくとも 1 つあります。
【００７４】
図5は、実装に応じて、マルチバイタルサインスマートフォンシステム500のブロック図である。MVSスマートフォンシステム500には、3つの通信結合デバイスが含まれています。マルチバイタルサインフィンガーカフスマートフォンアクセサリー(MVSFCSA)502、マルチバイタルサインスマートフォン(MVSスマートフォン)503、マルチバイタルサインフィンガーカフスマートフォンアクセサリーリチャージステーション(MVSFCSARS)504。MVSFCSA 502は、図4におけるMVSFCSA 402の1つの実装である。 MVSスマートフォン503は、図4のMVSスマートフォン404の1つの実装である。MVSスマートフォンシステム500、MVSFCSA 502およびMVSFCSARS 504は、マルチバイタルサインスマートフォンシステム(複数)104の例である。MVSSmartphone 503は、システム内のすべてのサポートされているセンサーから生データをキャプチャ、保存、エクスポートします。 具体的には、MVSSmartphone 503 は重要な標識パラメータを抽出して表示し、パラメータをリモートサードパーティ、ハブ、ブリッジなど、またはデバイスマネージャに転送するか、リモートEMR/HER/Hospital システムまたはその他のサード パーティのローカルシステムまたは他のサード パーティのローカルまたはクラウドベースのシステム。MVSスマートフォンシステム500は、異なる測定方法および技術をサポートする柔軟な人間のバイタルサイン測定方法論を提供する。MVSのスマートフォンシステム500は人間の生命徴候のコレクションのための臨床設定で使用することができる。
【００７５】
MVSFCSA 502の一部の実装には、図4の交換可能で取り外し可能で取り外し可能なマルチバイタルサインフィンガーカフ406ではなく、MVSFCSA502に固定されたマルチバイタルサインフィンガーカフ506が含まれています。 マルチバイタルサインフィンガーカフ506は、PPGセンサーと少なくとも1つのmDLSセンサーを含む。 マルチバイタルサインフィンガーカフ506は、マルチバイタルサインフィンガーカフ506のカフブラドを膨らませる空気圧を提供する空気圧エンジン507によってエアライン(例えば図4の406)を介して動力を与えられ、そのプレッシャー。 一部の実装では、エアライン408は直径が1/6インチ(4.2mm)です。図5-7におけるマルチバイタルサインフィンガーカフ506は、図8のmDLSセンサ844および846、および図8の1742と同じである。17-19.
【００７６】
いくつかの実装では、人間の体表面温度もMVSFCSA 502によって体表面温度が収集および管理されるMVSFCSA 502に統合された赤外線指温度センサ508によって感知される。空気圧エンジン507の一例は、図9における空気システムコンポーネント900である。
【００７７】
一部の実装では、交換可能で取り外し可能で取り外し可能なマルチバイタルサインフィンガーカフ406またはマルチバイタルサインフィンガーカフ506またはマルチバイタルサインフィンガーカフ506またはMVS Smartphone503による1回の操作ですべてのバイタルサインを測定するには、単一段階の測定プロセスが必要です。赤外線指温度センサー 508. しかし、一部の実装では、MVSFCSA502が交換可能で取り外し可能で取り外し可能なマルチバイタルサインフィンガーカフ406またはマルチバイタルサインフィンガーカフ506を通していくつかの重要な兆候を測定する2段階の測定プロセスが実行されます。第2段階では、MVSスマートフォン装置503において、体表面温度は赤外線指温度センサ508を介して測定される。赤外線指温度センサ508の1つの実装は、図中のデジタル赤外線センサ2200である。22.
【００７８】
MVSFCSA502は2つの主要なモード、測定を取る人、患者またはオペレータに基づく操作のモードで作動する。 2つのモードは、オペレータがMVSFCSA 502を操作して別の人間の重要な符号測定のセットを取るオペレータモードです。オペレータは、通常、臨床スタッフまたは在宅介護者です。 2)患者がMVSFCSA 502を使用して自分自身のバイタルサイン測定のセットを取る患者モード。 いくつかの実装では、MVSFCSA502は患者およびオペレータのための主要な測定モードの両方を提供する。 測定する人間の主な測定領域は、1)左手、人差し指、中指、2)右手、人差し指、および3)人間の額の温度(温度測定を実行するために他のデバイスを必要とします)です。MVSFCSA 502は携帯用、軽量、手持ち型、すべての操作環境の操作の第一および二次モードで使いやすい。
【００７９】
病院ネットワークへの統合の複雑な性質を考えると、一部の実装では、MVSFCSA 502にはサイト通信インフラストラクチャが含まれず、収集されたデータ(バイタルサイン)はUSB経由でMVSFCSA502から抽出されます。MVSFCSA 502に挿入されるUSB大容量記憶装置または、MVSFCSA 502を大容量記憶装置自体としてPCシステムに直接接続することによって、ポートまたはUSB大容量記憶装置によって。
【００８０】
マルチバイタルサインスマートフォン(MVS Smartphone)装置503は、無線Bluetoothに接続すると（Ｒ）無線Bluetooth（Ｒ）通信コンポーネント514を介してMVSFCSA502の通信コンポーネント513に接続すると、MVSFCSA502へのスレーブである。 MVSスマートフォン503は、MVSFCSA 502を介してユーザーにステータス、測定プロセス、および測定測定を報告します。MVS Smartphone 503は、測定プロセスおよびステータスを表すデータを表示するLCDディスプレイ516上のグラフィカルユーザインタフェースを介してMVSFCSA502にユーザ入力方法を提供する。 1 つの実装では、MVSFCSA 502 の無線 Bluetooth（Ｒ）通信コンポーネント 513 は、セルラー通信パス(3G、4Gおよび/または 5G)および/または WiFi（Ｒ）通信パスとの通信機能を含み、MVSFCSA 502 は、 バイタルサインデータをキャプチャし、MVSFCSA502の無線Bluetooth（Ｒ）通信コンポーネント513を介してバイタルサインデータを図1またはMVSスマートフォン503の中間層106に送信し、MVSの通信コンポーネント518を介してバイタルサインデータを送信します。スマートフォン503を橋120に、WiFi（Ｒ）アクセスポイント、セルラー通信塔、図1の橋120に入れる。
【００８１】
一部の実装では、MVSSmartphone 503 は、MVS Smartphone 503 の通信コンポーネント 518 を介して他のデバイスとの通信を提供する。 通信コンポーネント518は、セルラー通信路(3G、4Gおよび/または5G)および/またはWiFi（Ｒ）通信経路との通信能力を有する。例えば、MVSFCSA 502は、バイタルサインデータをキャプチャし、MVSFCSA 502の無線Bluetooth（Ｒ）通信コンポーネント513を介してバイタルサインデータをMVSスマートフォン503の無線Bluetooth（Ｒ）通信コンポーネント514に送信し、MVSSスマートフォン503は、MVSSmartphone 503の通信コンポーネント518を介してバイタルサインデータを図1またはMVS Smartphone 503の中間層106に送信し、MVSSmartphone 503の通信コンポーネント518を介してバイタルサインデータをブリッジに送信します。120は、WiFi（Ｒ）アクセスポイント、セルラー通信塔、図1の橋120である。
【００８２】
一部の実装では、MVSSmartphone 503 が MVSFCSA 502 に接続されている場合、MVS Smartphone 503 は MVSFCSA 502 によって要求された人間のバーコードスキャンまたは識別エントリを実行し、MVS スマートフォン 503 はオペレータ バー コード スキャンまたは識別を実行します。MVSFCSA 502によって要求されたエントリ、MVSFcSA503によって要求される人間の温度測定を行う、MVSSスマートフォン503はMVSFCSA 502直接アクションに関連する情報を表示し、MVSスマートフォン503はMVSFCSAの時に開始します502が開始され、MVSFcSA 503 の指示と制御の下で MVSS スマートフォン 503 がシャットダウンされ、MVSS スマートフォン 503 にはMVSFCSA 502 およびサブシステムの動作状態を判別するセルフテスト モードがあり、MVSFCSA 502 が測定のための機能。 他の実装では、MVSSmartphone 503 が MVSFCSA 503 に接続されている場合、MVS Smartphone 503 は、MVS Smartphone 503によって要求された人間のバーコード スキャンまたは識別エントリを実行し、MVS Smartphone 503 はオペレータ バー コード スキャンを実行するか、MVSSmartphone 503 によって要求される識別エントリ、MVS スマートフォン 503 は MVS スマートフォン 503 によって要求される人間の温度測定を実行し、MVSスマートフォン 503 は MVSFCSA 502 直接アクションに関連する情報を表示します。一部の実装では、MVS Smartphone 503 によって表示される情報には、日付/時刻、人間の識別番号、人間の名前、血圧などの重要な測定(拡張期および収縮期)、SpO2、心拍数、温度、呼吸数、MVSFCSA 502の空きメモリスロット、MVSSスマートフォン503のバッテリ状態、MVSFCSA502のバッテリ状態、MVSFCSA 502のデバイスステータス、MVSSスマートフォン503のエラー、デバイス測定シーケンス、測定品質評価測定、モードMVSスマートフォン503およびMVSFCSA502の操作、被験者およびオペレータの識別、温度、測定、表示モードおよび装置のリビジョン番号。 一部の実装では、マルチバイタルサインスマートフォン(MVSSmartphone)装置503において人間の体表面温度も赤外線センサによって感知されると、MVSFCSA 502によって体表面温度が収集および管理される。 他の実装では、マルチバイタルサインスマートフォン(MVS Smartphone)装置503において人間の体表面温度が赤外線センサによって感知されると、MVSFCSA502によって体表面温度が収集および管理されない。
【００８３】
一部の実装では、マルチバイタルサインフィンガーカフスマートフォンアクセサリー(MVSFCSA)502には、必要な一次および二次ヒトバイタルサインを抽出するために必要な以下のセンサーおよびセンサー信号キャプチャおよび処理コンポーネントが含まれています。測定:PPGセンサーと2つのmDLSセンサー、赤外線指温度センサー508と周囲温度センサ508を含むマルチバイタルサインフィンガーカフ506、およびいくつかのさらなる実装では、非使い捨て可能他の人間の測定のためのセンサー。一部の実装では、PPGセンサーのデータサンプルレートは2x 200Hz x 24bit = 9600ビット/秒、mDLSセンサーのそれぞれが32kHz x 24bit = 1,572,864ビット/秒、周囲温度センサは1000bps未満です。MVSFCSA 502には2つのmDLSセンサーが含まれており、一方または両方のセンサーが良好な品質信号を提供し、mDLSセンサーから良好な信号を得る確率が高まります。
【００８４】
MVSのスマートフォン503はすべての測定のための同時2段階の測定プロセスを行う。MVS Smartphone 503によって実行される測定プロセスは、MVSFCSA 502上のGUIを介してMVS Smartphone 503から制御および導かれる。測定は順序付けされ、すべての測定を完了するために必要な時間を最小にするために構成される。 いくつかの実装では、MVSスマートフォン503は、心拍変動および血流の二次測定を計算する。MVSSmartphone 503 は、ワイヤレス Bluetooth（Ｒ）プロトコル通信回線 412 を介して MVSFCSA 502 をコマンドおよび制御し、さらに実装すると、MVSFCSA502 は Bluetooth（Ｒ） プロトコル通信回線を介して他のデバイスと通信します(図示せず)。MVSスマートフォン503との通信に加えて、同時に行うこともできます。 さらにいくつかの実装では、MVS Smartphone 503 は、MVSFCSA 502 デバイスとの通信に加えて、Bluetooth（Ｒ）プロトコル通信回線(図示せず) を介して他のデバイスと通信concurrent.dd
【００８５】
MVSFCSA502には、MVS Smartphone 503 などの MVS Smartphone 503 とのインターフェイス専用の USB ポート 519 が含まれており、MVSFCSA502 の内部充電式バッテリ 520 を再充電し、センサー データ セットをウィンドウベースにエクスポートします。コンピュータシステムは、MVSFCSA502のファームウェアアップデートおよびMVSFCSA 502の構成更新を制御および管理するアプリケーションを介してMVSFCSA 502のファームウェア更新を行う。MVSFCSA 502 は、MVS スマートフォン 503 ファームウェアを更新しません。 MVSFCSA 502には、充電を提供するUSBポート522を介して充電できる内部充電式電池520も含まれており、MVSFCSA502には、高速充電を提供する外部直接DC入力も含まれています。 MVSFCSA 502 の内蔵バッテリは、MVSFCSA 502 の電源がオフの場合でも、USBまたは DC 入力に接続されているときに再充電できます。 一部の実装では、MVSFCSA 502は、ワイヤレス充電接続を通して内部電源からMVSSmartphone 503を充電することができます。 一部の実装では、内部二次電池520は、MVSFCSAの内部二次電池520を再充電する前に、少なくとも2日間の完全な測定を実行するために、1回の充電でMVSFCSA502の十分な動作寿命を提供します。502が必要です。
【００８６】
一部の実装では、MVSFCSA502は、最大20のヒト生測定データセットのための内部不揮発性、非ユーザリムーバブル、データ記憶装置524を含む。 データ記憶装置524は、データ記憶装置524に障害があると判定された場合に技術者によって取り外すことができる。人間の測定セットは、MVSFCSA 502によって取得されたすべての測定データおよび測定値を含み、MVSスマートフォン503からの温度測定を含む。 内部メモリは、突然の停電イベントが発生した場合にデータの破損から保護されます。MVSFCSA 502およびMVSスマートフォン503に人間の形態の適合機能センサーおよび装置の産業/機械設計がある。 MVSFCSA 502はまたすべてのセンサーおよび装置表面のための抗微生物の外面材料および容易なきれいな表面を含んでいる。MVSFCSA502は、データ記憶装置524に、すべての人間の生センサー信号と読み取り値、抽出された人間の生命体、およびシステムステータスを含む単一の人間の測定のためのデータセット記録全体を含む「原子」ヒューマンレコード構造を格納します。情報。MVSFCSA 502 には、MVSFCSA 502 およびサブシステムの動作状態を決定する自己テストコンポーネントが含まれており、MVSFCSA 502 が測定用に機能していることを確認します。MVSFCSA 502 には、日付と時刻のクロック機能が含まれています。いくつかの実装で。MVSFCSA 502の日付と時刻は、MVSスマートフォン503から更新される。一部の実装では、MVSFCSA 502には、電源オン/オフスイッチ(スタート/ストップ)、マルチバイタルサインフィンガーカフを収縮状態にする非常停止制御などのユーザー入力制御が含まれています。一部の実装では、MVS スマートフォン 503 の画面情報を介して MVS スマートフォン 503 を介して他のすべての入力がサポートされています。 一部の実装では、MVSFCSA502 には、デバイスに障害が発生し、電源が入らないことを示す致命的な障害インジケーターなどの視覚的なインジケーターが含まれています(MVSFCSA 502 に測定値に影響を与える障害があることを示します)機能)、バッテリ充電ステータスインジケータ、バッテリ充電状態インジケータ、バッテリ障害ステータスインジケータ。
【００８７】
MVSFCSA502の構成要素(例えば506、507、508、512、513、519、520、522、524および526)は、制御プロセスおよび信号処理コンポーネント527によって制御される。制御プロセスおよび信号処理コンポーネント527は、マイクロプロセッサまたはFPGAによって実装することができる。
【００８８】
マルチバイタルサインフィンガーカフスマートフォンアクセサリー充電ステーション(MVSFCSARS)504は、MVSFCSA 502を充電するための電力を提供する。MVSFCSARS 504は、物理的有線接続を介して、またはワイヤレス充電器530を介してMVSFCSA502のバッテリを充電するための電力を供給することができる。 一部の実装では、MVSFCSA 502 には USB ポート 522 または DC 入力を介して充電できる内部充電式バッテリ520 が含まれているため、MVSFCSA 504 は MVSFCSA 502 に電力を供給しません。
【００８９】
MVS Smartphone503には、接続ステータスインジケータ(接続/接続されていない、障害検出、充電/充電なし)、接続された電源ステータスインジケータ(USBまたはDC入力のいずれか)、および電源オン/オフステータスインジケータが含まれています。視覚表示器は家庭および臨床環境の低い光の条件で見える。
【００９０】
MVSFCSA502は手持ち型および携帯用である。 MVSFCSA 502は滑り止め/スライドの外面材料を含んでいる。
【００９１】
図6は、実装に応じて、マルチバイタルサインフィンガーカフスマートフォンアクセサリー(MVSFCSA)600のブロック図です。MVSFCSA 600 は、図 4 の MVSFCSA 402 の 1 つの実装であり、MVSFCSA 600 は図 5 の MVSFCSA 502 の 1 つの実装です。MVSFCSA600は、システム内のすべてのサポートされているセンサーから生データをキャプチャ、保存、エクスポートします。 MVSFCSA 600はさまざまな測定方法および技術を支える。MVSFCSA600は人間の生命徴候のコレクションのための臨床設定で使用することができる。
【００９２】
センサ管理コンポーネント602は、マルチバイタルサインフィンガーカフ506、ポンプ、バルブ、圧力センサ(図9参照)、赤外線指温度センサ508、近接センサ604およびからデータを制御し、受信します。別のセンサ606。 センサ管理コンポーネント602は、マイクロプロセッサまたはFPGAによって実装することができる図5の制御プロセスおよび信号処理コンポーネント527に実装することができる。
【００９３】
MVSFCSA 600には、USBポート519に動作的に結合されたCMOSカメラ608も含まれる。CMOSカメラは、患者を識別するためにバーコードを読み取るために処理された画像をキャプチャし、心拍数、呼吸数、および血圧を決定するための運動増幅成分によって、レンズ610がCMOSカメラ608に結合される。
【００９４】
マルチバイタルサインの指の袖口506は図4の取り外し可能な、取り外し可能で取り外し可能な多重生命サインの指の袖口406ではなく、MVSFCSA 600に統合される。 マルチバイタルサインフィンガーカフ506は、PPGセンサーと少なくとも1つのmDLSセンサを含む。マルチバイタルサインフィンガーカフ506は、マルチバイタルサインフィンガーカフ506のカフブラドを膨張させ、膨張させる空気圧を提供する空気圧507によってエアライン(例えば図4の408)を介して動力を与えられ、リアルタイム測定。
【００９５】
いくつかの実装では、人間の体表面温度もMVSFCSA 600によって体表面温度が収集および管理されるMVSFCSA 600に統合された赤外線指温度センサ508によって感知される。
【００９６】
一部の実装では、1つの段階測定プロセスが必要とされる場合に、MVSFCSA 600 による1回の操作で、交換可能、取り外し可能で取り外し可能で取り外し可能で取り外し可能で取り外し可能なマルチバイタルサイン指カフ406またはマルチバイタルサイン指カフ506または赤外線指温度センサー508. しかし、一部の実装では、MVSFCSA 600が交換可能で取り外し可能で取り外し可能なマルチバイタルサインフィンガーカフ406またはマルチバイタルサインフィンガーカフ506を通していくつかの重要な兆候を測定する2段階の測定プロセスが実行されます。第2段階では、MVSスマートフォン装置503において、体表面温度は赤外線指温度センサ508を介して測定される。
【００９７】
MVSFCSA600は2つの主要なモード、測定を取る人、患者またはオペレータに基づく操作のモードで作動する。 2つのモードは、オペレータがMVSFCSA 600を操作して別の人間のバイタルサイン測定のセットを取るオペレータモードです。オペレータは、通常、臨床スタッフまたは在宅介護者です。 2)患者がMVSFCSA 600を使用して自分自身のバイタルサイン測定のセットを取る患者モード。 いくつかの実装では、MVSFCSA600は患者およびオペレータのための主要な測定モードの両方を提供する。 測定する人間の主な測定領域は、1)顔2)額3)左手、人差し指と中指、4)右手、人差し指、中指です。MVSFCSA 600は携帯用、軽量、手持ち型、すべての操作環境の操作の第一および二次モードで使いやすい。
【００９８】
病院ネットワークへの統合の複雑な性質を考えると、一部の実装では、MVSFCSA 600にはサイト通信インフラストラクチャが含まれず、収集されたデータ(バイタルサイン)はUSBポートまたはUSBマスを介してMVSFCSA600から抽出されます。MVSFCSA 600に挿入されるか、またはMVSFCSA 600を大容量記憶装置自体としてPCシステムに直接接続することによって、ストレージ・スティック。
【００９９】
マルチバイタルサインスマートフォン(MVS Smartphone)装置503は、無線Bluetoothに接続すると（Ｒ）無線Bluetooth（Ｒ）通信コンポーネント514を介してMVSFCSA600の通信コンポーネント513を介して、MVSFCSA600へのスレーブである。 MVSスマートフォン503はMVSFCSA 600を介してユーザーに進捗状況、測定プロセスおよび測定の測定を報告する。
【０１００】
MVSSmartphone 503 が MVSFCSA 600 に接続されている場合、MVS Smartphone 503 は、MVSFCSA 600 によって要求された患者バーコード スキャンまたは識別エントリを実行し、MVS Smartphone 503 は、要求に応じてオペレータ バー コード スキャンまたは識別エントリを実行します。MVSFCSA600、MVSFCSA 503は、MVSFCSA 600によって要求される人間の温度測定を行い、MVSSスマートフォン503はMVSFCSA 600ダイレクトアクションに関連する情報を表示し、MVSFCSA600はMVSスマートフォン503が起動したときに開始し、MVSFCSA 600は、MVSスマートフォン503の指示と制御の下でシャットダウンされます。 一部の実装では、MVSSSmartphone 503 によって表示される情報には、MVSFCSA 600 のバッテリ状態、MVSFCSA 600 のデバイスステータス、MVSFCSA600 の表示モードおよび MVSFCSA 503 および MVSFCSA 600 のデバイスリビジョン番号が含まれます。 一部の実装では、マルチバイタルサインスマートフォン(MVSSmartphone)装置503において、人間の体表面温度も赤外線指温度センサ508によって感知されると、MVSFCSA 600によって体表面温度が収集および管理される。
【０１０１】
一部の実装では、マルチバイタルサインフィンガーカフスマートフォンアクセサリー(MVSFCSA)600には、必要な一次および二次ヒトバイタルサインを抽出するために必要な以下のセンサーおよびセンサー信号キャプチャおよび処理コンポーネントが含まれています。測定:PPGセンサーと2つのmDLSセンサー、赤外線指温度センサ508、近接センサ604、および他の人間の測定センサ606または周囲のための別の非使い捨てセンサーを含むマルチバイタルサインフィンガーカフ506温度センサー  508.
【０１０２】
MVSFCSA600はすべての測定のための同時2段階の測定プロセスを行う。 MVSFCSA 600によって実行される測定プロセスは、MVSSスマートフォン503上のGUIを介してMVSFCSA600から制御および導かれる。 測定は順序付けされ、すべての測定を完了するために必要な時間を最小にするために構成される。 いくつかの実装では、MVSFCSA600は心拍変動および血流の二次測定を計算する。MVSFCSA 600 コマンドと制御するワイヤレス Bluetooth（Ｒ）プロトコル通信回線 412 を介してMVS スマートフォン 503 は、MVSFCSA 600 との通信を行います。同時。
【０１０３】
一部の実装では、MVSFCSA600 には、MVS Smartphone 503 などのスレーブ デバイスとのみインターフェース用の USB オンザゴー ポート 519 が含まれており、内部充電式バッテリ520 を再充電し、センサー データ セットをWINDOWSベースのコンピュータシステム、MVSFCSA 600のファームウェアアップデートおよびMVSFCSA600の構成更新を制御および管理するアプリケーションを介してMVSFCSA 600のファームウェアアップデート。 MVSFCSA 600 は、MVS スマートフォン503 ファームウェアを更新します。 MVSFCSA 600の内蔵バッテリは、MVSFCSA 600の電源オフ時にUSBまたはDC入力に接続されているときに充電できます。一部の実装では、MVSFCSA 600は、ワイヤレス充電接続を通して内部電源からMVS Smartphone 503を充電することができます。 一部の実装では、内部二次電池520は、MVSFCSAの内部二次電池520を再充電する前に、少なくとも2日間の完全な測定を実行するために、1回の充電でMVSFCSA600の十分な動作寿命を提供します。600が必要です。
【０１０４】
一部の実装では、MVSFCSA600 には、MVSFCSA 600 が故障し、電源が入らないことを示す致命的な障害インジケーターなどの視覚的な標識 526 が含まれています。測定機能)、バッテリ充電ステータスインジケータ、バッテリ充電ステータスインジケータ、および/またはバッテリ障害ステータスインジケータ。
【０１０５】
MVSFCSA 600には、セル通信周波数を介した通信用のセルラー通信モジュール612(プロセッサに統合可能)とWiFi（Ｒ）通信モジュール614(プロセッサに統合可能)も含まれています。WIF通信周波数を介した通信。一部の実装では、MVSFCSA 600はまた、トーン、ポリモーフィックおよび一般的な音楽/音声機能を介してオペレータまたは患者に情報を発音するために1つ以上のスピーカー618で制御するオーディオサブシステムd616を含む。
【０１０６】
MVSFCSA600は、センサー管理コンポーネント602、CMOSカメラ608、レンズ610、携帯電話通信モジュール612、WiFi（Ｒ）通信モジュール614、オーディオサブシステム616、スピーカー618を制御し、通信するマイクロプロセッサ620を含みます。、USBポート519、電池520および視覚指標526。いくつかの実装では、センサ管理コンポーネント602は、マイクロプロセッサ620の構成要素である。
【０１０７】
MVSFCSA600は手持ち型および携帯用である。MVSFCSA 600は滑り止め/スライドの外面材料を含んでいる。
【０１０８】
図7は、実装に応じて、マルチバイタルサインフィンガーカフスマートフォンアクセサリー(MVSFCSA)700のブロック図です。MVSFCSA 700は図4のMVSFCSA 402の1つの実装であり、MVSFCSA 700は図5のMVSFCSA 502の1つの実装であり、MVSFCSA700は図6のMVSFCSA 600の1つの実装である。MVSFCSA 700は、システム内のすべてのサポートされているセンサーから生データをキャプチャ、保存、エクスポートします。MVSFCSA 700はさまざまな測定方法および技術を支える。MVSFCSA 700は人間の生命徴候のコレクションのための臨床設定で使用することができる。
【０１０９】
マイクロプロセッサ702は、マルチバイタルサインフィンガーカフ506、空気エンジン507、赤外線指温度センサ508、近接センサ604および別のセンサ606からデータを制御および受信する。図7のセンサ管理コンポーネント602は、マイクロプロセッサまたはFPGAによって実装することができる図5の制御プロセスおよび信号処理コンポーネント527に実装することができる。一部の実装では、マイクロプロセッサ702は、高度な減らされた命令セットプロセッサである。
【０１１０】
マルチバイタルサインの指の袖口506は図4の取り替え可能な、取り外し可能で取り外し可能な多重生命サインの指の袖口406ではなく、MVSFCSA 700に統合される。 マルチバイタルサインフィンガーカフ506は、PPGセンサーと少なくとも1つのmDLSセンサを含む。マルチバイタルサインフィンガーカフ506は、マルチバイタルサインフィンガーカフ506のカフブラドを膨らませる空気圧を提供する空気圧エンジン507によってエアライン(例えば図406)を介して動力を与えられ、その制御信号をデフレートするマルチバイタルサインフィンガーカフ506のカフブラド。
【０１１１】
いくつかの実装では、人間の体表面温度もMVSFCSA 700によって体表面温度が収集および管理されるMVSFCSA 700に統合された赤外線指温度センサ508によって感知される。
【０１１２】
一部の実装では、1つの段階測定プロセスが必要とされる場合に、MVSFCSA 700 による1回の操作で、交換可能、取り外し可能で取り外し可能で取り外し可能で取り外し可能で取り外し可能なマルチバイタルサイン指カフ406またはマルチバイタルサイン指カフ506または赤外線指温度センサー508. しかし、一部の実装では、MVSFCSA 700が交換可能で取り外し可能で取り外し可能なマルチバイタルサインフィンガーカフ406またはマルチバイタルサインフィンガーカフ506を通していくつかの重要な兆候を測定する2段階の測定プロセスが実行されます。第2段階では、MVSスマートフォン装置503において、体表面温度は、屈折d指温度センサ508を介して測定される。
【０１１３】
マルチバイタルサインスマートフォン(MVS Smartphone)装置503は、無線Bluetoothに接続すると（Ｒ）無線Bluetooth（Ｒ）通信コンポーネント514を介してMVSFCSA700の通信コンポーネント513に接続され、MVSFCSA700へのスレーブである。MVSスマートフォン503はMVSFCSA 700を介してユーザーに進捗状況、測定プロセスおよび測定の測定を報告する。
【０１１４】
一部の実装では、MVSFCSA700 によって実行される測定プロセスは、MVS スマートフォン 503 上の GUI を介して MVSFCSA 700 から制御およびガイドされます。 測定は順序付けされ、すべての測定を完了するために必要な時間を最小にするために構成される。いくつかの実装では、MVSFCSA 700は心拍変動および血流の二次測定を計算する。MVSFCSA 700 コマンドと制御するワイヤレス Bluetooth（Ｒ）プロトコル通信回線412 を介して MVS スマートフォン 503、およびいくつかのさらなる実装では、MVS スマートフォン 503 は MVSFCSA 700 との通信を行います。同時。
【０１１５】
MVSFCSA700には、MVS Smartphone 503などのスレーブデバイスとのみインターフェース用にマイクロプロセッサ702に動作的に結合されたUSBポート519が含まれており、次の機能を実行する:内部充電式電池520を充電し、センサーデータをエクスポートするWINDOWSベースのコンピュータ システム、MVSFCSA 700 のファームウェア更新および MVSFCSA 700 の構成更新を制御および管理するアプリケーションを介してMVSFCSA 700 のファームウェア更新プログラムに設定します。
【０１１６】
一部の実装では、USBポート519を介して内部充電式電池520を充電し、バッテリ電源管理モジュール710によって制御される。バッテリ電源管理モジュール710は、RX/TX充電コイル716から電力を受け取る直接接続充電コンタクト(712)またはワイヤレス電源サブシステム714から電力を受け取る。MVSFCSA 700の内部充電式電池520は、MVSFCSA 700の電源オフ時に再充電できるが、直接接続充電端子712を介してUSBポート519またはDC入力に接続されている。一部の実装では、MVSFCSA 700 は、ワイヤレス充電接続を通して内部電源から MVS Smartphone 503 を充電できます。 一部の実装では、内部二次電池520は、MVSFCSAの内部二次電池520を充電する前に、少なくとも2日間の測定を行うために、1回の充電でMVSFCSA700の十分な動作寿命を提供します。700が必要です。 一部の実装では、システム電圧レール717は、バッテリ電源管理モジュール710と動作的に結合されている。
【０１１７】
一部の実装では、MVSFCSA700は、内部不揮発性、非ユーザリムーバブル、データ記憶装置524を含み、最大2日間のヒト生測定データセットを使用できます。 一部の実装では、MVSFCSA700 には、永遠のフラッシュ・ストレージ・システム706に接続するように構成されたシリアル周辺インターフェース(SPI)704が含まれています。
【０１１８】
一部の実装では、MVSFCSA700は、マイクロプロセッサ702および表示画面709に動作的に接続されたモバイル産業プロセッサインタフェース(MIPI)708を含む。 マイクロプロセッサ702はまた、視覚指標526に作動可能に結合される。
【０１１９】
MVSFCSA700には、WiFi（Ｒ）通信周波数（Ｒ）通信周波数を介した通信用のWiFi（Ｒ）通信モジュール614も含まれており、MVSFCSA 700には、携帯電話を介した通信用の携帯電話通信モジュール718も含まれています。通信周波数。WiFi（Ｒ）通信モジュール614およびセルラー通信モジュール612は、MVSFCSA700のケース/ハウジングと位置するアンテナに作動可能に結合される。
【０１２０】
MVSFCSA700はまた、オペレータまたは患者に情報を発音するために1つ以上のスピーカー618で制御するオーディオサブシステム616を含む。 いくつかの実装では、マイクロプロセッサ702はまた、オーディオサブシステム616を介して触覚モータ722を制御する。ユーザコントロール724はまた、触覚モータ722を制御する。 汎用入出力(GPIO)728(マイクロプロセッサ702に動作的に結合される)に動作的に結合されたパルス幅変調器726は、触覚モータ722に制御を提供する。
【０１２１】
MVSFCSA700は手持ち型および携帯用である。 MVSFCSA 700は滑り止め/スライドの外面材料を含んでいる。
【０１２２】
図 6 のMVSFCSA 600 と図 7 の MVSFCSA 700 は、WiFi、携帯電話、または Bluetooth を介してリモート システムに自動転送して、所定の間隔で連続的なスポット監視を実行します（Ｒ）、携帯電話またはBluetooth（Ｒ）通信プロトコルの有無にかかわらずMVSスマートフォンデバイスの使用、および臨床または他のリアルタイム監視システムへのアラーム監視と統合、センサーボックスとの統合、MVSFCSAがハブとして機能する、ECGなどのサードパーティ製センサー、または直接接続USBまたはワイヤレスからデバイス、例えば、ブルートゥース（登録商標）パッチ。
【０１２３】
ワイヤレス/ネットワークシステム(WiFi（Ｒ）、セルラー3G、4gまたは5G)またはBluetooth（登録商標）)は非常に多くの場合、信頼性が低いです。したがって、一部の実装では、MVS スマートフォン デバイスと MVSFCSA デバイスは、後で伝送するための重要な標識測定を管理します。
【０１２４】
図8は、実装に従って、マルチバイタルサインフィンガーカフ800のフロントエンドのブロック図である。マルチバイタルサインフィンガーカフ800のフロントエンドは、図4におけるマルチバイタルサインフィンガーカフ406の一部の1つの実装である。マルチバイタルサインフィンガーカフ800のフロントエンドは、システム内のすべてのサポートされているセンサーから生データをキャプチャ、保存、エクスポートします。マルチバイタルサインフィンガーカフ800のフロントエンドは、様々な測定方法と技術をサポートしています。多重生命徴候の指の袖口800の前端は人間の生命徴候のコレクションのための臨床設定で使用することができる。
【０１２５】
マルチバイタルサインフィンガーカフ800のフロントエンドは、フロントエンド被験者物理インターフェース804に機械的に結合されたフロントエンドセンサ電子インターフェース802を含む。フロントエンドセンサ電子インタフェース802は、マルチプレクサ808とPPGコントローラ810に電気的に結合されたPPGセンサ806を含む。フロントエンドセンサ電子インタフェース802は、mDLSコントローラ813に結合されたマルチプレクサ812に電気的に結合されたmDLSセンサ811を含む。フロントエンドセンサ電子インタフェース802は、マルチプレクサ816およびmDLSコントローラ817に電気的に結合されたmDLSセンサ814を含む。フロントエンドセンサ電子インターフェース802は、周囲温度センサ508を含む。フロントエンドセンサ電子インターフェース802は、3軸加速器818を備えている。
【０１２６】
PPGコントローラ810は、シリアル周辺インタフェース(SPI)822を介してコントローラ820に電気的に結合される。mDLSコントローラ813は、SPI824を介してコントローラ820に電気的に結合される。mDLSセンサ814は、SPI 826を介してコントローラ820に電気的に結合される。周囲温度センサ508は、I2Cインターフェース828を介してコントローラ820に電気的に結合される。3軸加速器818は、I2Cインターフェース828を介してコントローラ820に電気的に結合される。
【０１２７】
視覚標識()526は、汎用入出力(GPIO)インタフェース830を介してコントローラ820に電気的に結合される。シリアルポート832および高速シリアルポート834はコントローラ820に電気的に結合され、シリアル電源インタフェース836は高速シリアルポート834に電気的に結合される。電圧レギュレータ838は、コントローラ820に電気的に結合される。センサフロントエンドテストコンポーネントは、GPIOインターフェース830を介してコントローラ820に電気的に結合されています。
【０１２８】
PPGセンサカバー848は、PPGセンサ806に機械的に結合され、指圧カフ850は、フロントエンド被験者物理インターフェース804に機械的に結合され、空気コネクタ852は指圧カフ850に機械的に結合される。
【０１２９】
図9は、実装に従って、空気システムコンポーネント900のブロック図である。空気システムコンポーネント900は、図中のマルチバイタルサインフィンガーカフ406の1成分である。 空気システムの部品900はMVSFCSA 402、502、600、700および多重生命サイン指カフ800の前端にある。
【０１３０】
空気システムコンポーネント900は、指の膨張式カフブラダーを膨らませる空気圧を提供する膨張式カフブラダー1206などの膨脹可能なカフブラダーに機械的に結合された空気ポンプ904を含む図4のオクルージョンカフ416。膨脹可能なカフブラダー1206は、エアライン408などのエアライン906を介して空気ポンプ904に機械的に結合される。膨脹可能な袖口のぼうこう1206は、膨張可能な袖口膀胱1206の空気圧を測定する圧力センサ908に機械的に結合される。 エアライン906は、空気ポンプ904から膨張式カフブラダー12 06への圧力を制御するバルブ910に機械的に結合される。空気システムコンポーネント900は、空気エンジン507の1つの実装である。
図10は、マルチバイタルサインスマートフォン(MVSSmartphone)デバイス503のデータフロー図1000を、実装に従って示す。 データフロー図10 00は、MVSスマートフォン装置503上のLCDディスプレイ516上のグラフィカルユーザインタフェースを介したMVSFCSA502の処理である。
【０１３１】
データフロー図1000では、メイン画面1002は、アプリケーション10 04を終了するためのオプションを提供するMVSスマートフォンデバイス503によって表示され、構成設定10 06、データエクスポート設定1008を表示するか、患者識別入力画面1010を表示する。 構成設定表示 1006 は、MVS スマートフォン装置 503 の構成/管理のためのオプションを提供する。 一部の実装では、データフロー図1000は、MVSスマートフォンデバイス503の起動、初期化、自己チェックおよび測定能力に沿って、低電力動作および睡眠を含む。 データエクスポート設定1008の表示は、所定のバイタルサインの個々の測定を取るためのオプションを提供します。患者識別入力画面1010または代替的に、オペレータと被験者の両方のバーコードスキャンが完了した後、1つ以上のセンサが患者1012に配置され、MVSスマートフォン装置503は、センサからの信号品質が所定の最小閾値以上であることを1014を検証する。 検証1014が失敗した場合は、図に示すように10 16。  11、その後、1つ以上のセンサが患者10 12に配置されるプロセスが再開される。検証1014が図に示すように10 18に成功した場合。図12は、次いで、1つまたは複数のセンサを用いて測定10 20が行われ、その後の測定結果が図に示すように1022と表示される。   13およびその後の測定結果は、EMRまたは臨床クラウド1024に保存され、その後、プロセスはメインスクリーン1002で継続される。測定10 20の「paran完了」アクションは、必要なパラメータの感知が完了したことを示す指標である。
【０１３２】
図11は、マルチバイタルサインスマートフォン(MVSSmartphone)デバイス503の表示画面11 00で、センサからの信号品質が所定の最小閾値を下回っていることを示す、実施に応じて示す。 
【０１３３】
図12は、マルチバイタルサインスマートフォン(MVSSmartphone)デバイス503の表示画面12 00で、センサからの信号品質が所定の最小閾値以上であることを示す、実装に応じて示す。 
【０１３４】
図13は、マルチバイタルサインスマートフォン(MVSSmartphone)デバイス503の表示画面1300で、実装に応じてマルチバイタルサイン測定が成功した結果を示す。 表示画面1300 には、WiFi（Ｒ）接続レベル1302または Bluetooth（Ｒ）接続のレベル、またはセルラー接続のレベル、現在の時刻 1304、バッテリー充電の表示が含まれます。レベル1306、バイタルサインが測定された患者の患者名1308は、患者の血圧1310(収縮期および拡張期の水銀の観点から)を測定し、測定されたコア温度1312、毎分1314拍子で心拍数を測定し、患者血流中のSpO2レベル13 16を測定し、呼吸数13を測定した患者の1分あたりの呼吸の点では18。
【０１３５】
図14は、実施に従って、赤外線センサによって感知された額の温度から体心温度を推定する装置1400のブロック図である。 装置1400は、赤外線センサ14 04のためのパワーイニセタイザ14 02と時間遅延1406を含み、その後の処理を時間によって指定された期間遅らせる最大340ms(+20ms)の遅延など、最大340ms(+20ms)の遅延など、電力初期化器1402による赤外線センサ14 04の電力初期化後の遅延14 06。
【０１３６】
装置1400は、赤外線センサ14の電圧レベル測定器1408を含み、赤外線センサ14のセンサ電圧レベル1410の表現を出力する。04. センサ電圧レベル1410が2.7V以下または3.5Vを超えると、読み取りエラーメッセージ1412が生成され表示されます。
【０１３７】
装置1400はまた、赤外線センサ1404によって額面の4つの赤外線測定1416を開始し、4つの赤外線を受け取るセンサコントローラ1414を含む測定値 1416. 一部の実装では、額面の4つの赤外線測定1416のそれぞれは、赤外線センサ14 04によって、各々の間で最大155ms(+20ms)の期間で行われます。赤外線測定1416.
【０１３８】
受信した赤外線センサ14 04による額面の最大15の赤外線測定1416の1つが無効である場合、読み取りエラーメッセージ1412が表示される。
【０１３９】
装置1400はまた、周囲温度(Ta)測定を開始し、周囲温度(Ta)測定14を受け取る周囲温度コントローラ1418を含む14  20.周囲温度の周囲温度(Ta)測定1420が無効な場合、読み取り誤差メッセージ1412が表示される。 周囲温度コントローラ1418は、周囲温度(Ta)測定1420を、283.15K(10°C)~313.15°C(40°C)の数値範囲などの許容値の範囲と比較します。周囲温度(Ta)測定1420がこの範囲外の場合、読み取り誤差メッセージ1412が表示される。センサーコントローラ1414は、赤外線センサ1404によって額面の4つの赤外線測定値1416をすべて比較し、4つすべてが1ケルビン内にあるかどうかを判断します。お互いの程度。 赤外線センサ14 04による額面の4つの赤外線測定がすべて互いに1ケルビン度以内でない場合、読み取りエラーメッセージ1412が表示される。
【０１４０】
センサコントローラ1414は、赤外線センサによる額表面の4つの赤外線測定をすべて受信した物体温度(Tobj)14  22を提供するために、額面の4つの赤外線測定値を平均化する1404は、お互いの1度ケルビン内にある。 センサコントローラ1414はまた、センサ電圧補正を適用することにより、電圧補正周囲温度(COvTa)14 24および電圧補正物体温度(COvTobj)を生成します。 1428は、周囲温度(Ta)及び物体温度(Tobj)14  22にそれぞれ及ぶ。例えば、ケルビン=物体温度(Tobj)におけるセンサ電圧補正14 28−(センサでの電圧 − 3.00) * 0.65。 一部の実装では、センサキャリブレーションオフセットが電圧補正物体温度(COvTobj)に適用され、その結果、キャリブレーション補正された電圧補正オブジェクト温度(COcaCOvTobj)14 30が得られます。 例えば、特定のメーカーの赤外線センサ14 04から、各電圧補正物体温度(COvTobj)に0.60ケルビンのセンサキャリブレーションオフセットが追加されます。
【０１４１】
推定体中核温度発生器1432は、メモリ1438に格納されている1つ以上のテーブル14  36から推定体中核温度14 34を読み取る(メモリ14など) 図14の38)は、電圧補正された周囲温度(COvTa)を基準に、キャリブレーション補正された電圧補正物体温度(COcaCOvTobj)をボディコア温度に相関させる。1424。図14における推定体心温度発生器1432の1つの実装は、図中の装置1500である。15.表1436は、体心温度相関表としても知られている。
【０１４２】
スケールコンバータ1440は、推定体中核温度1434をケルビンから°Cまたは°Fに変換し、変換された体心温度1442をもたらす。熱性> 101degFの範囲の子供の異なる生理的応答を説明する小児科のための特定のアルゴリズム(<= 8歳)がある。
【０１４３】
図15-16は、キャリブレーション補正電圧補正を相関するメモリに格納されている1つ以上のテーブルから推定体中核温度を導出する装置15  00のブロック図である。実装に従って、修正された周囲温度を基準にして、ボディコア温度に対するオブジェクト温度。 装置15 00は、図14における推定体中核温度発生器1432の1つの実装である。
【０１４４】
装置1500は、電圧補正周囲温度(COvTa)(図1824)を比較するように構成された周囲温度動作範囲比較器11606を含む。14)を装置の動作温度範囲にして、電圧補正周囲温度(COvTa)14 24が動作温度範囲外であるかどうかを判定する。装置。 動作温度範囲は、装置1500の最低動作温度からMVSシステム400の最高動作温度までである。周囲温度動作範囲比較器11606は、図中のブロック2822を行う。28. 一例では、動作温度範囲は10.0 °C~40.0°Cです。 
【０１４５】
さらなる例では、電圧補正環境温度(COvTa)が282.15°K(9.0°C)の場合、例示的に最も低い動作温度(10.0°C)より小さい場合は、 電圧補正周囲温度(COvTa)は動作温度範囲外です。
【０１４６】
装置1500は、電圧補正周囲温度(COvTa)1424が外にあるかどうかを判定する周囲温度テーブル範囲比較器15 04を含む。テーブルの範囲。 周囲温度テーブル範囲比較器1504は、図中の作用2904を行う。29.たとえば、電圧補正された周囲温度(COvTa)が287.15°K(14.0°C)の場合、テーブルの最低周囲温度よりも低い場合は、電圧補正周囲温度(COvTa)は、テーブルの範囲外です。別の例では、電圧補正された周囲温度(COvTa)が312.25°K(39.1°C)の場合、最高の周囲温度(37.9°C)よりも大きいすべてのテーブルのうち、電圧補正された周囲温度(COvTa)はテーブルの範囲外です。
【０１４７】
周囲温度テーブル範囲比較器1504 が、電圧補正された周囲温度(COvTa)14  24がテーブルの範囲外であると判断した場合、制御は電圧補正された周囲温度(COvTa)(図14の1824)をテーブルの範囲の最下部と比較するように構成された周囲温度範囲-底面比較器1506電圧補正周囲温度(COvTa)14  24がテーブルの範囲より小さいかどうかを判定する。 テーブルの範囲の下部は、14.6 °C など、すべてのテーブルの最も低い周囲温度です。周囲温度範囲底面比較器1506は、図中のブロック2906を行う。29.さらなる例では、電圧補正された周囲温度(COvTa)が287.15°K(14.0°C)の場合、テーブルの最低周囲温度(14.6°C)より小さい場合は、その後、電圧補正された周囲温度(COvTa)は、テーブルの範囲の底よりも小さいです。
【０１４８】
周囲温度範囲底面比較器1506が電圧補正周囲温度(COvTa)14  24がテーブルの範囲より小さいと判定すると、制御は推定体に渡される低周囲温度1508のためのコア温度計算機は、キャリブレーション補正電圧補正物体温度(COcaCOvTobj)に推定体中コア温度1434を設定します電圧補正環境温度(COvTa)が最も低いアンビエントボディコアテーブルを下回る程度の1430  + .19°K。  低周囲温度1508の推定体中コア温度計算機は、図でブロック2908を実行します。29. 
【０１４９】
例えば、電圧補正アンビエント温度(COvTa)が12.6°Cで、表の範囲より小さい場合、14.6°C、キャリブレーション補正された電圧補正物体温度(COcaCOvTobj)1430 は 29°C (302.15°K)その後、低周囲温度1508 の推定体中核温度計算機は、推定体中核温度 1434 から 302.15°K を設定します。+ (.19°K*(14.6°C-12.6°C)、302.53°Kです。
【０１５０】
周囲温度範囲底面比較器1506が電圧補正周囲温度(COvTa)14  24がテーブルの範囲より小さいと判定すると、制御は推定に渡される体のコア温度計算機1510 推定体中核温度 1434 をキャリブレーション補正された電圧補正オブジェクト温度 (COcaCOvTobj)電圧補正環境温度(COvTa)が最も高いアンビエントボディコアテーブルの上にある各度の1430  - .13°K。  高周囲温度に対する推定体中核温度計算機1510は、図中のブロック2910を行う。29. 
【０１５１】
例えば、電圧補正アンビエント温度(COvTa)が45.9°Cで、全表の範囲(43.9°C)を上回り、キャリブレーション補正された電圧補正物体温度(COvTa)COcaCOvTobj) 1430は29°C(302.15°K)であり、ハイパーアンビエント温度の推定体中核温度計算機15  10は、推定体中核温度14 34を設定します302.15°K  - (.13°K*(45.9°C -43.9°C)、301.89°Kです。
【０１５２】
周囲温度テーブル範囲対格測器が、電圧補正周囲温度(COvTa)14  24がテーブルの範囲外ではないと判定した後に、     nの周囲温度テーブル比較器1512は、電圧補正周囲温度(COvTa)が1つのテーブルの周囲温度と正確に等しいか否かを判定する。高周囲温度の推定体中コア温度計算機1510は、電圧補正された周囲温度(COvTa)がテーブルの範囲内にあると判定する。周囲温度テーブル比較器1512は、図中のブロック28312を行う。29. 周囲温度テーブル比較器1512が、電圧補正された周囲温度(COvTa)がテーブルの1つの周囲温度と正確に等しいと判断した場合、推定ボディコア正確な周囲温度1514の温度テーブル値セレクタは、推定体中核温度14 34をその1つのテーブルの本体コア温度に設定し、 キャリブレーション補正された電圧補正物体温度(COcaCOvTobj)14 30。
【０１５３】
例えば、電圧補正周囲温度(COvTa)が34.4°C(表Dの周囲温度)で、キャリブレーション補正された電圧補正物体温度(COcaCOvTobj)14 30が29.1°Cの場合、推定値正確な周囲温度1514のボディコア温度の値セレクタは、推定体中コア温度1434〜29.85Cを設定し、キャリブレーション補正された電圧補正物体温度(COcaCOvTobj)14  30の29.1°C。
【０１５４】
装置1500は、テーブル補間セレクタ1516を含む。周囲温度テーブル比較器2912が、電圧補正された周囲温度(COvTa)がテーブルの1つの周囲温度と正確に等しくないと判断した場合、テーブル補間セレクタ1516は、電圧補正周囲温度(COvTa)が間に入る2つのテーブルを識別する。表補間セレクタ1516は、図中のブロック2918を行う。29.
【０１５５】
たとえば、電圧補正された周囲温度(COvTa)が 293.25°K(20.1°C) の場合、この周囲値は19.6°C および24.6°Cの周囲温度のテーブル間に入ります。19.6°Cテーブルが下半身コアテーブルとして選択され、24.6°Cテーブルが上位ボディコアテーブルとして選択されます。
【０１５６】
その後、装置1500は、下のテーブルとより高いテーブルとの間の重みを計算するテーブル補間重量計算機1520を含み、テーブル補間重み付け1522. 表補間重量計算機1520は、図中のブロック2918を実行する。  29.
【０１５７】
例えば、Tamb_bc_low(下半身コアテーブルの電圧補正周囲温度(COvTa))=19.6°CおよびT amb_bc_high(電圧補正周囲温度(COvTa)) より高いボディコアテーブル) = 24.6C、次に amb_diff = (Tamb_bc_high −Tamb_bc_low / 100) = (24.6 − 19.6) /100 = 0.050°C。 さらに、高いテーブルの重み付け = 100 /(Tamb -Tamb_bc_low) / amb_diff) = 100/ (((20.1 - 19.6)/0.050) = 10% および下位テーブル重み付け= 100 − 高いテーブル重み付け = 100 -100 = 90%。
【０１５８】
装置1500は、2つのテーブルのそれぞれから感知額温度に関連するコアボディコア温度を読み取るボディコア温度リーダー1524を含み、下半身コア表と上位ボディ コア テーブル。 本体コア温度リーダー1524は、図中のブロック2920を行う。29. キャリブレーション補正された電圧補正物体温度(COcaCOvTobj)14 30は、2つのテーブルへのインデックスとして使用される。
【０１５９】
装置1500はまた、下半身コアテーブル及びより高いボディコアテーブルのそれぞれについて補正値1528を算出する補正値計算機1526も含む。   例えば、各テーブルが0.1°ケルビン毎にキャリブレーション補正された電圧補正物体温度(COcaCOvTobj)14 30のエントリを有する場合、0.01°ケルビンの分解能に計算するために、線形差は2つに適用されます。キャリブレーション補正された電圧補正物体温度(COcaCOvTobj)14 30の間にあるテーブル値。
【０１６０】
例えば、キャリブレーション補正された電圧補正物体温度(COcaCOvTobj)14 30が309.03°Kの場合、キャリブレーション補正された電圧補正物体温度(COcaCOvTobj)14 30は間に落ちる。309.00 および 309.10。 補正値 1528 は + ((b − a)*.03) に等しく、a = 309.0°K のボディコア補正値、および309.1°K の b= ボディ カーブ補正値です。
【０１６１】
その後、装置1500は、補間テーブル1530に対する推定体心温度計算機を含み、を基準に感知額の体心温度を決定する。2 つのテーブルから加重されたボディ コア温度を合計して周囲温度。 補間されたテーブル1530の推定体中コア温度計算機は、図中のブロック29  22を実行する。29. 彼は体のコア温度が等しいと判断された(Tcor_low *低いテーブル重み付け /100) + (Tcor_high * 高いテーブル重み付け /100)。
【０１６２】
例えば、電圧補正環境温度(COvTa)が293.25°K(20.10°C)の場合、この場合は表の90%(90/100)と10%(10/100)を合計して推定値を設定します。体のコア温度1434.
【０１６３】
コンパレータ(1502、15 04および1506)は、互いに相対的な任意の順序で配置することができる。
実装の代替案
運用機能と実装機能
【０１６４】
EMRデータキャプチャシステム100、200、300の一部の実装では、運用機能と実装機能が制限されています。 ブリッジ120の限られた操作機能と実装機能を備えたEMRデータキャプチャシステム100、200、300の重要な機能は、マルチバイタルサインスマートフォンシステムからのデータを受け入れ、EMR/臨床データを更新することですリポジトリ144.   EMR/臨床データリポジトリ144は、電子医療記録システム(EMR)146、電子健康記録システム(148)、患者ポータル医療記録150、臨床モニタリングシステム152、および臨床データリポジトリ154の1つ以上であり得る。
【０１６５】
一部の実装で設定されている以下の限定機能は、デモンストレーション用の EMR データ キャプチャ システム 100、200、および 300 でサポートされています。
【０１６６】
ローカル IT ネットワークのサーバー上のローカル IT ネットワークへの実装、またはリモート ホスト型ネットワーク上にある、ヘルスケア システムの運用要件を満たすもののいずれか。
【０１６７】
マルチバイタルサインスマートフォンシステムからの患者医療記録の受け入れ 104:
a.  日付と時刻
b.  オペレータ識別
c.  患者識別
d.  バイタルサイン測定
e.  デバイスの製造元、モデル番号、ファームウェアのリビジョン
【０１６８】
マルチバイタルサインスマートフォンシステムからの限られたステータス情報の受け入れ 104:
a.  バッテリーレベル
b.  病院リファレンス
c.  場所参照
d.  製造元の識別、シリアル番号、ファームウェアのリビジョン
e.  一意のID 番号
【０１６９】
マルチバイタルサインスマートフォンシステム(複数)104から第三者EMRキャプチャシステムおよびEMRデータキャプチャシステム100、200および300への患者記録の転送は、それぞれその順序で行う。
【０１７０】
既知のマルチバイタルサインスマートフォンシステムのステータスレビューのためのユーザーインターフェイス104。
【０１７１】
構成を提供するアクティブ デバイスの構成更新制御:
a.  病院リファレンス
b.  単位の場所の参照
限られた運用機能と実装機能
【０１７２】
以下の機能は、限られた動作機能でサポートされています。
【０１７３】
EMR/臨床データリポジトリ144にそのデータを提出せずに使用するための患者記録情報および測定表示インタフェース。
【０１７４】
ワイヤレス ネットワーク上のデバイスファームウェアの更新。
運用上の使用
ローカル ネットワーク ベース− シングル クライアント
【０１７５】
一部の実装では、マルチバイタルサインスマートフォンシステム(複数)104は、WiFi（Ｒ）対応デバイスをサポートする他の場所、ワイヤレスITネットワークに展開されています。マルチバイタルサインスマートフォンシステム(複数)104は、ネットワークに参加するための接続プロセスの一部として、WEP、WPA、WPA2、WPA-EPAなどのローカルセキュリティポリシー/プロトコルを含むすべてのローカルネットワークポリシーをサポートします。一部の実装では、マルチバイタルサインスマートフォンシステム(複数)104は、物理無線LANと仮想無線LAN、WANの両方で動作し、マルチバイタルサインスマートフォンシステム(複数)104は、ネットワークの特定のセグメント上で動作するように構成されています。ITネットワーク構造に応じて、マルチバイタルサインスマホシステム(複数)104がネットワークの特定のセグメント上で動作するように構成されている場合、マルチバイタルサインスマートフォンシステム(複数)104ネットワーク接続能力は、構成される運用環境。したがって、異なるネットワーク構成を持つネットワーク環境におけるマルチバイタルサインスマートフォンシステム(複数)104は、マルチバイタルサインスマートフォンシステム(複数の重要なスマートフォンシステム)104が、各地で使用されるように構成されています。マルチバイタルサインスマートフォンシステム(複数)104がすべての必要な領域にアクセスできる環境。
【０１７６】
一部の実装では、ブリッジ 120 システムは同じ IT ネットワーク上に配置され、すべてのローカル IT 要件とポリシーに従って展開され、このネットワーク上のマルチバイタルサイン スマートフォン システム (複数) 104 は、ブリッジ120。マルチバイタルサインスマートフォンシステム(複数)104およびサーバは、ネットワーク名検出プロトコルを実装する必要がないため、ブリッジ120はネットワーク上に静的IPアドレスを割り当てる必要がある。セカンダリブリッジ デバイスがプライマリのバックアップとしてネットワークに展開される場合、またはブリッジ 120 がデュアル ネットワーク インターフェイス機能をサポートする場合は、セカンダリブリッジ IP アドレスも静的 IP アドレスを割り当てる必要があります。
【０１７７】
このブリッジ 120 をローカル IT ネットワーク インフラストラクチャに実装する利点は、マルチバイタル サイン スマートフォン システム (複数の)104 とブリッジ 120 の間で送信されるデータの待ち時間の短縮です。
【０１７８】
これは単一の組織の実装であり、ブリッジ 120 は単一の組織のセキュリティ要件とアクセス要件を満たすように構成されていることに注意してください。
【０１７９】
図3は、実装に応じて、リモートクラウドベースのブリッジ120を有する電子医療記録(EMR)キャプチャシステム300の概要のブロック図である。
【０１８０】
単一のクライアントに対するリモートクラウド ベースのブリッジ 120 の実装は、図 3 の説明の最後に説明されているローカル ネットワークの場合に似ていますが、ブリッジ120 が物理的なサイトに物理的に配置されていない場合を除きます。マルチバイタルサインスマートフォンシステム(複数) 104.
【０１８１】
マルチバイタルサインスマートフォンシステム(複数)104には、温度推定表が含まれる(図3に示す)。温度推定テーブルはメモリに格納されます。 温度推定テーブルは、感知された表面温度をボディコア温度に関連付けるルックアップテーブルです。
【０１８２】
ブリッジ120の物理的ロケールは、マルチバイタルサインスマートフォンシステム(複数)104に対して透過的である。
【０１８３】
ローカル インストールの場合と同様に、単一の運用組織に対して同じユーザーアクセス ポリシーとセキュリティ ポリシーが導入されます。
リモート ベース - 複数のクライアント サポート
【０１８４】
小規模な組織や、複数の組織をサポートするためにリモートブリッジ 120 システムを展開するサポート IT インフラストラクチャや機能を持たない組織の実装もあります。ブリッジ120 が複数の組織をサポートするために展開される場合、ブリッジ 120 はクラウド ベースのシステムとしてホストできます。この場合、マルチバイタルサインスマートフォンシステム(複数)104は、サポートされている異なる地理的位置組織の運用サイトに配置され、プライベートまたは公共インフラを介して標準的なネットワーキング方法を介してブリッジ120に結び付けられています。、またはその組み合わせ。
【０１８５】
リモート、すなわち非ローカルITネットワークが、複数の病院または他の組織のEMRデータキャプチャシステム100、200および300をサポートするためにシステムが展開される場合、サポートされている各組織のセキュリティおよびユーザーアクセスポリシーを分離するコンポーネントが含まれています。すべてのデータ転送を分離し、各組織のデータプライバシー要件をサポートするとともに、メソッドを使用できます。さらに、システムのパフォーマンスは、すべての組織間で均等にバランスを取る必要があります。この場合、各組織は特定のEMRデータキャプチャシステム100、200、300を使用する必要があり、EMRデータキャプチャシステム100、200、300は電子医療などの多くの多様なEMR/臨床リポジトリシステムと同時に動作可能です。記録システムEMR146、電子健康記録148、患者ポータル医療記録150、臨床モニタリングシステム152、および臨床データリポジトリ154。
単一測定の更新
【０１８６】
マルチバイタルサインスマートフォンシステムの主な機能は、例えば、患者の体のコア温度、オペレータに結果を表示し、患者情報とボディコアを保存するために、バイタルサイン測定を取ることですEMR/臨床データリポジトリ144に温度。
【０１８７】
通常、マルチバイタルサインスマートフォンシステム(複数)104は、オペレータが患者の測定のためにユニットを活性化するのを待つだけで低電力状態にある。オペレータEMRデータキャプチャシステム100、200および300によって作動すると、通常の動作条件の下でオペレータを導き、患者の体の中心温度の測定および忍耐強い記録の伝達のプロセスを導くEMRデータキャプチャシステム100、200および300を使用して保存するためのブリッジ120。
【０１８８】
オペレータへのプロセスの各段階での確認が必要であり、有効かつ同定された患者の結果が取得され、EMRに保存されることを保証するために、重要な最後の確認ポイントは:ブリッジ120へのデータの保存である。
【０１８９】
一部の実装では、いくつかの実装の各段階での確認は、ブリッジ120、マルチバイタルサインキャプチャシステム104、またはEMR/臨床データリポジトリ144のいずれかを介してオペレータによって提供される。
【０１９０】
ブリッジ120によって確認が提供される場合、ブリッジ120がEMR/臨床データリポジトリ144への転送に関する情報をタイムリーに受け入れ、現在責任を負っていることをマルチバイタルサインスマートフォンシステム(複数)104に対する謝辞です。そのデータの正しい管理と転送のために。
【０１９１】
EMRによって確認が提供されるとき、ブリッジ120は、確認がマルチバイタルサインスマートフォンシステムに戻されるメカニズムスビアの一つである104である。つまり、マルチバイタルサインスマートフォンシステム(複数)104は、ブリッジ120にデータを送信し、EMRにデータを送信し、EMRがブリッジ120に応答するのを待ち、次にブリッジ120をマルチバイタルサインスマートフォンシステム(複数)104に送信します。,
【０１９２】
運用ネットワークに応じて一部の実装では、ブリッジ120が物理的に位置する場所、すなわちローカルまたはリモートで、確認の種類が設定可能である。
【０１９３】
一部の実装では、マルチバイタルサインスマートフォンシステム(複数)104は、これらの条件の一部またはすべてが発生した場合に保存されていない患者記録のための内部不揮発性記憶装置を維持する: マルチバイタルサインスマートフォンシステム(複数)104は、ネットワーク。 マルチバイタルサインスマートフォンシステム(複数)104は、ブリッジ120と通信できません。 マルチバイタルサインスマートフォンシステム(複数)104は、ブリッジ120またはEMR/臨床データリポジトリ144のいずれかからレベル確認を受け取りません。マルチバイタルサインスマートフォンシステム(複数)104は、運用上の問題が発生した場合にその主な技術的目的を達成するために、内部不揮発性ストレージ機構を維持する必要があります。マルチバイタルサインスマートフォンシステム(複数)104がマルチバイタルサインスマートフォンシステムの内部メモリに存在する記録を保存した場合、マルチバイタルサインスマートフォンシステム(複数)104は、保存されたレコードをブリッジ120に転送しようとするタイムリーな自動処理を行います。
定期的な接続性
【０１９４】
マルチバイタルサインスマートフォンシステム(複数) 104は、日付/時刻、設定設定を取得するために、ブリッジ120にステータス情報を提供し、保存された患者レコードを転送し、ファームウェアの更新をチェックして、設定された間隔のメカニズムを提供しますオペレータの介入なしに設定されたブリッジ120に自動的に電源が入り、通信します。
【０１９５】
従って、マルチバイタルサインスマートフォンシステム(複数)104の通常の臨床使用活性化の外で、マルチバイタルサインスマートフォンシステム(複数)104は、両方の内部設定を更新し、ブリッジ120システムにステータス情報を提供することができる。
【０１９６】
これらのアクションがオペレータに任された場合、マルチバイタルサインスマートフォンシステムの起動ケース(複数バイタルサイン)104の起動時に、マルチバイタルサインの測定アクションに進む際にオペレータに許容できない遅延が生じる可能性があります。スマートフォンシステム(104)。
保存された患者測定記録(PmR)の自動転送
【０１９７】
不明な理由でマルチバイタルサインスマートフォンシステム(複数)104がネットワークに参加するか、ブリッジ120に接続できなかったか、ブリッジ120またはEMRデータレベルを受信し、データがマルチバイタルサインスマートフォンシステムに保存されたことを認めた場合(複数)104主要な臨床身体の中心温度測定機能を行うことを可能にし、サポートされ、構成され、マルチバイタルサインの保存された患者記録の最大数まで不揮発性内部メモリの結果のPMRを救うスマートフォンシステム(104)。
【０１９８】
マルチバイタルサインスマートフォンシステム(複数)104が測定アクションのために開始されるとき、マルチバイタルサインスマートフォンシステム(複数)104は、その内部メモリに保存された患者記録が含まれているかどうかを判定する。1つ以上の保存された患者記録が検出された場合、マルチバイタルサインスマートフォンシステム(複数)104は、すぐにネットワークに参加しようとし、ブリッジ120に接続し、必要な待機中に一度に1つずつブリッジ120デバイスに患者レコードを送信します橋120が患者記録を受け入れたことを確認する。この場合、EMRからの確認は必要ありません。リモートシステムから必要な検証応答を受け取った場合、マルチバイタルサインスマートフォンシステム(複数)104は、その内部メモリから患者記録を削除する。リモートデバイスによって受け入れられていると確認されていない保存された患者記録は、マルチバイタルサインスマートフォンシステムの次の電源アップに対する転送試行のためのマルチバイタルサインスマートフォンシステム(複数)104内部メモリに保持されます。.
【０１９９】
設定された間隔でマルチバイタルサインスマートフォンシステム(複数)104もこの機能を実行します。一部の実装では、マルチバイタルサインスマートフォンシステム(複数)104は、記録がブリッジ120に転送されることを確実にするために、マルチバイタルサインスマートフォンシステム(複数)104に保存された患者記録が存在する間隔を短縮し、その後、EMR/臨床データリポジトリ144は、問題が解決されたらタイムリーに。この転送機構がアクティブな状態情報である場合は、マルチバイタルサインスマートフォンシステム(複数)104画面でオペレータに提示されます。
【０２００】
この操作の下でブリッジ120装置は単一の多重生命徴候のスマートフォンシステム(複数)104の複数の患者記録の転送要求を急速な順序で受け取ることが可能である。
デバイス構成
【０２０１】
マルチバイタルサインスマートフォンシステム(複数) 1)1)ブリッジ120、2)構成された間隔または3)オペレータの開始は、モデル番号とすべての適切な改訂番号と一意の識別でブリッジ120に送信します。マルチバイタルサインスマートフォンシステム(複数)104ブリッジ120は、そのマルチバイタルサインスマートフォンシステム(複数)104の機能と特定の構成を決定することを可能にする。
【０２０２】
ブリッジ120は、単一のデバイス、定義されたデバイスのグループ、またはマルチバイタルサインスマートフォンシステム(複数)104がブリッジ120に問い合わせを行う、単一のデバイス、定義されたデバイスのグループのいずれかに対して、デバイス構成の中央リポジトリとして機能します。マルチバイタルサインスマートフォンシステム(複数)104と照会されたデバイスパラメータがマルチバイタルサインスマートフォンシステムと異なる場合、マルチバイタルサインスマートフォンシステム(複数) 104は、現在の設定を新しい設定値に更新します。橋120。
デバイスの日付/時刻の更新
【０２０３】
マルチバイタルサインスマートフォンシステムにメカニズムがない実装では、ユーザーインターフェイスを介してマルチバイタルサインスマートフォンシステム(複数)104で日時を設定するユーザのための104。
【０２０４】
マルチバイタルサインスマートフォンシステムのリアルタイムクロック(複数)104は時間とともに漂う可能性があります。したがって、ブリッジ120に接続された各マルチバイタルサインスマートフォンシステム(複数)104は、現在の日時についてブリッジ120を照会し、マルチバイタルサインスマートフォンシステム(複数) 104内部クロックを更新します。ブリッジ120。
【０２０５】
一部の実装では、マルチバイタルサインスマートフォンシステム(複数)104は、定義された間隔でブリッジ120を照会するか、またはマルチバイタルサインスマートフォンシステム(複数)104がネットワークに参加する際にオペレータによって開始される場合に照会する。したがって、ブリッジは、ローカルIT ポリシーに従って、うるう年の機能を備えた正確な日付と時刻のメカニズムをサポートします。 ローカル IT ポリシーが適用されていない場合、ブリッジ 120は、Web ベースのタイム サーバーなど、既知の正確なソースに対して日時を保持します。
【０２０６】
したがって、一部の実装では、すべてのデバイスは、EMRデータキャプチャシステム100、200および300の動作およびマルチバイタルサインスマートフォンシステム(複数)104の機能を通じて同じ日時に維持される。
デバイスステータス管理
【０２０７】
いくつかの実装では、ブリッジ120は、EMRデータキャプチャシステム100、200および300で使用されているマルチバイタルサインスマートフォンシステム(複数)104のためのデバイス管理のレベルを提供する。一部の実装では、ブリッジ120 は少なくとも次の情報を報告および決定できます。
【０２０８】
製造、デバイスモデル、改訂情報および表示デバイスのシリアル番号、一意のデバイス識別、資産番号、リビジョンなど、およびに構成されたその他のローカライズされた識別情報によってデバイスをグループ化およびソートします。マルチバイタルサインスマートフォンシステム(複数) 104、例えば、病棟の場所参照または病院参照。
【０２０９】
EMRデータキャプチャシステム100、200、および300に接続された特定のユニットが最後に接続された時刻。
【０２１０】
特定のデバイスの現在の状態、バッテリーレベル、最後のエラー、チェックの再キャリブレーションの最終日、またはマルチバイタルサインスマートフォンシステムでサポートされているその他の健康指標(複数の)104。
【０２１１】
デバイスのキャリブレーション期間が過度に切り上がっているか、キャリブレーションチェックに近づいていると報告します。
【０２１２】
内蔵バッテリの交換が必要なデバイスを報告します。
【０２１３】
検出されたデバイスの障害またはエラー状態が原因で再検査が必要なデバイス、または過酷な方法で処理されたデバイス、またはドロップされたデバイスを報告します。
【０２１４】
マルチバイタルサインスマートフォンシステム(複数)104が一定期間接続されていないかどうかを確認し、マルチバイタルサインスマートフォンシステム(複数)104を紛失または盗難として識別します。マルチバイタルサインスマートフォンシステム(複数)104がこの期間後にネットワークに再接続した場合、一部の実装ではマルチバイタルサインスマートフォンシステム(複数)104が動作していることを確認するために精度チェックが必要と強調表示されます。一部の実装では、マルチバイタルサインスマートフォンシステム(複数)104もこの機能をサポートし、あらかじめ決められた時間がネットワークから切断された後、マルチバイタルサインスマートフォンシステムの測定機能を阻害し、マルチバイタルサインスマートフォンシステム(複数)104レベルの再チェックが行われます。
【０２１５】
ネットワークのオンとオフにデバイスを委託および使用停止するメカニズムを提供します。マルチバイタルサインスマートフォンシステム(複数)104がネットワーク上での運用のために特別に委託されていない場合、一部の実装では、ブリッジ120でサポートされているコアサービスにアクセスすることはできません。EMRデータキャプチャシステム100、200、および300。
ファームウェアの更新
【０２１６】
一部の実装では、特定のデバイスモデルのファームウェアの更新は、単に発生するのではなく、ネットワーク上でスケジュールされます。 マルチバイタルサインスマートフォンシステム(複数)104が患者測定ファームウェアの更新のために活性化されると、更新プロセスが患者の生物学的バイタルサイン測定を遅らせるのでブロックされます。代わりに、ブリッジ120 システムには、更新の日時をスケジュールし、同時に更新されるデバイスの数を制御できるファームウェア更新ロールアウト メカニズムが含まれています。
【０２１７】
一部の実装では、マルチバイタルサインスマートフォンシステム(複数)104が、マルチバイタルサインスマートフォンシステム(複数)104がブリッジ120を照会し、デバイスのモデルのファームウェアアップデートがあるかどうかを判断するハートビートイベントのために、マルチバイタルサインスマートフォンシステム(複数)104がブリッジ120に接続する場合利用可能なファームウェアをリビジョン番号で更新する必要があるかどうかを確認します。ブリッジ120は、ファームウェアの更新が利用可能であるかどうか、および更新プロセスの定義されたスケジュールに基づいて、マルチバイタルサインスマートフォンシステム(複数)104によるクエリに応答する。ブリッジ 120 で更新プログラムが利用可能で、現在の日時がスケジュールに対して有効でない場合、ブリッジ 120 は、更新プログラムがあるが更新プロセスが遅れていることをマルチバイタルサイン スマートフォン システムに送信し、mul を更新します。ti-vital-signスマートフォンシステム(104)ファームウェアチェック間隔構成。ファームウェアチェック間隔設定は、より迅速な更新を容易にするために、ハートビート間隔よりも速い間隔でブリッジ120に再接続するために、マルチバイタルサインスマートフォンシステム(複数)104によって使用されます。例えば、一部の実装ではブリッジ120のファームウェア更新スケジュールが午前2時から午前4時の間に毎晩設定され、一部の実装ではインターバルタイマーが15分ごとに設定されます。
【０２１８】
いくつかの実装では、ブリッジ120は、特定の更新手順、ファイル形式、および検証方法と日付と時刻のスケジューリングメカニズムから、それぞれ異なる多種類のマルチバイタルサインスマートフォンシステム104のファームウェアの更新プロセスを管理しますと同時に更新されるデバイスの数。さらに、いくつかの実装では、ブリッジ120は、マルチバイタルサインスマートフォンシステム(複数)104で使用するためにブリッジ120上に維持されたファームウェアの更新ファイルを管理し、検証するためのメカニズムを提供します。
【０２１９】
このセクションでは、EMR データ キャプチャ システム 100、200、および 300 のさまざまな側面に関する短い注意事項を以下に示します。
【０２２０】
リモート − 単一クライアント操作: ブリッジ 120 アーキテクチャは、病院のネットワーク システム上でリモート操作を提供します。 リモート操作は、マルチバイタルサインスマートフォンシステム(複数)104が動作しているが、組織のネットワークアーキテクチャ上にまだあると考えられるネットワークインフラストラクチャの外部と見なされます。これは、複数の病院 -単一の組織グループがEMRデータキャプチャシステム100、200および300を展開しているが、1つのブリッジ120デバイスサービスはすべての病院の場所にサービスを提供し、ブリッジ120は病院のサイトまたはITセンターの1つに位置する場合があります。
【０２２１】
リモート −複数クライアント操作: 一部の実装におけるブリッジ 120 アーキテクチャは、クラウド ベースの単一または単一のクライアントまたは複数の個別のクライアントの完全な機能を同時にサポートするクラウドベースのサーバー上のリモート操作に限定されます。複数のサーバー・システムを導入して、1つ以上の個々の病院/臨床組織にサービスを提供します。
【０２２２】
複数の同時EMR サポート: 複数のクライアントにサービスを提供する単一のリモート・ブリッジ 120 の場合、EMR データ・キャプチャ・システム 100、200 および300 は、独立した EMR および異なる EMR ベンダーへの接続をサポートします。一部の実装では、1 つのブリッジ 120 が複数のクライアントにサービスを提供している場合、各クライアントは、異なるEMR/臨床データ リポジトリに安全にデータを送信する構成を必要とします。
【０２２３】
同じクライアントに対して異なる EMR をサポート: 単一のクライアント組織での運用のためのブリッジ 120 アーキテクチャは、運用中の区の異なる部門から異なるEMR/臨床データ リポジトリ 144 の組織によってユーザーをサポートします。環境。1 つの組織が、心臓学や ER などの異なる運用環境に対して複数の異なるEMR/臨床データ リポジトリ 144 をサポートすることも珍しくなります。一部の実装におけるEMRデータキャプチャシステム100、200および300はこれを考慮に入れ、患者データを正しいEMR/臨床データリポジトリ144にルーティングします。したがって、ブリッジ120は、医療データをEMRにルーティングし得ることを示す所定のマルチバイタルサインスマートフォンシステム(複数)104について通知される。
【０２２４】
単一ブリッジ120 上の複数のクライアント操作の操作の分離:
【０２２５】
EMRデータキャプチャシステム100、200、および300は、各クライアントの構成、パフォーマンス、ユーザーアカウント、セキュリティ、プライバシー、およびデータ保護を維持するために、クライアントインターフェイスと機能ごとにサポートされています。複数の独立した病院グループにサービスを提供する単一サーバー実装の場合、一部の実装ではブリッジ120はすべての機能とクライアントごとのパフォーマンスを個別に維持し、別々のユーザアカウント、ブリッジ120構成を保証します。装置操作、患者および非忍耐強いデータ、インターフェイス等はクライアントごとに扱われ、隔離される。複数のクラウド ベースの実装は、各クライアントに独自のクラウド ベースのシステムが含まれているため、この機能を省略します。
【０２２６】
複数の組織のデバイスサポート:ブリッジ120は、複数の別々の病院システムにサービスを提供するリモート実装のために、少なくとも100万以上のマルチバイタルサインスマートフォンシステムをサポートしています。サポートされているマルチバイタルサインスマートフォンシステム(複数) 104は、異なるメーカーからマルチバイタルサインスマートフォンシステム(複数)104することができます。
【０２２７】
EMRキャプチャシステムのサポート:マルチバイタルサインスマートフォンシステム(複数)104は、EMRデータキャプチャシステム300の幅広い実装をサポートし、市販のEMR/臨床データリポジトリ144にインターフェースすることができます。
【０２２８】
EMR キャプチャシステム インターフェイスと承認: ブリッジ 120 デバイスは、必要なすべての通信、暗号化、セキュリティ プロトコル、およびデータ形式をサポートし、必要なすべての運用標準、標準に従ってPMR 情報の転送をサポートします。EMR/臨床データリポジトリ144の承認機関は、EMRデータキャプチャシステム100、200、300でサポートされています。
【０２２９】
リモート EMRキャプチャ システム(複数):ブリッジ 120 は、EMR データ キャプチャ システム(複数) 300 ロケーションに依存しない必要な EMR/臨床データ リポジトリ144 へのインターフェイスをサポートします。ブリッジ120は、その両方の組み合わせ上に存在する。 EMRデータキャプチャシステム100、200および300、またはシステムは、ブリッジ120が同じネットワークまたはブリッジ120の実装場所上に配置することができない患者と相互作用し、保存するために必要とされること、したがって、ブリッジ120実装の一部で実装は、EMRへのルートが存在し、信頼性があることを保証します。
【０２３０】
デバイス患者記録のブリッジバッファリング:ブリッジ120デバイスは、EMR/臨床データリポジトリ144への通信障害が発生した場合に、接続されたマルチバイタルサインスマートフォンシステム(複数)104から受信したPmRをバッファリングするメカニズムを提供します。通信が再確立され、その後、バッファリングされた測定レコードがEMR に転送されます。 通常の動作では、ブリッジ120からのネットワーク接続が失われる。 設定された EMR データ キャプチャ システム 300 に通信が失われた場合、一部の実装のブリッジ120 はマルチバイタルサイン スマートフォン システム (複数) 104 からの測定レコードを受け入れ、通信まで測定レコードをバッファリングします。が再確立されました。測定記録をバッファリングすることで、医療施設の現在のデータをブリッジ120に転送して、後続の処理を安全に行えます。 この場合、ブリッジ120は、マルチバイタルサインスマートフォンシステム(複数)104のいずれか1に応答します。EMR受け入れの動的検証は不可能、または 2.ブリッジ 120 はデータを正しく受け入れました。
【０２３１】
ブリッジ120リアルタイムデバイスへのEMR保存の認識:ブリッジ120は、EMRがPMRを受け入れ、保存したことをマルチバイタルサインスマートフォンシステム(複数)104確認に渡すメカニズムを提供します。ブリッジ120は、EMR/臨床データリポジトリ144(複数)がPMRを受け入れ、検証したことをリアルタイム確認してマルチバイタルサインスマートフォンシステム(複数)104を提供するように構成された場合。これは、ブリッジ 120 でサポートされる構成オプションです。
【０２３２】
ブリッジ120リアルタイムデバイスPMRの受け入れ確認:ブリッジ120は、ブリッジ120がEMRへの後続処理のためにPMRを受け入れたことを確認して、マルチバイタルサインスマートフォンシステム(複数)104に渡すメカニズムを提供する。一部の実装におけるマルチバイタルサインスマートフォンシステム(複数)104は、ブリッジ120がPMRを受け入れたことを確認し、マルチバイタルサインスマートフォンシステム(複数)104のオペレータにデータが安全であることを通知します。このレベルのマルチバイタルサインスマートフォンシステムへの確認レベルは、EMRデータキャプチャシステム100、200および300で使用可能な最小レベルと考えられる。装置からのPMRの受け入れのブリッジ120によるリアルタイム受信確認は、ブリッジ120によってサポートされる構成オプションである。
【０２３３】
ブリッジの日時:ブリッジ 120 は、ローカル ネットワークのタイム ソースまたはネットワークの IT スタッフが推奨するソースに対して内部の日付と時刻を維持します。一部の実装におけるすべての遷移およびロギングイベントは、ブリッジ120のログにタイムスタンプが付けられます。マルチバイタルサインスマートフォンシステム(複数)104は、内部RTCを更新するために、現在の日時のためにブリッジ120を照会します。 マルチバイタルサインスマートフォンシステムの内部時間は+/-1秒の精度レベルまで維持できますが、マルチバイタルサインスマートフォンシステム(104)からサブ1秒間隔で時間を維持する必要はありません。
【０２３４】
グラフィカルユーザインタフェース:ブリッジ120デバイスは、EMRデータキャプチャシステム100、200および300のオペレータまたはオペレータにシステム情報を提示するグラフィカルユーザインタフェースを提供する。一部の実装では、EMR データ キャプチャ システム 100、200、および 300 との対話のためにユーザーに提示されるユーザー インターフェイスは、本質的にグラフィカルであり、このタイプの他のシステムで一般的に使用される最新のユーザーインターフェイスプラクティス、コントロール、およびメソッドを使用できます。 コマンドラインまたはシェル・インターフェースは、システム管理スタッフが使用するために提供することができますが、オペレーターの使用には受け入れられません。
【０２３５】
ロギングおよびログ管理: ブリッジ 120 は、ブリッジ 120 で実行されたすべてのアクションをログに記録し、ロギング情報を管理するユーザ インタフェースを提供するロギング機能を提供するために必要です。この機能は、すべてのサーバーおよびユーザーアクションに対して、標準のロギング機能で許容されます。一部の実装ですべてのデバイス通信とデータ転送の高度なロギングも提供され、マルチバイタルサインスマートフォンシステム、またはマルチバイタルサインスマートフォンシステムの製品範囲ごとに有効/無効にすることができます。
【０２３６】
ユーザーアカウント:ブリッジ120デバイスは、アクセス制御の目的でマルチバイタルサインスマートフォンシステム(複数)104上のユーザーアカウントをサポートするメカニズムを提供します。ユーザー アクセス制御の標準的な方法は、インストール/実装サイトの運用要件に準拠して受け入れられます。
【０２３７】
ユーザー・アクセス制御: ブリッジ 120 デバイスは、ユーザーのタイプごとにアクセス制御権限を定義する複数のユーザー・アクセス制御をサポートします。サポートされている各アカウントの種類の複数のアカウントがサポートされます。一部の実装ではEMR データ キャプチャ システム 100、200、および 300 へのアクセスが機能レベルで制御されます。
【０２３８】
システム管理者:EMRデータキャプチャシステム100、200および300、サーバおよびデバイスベースのすべての機能へのアクセスを提供します。
【０２３９】
デバイス管理者:EMR データ キャプチャ システム 100、200、および 300 でサポートされているすべてのデバイス関連機能へのアクセスのみを提供します。
【０２４０】
デバイス オペレータ: デバイスの使用状況にのみアクセスできます。
【０２４１】
デバイス インストーラ: デバイスの試運転とテスト機能にのみアクセスできます。
【０２４２】
1 つ以上のアカウントの種類に対するアクセス許可に対して、ユーザーアカウントを構成できます。  >>>>>>>>この行を取り除くことをお勧めします。
【０２４３】
マルチユーザー サポート: ブリッジ 120 デバイスは、すべての機能にわたってブリッジ 120 システムのアクセスと管理を同時にマルチユーザーサポートするために必要です。複数のユーザー アクセスを提供することは、サポートに必要な運用機能と見なされます。
【０２４４】
ユーザー アカウントの変更: ブリッジ 120 には、サポートされているユーザー アカウントとサポートされているアクセス権をアカウントごとに作成、削除、および編集する方法が用意されています。  
【０２４５】
ブリッジ・データの破損/リカバリ:一部の実装におけるブリッジ120アーキテクチャと実装により、EMRデータキャプチャ・システム100、200、300の致命的な障害、またはデータが失われていないストレージ・コンポーネントが、未確認の場合PmR用EMRに保存するか、EMRデータキャプチャシステム100、200、300によって維持される非患者データに関する運用データのストレージをローカライズします。ブリッジ 120 は、EMR データ キャプチャによって処理されるすべてのデータに対して、ブリッジ 120 またはブリッジ 120 コンポーネント、ネットワークインターフェイス、ストレージ システム、メモリの内容などのいずれかの重大で致命的なシステム障害の下で失われたデータをゼロにする方法をサポートしています。システム100、200および300。致命的な障害が発生した場合、EMRデータキャプチャシステム100、200、300は、EMRデータキャプチャシステム100、200、300が臨床のためにアクティブであることを保証するために、リカバリアクションと通常の運用活動の両方をサポートします。使用。
【０２４６】
ブリッジの可用性:ブリッジ120デバイスは、99.99%の可用性、すなわち「4ナイン」システムで、フェイルセーフ操作24/7/365のための高可用性システムです。ブリッジ120 の実装は、一部の実装でブリッジ 120 ハードウェアが冗長デュアル サーバー構成で実装され、単一の障害条件を処理するため、99.99% の可用性メトリック、つまり「4ナイン」システムを満たします。 ブリッジ120は独立した電源を有するか、または設置サイトが一部の実装におけるブリッジ120設置がポリシー要件に準拠して電力損失動作のためのポリシーを有する場合。
【０２４７】
ブリッジ静的IP アドレスおよびポート番号: ブリッジ 120 は、プライマリ使用静的 IP アドレスおよびポート番号に対してブリッジ 120 を設定するメカニズムを提供します。ブリッジ120へのマルチバイタルサインスマートフォンシステム(複数)104接続の場合、一部の実装ではブリッジ120は静的IPアドレスを有し、一部の実装ではIPアドレスがマルチバイタルサインスマートフォンシステム(複数)104によって知られている。
【０２４８】
ブリッジデュアルネットワーク機能:ブリッジ120システムは、プライマリネットワークインターフェイスの障害を許容するデュアルオペレーショナルネットワークインターフェイスをサポートするメカニズムを提供します。このセカンダリネットワーク インターフェイスは、構成可能な静的 IP アドレスとポート番号をサポートします。 一部の実装では、プライマリ ネットワーク インターフェイスに障害が発生したイベントをカバーするために、冗長ネットワーク接続が提供されます。EMRデータキャプチャシステム100、200、および300のブリッジ120実装が2つの別々のブリッジ120またはその他の冗長メカニズムを使用してバックアップシステムを提供する場合、この要件は運用の観点から緩和できますが、EMRデータキャプチャ一部の実装では、システム100、200、および 300 がこのメカニズムをサポートしています。
【０２４９】
ローカルWiFi（Ｒ）コミッショニングネットワーク:ブリッジ120は、運用用の新しいマルチバイタルサインスマートフォンシステム(複数)104を委託するためのローカル運用ネットワーク上のメカニズムを提供します。EMRデータキャプチャシステム100、200および300は、運用ネットワーク上で新しいデバイスを試運転する使用のためにローカライズされた隔離されたネットワークを供給する。ブリッジ 120 は、このネットワーク上の既知のデフォルト IP アドレスを持ち、EMR データ キャプチャ システム 100、200 および 300 上のデバイスへのIP アドレスの割り当て用の DHCP サーバーを提供します。 新しいデバイスの試運転は、ブリッジ120機能の中核的な側面と考えられる。ただし、一部の実装で別の非サーバーベースのアプリケーションが、同じユーザー インターフェイスがユーザーに提示され、同じデバイス レベルの構成オプションが提供されている場合は、構成プロセスを管理することは許容されます。一部の実装では、ネットワーク上の新しいマルチバイタルサインスマートフォンシステム(複数)104の構成は、第1段階:試運転ネットワークから運用ネットワークへのネットワーク構成の2つの段階で行われます。 ステージ2:一度臨床/システム機能操作のためのマルチバイタルサインスマートフォンシステム(複数)104の運用ネットワーク固有の構成に参加。
【０２５０】
デバイスの遠隔試運転:EMRデータキャプチャシステム100、200および300は、ブリッジ120デバイスがローカルネットワーク上に存在しないメカニズムを提供し、新しいデバイスが運用ネットワーク上で委託される。ブリッジ120が運用サイトネットワーク外部のクラウドサーバ上にある場合でも、一部の実装では新しいデバイスを、ブリッジ120がローカルサーバであるかのようにネットワークに委託することができる。これにより、このメカニズムをサポートする運用ネットワークへのコミッション リレー サーバーのインストールは妨げにはなりません。
【０２５１】
デバイス設定:ブリッジ120は、試運転ネットワークまたは運用ネットワークのいずれか上の既存または新しいマルチバイタルサインスマートフォンシステム(複数)104のデバイスレベルのネットワーク動作およびセキュリティ設定の設定をサポートする。新しいデバイスは、試運転ネットワーク上で構成されます。 運用ネットワーク上の既存のデバイスは、マルチバイタルサインスマートフォンシステム(複数)104が現在ブリッジ120に接続されているネットワークとは無関係に、ネットワークおよびセキュリティ要件に対しても構成可能であり、必要なユーザインタフェースを提供します。オペレーターによるネットワークの運用およびセキュリティ設定の構成に関する。一度設定すると、マルチバイタルサインスマートフォンシステム(複数)104が正しく構成されていることを確認する方法が、マルチバイタルサインスマートフォンシステム(複数)104が動作していることを証明するためにオペレータに提示される。デバイスは、この検証目的でネットワークを再起動して再び参加するネットワーク コマンドをサポートします。
【０２５２】
ブリッジ構成:ブリッジは、ブリッジ120のすべての必要な特定の制御オプションの構成をサポートするメカニズムを提供する。一部の実装でブリッジ120 関数を構成する方法は、構成オプションが有効、無効化、またはパラメータの範囲が必要なすべての機能に対して提供されます。
【０２５３】
ブリッジマルチバイタルサインスマートフォンシステム受信確認方法:ブリッジ120は、EMRデータキャプチャシステム100、200および300で必要な確認のタイプを制御する設定方法を提供します。: デバイス構成依存、EMRレベル確認、ブリッジ120 レベルの確認。 一部の実装では、マルチバイタルサインスマートフォンシステム104は、PMRがEMRデータキャプチャシステム100、200および300によって保存されたか、ブリッジ120による処理のために受け入れられたことをブリッジから確認する必要があります。
【０２５４】
EMRレベル:ブリッジ120は、EMRデータキャプチャシステム100、200、300による保存を確認します。
【０２５５】
ブリッジレベル:ブリッジ120制御、ブリッジ120による処理のために受け入れられる。
【０２５６】
ファームウェア更新メカニズムの有効/無効: ブリッジ 120 は、サポートされているマルチバイタルサインスマートフォン システムをグローバルに有効または無効にする方法を提供します104 ファームウェア更新機能。 グローバルイネーブル/無効を使用すると、ファームウェアの更新プロセスを制御できます。
【０２５７】
サーバ管理:ブリッジ120は、ブリッジ120およびプラットフォーム機能の構成およびパフォーマンス監視を提供するユーザインタフェースを提供するために必要とされる。
【０２５８】
システムレポート:ブリッジ120は、ブリッジ120システムのすべての機能に関する標準レポートをオペレータに提供するメカニズムを提供するために必要とされる。一部の実装における標準レポートには、レポートパラメータの選択、レポートパラメータの並べ替え、レポートのスリンティング、既知の形式へのレポートのエクスポート、WORD、Excel、PDFなど、レポートの識別、組織名、場所、ページが含まれます。番号、レポートの名前など、ログの日付と時刻、ユーザーの種類と範囲別に生成され、すべてのシステム機能とログの完全なレポートを提供し、例は次のとおりです:EMR データ キャプチャ システム 100、200、300 に知られているデバイスの一覧、場所の参照と日付と時刻ast接続すべての既知のマルチバイタルサインスマートフォンシステムのバッテリー状態に関するレポート104. 校正日が期限切れになったデバイスに関するエラーレポートを報告したデバイスに関するレポート。 キャリブレーションの日付に近づいているデバイスについて報告します。
【０２５９】
デモ患者インターフェイス:ブリッジ120は、EMRデータキャプチャシステム100、200、300がEMRデータキャプチャシステム100、200、300とのインターフェースに使用できないデモのみを目的としたメカニズムを提供し、特定のデバイスから受信した患者レコードをvにすることができます。iewedと提示された生物学的バイタルサインデータ。EMRデータキャプチャシステム100、200、300のデモンストレーションでは、ブリッジ120を接続するためのEMRデータキャプチャシステム100、200、300が接続されたマルチバイタルサインによってブリッジ120に送信されるデータを提示するユーザインタフェース方式を提供します。スマートフォンシステム(104)。いくつかの実装では、この患者データインターフェイスは、患者ごとに複数の患者と複数のレコード測定値を管理し、保存し、理解しやすく、一貫した方法でオペレータに情報を提示します。
【０２６０】
EMR/臨床データリポジトリ144へのインタフェース:ブリッジ120装置は、患者記録を格納する目的でEMR/臨床データリポジトリ144へのインタフェースを提供する。また、匿名PmRは、データ分析を目的として保存されるとともに、マルチバイタルサインスマートフォンシステム104の動作を監視する仕組みを提供する。
【０２６１】
デバイスのPmR:一部の実装のブリッジ120は、ブリッジ120と通信し、受信した測定記録を変換するために接続され、構成されたマルチバイタルサインスマートフォンシステムからの妥当なフォーマットされた測定記録を受け入れます。EMRデータキャプチャシステム100、200、300への転送に適したフォーマット。ブリッジ120は、マルチバイタルサインスマートフォンシステム(複数)104ベースのデータを取り、そのデータをローカルまたはリモートのEMR/臨床データリポジトリ144システムに渡すのに適した形式に変換するマルチバイタルサインスマートフォンシステムです。そのEMR/臨床データリポジトリ144の必要なプロトコル。
【０２６２】
デバイス非患者測定データ:一部の実装におけるブリッジ120は、接続されたマルチバイタルサインスマートフォンシステム(複数)104からのデータを受け入れ、接続されたデバイスにデータを提供する。これは、一部の実装ではブリッジ120によって管理されるマルチバイタルサインスマートフォンシステム(複数)104に関連するデータまたは設定パラメータであり、例えば、デバイス構成設定、ファームウェア画像、ステータス情報などである。
【０２６３】
ブリッジ120インターフェイスプロトコルへのデバイス:ブリッジ120は、マルチバイタルサインスマートフォンシステム(複数)104とブリッジ120デバイス間のすべての通信のために、120インターフェイスプロトコルBRIPをブリッジするマルチバイタルサインスマートフォンシステム(複数)104をサポートしています。各デバイスは、単一のインタフェースプロトコルをサポートし、BRIFおよび個々のデバイスまたは製造レベルのプロトコルは、ブリッジ120によってサポートすることができる。
【０２６４】
ネットワーク通信方式:ブリッジ120は、遠隔マルチバイタルサインスマートフォンシステムからの接続要求およびデータ転送を処理するためのLANベースのインターフェースをサポートする(複数の)104。UDP/TCP/IPなどの標準的な通信方式がサポートされていますが、インターフェイスはこの転送メカニズムに限定されず、一部の実装では EMR データ キャプチャ システム 100、200、300のアーキテクチャが UDP などの他の転送方法をサポートします。 EMRデータキャプチャシステム100、200、300で複数のマルチバイタルサインスマートフォンシステムがサポートされている場合、ブリッジ120は異なる転送メカニズムを同時にサポートしています(複数の)104: ブリッジ120実装は、マルチバイタルサインスマートフォンシステムからの接続と測定データ記録を受け入れます 104.
【０２６５】
不適合マルチバイタルサインスマートフォンシステム:一部の実装のブリッジ120は、非マルチバイタルサインスマートフォンシステムからの接続と測定データ記録を受け入れます 104 マルチバイタルサインスマートフォンシステム(複数)104 デバイスを使用して特定のデバイスに固有のインターフェイス プロトコル、またはデバイスの範囲の製造。 EMRデータキャプチャシステム100、200および300は、このドキュメントで説明されているものと同じコア機能を提供するために、サードパーティのマルチバイタルサインスマートフォンシステム(複数)104をサポートしています。一部の実装では、コアシステムは、測定データ、体のコア温度、心電図、血液の目的のために、EMRデータキャプチャシステム100、200および300に接続されたすべてのマルチバイタルサインスマートフォンシステム(複数)104をサポートしています圧力、プラス他の生物学的バイタルサイン、単一および連続的な測定ベースの両方、選択されたEMR/臨床データリポジトリ144への転送、デバイスごとの構成およびステータス監視。
【０２６６】
単一パラメータ測定データ:一部の実装におけるブリッジ120は、構成されたEMR/臨床データリポジトリ144、単一イベント測定データへの転送を受け入れ、処理する。単一事象測定データは、患者の体のコア温度、血圧、心拍数または単一の1回限りの測定イベントと見なされるその他のデータなどの患者生物学的バイタルサイン単一点測定として定義される。測定パラメータこのタイプのデータは、単一の生物学的バイタルサイン読み取りをサポートするマルチバイタルサインスマートフォンシステム(複数)104から生成されます。
【０２６７】
複数パラメータ測定データ:一部の実装におけるブリッジ120は、EMR多重イベント測定データへの転送を受け入れ、処理します。 複数の事象測定データは、患者の体のコア温度、血圧、心拍数またはより多くのワンタイム測定イベントと考えられるその他のパラメータなどの患者生物学的バイタルサイン単一点測定として定義される。1つのパラメータよりこのタイプのデータは、マルチバイオロビカルサインマルチバイタルサインスマートフォンシステム(複数)104から生成されます。
【０２６８】
連続パラメータ測定データ:一部の実装におけるブリッジ120は、EMR単一パラメータ連続測定データへの転送を受け入れ、処理します。連続測定データは、単一または複数の生物学的バイタルサインパラメータの時間ドメイン信号を表す測定サンプルのストリームとして定義される。
【０２６９】
ユニークなマルチバイタルサインスマートフォンシステム識別:ブリッジ120は、デバイスの識別、レポート作成、操作の目的で、すべてのベンダーとデバイスタイプにわたって、マルチバイタルサインスマートフォンシステム(複数)104ごとに一意の識別子をサポートしています。EMRデータキャプチャシステム100、200および300によってサポートされる各マルチバイタルサインスマートフォンシステム(複数)104は、製造、製品タイプ、シリアル番号またはFDAUIDなどの他の要因に基づいて一意の識別を提供します。 ブリッジ120は、マルチバイタルサインスマートフォンシステム(複数)104とロギングのすべての相互作用でこの番号を追跡し、考慮し、報告するために必要とされます。このデバイス識別は、マルチバイタルサインスマートフォンシステム(複数)104がブリッジ120に接続する場合の認証プロセスにおいても使用することができる。
【０２７０】
デバイス接続認証:ブリッジ120は、接続時に特定のマルチバイタルサインスマートフォンシステム(複数)104を認証するメカニズムを提供し、マルチバイタルサインスマートフォンシステム(複数)104が既知であり、情報を転送することができます。橋120。一部の実装ではブリッジ 120 関数へのアクセスは、現在許可されているデバイスのみにアクセスを制限するために制御されます。 マルチバイタルサインスマートフォンシステムの受け入れ104 橋120を2つの主な根拠に接続する。 1. マルチバイタルサインスマートフォンシステム(複数)104は、ブリッジ120に知られており、その2。特定のデバイスのアクセスを制御する管理機能、つまり許可またはバーアクセス。
【０２７１】
デバイスの日時更新:ブリッジ120デバイスは、接続されたマルチバイタルサインスマートフォンシステム(複数)104がブリッジ120の現在の日時に対して内部日時設定を更新できるようにするメカニズムを提供することができます。マルチバイタルサインスマートフォンシステム(複数)104は、ブリッジ120への接続上の内部リアルタイムクロックを更新し、従って、EMRデータキャプチャシステム100、200および300と共に使用される全てのデバイス間の時間参照が中央ソースから得られる。すべての組み込みシステムリアルタイムクロック機能は、時間と共にドリフトし、このメカニズムは、マルチバイタルサインスマートフォンシステム(複数のバイタルサインスマートフォンシステム)104とマルチバイタルサインスマートフォンの時間と日付の動的な更新の両方の時間と日付の設定の基礎を形成しますsystem(s)104 により、特定のデバイスで時刻と日付を設定する必要が取り除かされます。 +/- 1秒の精度は、マルチバイタルサインスマートフォンシステム(複数)104の時間を維持するために許容されます。ブリッジ120 からデバイスの下位互換性: ブリッジ 120 デバイスは、ブリッジ 120 デバイスでサポートされているマルチバイタルサイン スマートフォン システムのすべてのリリースバージョンと下位互換性がある必要があります。ブリッジ120システムの最初のリリースから。EMRデータキャプチャシステム100、200および300の通常の動作のためのいくつかの実装でマルチバイタルサインスマートフォンシステム(複数)104のすべてのリリースされた改訂とブリッジ120の後方に。特定の製品のすべてのデバイスが同じリビジョンレベルにあるか、単一の製造元または異なる製造元の異なる製品が同じインターフェイス プロトコルまたはその他の重要なコンポーネントリビジョンをサポートすることを保証することはできません。
【０２７２】
デバイスの最後の接続:ブリッジ120は、特定のマルチバイタルサインスマートフォンシステム(複数)104の接続日時の履歴を維持する必要があります。 これは、レポートとロギングの観点から必要です。一部の実装では、マルチバイタルサインスマートフォンシステム(104)が紛失/盗難または故障しているかどうかを判断するためにも使用されます。
【０２７３】
キャリブレーション/チェッカーモニタリング:ブリッジ120は、特定のデバイスの有効なキャリブレーションの日付を追跡し、キャリブレーションまたは近づいているデバイスをオペレータに提示するために必要です。一部の実装では、すべてのマルチバイタルサインスマートフォンシステム(複数)104は、通常のベース上の動作と精度をチェックされます。 EMRデータキャプチャシステム100、200および300は、キャリブレーションが外れているレポートおよび高照度デバイスおよびキャリブレーションに近づいているデバイスを生成する機能を提供できる。ブリッジ120によって行われるチェックは、マルチバイタルサインスマートフォンシステム(複数)104によって公開された有効期限にあります。ブリッジ120は、実際にキャリブレーションのためにマルチバイタルサインスマートフォンシステム(複数)104をチェックする必要はありません、マルチバイタルサインスマートフォンシステム(複数)104がマルチバイタルサインスマートフォンシステムに基づいてキャリブレーションから外れている場合にのみ報告します(104)日付。一部の実装では、マルチバイタルサインスマートフォンシステム(複数)104再校正チェック時に有効期限が更新されます。
【０２７４】
エラー/問題監視:ブリッジ 120 は、特定のデバイスによって報告された問題/エラーを追跡し、その情報をシステム・レポートの観点からオペレーターに提示するために必要です。 特定のデバイスのデバイスレベル エラーを動的にレポートすることは、システム管理のための診断ツールです。 特定のデバイスの問題/エラー履歴を提供すると、マルチバイタルサインスマートフォンシステムのコアシステム診断情報が提供されます104。
【０２７５】
バッテリ寿命の監視:ブリッジ120は、特定のデバイスのバッテリレベルを追跡し、バッテリレベル情報をオペレータに報告するために必要とされます。 EMRデータキャプチャシステム100、200および300は、マルチバイタルサインスマートフォンシステム(複数)104によって公開される情報に基づいて、特定のデバイスが期限切れまたはほぼ期限切れまたは故障した内部バッテリを有していることをオペレータに強調する。これは、独自の内部電源の充電レベルやバッテリーの状態を決定するマルチバイタルサインスマートフォンシステム(複数)104の責任です。ブリッジ120は、例えば、10%のバッテリ残量を持つすべてのデバイスを例に、すべてのデバイスに対して既知のバッテリ状態を報告するメカニズムを提供することができる。
【０２７６】
紛失/盗難/失敗した監視:ブリッジ120は、特定のマルチバイタルサインスマートフォンシステムを紛失/盗難/失敗した場合に決定し、システム操作のためにマルチバイタルサインスマートフォンシステム(複数)104を無効にする必要があります。システムが一定期間ブリッジ120に接続されていないかどうかを判別することは、オペレーターへの報告の失敗、紛失、または盗難の特徴です。 マルチバイタルサインスマートフォンシステム(複数)104が一定期間EMRデータキャプチャシステム100、200、300に接続されていない場合、EMRデータキャプチャシステム100、200、300は、マルチバイタルサインスマートフォンシステム(複数)104が盗まれたり紛失したと判断します。オペレーターは、システムレポートとマルチバイタルサインスマートフォンシステム(複数)104がサポートされているデバイスリストから削除された場合に通知されます。マルチバイタルサインスマートフォンシステム(複数)104がEMRデータキャプチャシステム100、200、300に再接続した場合、マルチバイタルサインスマートフォンシステム(複数)104は「検出」として点灯され、再検査され、再委託を余儀なくされた場合ネットワーク。
【０２７７】
デバイスキープアライブ:ブリッジ120は、ブリッジ120によって解放されるまでブリッジ120に接続されたままにするブリッジ120への接続を維持するために、対象のマルチバイタルサインスマートフォンシステム(複数)104を通知するメカニズムを提供する。マルチバイタルサインスマホシステム(複数) 104キープライブ方式は、マルチバイタルサインスマートフォンシステム(複数)104接続時にブリッジ120がマルチバイタルサインスマートフォンシステム(複数)104に電力を供給し、電力を供給し続けることができるように提供されています。再構成、ステータス監視または診断の目的でブリッジ120に接続されています。
【０２７８】
デバイスをネットワークの既定値にリセットする: 一部の実装のすべてのネットワーク パラメータの工場出荷時の設定に、選択したデバイスまたは選択したデバイスのグループをリセットする方法。
【０２７９】
デバイスを工場出荷時の既定値にリセットする: 一部の実装では、選択したデバイスのターゲット デバイスまたはグループを工場出荷時の既定の設定にリセットする方法がサポートされています。
【０２８０】
動的デバイスパラメータ設定:ブリッジ120は、ブリッジ120への接続時にマルチバイタルサインスマートフォンシステム(複数)104によって要求されたときに、マルチバイタルサインスマートフォンシステムに設定情報を提供するメカニズムを提供します。キープデバイスを介して生きているメカニズムを介して。ブリッジ120に接続すると、通信プロトコルの一部としてマルチバイタルサインスマートフォンシステム(複数) 104は、マルチバイタルサインスマートフォンシステムの任意の側面が古い場合、その現在の設定が古いかどうかを判断しますそして、ブリッジ120は、マルチバイタルサインスマートフォンシステムの現在の構成情報を提供し、104モデルと改訂これは、マルチバイタルサインスマートフォンシステムと同じくらい簡単であることを意図していますサポートされている各パラメーターの構成設定。ブリッジ120は、提供された情報がマルチバイタルサインスマートフォンシステム(複数)モデルおよびリビジョンレベルに対して正しいことを確認する責任がある。
【０２８１】
デバイス構成グループ化:単一デバイス:ブリッジ120は、一意のデバイスIDに基づいて、既知の構成パラメータに単一のデバイスを構成するメカニズムを提供する。 いくつかの実装のブリッジ120は、単一のマルチバイタルサインスマートフォンシステム(複数)104が心拍法を介してまたはオペレータの使用を介してブリッジ120に接続するときに更新されることを可能にする。これは、ブリッジ120が個々のデバイス構成設定を管理および維持する方法を提供し、マルチバイタルサインスマートフォンシステム(複数)104が接続する際に動的に利用可能な設定を持っていることを意味する。さらにブリッジ120は、デバイスファームウェアの異なるリビジョンのためのデバイス構成ごとにサポートしています,例えばデバイスAのリビジョン1は、構成パラメータx,yとzを持っていますが、マルチバイタルサインスマートフォンシステムのリビジョン2は、構成を持っています104パラメータは x、y、z、k を持ち、y パラメーターの有効な許容範囲が縮小されました。
【０２８２】
デバイス構成グループ化 − マルチバイタルサインスマートフォンシステム(複数) 104モデルグループ:ブリッジ120は、既知の構成パラメータにモデル範囲内のすべてのデバイスを設定するメカニズムを提供します。モデル x およびリビジョン レベルで、すべて同じ構成情報を持つ、選択したデバイスのサブグループを再構成する機能。
【０２８３】
デバイス構成のグループ化 − モデル範囲内で選択されたグループ: ブリッジ 120 は、既知の構成パラメータに同じモデル範囲内の選択した数のデバイスを構成するメカニズムを提供します。 モデル x およびリビジョンレベル y デバイス構成グループで選択したデバイスのサブグループを再構成する機能 − 定義されたサブ グループ: ブリッジ 120 は、デバイスに基づいて同じモデルを持つ選択した数のデバイスを構成するメカニズムを提供します。リビジョンレベル、運用場所等の特性モデル x およびリビジョン レベル y、または区 6 で動作しているすべてのモデル x デバイスを再構成する機能が特徴です。
【０２８４】
デバイス構成ファイル:ブリッジ120は、マルチバイタルサインスマートフォンシステム(複数)104モデル番号および/またはグループ設定のための構成ファイルを保存、ロード、更新、および編集する方法を提供します。構成ファイルを保存してロードし、ファイル内の構成内容を変更する機能は、EMRデータキャプチャシステム100、200および300に必要な機能です。一部の実装では、保存された構成ファイルに対してファイル管理メカニズムも提供されます。
【０２８５】
動的な構成内容:一部の実装ではブリッジ 120 マルチバイタルサインスマートフォンシステム(複数の重要なスマートフォンシステム)104接続が要求に応じて決定されます(104)そのための新しい設定設定装置は、医療機器がブリッジ120にランダムに接続することを考えると、ブリッジ120は、その装置の構成設定を維持するために、接続された装置、モデル、リビジョン、一意の識別などに必要である。
【０２８６】
EMR/臨床データリポジトリ144を対象とするマルチバイタルサインスマートフォンシステムの関連付け144 ブリッジ120は、マルチバイタルサインスマートフォンシステムから受け取った患者記録を制御するメカニズムを提供し、1つ以上に記録を転送します。サポートされているEMR/臨床データリポジトリ144の。複数のEMR/臨床データリポジトリ144が単一の組織(例えばER用、心臓病の使用、外来患者の可能性など)によって維持される場合。一部の実装におけるEMRデータキャプチャシステム100、200および300は、患者記録がブリッジ120によって送信される特定の装置構成またはブリッジ120構成のいずれかによって管理される。
【０２８７】
デバイスの構成とステータス表示: 一部の実装では、マルチバイタルサインスマートフォンシステム(複数)104がブリッジ120に接続すると、マルチバイタルサインスマートフォンシステム(複数)104がブリッジ120に対して現在の設定設定を照会します。以下に説明するように、その特定のデバイスの種類とデバイスの設定:1. そのデバイスの一意の ID に基づく特定のデバイス。各デバイスは、EMRデータキャプチャシステム100、200、および300で一意に識別される必要があります。2.病院内の物理的な場所に割り当てられたデバイスのグループ、すなわち他の一意の場所参照のワード番号に基づいています。したがって、一部の実装では、一部の実装で特定の場所にあるデバイスのグループが、同じ病院環境内の別の場所にある同じタイプの他のデバイスとは別に更新されます。緊急治療室。製品タイプに基づくデバイスのグループ、すなわちすべてのマルチバイタルサインスマートフォンシステム(複数)104は、同じ設定で更新されます。 ブリッジ120デバイス構成オプションは、マルチバイタルサインスマートフォンシステム(複数)104に基づいて調整されます。いくつかの実装のブリッジ120は、設定されているマルチバイタルサインスマートフォンシステム(複数)の機能に基づいてオペレータに提示される構成オプションを調整する。複数の異なるマルチバイタルサインスマートフォンシステム(複数)104がEMRデータキャプチャシステム100、200、300でサポートされている場合、各デバイスが異なる製造または同じ製造から、同じデバイスの異なるモデルであると仮定することはできませんレベル構成パラメータ。したがって、一部の実装のブリッジ120は、マルチバイタルサインスマートフォンシステム(複数)104の構成機能を決定し、これらの有効なパラメータ範囲を持つそのデバイスの有効な構成オプションのみを提示します。オプション。
【０２８８】
デバイスパラメータの検証:ブリッジ120は、特定の構成パラメータがそのデバイスモデルおよびリビジョンに対して有効なパラメータ範囲内に設定されたことを検証するために、マルチバイタルサインスマートフォンシステム(複数)104の特定のモデルのためのメカニズムを提供する。ブリッジ120は、マルチバイタルサインスマートフォンシステム(複数)104モデルとリビジョンレベルに基づいて、オペレータがマルチバイタルサインスマートフォンシステム(複数)104レベルパラメータを設定するための有効なパラメータ範囲を提示するために必要とされる。装置患者記録受け入れチェック応答ソース。ブリッジ120は、マルチバイタルサインスマートフォンシステム(複数)104のいずれかを必要とするメカニズムを提供します:1)ブリッジ120デバイスからの確認のみ、または2)ブリッジ120デバイスからの確認EMRデータキャプチャシステム100、200および300が患者情報を受け取り、保存したことを。マルチバイタルサインスマートフォンシステムの構成のいくつかの実装では、マルチバイタルサインスマートフォンシステム(複数)104は、オペレータにステータスインジケータを報告します。
【０２８９】
デバイス病院/クリニックリファレンス:マルチバイタルサインスマートフォンシステム(複数)104で組織識別子を設定できるようにするデバイス設定。マルチバイタルサインスマートフォンシステム(複数)104は、機関がマルチバイタルサインスマートフォンシステム(複数)104が使用されていることを病院/診療所に示すことを可能にする英数字識別文字列、最大30文字で構成することができ、例えば「ボストン将軍」。
【０２９０】
デバイスワードの位置参照:マルチバイタルサインスマートフォンシステム(複数)104で動作位置識別子を設定できるようにするデバイス設定。 マルチバイタルサインスマートフォンシステム(複数)104は、組織内の操作領域を示すことを可能にする英数字識別文字列、最大30文字(例えば「一般区#5」)で構成される。
【０２９１】
デバイス資産番号:マルチバイタルサインスマートフォンシステム104で組織資産番号を設定できるようにするデバイス設定。 マルチバイタルサインスマートフォンシステム(複数)104は、組織がマルチバイタルサインスマートフォンシステム(複数)104の資産タグを提供できるように、英数字識別文字列、最大30文字で構成される予定です。
【０２９２】
表示装置製造名、デバイスモデルおよびシリアル番号:ユニットの製造名、デバイスモデル番号およびデバイスシリアル番号を表示する方法が提供される。 EMRデータキャプチャシステム100、200および300は、マルチバイタルサインスマートフォンシステム10のメーカー名、モデル番号およびデバイスレベルのシリアル番号を決定する方法を提供することができる。英数字識別文字列、3 つのパラメーターのそれぞれに対して最大 60 文字の長さ。
【０２９３】
マルチバイタルサインスマートフォンシステムを表示する(複数) 104一意の識別参照タグ:ユニットのデバイスレベルの一意の識別子を表示する方法。 規制トレーサビリティ上の理由から、各デバイスは、EMRデータキャプチャシステム100、200、および300によって表示される一部の実装において、この番号を一意に識別番号をサポートすることです。一部の実装では、英数字識別文字列は最大 120 文字です。 このパラメーターは、EMR データキャプチャー・システム 100、200、および 300 では更新できません。
【０２９４】
デバイスの最後のチェック/キャリブレーションの日付:マルチバイタルサインスマートフォンシステムの最後のチェックまたは再キャリブレーションアクションの日付を表示および設定する方法104。これにより、ブリッジ120は、再検査が必要なデバイスを特定し、EMRデータキャプチャシステム100、200および300のオペレータにその情報を提示することができます。測定機能を備えたマルチバイタルサインスマートフォンシステム(104)はすべて、定期的に精度を確認する必要があります。 EMRデータキャプチャシステム100、200および300は、デバイスレベルチェックが行われたときに、最後のチェック/キャリブレーションの104日付のマルチバイタルサインスマートフォンシステムを更新するメカニズムを提供する。
【０２９５】
デバイス温度表示ユニット:マルチバイタルサインスマートフォンシステム(104)、摂氏または華氏のための表示されたボディコア温度ユニットの設定オプション。 忍耐強いボディの中心温度の検出のために、いくつかの実装の単位は摂氏か華氏の温度のボディの中心温度を報告するために構成される。デフォルトは:華氏 ブリッジ120はまた、任意の温度結果の表示のための設定パラメータを必要とします。 
【０２９６】
オペレータスキャン有効/無効:ブリッジ120は、マルチバイタルサインスマートフォンシステム(複数)104レベルオペレータ識別スキャンアクションを有効または無効にするメカニズムを提供することができます。オペレーター識別スキャン機能は、デバイスごとに構成して、有効または無効にすることができます。  複数の患者スキャンをオペレータースキャンを許可する:ブリッジ120は、マルチバイタルサインスマートフォンシステムを有効/無効にするメカニズムを提供し、単一のオペレータ識別スキャンを取り、その識別を複数に関連付けることができます忍耐強い測定。臨床作業フローが既知の数の患者スキャン、または所定の時間枠を可能にする場合、単一のオペレータがマルチバイタルサインスマートフォンシステムの有効/無効機能を取ることが提供される。デフォルトは:オペレータスキャンあたりの患者スキャンの最大数を無効に:ブリッジ120はオペレータ識別スキャンを実行する前にオペレータ識別スキャンの後に患者IDスキャンの数を制御するための構成パラメータを提供することができます再びマルチバイタルサインスマートフォンシステムによって(複数)104。マルチバイタルサインスマートフォンシステム(複数)104によって取られ、同じオペレータに割り当てられる患者スキャンの数は、デフォルト値1に設定される。ブリッジ120は、単一のオペレータ識別スキャンが複数の患者識別スキャンに使用することができる秒単位で時間枠を制御するための構成パラメータを提供することができる。0 ~1800 秒の範囲の制限時間を設定すると、マルチバイタルサインスマートフォンシステム(複数)104が、この時間内に単一のオペレータ識別を複数の患者レコードに関連付けることができます。一部の実装では、パラメーター 0 は時間制限範囲チェックを無効にします。 デフォルトは 0 です。 
3. マルチバイタルサインスマートフォンシステム
【０２９７】
図17は、デジタル赤外線センサ、生物学的バイタルサインジェネレータおよび時間変動増幅器を含むマルチバイタルサインスマートフォンシステム1700のブロック図である。マルチバイタルサインスマートフォンシステム1700は、体のコア温度および他の生物学的バイタルサインを測定する装置である。マルチバイタルサインスマートフォンシステム1700は、マルチバイタルサインスマートフォンシステム104の一例であり、マルチバイタルサインフィンガーカフスマートフォンアクセサリー(MVSFCSA)502の一例である。
【０２９８】
マルチバイタルサインスマートフォンシステム1700は、マイクロプロセッサ1702を含む。 マルチバイタルサインスマートフォンシステム1700は、バッテリー1704、一部の実装では、単一のボタン17 06、および動作的に結合されたデジタル赤外線センサ1708が含まれていますマイクロプロセッサ1702に。 デジタル赤外線センサ1708は、デジタル読み出し信号1711のみを提供するデジタルポート1710を含む。一部の実装では、マルチバイタルサインスマートフォンシステム1700は、マイクロプロセッサ1702に動作的に結合された表示装置1714を含む。 一部の実装では、表示装置1714は、暗い部屋で読みやすいLCDカラー表示装置またはLEDカラー表示装置であり、ディスプレイデバイス1714の一部のピクセルがアクティブ化されます(点灯したまま)。シングルボタン1706がリリースされてから約5秒間。ディスプレイが停止した後、別の本体コア温度読み取り装置によって取ることができる。表示装置1714の色変化は、ヒトまたは動物被験者の体心温度の潜在的な変化の装置のオペレータに警告する。 表示装置17 14で報告された体心温度は、治療決定に用いることができる。
【０２９９】
マイクロプロセッサ1702は、デジタル読み出し信号17 11のみを提供するデジタルポート17 10から受信するように構成されている。  いくつかの実装では、デジタル読み出し信号1711は、デジタル赤外線センサ1708によって検出される額面温度の赤外線信号17 16を代表する。他の実装では、デジタル読み出し信号1711は、デジタル赤外線によって検出された額表面以外のヒトの表面温度の赤外線信号17 16を代表するセンサー 1708. マイクロプロセッサ1702における本体コア温度推定器1718は、デジタル読み出し信号17  11から体心温度1720を推定するように構成されている。額(または他の表面)の赤外線信号1716を代表する、周囲空気センサ1722からの周囲の空気温度読み取りの表現、較正の表現キャリブレーション差17 24を格納するメモリ位置と、温度検出モードを考慮してバイアス1726の表現を格納するメモリ位置との差。 一部の実装では、マルチバイタルサインスマートフォンシステム1700は、デジタル赤外線センサ1708の間に動作的に結合アナログデジタルコンバータ1712を含まれていませんマイクロプロセッサ1702。さらに、デジタル赤外線センサ1708は、アナログ読み出しポート1713も含まない。A/D コンバータ 17 12およびアナログ読み出しポート 17 13の破線は、A/Dコンバータ 17 12およびアナログ読み出しポート 1713 がないことを示します。マルチバイタルサインスマートフォンシステム1700と装置21 00。 デジタル赤外線センサ1708の1つの実装は、図中のデジタル赤外線センサ2200である。22.
【０３００】
マルチバイタルサインスマートフォンシステム(複数)104は、メモリ内の温度推定表1727を含む。温度推定表1727は、感知額の温度を推定体心温度17 20に相関させるルックアップテーブルである。感知額温度は、デジタル読み出し信号1711に由来する。
【０３０１】
温度推定表1727は、メモリ内に記憶される。 図に17〜18及び21、温度推定表1727は、マイクロプロセッサ17 02の構成要素として示されている。   温度推定表17 27を格納するメモリは、マイクロプロセッサ17 02から分離することも、メモリはマイクロプロセッサ1702の一部にすることも、キャッシュ上のキャッシュなどです。マイクロプロセッサ1702。メモリの例としては、ランダムアクセスメモリ(RAM)46  06および図のフラッシュメモリ4608が挙まれる。46. 図のマルチバイタルサインスマートフォンシステムの実装で。図17〜19、体幹温度を図で推定する装置。 図17-18及び21は、図中の変動増幅装置である。30-38、図のマルチバイタルサインスマートフォンシステムの速度を持つマルチバイタルサインスマートフォンシステム4600。図17-19及び図中の外部ソース点の体心温度を推定する装置である。17-18および21は非常に重要であり、マイクロプロセッサ17の一部であるメモリに温度推定テーブル1727を格納する02 は、マイクロプロセッサ 1702 上のキャッシュなど、非常に重要です。
【０３０２】
感覚された額の温度と推定体のコア温度との相関関係は、年齢、性別、および患者の熱性(熱性)または低体温状態および読書の日中の時間によって異なる。 したがって、一部の実装では、マルチバイタルサインスマートフォンシステム(複数の)104は、年齢、性別、および熱性の様々な状況の組み合わせと順列に固有の温度推定表1727を含む(患者の低体温状態および読書の日中の時間。 例えば、1つの実装では、マルチバイタルサインスマートフォンシステム(複数)104は、3〜10歳の男性の男性のための温度推定表1727を含み、熱性でも低体温でもなく、撮影された温度測定値のために午前10時~午後2時 別の例では、別の実装では、マルチバイタルサインスマートフォンシステム(複数)104は、51歳以上の女性の女性のための温度推定表1727を含み、それは熱性であり、撮影された温度測定値のために午前2時~午前8時
【０３０３】
マルチバイタルサインスマートフォンシステム1700のいくつかの実装は、マイクロプロセッサ1702に動作的に結合され、2つ以上を提供するように構成されているソリッドステート画像トランスデューサ1728を含みます画像1730に時間変動アンプ1732 とマイクロプロセッサ17 02 の生物学的バイタルサインジェネレータ 17 34 1つ以上を推定する表示装置1714に表示される生物学的バイタルサイン1736。 
【０３０４】
マルチバイタルサインスマートフォンシステム1700は、圧力センサ1738、圧力カフ1740、マイクロダイナミックライト散乱(mDLS)センサ17  42および/またはのいずれかを含みます生物学的バイタルサインジェネレータ1734に信号を提供するフォトプレチスモグラム(PPG)センサ17 44. mDLSセンサーは、光のレーザービーム(単数波長)と指の反対側の光検出器を使用して、指先の血液中の酸素量を示す、指の肉に散乱するレーザービームの範囲を検出します。PPGセンサーは、指の反対側に投影された光と光検出器を使用して、指先の血液中の酸素量を示す指先の血液中の酸素の量を示すレーザービームの範囲を検出します。リュー。圧力センサ1738は、圧力カフ1740に直接リンクされている。 一部の実装では、マルチバイタルサインスマートフォンシステム1700には、少なくとも1つのmDLSセンサが良好な品質信号を提供することを保証する2つのmDLSセンサが含まれています。いくつかの実装では、生物学的バイタルサインジェネレータ1734は、圧力センサ17 38からの信号から血圧測定(収縮および拡張期)を生成し、指圧カフ1740およびmDLSセンサ1742。いくつかの実装では、生物学的バイタルサインジェネレータ1734は、PPGセンサ1744からの信号からのSpO2測定および心拍数測定を生成する。いくつかの実装では、生物学的バイタルサインジェネレータ1734は、mDLSセンサ17 42からの信号からの呼吸(呼吸数)測定を生成する。 いくつかの実装では、生物学的バイタルサインジェネレータ1734は、mDLSセンサ17 42からの信号からの血流測定を生成する。  いくつかの実装では、生物学的バイタルサインジェネレータ1734は、PPGセンサ17 44からの信号からの心拍変動を生成する。  いくつかの実装では、体のコア温度推定器1718は、生物学的バイタルサインジェネレータ1734に実装される。
【０３０５】
マルチバイタルサインスマートフォンシステム1700はまた、EMRデータへの通信を提供する無線通信サブシステム1746またはイーサネット（登録商標）ポートなどの他の外部通信サブシステムを含みますシステム100、200および300または他の装置を捕獲する。 一部の実装では、無線通信サブシステム1746は、図中の通信サブシステム1746である。48. 無線通信サブシステム1746は、推定体中核温度1720および/または生物学的バイタルサイン17 36を送受信および送信するために動作可能である。
【０３０６】
一部の実装では、デジタル赤外線センサ1708は低ノイズアンプ、17ビットADCおよび強力なDSPユニットであり、それによって推定ボディコア温度17 20の高精度と解像度を介して図のマルチバイタルサインスマートフォンシステム。図17〜19、体幹温度を図で推定する装置。図17-18及び21は、図中の変動増幅装置である。30-38とマルチバイタルサインスマートフォンシステム46 00.
【０３０７】
一部の実装では、デジタル赤外線センサ1708、10ビットパルス幅変調(PWM)は、測定温度を-20の範囲で連続的に送信するように構成されています...120°C、0.14°Cの出力分解能。工場出荷時のデフォルトのリセット(POR)設定はSMBusです。
【０３０８】
一部の実装では、デジタル赤外線センサ1708は業界標準のTO-39パッケージにパッケージされています。
【０３０９】
いくつかの実装では、生成されたオブジェクトと周囲温度は0.01°Cの解像度でデジタル赤外線センサ17 08のRAMで利用可能です。 温度は2線式SMBus互換プロトコル(0.02°Cの決断)によって、またはデジタル赤外線センサー1708の10ビットPWM(脈拍幅変調)出力によってアクセス可能である。
【０３１０】
一部の実装では、デジタル赤外線センサ1708は、広い温度範囲で校正された工場です: -40...周囲温度と-70度の85°C物体温度は380°C。
【０３１１】
デジタル赤外線センサ1708のいくつかの実装では、測定値は、センサの視野(FOV)内のすべてのオブジェクトの平均温度です。 一部の実装では、デジタル赤外線センサ1708は室温周±0.5°Cの標準精度を有し、一部の実装では、デジタル赤外線センサ1708は限られた範囲で±0.2°Cの精度を持っています。人体のコア温度の周りの温度範囲。
【０３１２】
これらの精度は、センサーが熱平衡状態にあり、同種条件下にある場合にのみ保証され、達成可能です(センサーパッケージ全体に温度差はありません)。検出器の精度は、(とりわけ)センサーの背後にあるホットエレクトロニクス、センサーの後ろまたは横にあるホットエレクトロニクス、またはセンサーに非常に近いホット/コールドオブジェクトによって引き起こされるパッケージの温度差によって影響を受けることができます。検出器内のセンシング要素だけでなく、検出器パッケージも加熱します。デジタル赤外線センサ1708の一部の実装では、熱勾配は内部的に測定され、測定温度は熱勾配を考慮して補正されますが、効果は完全に排除されるわけではありません。したがって、熱勾配の原因を可能な限り回避するか、熱勾配からセンサーを保護することが重要です。
【０３１３】
一部の実装では、デジタル赤外線センサー 1708 は 1 のオブジェクトの放射率に設定されていますが、一部の実装では、デジタル赤外線センサー  1708 は 0.1の範囲の任意の放射率に設定されています。1.0 黒いボディとの再校正の必要性なし。
【０３１４】
デジタル赤外線センサー1708のいくつかの実装では、PWMは2つのEEPROM細胞の内容を変えることによって顧客が望む事実上あらゆる範囲のために容易にカスタマイズすることができる。2つのEEPROMセルの内容を変更しても、デバイスの工場出荷時のキャリブレーションには影響しません。 PWMピンはまた熱リレーとして機能するように構成することができる(入力はToである)、従ってサーモスタットか温度(凍結/沸騰)警報適用の容易で、費用効果が大きい実施を可能にする。温度閾値は、マルチバイタルサインスマートフォンシステムのマイクロプロセッサ1702によってプログラム可能です。SMBusシステムを持つマルチバイタルサインスマートフォンシステムでは、プログラミングは、バス上のすべてのスレーブの読み取りをトリガし、正確な状態を決定することができるプロセッサ割り込みとして機能することができます。
【０３１５】
いくつかの実装では、デジタル赤外線センサ1708は、可視および近くの赤外線放射フラックスを遮断する光学フィルタ(長波パス)をパッケージに統合し、周囲および太陽光の免疫を提供します。光学フィルタの波長通過バンドは5.5~14μmです。
【０３１６】
一部の実装では、デジタル赤外線センサ1708は、オブジェクトと周囲温度の測定と世代を制御し、出力する温度の後処理を行う内部状態マシンによって制御されます。PWM出力またはSMBus互換インターフェースを介してボディコア温度。
【０３１７】
マルチバイタルサインスマートフォンシステムのいくつかの実装は、2つのIRセンサー、プログラム可能なゲインを持つ低ノイズ低オフセットチョッパーアンプによって増幅されるIRセンサーの出力を含み、シグマデルタモジュレーターによって単一ビットストリームに変換され、供給されますDSPに追加処理を行います。信号は、望ましいノイズ性能とリフレッシュレートを達成するために、入力信号の帯域幅をさらに削減するために、プログラム可能な(EEPROM競合)FIRおよびIIRローパスフィルタによって処理されます。IIRフィルターの出力は測定結果であり、内部RAMで利用できる。3つの異なった細胞は利用できる:車内温度センサーのための1つおよびIRセンサーのための2。上記の測定結果に基づいて、対応する周囲温度Taおよび物体温度が生成される。両方の生成されたボディコア温度は0.01°Cの分解能を持っています。Ta と To のデータは、2線式インターフェイス (0.02°C 解像度、固定範囲) または PWM デジタル出力 (10 ビット解像度、設定可能範囲) を介して、この目的専用の RAMセルを読み取る 2 つの方法で読み取られます。 測定サイクルの最後のステップでは、測定されたTaとToはPWMの所望の出力解像度に再スケールされ、再生成されたデータはPWMステートマシンのレジスタにロードされ、これはデューティサイクルを表す一定の周波数を作成します。測定されたデータ。
【０３１８】
一部の実装では、デジタル赤外線センサ1708は、SMBus互換通信のクロックとして使用される2線式通信プロトコル用シリアルクロック入力用のSCLピンを備えています。SCLピンには、外部電圧レギュレータを構築するための補助機能があります。外部電圧レギュレータを使用すると、電源レギュレータの2線式プロトコルがオーバードライブされます。
【０３１９】
一部の実装では、デジタル赤外線センサ1708は、デジタル入出力用のスレーブデバイスA/PWMピンを備えています。通常モードでは、測定されたオブジェクト温度は、このピンパルス幅変調でアクセスされます。SMBus互換モードでは、ピンは自動的にオープン ドレイン NMOS として設定されます。  デジタル入出力は、測定対象物温度のPWM出力またはSMBusのデジタル入出力の両方に使用される。PWMモードでは、ピンはEEPROMでプッシュ/プルまたはオープンドレインNMOSとして動作するようにプログラムすることができます(オープンドレインNMOSは工場出荷時デフォルトです)。SMBusモードのスレーブデバイスAは、ドレインNMOSI/Oを開くことを余儀なくされ、プッシュプル選択ビットはPWM/サーマルリレー動作を定義します。 PWM/スレーブデバイスデジタル赤外線センサ1708ピンは、EEPROMの設定に応じてPWM出力として動作します。WPWM が有効な場合、POR の後に PWM/スレーブ デバイス A ピンが直接 PWM 出力として設定されます。デジタル赤外線センサ1708がPWMモードの場合、SMBus通信は特殊コマンドによって復元される。いくつかの実装では、デジタル赤外線センサ1708は、PWMまたはSMBus互換インターフェースを介して読み取られます。PWM 出力の選択は EEPROM 設定で行われます(工場出荷時のデフォルトはSMBus です)。PWM出力には、単一およびデュアルデータ伝送の2つのプログラム可能なフォーマットがあり、2つの温度(デュアルゾーンオブジェクトまたはオブジェクトとアンビエント)の単一ワイヤ読み取りが可能です。PWM期間は、オンチップ発振器から派生し、プログラム可能です。
【０３２０】
一部の実装では、デジタル赤外線センサ1708は、外部電源電圧用のVDDピンと地面用のVSSピンを備えています。
【０３２１】
マイクロプロセッサー 1702 は、RAM および EEPROM への読み取りアクセス権を持ち、9 つの EEPROM セルへの書き込みアクセス権を持っています(アドレス 0x00、0x01、0x02、0x03、0x04、0x05*、0x0E、0x0F、0x0F、0x09)。 デジタル赤外線センサ1708へのアクセスが読み取り操作である場合、デジタル赤外線センサ1708は、内部EEPROMでプログラムされた独自のスレーブアドレスがSAと等しい場合にのみ、16のデータビットと8ビットPECで応答します。マスターによって送信されます。スレーブ機能により、最大127 台のデバイス (SA=0x00...0x07F)、ワイヤが2本のみ。任意のデバイスへのアクセスを提供したり、スレーブ デバイスがバス システムに接続される前にスレーブデバイスにアドレスを割り当てるには、通信はゼロスレーブ アドレスから始まり、その後に低 R/W ビットが続きます。ゼロスレーブアドレスの後にマイクロプロセッサ1702から低いR/Wビットが送信されると、デジタル赤外線センサ17 08は応答し、内部チップコード情報を無視します。
【０３２２】
一部の実装では、2つのデジタル赤外線センサー 1708 が同じバス上で同じスレーブ アドレスで構成されていません。
【０３２３】
バス プロトコルに関しては、受信したすべての 8 ビットの後、スレーブ デバイスは ACK または NACK を発行する必要があります。マイクロプロセッサ1702が通信を開始すると、マイクロプロセッサ1702は最初にスレーブのアドレスを送信し、アドレスを認識するスレーブ装置のみがACKとなり、残りは無音のままである。スレーブ装置がバイトの1つをAKsする場合、マイクロプロセッサ1702は通信を停止し、メッセージを繰り返す。パケットエラー コード (PEC) の後に NACK を受信できます。PEC の後の NACK は、受信したメッセージにエラーが発生し、マイクロプロセッサー 1702 がメッセージの再送信を試みていることを意味します。 PEC 生成には、開始ビット、繰り返し開始ビット、STOP ビット、ACK ビット、およびNACK ビットを除くすべてのビットが含まれます。PECは多項式X8+X2+X1+1のCRC-8である。すべてのバイトの最も重要なビットが最初に転送されます。
【０３２４】
単一 PWM 出力モードでは、PWM1データの設定のみが使用されます。 温度の読み取りは、信号タイミングから次のように生成できます。
2020514008.tif 000003
【０３２５】
Tmin とTmax は、選択した温度出力に対する EEPROM の対応する再スケール係数です (Ta、オブジェクト温度範囲は前の表で指定した Tobj1 と Tobj2の両方に対して有効です)、T は PWM 期間です。Tout は、設定レジスタ [5:4] 設定に従って TO1、TO2 または Ta です。
【０３２６】
異なる時間間隔t1...t4 には次の意味があります。
【０３２７】
t1: バッファを開始します。t1の間、信号は常に高くなります。t1 = 0.125s x T (T は PWM 期間)
【０３２８】
t2: 有効なデータ出力バンド、0...1/2TPWM出力データ解像度は10ビットです。
【０３２９】
t3: エラーバンド− EEPROM の致命的なエラーに関する情報 (二重エラーが検出され、修正できません)。
【０３３０】
t3 =0.25s x T.従って、デューティサイクルが0.875のPWMパルス列車は、EEPROM(単一のPWMフォーマットの場合)で致命的なエラーを示します。FEは致命的なエラーを意味します。
【０３３１】
拡張 PWM の形式に関しては、温度は次の式を使用して生成できます。
2020514008.tif 000004
【０３３２】
図17-19および21の一部の実装では、マイクロプロセッサ1702、画像トランスデューサ1728、圧力センサ1738、圧力カフ1740、マイクロダイナミックライト散乱(mDLS)センサ1742および/またはフォトプレチスモグラム(PPG)センサ17 44は、マルチバイタルサインフィンガーカフスマートフォンに位置していますアクセサリーとディスプレイデバイス1714と1814は、マルチバイタルサインスマートフォンに位置しています。
【０３３３】
図17-19および21の一部の実装では、画像トランスデューサ1728、圧力センサ1738、圧力カフ17 40、および、マイクロダイナミックライト散乱(mDLS)センサ1742および/またはフォトプレチスモグラム(PPG)センサ1744は、マルチバイタルサインフィンガーカフスマートフォンアクセサリーとマイクロプロセッサ17に位置しています02およびディスプレイ装置1714および1814は、マルチバイタルサインスマートフォンに位置する。
【０３３４】
図18は、実装に従って、時間変動増幅器のない非タッチ電磁センサを含むマルチバイタルサインスマートフォンシステム1800のブロック図である。 マルチバイタルサインスマートフォンシステム1800は、マルチバイタルサインスマートフォンシステム104の一例であり、マルチバイタルサインフィンガーカフスマートフォンアクセサリー(MVSFCSA)502の一例である。マルチバイタルサインスマートフォンシステム1800は、バッテリー1704を含み、一部の実装では、単一のボタン17 06、一部の実装では、表示デバイス17  図14は、非タッチ電磁センサ1802と、マイクロプロセッサ1702に作動可能に結合された周囲空気センサ1722とを備えている。 マイクロプロセッサ1702は、非タッチ電磁センサ18から額または他の外部ソースポイントの赤外線信号17 16の表現を受信するように構成されている 02. マイクロプロセッサ1702は、表現から被験者の体心温度18 12を推定するように構成された体心温度推定器17 18を含む外部ソースポイントの電磁エネルギーの。
【０３３５】
マルチバイタルサインスマートフォンシステム1800は、圧力センサ17  38、圧力カフ1740、mDLSセンサー1742とPPGセンサー17  44を提供します生物学的バイタルサインジェネレータ1734への信号。圧力センサ1738は、圧力カフ1740に直接リンクされている。 一部の実装では、マルチバイタルサインスマートフォンシステム1800には、少なくとも1つのmDLSセンサが良好な品質信号を提供することを保証する2つのmDLSセンサが含まれています。いくつかの実装では、生物学的バイタルサインジェネレータ1734は、圧力センサ17 38からの信号から血圧測定(収縮および拡張期)を生成し、指圧カフ1740およびmDLSセンサ1742。いくつかの実装では、生物学的バイタルサインジェネレータ1734は、PPGセンサ1744からの信号からのSpO2測定および心拍数測定を生成する。いくつかの実装では、生物学的バイタルサインジェネレータ1734は、mDLSセンサ17 42からの信号からの呼吸(呼吸数)測定を生成する。 いくつかの実装では、生物学的バイタルサインジェネレータ1734は、いくつかの実装42.InmDLSセンサ17からの信号から血流測定を生成し、生物学的バイタルサインジェネレータ1734は、PPGセンサ1744からの信号から心拍変動を生成する。
【０３３６】
周囲温度のすべての範囲の体心温度相関表は、線形または二次関係が体のコア温度の不正確な推定値を提供するが、四分位関係、クインティック関係、セクシーな関係、敗血症の関係またはオクティック関係は、比較的鋭い偏差であまりにも波状またはねじれている非常に不規則な曲線に沿って推定を提供します。
【０３３７】
非タッチ電磁センサ1802は、人間または動物の表面のリモートセンシングに応答して温度を検出する。 一部の実装では、赤外線センサーを備えるマルチバイタルサインスマートフォンシステムは、赤外線温度センサです。すべての人間または動物は、赤外線エネルギーを放射します。 この赤外線エネルギーの強度は、人間または動物の温度に依存するので、人間または動物によって放出される赤外線エネルギーの量は、人間または動物の体のコア温度のプロキシまたは指標として解釈することができる。非タッチ電磁センサ1802は、ヒトまたは動物によって放射される電磁エネルギーに基づいて、ヒトまたは動物の温度を測定する。 電磁エネルギーの測定は、常に周囲温度を分析し、登録する非接触電磁センサ1802によって取られる。図中の装置の演算子の場合。18は、額から約5〜8cm(2〜3インチ)の非接触電磁センサ1802を保持し、放射線センサを活性化し、測定が瞬時に測定される。非タッチ電磁センサ18 02を用いて温度を測定するには、ボタン1706を押すと、非タッチ電磁センサ18からの温度測定の読み出しを引き起こす02およびいくつかの実装では、測定された体心温度は、その後、表示装置1714に表示される。非タッチ電磁センサ18 02の種々の実装は、デジタル赤外線センサ17 08またはアナログ赤外線センサなどのデジタル赤外線センサでありることができる。
【０３３８】
本体コア温度推定器1718は、非接触電磁センサ18 02によって感知された温度を、被体体の体心温度、軸温等の別の温度と相関する。被験者、被験者の直腸温度および/または被験者の口腔温度。本体コア温度推定器1718は、図中のメインプロセッサ4602などのマイクロプロセッサ上のコンポーネントとして実装することができる。図のフラッシュメモリ4608などのメモリ上の46。   46.
【０３３９】
マルチバイタルサインスマホシステム18 00はまた、非タッチ電磁センサ18の測定温度のために室温に関係なく、人間または動物の体のコア温度を検出します02は、装置の近傍における空気中の周囲温度を基準に調整される。人間または動物は、誤解を招く高温を避けるために、温度測定の前に活発な身体活動を行ってはなりません。また、室温は中程度、50°F~120°Fでなければなりません。
【０３４０】
マルチバイタルサインスマートフォンシステム1800は、健康を確保するために、人間または動物の体のコア温度を測定する非侵襲的で非刺激的な手段を提供します。
【０３４１】
結果を評価する際に、体のコア温度の日々の変動の可能性を考慮することができます。生後6ヶ月未満の小児では毎日の変動が小さい。 小児では6ヶ月~4歳の変動は約1度である。 年齢6のバリエーションによって、徐々に1日あたり4度に増加します。成人では、より少ない体心温度変動があります。
【０３４２】
マルチバイタルサインスマートフォンシステム1800には、無線通信サブシステム17  46またはイーサネット（登録商標）ポートなどの他の外部通信サブシステムも含まれており、EMRデータキャプチャシステム100、200、および300。 一部の実装では、無線通信サブシステム1746は、図中の通信サブシステム1746である。48.
【０３４３】
図19は、非タッチ電磁センサを含み、固体画像トランスデューサで撮影した画像から生物学的バイタルサインを検出するマルチバイタルサインスマートフォンシステム1900のブロック図です。、実装に従って。 マルチバイタルサインスマートフォンシステム1900は、マルチバイタルサインスマートフォンシステム104の一例であり、図5のマルチバイタルサインフィンガーカフスマートフォンアクセサリー(MVSFCSA)502の一例である。マルチバイタルサインスマートフォンシステム1900は、バッテリー1704を含み、一部の実装では、単一のボタン17 06、一部の実装では、表示デバイス17  図14は、非タッチ電磁センサ1802と、マイクロプロセッサ1702に作動可能に結合された周囲空気センサ1722とを備えている。 マイクロプロセッサ1702は、非タッチ電磁センサ18から額または他の外部ソースポイントの赤外線信号17 16の表現を受信するように構成されている 02. マイクロプロセッサ1702は、表現から被験者の体心温度18 12を推定するように構成された体心温度推定器17 18を含む外部ソースポイントの電磁エネルギーの。 マルチバイタルサインスマートフォンシステム1900は、マイクロプロセッサ1702に動作的に結合され、提供するように構成されているソリッドステート画像トランスデューサ1728を含みますマイクロプロセッサ1702に2つ以上の画像1730。
【０３４４】
マルチバイタルサインスマートフォンシステム1900は、圧力センサ17  38、圧力カフ1740、mDLSセンサー1742とPPGセンサー17  44を提供します生物学的バイタルサインジェネレータ1734への信号。圧力センサ1738は、圧力カフ1740に直接リンクされている。 一部の実装では、マルチバイタルサインスマートフォンシステム1900には、少なくとも1つのmDLSセンサが良好な品質信号を提供することを保証する2つのmDLSセンサが含まれています。いくつかの実装では、生物学的バイタルサインジェネレータ1734は、圧力センサ17 38からの信号から血圧測定(収縮および拡張期)を生成し、指圧カフ1740およびmDLSセンサ1742。いくつかの実装では、生物学的バイタルサインジェネレータ1734は、PPGセンサ1744からの信号からのSpO2測定および心拍数測定を生成する。いくつかの実装では、生物学的バイタルサインジェネレータ1734は、mDLSセンサ17 42からの信号からの呼吸(呼吸数)測定を生成する。 いくつかの実装では、生物学的バイタルサインジェネレータ1734は、いくつかの実装42.InmDLSセンサ17からの信号から血流測定を生成し、生物学的バイタルサインジェネレータ1734は、PPGセンサ1744からの信号から心拍変動を生成する。
【０３４５】
図20は、実施に従ってバイタルサインの予測分析を生成する装置2000のブロック図である。 装置20  00は、図4のマルチバイタルサインフィンガーカフスマートフォンアクセサリー(MVSFCSA)402、図4のマルチバイタルサインスマートフォン(MVSSmartphone)404、マルチバイタルサインフィンガーカフに実装可能スマートフォンアクセサリー(MVSFCSA)502図5またはマルチバイタルサインスマートフォン(MVSSmartphone)デバイス503は図5で、センサー管理コンポーネント602は図6、マイクロプロセッサ620は図6、図5および図7のマルチバイタルサインフィンガーカフ506は、図5と図7で、図7のマイクロプロセッサ702、図8のコントローラ820、図8のマイクロプロセッサ1702である。図の17-19と21および/またはメインプロセッサ46 02。46. 装置2000では、心拍数データ20  02(図中の心拍数3510など)35、呼吸数データ2004(図中の呼吸数3516など)35)、推定体中核温度データ2006(図中の推定体中核温度17 20など)図17または推定体中核温度1812。18-20、血圧データ2008(図35の血圧3522など)、EKGデータ2010(EKG 35など)図で28。35)および /または SpO2 データ20 12 は、データ 2002、20 04、20   06 を評価する予測分析コンポーネント20 14によって受信されます。   、2008、20  10および/または2012時間の変化の割合の面で。 より具体的には、周波数および振幅の観点から説明される確立されたパターンと比較して、相対的な変化および変化または変化の速度である。時間の経過に応じるパーセンテージ変化が所定の閾値を超えると、フラグ2016が異常を示すように設定される。フラグ20  16は、図1-3に示すように、EMR/臨床データリポジトリ144に送信することができる。
【０３４６】
4. 非タッチテーブルベースの温度相関温度計
【０３４７】
図21は、実装に従って、他のバイタルサイン検出コンポーネントを持たないデジタル赤外線センサを含む装置2100のブロック図である。 装置21 00は、マルチバイタルサインスマートフォン(MVSスマートフォン)装置503の一例である。 装置21   00は、電池1704を含み、一部の実装では単一ボタン1706、一部の実装において表示装置1714、以下デジタル赤外線センサ1708とマイクロプロセッサ1702に動作的に結合された周囲空気センサ1722。マイクロプロセッサ1702は、額または他の外部ソースポイントの赤外線信号1716の表現をデジタル赤外線センサ17から受信するように構成されている。08. マイクロプロセッサ1702は、表現から被験者の体心温度17 20を推定するように構成された体心温度推定器1718を含む外部ソースポイントの電磁エネルギーの。
【０３４８】
本装置2100は、圧力センサ1738、圧力カフ口1740、mDLSセンサ1742及びはらなはがり、にする気間には、送気センサを含不設のを含不行気一には、生物学的バイタルサインジェネレータ1734。
【０３４９】
一部の実装では、装置2100はまた、EMRデータへの通信を提供するイーサネット（登録商標）ポートなどの他の外部通信サブシステム1746を含むシステム100、200および300または他の装置を捕獲する。 一部の実装では、無線通信サブシステム1746は、図中の通信サブシステム1746である。48. 無線通信サブシステム1746は、推定体中核温度1720および/または生物学的バイタルサインを送受信して送受信可能である。
【０３５０】
装置2100はまた、EMRデータキャプチャ装置に通信を提供する、イーサネット（登録商標）ポートなどの他の外部通信サブシステム1746または他の外部通信サブシステムを含む。 1400または他のデバイス。 一部の実装では、無線通信サブシステム1746は、図中の通信サブシステム1746である。48.無線通信サブシステム1746は、推定体中核温度1720および/または生物学的バイタルサインを送受信して送受信可能である。
【０３５１】
デジタル赤外線センサ1708とマイクロプロセッサ1702の構造関係に関しては、図中である。17-19および21、マイクロプロセッサ17 02またはヒートシンクなどの任意のソースからデジタル赤外線センサ1708上の熱放射は、の検出を歪めますデジタル赤外線センサ17 08による赤外線エネルギー。   デジタル赤外線センサ17 08とマイクロプロセッサ1702との間の熱伝達を防止または少なくとも低減するために、図中の装置。17-23および 21 は低電力デバイスであり、バッテリ 1704 も電源が入っている低発熱デバイスで、それぞれに約 5 秒間しか使用されます。測定(温度サンプルを取得し、本体コア温度結果を生成するために1秒、オペレータにその結果を表示するために4秒)ので、図の装置によって生成される熱がほとんどありません。17-19と 21 アクティブな使用中。
【０３５２】
図17-19および21の装置の内部レイアウトはマイクロプロセッサのような他のすべての部品から遠く離れてデジタル赤外線センサーを可能な限り実質的に最小にする(620、702および図中の装置の工業設計の実用的な限界内の1702)またはコントローラ820。 17-19 と 21.
【０３５３】
より具体的には、デジタル赤外線センサ1708とマイクロプロセッサ(620、702および1702)またはコントローラ820間の熱伝達を防止または少なくとも低減するために、デジタル赤外線センサ1708は、マイクロプロセッサ620、702、17 02)またはコントローラ820を備えるPCBとは別のPCB上に分離され、2つのPCBは4ピンのコネクタのみで接続されます。4ピンを持つ単一コネクタの最小接続は、マイクロプロセッサ(620、702および1702)またはコントローラ820から電気コネクタを介してデジタル赤外線センサ1708への熱伝達を低減し、デジタル赤外線センサ1708とマイクロプロセッサ1702が同じPCBに取り付けられている場合にPCB材料を介して発生する転送を介して。
【０３５４】
一部の実装では、図17-18および21の装置は、1つのプリント回路基板のみを含み、その場合、プリント基板はマイクロプロセッサ1702とデジタル赤外線センサ1708または非タッチ電磁センサ1802は、単一のプリント回路基板に搭載されている。いくつかの実装では、図の装置。17-18および 21 には、最初のプリント回路基板と、マイクロプロセッサ 1702 が最初のプリント基板である 2 つのプリント回路基板が含まれています。プリント回路基板及びデジタル赤外線センサ1708または非タッチ電磁センサ1802は、第2のプリント回路基板上にある。いくつかの実装では、図の装置。17-18および21は1つの表示装置1714だけを含み、その場合、表示装置1714は複数の表示装置を含まない1714。 いくつかの実装では、表示装置1714は、液晶ダイオード(LCD)表示装置1814である。いくつかの実装では、表示装置1714は、発光ダイオード(LED)表示装置である。 いくつかの実装では、図の装置。17-19 および 21には、1 つのバッテリ1704のみが含まれます。
【０３５５】
図22は、実装に従って、デジタル赤外線センサ2200のブロック図である。デジタル赤外線センサ2200は、赤外線電磁エネルギー22 04のみを感知する単一の熱杭センサ22 02を含む。 デジタル赤外線センサ2200は、CPU制御ブロック2206と熱電対などの周囲温度センサ22 08を含む。 単一サーモパイルセンサ2202、周囲温度センサ2208およびCPU制御ブロック22  06は、別々のシリコン基板2210、22上にあるそれぞれ12および2214。CPU制御ブロック2206は、単一サーモパイルセンサ22 02及び周囲温度センサ2208の出力をデジタル化する。
【０３５６】
デジタル赤外線センサ2200は、単一の熱杭センサ2202、CPU制御ブロック22 06および周囲温度センサ22を取り囲むファラデーケージ22 16を有する08単一サーモパイルセンサ22 02における電磁(EMF)干渉を防止するために、CPU制御ブロック2206とコンポーネントをシールドする周囲温度センサ2208ファラデーケージ2216外部電磁干渉で、デジタルによって生成された周囲および物体温度から体心温度を推定する装置の精度と再現性を向上させる赤外線センサー2200。デジタル赤外線センサ2200はまた、製造後の分野でのキャリブレーションが少なく、デジタル赤外線センサ22 00では、単一のであるため、製造後の分野でのキャリブレーションが少ない可能性があります。サーモパイルセンサ2202、CPU制御ブロック2206および周囲温度センサ22 08は互いに近接しており、単一の間の温度差を下げるサーモパイルセンサー2202、CPU制御ブロック2206および周囲温度センサ22 08は、それらは同じに基づいているので、時間の経過とともにキャリブレーションドリフトを最小化または排除します基板材料と同じ温度と電圧の変動にさらされます。対照的に、従来の赤外線温度センサは、単一の熱杭センサ2202、CPU制御ブロック22 06および周囲を囲むファラデーケージ22 16を含まない温度センサー2208。ファラデーケージ2216は、金属箱または金属メッシュボックスとすることができる。 ファラデーケージ2216が金属箱である実装では、金属ボックスは、単一の熱杭センサ2202が赤外線電磁エネルギーの視野に配置されている開口部を有する2204は、赤外線電磁エネルギー2204が単一の熱杭センサにファラデーケージ2216を通過できるように、ファラデーケージ22 16の影響を受けません 2202。 ファラデーケージ2216が金属製の箱である実装では、金属ボックスは、大気がファラデーケージを通過できるように周囲温度センサ2208が配置されている開口部を有する周囲温度センサに2216。 他の実装では、周囲の気温センサ2208は、大気の温度を感知しないが、代わりにセンサ基板(シリコン)材料および周囲の材料の温度を感知する周囲温度センサ2208及び目標動作環境温度は、測定誤差を低減するために可能な限り近い必要がある、すなわち周囲温度センサ2208はターゲット動作環境との熱平衡。
【０３５７】
いくつかのさらなる実装では、デジタル赤外線センサ22 00のファラデーケージ2216はまた、からアナログ信号をデジタル化するマルチチャンネルアナログからデジタルコンバータ(ADC)22 18を含みます。単一熱杭センサ2202.ADC  2218はまた、周囲温度センサ22 08からのアナログ信号をデジタル化します。 ADCがマルチチャネルADCでない別の実装では、単一サーモパイルセンサ22 02からのアナログ信号と周囲温度センサ22からのアナログ信号をデジタイズするために別々のADCが使用されます。08 デジタル赤外線センサ2200とマイクロプロセッサ(秒)、メインプロセッサとコントローラの間には、マイクロプロセッサ17などのデジタルIRセンサ2200の外側にADCはありません。図で02。17.
【０３５８】
デジタル赤外線センサ22 00の単一熱杭センサ22 02は、額面表面温度範囲25°C~35など、人体のコア温度範囲に最も敏感で正確であることを調整されています。 °。 デジタルIRセンサ2200は、従来のアナログ赤外線温度センサと比較して、キャリブレーションに対するアナログとデジタルコンポーネントの温度差の最小化を含みます。パラメータ(温度差が近い場合は、キャリブレーション環境を模倣するΔTが小さくなり、データラインにおけるEMCの干渉が減少します)。デジタル赤外線センサ2200は、デジタル赤外線センサ22 00のデジタル読み出しポートで提示される絶対ケルビン度(°K)で表面温度のデジタル表現を出力する。 表面温度のデジタル表現は、図5〜8では体表面温度とも呼ばれ、図5ではデジタル読み出し信号1711が図に示されている。図17-19及び21は、図中のデジタル赤外線センサによって検出される額温度の赤外線信号を代表するデジタル信号である。図25、体のコア温度を図中。図26、温度測定図。27、図中の額の温度を感知した。15, 17-18,    21,  25,    28 外部源の電磁エネルギーの数値表現図のポイント。45.
【０３５９】
デジタル赤外線センサ2200は、サーミスタや抵抗温度検出器(RTD)などのアナログデバイスまたはコンポーネントではない。 デジタル赤外線センサ2200はサーミスタではないため、リシスターの基準信号を受信し、基準信号と温度信号との関係を決定して計算する必要や有用性がない。表面温度。さらに、デジタル赤外線センサ2200は、相補的な金属酸化物(CMOS)デバイスまたは充電結合(CCD)デバイスのように複数のトランジスタの配列ではない。 デジタル赤外線センサ2200のサブコンポーネントのいずれも、人間の可視スペクトル(380nm - 750 nm)の波長の電磁エネルギーを検出しない。 デジタル赤外線センサ2200も赤外線レンズを含まない。
5. EMRシステムの相互運用性デバイスマネージャコンポーネント
【０３６０】
図23は、実装に従って相互運用性デバイスマネージャコンポーネント126のシステムのブロック図である。相互運用性デバイスマネージャコンポーネント126は、1つ以上のマルチバイタルサインスマートフォンシステム(複数)104およびミドルウェア2306を接続するデバイスマネージャ2302を含む。 マルチバイタルサインスマホシステム(複数)104は、チャートサービス2308、観察サービス23などの複数のサービスを介してデバイスマネージャ2302に接続されています。 10、患者サービス2312、ユーザサービスおよび/または認証サービス2316を相互運用性デバイスマネージャ23 02のブリッジ2318にする。マルチバイタルサインスマホシステム(複数)104は、プッシュファームウェア23などの複数の保守機能コンポーネント2320にデバイスマネージャ23 02に接続されています 22は、プッシュ構成コンポーネント2324および/またはキーナライブ信号コンポーネント2326である。 キープアライブ信号成分2326は、ミドルウェア2306に結合される。一部の実装では、API 2330、23  32、23  34、および 2336 は、健康日付 API、観測 API、電子健康記録(EHR) または電子カルテ (EMR) API。
【０３６１】
橋梁2318は、グリーターコンポーネント2328に作動可能に結合されている。 greeter コンポーネント2328 は、相互運用性デバイス マネージャ2302の日付/時刻を同期し、デバイス ログをチェックし、デバイスファームウェアをチェックし、デバイス構成をチェックし、追加のセキュリティを実行します。 greeter コンポーネント2328 は、チャート アプリケーションプログラム インターフェイス コンポーネント 23 30 を介してキープアライブ信号コンポーネント 2326に結合され、患者アプリケーション プログラム インターフェイスコンポーネント 2332は、人事アプリケーションプログラムインタフェースコンポーネント2334および/または認証アプリケーションプログラムインタフェースコンポーネント23 36である。チャートアプリケーションプログラムインタフェースコンポーネント23 30からの全てのチャート化された観測値は、データストア2340の診断ログ2338に記憶される。データストア 2340 には、アプリケーション プログラム インターフェイス コンポーネント23 30、2332、23の相互運用性デバイス マネージャ設定23 42も含まれています。 34および/または2336、現在のデバイス構成設定2344、現在のデバイスファームウェア23  46およびデバイスログ23 48。
【０３６２】
相互運用性デバイスマネージャ2302はまた、ネットワーク/WiFi（Ｒ）アクセス、日付/時刻スタンプ、暗号化キーを提供するプロビジョニングデバイスコンポーネント23 50を含みます -マルチバイタルサインスマートフォンのそれぞれに1回システム(複数)104は、各マルチバイタルサインスマートフォンシステム(複数)104が登録され、デバイスログ23 48に「アクティブ」としてマークされている。  プロビジョニングデバイスコンポーネント2350は、デバイスアクティベータ23 52を介して相互運用性デバイスマネージャコンポーネント126上の新しいマルチバイタルサインスマートフォンシステム(複数可)104を起動する。
6. 赤外線センサーを搭載したマルチバイタルサインスマートフォンシステムの方法
【０３６３】
このセクションでは、図17-19および21によって実行される特定の方法について、一連のフローチャートを参照して説明する。 
【０３６４】
図24は、実装に従って指カフデータに関するリアルタイム品質チェックを実行する方法2400のフローチャートである。この方法 2400 は、PPG および mDLS センサーからの信号を使用して品質チェックを実行します。 この方法24  00は、図4のマルチバイタルサインフィンガーカフスマートフォンアクセサリー(MVSFCSA)402、図5のMVSFCSA502、図6のセンサ管理コンポーネント602、図6のマイクロプロセッサ620、および図5および図7におけるマルチバイタルサインフィンガーカフ506、図7のマイクロプロセッサ702、図8のコントローラ820、図8のマイクロプロセッサ1702である。図の17-19と21および/またはメインプロセッサ46 02。46.
【０３６５】
方法2400において、生データ2402は、図5-7のマルチバイタルサインフィンガーカフ506におけるPPGセンサなどのPPGセンサから受信され、図8では842、図8では842および/または17   44である。17-19、生データ2404は、図5-7のマルチバイタルサインフィンガーカフ506のmDLSセンサなどの2つのmDLSセンサから受信され、図8では844、図8では844、および/または1742を受け取る。17-19、生データ2406は、図4のマルチバイタルサインフィンガーカフ406、図5-7の空気エンジン507、図8のカフ850、図9の圧力センサ908、図9の圧力カフから受け取られます。図17-19の圧力センサ1738、生データ2424は加速度計および生データ24から受信される 32は、3軸ジャイロスコープから受け取る。 圧力カフから受信した生データ2406は、図9の空気圧センサ908から受信することができる。 
【０３６６】
PPGセンサから受信した生データ2402はPPG信号処理2408で分析され、mDLSセンサから受信した生データ24 04はmDLS信号処理24で分析される。  10、圧力カフから受信した生データ2406はカフ圧力処理2412で分析され、加速度計から受信した生データ2424はで分析される。加速度計処理2426及び3軸ジャイロスコープから受信した生データ2432は、ジャイロスコープ処理24 34において分析される。    PPG信号処理2408およびmDLS信号処理2410における分析が生データ2402における信号対雑音比2414の悪いことを示す場合mDLSセンサから受信したPPGセンサまたは生データ2404から受信し、測定は2415に終了する。 PPG信号処理2408及びmDLS信号処理2410における分析が、生データ24 02の両方において良好な信号対雑音比2414を示す場合MDLSセンサから受信したPPGセンサと生データ2404から受信し、次に波形解析2418は、PPGから受信した生データ2402の両方で実行されます。 mDLSセンサーから受信されるセンサーと生データ2404。カフ圧力処理2412における分析が、指の膀胱が必要な圧力に膨張できないか、または必要な量の圧力が膀胱内に維持できえないことを示している場合。マルチバイタルサインフィンガーカフ2416その後、測定は2415で終了します。加速度計処理2426における分析が加速度計からの信頼できないデータを示す場合、測定は2415で終了する。3軸ジャイロスコープ処理24 34における分析が3軸ジャイロスコープからの信頼性の低いデータを示す場合、測定は2415に終了する。
【０３６７】
PPGセンサから受信した生データ2402とmDLSセンサから受信した生データ24 04の両方に対して行われる波形解析24 18から、その状態を示すフラグ心拍数、呼吸数および/または生成される 2420. カフ圧力処理2412から、血圧を示すフラグ(拡張期および収縮期)が生成される2422。加速度計処理2426から、加速度計データ24 24の品質を示すフラグが24 30生成される。 3軸ジャイロスコープ処理2434から、3軸ジャイロスコープデータ2432の品質を示すフラグが24  38生成される。
【０３６８】
図25は、実装に従って、デジタル赤外線センサから体心温度を推定する方法2500のフローチャートである。  方法25  00は、デジタル赤外線センサのデジタル読み出しポートからの受信を含み、ブロックで、デジタル赤外線センサによって検出された額温度の赤外線信号を代表するデジタル信号を含む2502.アナログ赤外線センサから赤外線信号を代表する信号は受信しません。
【０３６９】
方法2500はまた、ブロック2504で、赤外線信号を代表するデジタル信号から体心温度を推定することを含む。  
【０３７０】
図26は、3色の実装に従って、体幹温度色指標を表示する方法2600のフローチャートである。方法26  00は、本体コア温度の一般的な範囲を示すカラーレンダリングを提供する。
【０３７１】
方法260は、本体コア温度を受信することを含む(例えば、図の額の赤外線信号1716を代表するデジタル読み出し信号1711)。  17)、ブロック2601で。
【０３７２】
方法2600はまた、ブロック2602で、32.0°Cおよび37.3°Cの範囲のようなボディコア温度が最初の範囲にあるかどうかを決定することも含む。 本体コア温度が最初の範囲にある場合、色は低いボディコア温度を示すために「オレンジ色」に設定され、ブロック2604では、照明発光ダイオード(LED)またはディスプレイの背景が、次の通りに作動します。ブロック26 06で色。
【０３７３】
本体コア温度が最初の範囲でない場合、方法2600 には、ボディコア温度が 37.4°C および 38.0°C の範囲など、最初の範囲に隣接し、最初の範囲よりも高い第 2 の範囲にあるかどうかを判断することも含まれます。、ブロック2608で。本体コア温度が第2の範囲にある場合、色は医学的懸念がないことを示すために緑色に設定され、ブロック2610では、LEDまたはディスプレイの背景が色に応じて活性化され、ブロック2606で。
【０３７４】
体心コア温度が第2の範囲でない場合、方法2600はまた、ブロック2612で、体心温度が第2の範囲を超えるかどうかを決定することも含む。   本体コア温度が第2の範囲を超える場合、色は「赤」に設定され、ブロック2612で、LEDまたは背景はブロック2606で色に従って活性化されます。
【０３７５】
方法2600は、体のコア温度が10度の勾配であることを前提とする。他のボディコア温度範囲境界は、ボディコア温度検出の他の勾配に従って使用されます。
【０３７６】
一部の実装では、本体コア温度が 36.3°C の最初の範囲 (97.3°F から 99.1°F) の間にある場合、LED またはディスプレイの一部のピクセルがオレンジ色としてアクティブになり、ボディコアの気質が変わるとディスプレイの一部のピクセルが緑色としてアクティブになります。eは、37.4°C と 37.9°C (99.3°F ~ 100.2°F) の 2 番目の範囲の間で、本体のコア温度が 2 番目の範囲 (少なくとも 38°C(100.4°F) より大きい場合、ディスプレイの LED または一部のピクセルが赤色としてアクティブになります。
【０３７７】
図27は、実装に応じて、デジタル赤外線センサを有する非タッチデバイスで電力を管理する方法2700のフローチャートである。 この方法27 00は、図4-8および17-19および図のマルチバイタルサインスマートフォンシステムおよびマルチバイタルサインスマートフォンシステムなどのデバイスの電力を管理する。 46は、デジタル赤外線センサにおける熱汚染を低減するために。
【０３７８】
デジタル赤外線センサ17 08とマイクロプロセッサ17 02との間の熱伝達を防止または少なくとも低減するために、図のメインプロセッサ4602。46、図のマルチバイタルサインスマートフォンシステムのコンポーネント。  図17〜19、体幹温度を図で推定する装置。 図17-18及び21は、図中の変動増幅装置である。30-38とマルチバイタルサインスマートフォンシステム4600は、すなわち、電力制御されています。サブシステムのオン/オフを切り上げ、サブシステムは測定および表示プロセスで必要な場合にのみアクティブ化されるため、マイクロプロセッサ1702またはメインプロセッサによる消費電力を削減し、発熱します。図で4602.図のマルチバイタルサインスマートフォンシステムの46。 図17〜19、体幹温度を図で推定する装置。図18〜20、図中の変動増幅装置。 30-38、マルチバイタルサインスマートフォンシステム4600、それぞれ。使用しないときは、ブロック2702で、図のマルチバイタルサインスマートフォンシステム。図17〜19、体幹温度を図で推定する装置。図17-18及び21は、図中の変動増幅装置である。30-38とマルチバイタルサインスマートフォンシステム46 00は、ブロック27 04で完全に電源オフされています(メインPCBを含むマイクロプロセッサ1702、図のメインプロセッサ4602。46とセンサPCBは、デジタル赤外線センサ1708)を有し、電源以外の任意の電力を描画していない、すなわち、ブーストレギュレータは、マルチバイタルサインスマートフォンシステムに影響を与える図3-17は、図中の体心温度を推定する装置である。図18-20、図中の変動増幅装置。30-38とマルチバイタルサインスマートフォンシステム4600は、オフにしながら、バッテリー1704からマイクロアンペアのみを描画します3年間の運転の寿命要件に必要な状態ですが、非使用状態では、図のマルチバイタルサインスマートフォンシステムでは電源回路が非常に少ないです。図17〜19、変動増幅装置。30-38とマルチバイタルサインスマートフォンシステム4600としたがって、非常に少ない熱で発生します図のマルチバイタルサインスマートフォンシステム。図17〜19、変動増幅装置。30-38とマルチバイタルサインスマートフォンシステム46 00.
【０３７９】
図のマルチバイタルサインスマートフォンシステムのとき。図17-18及び20は、体心温度を図で推定する装置である。 18-19及び20は、図中の変動増幅の装置である。 30-38とマルチバイタルサインスマートフォンシステム46 00は、ブロック27 06で、唯一のマイクロプロセッサで、オペレータによって開始されます1702、マイクロプロセッサ1702、メインプロセッサ46 02。 図に図の46、メインプロセッサ4602。46、デジタル赤外線センサ1708、および一部の実装では、低電力LCD(例えば、ディスプレイデバイス1714)が最初の1秒間オンになり、ブロック27 08で、デジタル赤外線センサ17 08を介した温度測定と図のマイクロプロセッサ1702を介してボディコア温度結果を生成します。図の17-18および21、メインプロセッサ46 02。46、ブロック2710で。このようにして、主な発熱成分(表示装置1714、マイクロプロセッサ17 02を有するメインPCBとデジタル赤外線センサ1708を有するセンサPCB)は、 ディスプレイバックライトとボディコア温度トラフィックライト)が点灯していないため、重要な起動および測定プロセス中に発熱しない場合は、1秒以下です。ブロック2710の測定プロセスが完了した後、デジタル赤外線センサ1708は、ブロック2712でオフにされ、電池および発熱からの電流使用量を減らすまた、ブロック27 14で、ディスプレイバックライトと温度範囲インジケータがオンになっています。 
【０３８０】
測定結果は、ブロック2716で4秒間表示され、次いで図のマルチバイタルサインスマートフォンシステムが表示されます。図17〜19、体幹温度を図で推定する装置。図18〜20、図中の変動増幅装置。 30-38およびマルチバイタルサインスマートフォンシステム4600は、ブロック2718で低電力オフ状態に置かれる。
【０３８１】
図17-58の方法および装置のいくつかの実装では、オペレータは、被験者の温度と温度から、被験者の他の場所の数で温度を推定することができる。
【０３８２】
アクションの相関関係には、フォーミュラ 1 に基づく計算を含めることができます。
【０３８３】
T本体=|stb(Tサーフェス温度+ εntc(Tntc))+F4ボディ| 
【０３８４】
フォーミュラ 1
【０３８５】
T体が体または被験者の温度であるところ
【０３８６】
stbは体の表面の数式である
【０３８７】
ここで、εntc は周囲温度読み取りのための数式です。
【０３８８】
ここで、T表面温度はセンシングから推定される表面温度です。
【０３８９】
Tntcが周囲の気温の読み取り値である場合
【０３９０】
ここで、F4本体は軸モードのキャリブレーションの違いであり、製造中または現場で装置のメモリに保存または設定されます。装置はまた記憶のF4の経口、F4の中心およびF4直腸を記憶にセットし、記憶し、取り出す。
【０３９１】
εntc(Tntc)は、温度検出モードを考慮したバイアスである。例えば、φ軸索(T軸索)=0.2 °°、ε経口(T経口)=0.4°、直腸(T直腸)=0.5°およびεコア(Tコア)=0.3 °C。
7. 生物学的バイタルサインモーション増幅検出器
【０３９２】
図30-58の装置は、一連のデジタル画像から生物学的に重要な兆候を生成するために空間および時間信号処理を使用する。
【０３９３】
図30は、実装に従って、変動増幅の装置3000のブロック図である。 装置30  00は、生物学的バイタルサインを生成し、伝達するために、動物被験体のデジタル画像における時間的および空間的変動を分析する。
【０３９４】
いくつかの実装では、装置30 00は、2つ以上の画像30 04における皮膚を代表するピクセル値を識別する額の皮膚ピクセル識別モジュール30 02を含む。 ピクセル値は、画像3004 内のピクセルの値です。 いくつかの実装では、画像3004は、ビデオのフレームです。 額の皮膚画素識別モジュール3002は、図中のブロック3902を行う。39.額の皮膚ピクセル識別モジュール30 02の一部の実装は、2つ以上の画像3004に対して自動シード点ベースのクラスタリング処理を実行する。一部の実装では、装置3000は、額の皮膚ピクセル識別モジュール30 02の出力を受け取り、周波数フィルタを適用する周波数フィルタ3006を含む額の皮膚ピクセル識別モジュール3002の出力に。周波数フィルタ3006は、図中のブロック3904を行う。39は、周波数領域における画像3004を処理する。 図中の装置を含む実装において。図30~38または方法。39~43は、図に赤外線センサーを搭載したマルチバイタルサインスマートフォンシステムやマルチバイタルサインスマートフォンシステムに実装されています。図17-18、画像3004図。図30〜38は画像1730である。17-19.いくつかの実装では、図の装置。図30~36または方法。図のマルチバイタルサインスマートフォンシステム4600に39-43が実装されています。 46.
【０３９５】
一部の実装では、装置30 00は、周波数フィルタ3006の出力に適用される空間クラスタを含む地域顔クラスタモジュール3008を含む。 地域顔クラスタモジュール3008は、図中のブロック3906を実行する。39.一部の実装では、地域の顔クラスタモジュール3008は、ファジークラスタリング、k平均クラスタリング、期待最大化プロセス、ウォードの装置またはシードポイントベースのクラスタリングを含む。
【０３９６】
いくつかの実装では、装置30 00は、地域の顔クラスタモジュール30 08の出力に周波数フィルタを適用する周波数フィルタ30 10を含む。 周波数フィルタ3010は、図中のブロック3908を実行する。39. いくつかの実装では、周波数フィルタ30 10は、1次元空間フーリエ変換、ハイパスフィルタ、ローパスフィルタ、バンドパスフィルタまたは加重バンドパスフィルタである。周波数フィルタ30 10の一部の実装には、非ノイジング(例えばガウスフィルタによるデータの平滑化)が含まれる。 額の皮膚ピクセル同定モジュール3002、周波数フィルタ3006、局所顔クラスタモジュール30 08および周波数フィルタ30  102つ以上の画像30 04の時間変動(時間変動増幅器として)を増幅する。
【０３９７】
一部の実装では、装置30 00は、周波数フィルタ30 10の出力の時間変動を識別する時間変動識別子30 12を含む。したがって、時間変動は、画像3004の時間変動を表す。時間変動識別子3012は、図中のブロック3910を行う。39.
【０３９８】
いくつかの実装では、装置30 00は、時間変動から1つ以上の生物学的バイタルサインを生成する生物学的バイタルサインジェネレータ30 14を含む。 生物学的バイタルサイン(30)16は、医療従事者によってレビューのために表示されるか、後で分析するために揮発性または不揮発性メモリに格納されるか、または分析のために他のデバイスに送信される。
【０３９９】
ファジィ クラスタリングは、クラスターへのデータ ポイントの割り当てが"ハード" (すべてまたは何もない) ではなく、ファジー ロジックと同じ意味で "ファジー"であるクラスター分析のプロセスのクラスです。ファジィロジックは、固定的で正確ではなく、近似的な推論を持つ多値論理の一形態です。ファジー クラスタリングでは、すべてのポイントは、1  つのクラスターだけに完全に属するのではなく、ファジー ロジックのように、クラスターに属する程度を持ちます。したがって、クラスタのエッジ上の点は、クラスタの中心にある点よりも低い程度までクラスタ内にある場合がある。任意の点x には、k番目のクラスタwk(x)内にある程度を与える係数のセットがあります。ファジィ c-平均では、クラスターの重心はすべてのポイントの平均であり、クラスターへの各ポイントの所属度で重み付けされます。
2020514008.tif 000005
【０４００】
w k(x)の所属度は、前のパスで計算されたxからクラスターの中心までの距離に逆に関連しています。 所属度 w  k(x)は、最も近い中心に与えられる重みを制御するパラメータm にも依存します。
【０４０１】
k 平均値クラスタリングは、もともと信号処理からベクトル量子化のプロセスであり、データマイニングのクラスター分析に適しています。k 平均クラスタリングは、各観測値が最も近い平均を持つクラスターに属する k クラスターに n 観測値を分割し、クラスターのプロトタイプとして機能します。これにより、データ・スペースがVoronoi セルに分割されます。ボロノイセルは、あらかじめ指定されたポイントのセットであるボロノイ図内の領域です。ボロノイ図は、スペースを多数の領域に分割する手法です。k 平均クラスタリングでは、クラスタ センターを使用してデータがモデル化され、K 平均クラスタリングのように同等の空間範囲のクラスターが見つかる傾向がありますが、各データポイントには、各個別のクラスターに属するあいまい度があります。
【０４０２】
期待-最大化プロセスは、最大尤度を見つけるための反復的なプロセスです。   統計モデルにおけるパラメータの後部(MAP)推定値の最大値(モデルは観測されない潜在性に依存する) 変数.期待度-最大化反復は、期待ステップの実行とを交互に実行します。      パラメータと最大化ステップを使用して、期待値ステップで見つかった予想される対数尤度を最大化するパラメータを計算します。これらのパラメータ推定値は、次の期待ステップにおける潜在変数の分布を決定するために使用されます。
【０４０３】
期待最大化プロセスは、次の 2 つの手順を繰りとして適用することにより、限界尤度の最大尤度予想を見つけることを目指します。
【０４０４】
1.期待ステップ(Eステップ):パラメータの現在の推定値の下で与えられたXの条件分布に関して、対数尤度関数の期待値を計算する
2020514008.tif 000006
:
2020514008.tif 000007
【０４０５】
2. 最大化ステップ (M ステップ): この量を最大化するパラメータを検索します。
2020514008.tif 000008
【０４０６】
期待度の最大化が適用される一般的なモデルでは、次の点に注意してください。
【０４０７】
1. 観測されたデータポイントX は、不連続 (有限または数え切れない無限のセットで値を取る)または連続 (計り知れない無限のセットで値を取る) である場合があります。実際には、各データ ポイントに関連付けられた観測のベクトルが存在する可能性があります。
【０４０８】
2. 欠損値 (潜在変数) Z は不連続で、固定数の値から引き出され、観測されたデータポイントごとに 1 つの潜在変数があります。
【０４０９】
3. パラメータは連続的で、すべてのデータポイントに関連付けられているパラメータと、潜在変数の特定の値に関連付けられたパラメータ (つまり、対応する潜在変数を持つすべてのデータ ポイントに関連付けられているパラメータ)の 2 種類があります。特定の値)。
【０４１０】
フーリエ変換は、その罪と余弦成分に画像を分解するために使用される重要な画像処理ツールです。変換の出力はフーリエまたは周波数ドメイン内のイメージを表し、入力イメージは空間ドメインと同等です。Fourier ドメイン イメージでは、各ポイントは空間ドメイン イメージに含まれる特定の周波数を表します。
【０４１１】
不連続フーリエ変換はサンプリングされたフーリエ変換であるため、イメージを形成するすべての周波数が含まれているわけではありませんが、空間ドメインイメージを完全に記述するのに十分な大きさのサンプルのセットのみが含まれています。周波数数は、空間ドメインイメージ内のピクセル数、すなわち空間領域内の画像とフーリエドメインが同じサイズであるのに対応する。
【０４１２】
サイズ N×N の正方形のイメージの場合、2次元 DFT は次の方法で指定されます。
2020514008.tif 000009
【０４１３】
ここで、f(a,b)は空間ドメイン内のイメージであり、指数項はフーリエ空間の各点F(k,l)に対応する基本関数です。この方程式は、空間イメージに対応する基本関数を乗算し、結果を合計することによって、各点F(k,l)の値を取得します。
【０４１４】
基本機能は、周波数の増加に伴う意味で、F(0,0)は平均輝度に対応する画像のDC成分を表し、F(N-1,N-1)は最も高い値を表します。周波数。
【０４１５】
ハイパスフィルタ(HPF)は、高周波信号を通過するが、カットオフ周波数よりも低い周波数で信号を減衰(振幅を減らす)電子フィルタです。各周波数の減衰の実際の量は、フィルタによって異なります。ハイパスフィルタは、通常、線形時間不変システムとしてモデル化されます。ハイパスフィルタは、ローパスフィルタと組み合わせてバンドパスフィルタを作成することもできます。 シンプルな1次電子ハイパスフィルタは、コンデンサと抵抗のシリーズ組み合わせに入力電圧を配置し、抵抗全体の電圧を出力として使用することで実装されます。抵抗および容量(R×C)の積は時間定数(τ);プロダクトはカットオフ周波数fcに反比例する、すなわち:
2020514008.tif 000010
【０４１６】
fcがヘルツにある場合、
【化１】
2020514008.tif 000011
は秒単位、Rはオームにあり、Cはファラドにあります。  
【０４１７】
ローパスフィルタは、低周波信号を通過し、カットオフ周波数よりも高い周波数で信号を減衰(振幅を減衰)するフィルタです。各周波数の実際の減衰量は、特定のフィルタ設計によって異なります。ローパスフィルタは、オーディオアプリケーションではハイカットフィルタ、または高音カットフィルタとも呼ばれます。ローパスフィルタは、ハイパス フィルタの反対です。ローパスフィルタは、信号のより滑らかな形式を提供し、短期的な変動を除去し、長期的なトレンドを残します。1つの簡単なローパスフィルタ回路は、負荷を持つ直列の抵抗と、負荷と並行してコンデンサで構成されています。コンデンサは、反応を示し、低周波信号をブロックし、代わりに負荷を介して低周波信号を強制します。高い周波数では、リアクタンスが低下し、コンデンサは効果的に短絡として機能します。抵抗と容量の組み合わせは、フィルタの時間定数を与えます。ブレーク周波数は、ターンオーバー周波数またはカットオフ周波数(ヘルツ)とも呼ばれ、時間定数によって決定されます。
【０４１８】
バンドパスフィルタは、特定の範囲内の周波数を通過し、その範囲外の周波数を減衰するデバイスです。これらのフィルタは、ローパスフィルタとハイパスフィルタを組み合わせて作成することもできます。バンドパスは、フィルタまたはフィルタリングプロセスの種類を記述する形容詞です。バンドパスは、影響を受けるスペクトルの実際の部分を指すパスバンドと区別されます。したがって、デュアルバンドパスフィルタには2つのパスバンドがあります。 バンドパス信号は、バンドパスフィルタから出てくる信号など、ゼロ周波数に隣接しない周波数のバンドを含む信号です。
【０４１９】
図31は、実装に従って、変動増幅の装置3100のブロック図である。 装置31  00は、生物学的バイタルサインを生成し、伝達するために、動物被験体のデジタル画像における時間的および空間的変動を分析する。
【０４２０】
いくつかの実装では、装置3100は、2つ以上の画像30 04における皮膚を代表するピクセル値を識別する額の皮膚ピクセル識別モジュール30 02を含む。 額の皮膚画素識別モジュール3002は、図中のブロック3902を行う。39.額の皮膚ピクセル識別モジュール30 02の一部の実装は、画像3004上で自動シードポイントベースのクラスタリングプロセスを実行する。
【０４２１】
一部の実装では、装置3100は、額の皮膚画素識別モジュール30 02の出力を受け取り、周波数フィルタをその出力に適用する周波数フィルタ3006を含む。額の皮膚ピクセル識別モジュール3002。 周波数フィルタ3006は、図中のブロック3904を行う。39は、周波数領域における画像3004を処理する。
【０４２２】
一部の実装では、装置3100は、周波数フィルタ3006の出力に適用される空間クラスタを含む地域顔クラスタモジュール3008を含む。 地域顔クラスタモジュール3008は、図中のブロック3906を実行する。39.一部の実装では、地域の顔クラスタモジュール3008は、ファジークラスタリング、k平均クラスタリング、期待最大化プロセス、ウォードの装置またはシードポイントベースのクラスタリングを含む。
【０４２３】
一部の実装では、装置3100は、地域の顔クラスタモジュール30 08の出力に周波数フィルタを適用する周波数フィルタ30 10を含み、時間変動を生成する。 周波数フィルタ3010は、図中のブロック3908を実行する。39. いくつかの実装では、周波数フィルタ30 10は、1次元空間フーリエ変換、ハイパスフィルタ、ローパスフィルタ、バンドパスフィルタまたは加重バンドパスフィルタである。周波数フィルタ30 10の一部の実装には、非ノイジング(例えばガウスフィルタによるデータの平滑化)が含まれる。額の皮膚ピクセル同定モジュール3002、周波数フィルタ3006、局所顔クラスタモジュール30 08および周波数フィルタ30  102つ以上の画像30 04の時間的変動を増幅する。
【０４２４】
いくつかの実装では、装置3100は、時間変動から1つ以上の生物学的バイタルサインを生成する生物学的バイタルサインジェネレータ30 14を含む。 生物学的バイタルサイン(30)16は、医療従事者によってレビューのために表示されるか、後で分析するために揮発性または不揮発性メモリに格納されるか、または分析のために他のデバイスに送信される。
【０４２５】
図32は、実装に従って、変動増幅の装置3200のブロック図である。 装置32  00は、生物学的バイタルサインを生成し、伝達するために、動物被験体のデジタル画像における時間的および空間的変動を分析する。
【０４２６】
いくつかの実装では、装置3200は、2つ以上の画像30 04における皮膚を代表するピクセル値を識別する額の皮膚ピクセル識別モジュール30 02を含む。 額の皮膚画素識別モジュール3002は、図中のブロック3902を行う。39.額の皮膚ピクセル識別モジュール30 02の一部の実装は、画像3004上で自動シードポイントベースのクラスタリングプロセスを実行する。
【０４２７】
一部の実装では、装置3200は、額の皮膚ピクセル識別モジュール30 02の出力を受け取り、空間バンドパスフィルタを適用する空間バンドパスフィルタ32 02を含む。額の皮のピクセル同一証明モジュール3002の出力。空間バンドパスフィルタ3202は、図中のブロック4102を行う。41は、空間ドメイン内の画像3004を処理する。
【０４２８】
一部の実装では、装置3200は、周波数フィルタ3006の出力に適用される空間クラスタを含む地域顔クラスタモジュール3008を含む。 一部の実装では、地域の顔クラスタモジュール3008は、ファジークラスタリング、k平均クラスタリング、期待最大化プロセス、ウォードの装置またはシードポイントベースのクラスタリングを含む。
【０４２９】
いくつかの実装では、装置3200は、地域の顔クラスタモジュール30 08の出力に周波数フィルタを適用する一時的なバンドパスフィルタ32 04を含む。 時間バンドパスフィルタ3204は、図中のブロック4106を行う。41.一部の実装では、一時的なバンドパスフィルタ3204は、1次元空間フーリエ変換、ハイパスフィルタ、ローパスフィルタ、バンドパスフィルタまたは重み付けバンドパスフィルタである。テンポラルバンドパスフィルタ32 04の一部の実装には、非ノイジング(例えばガウスフィルタによるデータの平滑化)が含まれる。
【０４３０】
額の皮膚ピクセル識別モジュール3002、空間バンドパスフィルタ3202、地域顔クラスタモジュール3008および時間バンドパスフィルタ32  04増幅2つ以上の画像3004の時間的な変化。  
【０４３１】
一部の実装では、装置3200は、周波数フィルタ30 10の出力の時間変動を識別する時間変動識別子30 12を含む。したがって、時間変動は、画像3004の時間変動を表す。時間変動識別子3012は、図中のブロック3910を行う。図の 39 またはブロック 4108。41.
【０４３２】
いくつかの実装では、装置3200は、時間変動から1つ以上の生物学的バイタルサインを生成する生物学的バイタルサインジェネレータ30 14を含む。 生物学的バイタルサイン(30)16は、医療従事者によってレビューのために表示されるか、後で分析するために揮発性または不揮発性メモリに格納されるか、または分析のために他のデバイスに送信される。
【０４３３】
図33は、実装に従って、変動増幅の装置3300のブロック図である。
【０４３４】
一部の実装では、装置3300は、2つ以上の画像30 04のピクセル値を調べるピクセル検視官3302を含む。  画素検診官3302は、図中のブロック、4002を実行する。42.
【０４３５】
いくつかの実装では、装置3300は、検査されたピクセル値の時間的変動を決定する時間変動決定器3306を含む。時間変動判定者3306は、図中のブロック4004を行う。42.
【０４３６】
いくつかの実装では、装置3300は、ピクセル値時間変動に信号処理を適用する信号プロセッサ3308を含み、増幅時間変動を生成する。信号プロセッサ3308は、図でブロック4006を実行する。42.信号処理は、時間変動が小さい場合でも、時間変動を増幅します。一部の実装では、シグナルプロセッサ3308によって実行される信号処理は、時間の経過とともに周波数を分析する時間バンドパスフィルタリングである。 一部の実装では、信号プロセッサ33 08によって行われる信号処理は、ノイズを除去する空間処理である。装置3300は、信号処理モジュールにおける小さな時間変動のみを増幅する。
【０４３７】
いくつかの実装では、装置3200は、時間変動から1つ以上の生物学的バイタルサインを生成する生物学的バイタルサインジェネレータ30 14を含む。 生物学的バイタルサイン(30)16は、医療従事者によってレビューのために表示されるか、後で分析するために揮発性または不揮発性メモリに格納されるか、または分析のために他のデバイスに送信される。
【０４３８】
装置3300は大きな時間変動を処理できるが、装置3300においては小さな時間変動に対して利点が設けられている。従って装置3300は、2つ以上の画像3004が2つ以上の画像30 04との間に小さな時間変動を持つ場合に最も有効である。いくつかの実装では、生物学的バイタルサインは、シグナルプロセッサ33 08から2つ以上の画像3004の増幅時間変動から生成される。
【０４３９】
図34は、実装に従って、変動増幅の装置3400のブロック図である。 装置34  00は、生物学的バイタルサインを生成し、伝達するために、動物被験体のデジタル画像における時間的および空間的変動を分析する。
【０４４０】
一部の実装では、装置3400は、2つ以上の画像34で皮膚を代表するピクセル値34 06を識別する額皮膚ピクセル識別モジュール3402を含む。 04 額皮膚画素識別モジュール3402は、図中のブロック3902を行う。39.額/皮膚画素識別モジュール34 02の一部の実装は、2つの画像34 04に対して自動シードポイントベースのクラスタリング処理を実行する。
【０４４１】
一部の実装では、装置3400は、皮膚を代表する同定されたピクセル値34 06を受け取り、周波数フィルタを適用する周波数フィルタモジュール34 08を含む。ピクセル値3406 を識別しました。 周波数フィルタモジュール3408は、図中のブロック3904を実行する。39は、周波数領域における画像3004を処理する。各画像3004はフーリエ変換され、フィルタ関数を乗算して空間ドメインに再変換される。 周波数フィルタリングは、フーリエ変換に基づいています。 オペレータは、フーリエドメイン内の画像3004およびフィルタ機能を受け取る。画像 3004 は、数式を使用して、ピクセル単位でフィルター関数を乗算します。
【０４４２】
G(k, l)= F(k, l) H(k, l)
【０４４３】
ここでF(k,l)は、フーリエドメインにおける同定されたピクセル値3406の画像であり、H(k,l)フィルタ関数およびG(k,l)は、皮膚3410の同定されたピクセル値をフィルタリングした周波数である。空間ドメインで得られたイメージを取得するために、G(k,l)は逆フーリエ変換を使用して再変換されます。いくつかの実装では、周波数フィルタモジュール3408は、2次元空間フーリエ変換、ハイパスフィルタ、ローパスフィルタ、バンドパスフィルタまたは重み付けバンドパスフィルタです。
【０４４４】
一部の実装では、装置3400は、皮膚3410の周波数フィルタリングされたピクセル値に適用される空間クラスタを含む空間クラスタモジュール3412を含み、生成する空間クラスタ化周波数フィルタリングされた皮膚3414のピクセル値を同定した。 空間クラスタモジュール3412は、図中のブロック3906を行う。39. 一部の実装では、空間クラスタモジュール3412は、ファジィクラスタリング、k平均クラスタリング、期待最大化プロセス、ウォードの装置またはシードポイントベースのクラスタリングを含む。
【０４４５】
一部の実装では、装置3400は、周波数フィルタモジュール3416を含み、周波数フィルタを皮膚34 14の同定ピクセル値をフィルタリングした空間クラスタ化周波数に適用し、周波数フィルタリング空間クラスタ化周波数フィルタリングされた皮膚3418のピクセル値を特定した。   周波数フィルタモジュール3416は、図中のブロック3908を行う。39. いくつかの実装では、周波数フィルタモジュール3416は、1次元空間フーリエ変換、ハイパスフィルタ、ローパスフィルタ、バンドパスフィルタまたは加重バンドパスフィルタである。周波数フィルタモジュール34 16の一部の実装は、非ノイジング(例えば、ガウスフィルタを用したデータの平滑化)を含む。
【０４４６】
額/皮膚ピクセル識別モジュール3402、周波数フィルタモジュール3408、空間クラスタモジュール3412および周波数フィルタモジュール34 16は時間増幅2つ以上の画像のバリエーション 3004.
【０４４７】
一部の実装では、装置3400は、同定された周波数フィルタリング空間クラスタ周波数フィルタリングの時間変動34 22を決定する時間変動モジュール34 20を含む皮膚のピクセル値3418.したがって、時間変動3422は、画像3004の時間変動を表す。 時間変動モジュール3420は、図中のブロック3910を行う。39.
【０４４８】
図35は、実装に従って増幅された運動から多数の生物学的バイタルサインのいずれかを生成し、提示する装置3500のブロック図である。 
【０４４９】
いくつかの実装では、装置3500は、血液35 04の流れのパターンを生成するために時間変動を分析する血流分析モジュール2706を含む。 時間変動の一例は、図中の時間変動3422である。34.いくつかの実装では、血液3504のパターンフローは、画素の運動変化および画像30 04の皮膚における色変化の時間変化から生成される。   いくつかの実装では、装置3500は、医療従事者によるレビューのために血液3504の流れのパターンを表示する血流表示モジュール3506を含む。 
【０４５０】
いくつかの実装では、装置3500は、心拍35 10を生成するために時間変動を分析する心拍分析モジュール3508を含む。 いくつかの実装では、心拍数3510は、(0〜10ヘルツ)のような心拍の周波数範囲における時間信号の周波数スペクトルから生成される。いくつかの実装では、装置3500は、医療従事者によるレビューのための心拍数3510を表示する心拍数表示モジュール3512を含む。
【０４５１】
いくつかの実装では、装置3500は、呼吸数35 16を決定するために時間変動を分析する呼吸数分析モジュール3514を含む。 いくつかの実装では、呼吸数3516は、呼吸のための周波数範囲(0〜5ヘルツ)のピクセルの運動から生成される。いくつかの実装では、装置3500は、医療従事者によるレビューのために呼吸数35 16を表示する呼吸数表示モジュール3518を含む。  
【０４５２】
いくつかの実装では、装置3500は、血圧35 22を生成する時間変動を分析する血圧検光モジュール35 20を含む。 いくつかの実装では、血圧検光モジュール3520は、クラスタリングプロセスおよび潜在的に時間的データに基づいてピクセルの運動および色変化を分析することによって血圧3522を生成する。いくつかの実装では、装置3500は、医療従事者によるレビューのために血圧3522を表示する血圧表示モジュール3524を含む。
【０４５３】
一部の実装では、装置3500は、EKG 3528を生成する時間変動を分析するEKGアナライザモジュール35 26を含む。一部の実装では、装置3500は、医療従事者によるレビューのためにEKG 3528を表示するEKG表示モジュール35 30を含む。
【０４５４】
いくつかの実装では、装置3500は、パルスオキシメトリー3534を生成するために時間変動を分析するパルスオキシメトリー分析モジュール3532を含む。 いくつかの実装では、パルスオキシメトリー分析モジュール3532は、k平均クラスタリングプロセスと組み合わせて時間的な色の変化を分析することにより、パルスオキシメトリー3534を生成し、潜在的に時間データ。いくつかの実装では、装置3500は、医療従事者によるレビューのためのパルスオキシメトリー3534を表示するパルスオキシメトリー表示モジュール3536を含む。
【０４５５】
図36は、実装に従って、変動増幅の装置3600のブロック図である。 装置36  00は、生物学的バイタルサインを生成し、伝達するために、動物被験体のデジタル画像における時間的および空間的変動を分析する。
【０４５６】
一部の実装では、装置3600は、2つ以上の画像30で皮膚を代表するピクセル値34 06を識別する額皮膚ピクセル識別モジュール3402を含む 04 額皮膚画素識別モジュール3402は、図中のブロック3902を行う。39.額/皮膚ピクセル識別モジュール34 02の一部の実装は、画像30 04に対して自動シードポイントベースのクラスタリング処理を実行する。
【０４５７】
一部の実装では、装置3600は、皮膚を代表する同定されたピクセル値34 06を受け取り、周波数フィルタを適用する周波数フィルタモジュール34 08を含む。ピクセル値3406 を識別しました。 周波数フィルタモジュール3408は、図中のブロック3904を実行する。39は、周波数領域における画像3004を処理する。各画像3004はフーリエ変換され、フィルタ関数を乗算して空間ドメインに再変換される。 周波数フィルタリングは、フーリエ変換に基づいています。 装置36  00は、フーリエドメインにおける画像3004およびフィルタ機能をとって取る。 画像3004 は、数式を使用して、ピクセル単位でフィルター関数を乗算します。
【０４５８】
G(k, l)= F(k, l) H(k, l)
【０４５９】
ここでF(k,l)は、フーリエドメインにおける同定されたピクセル値3406の画像30 04のそれぞれであり、H(k,l)フィルタ関数およびG(k,l)は、皮膚34 10の周波数フィルタリングされたピクセル値である。空間ドメインで得られたイメージを取得するために、G(k,l)は逆フーリエ変換を使用して再変換されます。いくつかの実装では、周波数フィルタモジュール3408は、2次元空間フーリエ変換、ハイパスフィルタ、ローパスフィルタ、バンドパスフィルタまたは重み付けバンドパスフィルタです。
【０４６０】
一部の実装では、装置3600は、皮膚3410の周波数フィルタリングされたピクセル値に適用される空間クラスタを含む空間クラスタモジュール3412を含み、生成する空間クラスタ化周波数フィルタリングされた皮膚3414のピクセル値を同定した。 空間クラスタモジュール3412は、図中のブロック3906を行う。39. 一部の実装では、空間クラスタリングには、ファジー クラスタリング、k平均値クラスタリング、期待最大化プロセス、Ward の装置またはシード ポイント ベースのクラスタリングが含まれます。
【０４６１】
一部の実装では、装置3600は、周波数フィルタモジュール3416を含み、周波数フィルタを皮膚34 14の同定ピクセル値をフィルタリングした空間クラスタ化周波数に適用し、周波数フィルタリング空間クラスタ化周波数フィルタリングされた皮膚3418のピクセル値を特定した。   周波数フィルタモジュール3416は、図中のブロック3908を行う。39は、時間変動3422を生成する。 いくつかの実装では、周波数フィルタモジュール3416は、1次元空間フーリエ変換、ハイパスフィルタ、ローパスフィルタ、バンドパスフィルタまたは加重バンドパスフィルタである。周波数フィルタモジュール34 16の一部の実装は、非ノイジング(例えばガウスフィルタによるデータの平滑化)を含む。 額皮膚画素識別モジュール3402、周波数フィルタモジュール3408、空間クラスタモジュール34 12および周波数フィルタモジュール34  162つ以上の画像30 04の時間的変動を増幅する。
【０４６２】
周波数フィルタモジュール3416は、図中の1つ以上のモジュールに作動可能に結合される。35は、時間変動34 22における増幅運動から任意の1つまたは多数の生物学的バイタルサインを生成し、提示する。
【０４６３】
図37は、実装に従って、変動増幅の装置3700のブロック図である。 装置37  00は、生物学的バイタルサインを生成し、伝達するために、動物被験体のデジタル画像における時間的および空間的変動を分析する。
【０４６４】
一部の実装では、装置3700は、2つ以上の画像30で皮膚を代表するピクセル値34 06を識別する額皮膚ピクセル識別モジュール3402を含む 04 額皮膚画素識別モジュール3402は、図中のブロック3902を行う。41.額/皮膚ピクセル識別モジュール34 02の一部の実装は、画像30 04に対して自動シードポイントベースのクラスタリング処理を実行する。 一部の実装では、装置3700は、識別されたピクセル値3406に空間バンドパスフィルタフィルタを適用する空間バンドパスフィルタモジュール3702を含み、空間的な空間を生成するバンドパスフィルタリングされた皮膚3704のピクセル値を同定した。   いくつかの実装では、空間バンドパスフィルタモジュール3702は、2次元空間フーリエ変換、ハイパスフィルタ、ローパスフィルタ、バンドパスフィルタまたは重み付けバンドパスフィルタを含む。空間バンドパスフィルタモジュール3702は、図中のブロック4102を行う。41.
【０４６５】
一部の実装では、装置3700は、皮膚3410の周波数フィルタリングされたピクセル値に適用される空間クラスタを含む空間クラスタモジュール3412を含み、生成する空間クラスタ化された空間バンドパスは、皮膚3706のピクセル値を同定した。 一部の実装では、空間クラスタリングには、ファジー クラスタリング、k 平均値クラスタリング、期待最大化プロセス、Ward の装置またはシードポイント ベースのクラスタリングが含まれます。空間クラスタモジュール3412は、図中のブロック4104を行う。41.
【０４６６】
一部の実装では、装置3700は、時間バンドパスフィルタを、皮膚37の同定されたピクセル値をフィルタリングされた空間クラスタ空間バンドパスに適用する時間バンドパスフィルタモジュール37を含む。06は、一時的なバンドパスフィルタリング空間クラスタ空間バンドパスフィルタリングされた皮膚37 10のピクセル値を同定した。 一部の実装では、一時的なバンドパスフィルタは、1次元空間フーリエ変換、ハイパスフィルタ、ローパスフィルタ、バンドパスフィルタまたは重み付けバンドパスフィルタです。一時的なバンドパスフィルタモジュール3708は、図中のブロック4106を実行する。41.
【０４６７】
一部の実装では、装置3700は、フィルタリングされた空間クラスタ空間バンドパスフィルタリングされた時間的バンドパスの時間変動38 22を決定する時間変動モジュール3420を含む皮膚37 10のピクセル値を同定した。 したがって、時間変動3822は、画像3004の時間変動を表す。 時間変動モジュール3820は、図のブロック4108を行う。41.時間変動モジュール3820は、図中の1つ以上のモジュールに作動可能に結合される。35は、時間変動38 22における増幅運動から多数の生物学的バイタルサインのいずれかを生成し、提示する。
【０４６８】
図38は、実装に従って、変動増幅の装置3800のブロック図である。
【０４６９】
一部の実装では、装置3800は、2つ以上の画像30 04のピクセル値を調べるピクセル検査モジュール3802を含み、検査されたピクセル値38 04を生成する。ピクセル検査モジュール3802は、図中のブロック4202を実行する。42.
【０４７０】
一部の実装において、装置3800は、検査された画素値38 04の時間変動38 08を決定する時間変動決定器3806を含む。  時間変動決定モジュール3806は、図中のブロック4204を行う。42.
【０４７１】
一部の実装では、装置3800は、時間変動38 08のピクセル値に信号処理を適用する信号処理モジュール3810を含み、増幅された時間的に生成するバリエーション3822. 信号処理モジュール3810は、図中のブロック4206を行う。42. 信号処理は、時間変動38 08が小さい場合でも、時間変動3808を増幅する。一部の実装では、信号処理モジュール3810によって行われる信号処理は、時間の経過とともに周波数を分析する時間バンドパスフィルタリングである。 一部の実装では、信号処理モジュール38 10によって行われる信号処理は、ノイズを除去する空間処理である。装置3800は、信号処理モジュールの小さな時間変動のみを増幅する。
【０４７２】
装置3800は大きな時間変動を処理できるが、装置3800においては小さな時間変動に対して利点が設けられている。従って装置3800は、2つ以上の画像30 04が2つ以上の画像30 04との間に小さな時間変動を持つ場合に最も有効である。 いくつかの実装では、信号処理モジュール3810から2つ以上の画像30 04の増幅時間変動から生物学的バイタルサインが生成される。     
8. 生物学的バイタルサイン増幅法
【０４７３】
図39-43はそれぞれ、一連のデジタル画像から生物学的バイタルサインを生成するために空間および時間信号処理を使用する。
【０４７４】
図39は、実装に従って、変動増幅の方法3900のフローチャートである。方法39  00は、生物学的バイタルサインを生成し、伝達するために、動物被験体のデジタル画像の時間的および空間的変動を分析する。
【０４７５】
一部の実装では、方法3900は、ブロック39 02で、皮膚を代表する2つ以上の画像のピクセル値を識別することを含む。   スキンを代表するピクセル値を識別する実装には、少なくとも2 つのイメージに対して自動シード ポイント ベースのクラスタリング プロセスを実行する実装があります。
【０４７６】
いくつかの実装では、方法3900は、ブロック39 04で、皮膚を代表する同定されたピクセル値に周波数フィルタを適用することを含む。   一部の実装では、ブロック3904の周波数フィルタは、2次元空間フーリエ変換、ハイパスフィルタ、ローパスフィルタ、バンドパスフィルタまたは加重バンドパスフィルタです。
【０４７７】
いくつかの実装では、方法3900は、ブロック39 06で、皮膚の周波数フィルタリングされたピクセル値に空間クラスタリングを適用することを含む。  一部の実装では、空間クラスタリングには、ファジー クラスタリング、k 平均値クラスタリング、期待最大化プロセス、Ward のメソッドまたはシードポイント ベースのクラスタリングが含まれます。
【０４７８】
いくつかの実装では、方法3900は、ブロック39 08で、皮膚の同定されたピクセル値をフィルタリングされた空間クラスタ化周波数フィルタに周波数フィルタを適用することを含む。  一部の実装では、ブロック3908の周波数フィルタは、1次元空間フーリエ変換、ハイパスフィルタ、ローパスフィルタ、バンドパスフィルタまたは加重バンドパスフィルタです。ブロック39 08で周波数フィルタを適用する実装には、非ノイジング(例えばガウスフィルタによるデータの平滑化)が含まれます。
【０４７９】
アクション3902,39 04,  3906,  3908 は、2つ以上の画像の時間変動を増幅します。
【０４８０】
いくつかの実装において、方法3900は、ブロック39 10で、皮膚の同定されたピクセル値をフィルタリングされた周波数フィルタリング空間クラスタ化周波数の時間変動を決定する。
【０４８１】
いくつかの実装では、方法3900は、ブロック39 12で、血液の流れのパターンを生成するために時間変動を分析することを含む。   いくつかの実装では、血液のパターンフローは、ピクセルの運動変化と皮膚の色の変化の時間的変化から生成されます。いくつかの実装では、方法3900は、ブロック39 13で、医療従事者によるレビューのための血液の流れのパターンを表示する。
【０４８２】
いくつかの実装では、方法3900は、ブロック39 14で、心拍数を生成するために時間変動を分析することを含む。   いくつかの実装では、心拍数は、(0-10ヘルツ)のような心拍の周波数範囲における時間変動の周波数スペクトルから生成される。いくつかの実装では、方法3900は、ブロック39 15で、医療従事者によるレビューのための心拍数を表示を含む。   
【０４８３】
いくつかの実装では、方法3900は、ブロック39 16で、呼吸数を決定するために時間変動を分析することを含む。   一部の実装では、呼吸数の周波数範囲(0~5ヘルツ)のピクセルの動きから呼吸数が生成されます。いくつかの実装では、方法3900は、ブロック3917で、医療従事者によるレビューのための呼吸数を表示を含む。
【０４８４】
いくつかの実装では、方法3900は、ブロック39 18で、血圧を生成するために時間変動を分析することを含む。   一部の実装では、クラスタリングプロセスと赤外線センサーからの時間的データに基づいて、ピクセルの動きと色の変化を分析することによって血圧が発生します。いくつかの実装では、方法3900は、ブロック3919で、医療従事者によるレビューのための血圧を表示する。
【０４８５】
一部の実装では、方法3900は、ブロック39 20でEKGを生成する時間変動を分析することを含む。  一部の実装では、方法3900は、ブロック3921で、医療従事者によるレビューのためのEKGを表示を含む。
【０４８６】
いくつかの実装では、方法3900は、ブロック39 22でパルスオキシメトリーを生成する時間変動を分析することを含む。   一部の実装では、パルスオキシメトリーは、k平均クラスタリングプロセスと赤外線センサからの時間的データと組み合わせて時間的な色の変化を分析することによって生成されます。いくつかの実装では、方法3900は、ブロック3923で、医療従事者によるレビューのためのパルスオキシメトリーを表示する。 
【０４８７】
図40は、時間変動を決定する別の作用を含まない実装に従って、変動増幅の方法のフローチャートである。方法40  00は、生物学的バイタルサインを生成し、伝達するために、動物被験体のデジタル画像における時間的および空間的変動を分析する。
【０４８８】
一部の実装では、方法4000は、ブロック39 02で、皮膚を代表する2つ以上の画像のピクセル値を識別することを含む。   スキンを代表するピクセル値を識別する実装には、少なくとも2 つのイメージに対して自動シード ポイント ベースのクラスタリング プロセスを実行する実装があります。
【０４８９】
一部の実装では、方法4000は、ブロック39 04で、皮膚を代表する同定されたピクセル値に周波数フィルタを適用することを含む。   一部の実装では、ブロック3904の周波数フィルタは、2次元空間フーリエ変換、ハイパスフィルタ、ローパスフィルタ、バンドパスフィルタまたは加重バンドパスフィルタです。
【０４９０】
一部の実装では、方法4000は、ブロック39 06で、皮膚の周波数フィルタリングされたピクセル値に空間クラスタリングを適用することを含む。  一部の実装では、空間クラスタリングには、ファジー クラスタリング、k 平均値クラスタリング、期待最大化プロセス、Ward のメソッドまたはシードポイント ベースのクラスタリングが含まれます。
【０４９１】
いくつかの実装において、方法4000は、ブロック39 08で、皮膚の同定されたピクセル値をフィルタリングされた空間クラスタ化周波数フィルタに周波数フィルタを適用し、時間的変動を生じることを含む。一部の実装では、ブロック3908の周波数フィルタは、1次元空間フーリエ変換、ハイパスフィルタ、ローパスフィルタ、バンドパスフィルタまたは加重バンドパスフィルタです。
【０４９２】
いくつかの実装では、方法4000は、ブロック39 12で、血液の流れのパターンを生成するために時間変動を分析することを含む。   いくつかの実装では、血液のパターンフローは、ピクセルの運動変化と皮膚の色の変化の時間的変化から生成されます。いくつかの実装では、方法4000は、ブロック3913で、医療従事者によるレビューのための血液の流れのパターンを表示する。
【０４９３】
いくつかの実装では、方法4000は、ブロック39 14で、心拍数を生成する時間変動を分析することを含む。   いくつかの実装では、心拍数は、(0-10ヘルツ)のような心拍の周波数範囲における時間変動の周波数スペクトルから生成される。いくつかの実装では、方法4000は、ブロック3915で、医療従事者によるレビューのための心拍数を表示を含む。
【０４９４】
いくつかの実装では、方法4000は、ブロック39 16で、呼吸数を決定するために時間変動を分析することを含む。   一部の実装では、呼吸数の周波数範囲(0~5ヘルツ)のピクセルの動きから呼吸数が生成されます。いくつかの実装では、方法4000は、ブロック39 17で、医療従事者によるレビューのための呼吸数を表示する。
【０４９５】
いくつかの実装では、方法4000は、ブロック39 18で、血圧を生成するために時間変動を分析することを含む。   一部の実装では、クラスタリングプロセスと赤外線センサーからの時間的データに基づいて、ピクセルの動きと色の変化を分析することによって血圧が発生します。いくつかの実装では、方法4000は、ブロック3919で、医療従事者によるレビューのための血圧を表示する。
【０４９６】
一部の実装では、方法4000は、ブロック39 20でEKGを生成する時間変動を分析することを含む。  一部の実装では、方法40 00は、ブロック3921で、医療従事者によるレビューのためのEKGを表示を含む。
【０４９７】
いくつかの実装では、方法4000は、ブロック39 22でパルスオキシメトリーを生成する時間変動を分析することを含む。   一部の実装では、パルスオキシメトリーは、k平均クラスタリングプロセスと赤外線センサからの時間的データと組み合わせて時間的な色の変化を分析することによって生成されます。いくつかの実装では、方法4000は、ブロック3923で、医療従事者によるレビューのためのパルスオキシメトリーを表示する。
【０４９８】
図41は、実施に従って、生物学的バイタルサインを生成し、伝達するバリエーション増幅の方法41 00のフローチャートである。方法41  00は、生物学的バイタルサインを生成し、伝達するために、動物被験体のデジタル画像における時間的および空間的変動を分析する。
【０４９９】
一部の実装では、方法4100は、ブロック39 02で、皮膚を代表する2つ以上の画像のピクセル値を識別することを含む。   スキンを代表するピクセル値を識別する実装には、少なくとも2 つのイメージに対して自動シード ポイント ベースのクラスタリング プロセスを実行する実装があります。
【０５００】
一部の実装では、方法4100は、ブロック41 02で、識別されたピクセル値に空間バンドパスフィルタを適用することを含む。   一部の実装では、ブロック4102の空間フィルタは、2次元空間フーリエ変換、ハイパスフィルタ、ローパスフィルタ、バンドパスフィルタまたは加重バンドパスフィルタである。
【０５０１】
いくつかの実装では、方法4100は、ブロック41 04で、皮膚の同定されたピクセル値をフィルタリングされた空間バンドパスに空間クラスタリングを適用することを含む。  一部の実装では、空間クラスタリングには、ファジー クラスタリング、k 平均値クラスタリング、期待最大化プロセス、Ward のメソッドまたはシードポイント ベースのクラスタリングが含まれます。
【０５０２】
いくつかの実装において、方法4100は、ブロック41 06で、皮膚の同定されたピクセル値をフィルタリングされた空間クラスタ空間バンドパスに一時的なバンドパスフィルタを適用することを含む。  一部の実装では、ブロック4106の時間バンドパスフィルタは、1次元空間フーリエ変換、ハイパスフィルタ、ローパスフィルタ、バンドパスフィルタまたは加重バンドパスフィルタである。
【０５０３】
いくつかの実装において、方法4100は、ブロック41 08で、皮膚の同定されたピクセル値をフィルタリングされた空間クラスタ空間バンドパスフィルタリングされた時間バンドパスの時間的変動を決定する。
【０５０４】
いくつかの実装では、方法4100は、ブロック39 12で、血液の流れのパターンを生成し、視覚的に表示する時間変動を分析することを含む。   いくつかの実装では、血液のパターンフローは、ピクセルの運動変化と皮膚の色の変化の時間的変化から生成されます。いくつかの実装では、方法4100は、ブロック39 13で、医療従事者によるレビューのための血液の流れのパターンを表示する。
【０５０５】
いくつかの実装では、方法4100は、ブロック39 14で、心拍数を生成する時間変動を分析することを含む。   いくつかの実装では、心拍数は、(0-10ヘルツ)のような心拍の周波数範囲における時間変動の周波数スペクトルから生成される。いくつかの実装では、方法4100は、ブロック39 15で、医療従事者によるレビューのための心拍数を表示を含む。    
【０５０６】
いくつかの実装では、方法4100は、ブロック39 16で、呼吸数を決定するために時間変動を分析することを含む。   一部の実装では、呼吸数の周波数範囲(0~5ヘルツ)のピクセルの動きから呼吸数が生成されます。いくつかの実装では、方法4100は、ブロック39 17で、医療従事者によるレビューのための呼吸数を表示する。
【０５０７】
いくつかの実装では、方法4100は、ブロック39 18で、血圧を生成するために時間変動を分析することを含む。   一部の実装では、クラスタリングプロセスと赤外線センサーからの時間的データに基づいて、ピクセルの動きと色の変化を分析することによって血圧が発生します。いくつかの実装では、方法4100は、ブロック3919で、医療従事者によるレビューのための血圧を表示する。
【０５０８】
一部の実装では、方法4100は、ブロック39 20でEKGを生成する時間変動を分析することを含む。  一部の実装では、方法4100は、ブロック3921で、医療従事者によるレビューのためのEKGを表示を含む。
【０５０９】
いくつかの実装では、方法4100は、ブロック39 22でパルスオキシメトリーを生成する時間変動を分析することを含む。   一部の実装では、パルスオキシメトリーは、k平均クラスタリングプロセスと赤外線センサからの時間的データと組み合わせて時間的な色の変化を分析することによって生成されます。いくつかの実装では、方法4100は、ブロック3923で、医療従事者によるレビューのためのパルスオキシメトリーを表示する。 
【０５１０】
図42は、実装に従って、バリエーション増幅の方法4200のフローチャートである。方法42  00は、肉眼では見えにくい、または不可能なビデオの時間的変動に基づいて時間的変動を表示する。 方法 4200は、ビデオに空間分解を適用し、フレームにテンポラル フィルタリングを適用します。 その後、結果として生成される信号が増幅され、隠された情報が表示されます。方法42 00は、ビデオ内の顔を満たす血液の流れを可視化し、また、小さな動き、および血圧、呼吸、EKGおよび脈拍などの他の生物学的バイタルサインを増幅し、明らかにすることができる。方法42 00は、オペレータによって選択された時間周波数で発生する現象を示すためにリアルタイムで実行することができる。 ビデオの空間的および時間的な処理の組み合わせは、世界の重要な側面を明らかにする微妙なバリエーションを増幅することができます。方法42 00は、任意の空間位置(例えば、ピクセル)における色値の時系列を考慮し、対象の所定の時間周波数帯域の変動を増幅する。例えば、方法4200は、もっともらしい人間の心拍数を含む時間周波数のバンドを選択し、増幅する。増幅は、血液が顔を流れるにつれて赤みの変化を明らかにする。低い空間周波数は、ソリッドステート画像トランスデューサ528および量子化ノイズの上に微妙な入力信号が上昇することを可能にするために、時間的にフィルタリング(空間プール)される。時間フィルタリングアプローチは、カラーバリエーションを増幅するだけでなく、低振幅の動きを明らかにすることができます。
【０５１１】
方法4200は、呼吸する赤ん坊の胸のまわりの微妙な動きを高めることができる。 方法42  00数学的分析は、光学流量製剤で使用される明るさ定数仮定に関連する線形近似を採用する。方法42  00はまた、線形近似が保持される条件を導出する。この派生により、フィーチャトラッキングやモーション推定なしでモーションを拡大するマルチスケールアプローチが可能になります。流体のボクセルの特性は、時間の経過とともに進化する圧力や速度など、観察されます。方法 4200 は、空間的にマルチスケールの方法で、時間の経過に合わせてピクセル値の変動を調査および増幅します。空間的にマルチスケールでモーション倍率を上げる方法は、モーションを明示的に推定するのではなく、固定位置で時間的な色の変化を増幅することによってモーションを誇張します。方法42  00は、オプティカルフロープロセスの基礎を形成する差分近似を採用しています。 ここで説明する方法4200は、パルスに対応する信号を視覚的に抽出し、明らかにするために局所的な空間プーリングおよびバンドパスフィルタリングを採用する。ドメイン解析により、顔の各位置におけるパルス信号の増幅と可視化が可能になります。顔面血流の非対称性は、動脈の問題の症状でありうる。
【０５１２】
ここで説明する方法4200は、マルチスケールアプローチを用いて目に見えない動きを可視化する。方法42  00は1つの実装で小さな動きを増幅する。動的環境におけるほとんど目に見えない変化は、標準的な単眼ビデオシーケンスの時空間的な時間的処理を通じて明らかにすることができる。さらに、様々な用途に適した増幅値の範囲では、自然なビデオの動きを増幅するために明示的な動き推定は必要ありません。方法4200 は、小さな変位と低い空間周波数に適しています。 単一のフレームワークは、空間運動と純粋に時間的変化(例えば、心臓パルス)の両方を増幅することができ、特定の時間周波数を増幅するように調整することができます。空間分解モジュールは、入力ビデオを異なる空間周波数帯域に分解し、同じ時間フィルタを空間周波数帯域に適用します。出力されたフィルタリングされた空間バンドは、増幅係数によって増幅され、加算器によって元の信号に戻され、再構成モジュールによって折りたたまれ、出力ビデオを生成します。時間フィルタおよび増幅係数は、異なるアプリケーションをサポートするように調整できます。例えば、システムは、写真バースト中に反転ミラーによって引き起こされるソリッドステート画像トランスデューサ528の目に見えない動きを明らかにすることができる。
【０５１３】
†雦閳㈴〰꾁胣목雩ꚇ郧ꢁ駦鎖蟥蚐苣蒵臣袐苣鮁臣膀菣螃苣꺁뻥馦臣芙雩蒚ꓥ隌苣랼ꫨ鞁臣馁胣릖돦㒕′〰臣膀菣螃苣랂菣놂菣릂苣낕臣讂ꧧ鎖釥ꊳ闦꾸鿥ꮁ裥ꎧ臣讂胣鎁苣覂臣邃菣覃臣膀愨 菣뎃菣貁闧ꪁ苣ꆿ迥뺯鯩뎟꿦銂ꓧ馁ꃥ袐苣膀戨 菣뎃菣ꮁ菣벃苣ꞃ菣趀軧ꞁ뷤ꢔ臣貂苣骷뷥醿볤貁뿤膌臣貂臣蒁ꧧ鎖釥ꊳ闦銂郥肂迥붃胦貁臣讂臣膂胣낕臣讂详Ꞥ臣財苣貂苣꾏菨Ꞁ臣芁苣뺁臣芀뻥薀臣뒠郥膀雦閳㈴〰臣膀苣벃菣ꎂ菣ꆂ苣袃苣醊裥馁苣龁苣ꮁ臣貂苣꺁菣뎃菣꺁ꋥ薹苣躽룦馁苣芀ꧧ鎖蟥蚐臣꺛髧貁ꓨ낕臣钃苣뮂菣銂菣벃菣馁苣鎁臣ꮁ苣ꎁ臣芙雩ꆿ迥뺯鯩뎟꿦銂ꯩ膂苣뒠郥膀臣꺁菣붂菣覃臣목雩蒚臣궃菣醃苣ꞁ菣螃苣꺁菣것菣ꂃ苣閃苣ꮃ苣ꪃ菣낂臣膀菣螃苣閃菣벃菣銂菣Ꚃ菣떂菣鞃菣鞁臣袨껧릊軧銂ꯩ膂臣馁胣鞁臣鞁胣肸裨蒚臣놂菣릂臣꾁胣ꆃ苣莃菣㒉〲‰臣貮藥ꪁ菣ꦃ苣ꊂ臣钃菣龃菣覃苣袨껧鞁臣馁胣₂㰊䐯噉ਾ䐼噉㰾䥄㹖胣邼볯醼볯醀⼼䥄㹖 릖돦㒕〲꾁胣ꆬ臣蒐ꧧ鎖룥龟臣뺯臣ꚁ駦鎖髧ꚇ郧銂ꇨ蚁胣릖돦㒕′〰臣膀釥ꊳ闦꾸鿥薆臣钃苣뮂菣꺁胥ꮁ꿥鲿臣讂駦뮳裥銂胨꺅臣膀꿥ꆱ臣ꢑ돦낕룥龟苣붊蟥馁苣龁苣ꮁ菣뎃菣醃苣閃苣ꮃ苣銂臩ꢔ臣讂胣肸뻤ꢁ臣ꚁ胣릖돦㒕〲꾁胣ꪂ菣것菣뾂臣醃菣릂苣ꆋꓥ鞁臣蒁ꃥ袐胣躯裥㊆鲀㐲趋臣뺯뿥馁苣る㐮胣㒜穈臣蒯鯥薆臣ꢑ돦낕苣뢁諦鞁臣节苣蒁胣릖돦㒕′〠貁蓨趋闦銂諦몇臣讂ꃥ袐胣릖돦㒕′〠꾁胣鶁臣ꒀ臣ꢑ苣ꮁ诧蒁釥ꊳ闦꾸鿥銂軦ꢔ臣讂臣ꢁ臣ꞁ臣讂胣芙雩ꚇ郧꾁胣馁臣ꚁ臣목雩것菣ꮃ臣蒐菣馃菣薆臣馁臣ꚁ臣钃苣뮂菣ꮁ꿥鞁臣螝룤ꞁ臣芀雦閳㈴〠꾁胣ꆬ臣ꞁ胣붊蟥閁苣龁菣뎃菣醃苣ꆿ迥銂胥螎츮ꞁ매鞮臣讂胣趀軧₇츮芀볦鞮귥ꮁ苣ꎁ臣螌껥ꞁ臣膀蟨開髧ꮁ룦낡臣趁臣馁胣릖돦㒕′〠꾁胣莅臣ꆿ迥ꮁ详Ꞥ뿤랏苣붿諥鞁胣목雩钃菣龃菣覃苣颊苣龁臣鎂臣肜뗧몇諥銂뻥讂胣ꪇ蓧ꪁ菣螃苣꾁ꧧ鎖髧誁苣뎁駦鎖髧ꮁ믦覂臣ꞁ臣誂胣閃苣ꮃ苣ꪃ菣낂臣钃苣뮂菣誸臣螝룤ꮁ껥財臣貂苣꺁臣膀菣붂菣覃臣鞚믩蒚臣邵黦꺁駦목雩蒚臣肸단Ꞁ苣궶賦鞁臣馁胣ꊃ菣랂菣뎃胥螎臣膀菣ꦃ菣궂菣낂菣벃苣ꞃ菣ꪁ臣ꞁ냥閁臣ꊃ菣랂菣뎃苣鞢맥鞁臣馁胣芙雩蒚蟥蚐臣膀藥膵蟩ꎧ黦ꞁ룤겈髧ꪁꆬ菣ꒂ菣벃苣ꪃ菣몂详떼臣鶾귥馁苣ꎧ黦銂뷤ꢔ臣ꚁꓧ馁菣벃苣ꞃ菣趀軧銂铧邈臣뺁臣芀㰊䐯噉ਾ䐼噉㰾䥄㹖胣邼볯醼볯醀⼼䥄㹖 릖돦㒕〲‰臣膀噍䙓千꺁苣뎃菣궃菣ꦃ㠠〲뺁臣꾁苣ꪃ菣覃苣蚃菣袃臣覂㈠ꒁ믤誸臣뮔菥₏〳㐰꺁菣꾂苣ꮃ胥銂ꫨ릁苣麃苣꾂菣鞃菣뮂菣떂㜱㈰꺁菣꾂苣ꮃꓦ뮟菣뢂菣벃菣讁苣讧臣誂臣馁胣뮔菥袃菣뎃苣螃菣벃苣ㆵ㈷膀菣궃菣꾂㈴㈰臣芀㰊䐯噉ਾ䐼噉㰾䥄㹖胣邼볯醼볯醀⼼䥄㹖 鶁臣貾胣릖돦㒕〲꾁胣麃苣꾂菣鞃菣뮂菣떂㜱㈰臣芙雩覤该ꊃ苣ꖃ菣ꮃ臣袂臣ꚁ菣궃菣꾂㈴㐰臣膀ꫨ릁臣钃苣뮂菣ꒀ臣芙雩覤该銂뇦骮臣讂胣ં⼼䥄㹖㰊䥄㹖䐼噉邀볯閼볯鞼胣㲑䐯噉ਾ†菣ꒂ苣궃菣궃苣莃苣ㆵ〷꺁뿤랏蟥蚐菣뢂菣벃菣꾁胣隃菣莃苣㒯〲ꞁ胣钃苣뮂菣ꒀ臣芙雩覤该ꮁ뿤랏蟥蚐苣ꦁ铧馁苣芀ꆿ迥ꚇ郧꾁胣芙雩覤该貁냥閁臣뒠郥ꞁ苣膀뇦骮臣貂臣芙雩覤该銂ꋥ薹臣뺁臣芀雦閳㈴〰臣膀뿤랏蟥蚐菣뢂菣벃菣꺁苣骁臣ꪁ駦鎖ꓥ開臣뾁苣鞢맥馁苣芀雦閳㈴〠꾁ꓥ趁臣芙雩覤该ꮁ臩ꢔ臣趁臣馁臣膀雦閳㈴†〰臣꾁냥閁臣芙雩覤该ꮁ꿥鞁臣ꦈ苧貁臣誂臣馁胣₂臣龁臣ꎁ臣膀雦閳㈴〰臣膀铧较〳㐰臣뮔菥㎏〰鎖臣辰臣ꪁ駦鎖ꓥ開苣膌臣ꚁ臣讂ꃥ袐臣肜苣릊黦蒚臣芁苣芀†룤ꢃ臣龮ꏨꞁ臣膀菣궃菣꾂㐠〲‶臣ꆿ迥ꚇ郧꾁胣芙雩꺁뗧躁臣袐臣龁釥ꊳ闦銂裥邞臣讂駦鎖菣뎃菣醃苣閃苣ꮃ苣ꪃ菣낂臣馁胣₂룤ꢃ臣龮ꏨꞁ臣膀菣궃菣꾂㈴㘰臣ꆿ迥ꚇ郧꾁菣ꒂ苣銂駩뮎臣讂ꧧ鎖蟥蚐臣芁苣芀㰊䐯噉ਾ䐼噉㰾䥄㹖胣邼볯醼볯醀⼼䥄㹖 蒁臣ꒁ臣꺁껥薣臣꾁胣隃菣莃苣㒯〲꺁뿤랏菣궃苣莃苣讁苣뮔菥㎏〰꺁ꋥ薹駦鎖ꓥ開臣覂铧ꦉ귥蒚菣ꒂ苣ꮃ苣ꒂ菣貁铧邈臣貂苣芀芙雩覤该讁苣龔觧ꚭ髧ꮁ蟩膦臣랂苣誃菣銂铧邈臣讂뻤ꢁ臣ꚁ臣膀苣꾂苣ꞃ菣㎳ㄹ膀㤳ㄠ膀㤳†㘱胣㎁‹ㄠ膀㤳†〲臣袂臣㎳꺁苣蚁臣ꮐ臣貂苣뎛臣㊧芀㤳胣㒁膀ㄴ‮††㰊䐯噉ਾ䐼噉㰾䥄㹖胣邼볯醼볯醀⼼䥄㹖 뎛㌴臣膀껥붖臣鎾臣ꚁ胣龔觧ꚭ髧邃苣뾂菣떂苣뎃苣龔裦鞁胣鶼臩馁苣邃菣ꢂ菣랂菣뎃ꋥ薹臣릖돦㒕″〰臣閃菣벃菣ꎃ菣袃臣芁苣芀雦閳㌴†〰臣膀铧ꦉ귥蒚菣ꒂ苣ꮃ苣ꒂ菣銂铧邈臣膀볤钁臣讂臣膂臣膀该ꦉꋨ鎨뷤꺁菣뢂苣ꮃ铧较臣誁臣讂駦鎖髧誁苣뎁ꧧ鎖髧覤该銂裥邞臣讂胣ં⼼䥄㹖㰊䥄㹖䐼噉邀볯閼볯邼胣㲑䐯噉ਾ†룤ꢃ臣龮ꏨꞁ臣膀雦閳㌴〰臣膀菣궃菣꾂㌴〠ꞁ胣꺚蛨颠鿥銂郥뺁臣蒁ꃩ龟苣꒙ꓥ馁苣龁苣ꮁꓨ낕臣뮔菥銂菣ꪃ菣뎃苣馁苣鎁臣銂郥肂胣₂†臣ꢁ臣낁胣꒙ꓥ颠鿥꾁胣蒐苣ꆃ菣뢂臣궸뿥꺁釥誂臣莢闧颠鿥銂賦骮臣ꚁ胣ꒂ菣벃苣꺁ꓥ뒁臣莢闧骷ꃩ龟苣꒙ꓥꞁ臣뺁臣芀ꋥ貕럧銂裥誂迥讂룤ꢃ臣龮ꏨꞁ臣膀맥꺁듧₄㈷‥臣蒐铧较臣颫臣꺁듧₄㈷‥臣袃菣龃菣낂臣貂胣莅臣袃菣龃菣낂臣貂臣蒁臣蒁苣ꆃ菣뢂臣₮⸷┸ꂁ臣貁껦誂胣蒐苣ꆃ菣뢂臣蒴ㄱㄯ′苣銎駩鞁胣ꚇ郧芙雩銂鿧꺸臣뺁臣芀臣꺁菣궃苣릂臣议苣꺁苣꾂苣ꞃ菣꾁듧₄㈱趀臣馁胣₂臣꺁ꒁ臣ꊂ苣랂菣뎃臣膀雦閳㌴〰臣隃菣莃苣㒯〳ꞁ跥겋臣膀雦閳ㄴ〰臣钯볨鞁臣螤闦꺁铧较㜱〳臣ꚇ郧芙雩銂蚈臣覂㈳꟧ꮁ鿧꺸臣趁臣馁胣릖돦㒕″〰銂껥薣臣讂菣邃苣릂苣뾽铧鞁臣뮌駧鎾뫤薀臣Ꞥ臣ꪁ臩蒁臣芁苣뺁臣芀肸菩꺁껥薣臣꾁胣ꎭ雦ꊽ臣颠鿥ꞁ菣ꪃ菣뎃苣鞁臣貾臣ꒂ菣벃苣꺁껦誂臣颠鿥ꢁ胣袃菣龃菣낂뻥꺁껦誂臣颠鿥貁蛥ꊽꃩ龟臣芁苣芀铧较臣ꮢ蛥鎽臣肜苣ꦁ裥ꪁ菩蚈苣膌臣뮔菥薆臣颠鿥꺁鳥ꊽ臣ꊽ諧ꮁ뿥颁臣膀闧ꪁ苣ꊽ諧ꢁ苣ꒂ苣貁鳦节鳦誛臣馁胣₂菣궃菣꾂㌴〠ꞁ铧较苣袃菣龃菣낂臣讂苣꾂苣ꞃ菣꾁胣뎛臣릖돦㎕〹膀〴〠膀ㄴ〠誁苣뎁㈴〠꺁藥궠臣ꦁ铧馁苣鎁臣貁臣趁苣芀㤳胣㒁膀ㄴ臣袂臣㒳膀臣貂臣貂胣₂ꏨ꺽〳〠膀ㄳ〠膀㈳〠膀㌳†〰胣㎁‴〠膀㔳†〰胣㎁‶〰臣隻臣龮ꏨꞁ臣膀㌠〷誁苣뎁㠳〰臣膀菣궃菣꾂㌴㈰苣龮ꇨ馁苣꾂菣莃菣벃菣뢂菣벃菣貁菣뢂菣벃菣꺁藥궠臣超뷧閁苣膀ꏨ꺽臣ꚇ郧芙雩銂ꓥ薹臣궟룧馁苣芀㰊䐯噉ਾ䐼噉㰾䥄㹖胣邼볯銼볯醀⼼䥄㹖 蒁臣ꒁ臣꺁껥薣臣誁臣ꚁ胣릖돦㒕〳꾁胣隃菣莃苣㒯″㐰臣膀髧骆苣ꎻꇨ馁苣螤闦꺁菣ꪃ菣뎃苣閁苣龁铧较臣钃苣뮂菣ꒀ苣貐껥馁苣鎁臣銂郥肂胣₂†苣궂菣銂믤ꢡ臣讂菣꾂苣ꮃ胥銂귨ꖈ臣讂껥薣臣꾁胣醰臣辁臣节′臣꺁苣ꆃ菣뢂臣뺯臣ꚁ蟨開苣벃菣₉菣ꒂ菣袃馃菣릂臣꾂菣릂苣ꪃ菣낂鞃菣뮂苣銂껥財臣讂껥薣臣芁苣뺁臣芀㰊䐯噉ਾ䐼噉㰾䥄㹖胣邼볯銼볯醀⼼䥄㹖 肸菩꺁껥薣臣꾁胣릖돦㒕〳꾁胣隃菣莃苣㒯‱㈰臣膀귨ꖈ臣貂臣钃苣뮂菣ꒀ臣목雩邃菣覃菣릂菣ꎂ菣뾂苣ꦁ铧馁苣鎁臣銂郥肂胣₂†룤ꢃ臣龮ꏨꞁ臣膀菣궃菣꾂ㄴ㈰臣목雩閃苣ꮃ苣꾁胣㊁곦莅ꧧ鎖菣벃菣ꢂꓥ鮏胣较苣醃苣閃苣ꮃ苣膀菣벃菣릂菣ꎂ菣뾂胣邃菣覃菣릂菣ꎂ菣뾂臣龁臣ꂊ蟩邃菣覃菣릂菣ꎂ菣뾂臣芁苣芀㰊䐯噉ਾ䐼噉㰾䥄㹖胣邼볯銼볯醀⼼䥄㹖 蒁臣ꒁ臣꺁껥薣臣꾁胣릖돦㒕〳꾁胣隃菣莃苣㒯‱㐰臣膀髧骆臣貐껥閁苣龁菣꾂苣ꮃ胥銂菣ꎂ菣뾂菣뎃苣閁苣龁ꧧ鎖菣뎃菣醃苣ꮁꧧ鎖苣ꦃ苣뾂菣뎃苣銂臩ꢔ臣讂臣ꢁ苣ꮐ苣芀†룤ꢃ臣龮ꏨꞁ臣膀ꧧ鎖苣ꦃ苣뾂菣뎃苣ꮁ臣膀菣ꆂ苣벃꾂菣릂苣ꪃ菣낂胣殁뎹鷥ꒀ苣ꦃ苣뾂菣뎃苣膀鳦薾鳦Ꞥ賥鞃菣뮂苣膀慗摲꺁菣붂菣覃臣龁臣랂菣覃菣ꒂ菣袃馃菣릂臣꾂菣릂苣ꪃ菣낂臣ꮐ臣貂臣馁胣ં⼼䥄㹖㰊䥄㹖䐼噉邀볯閼볯钼胣㲑䐯噉ਾ†臣辁臣讁臣龮ꏨꮁ臣蒁臣膀雦閳㌴〰臣膀菣궃菣꾂ㄴ〠ꞁ胣꺚蛨꺁郥骮臣貂臣钃苣뮂菣ꒀ苣閃苣ꮃ苣ꪃ菣낂臣貂臣목雩꾂菣릂苣목雩邃菣覃菣릂臣肸駦蒚臣邃菣覃菣릂菣ꎂ菣뾂苣ꦁ铧馁苣鎁臣銂郥肂胣₂肸菩꺁껥薣臣꾁胣隃菣莃苣㒯〱꺁駦鎖菣뎃菣醃苣閃苣ꮃ苣꾁胣ㆁ곦莅ꧧ鎖菣벃菣ꢂꓥ鮏胣较苣醃苣閃苣ꮃ苣膀菣벃菣릂菣ꎂ菣뾂胣邃菣覃菣릂菣ꎂ菣뾂臣龁臣ꂊ蟩邃菣覃菣릂菣ꎂ菣뾂臣芁苣芀㰊䐯噉ਾ䐼噉㰾䥄㹖胣邼볯銼볯醀⼼䥄㹖 蒁臣ꒁ臣꺁껥薣臣誁臣ꚁ胣릖돦㒕〳꾁胣隃菣莃苣㒯‱㠰臣膀髧骆臣貐껥閁苣龁菣꾂苣ꮃ胥銂菣ꎂ菣뾂菣뎃苣閁苣龁ꧧ鎖苣ꦃ苣뾂ꧧ鎖菣뎃菣醃苣閃苣ꮃ苣ꪃ菣낂臣貂臣芙雩邃菣覃菣릂臣芙雩蒚ꓥ開苣몱껥馁苣芀㰊䐯噉ਾ䐼噉㰾䥄㹖胣邼볯銼볯醀⼼䥄㹖 蒁臣ꒁ臣꺁껥薣臣꾁胣릖돦㒕〳꾁胣隃菣莃苣㎯‹㈱臣膀ꇨ늶臣膵苣꺁菣뾂菣뎃苣龔裦鞁胣隦ꛨ蒚臣ꢡꓧ馁苣芙雩覤该銂裥邞臣讂臣ꢁ苣ꮐ苣芀†蒁臣ꒁ臣꺁껥薣臣꾁胣股뛦꺁菣뾂菣뎃菣궃菣꾁胣钃苣뮂菣꺁臩開ꓥ隌臣꺚蛨꺁觨꺁ꓥ隌臣芙雩蒚ꓥ隌臣覂铧邈臣貂臣馁胣蒁臣ꒁ臣꺁껥薣臣꾁胣릖돦㒕〳꾁胣隃菣莃苣㎯‹㌱臣膀賥芙뻥论胨ꮁ苣讂菣鎃菣벃臣龁苣꺁ꇨ늶臣膵苣꺁菣뾂菣뎃苣ꢡꓧ馁苣芀㰊䐯噉ਾ䐼噉㰾䥄㹖胣邼볯銼볯醀⼼䥄㹖 蒁臣ꒁ臣꺁껥薣臣꾁胣릖돦㒕〳꾁胣隃菣莃苣㎯‹㐱臣膀뿥趋闦銂铧邈臣讂駦鎖ꓥ開苣蚈黦馁苣鎁臣銂郥肂胣₂†臣辁臣讁臣龮ꏨꞁ臣膀뿥趋闦꾁胣⢁ⴰ〱菣ꮃ菣⦄臣袂臣ꪁ뿥趋臣ꢑ돦낕꿧늛臣誁臣讂駦鎖ꓥ開臣ꢑ돦낕苣骃苣袃菣讁苣龔裦閁苣讂胣蒁臣ꒁ臣꺁껥薣臣꾁胣릖돦㒕〳꾁胣隃菣莃苣㎯‹㔱臣膀賥芙뻥论胨ꮁ苣讂菣鎃菣벃臣龁苣꺁뿥趋闦銂ꇨ몤苣ꮐ苣芀††㰊䐯噉ਾ䐼噉㰾䥄㹖胣邼볯銼볯醀⼼䥄㹖 蒁臣ꒁ臣꺁껥薣臣꾁胣릖돦㒕〳꾁胣隃菣莃苣㎯‹㘱臣膀釥뢐闦銂뇦骮臣讂臣膂臣芙雩覤该銂裥邞臣讂臣ꢁ苣ꮐ苣芀†肸菩꺁껥薣臣꾁胣벑郥낕臣ꢑ돦낕꿧늛〨㕾菣ꮃ菣⦄臣钃苣뮂菣꺁该趁臣覂釥뢐闦貁铧邈臣貂臣馁胣蒁臣ꒁ臣꺁껥薣臣꾁胣릖돦㒕〳꾁胣隃菣莃苣㎯‹㜱臣膀賥芙뻥论胨ꮁ苣讂菣鎃菣벃臣龁苣꺁釥뢐闦銂ꇨ몤臣讂胣ં⼼䥄㹖㰊䥄㹖䐼噉邀볯閼볯馼胣㲑䐯噉ਾ†臣辁臣讁臣龮ꏨꞁ臣膀雦閳㌴〰臣膀菣궃菣꾂㤳ㄠꞁ胣股鳥銂铧邈臣讂臣膂臣芙雩覤该銂裥邞臣讂臣ꢁ苣ꮐ苣芀†肸菩꺁껥薣臣꾁胣꾂菣릂苣ꪃ菣낂菣궃苣릂臣꒵ꓥ骷苣뎃苣벃臣覂臣芙雩蒚菣벃苣ꮁ鿥ꖁ臣ꚁ胣钃苣뮂菣꺁该趁臣늉臣覤賥銂裥邞臣讂臣ꢁ臣袂臣ꚁꇨꞜ臣몙铧鞁臣馁胣蒁臣ꒁ臣꺁껥薣臣꾁胣릖돦㒕〳꾁胣隃菣莃苣㎯ㄹꞁ胣뮌駧鎾뫤薀臣袂苣것菣ꖃ菣꺁臣膂臣股鳥銂ꇨ몤臣讂胣ં⼼䥄㹖㰊䥄㹖䐼噉邀볯閼볯邼胣㲑䐯噉ਾ†룤ꢃ臣龮ꏨꞁ臣膀雦閳㌴〰臣膀菣궃菣꾂㤳㈠ꞁ䭅銂铧邈臣讂駦鎖ꓥ開苣蚈黦馁苣鎁臣銂郥肂胣₂肸菩꺁껥薣臣꾁胣릖돦㒕〳꾁胣隃菣莃苣㎯㈹ꞁ胣뮌駧鎾뫤薀臣袂苣것菣ꖃ菣꺁臣膂臣䖮䝋苣ꢡꓧ銂郥肂胣ં⼼䥄㹖㰊䥄㹖䐼噉邀볯閼볯醼胣㲑䐯噉ਾ†臣辁臣讁臣龮ꏨꞁ臣膀雦閳㌴〰臣膀菣궃菣꾂㤳㈠ꞁ菣ꮃ苣ꪂ苣랂菣袃菣벃苣龔裦馁苣芙雩覤该銂裥邞臣讂臣ꢁ苣ꮐ苣芀†肸菩꺁껥薣臣꾁胣醃菣릂苣궂苣ꆃ菣ꪃ菣꾁胣殁맥螝苣ꦃ苣뾂菣뎃苣鞃菣뮂苣ꢁ뗨隤럧뮂菣떂臣覂臣芙雩蒚菣벃苣ꢁ뗧뾁郥辂臣ꚁ駦鎖髧ꪁ觨꺁ꓥ隌苣蚈黦馁苣鎁臣ꮁ苣ꎁ臣龔裦閁苣뺁臣芀臣辁臣讁臣龮ꏨꞁ臣膀雦閳㌴〰臣膀菣궃菣꾂㤳㌲臣膀賥芙뻥论胨ꮁ苣讂菣鎃菣벃臣龁苣꺁菣ꮃ苣ꪂ苣랂菣袃菣벃苣ꢡꓧ馁苣芀㰠牢ਾ⸹麝苣莃菣鲃菣ꎂ苣ꊂ룦ꚺ鯧ꊖꇨ릖돦ક⼼䥄㹖㰊䥄㹖䐼噉邀볯閼볯銼胣㲑䐯噉ਾ†鯥㒳꾁胣龮ꏨꮁ뻥ꎁ臣膀뷤莿룦ꚺ鯧ꊖꇨ銂迥ꞅ臣ꚁꓥꢃ苣벃苣鶃苣뎃菣讁苣鎽뿥ꦸ뫥銂軦骮臣讂雦閳㐴〰臣閃菣벃菣ꎃ菣袃臣芁苣芀†ਠ⼼䥄㹖㰊䥄㹖䐼噉邀볯閼볯鎼胣㲑䐯噉ਾ†雦閳㐴꾁胣麝苣莃菣뮛ꏧ뮂菣떂臣覂臣鞏뿤銂胣ꮢ꣩薀臣隤菩붂菣릂菣ꒂ菣袃臣뮛ꏧꢂ菣ꮃ苣벃臣낕胥ꢡ迧銂胣隃菣莃苣㒯〴ꞁ郥肂胣ં⼼䥄㹖㰊䥄㹖䐼噉邀볯閼볯钼胣㲑䐯噉ਾ†雦閳㐴〰臣뺁臣膀ꓥꢃ뫦릂臣뮛ꏧꢂ菣ꮃ苣벃臣낕胥ꢡ迧讁苣ꮢ꣩薀臣鎽뿥ꦸ뫥銂軦骮臣膀釥늛臣鞰룦궪臣随苣꺁ꇨ뺏胣꺁ꇨ뺏苣ꮐ苣芀苣ꎃ菣隃菣벃苣ꞃ菣꺁臩蒁胣誁苣뎁룦ꚺꓦ몇菣벃菣銂胨꺅臣龁菣ꒂ苣릂臣ꢡ迧銂胣隃菣莃苣㒯〴ꞁ胣₂菣궃菣꾂㐴㐰臣꺁軦骮臣膀뷤莿룦ꚺ臣袂臣隤菩邺苧꺁鯩膣苣趃菣꺂菣꺁闦ꒀꇨ뺏苣ꢡ臣鎽뿥ꦸ뫥뢛雩ꢡ臣몟臣蒁臣蒁苣芀㰊䐯噉ਾ䐼噉㰾䥄㹖胣邼볯鎼볯醀⼼䥄㹖 鎽臣뎂苣ꦸ뫥뢛雩ꢡ臣膀럧ꊽ臣龁臣貺곦ꊖ뿤貁뷤꺁苣ꊂ룦ꚺ臣趸귦몢臣ꢎ껥ꒀ苣邏뻤鞁胣뺁臣鮛裥趽雩芿胣꾂苣뎃菣ꎂ菣꾂雩芿胣Ꞁ髧ꊖ뿤膀闦股韧ꊖ뿤銂迦鮾臣讂臣ꞁ胣肜觨꺁뗧鲞苣邏뻤鞁臣馁臣龁臣ꪂ苣蚃苣莃苣ꪃ菣벃苣ꞃ菣랂菣鞃臣膀꿦莼髧궋臣辁럥ꞁ돦뚊臣龁臣궁臣貂臣骤臣躁苣麝룥ꮁ룤辦觥ꪁ鯦骷臣뾲臣龁軦骮胥銂迦鮾臣뺁臣芀㰊䐯噉ਾ䐼噉㰾䥄㹖胣邼볯鎼볯醀⼼䥄㹖 릖돦㒕〴臣膀菣궃菣꾂㐴㘰臣膀鳦鎽苣ꊂ룦ꚺ苣ꢡꓧ馁苣鎁臣节郥肂胣₂ਠ⼼䥄㹖㰊䥄㹖䐼噉邀볯閼볯鞼胣㲑䐯噉ਾ†鯥㒳꾁胣龮ꏨꮁ뻥ꎁ臣膀뷤莿룦ꚺ鯧ꊖꇨ銂迥ꞅ臣ꚁꓥꢃ苣벃苣鶃苣뎃菣誁苣뎁믤꺁룦骮胥讁苣鎽뿥뎂苣ꦸ뫥銂軦骮臣讂雦閳㔴〰臣閃菣벃菣ꎃ菣袃臣芁苣芀ਠ⼼䥄㹖㰊䥄㹖䐼噉邀볯閼볯颼胣㲑䐯噉ਾ†雦閳㔴꾁胣麝苣莃菣뮛ꏧ뮂菣떂臣覂臣鞏뿤銂郥肂胣ꮢ꣩薀臣隤菩붂菣릂菣ꒂ菣袃臣뮛ꏧꢂ菣ꮃ苣벃臣낕胥ꢡ迧銂胣隃菣莃苣㒯〴ꞁꓧ馁胣ં⼼䥄㹖㰊䥄㹖䐼噉邀볯閼볯馼胣㲑䐯噉ਾ†雦閳㔴〰臣뺁臣膀ꓥꢃ뫦릂臣뮛ꏧꢂ菣ꮃ苣벃臣낕胥ꢡ迧讁苣ꮢ꣩薀臣鎽뿥ꦸ뫥銂軦骮臣膀釥늛臣鞰룦궪臣随苣꺁ꇨ뺏胣꺁ꇨ뺏苣ꮐ苣芀苣ꎃ菣隃菣벃苣ꞃ菣꺁臩蒁胣誁苣뎁룦ꚺꓦ몇菣벃菣銂胨꺅臣龁菣ꒂ苣릂臣ꢡ迧꾁胣隃菣莃苣㎯㘷㘰臣芀菣궃菣꾂㔴†㐰臣꺁軦骮臣膀뷤꺁苣ꊂ룦ꚺ臣隤菩붂菣릂菣ꒂ菣袃臣뮛ꏧꢂ菣ꮃ苣벃臣낕胥ꢡ迧ꢁ臣鎖臣㎮臣꺁蛧蒯鯥銂ꇨ馁菣螃苣뎂苣ꦸ뫥뢛雩ꢡ臣몟臣蒁臣蒁臣馁胣⺂㰊䐯噉ਾ䐼噉㰾䥄㹖胣邼볯钼볯醀⼼䥄㹖 릖돦㒕〵臣膀菣궃菣꾂㐴㘰臣膀鳦鎽苣ꊂ룦ꚺ苣ꢡꓧ馁苣鎁臣节郥뺁苣讂胣₂ਠ⼼䥄㹖㰊䥄㹖䐼噉邀볯閼볯醼胣㲑䐯噉ਾ†룤ꢃ臣龮ꏨꞁ臣膀菣붂菣覃㤳〰㐭〵‰臣膀鯥꺁菣ꒂ苣궃菣궃苣莃苣ㆵ〷ꮁ苣ꎁ臣龮ꇨ閁苣讂釥꒻臣랂菣놂菣릂臣鞁臣龮ꏨ閁苣뺁臣芀뎛臣ㆮⴷ㤱胣ꆃ苣뎃菣궃苣莃苣㒵‶㈰胣㒂꾁胣鞃菣뮂菣떂臣鶁苣麁苣꺁雦閳苣龮ꇨ閁臣讂胣₂臣꺁믤꺁껥薣臣꾁胣ꆃ苣莃菣₉㤳〰㐭〵‰†臣膀곦꺁苣蚁臣麃苣꾂菣鞃菣뮂菣떂苣螌ꓧꞁ臣讂苣뎃菣ꖃ菣뾂껥財迥붃釥꒻苣膌臣뎂菣钃菣벃苣ꊂ苣뮂苣꾏菨ꪁꫥ鎽臣鞁臣龮ꏨ閁苣ꚁ臣뺁臣芀菣ꒂ苣궃菣궃苣莃苣ㆵ〷뎛胣뎛臣ㆮⴷ㤱臣龁臣ꆃ苣뎃菣궃苣莃苣㒵〶芀㘴臣膀臣貂臣貂臣릖돦銂ꇨ蚁胣낕臣讂껥薣臣誁臣ꚁ胣銪뷤꾁胣膣胦銪뷤膀鯩邭ꫥ鎽胣뺁臣꾁藥ꚭꫥ鎽臣芁苣芀戼㹲较菣覃苣Ꞃ苣誁苣뎁苣骃菣벃菣ꎂ菣낂鋧莢㰊䐯噉ਾ䐼噉㰾䥄㹖胣邼볯钼볯醀⼼䥄㹖 뎛㘴臣膀껥薣臣鲿臣ꚁ胣麃菣膃菣ꒂ苣ꮃ苣ꒂ菣릂菣벃菣閃苣뎃苣릂菣ꂃ㘴〰臣隃菣莃苣뎛臣芁苣芀菣ꮃ菣邃苣뾂菣떂苣뎃苣麃菣袃菣ꦂ菣랂苣蚃菣㒠〶꾁胣麃菣膃菣ꒂ苣ꮃ苣ꒂ菣릂菣벃菣閃苣뎃苣릂菣ꂃ㘴〠꺁藥鎽髧ꪁ该鲽苣뚈뻥馁苣ꆃ苣뎃菣궃苣莃苣㒵〶ꪁ臣꺁菣뢂菣벃菣꺁闦銂郥뾁臣馁胣₂菣벃苣誁苣뎁鿩낣胩ꆿ苣ꮐ苣骀뿤龩菨꾁胣骀뿤떂菣랂苣蚃菣ㆠ‷㘴苣讻臣ꚁꇨ蚁臣ꢁ臣ꞁ臣讂胣₂骀뿤떂菣랂苣蚃菣ㆠ㐷꾁胣讁苣꺁菣莃苣벃苣銂迥ꆿ臣膀蓧骷菣莃菣꾃菣꾂㘴㔰臣ꆃ菣뮂菣뢂苣膀뿤馁苣芀†菣ꮃ菣邃苣뾂菣떂苣뎃苣麃菣袃菣ꦂ菣랂苣蚃菣㒠‶〰臣隻臣龮ꏨꞁ臣膀胩ꆿ苣隃苣릂菣ꂃ㜱㘴臣膀菣邃苣ꮃ胩ꆿ臣龁苣꺁苣궃菣邃菣랂苣蚃菣⢠升⥍胣肸裨醃苣莃菣ꮁ뻥ꎁ臣궨껥馁苣鎁臣貁臣趁臣馁蓧骷苣벃菣릂䜨剐⥓胣ꆋ볥螃菣뾂䜠䵓낒ꋥ₃䔨䝄⥅胣ꚃ菣邃菣떂菣₫菣邃苣ꮃ胩ꆿ苣벃菣릂⠠䵕協膀菣벃苣궸뿥꺁菣ꒂ菣것苣₹菣莃菣꾃菣꾂胣뎟ꏥ궸뿥꺁菣ꒂ菣것苣趃菣袃菣벃苣膀臣袂臣뎟ꏥ骀뿤ꢁ菣벃苣骀뿤꺁룤릖苣떂菣벃菣馁苣螃菣ꊂ菣₫菣벃菣₉菣莃菣꾃菣꾂郥颁觧蚐鿥난뇥銂뛨袁臣芀菣ꖃ苣ꮃ菣벃菣趃菣袃菣벃苣ꮁ臣膀苣벃菣螃苣鎃苣ꞃ菣麃菣膃苣꾂苣릂䌨䵄⥁臣龁臣䎯䵄㉁〰趃菣袃菣벃苣膀升⽍假卒菣莃菣꾃菣꾂趉뿨꺁苣蚁臣⦫胣䖁䝄蒂䵕協臣ꦁ臣蚰鷦꺁곧㎬룤ꎻ㌨⥇菣莃菣꾃菣꾂臣ꮐ臣貂臣馁臣膀臣貂苣ꮁ駩骮臣貂臣鮁苣芀菣벃苣궸뿥꺁菣莃菣꾃菣꾂臣隻臣蒁臣ꒁ臣꺁뻤ꮁ臣膀潍楢整呸誁苣뎁慄慴䅔㱃畳⁰浸湬㩳灪∽瑨灴⼺眯睷樮潰朮⹯灪㸢䵔⼼畳㹰趃菣袃菣벃苣骀뿤랂苣蚃菣貁郥뺁苣뺁臣芀臣꺁믤꺁鿩낣룤莿臣螃菣뾂菣莃菣꾃菣꾂臣设臣鞁臣꾁胣䞁䵓蒂苣ꒂ菣₠菣ꎂ菣뢂菣뎃菣ꮃ菣₁苣꾂苣릂⠠䑔䅍 苣릂菣ꂃ臣ꦁ臣醃菣붂菣ꮃ뎂菣ꖃ菣놂菣랂菣뎃랂苣蚃菣₠倨千 菣莃菣꾃菣꾂臣馌臣貂臣馁胣ં⼼䥄㹖㰊䥄㹖䐼噉邀볯閼볯鎼胣㲑䐯噉ਾ†蓧骷菣莃菣꾃菣꾂㘴㔰臣骀뿤떂菣랂苣蚃菣ㆠ‷㘴苣ꖎ뛧馁苣ꆄ럧ꪃ菣꾂臣膀ꒁ믤誸臣낕臣讂蓧骷釥ꊳ闦⢰䙒膃菣趃菣銂ꇨ馁胣낖臣蒁菣莃菣꾃菣꾂鞃菣袃苣ꮃ臣꾁胣鎁苣覂臣膃菣趃菣꾁鯥骷뫤鮏鿩낣胩ꆿ臣醃苣莃菣꒺迦螃菣뾂胩ꆿ臣ꆸ雦銂苣鶃菣袃臣趁臣馁胣ં⼼䥄㹖㰊䥄㹖䐼噉邀볯閼볯钼胣㲑䐯噉ਾ†菣ꒂ菣鞃菣뮂菣떂㘴㈰臣뺁臣膀菣뎃菣ꂃ苣꾂苣릂菣ꊃ菣⢪䅒⥍㘴㘰胣閃菣莃苣ꖃ菣ꊃ菣㒪‶〠膀菣ꎂ苣鞃菣ꒂ㘴ㄠ膀ꏨꦊ藥몇諥⢛⽉⥏臣ꦁ臣붿諥꺁苣隃苣릂菣ꂃ臣뢛뫤鲽铧鞁臣馁胣떂菣랂苣蚃菣㒠ㄶⰲ螃菣뾂菣벃菣㒈ㄶⰴ궂菣鲃菣覃㐠ㄶⰶ릂菣벃苣벃†㘴㠱‬菣ꒂ苣₯㘴〲‬鿧鶷鯩骀뿤떂菣랂苣蚃菣₠㘴㈠′臣袂臣隻臣螃菣ꒂ苣₹苣隃苣릂菣ꂃ㘴㐲胣₂믤꺁菣邃苣릂苣隃苣릂菣ꂃ㘴㐲臣膀菣ꒂ苣궃菣ꒂ菣龃菣꾂藥ꎕ매⢱䑭卌뮂菣떂㜱㈴臣袂臣⾳臣龁臣閃苣袃菣것菣릂菣낂菣ꂃ倨䝐뮂菣떂㜱㐠꺁臣骁苣讁苣ꮐ苣鎁臣貁臣趁苣芀铧ꦉ귥蒚菣ꒂ苣ꮃ苣ꒂ菣뢂苣趃菣벃苣㒿㐶뢁臣ꆿ迥芀肸菩꺁껥薣臣꾁胣閃菣莃苣ꖃ菣ꊃ菣㒪〶꾁胣较苣隃菣莃菣閃苣ꂃ菣뮂菣⾫楗楆볯늼볯鞃菣袃苣ꮃ苣뾂菣꾂㘴㤰苣ꮐ臣뺁臣芀菣ꒂ菣ꪃ菣覃菣Ꞃ菣袃苣ꮃ圯䙩袼볯覼菣궃菣뎂菣릂苣莃苣㒯〶꾁胣놅鳦垉䙩袼볯覼菣莃菣꾃菣꾂臣㎨膀䜴臣龁臣㖯ꊃ菣ꒂ菣趃菣袃菣벃苣꺁룤릖臣麃菣膃菣ꒂ苣ꮃ苣ꒂ菣릂菣벃菣閃苣뎃苣릂菣ꂃ㘴〰雩꺁ꫨ벨臣뾉ꫨ銂苣鶃菣袃臣ꚁ臣뺁臣芀㰊䐯噉ਾ䐼噉㰾䥄㹖胣邼볯钼볯醀⼼䥄㹖 麃菣膃菣ꒂ苣ꮃ苣ꒂ菣릂菣벃菣閃苣뎃苣릂菣ꂃ㘴〰臣떂菣랂苣蚃菣꺁룤ꢃ臣骀뿤ꊖ胩龩菨銂껥財臣讂臣膀믤꺁苣隃苣릂菣ꂃ臣貀룥邧胣뺁臣꾁菣邃苣릂룤꺁ꧦ붃苣邏뻤鞁뻥讂胣肸뻤ꢁ臣ꚁ胣螃苣릂菣것苣㒤ㄶꢁ苣벃菣벃菣㒉ㄶ꾁胣ꆄ럧趃菣袃菣벃苣㒯〶銂믤鞁臣鶼胩馁苣龁苣꺁菣궂苣袃菣莃苣벃苣銂藥鮊臣讂臣ꦁ臣骀뿤ꊖ胩龩菨꺁룤릖臣뾽铧閁苣鞾苣芀鯩鎍苣뾂苣꾂菣릂菣ꪁ臣꺁菣邃苣릂룥邧ꧦ붃胣ં⼼䥄㹖㰊䥄㹖䐼噉邀볯閼볯隼胣㲑䐯噉ਾ†菣ꮃ菣邃苣뾂菣떂苣뎃苣麃菣袃菣ꦂ菣랂苣蚃菣㒠〶꾁胣薿ꛨꪁ菣莃菣꾃菣꾂駧늌臣龁臣ꊂ苣蚃苣馃菣랂菣뎃触蚠臣貮뫤鞁臣貾胣ꆄ럧趃菣袃菣벃苣㒯〶銂믤鞁臣骀뿤ꆿ迥銂胩鞏뿤馁苣鎁臣貁臣趁苣芀菣莃菣꾃菣꾂苣꾂苣릂臣膀菣ꮃ菣邃苣뾂菣떂苣뎃苣麃菣袃菣ꦂ菣랂苣蚃菣㒠‶〰臣ꂊ藥薀臣龁臣ꚃ菣뚂臣ꊖ胩颻臣覂苣ꚁ臣讂胣₂†諥ꖅ胨銂귨ꖈ臣讂臣膂臣膀菣ꮃ菣邃苣뾂菣떂苣뎃苣麃菣袃菣ꦂ菣랂苣蚃菣㒠〶꾁胣厁䵉苣벃菣⾉啒䵉㐠‶㘲ꂊ藥薀귨ꖈ菣뢂菣벃菣뺁臣꾁菣ꂃ菣邃菣ꮃ菣벃苣䦶ꊃ苣ꖃ菣ꮃ銂䥓⽍啒䵉苣뎃苣벃菣Ꞃ苣릂臣뾌藥馁苣薿ꛨ貁臣誂臣馁胣㒂㈶‸菣莃菣꾃菣꾂臣骀뿤馁苣芀䥓ꮂ菣覃刯䥕뺁臣꾁㘴㘲臣膀菣ꮃ菣邃苣뾂菣떂苣뎃苣麃菣袃菣ꦂ菣랂苣蚃菣㒠〶꺁諥ꖅ胨銂귨ꖈ臣膀菣ꮃ菣邃苣뾂菣떂苣뎃苣麃菣袃菣ꦂ菣銂菣벃苣誃菣ꒂ苣馁苣龁苣ꮁ뷤ꢔ臣讂臣ꢁ臣ꞁ臣讂뻥ꖝ臣貀苣麃菣袃苣벃菣趀臣肸꣧ꞁ臣랂苣蚃菣㒠‶〰胣ꢁ苣辂臣芀䥓ꮂ菣覃刯䥕⁍㐠㈶貁臣醁苣낁胣麃菣膃菣ꒂ苣ꮃ苣ꒂ菣릂菣벃菣閃苣뎃苣릂菣ꂃ㘴〠꾁胣ꆄ럧趃菣袃菣벃苣㒯〶ꢁ臣骀뿤꺁臣膂臣貮藥ꮁ该鲽臣ꚁ臣뺁臣鎂胣₂†䥓⁍苣벃菣⾉啒䵉†㘴㈠銂䥓⽍啒䵉ꒂ菣뾂菣閃苣ꒂ苣㒹㈶‸臣뾌藥馁苣ꢁ胣ꂊ藥薀臣馁臣ꚁ臣떂菣릂苣ꦃ苣隃떂菣鎃苣ꮁ苣꾂苣릂臣趁臣馁胣떂菣鎃苣ꮁ臣膀鯩邭菣벃菣膀菣ꒂ苣₹菣벃菣膀苣ꞃ菣袃ꆃ菣뮂菣뢂떂菣鎃苣⢹䵓⥓胣麃菣膃菣螃苣ꊂꆃ菣뮂菣뢂菣낂떂菣鎃苣₹䴨卍 臣ꦁ臣₮敗⁢菣ꦃ苣뢂菣낂臣ꆃ菣뮂菣뢂菣낂臣ꮐ臣貂臣馁胣袂苣颫뫥ꪁ苣벃菣릂臣꾁胣ꦲꏥ芙苧ꆮ郧膀菣ꎂ菣ꮃ菣떂菣鎃苣膀苣벃菣릂閃苣벃苣ꪂ菣袃菣벃苣ꞃ菣ꪁ臣貁臣誂臣馁胣厂䵉苣벃菣⾉啒䵉†㘴㘲臣꾁胣薃ꃥ銂ꃦ趴臣讂臣膂臣鞃菣뮂菣떂臣ꆃ菣ꪃ臣ꮐ臣貂臣蒁臣馁胣厂䵉苣벃菣⾉啒䵉㐠‶㘲臣厌䵉刯䥕ꒂ菣뾂菣閃苣벃苣㒹‶㈠ꮁ賦ꖅ臣貂苣ꢁ胣厁䵉臣ꆃ苣뎃菣궃苣莃苣㒵〶ꮁ뗧袐臣貂臣馁胣ꂊ藥薀苣颭裥馁苣龁苣ꮁ胣厁䵉苣벃菣⾉啒䵉㐠‶㘲臣膀鯥鮚菣邃苣ꮃ諥ꖅ胨䦅⡄䵉䥓ꪁ臣꺁臣辁臣讁臣ꚃ菣뚂菣ꦃ菣벃苣銂郥肂臣ꢁ臣ꞁ臣讂胣厂䵉ꮂ菣覃刯䥕⁍㐠㈶銂뷤ꢔ臣讂裥릂臣膀諥ꖅ胨貁뿥骁臣节跥肸臣ꦉ郧ꊃ菣ꒂ菣₫菣邃苣릂臣邃苣뎃菣閁苣ꚁ臣ꪁ臣鎁臣ꞁ臣芀䥓ꮂ菣覃刯䥕⁍㐠㈶꾁胣螃苣隃菣꾂뺁臣꾁苣것菣肃菣⦼菦놠苣肜뿨꺁胩놩菦놠苣ꮐ苣膀菣ꮃ菣邃苣뾂菣떂苣뎃苣麃菣袃菣ꦂ菣랂苣蚃菣㒠〶꺁뿨ꂊ臣ꂊ藥薀菦놠苣베듧馁苣鎁臣貁臣趁臣馁胣芁苣蒁臣膀菣벃苣颭裥薃ꃥ銂菣ꦃ菣랂菣ꆃ菣ꪃ㘴㠰臣鞃菣낂菣ꂃ臣讂臣ꢁ苣ꞁ臣讂胣ં⼼䥄㹖㰊䥄㹖䐼噉邀볯閼볯鞼胣㲑䐯噉ਾ†菣ꮃ菣邃苣뾂菣떂苣뎃苣麃菣袃菣ꦂ菣랂苣蚃菣㒠〶꾁胣邃菣蚃菣蚧该螃菣ꒂ苣ꞁ臣誂胣ㆁ臣ꖻ룤꺁鯩ꂱ㘴㌠銂迥ꆿ臣讂臣膂臣邃菣蚃菣ꒂ菣뾂菣閃苣ꒂ苣㒹㌶銂若袁臣蒁臣馁胣ㆂ臣ꖻ룤꺁껥薣臣꾁胣뮛뇦㒠㌶꾁胣麃苣꾂菣鞃菣뮂菣떂苣蒵臣벾苣ꂁ苣麃菣袃菣莃菣ꪃ臣馁苣鎁臣貁臣趁苣芀菣莃菣ꪃ苣뎃苣閃苣벃苣㒹㌶꾁胣것苣ꖃ菣벃苣㒿㌶ꮁ뗧袐臣貂胣麃菣膃菣ꒂ苣ꮃ苣ꒂ菣릂菣벃菣閃苣뎃苣릂菣ꂃ㘴〠ꮁ鯩鮊⭖苣邏뻤馁苣鮚臣邃菣蚃菣㒪㌶銂铦뒏臣讂胣뺏鳥꺁諦鎡臣뮛뇦銂裥ꢔ臣ꚁ臣讂臣膀菣ꒂ苣궃蟧首鯩ꂱ臣ꦁ臣蚰鷦꺁諦鎡臣膀菣ꮃ菣邃苣뾂菣떂苣뎃苣麃菣袃菣ꦂ菣랂苣蚃菣㒠〶ꮁ鯩鮊苣鮾뗧馁苣讁苣鞁苣ꪁ臣芀†㰊䐯噉ਾ䐼噉㰾䥄㹖胣邼볯钼볯醀⼼䥄㹖 麃菣膃菣ꒂ苣ꮃ苣ꒂ菣릂菣벃菣閃苣뎃苣릂菣ꂃ㘴〰臣뺁臣膀믤许臣뎩臣辁ꫨ躘臣貂臣蒁苣ꪂ菣것菣蚃苣뎃苣랂苣蚃菣㒠㌶誁苣뎁菣뢂菣벃菣㒫‶㌠鲀㘴†㤴苣ꮐ苣芀菣ꒂ菣鞃菣뮂菣떂㘴㈰臣袂臣ꚁ껥財臣貂苣ꪂ菣것菣蚃苣뎃苣랂苣蚃菣㒠㌶誁苣뎁菣뢂菣벃菣㒫㌶讁苣㒉㐶꾁胣骀룥膀臣꺁苣蚁臣뢰뛧蒚臣趸迦몙胦銪뷤ꮁꃦ趴臣貂苣芀菣ꦃ菣랂菣ꆃ菣ꪃ㘴㠰臣膀ꫨ뾁迥誂냥ꢔ菣ꊃ菣⢪佒⥍臣龁臣麡볤꺁꣨뚆ꛨꂴ뎛ꓧ鮁臣⦚臣芁臣ꚁ苣袂臣芀뷥궥胨꾁胣ꪂ菣것菣蚃苣뎃苣랂苣蚃菣㒠㌶誁苣뎁菣뢂菣벃菣㒫㌶鲀㘴†㐠⠹觧骮臣螃菣ꒂ苣ꊂ菣ꪃ苣벃苣ꞃ菣膀臣龁臣鶁臣肸菩ꪁ臣⦩臣肸菩貁룤芙髧ꮁ귥ꢜ臣讂迥붃胦貁臣讂臣ꢁ苣蚐꟨馁苣ꞁ臣螂臣芀䅒⁍㘴〠ꪁ臣꺁迦몙胦릂菣ꊂ臣궃菣覃臣貂臣馁胣鶁臣隻臣ꊃ苣ꖃ菣ꮃ苣ꮐ苣讂臣ꢁ臣ꞁ臣뺁臣芀㰊䐯噉ਾ䐼噉㰾䥄㹖胣邼볯钼볯醀⼼䥄㹖 螃菣뾂臣袂臣뎟ꏥ骀뿤ꊂ菣ꪃ苣벃苣ꞃ菣銂郥肂鿥겜髧ꪁ菣邃苣릂鏦鲽苣뚈뻥馁苣ꊃ苣ꖃ菣ꮃ㘴㌠꺁苣隃苣莃菣꾁胣骀룥膀臣꺁ꏨꂀ룤ꮁ菣ꮃ菣邃苣뾂菣떂苣뎃苣麃菣袃菣ꦂ菣랂苣蚃菣㒠〶ꮁ苣뎃苣袃菣ꮃ臣貂苣芀믤꺁菣뢂菣벃菣ꮁ臣膀菣ꮃ菣邃苣뾂菣떂苣뎃苣麃菣袃菣ꦂ菣랂苣蚃菣㒠〶꺁菣벃苣貁鯩邭菣莃苣벃苣銂胩鞏뿤馁苣鎁臣銂迥붃臣馁苣뮻蓦꺁臩螈臣ꊃ苣ꖃ菣ꮃ臣芁苣蚁苣ꆃ菣뮂菣뢂苣鞃菣놂菣랂菣뎃㘴㌠貁郥뺁苣讂胣ꆃ菣뮂菣뢂苣鞃菣놂菣랂菣뎃㘴㠳臣뺯臣ꚁ꣧薀臣뢁諦ꊂ臣颭鳥馁苣貁胣鎁苣꾁鳦肊ꇨ銂곧袡臣薀臣节苣辁鿧覂苣ꚁ臣讂胣ꚃ菣뚂菣貁胩鞏뿤鞁臣ꆃ菣뮂菣뢂臣膀胩뢸胣麃菣膃菣ꒂ苣ꮃ苣ꒂ菣릂菣벃菣閃苣뎃苣릂菣ꂃ㘴〰臣龁臣麃菣膃菣ꒂ苣ꮃ苣ꒂ菣薆臣隻臣ꦁ裥ꪁ苣袃菣벃苣膦듧꺁菣ꦃ菣랂菣ꆃ菣ꪃ㘴㠰臣베듧閁苣뺁臣芀苣麃菣袃菣ꦂ菣랂苣蚃菣㒠〶芀ꒁ믤誸臣龮ꏨꞁ臣膀胩鞏뿤閁苣龁菣莃苣벃苣꺁룤ꢃ臣膀菣ꮃ菣邃苣뾂菣떂苣뎃苣麃菣袃菣ꦂ菣銂賦ꒁ雩ꎀ菣릂菣랂苣蚃菣꺁菣벃苣릂菣ꊂ臣ꦁ胣麃菣膃菣ꒂ苣ꮃ苣ꒂ菣릂菣벃菣閃苣뎃苣릂菣ꂃ㘴〰臣覂菣ꊃ菣袃臣鶿귥馁苣鎁臣貁臣趁臣馁胣랂苣蚃菣㒠〶‰臣骀뿤鞁臣馁胣ં⼼䥄㹖㰊䥄㹖䐼噉邀볯閼볯邼胣㲑䐯噉ਾ†菣뢂菣벃菣꾁臣覂臣膀菣邃苣릂諧讅菣뢂菣벃菣㒫㐶膀胥몺菦놠菣趃菣뢂菣⢣䥐⥍㘴†㈴胣誁苣뎁믤꺁臩螈臣ꊃ苣ꖃ菣ꮃ뎛ꓧ鮁臣⦚苣ꮐ苣鎁臣貁臣趁苣芀菣邃苣릂諧讅菣뢂菣벃菣㒫㐶꾁냦骶胦銂迦鮾臣膀臣ꪁ苣ꆁ菣邃苣릂諧讅菣뢂菣벃菣㒫㐶꾁胣趇ꛨꪁ菣邃苣릂菣벃苣貁菣ꦃ菣랂菣ꆃ菣ꪃ㘴㠰臣ꦁ臣뢰뛧ꆃ菣ꪃ臣베듧閁苣讂臣ꢁ苣鶿꣨鞁胣螃菣뾂臣麃菣膃菣ꒂ苣ꮃ苣ꒂ菣릂菣벃菣閃苣뎃苣릂菣ꂃ㘴〰臣ꪂ菣ꮁ臣ꎁ臣誂胣뮛뫦貁裥貂臣誂臣ꚁ苣놤苣貂臣蒁苣蚁臣鞁臣馁胣ં⼼䥄㹖㰊䥄㹖䐼噉邀볯閼볯醼胣㲑䐯噉ਾ†䥐⁍㘴㈴臣꾁胣뮛귥ꆃ菣ꮃ胣ꎀ뗧袅胣袺껥ꢡ苣馃菣袃胣鲃苣릂ꆃ菣ꮃ胣袺껥膀臣袂臣뾂苣꾂ꃩ꺛臣ꦁ胣ꚃ菣뚂菣貁雩莿臣芁苣螃菣뾂ꃩ꺛苣뒕郧誁苣뎁껧蚐臣讂臣膂臣龩菨貁郥뺁苣ꚁ臣뺁臣芀䥐ꊂ菣ꪃ苣벃苣ꞃ菣꾁胣꾃苣ꒃ菣릂趃菣袃菣벃苣₯㘴㔰銂믤鞁臣螃菣뾂ꃩ꺛苣膀迥ꆿ臣讂ꧦ붃苣馂臣ꚁ臣뺁臣芀䥐螃菣뾂ꃩ꺛臣膀菣ꮃ菣邃苣뾂菣떂苣뎃苣麃菣袃菣ꦂ菣랂苣蚃菣㒠〶ꂊ藥薀臣뺯뿥馁苣螃菣뾂ꃩ꺛苣鶿귥誁苣뎁뺁臣꾁雩ꎀ믤醁臣ꆄ럧趃菣袃菣벃苣㒯〶銂믤鞁臣랂菣ꂃ菣릂臣놵郥膀郥龜胣誁苣뎁鯦낖臣讂臣ꢁ臣ꞁ臣뺁臣鮃苣袃苣뎃菣ꖃ菣뾂苣릂菣ꂃ胣鎁臣龩菨꾁胣鎁臣袂臣ꪁꃩ꺛臣ꊖ臣ꚁ胣麃菣膃菣ꒂ苣ꮃ苣ꒂ菣릂菣벃菣閃苣뎃苣릂菣ꂃ㘴〰룤ꮁ菣ꦃ菣鮃苣袃苣뎃菣ꖃ菣뾂苣鲽裦鞁臣馁胣鎁苣꾁胣鮃苣袃苣뎃菣ꖃ菣뾂苣릂菣ꂃ臣麃菣膃菣ꒂ苣ꮃ苣ꒂ菣릂菣벃菣閃苣뎃苣릂菣ꂃ㘴〰諥ꖅ胨꺁苣閃苣릂苣뎃菣ꖃ菣뾂苣릂菣ꂃ臣芁苣뒠郥ꮁ觧ꮁ鳦ꦈ臣芁苣鞾苣芀㰊䐯噉ਾ䐼噉㰾䥄㹖胣邼볯閼볯醀⼼䥄㹖 麃菣膃菣ꒂ苣ꮃ苣ꒂ菣릂菣벃菣閃苣뎃苣릂菣ꂃ㘴〰臣뺁臣膀軦骶菣뢂菣벃菣㒫㐶膀臣袂臣䦳鶃菣랂菣ꊃ苣ꖃ菣ꮃ㘴㐠銂郥肂胣ꖎ뛧ꊃ苣ꖃ菣ꮃ㐠㐶‴臣膀菣ꮃ菣邃苣뾂菣떂苣뎃苣麃菣袃菣ꦂ菣랂苣蚃菣㒠〶‰臣꾃苣ꒃ菣릂苣뎃菣ꦃ苣袃菣꾂菣ꎃ臣袂臣膼ꗦꪁ臣꺁믤辄臣鮃苣袃랂苣蚃菣ꢁ胩ꆿ臣讂臣膂臣薿ꛨꪁ胩ꆿ菣궃菣뎂菣銂껥薣臣뺁臣芀菣ꮃ菣邃苣뾂菣떂苣뎃苣麃菣袃菣ꦂ菣랂苣蚃菣㒠〶貁苣뎃苣벃菣Ꞃ苣릂臣놨迥閁苣ꚁ臣讂苣릂菣ꂃ胣꾃苣ꒃ菣릂苣뎃菣ꦃ苣袃菣꾂菣ꎃ臣ꢂ菣뾂菣鞃菣ꒂ苣₺苣릂菣ꂃ臣设苣뎛臣몤臣뺁臣芀㘴迥뎁㔴臣膀믤许臣뎩듧ꮁꫨ躘臣讂胣ં⼼䥄㹖㰊䥄㹖䐼噉邀볯閼볯鎼胣㲑䐯噉ਾ†軦骶菣뢂菣벃菣㒫㐶꾁胣麃菣膃菣ꒂ苣ꮃ苣ꒂ菣릂菣벃菣閃苣뎃苣릂菣ꂃ㘴〰臣놵郥馁苣鎁臣貁臣趁胣麃菣膃菣ꒂ苣ꮃ苣ꒂ菣릂菣벃菣閃苣뎃苣릂菣ꂃ㘴†〰臣膀믤辄臣낕臣떂菣鎃苣銂뷤ꢔ臣趁苣袂臣ꮁ臣讂偁꺁苣莃菣貁郥뺁苣ꚁ臣뺁臣ꢂ菣뾂菣鞃菣ꒂ苣랂苣蚃菣ꮁ雩ꎀ믤醁苣貂臣蒁臣馁胣ꖎ뛧ꊃ苣ꖃ菣ꮃ㘴㐴臣膀菣ꮃ菣邃苣뾂菣떂苣뎃苣麃菣袃菣ꦂ菣랂苣蚃菣㒠〶貁菣릂菣랂苣蚃菣ꢁ臣ꢂ菣覃菣벃苣뎃菣꺁껥ꢅ臣趪꣨閁苣龁胩ꆿ菣ꒂ菣銂ꋧ讫臣讂臣ꢁ苣꾏菨ꮁ臣讂胣ꖎ뛧ꊃ苣ꖃ菣ꮃ㘴㐴臣袂臣ꚁ苣꾂苣릂臣邏뻤閁苣讂苣鞃菣놂菣랂菣뎃臣떂菣뮂菣袃臣膀菣릂菣랂苣蚃菣讁苣麃菣膃菣ꒂ苣ꮃ苣ꒂ菣릂菣벃菣閃苣뎃苣릂菣ꂃ㘴〠ꮁ呉菣ꪃ苣벃苣麃菣覃苣ꆸ臣龁苣ꮁ뷤ꢔ臣讂臣ꢁ臣ꞁ臣讂胣₂鎁苣꾁胣꾃苣ꒃ菣릂臣龁臣覜럧꺁雦閳臣財臣鎁臣貁臣趁臣馁胣鎁苣覂臣螌ꓧ꾁胣ꆬ臣膀菣ꮃ菣邃苣뾂菣떂苣뎃苣麃菣袃菣ꦂ菣랂苣蚃菣㒠〶꺁꟦邈苣覤鯦馁苣龁苣ꮁ胣䦁鶃菣랂菣ꊃ苣ꖃ菣ꮃ㘴㐠ꮁ룦馁臣ꢁ臣ꞁ臣뺁臣芀臣龁胣뒠郥ꮁ苣ꎁ臣꾁胣覜럧ꖎ뛧銂뷤ꢔ臣ꚁ䤠⁔菣ꪃ苣벃臣뒛雦銂껥財臣讂臣ꢁ苣ꞁ臣뺁臣芀㰊䐯噉ਾ䐼噉㰾䥄㹖胣邼볯閼볯醀⼼䥄㹖 䤠⁔菣ꪃ苣벃ꊃ苣ꖃ菣ꮃ㘴㘴臣膀呉鶃菣랂菣銂苣뎃苣벃菣馁苣₋呉鶃菣랂菣₼菣벃苣銂迥醁迥誂臣馁胣䦂⁔菣ꪃ苣벃ꊃ苣ꖃ菣ꮃ㐠㐶‶臣膀呉鶃菣랂菣₼菣벃苣貁菣ꮃ菣邃苣뾂菣떂苣뎃릂菣벃菣閃苣뎃랂苣蚃菣₠㘴〰ꮁ苣ꎁ臣趪꣨閁苣讂臣ꢁ苣鶿꣨鞁臣馁胣䦂⁔菣ꪃ苣벃螃菣뾂臣膀䅒⁍㐠‶㘰臣趃苣蚃苣隃뷥込臣베듧ꞁ臣뺁臣芀呉菣ꪃ苣벃菣벃苣貁ꃦ趴臣貂臣貾胣낂菣벃菣ꮃ胩ꖟ臣膀菣ꮃ菣邃苣뾂菣떂苣뎃苣麃菣袃菣ꦂ菣랂苣蚃菣㒠〶誸臣芁苣馁臣ꚁ臣ꊂ菣ꪃ苣벃苣ꞃ菣ꮁ呉菣ꪃ苣벃菣뢂菣벃菣㒫‶㘴臣袂臣ꚁ胩ꆿ臣讂臣ꢁ臣ꞁ臣讂胣䦂⁔菣ꪃ苣벃苣ꦁ铧ꞁ臣讂苣鞃菣놂菣랂菣뎃臣膀呉鶃菣랂菣螃菣뾂苣궪臣随苣膀臩ꢔ迥붃臣₪呉鶃菣랂菣₼菣벃菣銂軦馁臣ꢁ臣袂臣ꚁ뿥钭臣뺁臣芀㰊䐯噉ਾ䐼噉㰾䥄㹖胣邼볯閼볯醀⼼䥄㹖 䤠⁔菣ꪃ苣벃ꊃ苣ꖃ菣ꮃ㘴㘴臣꾁胣ꊂ菣ꪃ苣벃苣ꞃ菣貁䤠⁔菣ꪃ苣벃ꮃ菣ꮃ苣궪臣随苣龁苣ꮁ뷤ꢔ臣趁苣醃菣떂菣₼㘴㜴銂郥膂苣鎁臣貁臣趁臣馁胣뒠郥ꮁ苣ꎁ臣꾁胣ꖈ臣ꊃ苣ꖃ菣ꮃ臣龁臣ꊂ菣ꪃ苣벃苣ꞃ菣貁菣벃苣벃苣邏뻤ꞁ臣뺁臣芀믤许臣뎩臣辁ꫨ躘臣讂苣ꮃ菣鞃賥閁苣龁呉鶃菣랂菣₼菣벃菣꾁菣ꒂ菣₈苣袃菣벃菣ꢁ臣ꚁ迥鞾臣貂胣鶁臣貾菣벃苣벃臣₫趆룥蒚臣⦫膀뿤閁苣膀苣ꮃ菣鞃賥閁苣龁䤠⁔菣ꪃ苣벃ꮃ菣ꮃ蛥ꞁ껥ꦾ臣貂臣蒐呉鶃菣랂菣₼菣벃菣꺁胥貁뇦骮臣貂臣馁胣ㆂꒁ믤誸臣龮ꏨꞁ臣膀呉鶃菣랂菣₼菣뢂菣벃菣₫㘴㐠꾁胣ꦁ臣ꊂ菣ꪃ苣벃苣ꞃ菣貁䤠⁔菣ꪃ苣벃螃菣뾂臣놽鿩銂迥醁苣讁苣ꒈ裥鞁胣鶁苣覂臣ꊂ菣ꪃ苣벃苣ꞃ菣ꮁ臣뾁胩ꖟ苣膀뿤ꞁ臣뺁臣芀臣骁苣꺁ꃥ袐苣膀胩ꖟ駦ꮁ菣ꒂ菣鞃菣뮂菣떂㘴㈰ꮁ苣ꎁ臣龮ꇨ閁苣ꚁ臣ꪁ臣ꊂ菣ꪃ苣벃苣ꞃ菣꺁ꃥ袐胣ꊂ菣ꪃ苣벃苣ꞃ菣꾁胣ꊂ菣ꪃ苣벃苣ꞃ菣貁菣벃苣벃臣龁臣₯呉鶃菣랂菣₼菣뢂菣벃菣㒫‶㘴苣벑臣몇臣鎁臣貁臣趁臣馁胣銂껥財臣ꚁ胣낖臣辁迥ꆿ臣龁䤠⁔菣ꪃ苣벃螃菣뾂臣ꊖ胩馁苣₋呉鶃菣랂菣₼菣벃菣貁臣讂臣ꦁ臣讁苣ꒈ雦鞁臣馁胣ં⼼䥄㹖㰊䥄㹖䐼噉邀볯閼볯隼胣㲑䐯噉ਾ†呉鶃菣랂菣꺁菣벃菣銂苣鶃菣袃臣讂臣릁臣꺁苣鞃菣놂菣랂菣뎃臣膀鳦薾臣貂苣螃菣뾂臣꺨ꇩ銂鿧讂苣蚁臣뎂菣覃賥閁苣ꚁ臣뺁臣芀臣ꢁ臣낁胣⊁䕗ꚃ菣뚂菣趐•呉鶃菣랂菣₼菣벃菣ꮁ꣨骮臣貂臣蒁苣ꒀ臣螖귥鞈臣芁苣鎁臣貁苣讁臣ꚁ臣뺁臣芀臣龁臣ꎁ臣膀臣꺁菣벃菣ꮁ꿥鲿臣讂䤠⁔菣ꪃ苣벃螃菣뾂臣ꒀ臣螖귥鞈臣鞁臣ꎧ蟩閁苣뺁臣芀裥꺁뻤ꢁ臣ꚁ胣⊁鳦Ꞥ菣릂菣벃菣꺁ꧨ財鯥낕苣궨껥馁苣⊋呉鶃菣랂菣₼菣벃菣꺁꣨骮臣뒕闦ꞁ臣讂臣ꢁ臣辂臣ꎁ臣蒁苣龁苣膀臣꺁菣벃菣ꮁ꿥鲿臣讂䤠⁔菣ꪃ苣벃螃菣뾂臣ꒀ臣膀臣꺁苣蚁臣ꎧ蟩閁苣뺁臣芀㰊䐯噉ਾ䐼噉㰾䥄㹖胣邼볯閼볯醀⼼䥄㹖 䤠⁔菣ꪃ苣벃ꮃ菣ꮃ臣ꦁ铧꾏菨ꪁ苣鞃菣놂菣랂菣뎃臣龁臣讧裦閃苣ꒂ菣ꮁ臩ꢔ臣貂苣ꢁ胣䦁鶃菣랂菣₼菣뢂菣벃菣㒫‶㘴臣膀呉鶃菣랂菣₼菣벃苣貁迥ꆿ臣貂胣ꎭ룥ꮁ臩ꢔ臣貂臣鎁臣銂ꓧ馁ꋧ趪뿥钭苣鮃苣袃랂苣蚃菣ꮁ胩ꆿ臣뺁臣芀㰊䐯噉ਾ䐼噉㰾䥄㹖胣邼볯閼볯醀⼼䥄㹖 鞃菣낂菣ꂃ㘴㜳臣뺁臣膀駦鎖ꓥ開ꋥ薹駥㒨㐶誁苣뎁铧ꦉ귥蒚菣ꒂ苣ꮃ苣ꒂ菣뢂苣趃菣벃苣㒿㐶銂郥肂臣ꢁ臣ꞁ臣讂胣肸菩꺁껥薣臣꾁胣芙雩覤该ꊂ菣鞃㘴㠴臣膀ꇩ꺁髧骆菣꾂苣ꮃ귨ꖈ菣뢂菣벃菣㎫〰膀釥ꊳ闦閃苣ꮃ苣㎿〰膀뇥肉髧ꪁꇩ꺁苣ꦃ苣뾂苣ꮐ苣ꊃ苣ꖃ菣ꮃ〳〠誁苣뎁釥ꊳ闦閃苣ꮃ苣㎿‰ㄠ꾁鯥꺁苣蚁臣芀〳臣㎨⸱肸菩꺁껥薣臣꾁胣芙雩覤该ꊂ菣鞃㘴㠴臣膀ꇩ꺁髧骆菣꾂苣ꮃ귨ꖈ菣뢂菣벃菣㎫〰膀ꧧ鎖菣뎃菣醃苣閃苣ꮃ苣㎿′㈰胣난鿥銂郥肂ꇩ꾂菣릂苣ꊃ苣ꖃ菣ꮃ〳㠰臣袂臣肸駦蒚臣邃菣覃菣릂菣ꎂ菣뾂㈳㐰臣뎛臣袂臣ꮁ胣㎂⸲肸菩꺁껥薣臣꾁胣芙雩覤该ꊂ菣鞃㘴㠴臣膀菣꾂苣ꮃꓦ骮껥㎘〳膀駦鎖ꓥ開뇦骮駥㎨〳誁苣뎁뿤랏菣궃苣莃苣㎵銂郥肂鯥꺁苣蚁臣カ芀㌳‮룤ꢃ臣龮ꏨꞁ臣膀駦鎖ꓥ開苣뎃菣㒗㐶꾁胣趡꺚蛨钃苣뮂菣颭裥ꊃ苣ꖃ菣ꮃ㐳㈰胣ꢑ돦낕菣ꎂ菣뾂菣뢂菣벃菣㎫〴膀ꧧ鎖苣ꦃ苣뾂菣뢂菣벃菣銂郥뾁臣馁鯥꺁苣蚁臣㎫ㄴ誏臣ꢑ돦낕菣ꎂ菣뾂菣뢂菣벃菣㎫ㄴꢁ胣㎂ꢁ㌠⸵肸菩꺁껥薣臣꾁胣趡꺚蛨钃苣뮂菣颭裥ꊃ苣ꖃ菣ꮃ㐳㈰胣목雩邃菣覃菣릂菣ꎂ菣뾂菣뢂菣벃菣㎫〷膀ꧧ鎖苣ꦃ苣뾂菣뢂菣벃菣㎫‴ㄠ誁苣뎁駦鎖菣뎃菣醃苣閃苣ꮃ苣ꊃ苣ꖃ菣ꮃ鯥꺁苣蚁臣㎫〷芀㜳肸菩꺁껥薣臣꾁胣芙雩覤该ꊂ菣鞃㘴㠴臣膀菣꾂苣ꮃꓦ뮟菣뢂菣벃菣㎫〸膀駦鎖ꓥ開뇦骮菣뢂菣벃菣㎫‸〠誁苣뎁뿤랏蟥蚐菣뢂菣벃菣銂郥肂鯥꺁苣蚁臣㎫ㄸ芀㠳몛뷤뮔菥袃菣뎃苣螃菣벃苣ㆵ㈷꾁胣뮔菥㆏㌷銂苣ꎃ菣膃菣鞁胣龔觧ꚭ髧邃苣뾂菣떂苣뎃苣Ꞃ菣것菣뾂㘴†㤴臣膀铧ꦉ귥蒚菣ꒂ苣ꮃ苣ꒂ菣銂铧邈臣뺁臣㎙㄰螃苣릂菣것苣㒤ㄶꮁ苣ꎁ臣ꢡꓧ閁苣讂臣膀臣龁臣骀뿤떂菣랂苣蚃菣ㆠ‷㘴臣龁臣궟럨ꊛ胩ꆿ苣隃苣릂菣ꂃ㘴㈲臣袂臣ꚁ胩ꆿ臣貂胣릂菣벃苣벃㘴㠱臣袂臣ꚁ駧뎟臣貂苣讁胣뺁臣꾁臣袂臣ꚁ뿤颭臣貂苣閃菣莃苣ꖃ菣ꊃ菣㒪〶芀㰊䐯噉ਾ䐼噉㰾䥄㹖胣邼볯閼볯醀⼼䥄㹖 ꊃ苣ꖃ菣ꮃ臣隻臣뾂苣鞃臣뺁臣膀菣ꮃ菣邃苣뾂菣떂苣뎃苣麃菣袃菣ꦂ菣랂苣蚃菣㒠〶ꮁ苣뎃苣袃菣ꮃ臣讂臣ꢁ臣ꞁ臣뺁臣芀臣貂苣꺁菣뢂菣벃菣꾁胣麃菣膃菣ꒂ苣ꮃ苣ꒂ菣릂菣벃菣閃苣뎃苣릂菣ꂃ㘴〠꺁ꏨꂀ뻥ꮁ뿨ꂊ臣貂苣떂菣覃菣벃菣ꎂ菣뢂菣벃菣ꮁ臣讂臣ꢁ臣ꞁ臣뺁臣芀떂菣覃菣벃菣ꎂꏨꊂ菣ꪃ苣벃苣ꞃ菣꺁뻤ꢁ臣ꚁ臣膀苣벃菣膀鯩鎍胣ꚃ菣蚃苣ꪃ菣ꎂ臣ꦁ臣芁苣뺁臣芀㰊䐯噉ਾ䐼噉㰾䥄㹖胣邼볯隼볯醀⼼䥄㹖 붿諥꺁苣鞃菣놂菣랂菣뎃臣膀菣ꒂ菣것苣趃菣袃菣벃苣㒯〶膀ꏨꦊ⽉떂菣랂苣蚃菣㒠ㄶ膀菣벃苣鶃菣袃㘴㐱苣讻臣ꚁ菣ꮃ菣邃苣뾂菣떂苣뎃苣麃菣袃菣ꦂ菣랂苣蚃菣㒠〶ꮁ菣벃菣馁苣鎁臣貁臣趁臣馁胣궟럨ꊛ胩ꆿ苣隃苣릂菣ꂃ㘴㈲胣뺁臣꾁믤꺁臩螈臣螃菣ꒂ苣떂菣랂苣蚃菣㒠㈶芀苣鞃菣놂菣랂菣뎃苣뎃苣袃菣ꮃ臣鎁臣钟믨Ꞁ臣膀菣ꮃ菣邃苣뾂菣떂苣뎃苣麃菣袃菣ꦂ菣랂苣蚃菣㒠〶꺁ꧦ붃苣鞢諥閁臣膀볥隌臣貂臣ꪂ菣螃菣ꒂ苣龩菨膀胩ꆿ雩ꎀꧦ붃胣뺁臣꾁臣꺁룤릖苣邏뻤鞁뻥讂胣设臣낁胣뮂苣ꖃ苣ꪁ胩ꆿ苣鞃菣놂菣랂菣뎃臣膀鯩邭闥随볥龩菨誁苣뎁臣꺁믤꺁蟩趞迥閼苣膀菣ꮃ菣邃苣뾂菣떂苣뎃苣麃菣袃菣ꦂ菣랂苣蚃菣㒠〶銂铧蒁臣財臣鎁臣銂迥붃臣鞁臣节苣蒁胣₂ਠ⼼䥄㹖㰊䥄㹖䐼噉邀볯閼볯醼胣㲑䐯噉ਾ†菣벃苣鶃菣袃㘴㐱臣膀諥ꖅ胨貁ꓥꢃ菣邃苣릂臣龁臣ꊃ苣ꖃ菣ꮃ苣讻臣ꚁꗥ뾁苣궨껥馁苣鎁臣銂迥붃臣鞁胣薃ꃥ뺁臣꾁菣뢂菣벃菣꺁菣Ꚃ菣궃菣覃苣邏뻤馁苣鎁臣ꮁ苣誂胣麃菣膃菣ꒂ苣ꮃ苣ꒂ菣릂菣벃菣閃苣뎃苣릂菣ꂃ㘴〰臣龩菨銂详떼臣뺁臣芀蓧骷胩ꆿ菣莃菣꾃菣꾂苣讻臣ꚁ믤隤臣麃菣膃菣ꒂ苣ꮃ苣ꒂ菣릂菣벃菣閃苣뎃苣릂菣ꂃ㘴〰胣ꎻ鯦肃苣뎃菣벃菣醃苣꾁胣设臣낁胣鞚迥隌苣벃苣麃菣膃菣ꒂ苣ꮃ苣ꒂ菣릂菣벃菣閃苣뎃苣릂菣ꂃ㘴〰臣뒛軦膀臣龁臣ꎁ臣ꆿꃩꞀ臣颫臣ꆿꃩꞁ臣讂軦骶苣讻臣ꚁ菣벃菣鞁臣膀껥ꢅ臣螃菣ꒂ苣骀뿤銂迦鮾臣讂臣膂臣뾽铧閁苣ꚁ苣袂臣芀㰊䐯噉ਾ䐼噉㰾䥄㹖胣邼볯隼볯醀⼼䥄㹖 螃菣뾂菣벃菣㒈ㄶ꾁胣麃菣膃菣ꒂ苣ꮃ苣ꒂ菣릂菣벃菣閃苣뎃苣릂菣ꂃ㘴〰臣ꖈ臣뎂菣钃菣벃菣ꎂ菣낂菣邃苣릂臣꺁雩꺁菣벃苣骀뿤銂迥붃臣馁苣뮻蓦꺁臩螈臣鶃菣袃臣芁苣蚁苣芀菣벃苣鶃菣袃㘴㐱臣膀苣ꪃ苣ꮃ菣벃菣뺁臣꾁菣ꦃ菣ꮃ菣벃菣銂臣讂臣ꢁ臣ꞁ臣讂胣뒠郥ꮁ苣ꎁ臣꾁胣螃菣뾂菣벃菣㒈ㄶ꾁胣螃菣뾂믨膀臣龁苣꺁菣벃苣ꦃ苣뎃臣膀菣ꮃ菣邃苣뾂菣떂苣뎃苣麃菣袃菣ꦂ菣랂苣蚃菣꺁菣莃菣ꪃ菣㒼㌶銂藥뮛臣讂臣膂臣薅鯩뮛뗦銂迦鮾臣趁苣鮾뗧ꦃ苣뎃苣ꮐ苣喀䉓菣벃菣ꮁ臣讂臣ꢁ臣ꞁ臣뺁臣芀†㘴〰胣ં⼼䥄㹖㰊䥄㹖䐼噉邀볯閼볯鎼胣㲑䐯噉ਾ†鿧鶷鯩骀뿤떂菣랂苣蚃菣₠㘴†㈲꾁胣꾃苣ꒃ菣릂趃菣袃菣벃苣㒯‶苣뾽铧鮁臣ꮁ胣麃菣膃菣ꒂ苣ꮃ떂苣뎃릂菣벃菣閃苣뎃랂苣蚃菣₠㘴〠‰臣낕臣讂苣릂菣ꂃ臣龁臣螃菣ꒂ苣鎖臣骀뿤銂迦鮾臣뺁臣芀㔰设臣낁胣궟럨ꊛ胩ꆿ苣隃苣릂菣ꂃ㘴㈲臣膀뿨鶷鯩骀뿤ꢔ臣꒵ꓥ骷ꏨ꺽臣袂臣ꊖ胩麛럨誁苣뎁菣뢂菣벃菣銂郥뾁臣节苣蒁胣醿럨ꊛ胩ꆿꛨ베臣设臣鞁臣꾁胣꒵ꓥ骷菣벃苣钍볤⢚牉䅄膀求敵潴瑯袼볯覼胣䦁䕅⁅臣讖駧鞁臣₟〸⸲ㄱ閃苣龃菣꺁꣦隺臣ꮐ臣貂臣馁胣ં⼼䥄㹖㰊䥄㹖䐼噉邀볯閼볯钼胣㲑䐯噉ਾ†求敵潴瑯袼볯覼臣膀鯥骮臣袂臣ꊃ菣ꒂ菣螃菣ꒂ苣讁苣궟럨ꊛ⠠卉⁍룥龟臣궟돦랕蓧骷볤膀苣뾽铧⦨ꞁ菣벃苣銂뫤鮏臣膀ꯩ것菣ꮃ臣뮂苣ꖃ菣蚃苣銂若袁臣醃菣붂菣ꮃꢂ菣ꊂ趃菣袃菣벃苣₯䰨乁 苣鲽裦馁苣龁苣꺁菣ꒂ菣것苣肊ꇨ馨뫦ꞁ臣芀胩ꆿ菣뎃菣벃苣ꪃ苣붂菣ꮁ苣ꎁ臣鲽裦閁苣뺁臣龁㔱㐹䈬畬瑥潯桴볯늼볯节臣节臣动ⵓ㌲螃菣뾂苣벃菣ꮃ臣꾃苣ꒃ菣릂믤뾛臣鞁臣莀ꇦ閁苣뺁臣龁胣䊂畬瑥潯桴볯늼볯螤闦꺁菣邃苣릂苣ꖎ뛧ꞁ臣膀郥龜臣辕ꇩ銂藥趜臣趁臣馁胣䊂畬瑥潯桴볯늼볯㊉〴縰㐲㌸㔮䡍⡺苣벃菣邃菣覃苣ꮐ苣⦀臣蒯鯥ꞁ该鲽臣膀룤貕髧ꮁꫨ꾏臣貂臣蒁臣蒁铧궥꟧ꚭ賥芙䤨䵓㈩㐮䡇꺁鿧鶷鯩ꆄ럧ꢑ돦낕룥龟臣開뷤鞁臣馁胣䊂畬瑥潯桴볯늼볯ꢑ돦낕菣莃菣뎃苣ꆋ闦릂菣꾂菣ꮃ臣벑臣貂苣ꆄ럧肊ꇨ銂뷤ꢔ臣ꚁ臣뺁臣芀胩ꆿ臣貂臣螃菣뾂臣醃苣莃菣ꮁ裥늉臣貂胣蒐菣놂菣袃臣螌껥閁苣龁㤷臣蒁臣貂臣ꞁ胩ꆿ臣貂臣馁胣䊂畬瑥潯桴볯늼볯膃菣뎃菣ꮃ胣蒐菣ꎃ菣ꮃ臣꾸鿥薹臣ㆯ䴠穈ꞁ臣芀鳦鶈臣膃菣趃菣꾁곦꺁駦릂臣讖꟥閁苣뺁臣芀㈠〴′䡍⁺臣膀‱䡍⁺苣蚃菣鞃臣肜ꓥ₧㐲〸䴠穈銂뛧骶臣뺁臣芀肜裥꺁菣ꎃ菣ꮃ臣骀룥膀껥財臣뺁臣芀㘱苣肃菣蚃苣隃釥ꊳ闦鮃菣钃菣낂䄨䡆銂鳦릊臣鞁臣뒠郥膀꿦銧〰菣莃菣芀苣ꢁ苣ꢁ苣Ꚃ苣ꢑ돦낕苣閃菣궂菣ꒂ菣낂䜨卆⥋ꓥ뾪臣膀裥ꢔ迥붃臣꾔룤꺁ꓥ뾪雦込臣鞁臣芀臣꺁뻥膀求敵潴瑯袼볯覼⸲⬰䑅膀胏㐯䐭偑䭓臣袂臣㢳偄䭓ꓥ뾪臣膀뫤鮏胦꺁臣讂菣邃苣릂雩ꞁ뷤ꢔ臣讂臣ꢁ苣ꞁ臣뺁臣芀䙇䭓臣龩菨馁苣螃菣ꒂ苣꾁胣ㆁ才瑩猯臣겞雩螃菣뾂菣벃菣貁迥붃臣몟鳦것菣袃䈨⥒菣벃菣ꞁ该鲽臣ꚁ臣讂臣肨苣貂臣蒁臣馁胣ꆋ볥螃菣뾂것菣袃⠠䑅⥒ꢁ臣蚁铧麪臣膀胏㐯䐭卐⁋臣袂臣㢳偄䭓릂苣벃菣銂꣨낿臣讂臣膂臣뾽铧閁苣膀臣貂臣貂㈠䴠楢⽴⁳苣躸臣뺁臣芀臣貂苣꺁䈨誁苣뎁䑅⥒菣벃菣꺁뗧뾁郥辂臣䊛畬瑥潯桴볯늼볯ꆄ럧肊ꇨ꾁胣䊌⽒䑅ꆄ럧趀臣蚈ꇩ閁苣뺁臣芀求敵潴瑯袼볯覼臣膀菣릂苣벃苣것菣隃꟦ꂀ苣膌臣醃苣莃菣₈菣벃苣꺁菣궃菣뎂菣ꞁ臣芀몺臣麃苣뾂菣꾁胣钃苣趃臣肜ꓥ㞧뫤꺁ꗥ랚臣骀뿤ꞁ臣뺁臣芀臣릁臣꺁菣邃苣릂臣麃苣뾂菣꺁駦袨苣놅鳦鞁臣馁胣醃苣莃菣꒺迦꾁胣麃苣뾂菣ꮁ苣ꎁ臣骮뻧閁苣龁鿥겜苣궃菣꾂臣몟臣蒁臣誁苣膀㔴⸲층玼鎖髩芀ꒁ臣꾂菣莃苣蚃苣莃苣꾁㈶‵볎꺁苣궃菣袃苣讧裦鞁臣馁胣㊂ꒁ臣릂菣莃菣貁ㄠ㔲‰볎⁳臣릂菣莃菣骃苣銂꟦邈臣뺁臣芀苣뎃苣ꮃ苣궃菣袃菣놂菣袃臣颍듧ꪁ苣벃苣ꞁ臣膀菣릂苣벃臣뚁闦릂菣莃菣ꞁ胩ꆿ臣膀ꗥ낕苣궃菣袃臣鞏뿤鞁臣馁胣蚀臣膀苣것菣隃臣뚁闦릂菣莃菣ꞁ迥ꆿ臣膀ꗥ낕苣궃菣袃臣膀뿤鞁臣馁胣醃苣莃菣꾁膀膀臣龁臣㖯苣궃菣袃臣랕臣ꞁ臣ꎁ臣节苣蒁臣膀臣릁臣꺁ꃥ袐胣麃苣뾂菣膀뿤꾁臥낕苣궃菣袃臣讖꟥閁苣膀苣것菣隃臣螥闦릂菣莃菣ꞁ胩ꆿ臣貂臣馁胣麃苣뾂菣䊼畬瑥潯桴볯늼볯螃菣ꒂ苣꾁胣钃苣趃菣袃蛥꺁鳦Ꞥ㜠낏臣螃菣ꒂ苣ꢁ胩ꆿ臣趁臣馁ꊂ菣鮃菣꾂뎂菣钃菣벃苣₿菣莃菣꾃菣꾂苣뾽铧鞁臣䊦畬瑥潯桴볯늼볯⦉胣馁臣ꚁ臣螃菣ꒂ苣貁臣꺁鳦Ꞥ胥ꮁ臩馁苣ꢁ臣肨臣뺁臣芀菣邃苣릂臣膀郥辄臣袂臣ꚁ뷥늉苣螈苣뾛臣讂臣ꢁ臣ꞁ臣膀苣것菣隃臣麃苣뾂菣ꮁ臣讂臣ꢁ臣ꞁ臣뺁臣⢙臣ꢁ臣낁胣뮛ꧨ뢁臣ꖎ뛧銂雩讧臣讂菣莃菣뮂菣袃臣膀뿥骁臣节軦骶臣ꒂ菣랂苣벃苣ꢁ臣ꚁ菣릂苣벃臣鞁臣讖꟥閁苣뺁臣貁胣鶁臣貾臣릂菣벃菣銂ꗥ肂ꃥ袐臣芁苣뺁臣⦙胣䊂畬瑥潯桴볯늼볯뎂苣閻꟦꾁胣릉껥꺁菣邃苣릂臣貐駦ꮁꒁ臣钃苣趃菣袃臣麃苣뾂菣꺁뷥늉苣鲞臣鞁胣ꖈ臣钃苣趃菣袃臣릂菣벃菣꺁뷥늉苣鲞臣馁苣궂菣莃苣벃菣莃菣銂뷥邈臣讂臣膂臣膀ꒁ믤誸臣钃苣趃菣袃臣ꖎ뛧銂迦鮾臣뺁臣芀믤辄臣芙苧ꞁ胣螃菣뾂臣麃苣뾂菣ꢁ믤꺁ㄠꒁ臣螃菣ꒂ苣鎖臣ꊻ胩ꞁ臣뺁臣ₙ뮁臣鎂臣뾽铧閁苣ꚁ臣ꪁ臣隃菣벃菣궂菣릂菣₈菣벃菣銂駩辁芀菣릂苣벃臣膀苣覃菣릂賦骮臣讂苣것菣隃菣邃苣릂苣뢁諦鞁臣馁胣骀룥膀菣릂苣벃臣ꦃ苣뎃菣궃菣뎃雦込臣螃菣ꒂ苣鎖苣ꖀ胩ꮁ裥誂鯦袁臣馁胣麃苣뾂菣꾁苣覃菣릂賦骮臣讂苣것菣隃苣뢁諦馁苣꺁臣膀苣것菣隃臣⢯郧隫髧ꮁ臣⦯郥鞏뿤릂菣莃菣ꞁ臨辁臣ꢁ臣ꪁ臣ꚁ臣讂臣ꮁ꿥鞁胣麃苣뾂菣ꞁ臣讂臣ꢁ臣뒥髩ꞁ臣讂臣ꢁ苣誂苣붻臣ꂲ详ꞁ臣芀룤몺臣뒥髩꺁菣릂苣벃臣芁苣鎁臣꾁迥붃臣馁胣螤闦꺁菣릂苣벃臣뒥髩ꞁ臣讂臣ꢁ臣낛鯩ꞁ臣芀迦鮾臣貂苣떂菣鎃苣꺁ꓥ辁求敵潴瑯袼볯覼菣ꦃ苣馃菣袃螃菣뾂苣겅雩鞁臣誂胣ꖎ뛧鎽뫤薀臣䊌畬瑥潯桴볯늼볯螃菣ꒂ苣芀苣궂菣ꪃ菣ꎂ룤꺁郧놔臣覂胣릉껥꺁菣邃苣릂苣趪귨鞁胣릉껥꺁菣邃苣릂臣꺁軦骶苣놨迥馁苣螃菣ꒂ苣銂裥ꆾ臣趁苣袂臣ꮁ臣讂뿥膦臣芁苣뺁臣芀求敵潴瑯袼볯覼菣邃苣릂胣貐駦ꮁ胣䊁畬瑥潯桴볯늼볯ꚃ菣뚂菣꺁믤ꖅ臣鞁臣ꖎ뛧銂ꋧ讫臣趁苣螃菣ꒂ苣⢹臣ꢁ臣낁胣䊁畬瑥潯桴볯늼볯銺臣꺁菣邃苣릂臣蒯鯥薆臣芁苣뺁臣⦙胣₂臣꺁ꯧ袐苣ꎧ뇦馁苣ꮁ臣膀求敵潴瑯袼볯覼臣鲃菣螃苣뎃苣ꢁ釥낁苣讂菣궃苣릂苣뾽铧鞁胣邵郥꾁菣ꊂ菣뎃苣ꢁ釥낁苣讂菣궃苣릂苣骀臣ꚁ뷤邈臣貂臣馁胣骃苣ꪃ菣낂菣궃苣릂臣膀菣뎃菣銂뷤邈臣讂菣벃苣벃臣覂臣릉껥꺁ꛨ花臣袂臣ꚁ菣ꪃ苣벃臣貂臣馁龁臣袁臣膀菣벃苣벃臣躘ꓧ蒚臣₫•摁䉤畬瑥潯桴볯늼볯螃菣ꒂ苣⊹膀臣龁臣骃苣ꪃ菣낂菣궃苣릂臣膀鶈苣ꚁ螃菣ꒂ苣꺁䑉臣뮂苣ꖃ菣蚃苣誸臣꺛髧ꞁ뿥膦臣閁苣讂苣벃菣릂臣ꖎ뛧馁苣ꢁ臣ꮁ蟨開髧ꮁ菣ꪃ苣閁苣뺁臣芀臣貂苣㊉臣꺁苣벃苣꾁胣鶁苣麁苣芰铧ꖎ鷧誁苣뎁룤겈軦袐臣벑臣貂苣芀菣ꊂ菣뎃苣ꮁ臣膀ꓥ辁臣뒠郥膀臣讂꣧ꚺ臣ꚃ菣뚂菣趓뷤貁뿥膦臣馁胣鎁臣ꚃ菣뚂菣趓뷤꾁胣螃菣ꒂ苣꺁䤠⁄苣몢ꫨ馁苣龁苣꺁鿥躤臣ꪁ苣뺁臣芀菣ꊂ菣뎃苣貁귦뢸臣貮뫤馁苣ꢁ胣㊁臣꺁菣邃苣릂雩ꮁ뗧袐臣ꊽ裦閁苣膀臣貂苣꺁㈠ꒁ臣螃菣ꒂ苣꾁胣螃菣ꒂ苣꺁䤠⁄苣몢ꫨ馁苣龁苣ꮁ菣ꊂ菣뎃苣₰菣궃苣릂苣薿ꛨꢁ臣骁臣膀냥ꖝ髧ꮁ鯧銺臣ꖎ뛧ꞁ臣讂苣蚁臣ꪁ苣뺁臣芀뿥膦臣鲿臣ꚁ胣鲃菣螃苣뎃苣ꊖ뿤꾁뻥ꞁ菣벃苣벃臣袂臣ꚁ觥꒙臣讂臣ꢁ臣ꞁ臣뺁臣芀苣궂菣ꊂ臣랂菣鞃菣骃苣ꪃ菣낂匨偓㨩臣貂臣ꆬ臣릖돦ꞁ뿥膦臣馁胣䊂畬瑥潯桴볯늼볯皉⸲膀求敵潴瑯袼볯覼㉶ㄮ螃菣ꒂ苣꾁胣皁⸲‰믤趉臣螃菣ꒂ苣ꢁ臣뢛뫤讁铧ꮁ臣뾁菣겂苣骃苣銂뷤ꢔ臣趁臣馁胣뮂苣ꖃ苣뮃苣뎃菣ꮃ菣骃苣ꪃ菣낂臣겅雩떍髦랏臣ꊽ볥銂뷤ꢔ臣膀룤ꢃ臣뾂苣鞃臣궸雩꺁뫤鎖苣₄䥍䵔뮔鋦ꮁ꿥馁苣늘뻥ꮁ뷥讫臣뺁臣芀卓⁐臣꾁곦꺁觧Ꞁ臣芁苣뺁臣㪙跥ꮁ该鲽臣뺁臣㪙趐觥ꞁꓧ閁苣ꚁ臣讂苣蚁臣膀臣꺁菣붂菣覃臣颍臣開뷤鞁臣馁胣ꚃ菣뚂菣꺁鏦鲽臣薿ꛨ芁苣뺁臣鎂胣龁臣鞁胣螃菣ꒂ苣꾁胣骃苣ꪃ菣낂菣궃苣릂臣몢ꫨ銂菣벃苣벃臣花苣讂ꃥ袐臣芁苣뺁臣芀臣꺁雦閳臣膀胩뢸胣䦁龩菨貁鷩뢸臣邙苣貂臣蒁苣颃菣覃苣莃菣ꞁ뷤ꢔ臣貂胣骀룥膀臣꺁裥邙臣貂臣螃菣ꒂ苣꺁苣莃菣ꞁ菣겂苣벃菣ꊂ菣뎃苣ꮁ뷤ꢔ臣貂苣몛껥ₚ䥐⁎菣ꮂ菣몂菣袂苣节껥ꢅ臣馁胣鎁臣릖돦ꞁ臣膀룤鎖䴨呉⥍鶿귨꺁뫤꾁臣뺁臣鎂胣₂闦ꒀ꿦莼›룤릖臣螃菣ꒂ苣ꮁ菣ꎂ苣鞃菣ꒂ臣芁苣膀菣ꒂ菣ꪃ夠獥丯⁯菣벃苣벃藥鮊苣鞏臣ꖅ苣讂臣ꢁ臣ꞁ臣貂臣膀룤릖臣螃菣ꒂ苣ꞁ闦ꒀ꿦莼苣뾽铧ꞁ臣뺁臣芀臣꺁菣붂菣覃臣膀郥螃菣ꒂ苣ꮁ‶ꇦ꺁闦ꒀ苣벃菣銂ꇨ몤臣뺁臣芀菣벃苣벃臣膀闦ꒀ臣貐룤ꞁ臣讂臣ꢁ苣몢ꫨ馁苣龁苣ꮁ闦ꒀ苣钯볨馁苣薿ꛨ貁臣誂臣馁胣钯볨貁裦龊臣龁ꃥ袐胣ꚃ菣뚂菣꾁藥鮊苣鞏臣ꖅ苣覂苣讂菣邃苣릂룤꺁菣ꊂ菣뎃苣銂ꋧ趪臣讂뿥膦臣芁苣뺁臣芀臣꺁雦閳臣膀菣벃苣벃臣ꆸ雦꺁菣邃苣릂臣몢ꫨ鞁胣龮髩ꮁ꿦莼苣ꦁ裥ꮁ껥財臣讂臣꺻껥鞁臣膀䥍䵔뿤랭苣邏뻤鞁臣馁胣₂菣릂苣벃苣뎃菣ꪃ鎁臣ꆃ苣莃菣꾁胣螃苣릂菣것苣銂賦ꒁ菣邃苣릂臣膀闦ꒀ苣벃菣莃菣ꢂ菣袃菣⢪苣벃菣벃菣ꪁ臣⦩苣膌臣螃菣ꒂ苣膀臣龁臣蚃菣궂菣ꖅ諥銂賦ꒁꒁ臣螃菣ꒂ苣꺁雩ꞁ뷤ꢔ臣讂臣ꢁ臣ꞁ臣뺁臣芀鳦鶈臣놂菣릂臣꾁胣螃苣릂菣것苣銂뷤ꢔ臣ꚁ菣벃苣벃臣㚫膡臣낕胥뎂菣覃苣ꢡꓧ鞁胣鶁臣貾胣궂菣醃菣覃臣뎂菣覃苣ꖅ諥鞁臣馁胣㊂ꪕ鯧꺁苣벃苣ꞁ臣膀郥螃菣ꒂ苣꺁菣벃苣벃臣貐臣ₘ‶ꇦ꺁闧랏苣ꖅ諥鞁臣馁胣ꦁ臣覂臣뒠郥节胣䶁呉鶿귨銂迦鮾臣뺁臣芀룥龟ꓥₖ伨䉏㨩鎁臣릖돦ꞁ臣膀뿨鶷鯩骀뿤₡丨䍆 臣ꦁ臣隤菩骀뿤讉껦銂뷤ꢔ臣ꚁ胣骃苣ꪃ菣낂鞃菣뮂苣ꞁ뷤ꢔ臣貂苣薃ꃥ銂뫤鮏臣뺁臣芀菣ꊂ菣뎃苣꾁胣䊁畬瑥潯桴볯늼볯ꆄ럧貁胣侁䉏菣ꮂ菣몂菣讁苣꺁菦놠苣薿ꛨꢁ臣뺁臣芀臣貂臣袂苣膀住⁂菣ꮂ菣몂菣ꮁ귥ꢜ臣讂䴠呉⁍뿤랭臣것菣ꮃ臣뾁臣邏뻤閁苣뺁臣芀卓⁐臣膀곦꺁郧놔臣覂跥钴臣讦臣閁苣뺁臣芀䥍䵔뿤랭苣薿ꛨꢁ臣ꪁ臣ꚃ菣릂놂菣릂臣꾁胣ꚃ菣뚂菣꺁鏦鲽苣銎駩ꞁ臣뺁臣芀闦ꒀ꿦莼臣뒠郥膀䥍䵔鶿귨꾁胣ꚃ菣뚂菣ꮁ苣讂跥钴臣覭뻤钯볨ꞁ껥뺏臣趁臣馁胣侂䉏銂䙎⁃臣뾽铧馁苣ꢁ胣芙雩꺁臣讁苣鲤蟥鞃菣뮂苣銂뿥膦臣鮁臣ꮁ胣螃菣ꒂ苣貁跥ꮁ뿨ꖁ臣ꢁ臣ꮁ菣ꊂ菣뎃苣貁迥붃臣ꪁ苣뺁臣芀㰊䐯噉ਾ䐼噉㰾䥄㹖胣邼볯隼볯醀⼼䥄㹖 뾽铧궸胣蚃苣릂菣ꆃ菣뮂菣뢂胣뮛귥ꆃ菣ꮃ菣莃苣벃苣膀臣龁臣垯扥菣벃苣肃苣뎃菣벃菣ꪁ臣꺁迥ꆿ뿤랏臣膀胩ꆿ苣隃苣릂菣ꂃ㜱㘴臣袂臣ꚁ蟥蚐臣貂胣ꆃ苣뎃菣궃苣莃苣㒵〶ꮁ藥鮊臣貂苣芀곦ꮁ胣ꆃ苣뎃菣궃苣莃苣㒵〶꾁胣螃苣릂菣것苣㒤ㄶ뺁臣꾁ꏨꦊ⽉떂菣랂苣蚃菣㒠ㄶ뢁臣몇諥ꮁ꿥馁苣鞏뿤ꆿ迥銂蟥蚐臣뺁臣芀諥ꖅ胨꾁胣设臣낁胣궂菣鲃菣覃㘴ㄠ銂菣ꎂ苣鞃菣ꒂ㘴〱臣袂臣뒠郥ꮁ苣ꎁ臣꾁ꏨꦊ⽉떂菣랂苣蚃菣㒠ㄶꢁ뗧뾁郥辂臣ꚁ뷤ꢔ臣ꚁ胣뮛귥ꆃ菣ꮃ菣莃苣벃苣ꪁ臣꺁菣벃苣薠鯧銂꟦邈臣ꚁ苣袂臣芀ꏨꦊ⽉떂菣랂苣蚃菣㒠ㄶ꾁胣뾂菣膃苣꾂菣벃菣膀菣Ꚃ苣膀菣ꦃ菣꾂菣벃菣膀뗨隤럧螌듧鲤蟥ꢙ胣뺁臣꾁该蒚菣뾂菣벊룤龩菨銂若袁臣궃菣ꦃ菣鮃苣벃菣ꪁ臣꺁菣邃苣릂苣ꮐ臣ꚁ苣袂臣芀苣벃菣벃菣㒉‶㘱臣膀ꗥ뺁臣辁臣놋闦鞭苣벃菣벃菣뺁臣꾁鯩놩볥궂菣醃菣覃臣芁苣芀臣ꂁ臣膀믤꺁꣧麡臣궂菣鲃菣覃苣뾽铧ꞁ臣뺁臣芀꟦邈臣貂臣薠鯧꾁胣ꆄ럧趃菣袃菣벃苣㒯〶銂믤鞁臣骀뿤떂菣랂苣蚃菣ㆠ㐷銂믤鞁臣膀뿤閁苣ꚁ苣袂臣芀㰊䐯噉ਾ䐼噉㰾䥄㹖胣邼볯隼볯醀⼼䥄㹖 뎟ꏥ骀뿤꺁ꃥ袐胣麃菣膃菣ꒂ苣ꮃ苣ꒂ菣릂菣벃菣閃苣뎃苣릂菣ꂃ㘴〰臣ꢅ뷤蒚臣開뷤꾁껥ꪳ髧ꮁꇩ벼臣ꚁ臣뺁臣貁胣鞏뿤鞁臣ꆿ迥貁苣钃菣ꮂ菣㒼ㄶꮁ蟥鮊臣貂胣鶼胩꺁臣膂臣ꆿ迥貁菣ꒂ苣㒯‶〲臣袂臣ꚁ铧邈臣貂臣馁胣₂鿩낣菣莃苣벃苣늌鿩떂菣랂苣蚃菣ꪁ臣꺁믤뾛鿩낣臣龁臣ꪂ菣螃苣ꪂ⽉떂菣랂苣蚃菣꾁胣麃菣膃菣ꒂ苣ꮃ苣ꒂ菣릂菣벃菣閃苣뎃苣릂菣ꂃ㘴〰臣龮ꏨ馁苣鎁臣节臣趁臣馁胣뎟ꏥ뺁臣꾁鿩낣뿤랏臣몇諥꾁룤ꮁ苣钃菣ꮂ菣₼㘴㠱銂믤鞁臣財苣貂臣馁臣膀菣ꎂ苣鞃菣ꒂ㐠ㄶ‰臣膀胩놩鯧讉臣₮䑉胣뎟ꏥ꺁賦骶駦鎖臣ꦁ臣붿諥薃ꃥ銂迦鮾臣讂臣膂臣节뷤ꢔ臣趁臣馁胣뎂菣ꮃ胣뺁臣꾁臣꺁믤꺁鿩낣胩놩雩ꎀ菦놠胣ં⼼䥄㹖㰊䥄㹖䐼噉邀볯閼볯鞼胣㲑䐯噉ਾ†뎛㜴臣膀껥薣臣鎾臣ꚁ胣붂菣莃菣릂菣벃菣뮔菥袃菣뎃苣螃菣벃苣㒵〷꺁菣궃菣꾂鯥ꞁ臣讂胣₂苣ꪃ菣覃苣蚃菣袃铧较菣ꦃ菣릂菣ꖃ菣떂㜴〰臣膀ꓥ낕臣覅鯩ꂴ귥膀⹡畳⹢⸱苣ꮐ苣芀畳⹢ⰱ愠献扵㈮⸮畳⹢ⰱ⸠Ⱐ⹡畳⹢湭‬裥뮂苣ꆃ菣袃뷥込臣ⲧꊻ胩늂菣袃吠ㅇ‬䝔ⰲ⸠⸠Ⱐ吠湇臣膀黥뒛苣閃菣것苣릂苣嚿ㅓ‬卖ꮁ铧较뿤랏臣鞁臣讀胣꺁藥뮛듧邭臣베듧閁苣龁鯩랍苣ꊻ胩馁苣龁苣꺁裥ꆾ菣ꮃ苣嚹献扵켮傆臣鲿귧鞁臣馁嘬ㅓ‬卖ⰲ룧랂菣袃菣뢂苣뾂卖臣覂铧较뿤랏苣ꊻ胩馁苣龁苣꺁냦뎹苣閃菣것苣릂苣䢿膀菣莃菣ꆂ苣뎃菣㊗銂믤鞁臣몇迥㊣ꮁ胣ㆂ菣것菣ꂃ铧较뿤랏臣베듧閁苣讂臣膀铧较뿤랏臣醃菣릂⹖畳⹢蛏ꮁ苣ꎁ臣芞鯧랂菣袃菣뢂苣뾂臣ꊻ胩閁苣膀黥뒛苣閃菣것苣릂苣嚿꺁蛥릮臣膀룤ꎀ臣뚈뻥醃菣릂⹖畳⹢ㅖ臣鲿귧鞁臣誸郥趁臣ꊻ胩閁苣膀⹖畳⹢蛏㉖ꎀ뛧馁苣㊋臣꺁黥뒛믨馆裥ꆾ菣ꮃ苣鎖臣芙雩鎖髩꺁雩ꮁ胣뒰맥랂菣袃菣뢂苣뾂午臣肸胩꺁裥ꆾ菣ꮃ苣嚹献扵臣鲿귧馁苣芀蛏ㅈ胣嚁献扵켮䢆꾁胣뎛㜴臣몤臣袂臣ꮁ胣蒐ꇨ꺁ꇨ꺁銂ꇨ钁臣ꮁ迥ꮁ믨膀臣讂胣₂臣꺁뗧鲞胣ㆁ菣것菣ꂃ铧较뿤랏臣膀臣꺁苣蚁臣蚠뫥ꞁ胥薀臣覅鯩ꂴ귥꺁蟥鮊苣궪臣몇臣鎁臣ꮁ苣ꎁ臣ꊽ裦閁苣讂胣ં⼼䥄㹖㰊䥄㹖䐼噉邀볯閼볯颼胣㲑䐯噉ਾ†鯥㒳꾁胣龮雦ꮁ뿤讂蓧骷胩ꆿ苣隃苣릂菣ꂃ㜱㘴臣隃菣莃苣뎛臣芁苣芀蓧骷胩ꆿ苣隃苣릂菣ꂃ㜱㘴臣膀迥ꆿꧦ㒟〸膀胩ꆿꧦ㒟‸㈰胣ꪁ苣뎁臣ㆫ臣ꖻ룤꺁鿥膂뻨뾁臣龁臣ꊂ菣蚃菣㒊‸㐰臣ꦁ臣ꊖ胩뎂菣鶃菣趃菣袃苣ꮐ苣芀㠴㘰胣궃菣ꮂ菣몙賦ꢙ궃㐩‸〠膀臣袂臣螃苣뾂菣ꆿ迥鞃菣뮂菣떂䐨偓㐩ㄸꪁ臣꺁蟥蚐菣뢂菣벃菣芀†蓧骷胩ꆿ苣隃苣릂菣ꂃ㜱㘴臣릉껥꺁껥薣臣膀菣邃苣ꮃ菣邃苣릂臣開뷤馁苣鎁臣銂蓦뎛臣ꚁ臣讂蓧骷菣莃菣꾃菣꾂㠴㔰臣骀뿤鞃菣袃苣ꮃ臣鶾귥馁苣芀臣龁臣ꎁ臣膀껥붖臣뎛臣몤臣貂苣鎁臣銂郧ꎧ臣릁臣ꞁ臣讂胣㒂꾁룤设臣鞁臣꺁臣龩菨鞁臣馁胣麃菣膃菣ꒂ苣ꮃ苣ꒂ菣릂菣鮃苣릂菣ꂃ㐴꺁뻤ꢁ臣ꚁ臣膀菣ꮃ菣邃苣뾂菣떂苣뎃苣麃菣袃菣ꦂ菣랂苣蚃菣㒠〶膀鯥㒳㠭臣袂臣㞳㤭臣麃菣膃菣ꒂ苣ꮃ苣ꒂ菣릂菣벃菣閃苣뎃苣릂菣ꂃ胣薣뷧貁賦銁苣貂苣芀뷤꺁苣ꊂ룦ꚺ㜱㈭膀ꓥ開ꋥ薹鯥꺁ꏨ꺽苣ꢎ껥馁苣芀〳㌭ꢁ菣ꮃ菣邃苣뾂菣떂苣뎃苣麃菣袃菣ꦂ菣랂苣蚃菣㒠‶〰胣₂蓧骷菣莃菣꾃菣꾂㠴㔰臣设臣鞁臣꾁胣뎛룤꺁菣莃菣꾃菣꾂㘴㔰臣馌臣貂苣芀㘴ਮ⼼䥄㹖㰊䥄㹖䐼噉邀볯閼볯馼胣㲑䐯噉ਾ†蓧骷菣莃菣꾃菣꾂㠴㔰苣讻臣ꚁ苣뎃菣誃㠴〠ꮁ苣ꎁ臣鞏뿤閁苣龁뿤랏臣膀迥ꆿꧦ㒟〸ꮁ藥鮊臣貂胣ꆿ迥鞢맥膀釥ꊳ闦肃苣뎃ꓥ鮏臣ꦁ臣肸裨蒚臣鞏뿤龩ꧦ붃苣龮ꇨ馁苣꾏菨Ꞁ臣芁苣膀菣ꎂ菣뾂菣뎃苣膀菣ꎃ菣趃菣뢁諦膀苣誃菣낂臣覂菣뢂苣ꮃ䄨䐯覤迦銂ꇨ蒁臣馁胣鞏뿤ꆿ迥꺁⽁覤迦ꮁ苣誂胣䒁偓㠴ㄠꞁ뻥뾪苣ꦾ迥ꎧ駩ꪁ臣꺁苣誂ꓨ醛臣骀뿤龩菨銂껥財臣趁臣馁胣₂貐꟦꺁雦閳臣膀胩ꆿ臣貂苣ꆿ迥꾁胣覤ꫨ誁苣뎁곧랏賥銂郥肂胣䒁偓㐠ㄸꮁ苣ꎁ臣ꚇ郧閁苣讂胣鎁苣覂臣䒮偓蟥蚐뿤랏臣膀菣뢂苣ꮃ臣覂苣誃菣낂䐨䄯覤迦膀釥ꊳ闦ꊂ菣鞃ꓥ鮏胣閃苣ꮃ苣ꪃ菣낂胣鞢맥誁苣뎁蓧骷菣莃菣꾃菣꾂㠴㔰苣讻臣ꚁ볤膀铧꺁胩ꆿꧦ㒟‸㈰臣ꖅ諥閁苣뺁臣芀苣뎃菣誃㐠〸⸶卄⁐㐠ㄸ꾁胩ꆿ뿤랏苣ꚇ郧馁苣ꂁ臣ꞁ臣辁胣鞏뿤龩臣膀뿤龩裥ꆾ臣节迦鮾臣뺁臣芀뻤袁臣膀迥ꆿꧦ㒟〸誁苣뎁胩ꆿꧦ㒟〸꺁胩ꆿ뿤랏臣ꦁ铧閁苣讂苣ꒂ菣꾁胣䒁偓㐠ꮁ껥薣臣貂臣ꪇ该늂苣뎃裥ꆾ苣ꮃ苣ꪃ苣ꂃ苣讻臣ꚁ臩鲿髧ꮁ裥ꆾ臣貂뻥讂胣₂†〱㰊䐯噉ਾ䐼噉㰾䥄㹖胣邼볯鞼볯醀⼼䥄㹖 麃菣膃菣ꒂ苣ꮃ苣ꒂ菣릂菣벃菣閃苣뎃苣릂菣ꂃ螤闦⦰〱ꢁ菣ꒂ菣것苣趃菣袃菣벃苣㒯〸꺁雩꺁菣ꒂ菣것苣ꪃ菣꾂臣꾁胣ㆁ臣ꖻ룤꺁闧ꪁ苣膃菣趃菣膀胩뢸臣낕臣讂䙒菣ꎃ菣趃菣膀臣袂臣麃菣膃菣ꒂ苣ꮃ苣ꒂ菣鎖臣뾽铧閁苣讂雩ꎀ菣궃菣뎂菣銂郥膂苣鎁臣貁臣趁臣馁胣릂菣벃菣閃苣뎃苣릂菣ꂃ猨ㄩ㐰臣ꆄ럧趃菣袃菣벃苣㒯〸芀䙒菣ꎃ菣ꮃ臣膀胩뢸胣ꢅ뷤蒚臣꾸鿥薹臣뚈駩ꢁ菣ꮃ菣邃苣뾂菣떂苣뎃苣麃菣袃菣ꦂ菣₳苣릂菣ꂃ臣邙苣貂臣邃菣蚃菣뮛諥貁軥ꂛ臣膀뿤颭臣讂뿥膦臣芁苣邙苣貂臣ꪃ苣벃苣ꞁ臣㆙㐰胣ં⼼䥄㹖㰊䥄㹖䐼噉邀볯閼볯醼胣㲑䐯噉ਾ†菣ꮃ菣邃苣뾂菣떂苣뎃苣麃菣袃菣ꦂ菣랂苣蚃菣⢠ꓨ낕ㄩ㐰臣貮藥ꮁ该鲽臣ꚁ臣讂ꃥ袐胣膀뿤龩㠴㈰臣骀룥膀菣ꒂ菣것苣趃菣袃菣벃苣㒯‸㔰臣膀뿤鞁臣蒁苣ꢁ臣ꮁ臣뾁苣벃苣ꪂ菣뺁臣꾁苣뎃臣鞁胣鶁苣ꖻꓥ꺁ꃥ袐臣ꪃ苣벃苣銂꿧蒴臣뺁臣芀郥颧臣膀迥ꆿꧦ㒟〸꾁胣螌껥閁苣龁鳦鎖룤ꮁ뿤랏臣龁臣薃ꃥ銂迥ꆿ臣讂臣膂臣鞏뿤龩㠴〰臣薿ꛨꮁ臣讂臣ꞁ胣뮛諥銂꿧蒴臣讂臣膂臣骮鳦蒚臣ꪂ菣ꮁ臣ꎁ臣蒁苣芀㰊䐯噉ਾ䐼噉㰾䥄㹖胣邼볯鞼볯醀⼼䥄㹖 倠前ㄠ㌰臣膀卄⁐㠴〱꺁菣ꒂ菣₳菣궃苣莃苣㒵〶′臣覂菣ꒂ菣것苣骀뿤떂菣랂苣蚃菣ㆠ㐷ꮁ苣ꎁ臣鞏뿤閁苣膀苣뎃菣誃苣讻臣ꚁ菣ꒂ菣것苣₹菣莃菣꾃菣꾂㠴㔰ꮁ胩ꆿ臣貂臣馁胣鞏뿤龩㠴〰臣㒮‸㐰胣ં⼼䥄㹖㰊䥄㹖䐼噉邀볯閼볯鎼胣㲑䐯噉ਾ†鯥㒳꾁胣龮ꏨꮁ뿥颁臣膀菣ꮃ菣邃苣뾂菣떂苣뎃苣麃菣袃菣ꦂ菣⢳噍릂菣벃菣閃苣뎃螃菣ꒂ苣㒹〹꺁菣궃菣꾂鯥ꞁ臣芀噍⁓苣麃菣袃菣ꦂ菣₳㤴〰꾁胣뎛㐠꺁䴠卖릂菣벃菣閃苣뎃㐠㐰꺁ㄠꒁ臣龮ꏨꞁ臣芀†噍릂菣벃菣閃苣뎃㤴〰臣膀苣뎃苣鞃菣뎃菣麛럨몟鷦⢿䍐⥂㤴〠銂郥肂胣₂苣뎃苣벃䍐⁂㐠〹꾁胣醿軦뮂菣떂㤴†㐰胣㒁‹〠誁苣뎁㤴†㠰胣誁苣뎁룦ꚺ苣뎃苣벃㤴ㄠ膀苣벃菣閃苣벃苣릂菣뎃苣㒺銂郥肂㈱苣ꆃ菣뮂菣떂㤴†㐱迥뎁藧躘駧覅菣ꒂ苣벃菣⢉䕌⥄㤴†㘱臣趉臣芀醿軦뮂菣떂㤴㐰胣㒁‹㘰臣袂臣㒳〹貁菣ꒂ苣궃菣궃苣莃苣㒵꺁鳦鶈臣䦮猼灵砠汭獮樺㵰栢瑴㩰⼯睷⹷灪⹯潧樮≰㈾⼼畳㹰鶃菣袃㤴㠱臣鲽该꾏菨ꮁ뗧袐臣貂苣₋〲麃苣꾂菣鞃菣뮂菣떂㤴〲臣肸뻤꾁胣꾂苣ꮃ苣ꂃ苣誃菣鞃菣ꦃ苣뎃菣ꒂ苣궃菣궃苣莃苣膃菣鞃苣莃菣ꞁ臣芀ꦸ뫥뮂菣떂㤴〱臣膀菣ꒂ苣궃菣궃苣莃苣㒵㰹畳⁰浸湬㩳灪∽瑨灴⼺眯睷樮潰朮⹯灪㸢〲臣견䤲䌲⼼畳㹰菣벃菣㒈㈹ꮁ该鲽髧ꮁ뗧袐臣貂苣芀㱉畳⁰浸湬㩳灪∽瑨灴⼺眯睷樮潰朮⹯灪㸢㰲猯灵䌾辦ꃦ꾁胣閃苣ꪃ菣鞃苣뮂菣뎂菣肃苣뾂菣₼뺏丠偘뮂菣뎂菣肃苣뾂菣⦼貁雩몙臣龁菣ꮃ菣麃苣뾂菣膀菣ꮃ菣릂菣벃菣膀苣뎃苣ꮃ苣뎃菣꺁苣ꪃ苣ꮃ뎂菣钃菣벃苣₿菣릂臣膀뷤龀臣ꢑ뻨₺䍉苣鞃菣뮂菣떂臣袂臣麃苣꾂菣뎂菣袃菣벃菣ꮁ軦骶臣뺁臣芀鿧鶷鯩膀菣벃菣薆胩ꆿ胣₂苣ꆃ菣뮂菣떂㤴㐱臣膀菣ꒂ苣궃菣궃苣莃苣㒵㈹꺁䥍䥐菣벃菣㒈‹㐲臣開뷤蒚臣邵郥閁苣讂胣䶂偉辦ꃦ꾁胣䶁偉辦ꃦꮁ苣ꎁ臣骮뻧閁苣膀菣릂苣뾂苣Ꞃ苣膀菣ꖃ菣뢂菣벃苣벃럥꺁䥍䥐苣ꦃ苣ꊂ菣릂ꓧꮁ苣ꎁ臣骮뻧閁苣ꚁ臣뺁臣芀䴠偉⁉菣벃菣㒈㈹‴苣䶂偉⁉䝒⁂菣ꪃ菣뢂㐠㈹‶臣開뷤蒚臣邵郥閁苣膀䥍䥐删䉇隃菣莃苣₸㤴㘲꾁吠呆ꮂ菣벃臣ꦁ臣螃苣릂菣것苣₤菣邃苣릂㤴㠲臣開뷤蒚臣邵郥閁苣뺁臣芀㈨㠮苣뎃菣⦁苣ꢡꓧ鞁臣馁胣ꞅ飦䲎䑅㤴ㄠ꾁胣麃苣꾂菣鞃菣뮂菣떂㤴〲臣醃菣릂맥覤ꫨꢙ倨䵗㐩‹㌠ꮁ뷤開迥붃臣邵郥閁苣讂胣傂䵗†㤴〳臣뺁臣ꚧꛨꊃ菣뾂菣㒼㌹ꮁ뷤開迥붃臣邵郥閁苣讂胣₂菣ꒂ苣궃菣궃苣莃苣㒵㈹꾁臣龁假佉菣벃菣㒈㌹膀假佉菣벃菣㒈㌹꾁胣蚛ꧧ麛럨뺁臣꾁苣뎃菣ꖃ菣뾂菣벃菣誸臣躱铧钃菣ꞁ臣讂뇦ꢔ髧ꪁ藥몇諥ꞁ臣讂胣開뷤⢜假佉鶃菣袃㤴㐳貁藥鮊菣뎃臣龁臣몇諥钃菣ꞁ臣讂臣ꦁ臣讁臣ꦁ 臣膀껥財駦ꮁ菣ꒂ苣궃菣궃苣莃苣㒵㈹‰臣袂臣ꚁ裥ꆾ迥붃臣馁胣₂䜠䥐鶃菣袃㤴㐳臣膀蛨궂菣醃菣覃㌨鲃苣뎃ꪁ臣꺁苣벃菣벃菣㒉㌹ꮁ该鲽髧ꮁ뗧袐臣貂臣蒁臣馁胣₂菣ꒂ苣궃菣궃苣莃苣㒵㈹꾁臣龁胣ꪂ菣螃苣ꪂ苣벃菣莃苣㒯㌹ꮁ该鲽髧ꮁ뗧袐臣貂胣릂菣벃苣벃㤴〴臣開뷤蒚臣邵郥閁苣讂胣₂菣ꒂ苣궃菣궃苣莃苣㒵㈹꾁臣龁胣傁䉃苣뎃菣誃臣骀뿤馁苣鎁臣貁臣趁苣䊋畬瑥潯桴볯늼볯骀뿤鶃菣袃㤴㈴臣垨䙩袼볯覼胩ꆿ菣벃菣㒈‹㐴苣ꮐ臣뺁臣㒙㐹芀†菣ꒂ苣궃菣궃苣莃苣㒵㈹꾁臣龁胣麃苣꾂菣厭릂菣莃菣⢈菣邃菣낂铧⦨胣閃菣莃苣ꖃ菣ꊃ菣ꚃ菣莃菣㒈㔹膀䑄㍒菣뎃菣ꂃ苣꾂苣릂菣ꊃ菣ꚃ菣莃菣㒈‹㈵臣袂臣麃苣꾂菣喭䉓菣벃菣ꮁ该鲽髧ꮁ뗧袐臣貂臣蒁臣馁㐠㔹‴螃菣莃苣ꢔ芀麃苣꾂菣喭䉓菣벃菣㒈㔹꾁胣뮛鳥것菣ꮃ臣邃菣蚃菣뮛뫦⾐껧蚐苣뎃菣벃菣뎃菣㒈㔹ꮁ该鲽髧ꮁ뗧袐臣貂臣蒁臣馁胣₂菣莃菣ꪃ鯩邺ꆮ郧뎂菣鶃菣趃菣袃㤴㠵臣膀菣莃菣ꪃ㤴〶臣開뷤蒚臣邵郥閁苣膀臣貂臣薅鯩ꢙ苣趃苣뾂㤴㘠ꮁ该鲽髧ꮁ뗧袐臣貂苣芀㰊䐯噉ਾ䐼噉㰾䥄㹖胣邼볯鞼볯醀⼼䥄㹖 뎛〵㔭꾁胣龮ꏨꮁ뿥颁臣膀菣ꮃ菣邃苣뾂菣떂苣뎃菣ꎂ菣겂菣ꮂ菣꺁꟦薀臣鎃菣벃臣뎛鷩ꞁ臣芀鯥꺁匠佰′苣隃苣릂菣ꂃ㔠〰⸲〵㕾‷臣膀灓㉏떂菣랂苣蚃菣₠ㄴ‸臣肸뻤ꞁ臣芀洠䱄뮂菣떂㜵㈰臣膀鯥㢳臣뎛ⴵ膀㐸誁苣뎁㐸꺁菣ꮃ菣邃苣뾂菣떂苣뎃菣ꎂ菣겂菣ꮂ菣㖕㘰臣貐臣ꞁ臣誂胣誁苣뎁뺁臣꾁㜱㈴臣芁苣芀㰊䐯噉ਾ䐼噉㰾䥄㹖胣邼볯鞼볯醀⼼䥄㹖 뎛㠵臣膀껥薣臣鲿臣ꚁ胣麃菣膃菣ꒂ苣ꮃ苣ꒂ菣⢳噍⥓苣麃菣袃菣ꦂ菣랂苣蚃菣㖠〸꺁菣궃菣꾂鯥ꞁ臣讂胣䶂卖苣麃菣袃菣ꦂ菣랂苣蚃菣㖠〸ꮁ臣膀噍릂菣벃菣閃苣뎃菣邃苣릂㠵㈰臣䶨卖菣ꎂ菣겂菣ꮂ菣릂菣벃菣閃苣뎃苣꾂苣떂菣벃䴨卖䍆䅓㔩‸㐰臣㊮臣꺁胩ꆿ뗧袐菣邃苣릂臣ꮐ臣貂臣蒁臣馁胣₂噍릂菣벃菣閃苣뎃菣邃苣릂㠵㈰臣膀鯥㚳膀鯥㒳臣䶮卖匠菣벃菣閃苣뎃〴膀鯥㖳臣袂臣䶳卖臣誁臣讂噍릂菣벃菣閃苣뎃〵꺁鷩ꖎ꟨銃菣麃菣膃菣ꒂ苣ꮃ苣ꒂ菣螃菣ꒂ苣㚹〹꺁ꒁ臣龮ꏨꞁ臣讂鯥꺁苣麃菣袃菣ꦂ菣㒳〹芀㤴䴮卖䍆䅓††㠵〠꾁胣뎛膀噍䙓千⁁〵꺁鯥㊳胣䶁卖䍆䅓臣麃菣膃菣ꒂ苣ꮃ苣ꒂ菣閃苣뎃苣벃苣閃苣麃菣袃菣ꦂ菣ꊂ苣뮂苣ꪃ菣⢼噍䙓千⥁臣ㆮ臣꺁껥薣臣馁胣뎛ꞁ〶膀鯥㞳臣䶧卖䍆䅓〷芀噍릂菣벃菣閃苣뎃苣릂菣ꂃ㠵〰胣䶁卖䍆䅓†㠵㐰臣袂臣䶳卖苣麃菣袃菣ꦂ菣螃菣ꒂ苣㖹‸〠꾁胣麃菣膃菣ꒂ苣ꮃ苣ꒂ菣궂菣鞃菣ꎃ苣릂菣ꂃ螤闦⦰〱꺁뻤ꞁ臣讂胣䶂卖苣麃菣袃菣ꦂ菣螃菣ꒂ苣㖹〸꾁胣䶁卖苣麃菣袃菣ꦂ菣랂苣蚃菣㖠〸薆臣馁臣ꚁ臣떂菣벃菣閁苣ꚁ臣讂苣뎃苣벃臣覂铧螃菣뾂苣궂菣鞃菣ꎃ胣鶿귥膀苣꾂苣鶃菣袃臣뺁臣芀藥鎽髧ꮁ臣膀噍릂菣벃菣閃苣뎃菣邃苣릂㠵㈰臣膀噍䙓千⁁㠵㐰苣讻臣ꚁ菣ꒂ苣ꮃ苣ꒂ菣銂諦몇臣膀菣ꒂ苣ꮃ苣ꒂ菣銂ꇨ몤臣膀菣ꒂ苣ꮃ苣ꒂ菣銂菣ꊃ菣袃苣벃菣醃菣蚃苣膀菣隃胣隃菣莃苣覭臣蒁臣貂臣ꮁ믨膀臣뺁臣芀菣邃苣릂菣趃菣뢂菣膀臣龁臣ꪃ菣벃菣䖈前䠯剅薗駩랂苣蚃菣뺁臣꾁臣꺁믤꺁苣벃菣醃菣蚃苣꺁菣벃苣ꮃ臣龁臣꾂菣Ꚃ菣馃菣릂臣랂苣蚃菣ꮁ鯧ꖎ軦骶臣뺁臣芀噍릂菣벃菣閃苣뎃苣릂菣ꂃ㠵〰臣膀闧ꪁ苣겸껥릖돦ꢁ諦鎡苣떂菣벃菣馁苣钟믨ꪁ뫤鎖臣邃苣뾂菣떂苣뎃룦骮雦閳苣邏뻤鞁臣馁胣䶂卖臣릂菣벃菣閃苣뎃苣릂菣ꂃ㠵〰臣몺雩꺁铧붑뻥馀臣뎂菣꾂苣ꞃ菣꺁臣膂臣ꢇ뫥궨껥ꞁ뷤ꢔ臣讂臣ꢁ臣ꞁ臣讂胣ં⼼䥄㹖㰊䥄㹖䐼噉邀볯閼볯隼胣㲑䐯噉ਾ†噍䙓千㕁〸ꮁ臣膀噍䙓千⁁㠵〠ꮁ鯥骮臣貂臣螌苣뎃苣벃苣뮂菣隃菣⢪卆⥁㠵†〠貁郥뺁苣ꚁ臣誂胣뎛꺁迥誂鯦袁迥붃臣随苣隤臣꾏菨ꞁ迥誂ꓥ鞁迥붃臣麃菣膃菣ꒂ苣ꮃ苣ꒂ菣閃苣뎃苣벃苣閃〴ꞁ臣ꪁ臣膀鯥㖳臣麃菣膃菣ꒂ苣ꮃ苣ꒂ菣閃苣뎃苣벃苣閃〵꾁胣뎛꺁菣ꮃ菣邃苣뾂菣떂苣뎃菣ꎂ菣겂菣ꮂ菣㢕〰胣뎛꺁菣ꮃ菣邃苣뾂菣떂苣뎃菣ꎂ菣겂菣ꮂ菣㖕〰ꞁ臣讂胣㖂⸰卆⁁㔠〸꾁偐뮂菣떂菣㢼㘰臣袂臣醰臣辁臣节ꒁ臣涮䱄뮂菣떂菣㢼㐴臣袂臣⾳臣龁臣㢯㘴苣ꮐ苣ꞁ臣讂胣䚂䅓†㠵㘰臣膀苣ꊂ菣ꒂ菣⢳鯥㒳臣㒮㠰臣ꦁ銂郥肂菣ꎂ菣겂菣뮂菣떂菣놂菣隃菣⢫卆⥃㠵〠ꮁ苣ꎁ臣開諥銂룤袁苣貂胣䶁卖䍆䅓臣목냦ꢂ菣뢂菣㖳㜰臣袂臣ꚁ该鮊苣躸臣覂苣讂胣螌鳥ꮂ菣㢕〵臣ꮂ菣肆菨銂蛨覂臣鮁苣목냦Ꞝ苣邏뻤馁苣㖋〸誁苣뎁臣꺁ꧧ鞰鳥꺁裥ꆾ铦몇胣₂㰊䐯噉ਾ䐼噉㰾䥄㹖胣邼볯鞼볯醀⼼䥄㹖 肸菩꺁껥薣臣꾁胣䚁䅓㠵臣袂臣ꚁ뷤ꢡ鷩ꦸ뫥貁迥蚛臣袂臣ꆮ郧閁苣讂卆⁁㠵㘰臣놵郥閁苣龁뗨隤럧螌룦ꚺ苣뎃苣㖵㠰臣袂臣ꚁ뫤鎖臣鎽ꇨꊝ룦ꚺ苣龄鿧閁苣뺁臣芀㘰㰊䐯噉ਾ䐼噉㰾䥄㹖胣邼볯鞼볯醀⼼䥄㹖 肸菩꺁껥薣臣꾁胣䶁卖苣麃菣袃菣ꦂ菣螃菣ꒂ苣㖹〸膀噍䙓千㕁〸誁苣뎁卆⁁㔠‸㘰臣钍ꫨ鞁臣開뷤馁苣ㆋ鯥꺁鏦鲽臣馁臣ꚁ臣邃苣뾂菣떂苣뎃苣겸껥馁苣龁苣ꮁ胣颍룤떮髩꺁룦骮菣궃苣릂臣薿ꛨꞁ臣芀臣讁臣膀룤ꢃ臣龮ꏨꞁ臣膀噍䙓千⁁㠵㐰臣䚌䅓㔠‸㘰苣骀臣ꚁ臣辁臣讁臣趇ꛨꪁ藥馀苣겸껥馁苣㊋껦躚臣겸껥鞃菣뮂苣貁껥財臣貂胣견떮髩ꞁ臣鎽ꇨꊝ룦ꚺ臣겸껥閁苣뺁臣芀噍릂菣벃菣閃苣뎃菣邃苣릂㠵㈰臣꒵ꓥ骷賦ꦸ뫥뮂菣떂〵銂믤鞁臣芀†뗨隤럧螌룦ꚺ苣뎃苣㖵㠰臣ㆮ臣꺁껥薣臣膀鯥궸臣螃苣뾂菣꒵ꓥ骷苣뎃苣㊵〲ꞁ臣讂胣㊂⸲㰊䐯噉ਾ䐼噉㰾䥄㹖胣邼볯鞼볯醀⼼䥄㹖 䴠卖䍆䅓㠵㐰臣㊯臣꺁룤膦臣ꊃ菣覃胣겸껥銂迥讂뫤膀苦薀臣龁臣ꪂ菣것菣뾂臣몟臣辁鏦鲽臣ꊃ菣覃臣鲽该馁苣芀ꒁ臣ꊃ菣覃臣膀苣骃菣벃苣貁噍릂菣벃菣閃苣뎃菣邃苣릂㠵㈰苣讻臣ꚁ噍䙓千⁁㔠〸銂鏦鲽臣膀裥꺁뫤鎖臣趇ꛨꪁ곧랏룦骮臣뮂菣袃苣随苣ꪂ菣것菣뾂菣벃菣ꞁ臣芀苣骃菣벃苣꾁胣骀룥膀蟨誺苣뾂菣閃臣龁臣ꢜ껥讻귨薀臣馁胣㊂ꎂ胨貁噍卓苣麃菣袃菣ꦂ菣薣뷧㖮〸銂믤鞁臣䶦卖䍆䅓†㠵㐰苣뾽铧鞁臣ꪇ裥ꪇ뫨꺁蟩膦臣뒾胥겸껥꺁苣莃菣銂迥讂苦薀菣벃菣芀臣辁臣讁臣龮ꏨꞁ臣膀噍䙓千⁁㠵㐰臣ꎂ胨誁苣뎁苣骃菣벃苣꺁臣膂臣뮸ꛨꪁ룦骮菣벃菣꺁룤릖苣邏뻤馁苣芀룦骮꿥ꆱ臣몺雩꺁룤ꪁ룦骮ꃩ龟臣膀⤱럥讉胣몺럥鞁賦膀룤螌胣㊁뎏触膀뫤꺷臣螌胣궸賦膀臣袂臣㎳몺雩꺁ꇩ꺁룦ꚺꦸ뫥銂껥財臣讂臣꾁噍릂菣벃菣閃苣뎃菣邃苣릂㠵㈰臣薿ꛨ⦁臣芁苣芀룦骮芀噍䙓千⁁㠵㐰臣몐룥ꢔ胣붻蟩膀触膌臣讞胣馁臣ꚁ臣趓뷤낒ꋥ꺁鏦鲽臣견룤誁苣뎁뫤ꆬ菣벃菣ꞁ뷤蒁苣馁臣芀㰊䐯噉ਾ䐼噉㰾䥄㹖胣邼볯颼볯醀⼼䥄㹖 薗駩趃菣袃菣벃苣뢁臣놵郥꺁ꓨ醛臣Ꞁ돨銂胨袁苣ꢁ胣肸菩꺁껥薣臣꾁胣肸菩꺁껥薣臣꾁胣䶁卖䍆䅓㔠〸ꮁ臣떂苣袃胩ꆿ苣뎃菣ꦃ苣袃菣꾂菣ꎃ臣ꮐ臣貂臣鮁臣膀迥蚛臣貂臣螃菣뾂邃苣뾂菣떂苣뎃貁噍䙓千⁁㠵㐰꾁胣喁䉓鶃菣袃㔠㈲銂믤鞁臣膀臣龁臣₯噍䙓千⁁㠵〠‴臣뾌藥閁苣讂唠䉓Ꞥ껥辇꣨뚆ꏨ꺽苣讻臣ꚁ胣뺁臣꾁噍䙓千⁁㔠〸‴苣Ꞥ껥辇꣨뚆ꏨ꺽蟨鎽臣鞁臣₦䍐랂苣蚃菣ꮁ鯧ꖎ軦骶臣讂臣ꢁ臣袂臣ꚁ뷤ꢔ臣뺁臣芀㰊䐯噉ਾ䐼噉㰾䥄㹖胣邼볯颼볯醀⼼䥄㹖 䴠卖䍆䅓㠵㐰臣膀蓧骷求敵潴瑯ꮁ軦骶臣讂臣袼볯覼蓧骷求敵潴瑯銂믤鞁臣䶦卖苣麃菣袃菣ꦂ菣螃菣ꒂ苣㖹‸㈰臣骀뿤뎂菣鶃菣趃菣袃ㄵ銂믤鞁臣袼볯覼胩ꆿ苣뎃菣벃菣뎃菣㖈㌱苣讻臣ꚁ胣䶁卖苣麃菣袃菣ꦂ菣螃菣ꒂ苣뢁臣릂菣벃菣ꢁ臣讂臣ꢁ臣ꞁ臣讂㠵㈰胣䶂卖䍆䅓㔠〸꾁胣䶁卖苣麃菣袃菣ꦂ菣薣뷧㖮‸㈰苣讻臣ꚁ菣벃苣ꮁ苣蚃菣뾂苣膀룦骮菣궃苣릂胣誁苣뎁룦骮룦骮苣놠釥馁苣芀噍릂菣벃菣閃苣뎃ꏨ꺽㠵㈰臣膀룦骮菣궃苣릂臣袂臣릂菣벃苣릂苣ꎻꇨ馁苣螃菣뾂苣ꢡꓧ馁苣䲋䑃菣ꎂ苣鞃菣ꒂㄵ誸臣낂菣閃苣ꮂ菣ꚃ菣뚂苣뎃苣閃苣벃苣銂믤鞁臣䶦卖䍆䅓㔠〸ꮁ菣벃苣ꖅ諥릖돦銂迦鮾臣讂胣ㆂ臣꺁껥薣臣꾁胣䶁卖苣麃菣袃菣ꦂ菣螃菣ꒂ苣㖹‸㈰臣ꆄ럧䊚畬瑥潯桴볯늼볯骀뿤뎂菣鶃菣趃菣袃ㄵ꾁胣뮂菣ꦃ菣骀뿤貵럨⢯䜳胣㒁誁苣뎁뺁臣꾁䜵誁苣뎁뺁臣꾁楗楆볯늼볯骀뿤貵럨銂若袁胣骀뿤貵럨銂郥肂胣䶂卖苣麃菣袃菣ꦂ菣螃菣ꒂ苣㖹〸꾁噍䙓千⁁㠵㐰臣릂菣벃菣ꞁ臣ꪁ臣膀噍䙓千⁁㔠〸꾁菣ꒂ苣ꮃ苣ꒂ菣螃菣뾂苣궂菣鞃菣ꎃ臣膀蓧骷求敵潴瑯袼볯覼胩ꆿ苣讻臣ꚁ菣ꒂ苣ꮃ苣ꒂ菣螃菣뾂苣膀뿤鞁臣馁噍릂菣벃菣閃苣뎃菣邃苣릂㠵㈰臣袂臣䶳卖苣麃菣袃菣ꦂ菣螃菣ꒂ苣㖹‸㈰臣뎂菣鶃菣趃菣袃ㄵ꾁胣뎛뺁臣꾁噍䙓千⁁㠵〠꺁룤鎖뇥ㆤ㘰臣邃苣뾂菣떂苣뎃菣벃苣銂胩ꆿ臣膀菣ꒂ苣ꮃ苣ꒂ菣銂胩ꆿ臣뺁臣䶙卖䍆䅓㠵〠꺁蓧骷求敵潴瑯銂믤鞁臣螃菣뾂볯늼볯隃菣莃苣ㆸ〲胣垁䙩袼볯覼苣꾂苣릂菣ꒂ菣袃胣뮂菣ꦃ菣骀뿤钡臣龁臣隃菣莃苣ㆸ〲苣뎛ꮁꓧ馁胣ં⼼䥄㹖㰊䥄㹖䐼噉邀볯閼볯銼胣㲑䐯噉ਾ†룤ꢃ臣龮ꏨꞁ臣膀噍릂菣벃菣閃苣뎃ꏨ꺽㠵㈰臣膀噍릂菣벃菣閃苣뎃ꏨ꺽㠵㈰臣骀뿤뎂菣鶃菣趃菣袃ㄵ銂믤鞁臣隻臣螃菣ꒂ苣ꢁ臣骀뿤銂迦鮾臣讂胣骀뿤뎂菣鶃菣趃菣袃ㄵ꾁胣뮂菣ꦃ菣骀뿤꾷㌨膀䜴臣袂臣⾳臣龁臣㖯⥇臣袂臣⾳臣龁臣垯䙩袼볯覼胩ꆿ뗧꾷臣꺁胩ꆿ菨鮊苣覜臣讂胣设臣낁胣䶁卖䍆䅓㔠〸꾁胣邃苣뾂菣떂苣뎃菣벃苣銂苣ꎃ菣膃菣鞁胣䶁卖䍆䅓㔠‸㐰臣ꆄ럧䊚畬瑥潯桴볯뮙賩蚕꣦覼胩ꆿ苣뎃菣벃菣뎃菣㖈㌱苣讻臣ꚁ菣ꒂ苣ꮃ苣ꒂ菣螃菣뾂苣ꆄ럧隃菣벃菣ꖂ菣릂볯뮙賩蚕꣦覼胩ꆿ苣뎃菣벃菣뎃菣㖈㐱臣膀뿤鞁臣馁胣䶂卖苣麃菣袃菣ꦂ菣螃菣ꒂ苣㖹〸膀臣袂臣䶳卖苣麃菣袃菣ꦂ菣螃菣ꒂ苣㖹〸꾁胣䶁卖苣麃菣袃菣ꦂ菣螃菣ꒂ苣㖹〸꺁胩ꆿ苣뎃菣벃菣뎃菣㖈㜱苣讻臣ꚁ菣ꒂ苣ꮃ苣ꒂ菣螃菣뾂苣궸雩꒱〱ꮁ胩ꆿ臣뺁臣芀鯥ㆳ臣龁臣䶯卖苣麃菣袃菣ꦂ菣螃菣ꒂ苣㖹〸꾁胣䶁卖苣麃菣袃菣ꦂ菣螃菣ꒂ苣㖹〸꺁胩ꆿ苣뎃菣벃菣뎃菣㖈㜱苣讻臣ꚁ菣ꪃ菣뢂㈱膀楗楆볯늼볯ꊂ苣뮂苣鶃苣뎃菣膀郦꾸胩ꆿꇥ뺁臣꾁鯥ㆳ臣让㈱芀㰊䐯噉ਾ䐼噉㰾䥄㹖胣邼볯颼볯醀⼼䥄㹖 肸菩꺁껥薣臣꾁胣䶁卖苣麃菣袃菣ꦂ菣₳菣邃苣릂㠵㈰貁噍䙓千⁁㔠〸‴臣ꖎ뛧閁苣ꚁ臣讂ꃥ袐胣䶁卖릂菣벃菣閃苣뎃螃菣ꒂ苣₹㠵㈰꾁胣邃菣뎂菣覃릂苣ꎃ菣㖊㈱뺁臣꾁귨ꖈ苣뎃菣ꪃ臣袂苣몺雩꺁菣벃苣벃菣₉苣궂菣뎃苣龮ꇨ鞁臣馁胣䶂卖䍆䅓†㠵㐰臣袂臣ꚁꛨ花臣貂胣䶁卖릂菣벃菣閃苣뎃菣邃苣릂㠵㈰臣膀噍䙓千⁁㠵㐰胣䶁卖苣麃菣袃菣ꦂ菣螃菣ꒂ苣㖹ꮁ苣ꎁ臣膦뇦閁苣龁苣骃菣벃苣邃菣뎂菣覃苣궂菣뎃臣龁臣颭裥ꢂ菣袃菣銂껥財臣뺁臣゙′臣膀噍䙓千⁁㠵㐰ꮁ雩ꎀ臣讂菦놠苣ꢡꓧ鞁胣䶁卖䍆䅓㔠〸‴臣략该馁苣ꢁ噍卓릂菣벃菣閃苣뎃螃菣ꒂ苣㖹〸′臣략该鞁胣䶁卖릂菣벃菣閃苣뎃菣邃苣릂㔠貁뗨開臣뺁臣芀〠′臣₯噍䙓千⁁㠵〠‴臣螌ꓧꢁ裥ꆾ臣许臣랂菣莃菣肃苣뎃臣貂胣䶁卖⁓苣麃菣袃菣ꦂ菣₳菣邃苣릂㠵㈰꾁胣䶁卖䍆䅓㔠꺁该鲽諧讅苣몱껥馁苣뮂菣閃菣릂菣₈菣벃菣銂賦ꎁ臣蒁臣馁胣₂〠誁苣뎁苣隃苣릂菣ꂃ臣膀噍䙓千⁁㔠〸貁룦骮臣龁苣ꮁꧦ붃臣ꚁ臣讂臣ꢁ苣몢ꫨ馁苣芀臣꺁믤꺁껥薣臣꾁胣ઁ⼼䥄㹖㰊䥄㹖䐼噉邀볯閼볯钼胣㲑䐯噉ਾ†룤ꢃ臣龮ꏨꞁ臣膀噍릂菣벃菣閃苣뎃螃菣ꒂ苣㖹〸′臣䶌卖䍆䅓†㠵㐰ꮁ軦骶臣貂臣蒁苣뒠郥膀噍⁓苣麃菣袃菣ꦂ菣₳菣邃苣릂㔠〸′臣膀菣벃苣벃菣₉苣궂菣誃ㄵ′臣龁臣颭裥ꢂ菣袃菣ꮁ苣讂뫤鎖臣邃菣뎂菣覃릂苣ꎃ菣銂껥財臣뺁臣芀噍䙓千⁁㔠〸‴臣袂臣ꚁꛨ花臣貂臣膀噍卓릂菣벃菣閃苣뎃螃菣ꒂ苣㖹〸′臣膀噍䙓千⁁㠵㐰誁苣뎁噍⁓苣麃菣袃菣ꦂ菣₳菣邃苣릂㔠ꮁ苣ꎁ臣膦뇦閁苣龁苣骃菣벃苣₿菣벃뎂菣覃릂苣ꎃ菣뺁臣꾁귨ꖈ苣뎃菣ꪃ苣龮ꇨ鞁臣馁胣も′臣꾁胣䶁卖䍆䅓†㠵㐰ꮁ雩ꎀ臣讂菦놠臣ꢡꓧ閁苣뺁臣芀룤ꢃ臣龮ꏨꞁ臣膀噍릂菣벃菣閃苣뎃菣邃苣릂㠵〠ꮁ苣ꎁ臣ꢡꓧ閁苣讂菦놠臣꾁胣ꖗ믤⾘駦뮈胣몺雩꺁귨ꖈ闧랏胣몺雩꺁郥趉胣股鳥⢧详떼鳦誁苣뎁迥꺸鳦⦟臣ꦁ臣趇ꛨꪁ룦骮胣厁佰膀뿥趋闦膀룦ꚺ胣벑郥낕胣䶁卖䍆䅓㔠〸閃菣벃菣ꊃ菣릂菣莃菣膀噍릂菣벃菣閃苣뎃菣邃苣릂㠵†㈰臣邃菣蚃菣뚊藦膀噍䙓千⁁㠵〠꺁菣莃菣ꪃ諧讅胣䶁卖䍆䅓臣螃菣ꒂ苣릂菣벃苣릂㠵㐰胣䶁卖苣麃菣袃菣ꦂ菣螃菣ꒂ苣㖹‸㈰臣ꢂ菣벃胣螃菣ꒂ苣겸껥랂菣놂菣릂胣겸껥膓돨閩뻤겸껥膀该鲽菣벃菣膀ꋨ鎨胨誁苣뎁苣骃菣벃苣颭裥膀룦ꚺ胣겸껥膀ꇨ몤噍⁓苣麃菣袃菣ꦂ菣₳菣邃苣릂㠵㈰臣袂臣䶳卖䍆䅓†㠵㐰꺁菣벃菣誁苣뎁菣邃苣릂菣鎃苣ꞃ菣ꪕ迥芀룤ꢃ臣龮ꏨꞁ臣膀噍릂菣벃菣閃苣뎃ꏨ꺽㠵〠꺁뗨隤럧뮂菣떂臣袂臣ꚁ苣몺雩꺁뷤ꢡ鷩ꦸ뫥貁蓦ꖟ臣貂苣ꢁ胣䶁卖䍆䅓㠵〠ꮁ苣ꎁ臣鎽ꇨꊝ룦ꚺ臣躏鯩誁苣뎁껧蚐臣貂苣芀†믤꺁껥薣臣꾁胣䶁卖苣麃菣袃菣ꦂ菣薣뷧㖮‸㈰臣誁臣ꚁ뫤鎖臣鎽ꇨꊝ룦ꚺ臣꒵ꓥ骷苣뎃苣ꮁ苣ꎁ臣龄鿧閁苣讂臣膀噍䙓千㕁〸ꮁ苣ꎁ臣鎽ꇨꊝ룦ꚺ臣躏鯩誁苣뎁껧蚐臣貂臣蒁胣₂ਠ⼼䥄㹖㰊䥄㹖䐼噉邀볯閼볯閼胣㲑䐯噉ਾ†룤ꢃ臣龮ꏨꞁ臣膀噍閃苣뎃苣벃苣閃苣麃菣袃菣ꦂ菣ꊂ苣뮂苣ꪃ菣⢼噍䙓千⥁㠵㐰臣꾁胣薿ꛨꪁ룤ꆬ臣袂臣貺곦銃菣邃苣뾂菣떂苣뎃苣붊蟥馁苣龁苣ꮁ뿥膦臣ꖻ룤꺁苣뎃苣벃臣뮂菣떂菣ꆿ迥궂菣鞃菣ꎃ臣袂臣ꚇ郧뎂菣鶃菣趃菣袃臣ꮐ臣貂臣蒁臣馁胣겸껥㪚賦꺁鳥鮊苣閃㔸膀偐뮂菣떂菣㢼㘰臣袂臣㊳臣꺁䑭卌苣뎃苣벃㐸誁苣뎁㐸膀뗨隤럧螌臣ꦸ뫥뮂菣떂菣㖼㠰臣袂臣ꢑ鯥ꦸ뫥뮂菣떂菣㖼㠰胣誁苣뎁臣辁臣讁臣閁苣ꪁ苣龮ꏨꞁ臣膀鷩뾽臣ꢍ臣뮂菣떂菣隻臣몺雩꺁铧붑뻥馀臣겸껥芀룤ꢃ臣龮ꏨꞁ臣膀偐뮂菣떂菣㢼㘰臣螃菣뾂苣뎃菣ꮃ菣벃菣꾁砲㈠〰穈砠㈠戴瑩㴠㤠〶鎃菣袃銧胣涁䱄뮂菣떂菣㢼㐴臣袂臣㢳㘴臣鶁苣麁苣㎌欲穈砠㈠戴瑩㴠ㄠ㔬㈷㠬㐶菣莃菣⾈꟧ꞁ胣ꢑ鯥ꦸ뫥뮂菣떂臣ㆯ〰戰獰鳦肺臣馁胣䚂䅓㠵〠‶臣꾁㈠ꒁ臣₮䑭卌뮂菣떂菣₼㐸‴臣袂臣₳㐸‶臣ꮐ臣貂臣誁苣膀룤릖臣龁臣ꆸ雦꺁苣뎃苣벃㠠㐴誁苣뎁㠠㘴貁觨붥臣膓돨ꆿ迥銂迦鮾臣讂臣膂胣醰臣辁臣节‱臣꺁洠䱄⁓苣뎃苣벃㠠㐴誁苣뎁㠠㘴讁苣꾉ꗥꪁ뿤랏苣鞾苣몢軧貁ꯩ辁臣誂臣馁胣ં⼼䥄㹖㰊䥄㹖䐼噉邀볯閼볯隼胣㲑䐯噉ਾ†噍릂菣벃菣閃苣뎃ꏨ꺽㠵㈰臣膀臣릁臣꺁룦骮臣뺯臣ꚁ郥芙臣㊫껦躚룦骮菣궃苣릂苣龮ꇨ馁苣芀噍䙓千⁁㠵㐰臣袂臣ꚁ껥財臣貂苣겸껥鞃菣뮂苣꾁胣䶁卖䍆䅓㔠〸誸臣䞮䥕苣讻臣ꚁ噍릂菣벃菣閃苣뎃ꏨ꺽㠵㈰臣覂裥ꆾ臣袂臣躰臣貂苣芀겸껥꾁ꃩ辺믤醁臣貂胣馁臣ꚁ臣겸껥銂껥蚺臣讂臣膂臣薿ꛨꪁ駦鎖苣肜냥ꮁ臣讂臣膂臣讧裦閁苣讂胣蒁臣ꒁ臣꺁껥薣臣꾁胣䶁卖苣麃菣袃菣ꦂ菣螃菣ꒂ苣㖹〸꾁胣㢁㘰苣뎃苣㒵㠰臣覂臣ꆿ迥讁苣꺁뿥趋ꓥ開臣袂臣股뗦꺁뫤ꆬ룦骮苣袨껧馁苣芀噍릂菣벃菣閃苣뎃螃菣ꒂ苣₹㠵㈰뎂菣뎃菣ꢁ裥ꆾ臣讂噍䙓千⁁㔠〸‴臣膀菣ꒂ菣것苣₹求敵潴瑯袼볯覼鞃菣袃苣ꮃ胩ꆿ鯥骷苣讻臣ꚁ胣閁苣ꮁ껥薣苣財臣䶆卖䍆䅓†㠵㐰菣ꮃ菣袃苣벃苣袼駧늌闥馨볯鞃菣袃苣ꮃ胩ꆿ鯥骷뎛ꓧ鮁臣⦚苣讻臣ꚁ믤꺁菣邃苣릂臣骀뿤鞁胣䶁卖苣麃菣袃菣ꦂ菣螃菣ꒂ苣㖹〸ꢁ臣骀뿤ꮁ諥袁臣膀郥芙臣財臣鎁臣节臣趁臣馁胣肸菩꺁껥薣臣꾁胣䶁卖릂菣벃菣閃苣뎃螃菣ꒂ苣₹㠵㈰꾁胣䶁卖䍆䅓㔠〸‴臣꺁胩ꆿ臣ꂊ臣ꚁ胣䊁畬瑥潯桴볯늼볯鞃菣袃苣ꮃ胩ꆿ鯥骷⠠鯥몤臣骁 苣讻臣ꚁ믤꺁菣邃苣릂臣骀뿤鞁臣馁胣螃菣ꒂ苣꾁胣貐駦ꮁ껥財臣讂臣ꢁ苣ꞁ臣뺁臣芀㰊䐯噉ਾ䐼噉㰾䥄㹖胣邼볯颼볯醀⼼䥄㹖 䴠卖䍆䅓㠵㐰臣膀곦꺁ꧦ붃苣龮ꇨ馁苣龁苣꺁单鶃菣袃㈵銂郥肂䴺卖䍆䅓㔠‸㐰臣薆菩薅鯩込鯩ꂱ㈵銂藥뮛臣膀苣뎃苣螃菣뾂苣莃菣銂楗摮睯馃菣릂臣뎂菣钃菣벃苣랂苣蚃菣㖠‸㈱臣ꢂ苣릂菣벃菣鞁胣䶁卖䍆䅓†㠵㐰꺁菣ꆂ菣ꂃ苣Ꞃ苣뒛雦鞃菣낂菣ꂃ臣膀噍䙓千⁁㠵〠‴臣閃苣벃菣Ꚃ苣ꊂ鯦낖臣袂臣䶳卖䍆䅓†㠵㐰꺁꟦邈鯦낖苣뚈뻥誁苣뎁껧蚐臣讂苣鞃菣놂菣랂菣뎃苣讻臣ꚁꇨ蒁臣馁胣䶂卖䍆䅓†㠵㐰꾁胣䶁卖릂菣벃菣閃苣뎃菣邃苣릂㔠〸′菣ꆂ菣ꂃ苣Ꞃ苣銂鯦낖臣뺁臣鎂胣薆铨꺁藥뮛볥뮛뇦㖠〲臣膀藥뮛苣邏뻤馁苣喋䉓菣벃菣㖈㈲苣讻臣ꚁ藥뮛臣讂臣ꢁ臣ꞁ臣膀噍䙓千⁁㠵㐰臣뺁臣膀ꯩ龀藥뮛苣邏뻤馁苣隤菩뒛軦䒥ꖅ諥銂郥肂臣ꢁ臣ꞁ臣讂胣䶂卖䍆䅓㔠‸㐰꺁蛥떔菣莃菣ꪃ㔠〲꾁胣䶁卖䍆䅓†㠵㐰꺁鯩邺臣ꪂ菣꺁ꃥ袐臣节胣喁䉓뺁臣꾁䐠⁃藥鮊臣ꖎ뛧閁苣ꚁ臣讂臣趁臣趆藥뮛臣趁臣馁胣₂룤ꢃ臣龮ꏨꞁ臣膀噍䙓千⁁㠵㐰臣膀菣ꒂ菣것苣薅鯩ꖎ뛧銂胩鞁臣薆菩뮛뫦讁苣䶉卖苣麃菣袃菣ꦂ菣螃菣ꒂ苣㖹〸銂藥뮛臣讂臣ꢁ臣ꞁ臣뺁臣芀룤ꢃ臣龮ꏨꞁ臣膀蛥ꢃ藥뮛볥뮛뇦㖠〲臣膀蛥ꢃ藥뮛볥꺁藥뮛볥銂蛥薅鯩馁苣趉臣膀냥ꪁ臣ꢁ苣㊂韦鎖臣貮藥ꪁ룦骮苣龮ꇨ馁苣龁苣ꮁ胣ㆁ鯥꺁藥뮛臣䶧卖䍆䅓㠵㐰臣膍裥ꪁ该鲽꿥붑苣邏뻤鞁臣馁胣䶂卖䍆䅓㔠‸㐰臣뮛뇦㖠〲臣薿ꛨꞁ臣芀㰊䐯噉ਾ䐼噉㰾䥄㹖胣邼볯颼볯醀⼼䥄㹖 肸菩꺁껥薣臣꾁胣䶁卖䍆䅓㠵㐰臣꾁胣肜ꓥ㊧꺁菣袃铧겸껥螃菣뾂苣莃菣ꢔ臣薆菩趸迦몙胦膀鷩ꚃ菣뚂菣ꂃ菣邃菣ꮃ胣螃菣뾂꣨뚆ꏨ꺽㈵貁郥뺁苣ꚁ臣뺁臣芀菣벃苣風蛦薣뷧㖮㐲臣膀菣벃苣風蛦薣뷧㖮㐲臣鲚껥貁臣讂臣ꒈ껥閁苣龁ꃥ袐臣肊ꇨ薀臣袂臣ꚁ迥誂ꓥ馁臣ꢁ臣ꞁ臣讂胣몺雩꺁룦骮苣莃菣꾁胣䶁卖䍆䅓㠵〠ꮁ苣ꎁ臣随뻥閁苣龁臣릁臣꺁룦骮菣벃苣誁苣뎁룦骮胥銂郥뾁胣䶁卖苣麃菣袃菣ꦂ菣薣뷧㖮‸㈰臣覂臣ꦸ뫥겸껥銂郥肂胣₂薆菩ꆃ菣ꪃ臣膀ꫧ뚄臣鲁鯩ꒂ菣뎃菣貁駧龔臣龁ꃥ袐臣螃菣뾂臣뒠郦讁苣鶿귨閁苣뺁臣芀噍䙓千⁁㠵㐰臣袂臣䚳䅓†㠵㘰臣몺雩꺁뷥讅臣ꦁ郥龩菨貁臣讂胣䶂卖䍆䅓†㠵㐰臣뺁臣馁臣ꚁ臣뮂菣떂菣誁苣뎁ꏨ꺽ꇨꊝ臣龁苣꺁諦꺾铧ꦉ臣隤鷩邝雦誁苣뎁껥鎘臣趁苣蒁臣ꢡ鷩銂郥鎂臣蒁苣芀噍䙓千⁁㠵㐰臣膀菣벃苣風蛦薣뷧㖮㐲臣膀臣릁臣꺁뫤鎖臣龔苣뎃苣벃뿤랏臣궪臣随苣ꒀ苣ꮐ苣颍룤꺁뫤鎖臣겸껥꺁臣膂臣螃菣뾂苣莃菣風賩ꢅ뷤銂郥肂胣龎귥趀菣ꖃ菣麃菣것苣벃菣讧胩銂ꃦ趴臣膀뫤鎖苣붊蟥鞁臣邃苣뾂菣膀臣袂臣랂苣蚃菣릂菣벃苣릂菦놠胣䶂卖䍆䅓㔠〸‴臣꾁胣䶁卖䍆䅓†㠵㐰誁苣뎁苣隃苣릂菣ꂃ臣開뷤뚊藦銂뇦骮臣讂苣ꮃ菣蚃苣袃뎂菣鶃菣趃菣袃臣ꮐ臣貂臣誁苣膀噍䙓千⁁㠵㐰貁룦骮铧ꮁꧦ붃臣ꚁ臣讂臣ꢁ苣몢ꫨ鞁臣馁胣䶂卖䍆䅓†㠵㐰ꮁ臣膀韦颻臣芙裥꺁苣궃菣꾂ꧦ붃臣ꮐ臣貂臣蒁臣馁胣蒁臣ꒁ臣꺁껥薣臣芀噍䙓千⁁㠵㐰臣ꖗ믤ꢁ駦뮈臣膀噍릂菣벃菣閃苣뎃菣邃苣릂㠵㈰臣覂鯦낖臣貂苣芀룤ꢃ臣龮ꏨꞁ臣膀噍䙓千⁁㔠〸ꮁ臣膀鯩邺苣뎃ꪂ菣릂苣莃菣⢁苣뾂菣袃릂菣莃菣⦗胣螌鳥ꮂ菣㢕〵苣躏룧뚊藦ꮁ臣讂鷩뢸臥ꊭ裥ꆾ臣ꦁ臣ꚃ菣뚂菣ꖅ諥뚈뻥貁郥뺁苣ꚁ臣뺁臣芀룤ꢃ臣龮ꏨꞁ臣膀噍릂菣벃菣閃苣뎃菣邃苣릂㠵㈰臣뮔鷩誸臣薃ꃥ銂믤鞁臣䶦卖苣麃菣袃菣ꦂ菣螃菣ꒂ苣㖹〸銂믤鞁臣隻臣馁臣ꚁ臣ꖅ諥貁苣鶃菣袃臣貂臣蒁臣馁胣肸菩꺁껥薣臣꾁胣䶁卖䍆䅓†㠵㐰ꮁ臣膀菣邃苣릂臣鲚껥貁駧龔臣膀鯩邺臣ꖅ苣ꪁ臣鎁臣銂ꓧ馁蟨붑髧ꪁ髩뎮苣뎃苣놂菣뾂菣膀菣邃苣릂髩뎮苣뎃苣놂菣뾂䴨卖䍆䅓㔠‸苣몤臣⦙ꪁ臣꺁ꛨ骦髧ꪁ苣뎃苣놂菣뾂菣貁郥뺁苣ꚁ臣뺁臣芀†㐰臣膀룦骮ꧦ붃臣놽鿩銂룤袁苣鲚껥銂鳦馁苣⦋胣邃菣蚃菣薅鯩뚊藦ꒂ菣뢂苣벃苣膀菣莃菣ꪃ藥뮛諧讅苣뎃苣놂菣뾂臣龁臣邃菣蚃菣薕髩릂菣벃苣릂苣뎃苣놂菣뾂胣ં⼼䥄㹖㰊䥄㹖䐼噉邀볯閼볯馼胣㲑䐯噉ਾ†噍䙓千⁁㠵㐰臣讧裦膦듧⢠뻤袁臣㖰㜰胣㖁㌱胣㖁〲胣㖁㈲胣㖁㐲臣袂臣㖳㘲꾁胣뚈뻥鞃菣뮂苣誁苣뎁뿤랏蟥蚐苣뎃菣벃菣뎃菣㖈㜲臣袂臣ꚁ裥ꆾ臣貂苣芀裥ꆾ菣궃苣릂臣袂臣ꆿ迥ꚇ郧뎂菣鶃菣趃菣袃㈵꾁胣麃苣꾂菣鞃菣뮂菣떂臣龁臣䚯䝐ꮁ苣ꎁ臣龮ꏨ馁苣鎁臣貁臣趁苣芀㰊䐯噉ਾ䐼噉㰾䥄㹖胣邼볯馼볯醀⼼䥄㹖 隤菩喨䉓藥뮛駥㖨ㄸ꾁胣䶁卖䍆䅓㔠〸銂藥뮛臣讂臣膂臣뮛諥銂迦鮾臣讂胣隤菩喨䉓藥뮛駥㖨ㄸ꾁胣ꦉ郧蒚臣覜럧ꖎ뛧뺁臣꾁菣ꒂ菣것苣薅鯩ꢙ苣讻臣ꚁ噍䙓千⁁㠵㐰臣뮛뇦銂藥뮛臣讂臣膂臣뮛諥銂뻤ꚵ臣讂臣ꢁ臣ꞁ臣讂胣肸菩꺁껥薣臣꾁胣隤菩₨单⁂藥뮛駥₨㠵〱꾁䴠卖䍆䅓†㠵㐰臣뮛諥銂뻤ꚵ臣뺁臣鎂胣喂䉓菣벃菣㖈㈲臣龁臣䒯ꖅ諥銂믤鞁臣薅鯩鞁臣馁胣ં⼼䥄㹖㰊䥄㹖䐼噉邀볯閼볯醼胣㲑䐯噉ਾ†噍䙓千㕁〸꾁触膌臣讞臣袂臣몐룥ꢔ臣芁苣芀噍䙓千⁁㔠〸꾁믦誂귦膂릂菣ꒂ菣꺁ꓥꊝ鷦首苣ꮐ苣ꞁ臣讂胣ં⼼䥄㹖㰊䥄㹖䐼噉邀볯閼볯銼胣㲑䐯噉ਾ†臣辁臣讁臣龮ꏨꞁ臣膀鳦躘듧뢛臣風볨閁苣ꚁ臣讂ꏨ꺽胣랂苣蚃菣誁苣뎁雦閳臣蚁臣膀껥馝駦꺁뿥趋闦꾁胣閃苣袃菣것菣릂菣낂菣ꂃ苣뎃苣讁苣꺁菣벃苣讁苣ꢎ껥閁苣膀釥뢐闦誁苣뎁뿥趋ꓥ開臣袂臣⾳臣龁臣股鳥ꆋ볥邭臣螃菣뾂臣覂軦骮臣貂苣芀菣ꒂ苣궃菣ꒂ菣龃菣꾂藥ꎕ매뮂菣떂菣ꢁ菣ꦂ菣鞃菣膃苣ꊃ苣ꦃ菣뮂菣떂菣讁苣芀肸菩꺁껥薣臣꾁胣厁佰股뛦뢅듧隌臣閃苣袃菣것菣릂菣낂菣ꂃ苣뎃苣벃臣覂臣螃菣뾂臣覂軦骮臣貂胣벑郥龀뫥꾁菣ꒂ苣궃菣ꒂ菣龃菣꾂藥ꎕ매뮂菣떂臣覂臣螃菣뾂臣覂軦骮臣貂胣股鳥꾁菣ꒂ苣궃菣ꒂ菣龃菣꾂臣覂臣螃菣뾂臣覂軦骮臣貂苣螌臣隢迥讁苣꺁菣벃苣ꢁ藥ꮁ藥ꎕ매뮂菣떂菣芀戼㹲邵ꯨખ⼼䥄㹖㰊䥄㹖䐼噉邀볯閼볯鎼胣㲑䐯噉ਾ†룦ꚺ胣覮鷩芙뿥趋闦膀뿥趋ꓥ開胣벑郥벑郥膀灓㉏胣股뗦誁苣뎁ꇨꞜ苣螃菣ꒂ苣銂믤鞁臣龄鿧膀뿥趋闦膀菣邃苣릂苣讻臣ꚁ鯩邭賥芙꣨늌苣릂菣ꂃ臣膀뿤馁苣麃菣膃菣ꒂ苣ꮃ苣ꒂ菣讞苣릂菣ꂃ苣麃菣袃菣ꦂ菣⺳鳦躘듧뢛臣讖ꓧ閁苣讂ꏨ꺽臣袂臣릖돦꺁諦鎡髧릊黦꾁胣麝苣莃菣뮛ꏧ뮂菣떂臣覂苣麃菣袃菣ꦂ菣뢁臣ꆿ迥讁苣ꢎ껥閁苣讂뷤莿룦ꚺ臣뮛귥鶼胩ꞁ臣誂胣ꆬ臣뮛귥뮌駧ꮁ꿥馁苣芀風賩랂苣蚃菣ꢁ껥馝駦꺁蓦ꖟ뿥趋闦꺁뗧뾁郥辂臣ⲛ莿详覤该ⲕ벑郥Ⲹ匠佰ⰲ股뗦ꢁꇨꞜ‮鳦躘듧뢛臣讖ꓧ閁苣讂ꏨ꺽臣袂臣릖돦꺁裥꺁諦鎡髧릊黦꾁胣龔觧ꚭ髧龔釥뒾胥銂苣麃菣袃菣ꦂ菣ꮁ胩ꆿ臣膀곦蒁臣뮛귥뮌駧風賩랂苣蚃菣ꮁ볤钁臣讂臣ꢁ臣ꞁ臣讂铧较臣芙雩蒚ꓥ開苣龔裦馁苣芀藥鎽髧ꪁ껥薣臣겜飦내鯦ꮁ뻤몤臣袂臣겪飦閁苣讂臣膀郥颁鯧蒚苣钁裦馁苣龁苣ꮁ铧邈臣貂苣뮻蓦꺁藩꺽臣膀ꓧ閁苣ꚁ臣讂觧骮臣龮ꏨꮁ믤辂苣꾏菨Ꞁ臣芁苣鎁臣銂뷥肊ꇨꮁ臣醁苣꺙胩꺁諦붃胨ꮁ苣ꎁ臣蚐꟨閁苣讂臣芁苣蚁胣鎁臣ꊂ菣ꪃ苣벃苣ꞃ菣꾁胣뮻蓦꺁臩鲿苣邃菣ꢂ菣랂菣뎃苣ꮂ菣벃臣讂臣ꢁ苣辄鯥鞁臣蒁臣馁胣₂臣릁臣꺁菣邃苣릂臣꺁鯩邺臣閁苣ꪁ苣龮ꏨꮁ臣膀菣莃菣ꪃ鯩邺臣꺁ꏨꦊ鯩邺臣鞁臣膀臣龁믤뾛鯩邺臣鞁臣䆦䌯뮛뫦貁郥뺁苣뺁臣芀㰊䐯噉ਾ䐼噉㰾䥄㹖胣邼볯馼볯醀⼼䥄㹖 릉臣膀鳦肊ꇨ꺁諦붃臣肸臣꾁胣ꆃ苣莃菣誁苣뎁ꏨ꺽臣趐觥貁껥薣苣뚈駩馁苣鎁臣銂蓦뎛臣ꚁ臣ꪁ臣鎁臣銂껥鎘臣蚐꟨馁苣ꂁ苣蚁胣閁苣ꮁ胣ꊃ苣ꖃ菣ꮃ臣붿諥꺁菣붂菣覃苣薣뷧銂뿨ꂊ臣讂臣ꢁ臣ꞁ臣膀菣뢂菣벃菣鎖臣龩菨銂蛥超뷧馁苣鎁臣貁臣趁胣龮ꏨꞁ뷤ꢔ臣貂苣蚰鷦꺁详떼苣ꦉ郧螃菣ꒂ苣ꮁ꿥鲿臣讂雦鞁臣ꊃ苣ꖃ菣ꮃ苣膀蟥몙臣讂臣ꢁ臣辁냥ꖅ臣讂臣ꢁ臣ꞁ臣뺁臣芀껥薣臣蒯鯥芀뷥肊ꇨ꺁苣궂菣꺁ꒁ臣膀껥薣臣蚰鷦꺁菣ꒂ苣ꮃ苣ꒂ菣誁苣뎁鷩뾂菣膃룦ꚺꓦ몇ꏨ꺽胣몺雩뺁臣꾁该ꦉ臣낕臣讂룦ꚺ룦骮菩趽胣鶼胩꺁臣膂臣낖臣蒁胩ꆿ菣궃菣뎂菣⢫菣벃苣벃臣⦮臣ꦁ铧꾏菨ꞁ臣讂臣ꢁ苣릮飦ꮁꫨ颭臣讂臣趂臣떂菣鎃苣膀苦薀苣벃菣릂胣뎦꿥떂菣鎃苣膀菣ꎃ菣袃苣벃菣릂胣誁苣뎁臣릁臣꺁迧ꢜ臣袂臣蚰鷦꺁苣鞃菣놂菣랂菣뎃菣궃苣ꦃ菣뎃苣ꒂ菣뾂菣Ꞃ菣릂臣낖臣蒁ꇨ몤菣邃苣릂胣ં⼼䥄㹖㰊䥄㹖䐼噉邀볯閼볯閼胣㲑䐯噉ਾ†臣꺁苣鞃菣놂菣랂菣뎃臣뾽铧閁苣讂铧麪臣膀鳦躘듧뢛臣風볨閁苣ꚁ臣讂臣ꢁ郥颁ꧦ붃苣邏뻤馁苣馁臣ꚁ臣ꦸ뫥뮂菣떂胣鞃菣뮂菣떂臣袂臣ꪂ菣것菣뾂鋧莢臣袂臣ꎻ鯦肊ꇨ銂郥肂臣ꢁ苣辄釥馁苣芀戼㹲㰊牢ਾਠ⼼䥄㹖㰊䐯噉ਾ䐼噉㰾䥄㹖胣뎛볯醀⼼䥄㹖 †††††㰠䥄㹖愼栠敲㵦㈢㈰㔰㐱〰⸸楴≦㈾㈰㔰㐱〰⸸楴쉦゠〰㄰㰲愯㰾䐯噉ਾ††††䐼噉邀鯥銼胣㲑䐯噉ਾ††††††䐼噉㰾⁡牨晥∽〲〲ㄵ〴㠰琮晩㸢〲〲ㄵ〴㠰琮晩ꃂ〰〰㌱⼼㹡⼼䥄㹖 †††㰠䥄㹖胣뎛볯銈볯醀⼼䥄㹖 †††††㰠䥄㹖愼栠敲㵦㈢㈰㔰㐱〰⸸楴≦㈾㈰㔰㐱〰⸸楴쉦゠〰㄰㰴愯㰾䐯噉ਾ††††䐼噉邀鯥鎼裢銼胣㲑䐯噉ਾ††††††䐼噉㰾⁡牨晥∽〲〲ㄵ〴㠰琮晩㸢〲〲ㄵ〴㠰琮晩ꃂ〰〰㔱⼼㹡⼼䥄㹖 †††㰠䥄㹖胣뎛볯銈볯醀⼼䥄㹖 †††††㰠䥄㹖愼栠敲㵦㈢㈰㔰㐱〰⸸楴≦㈾㈰㔰㐱〰⸸楴쉦゠〰㄰㰶愯㰾䐯噉ਾ††††䐼噉邀鯥鎼裢钼胣㲑䐯噉ਾ††††††䐼噉㰾⁡牨晥∽〲〲ㄵ〴㠰琮晩㸢〲〲ㄵ〴㠰琮晩ꃂ〰〰㜱⼼㹡⼼䥄㹖 †††㰠䥄㹖胣뎛볯銈볯醀⼼䥄㹖 †††††㰠䥄㹖愼栠敲㵦㈢㈰㔰㐱〰⸸楴≦㈾㈰㔰㐱〰⸸楴쉦゠〰㄰㰸愯㰾䐯噉ਾ††††䐼噉邀鯥钼胣㲑䐯噉ਾ††††††䐼噉㰾⁡牨晥∽〲〲ㄵ〴㠰琮晩㸢〲〲ㄵ〴㠰琮晩ꃂ〰〰㤱⼼㹡⼼䥄㹖 †††㰠䥄㹖胣뎛볯醀⼼䥄㹖 †††††㰠䥄㹖愼栠敲㵦㈢㈰㔰㐱〰⸸楴≦㈾㈰㔰㐱〰⸸楴쉦゠〰㈰㰰愯㰾䐯噉ਾ††††䐼噉邀鯥隼胣㲑䐯噉ਾ††††††䐼噉㰾⁡牨晥∽〲〲ㄵ〴㠰琮晩㸢〲〲ㄵ〴㠰琮晩ꃂ〰〰ㄲ⼼㹡⼼䥄㹖 †††㰠䥄㹖胣뎛볯醀⼼䥄㹖 †††††㰠䥄㹖愼栠敲㵦㈢㈰㔰㐱〰⸸楴≦㈾㈰㔰㐱〰⸸楴쉦゠〰㈰㰲愯㰾䐯噉ਾ††††䐼噉邀鯥颼胣㲑䐯噉ਾ††††††䐼噉㰾⁡牨晥∽〲〲ㄵ〴㠰琮晩㸢〲〲ㄵ〴㠰琮晩ꃂ〰〰㌲⼼㹡⼼䥄㹖 †††㰠䥄㹖胣뎛볯醀⼼䥄㹖 †††††㰠䥄㹖愼栠敲㵦㈢㈰㔰㐱〰⸸楴≦㈾㈰㔰㐱〰⸸楴쉦゠〰㈰㰴愯㰾䐯噉ਾ††††䐼噉邀鯥醼볯醀⼼䥄㹖 †††††㰠䥄㹖愼栠敲㵦㈢㈰㔰㐱〰⸸楴≦㈾㈰㔰㐱〰⸸楴쉦゠〰㈰㰵愯㰾䐯噉ਾ††††䐼噉邀鯥醼볯醀⼼䥄㹖 †††††㰠䥄㹖愼栠敲㵦㈢㈰㔰㐱〰⸸楴≦㈾㈰㔰㐱〰⸸楴쉦゠〰㈰㰶愯㰾䐯噉ਾ††††䐼噉邀鯥醼볯醀⼼䥄㹖 †††††㰠䥄㹖愼栠敲㵦㈢㈰㔰㐱〰⸸楴≦㈾㈰㔰㐱〰⸸楴쉦゠〰㈰㰷愯㰾䐯噉ਾ††††䐼噉邀鯥醼볯醀⼼䥄㹖 †††††㰠䥄㹖愼栠敲㵦㈢㈰㔰㐱〰⸸楴≦㈾㈰㔰㐱〰⸸楴쉦゠〰㈰㰸愯㰾䐯噉ਾ††††䐼噉邀鯥醼볯醀⼼䥄㹖 †††††㰠䥄㹖愼栠敲㵦㈢㈰㔰㐱〰⸸楴≦㈾㈰㔰㐱〰⸸楴쉦゠〰㈰㰹愯㰾䐯噉ਾ††††䐼噉邀鯥醼볯醀⼼䥄㹖 †††††㰠䥄㹖愼栠敲㵦㈢㈰㔰㐱〰⸸楴≦㈾㈰㔰㐱〰⸸楴쉦゠〰㌰㰰愯㰾䐯噉ਾ††††䐼噉邀鯥醼볯醀⼼䥄㹖 †††††㰠䥄㹖愼栠敲㵦㈢㈰㔰㐱〰⸸楴≦㈾㈰㔰㐱〰⸸楴쉦゠〰㌰㰱愯㰾䐯噉ਾ††††䐼噉邀鯥醼볯醀⼼䥄㹖 †††††㰠䥄㹖愼栠敲㵦㈢㈰㔰㐱〰⸸楴≦㈾㈰㔰㐱〰⸸楴쉦゠〰㌰㰲愯㰾䐯噉ਾ††††䐼噉邀鯥醼볯醀⼼䥄㹖 †††††㰠䥄㹖愼栠敲㵦㈢㈰㔰㐱〰⸸楴≦㈾㈰㔰㐱〰⸸楴쉦゠〰㌰㰳愯㰾䐯噉ਾ††††䐼噉邀鯥醼볯醀⼼䥄㹖 †††††㰠䥄㹖愼栠敲㵦㈢㈰㔰㐱〰⸸楴≦㈾㈰㔰㐱〰⸸楴쉦゠〰㌰㰴愯㰾䐯噉ਾ††††䐼噉邀鯥銼볯醀⼼䥄㹖 †††††㰠䥄㹖愼栠敲㵦㈢㈰㔰㐱〰⸸楴≦㈾㈰㔰㐱〰⸸楴쉦゠〰㌰㰵愯㰾䐯噉ਾ††††䐼噉邀鯥銼볯醀⼼䥄㹖 †††††㰠䥄㹖愼栠敲㵦㈢㈰㔰㐱〰⸸楴≦㈾㈰㔰㐱〰⸸楴쉦゠〰㌰㰶愯㰾䐯噉ਾ††††䐼噉邀鯥銼볯醀⼼䥄㹖 †††††㰠䥄㹖愼栠敲㵦㈢㈰㔰㐱〰⸸楴≦㈾㈰㔰㐱〰⸸楴쉦゠〰㌰㰷愯㰾䐯噉ਾ††††䐼噉邀鯥銼볯醀⼼䥄㹖 †††††㰠䥄㹖愼栠敲㵦㈢㈰㔰㐱〰⸸楴≦㈾㈰㔰㐱〰⸸楴쉦゠〰㌰㰸愯㰾䐯噉ਾ††††䐼噉邀鯥銼볯醀⼼䥄㹖 †††††㰠䥄㹖愼栠敲㵦㈢㈰㔰㐱〰⸸楴≦㈾㈰㔰㐱〰⸸楴쉦゠〰㌰㰹愯㰾䐯噉ਾ††††䐼噉邀鯥銼볯醀⼼䥄㹖 †††††㰠䥄㹖愼栠敲㵦㈢㈰㔰㐱〰⸸楴≦㈾㈰㔰㐱〰⸸楴쉦゠〰㐰㰰愯㰾䐯噉ਾ††††䐼噉邀鯥銼볯醀⼼䥄㹖 †††††㰠䥄㹖愼栠敲㵦㈢㈰㔰㐱〰⸸楴≦㈾㈰㔰㐱〰⸸楴쉦゠〰㐰㰱愯㰾䐯噉ਾ††††䐼噉邀鯥銼볯醀⼼䥄㹖 †††††㰠䥄㹖愼栠敲㵦㈢㈰㔰㐱〰⸸楴≦㈾㈰㔰㐱〰⸸楴쉦゠〰㐰㰲愯㰾䐯噉ਾ††††䐼噉邀鯥銼볯醀⼼䥄㹖 †††††㰠䥄㹖愼栠敲㵦㈢㈰㔰㐱〰⸸楴≦㈾㈰㔰㐱〰⸸楴쉦゠〰㐰㰳愯㰾䐯噉ਾ††††䐼噉邀鯥銼볯醀⼼䥄㹖 †††††㰠䥄㹖愼栠敲㵦㈢㈰㔰㐱〰⸸楴≦㈾㈰㔰㐱〰⸸楴쉦゠〰㐰㰴愯㰾䐯噉ਾ††††䐼噉邀鯥鎼볯醀⼼䥄㹖 †††††㰠䥄㹖愼栠敲㵦㈢㈰㔰㐱〰⸸楴≦㈾㈰㔰㐱〰⸸楴쉦゠〰㐰㰵愯㰾䐯噉ਾ††††䐼噉邀鯥鎼볯醀⼼䥄㹖 †††††㰠䥄㹖愼栠敲㵦㈢㈰㔰㐱〰⸸楴≦㈾㈰㔰㐱〰⸸楴쉦゠〰㐰㰶愯㰾䐯噉ਾ††††䐼噉邀鯥鎼볯醀⼼䥄㹖 †††††㰠䥄㹖愼栠敲㵦㈢㈰㔰㐱〰⸸楴≦㈾㈰㔰㐱〰⸸楴쉦゠〰㐰㰷愯㰾䐯噉ਾ††††䐼噉邀鯥鎼볯醀⼼䥄㹖 †††††㰠䥄㹖愼栠敲㵦㈢㈰㔰㐱〰⸸楴≦㈾㈰㔰㐱〰⸸楴쉦゠〰㐰㰸愯㰾䐯噉ਾ††††䐼噉邀鯥鎼볯醀⼼䥄㹖 †††††㰠䥄㹖愼栠敲㵦㈢㈰㔰㐱〰⸸楴≦㈾㈰㔰㐱〰⸸楴쉦゠〰㐰㰹愯㰾䐯噉ਾ††††䐼噉邀鯥鎼볯醀⼼䥄㹖 †††††㰠䥄㹖愼栠敲㵦㈢㈰㔰㐱〰⸸楴≦㈾㈰㔰㐱〰⸸楴쉦゠〰㔰㰰愯㰾䐯噉ਾ††††䐼噉邀鯥鎼볯醀⼼䥄㹖 †††††㰠䥄㹖愼栠敲㵦㈢㈰㔰㐱〰⸸楴≦㈾㈰㔰㐱〰⸸楴쉦゠〰㔰㰱愯㰾䐯噉ਾ††††䐼噉邀鯥鎼볯醀⼼䥄㹖 †††††㰠䥄㹖愼栠敲㵦㈢㈰㔰㐱〰⸸楴≦㈾㈰㔰㐱〰⸸楴쉦゠〰㔰㰲愯㰾䐯噉ਾ††††䐼噉邀鯥鎼볯醀⼼䥄㹖 †††††㰠䥄㹖愼栠敲㵦㈢㈰㔰㐱〰⸸楴≦㈾㈰㔰㐱〰⸸楴쉦゠〰㔰㰳愯㰾䐯噉ਾ††††䐼噉邀鯥鎼볯醀⼼䥄㹖 †††††㰠䥄㹖愼栠敲㵦㈢㈰㔰㐱〰⸸楴≦㈾㈰㔰㐱〰⸸楴쉦゠〰㔰㰴愯㰾䐯噉ਾ††††䐼噉邀鯥钼볯醀⼼䥄㹖 †††††㰠䥄㹖愼栠敲㵦㈢㈰㔰㐱〰⸸楴≦㈾㈰㔰㐱〰⸸楴쉦゠〰㔰㰵愯㰾䐯噉ਾ††††䐼噉邀鯥钼볯醀⼼䥄㹖 †††††㰠䥄㹖愼栠敲㵦㈢㈰㔰㐱〰⸸楴≦㈾㈰㔰㐱〰⸸楴쉦゠〰㔰㰶愯㰾䐯噉ਾ††††䐼噉邀鯥钼볯醀⼼䥄㹖 †††††㰠䥄㹖愼栠敲㵦㈢㈰㔰㐱〰⸸楴≦㈾㈰㔰㐱〰⸸楴쉦゠〰㔰㰷愯㰾䐯噉ਾ††††䐼噉邀鯥钼볯醀⼼䥄㹖 †††††㰠䥄㹖愼栠敲㵦㈢㈰㔰㐱〰⸸楴≦㈾㈰㔰㐱〰⸸楴쉦゠〰㔰㰸愯㰾䐯噉ਾ††††䐼噉邀鯥钼볯醀⼼䥄㹖 †††††㰠䥄㹖愼栠敲㵦㈢㈰㔰㐱〰⸸楴≦㈾㈰㔰㐱〰⸸楴쉦゠〰㔰㰹愯㰾䐯噉ਾ††††䐼噉邀鯥钼볯醀⼼䥄㹖 †††††㰠䥄㹖愼栠敲㵦㈢㈰㔰㐱〰⸸楴≦㈾㈰㔰㐱〰⸸楴쉦゠〰㘰㰰愯㰾䐯噉ਾ††††䐼噉邀鯥钼볯醀⼼䥄㹖 †††††㰠䥄㹖愼栠敲㵦㈢㈰㔰㐱〰⸸楴≦㈾㈰㔰㐱〰⸸楴쉦゠〰㘰㰱愯㰾䐯噉ਾ††††䐼噉邀鯥钼볯醀⼼䥄㹖 †††††㰠䥄㹖愼栠敲㵦㈢㈰㔰㐱〰⸸楴≦㈾㈰㔰㐱〰⸸楴쉦゠〰㘰㰲愯㰾䐯噉ਾ††††䐼噉邀鯥钼볯醀⼼䥄㹖 †††††㰠䥄㹖愼栠敲㵦㈢㈰㔰㐱〰⸸楴≦㈾㈰㔰㐱〰⸸楴쉦゠〰㘰㰳愯㰾䐯噉ਾ††††䐼噉邀鯥钼볯醀⼼䥄㹖 †††††㰠䥄㹖愼栠敲㵦㈢㈰㔰㐱〰⸸楴≦㈾㈰㔰㐱〰⸸楴쉦゠〰㘰㰴愯㰾䐯噉ਾ††††䐼噉邀鯥閼볯醀⼼䥄㹖 †††††㰠䥄㹖愼栠敲㵦㈢㈰㔰㐱〰⸸楴≦㈾㈰㔰㐱〰⸸楴쉦゠〰㘰㰵愯㰾䐯噉ਾ††††䐼噉邀鯥閼볯醀⼼䥄㹖 †††††㰠䥄㹖愼栠敲㵦㈢㈰㔰㐱〰⸸楴≦㈾㈰㔰㐱〰⸸楴쉦゠〰㘰㰶愯㰾䐯噉ਾ††††䐼噉邀鯥閼볯醀⼼䥄㹖 †††††㰠䥄㹖愼栠敲㵦㈢㈰㔰㐱〰⸸楴≦㈾㈰㔰㐱〰⸸楴쉦゠〰㘰㰷愯㰾䐯噉ਾ††††䐼噉邀鯥閼볯醀⼼䥄㹖 †††††㰠䥄㹖愼栠敲㵦㈢㈰㔰㐱〰⸸楴≦㈾㈰㔰㐱〰⸸楴쉦゠〰㘰㰸愯㰾䐯噉ਾ††††䐼噉邀鯥閼볯醀⼼䥄㹖 †††††㰠䥄㹖愼栠敲㵦㈢㈰㔰㐱〰⸸楴≦㈾㈰㔰㐱〰⸸楴쉦゠〰㘰㰹愯㰾䐯噉ਾ††††䐼噉邀鯥閼볯醀⼼䥄㹖 †††††㰠䥄㹖愼栠敲㵦㈢㈰㔰㐱〰⸸楴≦㈾㈰㔰㐱〰⸸楴쉦゠〰㜰㰰愯㰾䐯噉ਾ††††䐼噉邀鯥閼볯醀⼼䥄㹖 †††††㰠䥄㹖愼栠敲㵦㈢㈰㔰㐱〰⸸楴≦㈾㈰㔰㐱〰⸸楴쉦゠〰㜰㰱愯㰾䐯噉ਾ††††䐼噉邀鯥閼볯醀⼼䥄㹖 †††††㰠䥄㹖愼栠敲㵦㈢㈰㔰㐱〰⸸楴≦㈾㈰㔰㐱〰⸸楴쉦゠〰㜰㰲愯㰾䐯噉ਾ††††䐼噉邀鯥閼볯醀⼼䥄㹖 †††††㰠䥄㹖愼栠敲㵦㈢㈰㔰㐱〰⸸楴≦㈾㈰㔰㐱〰⸸楴쉦゠〰㜰㰳愯㰾䐯噉ਾ††††⼼䥄㹖㰊䥄㹖胣붛髩뾪鿦놠釥醀⼼䥄㹖㰊䥄㹖愼栠敲㵦㈢㈰㔰㐱〰⸸楴≦㈾㈰㔰㐱〰⸸楴쉦゠〰㜰㰴愯㰾䐯噉ਾ䐼噉㰾⁡牨晥∽〲〲ㄵ〴㠰琮晩㸢〲〲ㄵ〴㠰琮晩ꃂ〰〰㔷⼼㹡⼼䥄㹖㰊䥄㹖愼栠敲㵦㈢㈰㔰㐱〰⸸楴≦㈾㈰㔰㐱〰⸸楴쉦゠〰㜰㰶愯㰾䐯噉ਾ䐼噉㰾⁡牨晥∽〲〲ㄵ〴㠰琮晩㸢〲〲ㄵ〴㠰琮晩ꃂ〰〰㜷⼼㹡⼼䥄㹖㰊䥄㹖愼栠敲㵦㈢㈰㔰㐱〰⸸楴≦㈾㈰㔰㐱〰⸸楴쉦゠〰㜰㰸愯㰾䐯噉ਾ⼼潢祤ਾ⼼瑨汭ਾ